(57)【要約】手術室内の安全性および効率を向上させるシステム、デバイス、ならびに方法は、新しい縫合針を保持する縫合パッケージおよび使用済みの針を格納するための針受器を提供するステップを含む。本デバイスは、外科医が、近傍手術野内で新しい縫合針を自己分配し、手術器具上または手術用ドレープ上で、肢部上に位置する針トラップまたは針保定器の中に使用済みの針を収納するために、安全に装着されることができる。本デバイスは、使用中および手術野からの除去後の両方で、自動化および／または簡略化された針計数を提供し得る。本デバイスは、針を分配して収納する外科医の行動および運動を最小限にするよう、人間工学的かつ効率的な使用のために構成され得る。
2019503210.tif 000002
【特許請求の範囲】
【請求項１】
ユーザの前腕上に留置するための障壁であって、前記障壁は、
近位端と遠位端との間に延在する縦軸を画定する湾曲シェルであって、前記縦軸を中心として湾曲を伴って延在する湾曲シェル
を備える、
障壁。
【請求項２】
前記シェルの近位端は、長軸および短軸を伴う断面を画定し、前記シェルの遠位端は、長軸および短軸を伴う断面を画定し、前記近位端の長軸は、前記遠位端の長軸に対して前記縦軸を中心として回転される、請求項１に記載の障壁。
【請求項３】
前記遠位端の障壁長軸は、ユーザの前腕上に留置されると、前記近位端の長軸に対して回転され、前記近位端は、留置されると、前記ユーザの肘に向かって位置し、前記遠位端は、前記ユーザの手首に向かって位置する、請求項１に記載の障壁。
【請求項４】
前記障壁は、前記障壁の対向縁が相互に向かって押勢されるにつれて前記近位端上の長軸および前記遠位端上の短軸を画定するように成形される、予形成された自己支持障壁を備える、請求項１に記載の障壁。
【請求項５】
前記近位端の長軸は、前記遠位端の長軸より長い、請求項１に記載の障壁。
【請求項６】
前記近位端は、短軸を備え、前記遠位端は、短軸を備え、前記近位端の短軸は、前記遠位端の短軸より長い、請求項１に記載の障壁。
【請求項７】
前記遠位端の長軸は、前記近位端の短軸より短い、請求項６に記載の障壁。
【請求項８】
前記障壁は、実質的に均一厚さを有する材料の熱成形シートを含む、請求項１に記載の障壁。
【請求項９】
前記障壁は、予形成された自己支持構造を備える、請求項１に記載の障壁。
【請求項１０】
前記障壁は、前記近位端と前記遠位端との間に延在する背側長さを有する背側面と、前記近位端と前記遠位端との間に延在する橈側長さを有する橈側面と、前記近位端と前記遠位端との間に延在する掌側長さを有する掌側面とを備え、前記橈側面は、前記背側面と前記掌側面との間に配置され、前記橈側長さは、前記背側長さおよび前記掌側長さより短い、請求項１に記載の障壁。
【請求項１１】
前記障壁は、ユーザが前記障壁と前記ユーザの前腕の橈側隆起とを整合させるための橈側面上の印を備える、請求項１０に記載の障壁。
【請求項１２】
近位タブ長を有する近位タブと、遠位タブ長を有する遠位タブとをさらに備え、前記近位タブは、前記遠位タブより長い、請求項１に記載の障壁。
【請求項１３】
前記遠位タブ長は、前記近位タブ長の約２５％〜約７５％の範囲内である、請求項１２に記載の障壁。
【請求項１４】
前記近位タブおよび前記遠位タブは、独立構成において前記縦軸の周囲に延在する湾曲形状を有するように予形成される、請求項１２に記載の障壁。
【請求項１５】
前記障壁は、ユーザの左前腕に嵌合するように成形される、請求項１に記載の障壁。
【請求項１６】
前記障壁は、ユーザの右前腕に嵌合するように成形される、請求項１に記載の障壁。
【請求項１７】
前記障壁は、前記近位端と前記遠位端との間の背側の背側テーパと、前記近位端と前記遠位端との間の掌側の掌側テーパとを備え、前記掌側テーパは、前記背側テーパを上回る、請求項１に記載の障壁。
【請求項１８】
前記障壁は、対向側の対向縁が相互に向かって引っ張られると、留置構成を備える、請求項１に記載の障壁。
【請求項１９】
前記障壁は、対向側の対向縁が相互に向かって引っ張られると、留置構成を備え、前記障壁の背側、掌側、および橈側面は、前記近位端における近位中心と、遠位端における遠位中心とを画定し、前記障壁の中間部分は、中間背側、掌側、および橈側面とともに中間中心を画定し、前記中間部分の中心は、前記近位中心と前記遠位中心との間に延在する直線から離れて位置する、請求項１に記載の障壁。
【請求項２０】
前記複数の中間背側、橈側、および掌側部分は、複数の中間中心を画定し、前記近位中心、前記中間中心、および前記複数の中間中心は、前記近位中心と前記遠位中心との間に延在する湾曲経路を画定する、請求項１９に記載の障壁。
【請求項２１】
前記近位点を通した前記近位部分の垂直断面は、平面と、前記平面と垂直に前記近位中心から延在する直交軸とを画定し、前記遠位中心は、約１ｃｍ〜約４ｃｍの範囲内である量だけ前記直交軸からオフセットされる、請求項１９に記載の障壁。
【請求項２２】
前記障壁は、約０．４ｍｍ〜約５ｍｍの範囲内の厚さを備える、請求項１に記載の障壁。
【請求項２３】
前記障壁は、約６インチ〜約１１インチの範囲内の縦方向長さを備える、請求項１に記載の障壁。
【請求項２４】
前記障壁は、約１．１〜約１．５の範囲内の前記遠位端を横断した距離に対する前記近位端を横断した距離の比を備える、請求項１に記載の障壁。
【請求項２５】
前記障壁は、予形成された成形障壁を備え、前記障壁は、掌側の掌側縁と、背側の背側縁とを備え、前記掌側縁は、留置のために前記前腕にわたって前進されると、前記背側縁から分離し、前記掌側縁を独立構成から約１インチ前記背側から分離するための力の量は、約２５グラム〜約４００グラムの範囲内である、請求項１に記載の障壁。
【請求項２６】
前記範囲は、約５０グラム〜約１５０グラムである、請求項２５に記載の障壁。
【請求項２７】
前記障壁は、シェルを備え、下層発泡体が、前記障壁のシェルの遠位境界を越えて遠位に延在し、前記発泡体は、前記障壁が前記手首に衝突すると、前記シェルの前端遠位縁にわたって湾曲し、前記シェルの界面に当たり、快適性を提供する、請求項１に記載の障壁。
【請求項２８】
前記障壁は、シェルを備え、下層発泡体が、前記障壁のシェルの遠位境界を越えて遠位に延在し、前記障壁が前記手首に衝突すると、前記シェルの界面に当たり、快適性を提供する、請求項１に記載の障壁。
【請求項２９】
前記障壁は、シェルを備え、前記発泡体は、前記障壁が前記手首に衝突すると、前記シェルの前端遠位縁にわたって湾曲し、前記シェルの界面に当たり、快適性を提供する、請求項１に記載の障壁。
【請求項３０】
前記障壁は、シェルを備え、前記シェルの遠位縁は、前記シェルの厚さと等しい直径を伴う湾曲を有する、請求項１に記載の障壁。
【請求項３１】
前記障壁は、シェルを備え、前記シェルの遠位端は、前記ユーザの前腕から離れて湾曲する、請求項１に記載の障壁。
【請求項３２】
前記シェルは、２ｍｍ〜５ｍｍの湾曲半径を伴って前記ユーザの前腕から離れて湾曲する、請求項３１に記載の障壁。
【請求項３３】
前記障壁は、前記障壁の荷重をユーザの手首上に分散させるために約３ｍｍ〜１．５ｃｍの範囲内の変位を伴うシェルの遠位縁における橈側湾曲を有する、シェルを備える、請求項１に記載の障壁。
【請求項３４】
前記障壁は、シェルと、前記シェルの遠位縁の発泡体詰め物とを備える、請求項１に記載の障壁。
【請求項３５】
前記障壁は、厚くされた遠位縁を備える、請求項１に記載の障壁。
【請求項３６】
前記障壁は、デバイスが前記手首の運動に伴って前記手首の背側または橈側または掌側面に当接すると、荷重を分散させるように構成される、請求項１に記載の障壁。
【請求項３７】
ユーザの前腕上に留置するための障壁であって、前記障壁は、
近位端と遠位端との間に延在する縦軸を画定する、湾曲シェルを備え、前記湾曲シェルは、前記縦軸を中心として湾曲を伴って延在し、前記シェルの近位端は、断面を画定し、前記シェルの遠位端は、断面を画定し、前記障壁は、予形成された成形障壁を備え、前記障壁は、掌側の掌側縁と、背側の背側縁とを備え、前記掌側縁は、留置のために前記前腕にわたって前進されると、前記背側縁から分離し、前記掌側縁を独立構成から約１インチ前記背側から分離するための力の量は、約２５グラム〜約４００グラムの範囲内である、
障壁。
【請求項３８】
前記範囲は、約５０グラム〜約１５０グラムである、請求項３７に記載の障壁。
【請求項３９】
方法であって、前記請求項のいずれか１項に記載の障壁を提供するステップを含む、方法。
【請求項４０】
針受器であって、
進入ゾーンおよび収納ゾーンを有する、下構造と、
収納ゾーンを有する、上構造と、
前記下構造と前記上構造との間に１本またはそれを上回る縫合針を受容するための針スロットと、
前記上構造の一部を通して延在する上持針器スロットおよび前記下構造の一部を通して延在する下持針器スロットであって、前記下構造の底側の下突出部は、前記持針器の先端から離れて把持された針が前記針スロットに沿って前進すると、前記持針器のための隙間を提供するために十分な高さを備える、持針器スロットと、
を備える、針受器。
【請求項４１】
前記下突出部は、前記下持針器スロットに沿って延在する差幅を備える、請求項４０に記載の針受器。
【請求項４２】
針受器であって、
下構造および上構造を備える、筐体を備え、前記上構造は、背面照明で前記針受器の収納ゾーン内の針を視認するために、光学的に透過性の材料を含み、前記下構造は、光学的に透過性の材料を含む、
針受器。
【請求項４３】
前記上部分は、前記針を視認するための透明材料を含み、前記下部分は、背面照明光を前記針に通過させるための半透明材料を含む、請求項４２に記載の針受器。
【請求項４４】
前記針受器の収納ゾーン内の針を視認するために、前記上構造を通したスロットをさらに備える、請求項４２に記載の針受器。
【請求項４５】
前記上構造は、持針器を受容するための縦方向スロットを有し、前記収納ゾーンは、複数の針を受容するための伸長針スロットを備え、前記伸長針スロットは、前記上構造と前記下構造との間に延在し、前記針スロット内の針は、前記下構造を通した背面照明で前記上構造を通して視認されることができる、請求項４２に記載の針受器。
【請求項４６】
針受器であって、
進入ゾーンおよび収納ゾーンを有する、下構造と、
収納ゾーンを有する、上構造と、
前記下構造と前記上構造との間に１本またはそれを上回る縫合針を受容するための針スロットと、
を備え、
複数の突出部は、前記針スロットに沿った前記針の位置を示すための触覚フィードバックをユーザに提供するために、周期性を伴って前記針スロットに沿って延在する、
針受器。
【請求項４７】
針受器であって、
進入ゾーンおよび収納ゾーンを有する、下構造と、
収納ゾーンと、前記収納ゾーンに沿って延在する、持針器スロットとを有する、上構造と、
前記下構造と前記上構造との間に１本またはそれを上回る縫合針を受容するための針スロットと、
を備え、
複数の突出部は、前記持針器スロットに沿った前記持針器の深さに関する触覚フィードバックをユーザに提供するために前記持針器スロットに沿って延在する、
針受器。
【請求項４８】
前記複数の突出部は、歯、傾斜歯、歯止め歯、または円形カットアウトのうちの１つまたはそれを上回るものを備える、請求項４７に記載の針受器。
【請求項４９】
前記複数の突出部は、歯、傾斜歯、歯止め歯、円形カットアウト、フラップ、剛毛、またはフィラメントのうちの１つまたはそれを上回るものを備える、請求項４７に記載の針受器。
【請求項５０】
前記複数の突出部は、前記持針器スロットに沿った前記持針器の深さのインジケーションを提供するための周期性を伴って配列される、請求項４７に記載の針受器。
【請求項５１】
針受器であって、
進入ゾーンおよび収納ゾーンを有する、下構造と、
収納ゾーンを有する、上構造と、
前記下構造と前記上構造との間に１本またはそれを上回る縫合針を受容するための針スロットと、
を備え、
複数の非対称突出部が、前記針スロットに沿った前記針の除去を阻止するために、前記針スロットに沿って延在する、針受器。
【請求項５２】
前記複数の非対称突出部はそれぞれ、頂部まで延在する基部を備え、前記基部は、前記スロットの入口に向かう遠位縁と、前記スロットの近位端上の停止部に向かう近位縁とを備え、前記頂部は、前記遠位縁より前記近位縁の近くに位置する、請求項５１に記載の針受器。
【請求項５３】
前記複数の非対称突出部は、停止部に向かう移動を促進し、前記針が前記収納ゾーン内に留置するために通過される前記スロットの開口部に向かう移動を阻止するために、前記停止部に近位に向かって傾斜された剛毛またはファイバのうちの１つまたはそれを上回るものを備える、請求項５１に記載の針受器。
【請求項５４】
前記進入ゾーンは、前記針受器の遠位端にあって、前記収納ゾーンは、前記針受器の近位端にある、請求項５１−５３のいずれか１項に記載の針受器。
【請求項５５】
前記複数の非対称突出部は、停止部に向かう移動を促進し、前記針が前記収納ゾーン内に留置するために通過される前記スロットの開口部に向かう移動を阻止するために、前記停止部に向かって傾斜された剛毛またはファイバのうちの１つまたはそれを上回るものを備える、請求項５１に記載の針受器。
【請求項５６】
針受器であって、
抵抗を伴って針を受容するための構造を備え、抵抗の量は、約５グラム〜２５０グラムの範囲内である、
針受器。
【請求項５７】
前記力の量は、約１５グラム〜約１５０グラムの範囲内である、請求項５６に記載の針受器。
【請求項５８】
前記力の量は、約２５グラム〜約１００グラムの範囲内である、請求項５６に記載の針受器。
【請求項５９】
前記力の量は、約３０グラム〜約９０グラムの範囲内である、請求項５６に記載の針受器。
【請求項６０】
前記針を除去するための力の量は、前記針を挿入するための力の量を上回る、請求項５６に記載の針受器。
【請求項６１】
前記針受器は、針スロットを備え、前記力の量は、前記針スロットに沿って前記針を前進させるための力の量を含む、請求項５６に記載の針受器。
【請求項６２】
前記針受器は、持針器スロットを備え、前記力の量は、前記持針器を前記持針器スロットに沿って前進させ、前記針を前記針スロット内に収納するための力の量を含む、請求項６１に記載の針受器。
【請求項６３】
方法であって、前記方法は、
針受器の中に針を挿入するステップであって、前記針受器は、約５グラム〜２５０グラムの範囲内の力の量で前記針の挿入に抵抗する、ステップを含む、
方法。
【請求項６４】
前記力の量は、約１５グラム〜約１５０グラムの範囲内である、請求項６３に記載の方法。
【請求項６５】
前記力の量は、約２５グラム〜約１００グラムの範囲内である、請求項６３に記載の方法。
【請求項６６】
前記力の量は、約３０グラム〜約９０グラムの範囲内である、請求項６３に記載の方法。
【請求項６７】
前記針を除去するための力の量は、前記針を挿入するための力の量を上回る、請求項６３に記載の方法。
【請求項６８】
針トラップであって、降着ゾーンと、収納ゾーンとを備え、前記降着ゾーンは、前記収納ゾーンと略同一平面である、針トラップ。
【請求項６９】
方法であって、前記方法は、
針を針受器の降着ゾーンに移動させ、前記針を前記針受器の降着ゾーンから収納ゾーンの中に摺動させるステップを含む、
方法。
【請求項７０】
針受器であって、前記針の中央部分を前記スロット内に懸架しながら、前記針の先端および末端が実質的に封入されることを可能にする、スロット付き構造を備える、針受器。
【請求項７１】
針受器であって、前記針受器は、収納ゾーンに沿ったスロットを備え、前記スロットは、約１０ｍｍのサイズを有する指先より小さく定寸される、針受器。
【請求項７２】
針受器であって、針溝からの針の回転移動を阻止するために十分に小さい厚さを有する、針溝を備える、針受器。
【請求項７３】
滅菌障壁キットであって、
滅菌パッケージと、
前記パッケージ内に含有される滅菌障壁と、
を備え、
前記キットは、局所麻酔、脊椎麻酔、緊急治療室縫合、または静脈内（ＩＶ）ライン留置のうちの１つまたはそれを上回るものために構成される、
滅菌障壁キット。
【請求項７４】
前記キットは、局所麻酔、脊椎麻酔、緊急治療室縫合、静脈内（ＩＶ）ライン、動脈ライン、または中枢ライン留置のうちの１つまたはそれを上回るものために構成される、前記請求項に記載の滅菌障壁キット。
【請求項７５】
前記針受器は、ある範囲の針に合わせて定寸され、随意に、より小さい持針器のためのより小さいスロットを備え、前記スロットは、前記トラップが格納するように設計される最大針の直径以下の幅を備える、前記請求項のいずれか１項に記載の針受器。
【請求項７６】
前記持針器のための縦方向スロットは、全範囲にわたるスロットを備え、前記スロットは、前記針受器の両側を通して延在する、前記請求項のいずれか１項に記載の針受器。
【請求項７７】
前記持針器のための縦方向スロットまたは溝は、下中実壁を備え、前記壁は、前記持針器の先端が前記針収納スロット平面を越えて突出することを可能にするために十分な深さに位置し、前記持針器溝またはスロットは、約０．１ｍｍ〜約１０ｍｍの範囲内の距離だけ前記針スロットの真下に延在する、前記請求項のいずれか１項に記載の針受器。
【請求項７８】
前記針受器は、前記針が前記スロットに沿って引っ張られるにつれて平行移動に対して可変抵抗を生成する、前記スロットの１つまたはそれを上回る側面に対する構造によって境界される縦方向スロットを備え、随意に、前記可変抵抗は、前記針が前記スロットに沿って引っ張られるにつれて、前記針の圧縮を増加させ、触覚フィードバックを提供するために、前記針スロットの中に突出する、離散または非対称特徴のうちの１つまたはそれを上回るもので提供される、前記請求項のいずれか１項に記載の針受器。
【請求項７９】
前記針受器は、収納ゾーンを備え、前記前腕に適用されることができ、１２ｃｍ未満の幅および２６ｃｍ未満の長さを備える、前記請求項のいずれか１項に記載の針受器。
【請求項８０】
圧縮部材が、針を収納し、並置された表面に対する前記針の移動に対する抵抗を提供するように構成され、前記発泡体構造は、前記発泡体と前記並置された表面との間に２ｍｍ未満の間隙を備える、前記請求項のいずれか１項に記載の針受器。
【請求項８１】
針受器の中に針を挿入する方法であって、前記方法は、
前記針を前腕に結合される前記針受器の進入ゾーンに留置するステップと、
前記前腕の平面に沿って前記針を移動させ、前記針受器の筐体内に前記針を収納するステップと、
を含む、方法。
【請求項８２】
前記障壁は、前記障壁の外面内に陥凹を備え、前記陥凹は、針受器の少なくとも一部をその中に受容し、前記針受器を薄型で前記障壁に結合するように構成される、前記請求項のいずれか１項に記載の障壁。
【請求項８３】
前記障壁は、針受器が薄型で前記障壁上に提供されるように統合された針受器を備える、前記請求項のいずれか１項に記載の障壁。
【請求項８４】
前記針受器は、少なくとも部分的に、前記針受器の縦方向持針器スロットを被覆し、前記持針器スロットを通した針先端の暴露のリスクを低減させるように構成される、持針器スロットカバーを備える、前記請求項のいずれか１項に記載の針受器。
【請求項８５】
前記持針器スロットカバーは、持針器先端が前記持針器スロットに沿って平行移動されると、弾性的に変形するように構成される、１つまたはそれを上回る可撓性ストリップを備える、請求項８４に記載の針受器。
【請求項８６】
前記持針器スロットカバーは、前記持針器スロットにわたって配置される可撓性ストリップを備え、前記可撓性ストリップは、前記持針器スロットにわたって位置付けられ、前記持針器スロットに沿って縦方向に延在する、縦方向細隙を備える、請求項８５に記載の針受器。
【請求項８７】
前記可撓性ストリップはさらに、前記持針器スロットの長さにわたって配置され、前記縦方向細隙に対して直交して延在する、複数の垂直細隙を備える、請求項８６に記載の針受器。
【請求項８８】
前記持針器スロットカバーは、透明材料を含む、請求項８５に記載の針受器。
【請求項８９】
前記持針器スロットカバーは、前記針受器に摺動可能に結合され、前記持針器先端が前記持針器スロットに沿って平行移動されると、前記持針器スロットを暴露または被覆するように摺動するように構成される、請求項８４に記載の針受器。
【請求項９０】
前記持針器スロットカバーは、前記持針器スロットの縦軸に沿って摺動するように構成される、請求項８９に記載の針受器。
【請求項９１】
前記持針器スロットカバーは、前記持針器スロットの縦軸に直交する軸に沿って摺動するように構成される、請求項８９に記載の針受器。
【請求項９２】
前記針受器は、持針器スロットの第１の縦方向縁に沿って側方に搭載される圧縮部材を備え、前記圧縮部材は、前記持針器スロットに沿った持針器先端の平行移動によって変位され、前記持針器スロットからの持針器先端の除去に応じて、前記第１の縁の対向する持針器スロットの第２の縦方向縁に向かって暴露された針の端部を圧縮押動するように構成される、前記請求項のいずれか１項に記載の針受器。
【請求項９３】
前記圧縮部材は、前記持針器スロットの縦軸に直交する方向に圧縮力を提供するように構成される、請求項９２に記載の針受器。
【請求項９４】
前記針受器の筐体は、光導波路を備え、前記針受器は、背面照明を提供するために光を前記光導波路に伝送するように構成される光源に結合される、前記請求項のいずれか１項に記載の針受器。
【請求項９５】
前記針受器の筐体は、それを通して非均一光伝送を提供するための光散乱材料または表面を備える、前記請求項のいずれか１項に記載の針受器。
【請求項９６】
前記光散乱表面は、前記下構造または上構造の表面である、請求項９５に記載の針受器。
【請求項９７】
前記光散乱表面は、粗面化された表面である、請求項９５に記載の針受器。
【請求項９８】
前記光散乱表面は、サンドブラストされた表面である、請求項９５に記載の針受器。
【請求項９９】
スエージ加工針を分配および収納するための装置であって、前記装置は、
上部分、底部分、および側壁を備える、筐体と、
前記筐体の上部分に結合されるスエージ加工針であって、前記スエージ加工針は、取り付けられた縫合糸を備える、スエージ加工針と、
を備え、
前記取り付けられた縫合糸は、前記側壁に巻き付けられ、
前記スエージ加工針の前端は、被覆される、
装置。
【請求項１００】
前記筐体は、前記筐体の中心軸を中心として前記筐体の回転を可能にするように構成されるスピンドルを備える、請求項９９に記載の装置。
【請求項１０１】
前記装置はさらに、前記装置を障壁に搭載するための搭載機構を備える、請求項９９に記載の装置。
【請求項１０２】
前記筐体の高さは、約０．３ｍｍ〜約１５ｍｍの範囲内である、請求項９９に記載の装置。
【請求項１０３】
前記筐体の幅は、約１．５ｃｍ〜約８ｃｍの範囲内である、請求項９９に記載の装置。
【請求項１０４】
前記装置は、積み重ねられた構成で別の同じ装置に結合するように構成される、請求項９９に記載の装置。
【請求項１０５】
前記筐体は、前記上部分に結合される蓋を備え、前記スエージ加工針は、前記蓋によって被覆される、請求項９９に記載の装置。
【請求項１０６】
前記筐体の上部分は、前記スエージ加工針の前端を受容し、前記スエージ加工針をそこに収納するためのスロットを備える、請求項９９に記載の装置。
【請求項１０７】
スエージ加工針を分配および収納するための装置であって、前記装置は、
底部分と、前記底部分から延在する側壁とを備える、筐体と、
前記底部分の表面から延在する複数のスピンドルと、
前記筐体に結合されるスエージ加工針であって、前記スエージ加工針は、取り付けられた縫合糸を備える、スエージ加工針と、
を備え、
前記取り付けられた縫合糸は、前記複数のスピンドルのうちの少なくとも２つに巻き付けられる、
装置。
【請求項１０８】
前記複数のスピンドルは、対で前記底部分上に配列され、前記縫合糸は、第１の対のスピンドルに巻き付けられる、請求項１０７に記載の装置。
【請求項１０９】
前記筐体に結合される第２のスエージ加工針をさらに備え、前記第２のスエージ加工針は、取り付けられた第２の縫合糸を備え、前記第２の縫合糸は、第２の対のスピンドルに巻き付けられる、請求項１０８に記載の装置。
【請求項１１０】
手術道具に搭載するための針受器であって、前記針受器は、
針を受容し、前記針をその中に収納するための平面針スロットを備える、筐体と、
前記手術道具の遠位端に結合するように構成される、道具搭載界面と、
前記筐体を前記道具搭載界面に結合するように構成される、結合機構と、
を備える、針受器。
【請求項１１１】
前記筐体は、少なくとも５本の針をその中に受容するように構成される、請求項１１０に記載の針受器。
【請求項１１２】
前記道具搭載界面は、前記手術道具の遠位端にわたって嵌合するように構成されるエラストマキャップを備える、請求項１１０に記載の針受器。
【請求項１１３】
前記筐体は、剛性エンクロージャの長さに沿って整合される平面アレイ内に複数の針を受容するように構成される、剛性エンクロージャを備える、請求項１１０に記載の針受器。
【請求項１１４】
前記筐体は、コンパートメントの円形アレイを備え、各コンパートメントは、単一針をその中に受容するように構成され、前記コンパートメントの円形アレイは、各コンパートメントにアクセスすることを可能にするように前記筐体の中心軸を中心として回転するように構成される、請求項１１０に記載の針受器。
【請求項１１５】
持針器スロットは、上溝および下溝を備え、前記上溝および前記下溝は、丸みを帯びた縁を備える、前記請求項のいずれか１項に記載の針受器。
【請求項１１６】
持針器スロットは、上溝および下溝を備え、前記上溝の幅は、前記下溝の幅を上回る、前記請求項のいずれか１項に記載の針受器。
【請求項１１７】
持針器スロットは、上溝および下溝を備え、前記上溝および前記下溝は、ベベル縁を備える、前記請求項のいずれか１項に記載の針受器。
【請求項１１８】
持針器スロットが、上溝と、下溝とを備え、前記上溝および下溝の縁は、角度付けられ、共線状である、前記請求項のいずれか１項に記載の針受器。
【請求項１１９】
持針器スロットが、上溝と、下溝とを備え、前記上溝および下溝の縁は、延長湾曲平面の小区分に対応する、前記請求項のいずれか１項に記載の針受器。
【請求項１２０】
針取扱システムであって、前記針取扱システムは、
その中に収納される複数の滅菌針を備える、針分配ユニットと、
複数の使用済み針を平面アレイ内に受容するように構成される平面針スロットを備える、針受器と、
上側および底側を備える、障壁搭載基部であって、前記上側は、前記針分配ユニットおよび前記針受器に結合するように構成され、前記底側は、障壁に結合するように構成される、障壁搭載基部と、
を備える、針取扱システム。
【請求項１２１】
前記障壁搭載基部は、前記針分配ユニットに結合するように構成される第１の部分と、前記針受器に結合するように構成される第２の部分とを備え、前記障壁搭載基部はさらに、前記第１の部分と前記第２の部分との間に配置され、前記第１の部分が前記第２の部分に対して屈曲することを可能にする、ヒンジを備える、請求項１２０に記載の針取扱システム。
【請求項１２２】
前記針受器は、第１の圧縮部材と、第２の圧縮部材とを備え、前記圧縮部材間に前記針を閉じ込めるように、前記第１の圧縮部材は、針の前端に係合するように構成され、第２の圧縮部材は、前記針の終端に係合するように構成される、前記請求項のいずれか１項に記載の針受器。
【請求項１２３】
前記針受器は、針の１つまたはそれを上回る端部を受容および封入し、圧縮力を前記１つまたはそれを上回る端部に印加し、前記１つまたはそれを上回る端部をその中に収納するように構成される、１つまたはそれを上回るクリップを備える、前記請求項のいずれか１項に記載の針受器。
【請求項１２４】
針受器であって、
複数のコンパートメントを備える、筐体であって、各コンパートメントは、単一針をその中に含有するように構成される、筐体と、
前記筐体に結合される回転可能カバーであって、前記回転可能カバーは、窓を備え、前記回転可能カバーは、前記筐体の中心軸を中心として回転し、前記窓と単一コンパートメントを整合させ、前記窓を通して前記単一コンパートメントにアクセスすることを可能にするように構成される、回転可能カバーと、
を備える、針受器。
【請求項１２５】
分配ユニットおよび使用済み針保管場所の両方の組み合わせを前記鉗子上で関連付けるステップをさらに含む、前記請求項のいずれか１項に記載の方法、装置、針受器、キット、または障壁。
【請求項１２６】
縫合パッケージおよび針受器の１つを上回る設定は、使用のための準備ができている、前記請求項のいずれか１項に記載の方法、装置、針受器、キット、または障壁。
【請求項１２７】
使用済み針受器と組み合わせた滅菌使い捨て鉗子、針、および縫合パッケージを備える、前記請求項のいずれか１項に記載の方法、装置、針受器、キット、または障壁。
【請求項１２８】
前記使用済み針受器と組み合わせた滅菌使い捨て鉗子、針、および縫合パッケージは、共通パッケージの中に同時に製造される、前記請求項のいずれか１項に記載の方法、装置、針受器、キット、または障壁。
【請求項１２９】
平衡手術用鉗子が、前記鉗子上に取り付けられた針保定デバイスを有する、前記請求項のいずれか１項に記載の方法、装置、針受器、キット、または障壁。
【請求項１３０】
構成が、対向側に前記縫合パッケージおよび針受器の背中合わせ関係を備える、前記請求項のいずれか１項に記載の方法、装置、針受器、キット、または障壁。
【請求項１３１】
前記縫合パッケージおよび針受器は、前記鉗子に取り付けられ、１本またはそれを上回る針の先端および端部（末端）の両方の含有、被覆、収納を可能にする、前記請求項のいずれか１項に記載の方法、装置、針受器、キット、または障壁。
【請求項１３２】
鉗子搭載型針受器が、使用済み針の編成された留置またはアレイを助長し、計数および針計数の照合を促進する、前記請求項のいずれか１項に記載の方法、装置、針受器、キット、または障壁。
【請求項１３３】
針受器が、５本の針のためのサイズおよび形状を伴って構成され、針毎に１つずつの５つのゾーンを備える、前記請求項のいずれか１項に記載の方法、装置、針受器、キット、または障壁。
【請求項１３４】
個々のゾーンの中への局在化を促進するために５つの触覚バンプを備える、前記請求項のいずれか１項に記載の方法、装置、針受器、キット、または障壁。
【請求項１３５】
個々のゾーンの中への局在化を促進するために２〜２０の触覚バンプを備える、前記請求項のいずれか１項に記載の方法、装置、針受器、キット、または障壁。
【請求項１３６】
個々のゾーンの中への局在化を促進するために５〜８つの触覚バンプを備える、前記請求項のいずれか１項に記載の方法、装置、針受器、キット、または障壁。
【請求項１３７】
個々のゾーンの中への局在化を促進するために３〜１０の触覚バンプを備える、前記請求項のいずれか１項に記載の方法、装置、針受器、キット、または障壁。
【請求項１３８】
針外形コントラストを向上させるための背面照明のために構成される、前記請求項のいずれか１項に記載の方法、装置、針受器、キット、または障壁。
【請求項１３９】
５つのゾーンに特定の光源を備え、前記針受器の中への針あたり１つの光源を提供するように構成され、前記光源は、前記針受器上に位置する、前記請求項のいずれか１項に記載の方法、装置、針受器、キット、または障壁。
【請求項１４０】
前記トラップ上の５つの光源またはセンサは、前記障壁と結合され、前記障壁は、前記針受器内のトラップの中の針の数に従って照明する５つの光源で構成される、前記請求項のいずれか１項に記載の方法、装置、針受器、キット、または障壁。
【請求項１４１】
歯止め計数機構を伴う平行移動式スロットカバーを備える、前記請求項のいずれか１項に記載の方法、装置、針受器、キット、または障壁。
【請求項１４２】
針装置であって、
一対の対向針受器を備え、各針受器は、前側および後側と、前記前側の針を受容するための開口部とを有し、前記後側は、相互に向かって配向され、前記前側は、相互から離れるように配向される、
針装置。
【請求項１４３】
針装置であって、
一対の対向縫合パッケージを備え、各縫合パッケージは、前側と、後側とを有し、前記前側は、そこから複数の針にアクセスするために開放され、前記後側は、相互に向かって配向され、前記前側は、相互から離れるように配向される、
針装置。
【請求項１４４】
針装置であって、
前側および後側を有し、かつ前記前側の針を受容するための開口部を有する、針受器と、
前側および後側を有する、縫合パッケージであって、前記前側は、そこから複数の針にアクセスするために開放され、前記後側は、相互に向かって配向され、前記前側は、相互から離れるように配向される、縫合パッケージと、
を備える、針装置。
【請求項１４５】
前記針装置を手術器具上に搭載するための界面をさらに備え、前記界面は、随意に、前記器具の近位端を受容するためのスロットを備える、前記請求項のいずれか１項に記載の針装置。
【請求項１４６】
前記針装置を鉗子上に搭載するための界面をさらに備え、前記界面は、随意に、前記鉗子の近位端を受容するためのスロットを備える、前記請求項のいずれか１項に記載の針装置。
【請求項１４７】
前記針装置をピンセット上に搭載するための界面をさらに備え、前記界面は、随意に、前記ピンセットの近位端を受容するためのスロットを備える、前記請求項のいずれか１項に記載の針装置。
【請求項１４８】
前記界面は、接着剤を備える、前記請求項のいずれか１項に記載の針装置。
【請求項１４９】
前記対向後側は、共通軸を中心として回転可能である、前記請求項のいずれか１項に記載の針装置。
【請求項１５０】
前記対向後側は、独立して、共通軸を中心として回転可能である、前記請求項のいずれか１項に記載の針装置。
【請求項１５１】
一対の使い捨て鉗子をさらに備える、前記請求項のいずれか１項に記載の針装置。
【請求項１５２】
前記装置は、滅菌されており、滅菌パッケージ内に含有される、前記請求項のいずれか１項に記載の針装置。
【請求項１５３】
前記障壁は、詰め物層と、機械的障壁層とを備え、１つまたはそれを上回る磁石が、１つまたはそれを上回る磁石が前記詰め物層と前記機械的障壁層との間に配置されるように、前記詰め物層に面する前記機械的障壁層の表面に結合される、前記請求項のいずれか１項に記載の障壁。
【請求項１５４】
前記障壁は、ポリマー材料を含む機械的障壁層を備える、前記請求項のいずれか１項に記載の障壁。
【請求項１５５】
前記障壁は、約０．５ｍｍ〜約５ｍｍの範囲内の厚さを伴うポリマー材料を含む、前記請求項のいずれか１項に記載の障壁。
【請求項１５６】
縫合針を取り扱うための方法であって、前記方法は、
支持体上に搭載される縫合パッケージから縫合針を分配するように、持針器を用いて前記縫合針を把持するステップと、
前記支持体上に搭載される針受器の中に前記分配された縫合針を留置するステップと、
を含む、方法。
【請求項１５７】
前記分配された縫合針の先端は、前記把持するステップおよび前記留置するステップ中に外科医から離して配向される、請求項１５６に記載の方法。
【請求項１５８】
前記分配された縫合針は、前記把持するステップから前記留置するステップまで２フィート未満進行する、請求項１５６に記載の方法。
【請求項１５９】
前記縫合針は、前記把持するステップから前記留置するステップまで４フィート未満の往復距離を進行する、請求項１５６に記載の方法。
【請求項１６０】
前記縫合針は、前記縫合パックから創傷まで２フィート以下および前記創傷から前記針受器まで２フィート以下進行する、請求項１５９に記載の方法。
【請求項１６１】
前記分配された縫合針は、前記把持するステップおよび留置するステップ中に近傍手術野内に留まる、請求項１５６に記載の方法。
【請求項１６２】
前記近傍手術野は、外科医の胴体の前側から切開部まで延在する長さ、中立回転位置で前記外科医の前腕の間に延在する幅、および前記切開部の高さから前記外科医の肩まで垂直に延在する高さによって境界される、請求項１６１に記載の方法。
【請求項１６３】
前記縫合パッケージおよび前記針受器は、前記外科医が前記縫合パッケージから複数の針を分配し、外科医の腕の解剖学的中立平面に対して前記腕の外旋を伴わずに前記針受器の中に前記複数の針を留置するために配列される、請求項１５６に記載の方法。
【請求項１６４】
前記縫合パッケージおよび前記針受器は、前記外科医が前記縫合パッケージから複数の針を分配し、外科医の腕の外旋を伴わずに前記外科医の冠状平面を越えて前記針受器の中に前記複数の針を留置するために配列される、請求項１５６に記載の方法。
【請求項１６５】
前記縫合パッケージおよび前記針受器は、前記外科医が前記縫合パッケージから複数の針を分配し、外科医の腕の外旋を伴わずに前記外科医の肩における前記外科医の冠状平面と垂直な平面を越えて前記針受器の中に前記複数の針を留置するために配列される、請求項１５６に記載の方法。
【請求項１６６】
前記縫合パッケージおよび前記針受器は、前記外科医が前記縫合パッケージから複数の針を分配し、外科医の腕の外旋を伴わずに前記外科医の肩における冠状平面を二分する矢状平面を越えて前記針受器の中に前記複数の針を留置するために配列される、請求項１５６に記載の方法。
【請求項１６７】
前記縫合パッケージおよび前記針受器は、前記外科医が前記縫合パッケージから複数の針を分配し、外科医の腕の外旋を伴わずに前記外科医の中央矢状平面を越えて前記針受器の中に前記複数の針を留置するために配列される、請求項１５６に記載の方法。
【請求項１６８】
前記近傍手術野は、前記切開部の約２フィート、前記切開部の１．５フィート、もしくは前記切開部の１フィートのうちの１つまたはそれを上回るもの以内に配置される空間を備える、請求項１６１に記載の方法。
【請求項１６９】
前記縫合パッケージおよび前記針受器は、前記支持体に取り付けられた、請求項１５６に記載の方法。
【請求項１７０】
複数の縫合針が前記縫合パッケージから分配され、前記針受器の中に留置されるまで、前記把持するステップおよび留置するステップを繰り返すステップをさらに含む、請求項１５６に記載の方法。
【請求項１７１】
前記分配された縫合針は、縫合糸に取り付けられ、前記方法はさらに、前記分配された縫合針および前記持針器を用いて患者の中に前記縫合糸を設置するステップを含む、請求項１５６に記載の方法。
【請求項１７２】
複数の縫合糸が前記患者の中に設置されるまで、前記把持、設置、および留置するステップを繰り返すステップをさらに含む、請求項１７１に記載の方法。
【請求項１７３】
前記縫合パックおよび前記針受器は、外科医が片手で前記把持するステップおよび留置するステップを行うために配列される、請求項１５６に記載の方法。
【請求項１７４】
前記支持体は、外科医によって制御される可動支持体を備える、請求項１５６に記載の方法。
【請求項１７５】
前記針受器は、前記針受器上で安定して支持される縫合糸の１つまたはそれを上回るリールからスエージ加工針の縫合糸を分配するために、前記スエージ加工針に結合される縫合糸の１つまたはそれを上回るリールを安定した構成に留置するように位置する構造を備える、請求項１５６に記載の方法。
【請求項１７６】
前記縫合パックは、前記縫合パック上で安定して支持される構造から縫合糸の１つまたはそれを上回るリールおよび針を分配するために、それぞれスエージ加工針上に結合された縫合糸の１つまたはそれを上回るリールを安定構成の中に留置するように位置する構造を備える、請求項１５６に記載の方法。
【請求項１７７】
前記縫合パックは、前記縫合パック上で安定して支持される１つまたはそれを上回るリールからスエージ加工針の縫合糸を分配するために、スエージ加工針に結合された縫合糸の１つまたはそれを上回るリールを安定構成の中に留置するように位置する構造を備える、請求項１５６に記載の方法。
【請求項１７８】
片手で前記分配された縫合針に取り付けられた縫合糸を切断するステップをさらに含む、請求項１５６に記載の方法。
【請求項１７９】
前記支持体は、外科医によって支持される障壁を備える、請求項１５６に記載の方法。
【請求項１８０】
前記障壁を前記外科医の肢に結合するステップをさらに含む、請求項１７９に記載の方法。
【請求項１８１】
前記障壁を前記外科医の肢に解放可能に結合するステップをさらに含む、請求項１７９に記載の方法。
【請求項１８２】
トレイ上で支持される複数の縫合パッケージの間で前記縫合パッケージを選択し、前記縫合パッケージを前記障壁上に留置するステップをさらに含む、請求項１７９に記載の方法。
【請求項１８３】
トレイ上で支持される複数の針受器の間で前記針受器を選択し、前記針受器を前記障壁上に留置するステップをさらに含む、請求項１７９に記載の方法。
【請求項１８４】
前記縫合パッケージ、前記針受器、および前記支持体は、滅菌されている、請求項１５６に記載の方法。
【請求項１８５】
前記支持体もしくは前記障壁のうちの１つまたはそれを上回るものは、前記障壁から延在する１つまたはそれを上回る構造で、外科医の手の後部分の上に留置するために構成される、請求項１７９に記載の方法。
【請求項１８６】
前記縫合パッケージおよび前記針受器は、内蔵パッケージを備え、前記内蔵パッケージは、前記縫合パッケージおよび前記針受器で支持される複数の非侵害性針を伴って、ともに外科医から助手に、およびその逆に渡されることが可能である、請求項１５６に記載の方法。
【請求項１８７】
前記縫合パッケージは、前記針受器に取り付けられる、請求項１８６に記載の方法。
【請求項１８８】
前記縫合パッケージは、ヒンジ付き支持部材で前記針受器に可撓的に取り付けられる、請求項１８６に記載の方法。
【請求項１８９】
前記縫合パッケージおよび針受器の組み合わせは、前記外科医の手の上の支持体に取り付けられる、請求項１８６に記載の方法。
【請求項１９０】
前記縫合パッケージおよび針受器の組み合わせは、前記外科医の手の上の前記支持体に共形化可能に取り付けられ、前記縫合パックは、相互に対して４５度未満の斜角にある平面縫合パッケージおよび前記針受器を備え、前記縫合パッケージおよび前記針受器はそれぞれ、前記針受器の外形を減少させるように前記支持体と接触し、前記縫合パッケージは、前記支持体上にともに組み立てられる、請求項１８６に記載の方法。
【請求項１９１】
前記縫合パッケージおよび前記トラップは、障壁のサイズを減少させるために、少なくとも部分的に、重複する、請求項１８６に記載の方法。
【請求項１９２】
前記縫合パッケージおよび前記トラップは、障壁上の縫合パッケージおよび前記トラップの占有面積を減少させるために、少なくとも部分的に、重複する、請求項１８６に記載の方法。
【請求項１９３】
前記パッケージおよび前記針受器トラップは、近位から遠位の方向に重複する、請求項１９１に記載の方法。
【請求項１９４】
前記縫合パッケージおよび針受器は、内側から外側の方向に重複する、請求項１９１に記載の方法。
【請求項１９５】
前記縫合パッケージおよび前記針受器は、取付機構を備え、前記縫合パッケージは、標準的な市販の針パッケージを備える、請求項１８６に記載の方法。
【請求項１９６】
針受器取付機構は、前記針受器の側方境界または遠位境界のうちの１つまたはそれを上回るものへの縫合パッケージの取付を可能にする、請求項１８６に記載の方法。
【請求項１９７】
前記障壁を前記外科医の肢に結合するステップは、前記外科医の前腕の掌側部分にわたって前記障壁を留置するステップを含む、請求項１８０に記載の方法。
【請求項１９８】
前記針受器は、前記外科医の掌側前腕にわたって留置される、請求項１９７に記載の方法。
【請求項１９９】
前記針受器は、前記掌側前腕にわたって留置された平面構造を備える、請求項１９８に記載の方法。
【請求項２００】
前記針受器は、前記掌側前腕にわたって留置された平面構造を備え、随意に、前記平面構造は、前記掌側前腕の中間部分にわたって留置される、請求項１９９に記載の方法。
【請求項２０１】
前記針受器は、針ホルダを保持する手が若干回外されると、使用済み針の容易な挿入を可能にするために前記掌側前腕にわたって配列され、前記針は、前記針受器の開口部の中に前記使用済み針を整合および留置するために、肩関節回転に伴う持針器を保持する腕の回転で前記針受器内に留置される、請求項１９９に記載の方法。
【請求項２０２】
前記針受器は、針ホルダを保持する手が若干回内されると、使用済み針の容易な挿入を可能にするために前記掌側前腕にわたって配列され、前記針は、前記針受器の開口部の中に前記使用済み針を整合および留置するために、肩関節回転に伴う持針器を保持する腕の回転で前記針受器内に留置される、請求項１９９に記載の方法。
【請求項２０３】
前記針受器は、縦方向長さ、横方向幅、および高さを備え、前記長さは、前記幅および前記高さを上回り、前記幅は、前記高さを上回り、随意に、前記長さは、約４ｃｍ〜約１５ｃｍの範囲内であり、前記幅は、約３ｃｍ〜約６ｃｍの範囲内であり、前記高さは、約０．５ｃｍ〜約２ｃｍの範囲内である、請求項１９９に記載の方法。
【請求項２０４】
前記障壁を前記外科医の肢に結合するステップは、
前記障壁の側面から延在する脚部を提供するステップと、
前記外科医の前腕上で前記障壁を安定させるように、前記外科医の肢上で前記脚部を係合させるステップと、
を含む、請求項１８０に記載の方法。
【請求項２０５】
前記外科医の肢上で前記脚部を係合させるステップは、前記外科医の前腕の遠位部分もしくは近位部分のうちの１つまたはそれを上回るものに係合するステップを含む、請求項２０４に記載の方法。
【請求項２０６】
前記脚部は、第１の部分もしくは第２の部分のうちの１つまたはそれを上回るもの上の安定した留置のために、少なくとも複数の脚部を備える、請求項２０５に記載の方法。
【請求項２０７】
前記脚部は、スラップブレスレットを備える、請求項２０５に記載の方法。
【請求項２０８】
前記脚部は、第１の脚部と、第２の脚部とを備え、前記方法はさらに、前記障壁を前記外科医の肢に固着させるように、前記第１の脚部上に第１の結合機構および前記第２の脚部上に第２の結合機構を収納するステップを含む、請求項２０４に記載の方法。
【請求項２０９】
前記縫合パッケージを前記障壁に結合するステップをさらに含む、請求項１７９に記載の方法。
【請求項２１０】
前記針受器を前記障壁に結合するステップをさらに含む、請求項１７９に記載の方法。
【請求項２１１】
前記支持体もしくは前記障壁のうちの１つまたはそれを上回るものは、前記縫合針との接触から前記外科医の肢を保護するように構成される障壁層を備える、請求項１８０に記載の方法。
【請求項２１２】
前記支持体は、外科医によって保持される手術道具を備える、請求項１５６に記載の方法。
【請求項２１３】
前記外科医は、他方の手で前記手術道具を保持しながら、一方の手で前記把持するステップおよび留置するステップを行う、請求項２１２に記載の方法。
【請求項２１４】
複数の縫合パッケージは、前記支持体上に搭載される、請求項１５６に記載の方法。
【請求項２１５】
前記針受器の中に前記分配された縫合針を留置するステップは、前記針受器内で前記分配された縫合針の両端を非侵害性の状態にするステップを含む、請求項１５６に記載の方法。
【請求項２１６】
前記針受器の中に前記分配された縫合針を留置するステップは、前記分配された縫合針の先端に対して前記針受器の構成要素を圧縮するステップを含む、請求項１５６に記載の方法。
【請求項２１７】
前記針受器の中に前記分配された縫合針を留置するステップは、前記分配された縫合針を前記針受器内の発泡材料と接触させるステップを含む、請求項１５６に記載の方法。
【請求項２１８】
前記針受器の中に前記分配された縫合針を留置するステップは、前記針受器の中に前記分配された縫合針を誘導するテーパ状構造の中に前記分配された縫合針の先端を留置するステップを含む、請求項１５６に記載の方法。
【請求項２１９】
前記針受器のドアを開放するように、前記ドアに結合されるレバーを作動させるステップをさらに含む、請求項１５６に記載の方法。
【請求項２２０】
前記ドアを通して前記針受器に前記分配された縫合針を挿入するステップをさらに含む、請求項２１９に記載の方法。
【請求項２２１】
前記ドアを閉鎖するように前記レバーを作動させるステップをさらに含む、請求項２２０に記載の方法。
【請求項２２２】
前記持針器を用いて前記縫合針を把持する前に、前記縫合パッケージが前記持針器に面するように、前記支持体を回転させるステップをさらに含む、請求項１５６に記載の方法。
【請求項２２３】
前記持針器を用いて前記針受器の中に前記分配された縫合針を留置する前に、前記針受器が前記持針器に面するように、前記支持体を回転させるステップをさらに含む、請求項１５６に記載の方法。
【請求項２２４】
前記針受器は、仕切によって分離される複数のチャネルを備え、前記針受器の中に前記分配された縫合針を留置するステップは、前記複数のチャネルのうちの１つの中に前記分配された縫合針を留置するステップを含む、請求項１５６に記載の方法。
【請求項２２５】
複数の縫合針は、前記縫合パッケージから分配され、前記針受器の中に前記分配された縫合針を留置するステップは、前記複数のチャネルのうちの異なる１つの中に前記複数の分配された縫合針のそれぞれを留置するステップを含む、請求項２２４に記載の方法。
【請求項２２６】
前記仕切は、前記分配された縫合針の近位端もしくは遠位端のうちの１つまたはそれを上回るものを囲繞する、請求項２２４に記載の方法。
【請求項２２７】
前記針受器は、透明構造を備える、請求項１５６に記載の方法。
【請求項２２８】
前記支持体は、手術用鉗子の近位部分に結合される、請求項１５６に記載の方法。
【請求項２２９】
前記縫合パッケージもしくは前記針受器のうちの１つまたはそれを上回るものは、手術用鉗子の近位部分に結合される、請求項１５６に記載の方法。
【請求項２３０】
前記縫合パッケージおよび前記針受器は、外科医が近傍手術野内の複数の分配されていない針および複数の分配された針を計数するために配列される、請求項１５６に記載の方法。
【請求項２３１】
前記縫合パッケージおよび前記針受器は、外科医が近傍手術野内で針保有量を維持するために配列される、請求項１５６に記載の方法。
【請求項２３２】
前記縫合パッケージおよび前記針受器は、外科医が近傍手術野内の針保有量を照合させるために配列される、請求項１５６に記載の方法。
【請求項２３３】
前記支持体上に搭載される針受器の中に前記分配された縫合針を留置するステップはさらに、前記針を前記針受器に収納するステップを含む、請求項１５６に記載の方法。
【請求項２３４】
縫合針を取り扱うための装置であって、前記装置は、
複数の縫合針を分配するように構成される縫合パッケージと、
複数の分配された縫合針を格納するように構成される針受器と、
前記縫合パッケージもしくは前記針受器のうちの１つまたはそれを上回るものを支持するように構成される支持体と、
を備える、装置。
【請求項２３５】
前記針受器は、外科医から離れて配向される前記縫合針の先端を伴って、前記針受器の中に前記縫合針を留置するように配列される、請求項２３４に記載の装置。
【請求項２３６】
前記針受器は、前記縫合針の先端が前記針受器の中への縫合針の平行移動の方向から離れて配向された状態で、前記縫合針を前記針受器内に留置するように配列される、請求項２３４に記載の装置。
【請求項２３７】
前記縫合針は、湾曲縫合針を備え、前記針受器は、前記外科医から離れて配向される前記縫合針の各端部を伴って、前記針受器の中に前記縫合針を留置するように配列される、請求項２３５に記載の装置。
【請求項２３８】
前記針受器は、前記縫合パッケージを受容し、前記縫合パッケージを安定して支持する構造を備える、請求項２３５に記載の装置。
【請求項２３９】
前記縫合パッケージおよび前記針受器は、前記外科医が前記縫合パッケージから複数の針を分配し、前記腕の解剖学的中立平面に対して外科医の腕の外旋を伴わずに前記針受器の中に前記複数の針を留置するために配列される、請求項２３５に記載の装置。
【請求項２４０】
前記縫合パッケージおよび前記針受器は、前記外科医が前記縫合パッケージから複数の針を分配し、外科医の腕の外旋を伴わずに前記外科医の近傍手術野の外側において前記針受器の中に前記複数の針を留置するために配列される、請求項２３５に記載の装置。
【請求項２４１】
前記針受器は、前記針受器上で安定して支持される縫合糸の１つまたはそれを上回るリールからスエージ加工針の縫合糸を分配するために、前記スエージ加工針に結合される縫合糸の１つまたはそれを上回るリールを安定した構成に留置するように位置する構造を備える、請求項２３５に記載の装置。
【請求項２４２】
前記針受器は、前記外科医の腕上の障壁、前記患者を被覆するドレープ、および支持体から選択される群のうちの１つに搭載される共通基部によって安定して支持される前記１つまたはそれを上回るリールからスエージ加工針の縫合糸を分配するために、それぞれスエージ加工針に結合された縫合糸の１つまたはそれを上回るリールを安定構成の中に留置するように位置する構造を備える、請求項２３５に記載の装置。
【請求項２４３】
片手で前記縫合針の縫合糸を切断するために前記支持体とともに配列されるカッタをさらに備える、請求項２３５に記載の装置。
【請求項２４４】
その上に支持された複数の縫合パッケージを有する、滅菌トレイをさらに備える、請求項２３５に記載の装置。
【請求項２４５】
前記縫合パッケージ、前記針受器、および前記支持体は、滅菌されている、請求項２３５に記載の装置。
【請求項２４６】
前記支持体もしくは前記プラットフォームのうちの１つまたはそれを上回るものは、前記プラットフォームから延在する１つまたはそれを上回る構造で、外科医の手の後部分の上に留置するために構成される、請求項２３５に記載の装置。
【請求項２４７】
前記支持体は、前記支持体上で前記縫合パッケージおよび前記針受器を安定して支持するために、ならびに前記支持体が反転または傾斜されると、前記支持体からの縫合パッケージおよび前記針受器の摺動または落下を阻止するために、前記縫合パッケージおよび前記針受器に取り付けられるように構成され、前記支持体は、前記縫合パッケージおよび前記針受器を解放するように構成される、請求項２３４に記載の装置。
【請求項２４８】
前記縫合パックおよび前記針受器は、外科医が片手で把持するステップおよび留置するステップを行うために配列される、請求項２３４に記載の装置。
【請求項２４９】
前記支持体は、外科医によって制御されるように構成される可動支持体を備える、請求項２３４に記載の装置。
【請求項２５０】
前記支持体は、外科医によって支持されるように構成されるプラットフォームを備える、請求項２３４に記載の装置。
【請求項２５１】
前記支持体は、外科医、ドレープ、前記手術台に結合される搭載部、および安定搭載部から選択される群のうちの１つによって支持されるように構成されるプラットフォームを備える、請求項２３４に記載の装置。
【請求項２５２】
前記プラットフォームは、前記プラットフォームを前記外科医の肢に結合するように構成される結合部を備える、請求項２５０に記載の装置。
【請求項２５３】
前記結合部は、前記プラットフォームの側面から延在する１つまたはそれを上回る脚部を備え、前記脚部は、前記外科医の肢に係合するように構成される、請求項２５２に記載の装置。
【請求項２５４】
前記結合部は、スラップブレスレットを備える、請求項２５２に記載の装置。
【請求項２５５】
前記支持体もしくは前記プラットフォームのうちの１つまたはそれを上回るものは、分配された縫合針の１つまたはそれを上回る端部との接触から前記外科医を保護するように構成される障壁を備える、請求項２５２に記載の装置。
【請求項２５６】
前記支持体は、近傍手術野内にプラットフォームを留置するように調節可能支持構造に結合される、プラットフォームを備える、請求項２３４に記載の装置。
【請求項２５７】
前記支持体は、プラットフォームを備え、前記プラットフォームは、近傍手術野内にあり、調節可能支持構造、安定搭載部、およびドレープから成る群のうちの１つに結合される、請求項２３４に記載の装置。
【請求項２５９】
前記支持体は、挟持運動で組織に係合するように構成される、手術用鉗子に結合するように構成される、請求項２３４に記載の装置。
【請求項２６０】
前記支持体は、前記手術用鉗子の近位端に結合するように構成される、請求項２５９に記載の装置。
【請求項２６１】
前記手術用鉗子は、アドソン鉗子もしくはボニー鉗子のうちの１つまたはそれを上回るものを備える、請求項２５９に記載の装置。
【請求項２６２】
前記装置は、４５グラム未満の重量がある、請求項２５９に記載の装置。
【請求項２６３】
前記縫合パッケージおよび前記針受器を前記手術道具の近位部分に結合する結合部をさらに備える、請求項２５９に記載の装置。
【請求項２６４】
１つまたはそれを上回る縫合パッケージを支持するように構成される、縫合パッケージホルダをさらに備える、請求項２５９に記載の装置。
【請求項２６５】
前記縫合パッケージホルダは、前記手術道具の近位部分に結合される、請求項２６４に記載の装置。
【請求項２６６】
前記針受器および前記縫合パッケージは、前記手術道具の対向側で支持される、請求項２６３に記載の装置。
【請求項２６７】
前記縫合パッケージホルダおよび前記針受器は、前記手術道具の同一側で支持される、請求項２６３に記載の装置。
【請求項２６８】
前記結合部は、道具取付ポケットを備え、前記手術道具の近位部分は、前記道具取付ポケットの中に留置される、請求項２６３に記載の装置。
【請求項２６９】
前記道具取付ポケットは、接着層で前記手術道具に結合される、請求項２６８に記載の装置。
【請求項２７０】
前記装置は、前記手術道具の近位部分に結合される２つの縫合パッケージを備え、前記針受器は、前記２つの縫合パッケージの間に狭装される、請求項２６３に記載の装置。
【請求項２７１】
持針器を保持するために前記支持体上に搭載される道具ホルダをさらに備える、請求項２３４に記載の装置。
【請求項２７２】
鋏を保持するために前記支持体上に搭載される道具ホルダをさらに備える、請求項２３４に記載の装置。
【請求項２７３】
前記針受器は、前記針受器の中に留置される分配された縫合針の両端を含有するように構成される、請求項２３４に記載の装置。
【請求項２７４】
前記針受器は、前記針受器の中に留置される分配された縫合針の先端に対して針受器の構成要素を圧縮する機構を備える、請求項２３４に記載の装置。
【請求項２７５】
前記針受器は、前記針受器の中に分配された縫合針の先端を誘導するテーパ状構造を備える、請求項２３４に記載の装置。
【請求項２７６】
前記針受器は、分配された縫合針の一部を前記針受器の中に誘導するテーパ状構造を備える、請求項２３４に記載の装置。
【請求項２７７】
前記分配された縫合針の一部は、前記針の先端である、請求項２７６に記載の装置。
【請求項２７８】
前記針受器は、前記針受器の中に留置される分配された縫合針の先端に接触するように成形される発泡材料を備える、請求項２３４に記載の装置。
【請求項２７９】
前記針受器は、ドアを開閉するためのレバーに結合されるドアを備える、請求項２３４に記載の装置。
【請求項２８０】
前記針受器は、４５グラム未満の重量がある、請求項２３４に記載の装置。
【請求項２８１】
前記針受器は、前記複数の分配された縫合針を格納するための複数のチャネルを備える、請求項２３４に記載の装置。
【請求項２８２】
前記針受器はさらに、
電源と、
前記電源に電気的に結合される第１の導体と、
前記電源と第２の導体との間に電気的に結合される第１の視覚インジケータと、
を備え、
前記第１の視覚インジケータは、第１の分配された縫合針が前記第１の導体および前記第２の導体の両方と接触させられると、前記複数のチャネルのうちの第１のチャネルの中の第１の分配された縫合針の存在を示す、
請求項２８１に記載の装置。
【請求項２８３】
前記電源は、バッテリを備える、請求項２８２に記載の装置。
【請求項２８４】
前記第１の視覚インジケータは、第１のライトを備える、請求項２８２に記載の装置。
【請求項２８５】
前記針受器はさらに、
前記電源と第３の導体との間に電気的に結合される第２の視覚インジケータを備え、
前記第２の視覚インジケータは、第２の使用済みの針が前記第２の導体および前記第３の導体の両方と接触させられると、前記複数のチャネルのうちの第２のチャネルの中の第２の使用済みの針の存在を示す、
請求項２８２に記載の装置。
【請求項２８６】
前記第２の視覚インジケータは、第２のライトを備える、請求項２８５に記載の装置。
【請求項２８７】
前記針受器はさらに、前記複数のチャネルの数値マーキングを備える、請求項２８１に記載の装置。
【請求項２８８】
前記針受器は、前記針受器の中に留置されると、前記縫合針の両端を非侵害性の状態にするように構成され、前記針受器は、非侵害性の状態にされた両端を伴う前記針を視認する構造を備える、請求項２３４に記載の装置。
【請求項２８９】
前記針受器は、前記縫合針を受容するように、および針受器支持体上で前記針受器内の手術用針を安定させるように構成され、前記針受器支持体は、前記縫合針を安定させるように、磁石、接着剤、もしくは偏向可能材料のうちの１つまたはそれを上回るものを備える、請求項２３４に記載の装置。
【請求項２９０】
前記針受器は、前記針受器内で前記手術用針を安定させるために、摺動移動および前記摺動移動への対応する抵抗を伴って前記縫合針を受容するように構成される、請求項２３４に記載の装置。
【請求項２９１】
前記針受器は、その中の非侵害性の状態にされた複数の縫合針を視認するように透明カバーを備え、前記針受器は、前記縫合針受器内に前記複数の縫合針を留置するように開口部を備える、請求項２３４に記載の装置。
【請求項２９２】
前記針受器は、計数のためにアレイに沿って複数の針を配列するように構造化アレイを備える、請求項２３４に記載の装置。
【請求項２９３】
外科医による縫合針の収納のための方法であって、前記方法は、
持針器を用いて縫合針を針受器の開口部の中に挿入するステップと、
前記針の端部を材料の中に挿入するように、前記針受器の内側で前記縫合針を回転させるステップと、
前記持針器から前記縫合針を解放するステップと、
を含む、方法。
【請求項２９４】
前記挿入するステップでは、前記針は、前端から離れて平行移動させられ、前記回転させるステップでは、前記針の終端は、変形可能構造の中に挿入され、前記材料は、変形可能材料、接着材料、もしくは弾性材料のうちの１つまたはそれを上回るものを含み、前記材料は、発泡体、弾性膜、もしくは接着剤のうちの１つまたはそれを上回るものを含む、請求項２９３に記載の装置。
【請求項２９５】
外科医による縫合針の収納のための方法であって、前記方法は、
持針器を用いて縫合針を針受器の開口部の中に挿入するステップと、
前記針受器の内側で前記縫合針を収納するステップと、
前記持針器から前記縫合針を解放するステップと、
を含み、前記針受器は、複数の縫合針を格納するように構成される、
方法。
【請求項２９６】
前記針受器は、近傍手術野内に位置する、請求項２９５に記載の方法。
【請求項２９７】
前記針受器は、進入ゾーンと、収納ゾーンとを備え、前記挿入するステップは、前記針受器の進入ゾーン上に前記縫合針を留置するステップを含み、前記収納するステップは、前記進入ゾーンから前記収納ゾーン内の針スロットの中に前記縫合針を摺動させるステップを含む、請求項２９５に記載の方法。
【請求項２９８】
前記針受器は、第２の針受器に結合され、前記方法はさらに、前記第２の針受器の第２の進入ゾーン上に第２の縫合針を留置するステップと、前記第２の進入ゾーンから前記第２の針受器の第２の収納ゾーンの中に前記第２の縫合針を摺動させるステップとを含む、請求項２９７に記載の方法。
【請求項２９９】
前記収納ゾーンは、持針器スロットを備え、前記挿入するステップは、前記収納ゾーンの中に前記縫合針を留置するように、前記持針器スロットに沿って前記持針器の遠位部分を移動させるステップを含む、請求項２９７に記載の方法。
【請求項３００】
前記収納ゾーンは、前記収納するステップ中に前記縫合針の少なくとも一部に対して圧縮する圧縮部材を備える、請求項２９７に記載の方法。
【請求項３０１】
前記収納ゾーンは、前記収納するステップ中に前記縫合針の少なくとも一部に対して力を印加する圧縮部材を備える、請求項２９７に記載の方法。
【請求項３０２】
前記収納ゾーンは、前記針スロットの中に延在する複数の突出部を備え、前記収納するステップは、前記収納ゾーン内の複数の突出部に対して前記縫合針を移動させるステップを含む、請求項２９７に記載の方法。
【請求項３０３】
前記針受器の中に留置された前記縫合針を検出するステップと、
前記針受器内に配置された縫合針の数を判定するステップと、
視覚ディスプレイ上で前記針受器内に配置された前記縫合針の数を表示するステップと、
をさらに含む、請求項２９５に記載の方法。
【請求項３０４】
前記針受器は、電源に電気的に結合される、第１の導体と、第２の導体とを備え、前記針受器内に配置される前記縫合針は、前記第１の導体および前記第２の導体の両方と接触し、前記検出するステップは、前記第１の導体および前記第２の導体を通る電流を測定するステップを含む、請求項３０３に記載の方法。
【請求項３０５】
前記収納するステップは、
前記縫合針の端部が前記針受器に搭載される第１の構造の第１の表面に圧入されるように、前記針受器内で第１の縫合針を回転させるステップを含み、前記第１の構造は、変形可能材料、接着材料、もしくは弾性構造のうちの１つまたはそれを上回るものを備え、前記第１の構造は、発泡体、弾性膜、もしくは接着剤のうちの１つまたはそれを上回るものを備える、請求項２９５に記載の方法。
【請求項３０６】
前記針受器は、前記開口部と前記第１の構造との間にオフセットゾーンを備え、前記挿入するステップ中に、前記第１の縫合針は、前記回転させるステップを行う前に前記オフセットゾーンを通して移動させられる、請求項３０５に記載の方法。
【請求項３０７】
前記持針器を用いて前記針受器の開口部を通して第２の縫合針を挿入するステップと、
前記縫合針の端部が前記針受器に搭載される前記第１の構造の第２の表面に圧入されるように、前記針受器内で前記第２の縫合針を回転させるステップと、
をさらに含む、請求項３０５に記載の方法。
【請求項３０８】
前記第１の縫合針は、前記持針器の縦軸を中心として時計回り方向に回転させられ、前記第２の縫合針は、前記持針器の縦軸を中心として反時計回り方向に回転させられ、前記第１の構造は、発泡体、または接着剤、もしくは変形可能材料のうちの１つまたはそれを上回るものを備える、請求項３０７に記載の方法。
【請求項３０９】
前記針受器の壁を通して前記縫合針を視認するステップであって、前記壁は、透明である、ステップと、
前記針受器内に配置された縫合針を計数するステップと、
をさらに含む、請求項２９５に記載の方法。
【請求項３１０】
前記針受器は、手術道具の近位部分上に搭載される、請求項２９５に記載の方法。
【請求項３１１】
針受器であって、
進入ゾーンおよび収納ゾーンを有する、下構造と、
収納ゾーンを有する、上構造と、
前記下構造と前記上構造との間に１本またはそれを上回る縫合針を受容するための針スロットと、
前記上構造の一部を通して延在する、持針器スロットと、
を備える、針受器。
【請求項３１２】
前記持針器スロットは、前記針スロットと垂直である、請求項３１１に記載の針受器。
【請求項３１３】
前記持針器スロットの長軸は、前記針スロットの長軸と垂直である、請求項３１１に記載の針受器。
【請求項３１４】
前記持針器スロットは、前記下構造の一部を通して延在する、請求項３１１に記載の針受器。
【請求項３１５】
前記針スロットに隣接する圧縮性部材をさらに備える、請求項３１１に記載の針受器。
【請求項３１６】
前記針スロットに隣接する複数の突出部をさらに備える、請求項３１１に記載の針受器。
【請求項３１７】
前記針受器の収納ゾーン内に配置された縫合針の数を検出するように構成される針計数機構をさらに備える、請求項３１１に記載の針受器。
【請求項３１８】
電源と、
前記電源に電気的に結合される第１の導体と、
制御回路に電気的に結合される第２の導体と、
前記制御回路に電気的に結合される視覚ディスプレイと、
をさらに備え、
前記視覚ディスプレイは、前記縫合針が前記第１の伝導性要素および前記第２の伝導性要素の両方と接触させられると、前記収納ゾーン内に配置された縫合針の数を示す、
請求項３１７に記載の針受器。
【請求項３１９】
前記針受器は、前記針受器および第２の針受器の両方と直接接触している結合部を通して、前記第２の針受器に結合される、請求項３１１に記載の針受器。
【請求項３２０】
前記結合部は、手術道具の近位端にわたって嵌合するように適合される道具スロットを備える、請求項３１９に記載の針受器。
【請求項３２１】
前記収納ゾーン内の縫合針の写真画像を取得するためのカメラをさらに備える、請求項３１１に記載の針受器。
【請求項３２２】
前記縫合針の写真画像を受信機に伝送するための伝送機をさらに備える、請求項３２１に記載の針受器。
【請求項３２３】
前記収納ゾーン内の縫合針の存在の写真画像を取得するためのカメラをさらに備える、請求項３１１に記載の針受器。
【請求項３２４】
前記縫合針の存在の写真画像を受信機に伝送するための伝送機をさらに備える、請求項３２１に記載の針受器。
【請求項３２５】
針受器であって、
開口部および内部容積を有する、筐体と、
前記筐体の内面に結合される第１の伸長部材であって、前記第１の伸長部材は、前記筐体の内面から内向きに延在する針挿入表面を有する、第１の伸長部材と、
を備える、針受器。
【請求項３２６】
前記第１の部材は、変形可能材料、接着材料、もしくは弾性構造のうちの１つまたはそれを上回るものを備え、前記変形可能材料は、発泡体、弾性膜、もしくは接着剤のうちの１つまたはそれを上回るものを備え、前記内部容積は、実質的に円筒形であり、前記第１の変形可能部材は、前記内面から実質的に半径方向に前記内部容積の中に延在する、請求項３２５に記載の針受器。
【請求項３２７】
前記筐体の内面に結合される第２の伸長部材をさらに備え、前記第１の部材および前記第２の変形可能部材は、前記筐体の内面の対向側にあり、前記第２の部材は、変形可能材料、接着材料、もしくは弾性構造のうちの１つまたはそれを上回るものを備え、前記第１の部材は、発泡体、弾性膜、もしくは接着剤のうちの１つまたはそれを上回るものを備える、請求項３２５に記載の針受器。
【請求項３２８】
前記開口部は、前記針の長さより長い伸長スロットを備える、請求項３２５に記載の針受器。
【請求項３２９】
前記筐体は、透明である、請求項３２５に記載の針受器。
【請求項３３０】
針との接触から外科医の肢を保護するための装置であって、前記装置は、
湾曲断面を有する障壁と、
前記障壁を前記外科医の肢に結合する結合部と、
を備え、
前記障壁は、縫合パッケージもしくは針受器のうちの１つまたはそれを上回るものを支持するように構成される、
装置。
【請求項３３１】
障壁搭載部をさらに備え、障壁搭載基部は、縫合パッケージもしくは針受器のうちの１つまたはそれを上回るものを支持するように構成され、前記障壁は、前記障壁搭載部を支持するように構成される、請求項３３０に記載の装置。
【請求項３３２】
前記障壁は、滅菌障壁を備え、前記結合部は、滅菌結合部を備える、請求項３３０に記載の装置。
【請求項３３３】
前記障壁は、外科医の手の背側にわたって延在するように定寸される延在部を備え、前記延在部は、縫合パッケージもしくは針受器のうちの１つまたはそれを上回るものを支持する堅性を備える、請求項３３０に記載の装置。
【請求項３３４】
前記障壁は、外科医の手背にわたって延在するように定寸される延在部を備え、前記延在部は、前記外科医の背面橈側への手の移動を可能にする偏向を備える、請求項３３０に記載の装置。
【請求項３３５】
前記障壁は、外科医の手にわたって延在するように定寸される延在部を備える、請求項３３０に記載の装置。
【請求項３３６】
前記結合部は、第１の脚部もしくは第２の脚部のうちの１つまたはそれを上回るものを備える、請求項３３０に記載の装置。
【請求項３３７】
前記結合部は、第１の脚部と、第２の脚部とを備え、前記第１の脚部は、第１の方向に前記障壁の遠位部分から外向きに延在し、前記第２の脚部は、前記第１の方向に対向する第２の方向に前記障壁の遠位部分から外向きに延在する、請求項３３０に記載の装置。
【請求項３３８】
前記結合部は、複数の近位脚部を備える、請求項３３０に記載の装置。
【請求項３３９】
前記結合部は、１つまたはそれを上回るスラップブレスレットを備える、請求項３３０に記載の装置。
【請求項３４０】
前記結合部は、前記外科医の前腕の一部に巻き付くように構成されるストラップを備え、前記ストラップは、前記障壁の対向縁に結合される、請求項３３０に記載の装置。
【請求項３４１】
前記結合部は、前記障壁の遠位部分上に配置される親指ループを備え、前記親指ループは、前記外科医の親指に結合するように構成される、請求項３３０に記載の装置。
【請求項３４２】
前記親指ループは、可撓性材料から作製される、請求項３４１に記載の装置。
【請求項３４３】
前記親指ループは、前記障壁の中に形成される、請求項３４１に記載の装置。
【請求項３４４】
前記障壁は、変形して前記肢の周囲で湾曲するように構成される可鍛性材料を含む、請求項３３０に記載の装置。
【請求項３４５】
前記障壁は、前記肢の長さと平行に延在する複数の溝を備える、請求項３４４に記載の装置。
【請求項３４６】
前記障壁は、前記肢に対して圧縮されるように構成される内側発泡層を備える、請求項３４４に記載の装置。
【請求項３４７】
前記障壁は、前記障壁の掌側部分上で針受器を支持するように構成される、請求項３４４に記載の装置。
【請求項３４８】
前記障壁は、前記障壁の掌側もしくは橈側部分のうちの１つまたはそれを上回るもので縫合パッケージを支持するように構成される、請求項３４４に記載の装置。
【請求項３４９】
前記障壁の背側部分は、道具ホルダを備える、請求項３４４に記載の装置。
【請求項３５０】
前記障壁は、独立構成において前記湾曲断面を備える、請求項３３０に記載の装置。
【請求項３５１】
前記障壁は、湾曲熱成形障壁材料を含む、請求項３３０に記載の装置。
【請求項３５２】
方法であって、
針スロットおよび持針器スロットを有する、筐体を備える、針受器を提供するステップであって、前記持針器スロットは、前記針スロットの側面部分と交差する、ステップと、
持針器を用いて縫合針の端部分を把持するステップと、
前記針スロットに沿って前記持針器を摺動させることによって、前記針スロットに沿って前記縫合針を移動させるステップと、
前記針スロット内で前記縫合針を解放するステップと、
を含む、方法。
【請求項３５３】
前記持針器は、直線経路または螺旋経路で前記持針器スロットを通して移動する、請求項３５２に記載の方法。
【請求項３５４】
前記持針器は、円形経路で前記持針器スロットを通して移動する、請求項３５２に記載の方法。
【請求項３５５】
前記針スロットに隣接して圧縮部材を提供するステップと、
前記針に対して前記圧縮部材を圧縮するステップと、
をさらに含む、請求項３５２に記載の方法。
【請求項３５６】
前記持針器の中心軸を中心として回転トルクを印加するステップをさらに含む、
請求項３５２に記載の方法。
【請求項３５７】
前記持針器スロット内の針の端部分を視認するステップと、
前記視認するステップに基づいて、前記針受器内の針の数を判定するステップと、
をさらに含む、請求項３５２に記載の方法。  
【請求項３５８】
前記針スロットの中に留置された前記縫合針を検出するステップと、
前記針受器内の針の数を判定するステップと、
視覚ディスプレイ上で前記針受器内の針の数を表示するステップと、
をさらに含む、請求項３５２に記載の方法。
【請求項３５９】
障壁を提供するステップと、
前記針受器を前記障壁に結合するステップと、
をさらに含む、請求項３５２に記載の方法。
【請求項３６０】
前記障壁は、外科医の肢の上に留置されるように適合される、請求項３５９に記載の方法。
【請求項３６１】
前記針受器と前記障壁の結合は、磁気結合または面ファスナ結合を介する、請求項３５９に記載の方法。
【請求項３６２】
前記障壁から延在する１つまたはそれを上回るストラップを提供するステップをさらに含み、
前記ストラップは、前記障壁を外科医の肢に固着させるように適合される、
請求項３５９に記載の方法。
【請求項３６３】
針受器であって、
幅および厚さを有する、断面を有する筐体と、
前記筐体の断面内に使用済みの縫合針を格納するための針スロットと、
前記筐体の厚さを通して延在する、持針器スロットであって、前記持針器スロットは、前記針スロットの側面部分と交差する、持針器スロットと、
前記上構造の一部を通して延在する、持針器スロットと、
を備える、針受器。
【請求項３６４】
前記持針器スロットは、前記針スロットと実質的に垂直である、請求項３６３に記載の針受器。
【請求項３６５】
前記持針器スロットは、円形部分または螺旋部分を有する、請求項３６３に記載の針受器。
【請求項３６６】
前記針受器はさらに、
を備える、請求項３６３に記載の針受器。
【請求項３６７】
前記針受器はさらに、前記針スロットに隣接する圧縮性部材を備える、請求項３６３に記載の針受器。
【請求項３６８】
前記針受器はさらに、前記針受器の中の針の数を検出するための針計数機構を備える、請求項３６３に記載の針受器。
【請求項３６９】
前記針受器はさらに、
電源と、
針計数回路に電気的に結合される視覚ディスプレイと、
を備え、
前記視覚ディスプレイは、前記針受器の中の針の数を示す、
請求項３６８に記載の針受器。
【請求項３７０】
障壁をさらに備え、前記針受器は、前記障壁に取り付けられた、請求項３６３に記載の針受器。
【請求項３７１】
前記障壁に取り付けられた縫合パックを保持するための縫合パックホルダをさらに備える、請求項３７０に記載の針受器。
【請求項３７２】
前記障壁を外科医の肢に固着させるように適合される前記障壁の側面から延在する、１つまたはそれを上回るストラップをさらに備える、請求項３７０に記載の針受器。
【請求項３７３】
縫合針を取り扱うための装置であって、前記装置は、
縫合パッケージおよび針受器を受容するように構成される、支持体を備える、
装置。
【請求項３７４】
縫合針を取り扱うための装置であって、前記装置は、
縫合パッケージおよび使用済み針ホルダを取り付けるプラットフォームを備える、
装置。
【請求項３７５】
縫合針を取り扱うための装置であって、前記装置は、
縫合パッケージおよび使用済み針受器を取り付けるためのプラットフォームを備える、
装置。
【請求項３７６】
複数の汚染された手術用縫合針を受容するための装置であって、各針は、先端と、終端と、前記先端と前記終端との間に延在する針本体とを備え、前記装置は、
上部および底部を有する、筐体と、
それを通して挿入される汚染された手術用針を受容するように構成および定寸される、前記上部と前記底部との間の少なくとも１つの開口部と、
窓と、
各先端および終端を伴って前記窓を通して計数するための配列で前記複数の汚染された手術用針を保持する、前記筐体内の非侵害性ゾーンと、
を備える、装置。
【請求項３７７】
汚染された手術用縫合針を受容するための装置であって、前記針は、先端と、終端と、前記先端と前記終端との間に延在する針本体とを有し、前記装置は、
上部および底部を有する、筐体と、
それを通して挿入される汚染された手術用針を受容するように構成および定寸される、前記上部と前記底部との間の少なくとも１つの開口部と、
収納された前記針先端を伴う配向で前記汚染された手術用針を保持する、前記筐体内の収納ゾーンと、
を備える、装置。
【請求項３７８】
前記配向は、所定の配向を備える、請求項３７７に記載の装置。
【請求項３７９】
前記少なくとも１つの開口部は、側方配向で前記汚染された手術用針を受容するように構成および定寸される、請求項３７７に記載の装置。
【請求項３８０】
前記少なくとも１つの開口部は、前記汚染された手術用針を横方向配向に受容するように構成および定寸される、請求項３７７に記載の装置。
【請求項３８１】
前記手術用針は、湾曲針であり、湾曲針本体の少なくとも一部は、その先端または前記終端の前に前記開口部に進入する、請求項３７８に記載の装置。
【請求項３８２】
前記上部および前記底部に接続され、それらの間に延在する、第１の側面と、前記上部および前記底部に接続され、それらの間に延在する、第２の側面と、第１の端部と、第２の端部とをさらに備え、前記少なくとも１つの開口部は、前記第１の端部内に配置される、請求項３７７に記載の装置。  
【請求項３８３】
前記上部および前記底部は、形状が円形である、請求項３７７に記載の装置。
【請求項３８４】
前記収納ゾーンは、複数の汚染された手術用針を受容するように構成および定寸される、請求項３７７に記載の装置。
【請求項３８５】
前記上部の少なくとも一部は、前記収納ゾーン内に配置される汚染された針の可視化を可能にするために十分に透明である、請求項３７７に記載の装置。
【請求項３８６】
前記装置は、その中に含有される複数の汚染された手術用針の点検および計数を可能にする窓を含む、請求項３７７に記載の装置。
【請求項３８７】
前記複数の汚染された手術用針は、少なくとも５本の手術用針を備える、請求項３８６に記載の装置。
【請求項３８８】
前記筐体上部は、持針器の制御下で前記筐体の中への汚染された手術用針の挿入を促進する、前記持針器の先端を受容するように構成および定寸されるスロットを含む、請求項３７７に記載の装置。
【請求項３８９】
前記スロットは、前記針の終端を視認するようにオフセットされる、請求項３８８に記載の装置。
【請求項３９０】
前記スロットは、線形である、請求項３８８に記載の装置。
【請求項３９１】
前記スロットは、湾曲される、請求項３８８に記載の装置。
【請求項３９２】
前記スロットは、直線状であり、前記上部の中心に沿って配向される、請求項３８８に記載の装置。
【請求項３９３】
前記スロットは、直線状であり、前記上部の縦軸を外れて配向される、請求項３８８に記載の装置。
【請求項３９４】
複数のスロットをさらに備える、請求項３８８に記載の装置。
【請求項３９５】
前記スロットは、前記スロットに対する特定の配向に前記持針器を配向するように構成および定寸される、請求項３８８に記載の装置。
【請求項３９６】
前記収納ゾーンは、所定の配向で複数の汚染された手術用針を保持するように針保定特徴を含む、請求項３７７に記載の装置。
【請求項３９７】
前記上部と底部との間で前記汚染された手術用針を保持するように針保定特徴をさらに備える、請求項３７７に記載の装置。
【請求項３９８】
前記針保定特徴は、前記上部と底部との間に配置された発泡体を備える、請求項３９７に記載の装置。
【請求項３９９】
前記発泡体は、ウレタンフォームを含む、請求項３９８に記載の装置。
【請求項４００】
前記針保定特徴は、前記上部と底部との間に配置された面ファスナを備える、請求項３９６に記載の装置。
【請求項４０１】
前記針保定特徴は、前記上部および底部の一方または両方から延在する、複数の突出部を備える、請求項３９７に記載の装置。
【請求項４０２】
前記複数の突出部は、くぼみを備える、請求項４０１に記載の装置。
【請求項４０３】
前記複数の突出部は、突起を備える、請求項４０１に記載の装置。
【請求項４０４】
前記複数の突出部は、フィラメントを備える、請求項４０１に記載の装置。
【請求項４０５】
前記複数の突出部は、前記針が前記収納ゾーンの中に入ることを可能にするように、および前記少なくとも１つの開口部に向かった前記針の移動に抵抗するように、前記少なくとも１つの開口部から離れて角度を付けられる、請求項４０１に記載の装置。
【請求項４０６】
前記針保定特徴は、前記上部と底部との間に配置されたフラップを備える、請求項４０５に記載の装置。
【請求項４０７】
前記針保定特徴は、前記上部と底部との間に配置されたゲルを備える、請求項３９７に記載の装置。
【請求項４０８】
前記針保定特徴は、前記上部と底部との間に配置された半球小隆起を備える、請求項３９７に記載の装置。
【請求項４０９】
前記針保定特徴は、前記上部と底部との間に配置された角度付けられた剛毛を備える、請求項３９７に記載の装置。
【請求項４１０】
前記近傍手術野内で前記装置を搭載するための筐体に取り付けられた滅菌搭載部材をさらに含む、請求項３７７に記載の装置。
【請求項４１１】
前記上部および前記底部は、射出成形される、請求項３７７に記載の装置。
【請求項４１２】
前記上部および前記底部は、ともにスナップ嵌合される、請求項３７７に記載の装置。
【請求項４１３】
前記上部および前記底部は、ともに溶接される、請求項３７７に記載の装置。
【請求項４１４】
前記上部および前記底部は、ともに超音波溶接される、請求項４１２に記載の装置。
【請求項４１５】
前記上部および前記底部は、接着接続される、請求項３７７に記載の装置。
【請求項４１６】
前記上面は、透明ポリカーボネートから成る、請求項３７７に記載の装置。
【請求項４１７】
前記上部および前記底部は、ポリカーボネートから成る、請求項３７７に記載の装置。
【請求項４１８】
前記上面を通るスロットをさらに備える、請求項３７７に記載の装置。
【請求項４１９】
前記上部および前記底部は、可撓性である、請求項３７７に記載の装置。
【請求項４２０】
前記上部および前記底部は、剛性である、請求項３７７に記載の装置。
【請求項４２１】
前記上部および底部の一方または両方は、進入ゾーン、遷移ゾーン、および収納ゾーンを画定する、請求項３７７に記載の装置。
【請求項４２２】
前記進入ゾーンは、前記進入ゾーンに向かった前記針の移動を促進するように前記進入ゾーンより幅が広い、降着ゾーンを画定する、請求項４２０に記載の装置。
【請求項４２３】
前記進入ゾーンは、前記上面内のスロットに向かって汚染された針を保持する持針器を押勢する少なくとも１つの構造を含む、請求項４２１に記載の装置。
【請求項４２４】
前記構造は、前記進入ゾーンのＶ形状進入縁を含む、請求項４２２に記載の装置。
【請求項４２５】
前記装置を含有する滅菌パッケージをさらに備える、請求項３７７に記載の装置。
【請求項４２６】
前記近傍手術野内で前記装置を搭載するための筐体に取り付けられた滅菌搭載部材をさらに含む、請求項３７７に記載の装置。
【請求項４２７】
前記搭載装置は、外科医の前腕に搭載されるように構成および定寸される障壁を備える、請求項４２５に記載の装置。
【請求項４２８】
前記障壁は、手術用針および縫合糸の滅菌パッケージを支持するように構成および定寸される、請求項４２５に記載の装置。
【請求項４２９】
前記筐体内の非侵害性ゾーンは、前記窓の真下に各先端および終端のいずれかを伴って、前記窓を通して計数するための配列に前記複数の汚染された手術用針を保持するように構成される、請求項３７７−４２８のいずれか１項に記載の装置。
【請求項４３０】
装置であって、
針刺しを阻止する障壁と、手、橈側前腕、もしくは掌側前腕のうちの１つまたはそれを上回るものにわたって縫合パックもしくは針受器のうちの１つまたはそれを上回るものを安定して支持するように構成される表面とを伴って構成される、滅菌手術衣、滅菌手袋、もしくは滅菌カバーのうちの１つまたはそれを上回るものを備える、
装置。
【請求項４３１】
装置であって、
針刺しを阻止する障壁と、手、橈側前腕、掌側前腕、背側前腕、尺側前腕、および手首のうちの１つまたはそれを上回るものにわたって縫合パックもしくは針受器のうちの１つまたはそれを上回るものを安定して支持するように構成される表面とを伴って構成される、滅菌手術衣、滅菌手袋、または滅菌カバーのうちの１つまたはそれを上回るものを備える、
装置。
【請求項４３２】
装置であって、
針刺しを阻止する障壁と、近傍手術野内で縫合パックもしくは針受器のうちの１つまたはそれを上回るものを安定して支持するように構成される表面とを伴って構成される、滅菌カバーもしくは滅菌ドレープのうちの１つまたはそれを上回るものを備える、
装置。
【請求項４３３】
滅菌エンクロージャを備える手術用縫合キットであって、前記滅菌エンクロージャは、
滅菌縫合糸の滅菌パッケージと、
少なくとも１つの汚染された手術用縫合針を受容するための滅菌装置と、
を含有する、手術用縫合キット。
【請求項４３４】
滅菌エンクロージャを備える手術用縫合キットであって、前記滅菌エンクロージャは、
滅菌縫合糸の滅菌パッケージと、
少なくとも１つの汚染された手術用縫合針を受容するための滅菌装置であって、前記針は、先端と、終端と、前記先端と前記終端との間に延在する針本体とを有し、
前記装置は、
上部および底部を有する、滅菌筐体と、
それを通して挿入される汚染された手術用針を受容するように構成および定寸される、前記上部と前記底部との間の少なくとも１つの開口部と、
収納された前記針先端を伴う所定の配向で前記汚染された手術用針を保持する、前記筐体内の収納ゾーンと、
を備える、滅菌装置と、
を含有する、手術用縫合キット。
【請求項４３５】
前記滅菌縫合糸のパッケージおよび前記少なくとも１つの汚染された手術用縫合針を受容するための装置を支持するように構成および定寸される、障壁をさらに備える、請求項４３３に記載の手術用キット。
【請求項４３６】
障壁層は、外科医の前腕に搭載されるように構成および定寸される、請求項４３５に記載の手術用キット。
【請求項４３７】
方法であって、
使用済み針ホルダの中に針を留置するステップを含む、
方法。
【請求項４３８】
装置であって、
使用済み針ホルダを備える、
装置。
【請求項４３９】
装置であって、
使用済みの針を収納するための手段を備える、
装置。
【請求項４４０】
縫合糸を取り扱うための装置であって、
滅菌筐体と、
前記筐体内に配置される、縫合糸分配部分であって、前記縫合糸分配部分は、１つまたはそれを上回る滅菌縫合針を支持するように構成される、縫合糸分配部分と、
前記筐体内に配置される、針受器部分であって、前記針受器部分は、複数の分配された縫合針を収納するように構成される、針受器部分と、
を備える、装置。
【請求項４４１】
装置であって、
分配された針を安定させ、非侵害性の状態にするための針受器手段を備える、
装置。
【請求項４４２】
装置であって、
分配された針を安定させ、非侵害性の状態にするための針受器手段と、
前記針受器手段の中に分配された針を留置するために、前記針受器手段を支持するための障壁手段と、
を備える、装置。
【請求項４４３】
装置であって、
分配された針を安定させ、非侵害性の状態にするための針受器手段と、
前記針受器手段の中に分配された針を留置するために、前記針受器手段を支持するための障壁手段と、
を備える、装置。
【請求項４４４】
滅菌手術室内で使用するための装置であって、
分配された針の針受器と、
縫合パッケージと、
前記分配された針の針受器もしくは前記縫合パッケージのうちの１つまたはそれを上回るものを支持する障壁であって、前記障壁は、前記障壁を通した針貫通を阻止し、前記分配された針の針受器、前記縫合パッケージ、および前記障壁は、外科医の近傍手術野内で配列される、障壁と、
を備える、装置。
【請求項４４５】
前記分配された針の針受器または前記縫合パッケージのうちの１つまたはそれを上回るものを支持し、前記障壁を通した針貫通を阻止するための障壁搭載基部と、
前記障壁搭載基部を支持するための障壁と、
を備える、請求項４４４に記載の装置。
【請求項４４６】
滅菌手術室内で使用するための装置であって、
５本またはそれを上回る分配された手術用針を備える、分配された針の針受器を備え、前記分配された手術用針は、前記針受器内で安定させられて非侵害性であり、前記針受器は、前記安定させられた非侵害性の分配された針を計数するための開口部、窓、もしくは透明材料のうちの１つまたはそれを上回るものを備え、前記針は、前記針受器内で計数するために配列される、
装置。
【請求項４４７】
分配された針を収納するための方法であって、
中立ゾーンから、５本またはそれを上回る分配された手術用針を備える分配された針の針受器を受容するステップを含み、前記分配された手術用針は、前記針受器内で安定させられて非侵害性であり、前記針受器は、前記安定させられた非侵害性の分配された針を計数するための開口部、窓、もしくは透明材料のうちの１つまたはそれを上回るものを備え、前記針は、前記針受器内で計数するために配列される、
方法。
【請求項４４８】
分配された針を収納するための方法であって、
５本またはそれを上回る分配された縫合針を備える分配された針の針受器を中立ゾーンから受容するステップを含み、前記分配された手術用針は、前記針受器内で安定させられて非侵害性であり、前記針受器は、前記安定させられた非侵害性の分配された針を計数するための開口部、窓、もしくは透明材料のうちの１つまたはそれを上回るものを備え、前記針は、前記針受器内で計数するために配列される、
方法。
【請求項４４９】
分配された針を収納するための方法であって、
５本またはそれを上回る分配された縫合針を備える分配された針の針受器を近傍手術野から受容するステップを含み、前記分配された手術用針は、前記針受器内で安定させられて非侵害性であり、前記針受器は、前記安定させられた非侵害性の分配された針を計数するための開口部、窓、もしくは透明材料のうちの１つまたはそれを上回るものを備え、前記針は、前記針受器内で計数するために配列される、
方法。
【請求項４５０】
方法であって、前記方法は、
持針器を用いて縫合針を針受器の開口部の中に挿入するステップであって、前記針受器は、複数の５本またはそれを上回る分配された針を格納するように構成される、ステップと、
前記持針器から前記分配された針を解放するステップであって、前記分配された針は、安定させられ、非侵害性であり、チャネル、開口部、窓、もしくは透明材料のうちの１つまたはそれを上回るものを通して、コンテナの中で計数するために４本またはそれを上回る安定させられた非侵害性の分配された針を伴って配列される、ステップと、
を含む、方法。
【請求項４５１】
針を取り扱うための装置であって、前記装置は、
複数の針を分配するように構成される、縫合パッケージと、
複数の分配された針を格納するように構成される、針受器と、
前記縫合パッケージもしくは前記針受器のうちの１つまたはそれを上回るものを支持するように構成される支持体と、
を備える、装置。
【請求項４５２】
縫合針を取り扱うための方法であって、前記方法は、
支持体上に搭載される縫合パッケージから針を分配するように、持針器を用いて前記針を把持するステップと、
前記支持体上に搭載される針受器の中に前記分配された針を留置するステップと、
を含む、方法。
【請求項４５３】
約６オンス（１７０グラム）以下の重量を備える、障壁と、
線形アレイの中で少なくとも約８本の針を受容して格納するように、少なくとも約５本の針の容量と、約０．５インチ（１２．５ｍｍ）以下の全体的な厚さと、約５インチ（１２７ｍｍ）以下の長さと、約２．５インチ（６３．５ｍｍ）以下の幅とを備える、針受器と、
を備える、前記請求項のいずれか１項に記載の装置または方法。
【請求項４５４】
約６オンス（１７０グラム）以下の重量を備える、障壁と、
ａ線形アレイまたは弓形アレイの中で少なくとも約５本の針を受容して格納するように、少なくとも約５本の針の容量と、約０．５インチ（１２．５ｍｍ）以下の全体的な厚さと、約５インチ（１２７ｍｍ）以下の長さと、約２．５インチ（６３．５ｍｍ）以下の幅とを備える、針受器と、
を備える、前記請求項のいずれか１項に記載の装置または方法。
【請求項４５５】
約６オンス（１７０グラム）以下の重量を備える、障壁と、
弓形アレイの中で少なくとも約８本の針を受容して格納するように、少なくとも約８本の針の容量と、約０．５インチ（１２．５ｍｍ）以下の全体的な厚さと、約５インチ（１２７ｍｍ）以下の長さと、約４インチ（１０１．６ｍｍ）以下の幅とを備える、針受器と、
を備える、前記請求項のいずれか１項に記載の装置または方法。
【請求項４５６】
約６オンス（１７０グラム）以下の重量を備える、障壁と、
線形アレイの中で少なくとも約８本の針を受容して格納するように、少なくとも約８本の針の容量と、約０．５インチ（１２．５ｍｍ）以下の全体的な厚さと、約５インチ（１２７ｍｍ）以下の長さと、約４インチ（１０１．６ｍｍ）以下の幅とを備える、針受器と、
を備える、前記請求項のいずれか１項に記載の装置または方法。
【請求項４５７】
前記針受器は、を備える順序付けられたアレイの中で複数の縫合針を受容するように定寸される伸長断面を有する、チャネルと、持針器を受容し、前記順序付けられたアレイの複数の針の間に留置するために前記チャネルに沿って前記複数のうちの縫合針を前進させるように前記チャネルの中に延在する、スロットとを備える、前記請求項のいずれか１項に記載の装置、方法、または針受器。
【請求項４５８】
針刺しを阻止する障壁と、手、橈側前腕、もしくは掌側前腕のうちの１つまたはそれを上回るものにわたって縫合パックもしくは針受器のうちの１つまたはそれを上回るものを安定して支持するように構成される表面とを伴って構成される、滅菌手術衣、滅菌手袋、もしくは滅菌カバーのうちの１つまたはそれを上回るものをさらに備える、前記請求項のいずれか１項に記載の装置、方法、または針受器。
【請求項４５９】
滅菌カバーもしくは滅菌ドレープのうちの１つまたはそれを上回るものは、針刺しを阻止する障壁と、縫合パックもしくは針受器のうちの１つまたはそれを上回るものを安定して支持するように構成される表面とを伴って構成される、前記請求項のいずれか１項に記載の装置、方法、または針受器。
【請求項４６０】
前記装置、方法、または針受器は、近傍手術野の中および外への複数の縫合針の通過を可能にし、それによって、外科医と外科助手との間の個々の縫合針の手渡しを排除する、前記請求項のいずれか１項に記載の装置、方法、または針受器。
【請求項４６１】
前記装置、方法、または針受器は、近傍手術野の中および外への複数の収納された針の通過を可能にし、それによって、外科医と外科助手との間の個々の縫合針の手渡しを排除する、前記請求項のいずれか１項に記載の装置、方法、または針受器。
【請求項４６２】
前記装置、方法、または針受器は、近傍手術野の中および外への複数の非侵害性針の通過を可能にし、それによって、外科医と外科助手との間の個々の縫合針の手渡しを排除する、前記請求項のいずれか１項に記載の装置、方法、または針受器。
【請求項４６３】
前記装置、方法、または針受器は、近傍手術野の中および外への複数の使用済み針の通過を可能にし、それによって、外科医と外科助手との間の個々の縫合針の手渡しを排除する、前記請求項のいずれか１項に記載の装置、方法、または針受器。
【請求項４６４】
近傍手術野からの外科医による縫合針の分配を含む、前記請求項のいずれか１項に記載の装置、方法、または針受器。
【請求項４６５】
近傍手術野内で１つまたはそれを上回る縫合針パッケージを搭載するための手段を備える、前記請求項のいずれか１項に記載の装置、方法、または針受器。
【請求項４６６】
外科医の腕の上に搭載される針抵抗障壁を備え、前記針抵抗障壁は、１つまたはそれを上回る縫合針パッケージのための搭載表面を提供するように構成される、前記請求項のいずれか１項に記載の装置、方法、または針受器。
【請求項４６７】
針抵抗障壁は、軽量材料を含み、外科医の腕、手首、もしくは手のうちの１つまたはそれを上回るものに共形化するように構成される、前記請求項のいずれか１項に記載の装置、方法、または針受器。
【請求項４６８】
針抵抗障壁は、可撓性ウェブと統合された薄い穿刺抵抗材料を含む、前記請求項のいずれか１項に記載の装置、方法、または針受器。
【請求項４６９】
針抵抗障壁は、ある範囲の前腕サイズに適応するために調節するように構成される、前記請求項のいずれか１項に記載の装置、方法、または針受器。
【請求項４７０】
針抵抗障壁は、可撓性ウェブによって接続される複数の双安定ばねを備える、前記請求項のいずれか１項に記載の装置、方法、または針受器。
【請求項４７１】
針抵抗障壁は、可鍛性金属材料の屈曲を制御するように、１つまたはそれを上回る溝を有する、可鍛性金属材料を含み、前記請求項のいずれか１項に記載の装置、方法、または針受器。
【請求項４７２】
針抵抗障壁は、１つまたはそれを上回るヒンジを有する、プラスチック材料を含む、前記請求項のいずれか１項に記載の装置、方法、または針受器。
【請求項４７３】
針抵抗障壁は、片手で迅速に着脱されるように構成される、前記請求項のいずれか１項に記載の装置、方法、または針受器。
【請求項４７４】
針抵抗障壁は、圧縮力を調節するように複数の積み重ねられた双安定ばねを備える、前記請求項のいずれか１項に記載の装置、方法、または針受器。
【請求項４７５】
針抵抗障壁は、前腕もしくは手首のうちの１つまたはそれを上回るもの背側上にモジュール式搭載表面を提供するように構成され、前記モジュール式搭載表面は、１つまたはそれを上回る手術道具もしくは材料を支持するように構成される、前記請求項のいずれか１項に記載の装置、方法、または針受器。
【請求項４７６】
縫合針パッケージは、外科医の腕、手首、もしくは手の甲のうちの１つまたはそれを上回るもの上に搭載するように構成される、前記請求項のいずれか１項に記載の装置、方法、または針受器。
【請求項４７７】
縫合針パッケージは、前記針受器上に搭載するように構成される、前記請求項のいずれか１項に記載の装置、方法、または針受器。
【請求項４７８】
針抵抗障壁は、前腕もしくは手首のうちの１つまたはそれを上回るもの掌側に保護を提供するように構成される、前記請求項のいずれか１項に記載の装置、方法、または針受器。
【請求項４７９】
前記針受器は、手術用ドレープに結合するように構成される、前記請求項のいずれか１項に記載の装置、方法、または針受器。
【請求項４８０】
前記針受器は、外科医の前腕上に搭載される針抵抗障壁に結合するように構成される、前記請求項のいずれか１項に記載の装置、方法、または針受器。
【請求項４８１】
前記針受器は、片手で針抵抗障壁を取り付けて、かつ取り外すように構成される、前記請求項のいずれか１項に記載の装置、方法、または針受器。
【請求項４８２】
前記針受器は、手術道具に取り付けられるように構成される、前記請求項のいずれか１項に記載の装置、方法、または針受器。
【請求項４８３】
前記針受器は、手術道具に取り付けられるように構成され、前記針受器は、手術道具の種々のハンドル幅および厚さに適応するように構成される、前記請求項のいずれか１項に記載の装置、方法、または針受器。
【請求項４８４】
前記針受器は、手術用衣服の中に統合された針抵抗障壁に結合するように構成される、前記請求項のいずれか１項に記載の装置、方法、または針受器。
【請求項４８５】
前記針受器は、手術衣、手術衣の袖、または拡張手袋の中に統合された針抵抗障壁に結合するように構成される、前記請求項のいずれか１項に記載の装置、方法、または針受器。
【請求項４８６】
前記針受器は、カプセル化もしくは被覆のうちの１つまたはそれを上回るものによって複数の使用済みの縫合針の先端および終端の両方からの保護を提供するように構成される、前記請求項のいずれか１項に記載の装置、方法、または針受器。
【請求項４８７】
前記針受器は、意図しない除去もしくは抜去のうちの１つまたはそれを上回るものを阻止するように構成される、前記請求項のいずれか１項に記載の装置、方法、または針受器。
【請求項４８８】
前記針受器は、最小限の手と目の精度で針が挿入されることを可能にすることによって、前記針受器の中への針挿入を促進するように構成される、前記請求項のいずれか１項に記載の装置、方法、または針受器。
【請求項４８９】
前記針受器は、粗大運動移動で針が挿入されることを可能にすることによって、前記針受器の中への針挿入を促進するように構成される、前記請求項のいずれか１項に記載の装置、方法、または針受器。
【請求項４９０】
前記針受器は、肩および肘関節の関節運動または回転のみで針が挿入されることを可能にすることによって、前記針受器の中への針挿入を促進するように構成される、前記請求項のいずれか１項に記載の装置、方法、または針受器。
【請求項４９１】
前記針受器は、手技中および手技後に針を計数するための手段を備える、前記請求項のいずれか１項に記載の装置、方法、または針受器。
【請求項４９２】
前記針受器は、前記手技中および手技後に針を照合させるための手段を備える、前記請求項のいずれか１項に記載の装置、方法、または針受器。
【請求項４９３】
第１の縫合パックからの第１の針のセットは、第２の縫合パックが前記近傍手術野に進入する前に照合される、前記請求項のいずれか１項に記載の方法。
【請求項４９４】
前記針受器は、薄型かつ軽量である、前記請求項のいずれか１項に記載の装置、方法、または針受器。
【請求項４９５】
前記針受器は、種々の位置において持針器の中で保持される針を受容するように構成される、前記請求項のいずれか１項に記載の装置、方法、または針受器。
【請求項４９６】
前記針受器は、前記持針器を磁化することを阻止するように構成される、前記請求項のいずれか１項に記載の装置、方法、または針受器。
【請求項４９７】
前記針受器は、少なくとも約５本の針を受容するように構成される、前記請求項のいずれか１項に記載の装置、方法、または針受器。
【請求項４９８】
近傍手術野内に配置されたカッタを使用する、外科医による縫合糸の切断をさらに含む、前記請求項のいずれか１項に記載の装置、方法、または針受器。
【請求項４９９】
カッタは、外科医の指上に搭載される、前記請求項のいずれか１項に記載の装置、方法、または針受器。
【請求項５００】
カッタは、針抵抗障壁上に搭載される、前記請求項のいずれか１項に記載の装置、方法、または針受器。
【請求項５０１】
カッタは、巻き取りスプールを伴うケーブル上に格納式鋏を備える、前記請求項のいずれか１項に記載の装置、方法、または針受器。
【請求項５０２】
カッタは、統合および嵌め込まれたブレードを備える、前記請求項のいずれか１項に記載の装置、方法、または針受器。
【請求項５０３】
カッタは、手術道具上に搭載される、前記請求項のいずれか１項に記載の装置、方法、または針受器。
【請求項５０４】
カッタは、針受器と統合される、前記請求項のいずれか１項に記載の装置、方法、または針受器。
【請求項５０５】
カッタは、外科医の手袋への意図しない損傷を防止するように構成される、前記請求項のいずれか１項に記載の装置、方法、または針受器。
【請求項５０６】
前記針受器は、針ホルダを保持する手が若干回内されると、使用済み針の容易な挿入を可能にするために前記掌側前腕にわたって配列され、前記針は、前記針受器の開口部の中に前記使用済み針を整合および留置するために、肩関節回転に伴う持針器を保持する腕の回転で前記針受器内に留置される、請求項１９９に記載の方法。
【請求項５０７】
前記針は、先端および末端を有する湾曲針であり、前記長さは、前記先端と前記末端との間の直線距離として画定される、請求項２８５に記載の針受器。
【請求項５０８】
前記湾曲シェルは、前記前腕の掌側表面の形状に共形化する、請求項１−３７のいずれか１項に記載の障壁。
【請求項５０９】
前記縦軸を中心として湾曲を伴って延在する前記湾曲シェルの湾曲は、前記前腕の掌側表面の形状に共形化する、請求項１−３７のいずれか１項に記載の障壁。
【請求項５１０】
前記予形成された成形障壁は、前記前腕の掌側表面の形状に共形化する、請求項１−３７のいずれか１項に記載の障壁。
【請求項５１１】
前記予形成された成形障壁は、前記背側縁に沿って直線である、請求項１−３７のいずれか１項に記載の障壁。
【請求項５１２】
前記湾曲シェルは、前記背側縁に沿って直線である、請求項１−３７のいずれか１項に記載の障壁。
【請求項５１３】
針受器であって、
下構造と、
前記下構造の上方の上構造であって、前記上構造と前記下構造との間に針スロットを画定し、前記針スロットは、針を収納するための収納ゾーンを備える、上構造と、
を備え、
前記上構造は、前記上構造の一部を通して延在する変形可能持針器細隙を画定するように配列される第１の縁および第２の縁を備え、前記細隙は、持針器を受容するために変形する、
針受器。
【請求項５１４】
針受器であって、
幅および厚さを有する、断面を有する筐体と、
前記筐体の断面内に使用済みの縫合針を格納するための針スロットと、
前記上構造の一部を通して延在する、変形可能持針器スロットと、
を備える、針受器。
【請求項５１５】
手術用縫合針を受容するための針受器であって、前記針は、先端、終端、および前記先端と前記終端との間に延在する針本体を有し、前記装置は、
上部および底部を有する、筐体と、
それを通して手術用針を受容するように構成および定寸される、前記上部と前記底部との間の少なくとも１つの開口部と、
前記針先端が収納された配向に前記手術用針を保持するための筐体内の収納ゾーンであって、前記収納ゾーンは、前記開口部と連通する、収納ゾーンと、
前記筐体の上部を通して前記収納ゾーン内に延在する変形可能持針器細隙と、
を備える、装置。
【請求項５１６】
前記第１の縁は、前記第１の縁から分離し、前記持針器を受容する、請求項５１３、５１４、または５１５のいずれか１項に記載の針受器。
【請求項５１７】
前記変形可能持針器細隙は、第１の縁と、前記第１の縁と対向する第２の縁とを含む、請求項５１３、５１４、または５１５のいずれか１項に記載の針受器。
【請求項５１８】
前記第１の縁および前記第２の縁は、それらの間に延在する持針器を伴わずに、非変形独立状態で、相互に接触する、請求項５１３、５１４、または５１５のいずれか１項に記載の針受器。
【請求項５１９】
前記第１の縁および前記第２の縁は、非変形状態で、相互から離間され、間隙が、前記第１の縁と前記第２の縁との間に画定される、請求項５１３、５１４、または５１５のいずれか１項に記載の針受器。
【請求項５２０】
前記間隙は、１ｍｍ未満である、請求項５１９に記載の針受器。
【請求項５２１】
前記間隙は、２ｍｍ未満である、請求項５１９に記載の針受器。
【請求項５２２】
前記間隙は、０．５ｍｍ未満である、請求項５１９に記載の針受器。
【請求項５２３】
前記上構造は、堅性部分と、変形可能部分とを備え、前記変形可能部分は、前記持針器細隙に近接し、かつそれを含む、請求項５１９に記載の針受器。
【請求項５２４】
前記上構造は、変形可能である、請求項５１９に記載の針受器。
【請求項５２５】
前記下構造は、変形可能である、請求項５１９に記載の針受器。
【請求項５２６】
前記上構造および下構造は両方とも、変形可能である、請求項５１９に記載の針受器。
【請求項５２７】
前記下構造は、降着ゾーンを備え、前記上構造および下構造は、進入ゾーンと、第２のゾーンとを画定し、前記進入ゾーンは、前記降着ゾーンと前記収納ゾーンとの間に位置し、前記細隙の分離は、持針器が前記細隙に沿って前進すると、持針器に近接して増加する、請求項５１９に記載の針受器。
【請求項５２８】
針本体の一部は、前記持針器スロットを通して可視である、前記請求項のいずれか１項に記載の装置、方法、または針受器。
【請求項５２９】
針本体の中央本体部分は、前記持針器スロットを通して可視である、前記請求項のいずれか１項に記載の装置、方法、または針受器。
【請求項５３０】
針本体の一部は、前記上構造内の持針器スロットを通して可視である、前記請求項のいずれか１項に記載の装置、方法、または針受器。
【請求項５３１】
針本体の中央本体部分は、前記上構造内の持針器スロットを通して可視である前記持針器スロットを通して可視である、前記請求項のいずれか１項に記載の装置、方法、または針受器。
【請求項５３２】
針本体の一部は、前記下構造内の持針器スロットを通して可視である、前記請求項のいずれか１項に記載の装置、方法、または針受器。
【請求項５３３】
針本体の中央本体部分は、前記下構造内の持針器スロットを通して可視である前記持針器スロットを通して可視である、前記請求項のいずれか１項に記載の装置、方法、または針受器。
【請求項５３４】
針本体の一部は、前記下構造内の持針器スロットおよび前記上構造内の持針器スロットの両方を通して可視である、前記請求項のいずれか１項に記載の装置、方法、または針受器。
【請求項５３５】
針本体の中央本体部分は、前記下構造内の持針器スロットおよび前記上構造内の持針器スロットの両方を通して可視である前記持針器スロットを通して可視である、前記請求項のいずれか１項に記載の装置、方法、または針受器。
【請求項５３６】
前記下構造は、それを通して非均一光伝送を提供する、前記請求項のいずれか１項に記載の装置、方法、または針受器。
【請求項５３７】
前記下構造は、半透明材料を含む、前記請求項のいずれか１項に記載の装置、方法、または針受器。
【請求項５３８】
前記下構造は、半透明材料、拡散材料、粗面材料、および光散乱粒子から成る群から選択される、光散乱材料から成る、前記請求項のいずれか１項に記載の装置、方法、または針受器。
【請求項５３９】
前記下構造は、半不透明である、前記請求項のいずれか１項に記載の装置、方法、または針受器。
【請求項５４０】
前記下構造は、不透明である、前記請求項のいずれか１項に記載の装置、方法、または針受器。
【請求項５４１】
非均一に光を伝送するように構成される、前記請求項のいずれか１項に記載の装置、方法、または針受器。
【請求項５４２】
非均一に背面照明を伝送するように構成される、前記請求項のいずれか１項に記載の装置、方法、または針受器。
【請求項５４３】
縫合針のより均一な背面照明を提供するために、背面照明からの光を拡散させるように構成される、前記請求項のいずれか１項に記載の装置、方法、または針受器。
【請求項５４４】
前記下構造は、染色される、請求項５３６−５４４のいずれか１項に記載の装置、方法、または針受器。
【請求項５４５】
前記下構造は、着色される、請求項５３６−５４４のいずれか１項に記載の装置、方法、または針受器。
【請求項５４６】
前記下構造は、それを通した非均一光伝送のための粗面化された表面を提供する、前記請求項のいずれか１項に記載の装置、方法、または針受器。
【請求項５４７】
前記持針器スロットの縁から前記持針器スロットの中に、またはそれに沿って延在する、フラップをさらに備える、前記請求項のいずれか１項に記載の装置、方法、または針受器。
【請求項５４８】
前記持針器スロットの縁から前記持針器スロットの中に、またはそれに沿って延在する、フラップをさらに備える、前記請求項のいずれか１項に記載の装置、方法、または針受器。
【請求項５４９】
前記フラップは、変形可能である、前記請求項のいずれか１項に記載の装置、方法、または針受器。
【請求項５５０】
前記持針器スロットは、第１の縁と、前記第１の縁と対向する第２の縁とを含み、前記フラップは、前記第１および第２の縁のうちの１つから延在する、前記請求項のいずれか１項に記載の装置、方法、または針受器。
【請求項５５１】
前記持針器スロットは、第１の縁と、前記第１の縁と対向する第２の縁とを含み、前記フラップは、前記第１の縁および前記第２の縁の両方から延在する、前記請求項のいずれか１項に記載の装置、方法、または針受器。
【請求項５５２】
前記持針器スロットの縁から前記持針器細隙の中に延在するフラップをさらに備える、前記請求項のいずれか１項に記載の装置、方法、または針受器。
【請求項５５３】
前記フラップは、変形可能である、前記請求項のいずれか１項に記載の装置、方法、または針受器。
【請求項５５４】
前記持針器細隙は、第１の縁と、前記第１の縁と対向する第２の縁とを含み、前記フラップは、前記第１および第２の縁のうちの１つから延在する、前記請求項のいずれか１項に記載の装置、方法、または針受器。
【請求項５５５】
前記持針器細隙は、第１の縁と、前記第１の縁と対向する第２の縁とを含み、前記フラップは、前記第１の縁および前記第２の縁の両方から延在する、前記請求項のいずれか１項に記載の装置、方法、または針受器。
【請求項５５６】
前記持針器細隙の縁から前記持針器細隙の中に延在するフラップをさらに備える、前記請求項のいずれか１項に記載の装置、方法、または針受器。
【請求項５５７】
前記持針器スロットの縁から前記持針器スロットの中に延在する突出部をさらに備える、前記請求項のいずれか１項に記載の装置、方法、または針受器。
【請求項５５８】
前記持針器スロットは、第１の縁と、前記第１の縁と対向する第２の縁とを含み、前記突出部は、前記第１および第２の縁のうちの１つから延在する、前記請求項のいずれか１項に記載の装置、方法、または針受器。
【請求項５５９】
前記持針器スロットは、第１の縁と、前記第１の縁と対向する第２の縁とを含み、前記突出部は、前記第１の縁および前記第２の縁の両方から延在する、前記請求項のいずれか１項に記載の装置、方法、または針受器。
【請求項５６０】
前記持針器スロットの縁から前記持針器細隙の中に延在する突出部をさらに備える、前記請求項のいずれか１項に記載の装置、方法、または針受器。
【請求項５６１】
前記持針器細隙は、第１の縁と、前記第１の縁と対向する第２の縁とを含み、前記突出部は、前記第１および第２の縁のうちの１つから延在する、前記請求項のいずれか１項に記載の装置、方法、または針受器。
【請求項５６２】
前記持針器細隙は、第１の縁と、前記第１の縁と対向する第２の縁とを含み、前記突出部は、前記第１の縁および前記第２の縁の両方から延在する、前記請求項のいずれか１項に記載の装置、方法、または針受器。
【請求項５６３】
前記持針器細隙の縁から前記持針器スロットの中に延在する突出部をさらに備える、前記請求項のいずれか１項に記載の装置、方法、または針受器。
【請求項５６４】
前記持針器スロットに沿った前記持針器の抵抗は、前記針が持針器とともに前記スロットに沿って前進されるときの前記針スロットに沿った前記針の抵抗未満である、前記請求項のいずれか１項に記載の装置、方法、または針受器。
【請求項５６５】
前記持針器に対する前記針受器の抵抗は、前記針に対する前記針受器の抵抗未満である、前記請求項のいずれか１項に記載の装置、方法、または針受器。
【請求項５６６】
前記持針器の移動に対して前記持針器スロットによって付与される力は、前記針の移動に対して前記針スロットによって付与される力未満である、前記請求項のいずれか１項に記載の装置、方法、または針受器。
【請求項５６７】
前記持針器の移動に対して前記針受器によって付与される力は、前記針の移動に対して前記針受器によって付与される力未満である、前記請求項のいずれか１項に記載の装置、方法、または針受器。
【請求項５６８】
前記持針器スロットまたは細隙と前記持針器との間の摩擦力は、前記針スロットと前記針との間の摩擦力未満である、前記請求項のいずれか１項に記載の装置、方法、または針受器。
【請求項５６９】
前記針受器と前記持針器との間の摩擦力は、前記針受器と前記針との間の摩擦力未満である、前記請求項のいずれか１項に記載の装置、方法、または針受器。
【請求項５７０】
前記持針器スロットの幅は、前記持針器スロットの長さに沿って変動する、前記請求項のいずれか１項に記載の装置、方法、または針受器。
【請求項５７１】
前記持針器スロットは、第１の縁と、前記第１の縁と対向する第２の縁とを含み、前記第１の縁および前記第２の縁は、幅によって分離され、前記幅は、前記持針器スロットの長さに沿って変動する、前記請求項のいずれか１項に記載の装置、方法、または針受器。
【請求項５７２】
前記持針器スロットは、第１の縁と、前記第１の縁に近接する第２の縁とを含み、前記第１の縁および前記第２の縁は、幅によって分離され、前記幅は、前記持針器スロットの長さに沿って変動する、前記請求項のいずれか１項に記載の装置、方法、または針受器。
【請求項５７３】
前記持針器スロットは、前記持針器スロットの長さに沿って第１の端部および第２の端部を有し、前記第１の端部における前記持針器スロットの幅は、前記第２の端部における前記持針器スロットの幅を上回る、前記請求項のいずれか１項に記載の装置、方法、または針受器。
【請求項５７４】
前記第１の端部は、閉鎖され、前記第２の端部は、それを通して持針器を受容するために開放される、前記請求項のいずれか１項に記載の装置、方法、または針受器。
【請求項５７５】
前記持針器スロットは、前記持針器スロットの長さに沿って第１の端部および第２の端部を有し、前記第２の端部における前記持針器スロットの幅は、前記第１の端部における前記持針器スロットの幅を上回る、前記請求項のいずれか１項に記載の装置、方法、または針受器。
【請求項５７６】
前記持針器スロットの第１の端部は、閉鎖され、前記持針器スロットの第２の端部は、それを通して持針器を受容するために開放される、前記請求項のいずれか１項に記載の装置、方法、または針受器。
【請求項５７７】
前記持針器スロットの第１の端部は、前記収納ゾーンに近接し、前記持針器スロットの第２の端部は、前記遷移ゾーンに近接する、前記請求項のいずれか１項に記載の装置、方法、または針受器。
【請求項５７８】
前記持針器スロットの第１の端部は、前記持針器スロットの第２の端部より前記進入ゾーンから距離がある、前記請求項のいずれか１項に記載の装置、方法、または針受器。
【請求項５７９】
複数のゾーンの中への局在化を促進するために前記持針器スロットまたは前記針スロットに沿って２〜２０の触覚バンプを備え、前記触覚バンプは、前記持針器スロットに沿って移動する持針器または前記針スロットに沿って移動する針に係合するように定寸され、前記複数の触覚バンプはそれぞれ、留置されると、複数の針の集群を減少させるために、隣接するゾーン間に境界を画定する、前記請求項のいずれか１項に記載の方法、装置、針受器、キット、または障壁。
【請求項５８０】
個々のゾーンの中への局在化を促進するために前記持針器スロットまたは前記針スロットに沿って５〜８つの触覚バンプを備える、前記請求項のいずれか１項に記載の方法、装置、針受器、キット、または障壁。
【請求項５８１】
個々のゾーンの中への局在化を促進するために５つの触覚バンプを備える、前記請求項のいずれか１項に記載の方法、装置、針受器、キット、または障壁。
【請求項５８２】
個々のゾーンの中への局在化を促進するために３〜８つの触覚バンプを備える、前記請求項のいずれか１項に記載の方法、装置、針受器、キット、または障壁。
【請求項５８３】
個々のゾーンの中への局在化を促進するために３〜６つの触覚バンプを備える、前記請求項のいずれか１項に記載の方法、装置、針受器、キット、または障壁。
【請求項５８４】
前記触覚バンプは、対の触覚バンプである、前記請求項のいずれか１項に記載の方法、装置、針受器、キット、または障壁。
【請求項５８５】
前記触覚バンプは、前記針受器の長さに沿って配列される、前記請求項のいずれか１項に記載の方法、装置、針受器、キット、または障壁。
【請求項５８６】
前記触覚バンプは、前記持針器スロットまたは持針器細隙の長さに沿って配列される、前記請求項のいずれか１項に記載の方法、装置、針受器、キット、または障壁。
【請求項５８７】
前記触覚バンプは、前記針スロットの長さに沿って配列される、前記請求項のいずれか１項に記載の方法、装置、針受器、キット、または障壁。
【請求項５８８】
前記触覚バンプは、前記長さに沿って相互から第１の距離に配列され、前記第１の触覚バンプまたはバンプは、前記針スロットへの入口から第２の距離にあり、前記第２の距離は、前記第１の距離を上回る、前記請求項のいずれか１項に記載の方法、装置、針受器、キット、または障壁。
【請求項５８９】
前記針受器は、障壁搭載基部上に搭載されるように構成され、
前記障壁搭載基部は、障壁上に搭載されるように構成される、
前記請求項のいずれか１項に記載の装置、方法、または針受器。
【請求項５９０】
前記障壁搭載基部に搭載される縫合パックをさらに備える、請求項５８９に記載の装置、方法、または針受器。
【請求項５９１】
前記針受器に搭載される縫合パックをさらに備える、請求項５８９に記載の装置、方法、または針受器。
【請求項５９２】
前記針受器および前記障壁搭載基部に搭載される縫合パックをさらに備える、請求項５８９に記載の装置、方法、または針受器。
【請求項５９３】
前記縫合パックは、障壁搭載基部に搭載され、
前記障壁搭載基部は、障壁に搭載される、
前記請求項のいずれか１項に記載の装置、方法、または針受器。
【請求項５９４】
前記障壁搭載基部に搭載される針受器をさらに備える、請求項５９３に記載の装置、方法、または針受器。
【請求項５９５】
前記縫合パックに搭載される針受器をさらに備える、請求項５９３に記載の装置、方法、または針受器。
【請求項５９６】
前記縫合パックおよび前記障壁搭載基部に搭載される針受器をさらに備える、請求項５９３に記載の装置、方法、または針受器。
【請求項５９７】
前記針受器と前記搭載基部の接着力は、前記搭載基部と前記障壁の接着力を上回る、請求項５８９−５９６のいずれか１項に記載の装置、方法、または針受器。
【請求項５９８】
前記搭載基部と前記障壁の接着力は、前記障壁からの前記搭載基部の手動除去を可能にするために十分に弱い、請求項５８９−５９７のいずれか１項に記載の装置、方法、または針受器。
【請求項５９９】
前記針受器と前記搭載基部の接着力は、前記搭載基部からの前記針受器の除去を可能にするために十分に弱い、請求項５８９−５９８のいずれか１項に記載の装置、方法、または針受器。
【請求項６００】
前記縫合パックと前記搭載基部の接着力は、前記搭載基部と前記障壁の接着力を上回る、請求項５８９−５９８のいずれか１項に記載の装置、方法、または針受器。
【請求項６０１】
前記縫合パックと前記針受器の接着力は、前記搭載基部と前記障壁の接着力を上回る、請求項５８９−６００のいずれか１項に記載の装置、方法、または針受器。
【請求項６０２】
方法であって、前記方法は、
前記針の先端が前記針の平行移動の方向から離れて指向される状態で、針を針受器に対して配向するステップと、
針受器の進入ゾーンへの平行移動の方向において、前記針受器の収納ゾーンの中に針を移動させるステップと、
を含む、方法。
【請求項６０３】
針受器の中に針を挿入する方法であって、前記方法は、
前記針を前腕に結合される前記針受器の進入ゾーンに留置するステップであって、前記針は、前記針の先端が前記針受器の中への前記針の平行移動の方向から離れて指向される状態で、針受器に対して配向される、ステップと、
前記平行移動の方向に前記針受器に沿って前記針を移動させ、前記針を前記針受器の筐体内に収納するステップと、
を含む、方法。
【請求項６０４】
外科医による縫合針の収納のための方法であって、前記方法は、
前記針の先端が前記針の平行移動の方向から離れて指向される状態で、縫合針を針受器に対して配向するステップと、
前記針を前記平行移動の方向に移動させることによって、持針器で針受器の開口部の中に前記縫合針を挿入するステップと、
前記針受器の内側で前記縫合針を収納するステップと、
前記持針器から前記縫合針を解放するステップと、
を含む、方法。
【請求項６０５】
前記針の本体は、前記針先端を前記平行移動の方向に導く、請求項６０２−６０４のいずれか１項に記載の方法。
【請求項６０６】
前記針受器は、前記針先端が前記針本体を前記平行移動の方向に導くとき、前記針スロットの中への前記針の平行移動を阻止する、請求項６０２−６０４のいずれか１項に記載の方法。
【請求項６０７】
前記針を前記針スロット内で平行移動させるための平行移動力は、前記本体が前記先端を導いて前記針を平行移動させるときと比較して、前記先端が前記本体を導いて前記針を平行移動させるときに２倍となる、請求項６０２−６０４のいずれか１項に記載の方法。
【請求項６０８】
前記針を前記針スロット内で平行移動させるための平行移動力は、前記本体が前記先端を導いて前記針を平行移動させるときと比較して、前記先端が前記本体を導いて前記針を平行移動させるときにより大きくなる、請求項６０２−６０４のいずれか１項に記載の方法。
【請求項６０９】
前記針を前記針スロット内で平行移動させるための平行移動力は、前記本体が前記先端を導いて前記針を平行移動させるときと比較して、前記先端が前記本体を導いて前記針を平行移動させるときにより大きくなる、請求項６０２−６０４のいずれか１項に記載の方法。
【請求項６１０】
前記平行移動の方向は、前記針受器の進入ゾーンと前記針受器の収納ゾーンとの間に延在する、請求項６０２−６０４のいずれか１項に記載の方法。
【請求項６１１】
前記平行移動の方向は、針受器の縦軸に沿ってある、請求項６０２−６０４のいずれか１項に記載の方法。
【請求項６１２】
前記平行移動の方向は、持針器スロットの長さに沿ってある、請求項６０２−６０４のいずれか１項に記載の方法。
【請求項６１３】
前記平行移動の方向は、持針器細隙の長さに沿ってある、請求項６０２−６０４のいずれか１項に記載の方法。
【請求項６１４】
前記平行移動の方向は、ユーザの前腕の長さに沿ってある、請求項６０２−６０４のいずれか１項に記載の方法。
【請求項６１５】
前記平行移動の方向は、ユーザの腕の手首と肘との間に延在する、請求項６０２−６０４のいずれか１項に記載の方法。
【請求項６１６】
前記平行移動の方向は、持針器スロットまたは細隙の長さと平行である、請求項６０２−６０４のいずれか１項に記載の方法。
【請求項６１７】
前記平行移動の方向は、ユーザの肘に向かう方向にユーザの手首に近接して開始する、請求項６０２−６１６のいずれか１項に記載の方法。
【請求項６１８】
前記平行移動の方向は、収納ゾーンに向かってある、請求項６０２−６１６のいずれか１項に記載の方法。
【請求項６１９】
前記平行移動の方向は、持針器スロットまたは細隙の閉鎖端に向かってある、請求項６０２−６１６のいずれか１項に記載の方法。
【請求項６２０】
前記平行移動の方向は、持針器スロットまたは細隙の近位端に向かってある、請求項６０２−６１６のいずれか１項に記載の方法。
【請求項６２１】
前記平行移動の方向は、降着ゾーンから離れてある、請求項６０２−６１６のいずれか１項に記載の方法。
【請求項６２２】
前記平行移動の方向は、進入ゾーンから離れてある、請求項６０２−６１６のいずれか１項に記載の方法。
【請求項６２３】
前記平行移動の方向は、遷移ゾーンから離れてある、請求項６０２−６１６のいずれか１項に記載の方法。
【請求項６２４】
針受器であって、前記針受器は、
可撓性上構造と、
可撓性下構造であって、前記可撓性上構造および前記可撓性下構造は、相互に結合され、針を受容するための針スロットを画定する、可撓性下構造と、
上可撓性シート材料の周縁から延在する前記可撓性上構造を通して形成される、持針器受容スロットと、
を備える、針受器。
【請求項６２５】
針受器であって、前記針受器は、
第１の端部と第２の端部との間に延在し、折目において折重され、上構造および下構造を形成する、シート材料であって、前記上構造および下構造は、狭小外形構成において略平行平面表面を有する、シート材料と、
前記上構造と前記下構造との間に画定された針スロットと、
前記上構造を通して形成され、前記第１の端部から前記折目に向かって延在する、持針器受容スロットと、
を備える、針受器。
【請求項６２６】
針受器であって、前記針受器は、
上構造を形成する第１の可撓性シート材料と、
下構造を形成する第２の可撓性シート材料であって、前記第１の可撓性シート材料および前記第２の可撓性シート材料は、その個別の周縁において相互に結合される、第２の可撓性シート材料と、
前記第１の可撓性シート材料を通して形成され、前記第１の可撓性シート材料の周縁から延在する、スロットと、
を備える、針受器。
【請求項６２７】
前記針受器は、剛性構造に搭載される、請求項６２４−６２６のいずれか１項に記載の針受器。
【請求項６２８】
前記上構造および下構造は、前記針先端に印加される少なくとも１ポンド力を伴う針の鋭利先端で穿刺に抵抗するために十分な強度を備え、随意に、前記針は、テーパ状縫合針および切断式縫合針から成る群から選択され、随意に、前記力は、少なくとも２ポンド、少なくとも３ポンド、および少なくとも４ポンドから成る群から選択される、請求項６２４−６２６のいずれか１項に記載の針受器。
【請求項６２９】
前記上構造および下構造は、針の先端に印加される少なくとも０．３ポンド力を伴う針の鋭利先端で穿刺に抵抗するために十分な強度を備え、前記針は、Ｕｎｉｔｅｄ  Ｓｔａｔｅｓ  Ｓｕｒｇｉｃａｌ  Ｃｏｒｐｏｒａｔｉｏｎ  ＧＳ−２１針である、請求項６２４−６２６のいずれか１項に記載の針受器。
【請求項６３０】
前記上構造および下構造は、針の先端に印加される少なくとも０．３ポンド力を伴う針の鋭利先端で穿刺に抵抗するために十分な強度を備え、前記針は、Ｕｎｉｔｅｄ  Ｓｔａｔｅｓ  Ｓｕｒｇｉｃａｌ  Ｃｏｒｐｏｒａｔｉｏｎ  ＣＶ−２３針である、請求項６２４−６２６のいずれか１項に記載の針受器。
【請求項６３１】
前記上構造および下構造は、針の先端に印加される少なくとも０．３ポンド力を伴う針の鋭利先端で穿刺に抵抗するために十分な強度を備え、前記針は、Ｕｎｉｔｅｄ  Ｓｔａｔｅｓ  Ｓｕｒｇｉｃａｌ  Ｃｏｒｐｏｒａｔｉｏｎ細型半円形針である、請求項６２４−６２６のいずれか１項に記載の針受器。
【請求項６３２】
前記上構造および下構造は、針の先端に印加される少なくとも０．３ポンド力を伴う針の鋭利先端で穿刺に抵抗するために十分な強度を備え、前記針は、Ｕｎｉｔｅｄ  Ｓｔａｔｅｓ  Ｓｕｒｇｉｃａｌ  Ｃｏｒｐｏｒａｔｉｏｎ中型半円形針である、請求項６２４−６２６のいずれか１項に記載の針受器。
【請求項６３３】
前記上構造および下構造は、針の先端に印加される少なくとも０．５ポンド力を伴う針の鋭利先端で穿刺に抵抗するために十分な強度を備え、前記針は、Ｕｎｉｔｅｄ  Ｓｔａｔｅｓ  Ｓｕｒｇｉｃａｌ  Ｃｏｒｐｏｒａｔｉｏｎ  ＧＳ−２１針である、請求項６２４−６２６のいずれか１項に記載の針受器。
【請求項６３４】
前記上構造および下構造は、針の先端に印加される少なくとも０．５ポンド力を伴う針の鋭利先端で穿刺に抵抗するために十分な強度を備え、前記針は、Ｕｎｉｔｅｄ  Ｓｔａｔｅｓ  Ｓｕｒｇｉｃａｌ  Ｃｏｒｐｏｒａｔｉｏｎ  ＣＶ−２３針である、請求項６２４−６２６のいずれか１項に記載の針受器。
【請求項６３５】
前記上構造および下構造は、針の先端に印加される少なくとも０．５ポンド力を伴う針の鋭利先端で穿刺に抵抗するために十分な強度を備え、前記針は、Ｕｎｉｔｅｄ  Ｓｔａｔｅｓ  Ｓｕｒｇｉｃａｌ  Ｃｏｒｐｏｒａｔｉｏｎ細型半円形針である、請求項６２４−６２６のいずれか１項に記載の針受器。
【請求項６３６】
前記上構造および下構造は、針の先端に印加される少なくとも１ポンド力を伴う針の鋭利先端で穿刺に抵抗するために十分な強度を備え、前記針は、Ｕｎｉｔｅｄ  Ｓｔａｔｅｓ  Ｓｕｒｇｉｃａｌ  Ｃｏｒｐｏｒａｔｉｏｎ中型半円形針である、請求項６２４−６２６のいずれか１項に記載の針受器。
【請求項６３７】
前記上構造および下構造は、針の先端に印加される少なくとも１ポンド力を伴う針の鋭利先端で穿刺に抵抗するために十分な強度を備え、前記針は、Ｕｎｉｔｅｄ  Ｓｔａｔｅｓ  Ｓｕｒｇｉｃａｌ  Ｃｏｒｐｏｒａｔｉｏｎ  ＧＳ−２１針である、請求項６２４−６２６のいずれか１項に記載の針受器。
【請求項６３８】
前記上構造および下構造は、針の先端に印加される少なくとも１ポンド力を伴う針の鋭利先端で穿刺に抵抗するために十分な強度を備え、前記針は、Ｕｎｉｔｅｄ  Ｓｔａｔｅｓ  Ｓｕｒｇｉｃａｌ  Ｃｏｒｐｏｒａｔｉｏｎ  ＣＶ−２３針である、請求項６２４−６２６のいずれか１項に記載の針受器。
【請求項６３９】
前記上構造および下構造は、針の先端に印加される少なくとも１ポンド力を伴う針の鋭利先端で穿刺に抵抗するために十分な強度を備え、前記針は、Ｕｎｉｔｅｄ  Ｓｔａｔｅｓ  Ｓｕｒｇｉｃａｌ  Ｃｏｒｐｏｒａｔｉｏｎ細型半円形針である、請求項６２４−６２６のいずれか１項に記載の針受器。
【請求項６４０】
前記上構造および下構造は、針の先端に印加される少なくとも１ポンド力を伴う針の鋭利先端で穿刺に抵抗するために十分な強度を備え、前記針は、Ｕｎｉｔｅｄ  Ｓｔａｔｅｓ  Ｓｕｒｇｉｃａｌ  Ｃｏｒｐｏｒａｔｉｏｎ中型半円形針である、請求項６２４−６２６のいずれか１項に記載の針受器。
【請求項６４１】
前記上構造および下構造は、針の先端に印加される少なくとも３ポンド力を伴う針の鋭利先端で穿刺に抵抗するために十分な強度を備え、前記針は、Ｕｎｉｔｅｄ  Ｓｔａｔｅｓ  Ｓｕｒｇｉｃａｌ  Ｃｏｒｐｏｒａｔｉｏｎ  ＧＳ−２１針である、請求項６２４−６２６のいずれか１項に記載の針受器。
【請求項６４２】
前記上構造および下構造は、針の先端に印加される少なくとも３ポンド力を伴う針の鋭利先端で穿刺に抵抗するために十分な強度を備え、前記針は、Ｕｎｉｔｅｄ  Ｓｔａｔｅｓ  Ｓｕｒｇｉｃａｌ  Ｃｏｒｐｏｒａｔｉｏｎ  ＣＶ−２３針である、請求項６２４−６２６のいずれか１項に記載の針受器。
【請求項６４３】
前記上構造および下構造は、針の先端に印加される少なくとも３ポンド力を伴う針の鋭利先端で穿刺に抵抗するために十分な強度を備え、前記針は、Ｕｎｉｔｅｄ  Ｓｔａｔｅｓ  Ｓｕｒｇｉｃａｌ  Ｃｏｒｐｏｒａｔｉｏｎ細型半円形針である、請求項６２４−６２６のいずれか１項に記載の針受器。
【請求項６４４】
前記上構造および下構造は、針の先端に印加される少なくとも３ポンド力を伴う針の鋭利先端で穿刺に抵抗するために十分な強度を備え、前記針は、Ｕｎｉｔｅｄ  Ｓｔａｔｅｓ  Ｓｕｒｇｉｃａｌ  Ｃｏｒｐｏｒａｔｉｏｎ中型半円形針である、請求項６２４−６２６のいずれか１項に記載の針受器。
【請求項６４５】
前記上構造および下構造は、滅菌パッケージの内側への留置のための狭小外形構成における第１の距離から前記滅菌パッケージの外側の拡張外形構成における第２の距離に、前記上構造と前記下構造との間の前記針スロットの距離を増加させるためにともに撓曲するように構成され、前記第２の距離は、前記針を受容するために、前記第１の距離を上回る、請求項６２４−６２６のいずれか１項に記載の針受器。
【請求項６４６】
前記第１の構造は、前記狭小外形構成において前記第２の構造に接触する、請求項６４５に記載の針受器。
【請求項６４７】
前記第１の構造は、前記狭小外形構成において前記第２の構造に接触する、請求項６４５に記載の針受器。
【請求項６４８】
前記第１の構造および前記第２の構造は、前記第１の構造と前記第２の構造との間に前記針を保持するために十分な厚さを備える、請求項６４５に記載の針受器。
【請求項６４９】
前記第１の構造および前記第２の構造は、前記第１の構造と前記第２の構造との間の収納ゾーン内に前記針を収納するるために十分な厚さを備える、請求項６４５に記載の針受器。
【請求項６５０】
前記上構造および下構造は、前記狭小外形構成において実質的に平坦であって、前記上構造および下構造は、前記拡張外形構成において湾曲される、請求項６４５に記載の針受器。
【請求項６５１】
前記針受器は、長さ、幅、および高さを備え、前記長さは、前記幅を上回り、前記幅は、前記高さを上回り、前記狭小外形構成における厚さは、５ｍｍ以下、４ｍｍ以下、３ｍｍ以下、２ｍｍ以下、１ｍｍ以下、および０．５ｍｍ以下から成る群から選択され、前記第１の距離と前記第２の距離との間の差異は、３ｍｍ以下、２ｍｍ以下、１ｍｍ以下、および０．５ｍｍ以下から成る群から選択される、請求項６４５に記載の針受器。
【請求項６５２】
前記上構造および前記下構造はそれぞれ、０．１ｍｍ〜２．５ｍｍ、０．２ｍｍ〜２ｍｍ、０．２５ｍｍ〜２ｍｍおよび０．５ｍｍ〜１ｍｍから成る群から選択される範囲内の厚さを備える、請求項６４５に記載の針受器。
【請求項６５３】
前記針受器は、第１の側面と、前記第１の側面と対向する第２の側面とを備え、前記上構造は、前記第１の側面に沿った第１の結合領域および前記第２の側面に沿った第２の結合領域において前記下構造に接続され、前記針スロットは、前記第１の結合領域と前記第２の結合領域との間に延在し、前記第１の結合領域と前記第２の結合領域との間の距離は、前記針スロットの幅を画定する、請求項６２４−６２６のいずれか１項に記載の針受器。
【請求項６５４】
前記第１の表面は、前記針スロットの端部を画定する第３の結合領域に沿った前記第２の結合表面に接続される、請求項６５３に記載の針受器。
【請求項６５５】
前記針受器は、第１の開放端と、前記第２の開放端と対向する第２の開放端とを備え、前記針スロットは、前記第１の開放端と前記第２の開放端との間に延在し、前記第１の構造および前記第２の構造は、前記第１の領域と前記第２の領域との間の針スロット内に針を収納するために十分な堅性を備える、請求項６５３に記載の針受器。
【請求項６５６】
前記針受器を支持体に接着するための前記下構造の下面に沿った材料のストリップをさらに備え、前記材料のストリップは、前記針スロットの長軸とともに長軸に沿って配向され、前記距離が前記第１の距離から前記第２の距離に増加すると、前記下構造が前記上構造とともに撓曲することを可能にする、請求項６５３に記載の針受器。
【請求項６５７】
滅菌キットであって、前記滅菌キットは、
滅菌障壁を備える、滅菌パッケージと、
針パッケージ内に含有される複数の針と、
請求項６２４−６２６のいずれか１項に記載の針受器と、
を備え、
前記複数の針のそれぞれの先端間距離は、前記針スロットの幅未満であって、
前記針パッケージおよび前記針受器内に含有される複数の針は、滅菌されており、前記滅菌キットの滅菌障壁内に含有される、
滅菌キット。
【請求項６５８】
前記複数の針のそれぞれの先端間距離は、前記針スロットの幅の７５％〜１００％、前記針スロットの幅の８０％〜９９％、前記針スロットの幅の８５％〜９８％、および前記針スロットの幅の９０％〜９７％から成る群から選択される範囲内である、請求項６５７に記載の滅菌キット。
【請求項６５９】
前記複数の針のそれぞれの先端間距離は、前記拡張構成において前記針スロットの幅のあるパーセンテージ内であり、前記パーセンテージは、前記針スロットの第２の幅の７５％〜１００％、前記針スロットの第２の幅の８０％〜９９％、前記針スロットの第２の幅の８５％〜９８％、および前記針スロットの第２の幅の９０％〜９７％から成る群から選択される範囲内であり、随意に、前記針スロットは、長さ、幅、および高さを備え、前記長さは、前記幅を上回り、前記幅は、前記高さを上回る、請求項６５７に記載の滅菌キット。
【請求項６６０】
前記上構造および前記下構造はそれぞれ、持針器を受容するための持針器スロットを備える、請求項６２４−６２６のいずれか１項に記載の針受器。
【請求項６６１】
前記上構造および下構造は、その個別の周縁において相互に接続される、請求項６２４−６２６のいずれか１項に記載の針受器。
【請求項６６２】
前記上構造および下構造は、その個別の周縁において相互に平行である、請求項６２４−６２６のいずれか１項に記載の針受器。
【請求項６６３】
前記上構造および下構造は、その個別の周縁において相互に接着される、請求項６２４−６６２のいずれか１項に記載の針受器。
【請求項６６４】
前記上構造は、前記針受器の収納ゾーンおよび遷移ゾーンの上部分を形成する、請求項６２４−６６３のいずれか１項に記載の針受器。
【請求項６６５】
前記下構造は、前記針受器の収納ゾーンおよび遷移ゾーンの下部分を形成する、請求項６２４−６６４のいずれか１項に記載の針受器。
【請求項６６６】
前記下構造は、前記針受器の降着ゾーンを形成する、請求項６２４−６６５のいずれか１項に記載の針受器。
【請求項６６７】
前記針受器の降着ゾーンを形成する、前記下構造は、前記収納ゾーンから離れて前記遷移ゾーンから延在する、請求項６２４−６６６のいずれか１項に記載の針受器。
【請求項６６８】
前記針受器は、第１の端部と第２の端部との間に延在する長さを有し、前記進入ゾーンは、前記第１の端部を含み、前記収納ゾーンは、前記第２の端部を含み、前記遷移ゾーンは、前記第１の端部と前記第２の端部との間にある、請求項６２４−６６７のいずれか１項に記載の針受器。
【請求項６６９】
前記進入ゾーンの下構造は、針および持針器先端を受容するように構成される降着ゾーンである、請求項６２４−６６７のいずれか１項に記載の針受器。
【請求項６７０】
前記持針器スロットは、前記遷移ゾーン内の上構造の縁から前記収納ゾーンの中に延在し、前記上構造および前記縁を前記遷移ゾーン内で別個の第１および第２の部分にパーティション化する、請求項６２４−６６９のいずれか１項に記載の針受器。
【請求項６７１】
前記遷移ゾーン内の上構造の第１および第２の部分は、前記下構造に向かって変形され、前記上構造を前記下構造から変位させ、開口部をそれらの間の前記針スロット内に形成する、請求項６２５−６７０のいずれか１項に記載の針受器。
【請求項６７２】
前記遷移ゾーン内の上構造の第１および第２の部分は、前記下構造に向かって折重され、前記上構造を前記下構造から変位させ、開口部をそれらの間の前記針スロット内に形成する、請求項６２５−６７１のいずれか１項に記載の針受器。
【請求項６７３】
前記遷移ゾーン内の上構造の第１および第２の部分は、前記下構造から離れて折重され、前記上構造を前記下構造から変位させ、開口部をそれらの間の前記針スロット内に形成する、請求項６２５−６７１のいずれか１項に記載の針受器。
【請求項６７４】
前記第１および第２のシート材料は、可撓性である、請求項６２５−６７２のいずれか１項に記載の針受器。
【請求項６７５】
前記第１および第２のシート材料は、ＡＢＳ、ポリカーボネート、ポリエチレン、ポリプロピレン、熱成形可能プラスチック、およびＰＥＴＧから成る群から選定される、請求項６２５−６７４のいずれか１項に記載の針受器。
【請求項６７６】
請求項６２５−６７２のいずれか１項に記載の針受器と、少なくとも１本の針とを備える、キット。
【請求項６７７】
前記針は、長さを有し、前記針スロットは、幅を有し、前記針の長さは、実質的に類似するが、前記針スロットの幅未満である、請求項６７６に記載のキット。
【請求項６７８】
前記針は、長さを有し、前記針受器は、幅を有し、前記針の長さは、実質的に類似するが、前記針受器の幅未満である、請求項６７６に記載のキット。
【請求項６７９】
前記針の長さおよび前記針スロットの幅は、前記針が前記針スロット内にあるとき、前記針が前記針スロットを変形させるようなものである、請求項６７６−６７８のいずれか１項に記載のキット。
【請求項６８０】
前記針の長さおよび前記針スロットの幅は、前記針が前記針スロット内にあるとき、前記針受器の上構造および下構造が圧縮力を前記針に印加するようなものである、請求項６７６−６７９のいずれか１項に記載のキット。
【請求項６８１】
前記針の長さおよび前記針スロットの幅は、前記針が前記針スロット内にあるとき、前記針が前記上構造および前記下構造を変形させるようなものである、請求項６７６−６８０のいずれか１項に記載のキット。
【請求項６８２】
前記針は、先端および末端を有する湾曲針であり、前記長さは、前記先端と前記末端との間の直線距離として画定される、請求項６７６−６８１のいずれか１項に記載のキット。
【請求項６８３】
前記針の長さは、前記針の２つの端部間の直線距離として画定される、請求項６７６−６８１のいずれか１項に記載のキット。
【請求項６８４】
下構造は、前記針スロットを閉鎖するために前記上構造にわたって折重可能であるフラップを含む、請求項６２５−６８３のいずれか１項に記載のキットまたは針受器。
【請求項６８５】
下構造は、前記針スロットをシールするために前記上構造にわたって折重可能であるフラップを含む、請求項６２５−６８４のいずれか１項に記載のキットまたは針受器。
【請求項６８６】
前記フラップは、前記収納ゾーンから離れて前記遷移ゾーンを越えて延在する前記下構造の少なくとも一部を含む、請求項６２５−６８５のいずれか１項に記載のキットまたは針受器。
【請求項６８７】
前記フラップは、前記下構造の進入ゾーンの少なくとも一部を含む、請求項６２５−６８６のいずれか１項に記載のキットまたは針受器。
【請求項６８８】
前記フラップ上の接着剤をさらに備える、請求項６２５−６８７のいずれか１項に記載のキットまたは針受器。
【請求項６８９】
前記フラップ上の接着剤は、前記針スロットを閉鎖するために前記上構造に接着する、請求項６２５−６８８のいずれか１項に記載のキットまたは針受器。
【請求項６９０】
前記フラップ上の接着剤は、前記針スロットをシールするために前記上構造に接着する、請求項６２５−６８９のいずれか１項に記載のキットまたは針受器。
【請求項６９１】
前記針受器を受容するように構成される堅性構造をさらに備える、前記請求項のいずれか１項に記載の装置、方法、針受器、またはキット。
【請求項６９２】
前記堅性構造は、前記針受器を受容するように成形される開放側面を含む、請求項６９１に記載の装置、方法、針受器、またはキット。
【請求項６９３】
前記堅性構造は、前記針受器が前記堅性構造内にあるとき、前記針受器の持針器スロットと整合する持針器スロットを含む、請求項６９１−６９２のいずれか１項に記載の装置、方法、針受器、またはキット。
【請求項６９４】
前記堅性構造は、六面体の形状である、請求項６９１−６９３に記載の装置、方法、針受器、またはキット。
【請求項６９５】
前記堅性構造は、下構造に結合される上構造を含み、前記堅性構造は、前記針受器を前記上構造と前記下構造との間に受容および保持するように構成される、請求項６９１−６９４に記載の装置、方法、針受器、またはキット。
【請求項６９６】
前記堅性構造は、下構造に結合される上構造を含み、前記上構造および下構造は、前記針受器を前記堅性構造に保持するために締付力を前記針受器に付与するように構成される、請求項６９１−６９５に記載の装置、方法、針受器、またはキット。
【請求項６９７】
前記堅性構造は、上構造と、下構造と、壁構造とを含み、前記壁構造は、前記上構造および前記下構造をともに結合する、請求項６９１に記載の装置、方法、針受器、またはキット。
【請求項６９８】
前記堅性構造は、前記針受器を受容するように構成される容器である、請求項６９１−６９７に記載の装置、方法、針受器、またはキット。
【請求項６９９】
前記堅性構造は、
第１および第２の端部を有する、第１の堅性部材と、
前記第１の堅性部材の第１の端部から延在する、第２の堅性部材と、
前記第１の堅性の第２の端部から延在し、前記第２の堅性部材と同一平面にある、第３の堅性部材と、
を含み、
前記堅性構造は、前記請求項のいずれか１項に記載の針受器を前記第２の堅性部材と第３の堅性部材との間に受容するように構成される、
請求項６９１に記載の装置、方法、針受器、またはキット。
【請求項７００】
前記第１の部材に近接する端部における前記第２の部材と第３の部材との間の距離は、前記針受器が前記堅性構造内に受容されると、前記第２および第３の部材が力を前記針受器に付与し、前記針受器を変形させ、前記針受器の針スロットの進入口を拡大するように、遠位端における前記第２の部材と第３の部材との間の距離未満である、請求項６９９に記載の装置、方法、針受器、またはキット。
【請求項７０１】
進入ゾーンにおける前記針受器の幅は、前記針受器が前記堅性構造内に受容されると、前記第２および第３の部材が力を前記針受器に付与し、前記針受器を変形させ、前記針受器の針スロットの進入口を拡大するように、収納ゾーンにおける前記針受器の幅を上回る、請求項６９９に記載の装置、方法、針受器、またはキット。
【請求項７０２】
針受器であって、前記針受器は、
上構造を形成する堅性材料の第１のシートと、
下構造を形成する堅性材料の第２のシートであって、前記第１の堅性シート材料および前記第２の堅性シート材料は、その個別の周縁において相互に結合される、第２のシートと、
前記第２の堅性シート材料を通して形成され、前記第２の堅性シート材料の周縁から延在する、スロットと、
を備える、針受器。
【請求項７０３】
前記上構造および下構造は、その個別の周縁において相互に平行である、請求項７０２のいずれか１項に記載の針受器。
【請求項７０４】
前記上構造および下構造は、その個別の周縁において相互に接着される、請求項７０２−７０３のいずれか１項に記載の針受器。
【請求項７０５】
前記上構造および下構造は、前記下構造の周縁から前記上構造の周縁まで延在する壁を介して、相互に結合される、請求項７０２−７０４のいずれか１項に記載の針受器。
【請求項７０６】
側方開口部は、それを通して針を受容するように構成される、請求項７０２−７０５のいずれか１項に記載の針受器。
【請求項７０７】
前記上構造は、前記針受器の収納ゾーンおよび遷移ゾーンの上部分を形成する、請求項７０２−７０６のいずれか１項に記載の針受器。
【請求項７０８】
前記下構造は、前記針受器の収納ゾーンおよび遷移ゾーンの下部分を形成する、請求項７０２−７０７のいずれか１項に記載の針受器。
【請求項７０９】
前記下構造は、前記針受器の降着ゾーンを形成する、請求項７０２−７０８のいずれか１項に記載の針受器。
【請求項７１０】
前記針受器の降着ゾーンを形成する前記下構造は、前記収納ゾーンから離れて前記遷移ゾーンから延在する、請求項７０２−７０９のいずれか１項に記載の針受器。
【請求項７１１】
前記針受器は、第１の端部と第２の端部との間に延在する長さを有し、前記進入ゾーンは、前記第１の端部を含み、前記収納ゾーンは、前記第２の端部を含み、前記遷移ゾーンは、前記第１の端部と前記第２の端部との間にある、請求項７０２−７１０のいずれか１項に記載の針受器。
【請求項７１２】
前記進入ゾーンの下構造は、針および持針器先端を受容するように構成される降着ゾーンである、請求項７０２−７１１のいずれか１項に記載の針受器。
【請求項７１３】
前記持針器スロットは、前記遷移ゾーン内の上構造の縁から前記収納ゾーンの中に延在し、前記上構造および前記縁を前記遷移ゾーン内で別個の第１および第２の部分にパーティション化する、請求項７０２−７１２のいずれか１項に記載の針受器。
【請求項７１４】
前記遷移ゾーン内の上構造の第１および第２の部分は、前記下構造に向かって変形され、前記上構造を前記下構造から変位させ、開口部をそれらの間の前記針スロット内に形成する、請求項７０２−７１３のいずれか１項に記載の針受器。
【請求項７１５】
前記遷移ゾーン内の上構造の第１および第２の部分は、前記下構造に向かって折重され、前記上構造を前記下構造から変位させ、開口部をそれらの間の前記針スロット内に形成する、請求項７０２−７１４のいずれか１項に記載の針受器。
【請求項７１６】
下構造は、前記針スロットを閉鎖するために前記上構造にわたって折重可能であるフラップを含む、請求項７０２−７１５のいずれか１項に記載の針受器。
【請求項７１７】
下構造は、前記針スロットをシールするために前記上構造にわたって折重可能であるフラップを含む、請求項７０２−７１６のいずれか１項に記載の針受器。
【請求項７１８】
前記フラップは、前記収納ゾーンから離れて前記遷移ゾーンを越えて延在する前記下構造の少なくとも一部を含む、請求項７０２−７１７のいずれか１項に記載の針受器。
【請求項７１９】
前記フラップは、前記下構造の進入ゾーンの少なくとも一部を含む、請求項７０２−７１８のいずれか１項に記載の針受器。
【請求項７２０】
前記フラップ上の接着剤をさらに備える、請求項７０２−７１９のいずれか１項に記載の針受器。
【請求項７２１】
前記フラップ上の接着剤は、前記針スロットを閉鎖するために前記上構造に接着する、請求項７０２−７２０のいずれか１項に記載の針受器。
【請求項７２２】
前記フラップ上の接着剤は、前記針スロットをシールするために前記上構造に接着する、請求項７０２−７２１のいずれか１項のいずれか１項に記載のキットまたは針受器。
【請求項７２３】
１本またはそれを上回る針保定具を前記針スロット内にさらに備える、前記請求項のいずれか１項に記載のキットまたは針受器。
【請求項７２４】
前記針保定具は、少なくとも１つの磁石を含む、請求項７２３に記載のキットまたは針受器。
【請求項７２５】
前記少なくとも１つの磁石は、前記上構造および前記下構造の一方または両方に結合される、請求項７２４に記載のキットまたは針受器。
【請求項７２６】
前記少なくとも１つの磁石は、前記上構造および前記下構造の一方または両方内にある、請求項７２４に記載のキットまたは針受器。
【請求項７２７】
前記針保定具は、少なくとも１つの接着タブを含む、請求項７２３に記載のキットまたは針受器。
【請求項７２８】
前記少なくとも１つの接着タブは、前記上構造および前記下構造の一方または両方に結合される、請求項７２７に記載のキットまたは針受器。
【請求項７２９】
前記少なくとも１つの接着タブは、前記上構造および前記下構造の一方または両方から前記針スロットの中に延在する、請求項７２７に記載のキットまたは針受器。
【請求項７３０】
前記少なくとも１つの接着タブは、対向する第１および第２の側面を含み、前記第１の側面は、前記針スロット内の開口部に面し、非接着性であり、前記第２の側面は、前記針スロット内の開口部から離れて面し、接着性である、請求項７２７−７２９のいずれか１項に記載のキットまたは針受器。
【請求項７３１】
前記針保定具は、応従性材料を前記針スロット内に含む、請求項７２３に記載のキットまたは針受器。
【請求項７３２】
前記応従性材料は、前記下構造から前記上構造に向かって延在し、前記針スロット内の針を通して保定力を前記上構造に印加し、前記針を前記スロット内に保定する、第１の発泡体構造を含む、請求項７３１に記載のキットまたは針受器。
【請求項７３３】
前記応従性材料は、前記上構造から前記下構造に向かって延在し、前記針スロット内の針を通して保定力を前記下構造に印加し、前記針を前記針スロット内に保定する、第１の発泡体構造を含む、請求項７３１に記載のキットまたは針受器。
【請求項７３４】
前記応従性材料は、前記上構造から前記下構造に向かって延在する、第１の発泡体構造と、前記下構造から前記上構造に向かって延在する、第２の発泡体構造とを含み、
間隙が、前記第１の発泡体構造と前記第２の発泡体構造との間に画定され、
前記第１の発泡体構造および前記第２の発泡体構造は、前記間隙内の針を通して力を相互に付与し、前記針を前記針スロット内に保定する、
請求項７３１に記載のキットまたは針受器。
【請求項７３５】
前記針保定具は、針が、前記針スロットに進入し、前記針スロットから退出する針に抵抗することを可能にする、機械仕切を含む、請求項７２３に記載のキットまたは針受器。
【請求項７３６】
前記針保定具は、少なくとも１つの機械仕切を含み、前記仕切は、先導構造と、追従構造と、枢動構造とを備え、前記枢動構造は、前記先導構造を追従構造に結合し、前記仕切は、針が前記針スロットの中に移動することを可能にするが、前記針スロットからの針の移動に抵抗するように構成される、請求項７２３および７３５のいずれか１項に記載のキットまたは針受器。
【請求項７３７】
前記少なくとも１つの仕切は、前記針スロット内の順序付けられたアレイ内で１本の針を別の針から分離する、請求項７３５に記載のキットまたは針受器。
【請求項７３８】
前記先導構造および追従構造は、相互に直角で前記枢動構造から延在する、請求項７３５に記載のキットまたは針受器。
【請求項７３９】
前記先導構造および追従構造は、相互に鈍角で前記枢動構造から延在する、請求項７３５に記載のキットまたは針受器。
【請求項７４０】
初期構成では、追従構造は、前記針受器の下構造に対して静置し、前記先導構造は、前記枢動構造から前記針スロットの中に延在し、前記枢動構造は、前記針受器の下構造に結合される、請求項７３５に記載のキットまたは針受器。
【請求項７４１】
前記枢動構造は、追従構造を前記針受器の下構造に対して保持する、ばねを含む、請求項７４０に記載のキットまたは針受器。
【請求項７４２】
前記ばねは、螺旋ばねである、請求項７４１に記載のキットまたは針受器。
【請求項７４３】
保定構成では、追従構造は、前記枢動構造から前記針スロットの中に延在し、前記針スロット内の針と前記針受器の進入ゾーンとの間に障壁を形成する、請求項７３５に記載のキットまたは針受器。
【請求項７４４】
前記針保定具は、前記針を前記針スロット内に平面アレイにおいて保定する、請求項７２３−７４３のいずれか１項に記載のキットまたは針受器。
【請求項７４５】
前記針保定具は、前記針スロット内で相互に覆わないように、前記針を保定する、請求項７２３−７４３のいずれか１項に記載のキットまたは針受器。
【請求項７４６】
前記針保定具は、前記針を前記針スロット内にアレイにおいて保定する、請求項７２３−７４３のいずれか１項に記載のキットまたは針受器。
【請求項７４７】
前記針保定具は、前記針を前記針スロット内に積み重ねられていない構成で保定する、請求項７２３−７４３のいずれか１項に記載のキットまたは針受器。
【請求項７４８】
前記針保定具は、前記針がそれぞれ、前記針の相互に対して分離されるように、前記針を前記スロット内に保定する、請求項７２３−７４３のいずれか１項に記載のキットまたは針受器。
【請求項７４９】
前記保定特徴は、磁気的である、請求項７２３−７４８のいずれか１項に記載のキットまたは針受器。
【請求項７５０】
前記１つまたはそれを上回るクリップが、前記針スロットの長さに沿って延在し、前記針スロットの側方開口部に面し、前記１つまたはそれを上回るクリップは、前記針が前記側方開口部から前記閉鎖端に向かって平行移動されるにつれて、前記針スロットの中に留置された針が、前記１つまたはそれを上回るクリップの中に指向され、前記クリップの上部分と下部分との間にしっかりと保持されるように、前記側方開口部において前記針受器に結合される、請求項７２３−７４８のいずれか１項に記載のキットまたは針受器。
【請求項７５１】
各クリップは、上部分と、下部分と、前記上部分および下部分を接続するヒンジ部分とを備え、前記クリップは、前記上部分と下部分との間に留置された針に対して圧縮力を印加するように構成される、請求項７５０に記載のキットまたは針受器。
【請求項７５２】
前記上構造および前記下構造は、前記遷移ゾーンに近接する前記収納ゾーンの第１の端部における第１の距離と、前記遷移ゾーンの遠位の前記収納ゾーンの第２の端部における第２の距離とによって分離され、前記第１の距離は、前記上構造および下構造が前記針スロット内で前記第１の端部と第２の端部との間に配列される複数の針に締付力を付与するように、前記第２の距離未満である、前記請求項のいずれか１項に記載の針受器。
【請求項７５３】
前記針受器と係合され、前記進入ゾーンに向かって第１の方向に縦方向に平行移動し、前記進入ゾーンから離れた平行移動に抵抗するように構成される、歯止めカバーをさらに備える、前記請求項のいずれか１項に記載の針受器。
【請求項７５４】
前記歯止めカバーは、前記カバーが前記進入ゾーンに向かって平行移動するにつれて、前記持針器スロットを被覆する、請求項７５３に記載の針受器。
【請求項７５５】
針容器をさらに備え、前記針容器は、上面を有し、前記針受器の収納ゾーン内に受容されるように成形される、伸長本体と、前記伸長本体の上面から延在する、受容タブとを備える、前記請求項のいずれか１項に記載の針受器。
【請求項７５６】
前記受容タブは、針と係合されるように構成される、請求項７５５に記載の針受器。
【請求項７５７】
前記針が、１つまたはそれを上回る受容タブに係合し、前記針スロットの収納ゾーンの中に平行移動すると、前記針は、前記針容器の一部を前記針スロットの中に引動させる、請求項７５６に記載の針受器。
【請求項７５８】
前記下構造を通して前記進入ゾーンまたは遷移ゾーン内にある、開口をさらに備え、前記針容器は、前記下構造の真下から前記開口を通して前記針スロットの中に通過するように構成される、請求項７５５−７５７のいずれか１項に記載の針受器。
【請求項７５９】
前記受容タブは、前記針容器の上面に添着される、請求項７５５−７５８のいずれか１項に記載の針受器。
【請求項７６０】
前記受容タブは、前記針容器を通して細隙を切断し、前記針容器の上面を通した方向に前記細隙によって形成される受容タブを塑性的に変形させることによって形成される、請求項７５５−７５８のいずれか１項に記載の針受器。
【請求項７６１】
前記受容タブは、前記針容器を通して細隙を切断し、前記針容器の上面を通した方向に前記細隙によって形成される受容タブを偏向させることによって形成される、請求項７５５−７５８のいずれか１項に記載の針受器。
【請求項７６２】
針容器は、前記針スロットの中に歯止めするように構成される、請求項７５５−７６１のいずれか１項に記載の針受器。
【請求項７６３】
針容器は、前記持針器スロットの中への前記針容器の移動を可能にし、前記針スロットからの前記針容器の移動に抵抗するように構成される、請求項７５５−７６１のいずれか１項に記載の針受器。
【請求項７６４】
前記受容タブは、前記針を前記針スロット内に離間アレイにおいて保持するように構成される、請求項７５５−７６３のいずれか１項に記載の針受器。
【請求項７６５】
前記アレイは、順序付けられたアレイである、請求項７６４に記載の針受器。
【請求項７６６】
前記アレイは、平面アレイである、請求項７６４−７６５のいずれか１項に記載の針受器。
【請求項７６７】
前記上面または下面の個別の一方または両方から前記上面または下面の他方に向かって延在し、持針器によって提供される荷重下にあるとき、針の進入を可能にするが、荷重下にないとき、前記針を前記スロット内に保定するように構成される、遮断タブをさらに備える、前記請求項のいずれか１項に記載の針受器。
【請求項７６８】
前記堅性部分は、剛性部分を備える、前記請求項のいずれか１項に記載の針受器、装置、障壁、または方法。
【請求項７６９】
前記堅性構造は、剛性構造を備える、前記請求項のいずれか１項に記載の針受器、装置、障壁、または方法。
【請求項７７０】
前記堅性材料は、剛性材料を含む、前記請求項のいずれか１項に記載の針受器、装置、障壁、または方法。
【請求項７７１】
前記スロットは、細隙を備える、前記請求項のいずれか１項に記載の針受器、装置、障壁、または方法。
方法であって、前記請求項のいずれか１項に記載の装置、針受器、または障壁を提供するステップを含む、方法。
【請求項７７２】
針受器であって、
下構造と、
前記下構造の上方の上構造であって、前記上構造と前記下構造との間に針スロットを画定し、前記針スロットは、使用済み針を収納するための使用済み針収納ゾーンと、新しい針を収納するための新しい針収納ゾーンとを備え、前記針スロットは、前記針スロットの進入口における前記針受器の第１の端部から前記新しい針収納ゾーンにおける前記針受器の第２の端部まで延在する、上構造と、
を備え、
前記上構造は、前記新しい針収納ゾーンから前記使用済み針収納ゾーンまで前記上構造を通して延在する、持針器スロットを画定するように配列される第１の縁および第２の縁を備える、
針受器。
【請求項７７３】
針受器であって、前記針受器は、
上構造と、
下構造であって、前記上構造および前記下構造は、その個別の周縁において相互に結合される、下構造と、
前記上構造を通して形成され、第１の端部における前記上構造の周縁から第２の端部における前記上構造の周縁まで延在する、スロットと、
を備える、針受器。
【請求項７７４】
前記上構造の第１の端部は、前記使用済み針収納ゾーンの進入口にあり、前記上構造の第２の端部は、前記新しい針収納ゾーンの退出口にある、請求項７７３に記載の針受器。
【請求項７７５】
新しい針は、前記新しい針収納ゾーン内に収納され、前記新しい針収納ゾーンの退出口を通して分配される、請求項７７２−７７４のいずれか１項に記載の針受器。
【請求項７７６】
使用済み針は、前記使用済み針収納ゾーン内に収納され、前記新しい針収納ゾーンの進入口を通して受容される、請求項７７２−７７５のいずれか１項に記載の針受器。
【請求項７７７】
前記新しい針収納ゾーンと前記使用済み針収納ゾーンとの間の停止部をさらに備える、請求項７７２−７７６に記載の針受器。
【請求項７７８】
前記停止部は、前記新しい針収納ゾーンと前記使用済み針収納ゾーンとの間の針の平行移動に抵抗するように構成される、請求項７７７に記載の針受器。
【請求項７７９】
前記停止部は、前記下構造から前記持針器スロットの中に延在する、請求項７７７のいずれか１項に記載の針受器。
【請求項７８０】
前記進入ゾーンの下構造は、持針器の先端を受容するように構成される降着ゾーンである、前記請求項のいずれか１項に記載の針受器。
【請求項７８１】
滅菌キットであって、前記滅菌キットは、
滅菌障壁を備える、滅菌パッケージと、
縫合パックと、
前記請求項のいずれか１項に記載の針受器と、
障壁搭載基部と、
を備え、
前記縫合パックおよび針受器は、前記障壁搭載基部に結合される、
滅菌キット。
【請求項７８２】
シート構造をさらに備え、
前記障壁搭載基部は、前記シート構造に結合される、
請求項７８１に記載の滅菌キット。
【請求項７８３】
滅菌キットであって、前記滅菌キットは、
滅菌障壁を備える、滅菌パッケージと、
縫合パックと、
前記請求項のいずれか１項に記載の針受器と、
障壁搭載基部と、
シート構造と、
を備え、
前記縫合パック、針受器、および前記障壁搭載基部は、前記シート構造に結合される、
滅菌キット。
【請求項７８４】
前記障壁搭載基部または前記シート構造は、リビングヒンジを含む、前記請求項のいずれか１項に記載の滅菌キット。
【請求項７８５】
汚染された手術用針をその中に保持するための前記針スロット内の針保定特徴をさらに備える、前記請求項のいずれか１項に記載の装置または針受器。
【請求項７８６】
前記針保定特徴は、前記針スロット内の上面と下面との間に配置された発泡体を備える、請求項７８５に記載の装置。
【請求項７８７】
前記発泡体は、ウレタンフォームを含む、請求項７８５に記載の装置。
【請求項７８８】
前記針保定特徴は、前記針スロット内の上面と下面との間に配置された面ファスナを備える、請求項７８５に記載の装置。
【請求項７８９】
前記針保定特徴は、前記針スロット内の上面および下面の一方または両方から延在する複数の突出部を備える、請求項７８５に記載の装置。
【請求項７９０】
前記複数の突出部は、くぼみを備える、請求項７８９に記載の装置。
【請求項７９１】
前記複数の突出部は、突起を備える、請求項７８９に記載の装置。
【請求項７９２】
前記複数の突出部は、フィラメントを備える、請求項７８９に記載の装置。
【請求項７９３】
前記複数の突出部は、前記針が前記収納ゾーンの中に入ることを可能にするように、および前記少なくとも１つの開口部に向かった前記針の移動に抵抗するように、前記少なくとも１つの開口部から離れて角度を付けられる、請求項７８９に記載の装置。
【請求項７９４】
前記針保定特徴は、前記針スロット内の上面と下面との間に配置されたフラップを備える、請求項７８９に記載の装置。
【請求項７９５】
前記針保定特徴は、前記針スロット内の上面と下面との間に配置されたゲルを備える、請求項７８９に記載の装置。
【請求項７９６】
前記針保定特徴は、前記針スロット内の上面と下面との間に配置された半球小隆起を備える、請求項７８５に記載の装置。
【請求項７９７】
前記針保定特徴は、前記針スロット内の上面と下面との間に配置された角度付けられた剛毛を備える、請求項７８５に記載の装置。
【請求項７９８】
前記障壁は、鉄系金属または針受器に磁気的に結合するための磁石を含む、前記請求項のいずれか１項に記載の障壁。
【請求項７９９】
前記針受器は、鉄系金属または障壁に磁気的に結合するための磁石を含む、前記請求項のいずれか１項に記載の針受器。
【請求項８００】
前記支持体は、患者を被覆するドレープに搭載される、請求項１７８に記載の方法。
【請求項８０１】
前記支持体は、前記近傍手術野内に搭載される、請求項８００に記載の方法。
【請求項８０２】
前記支持体は、前記近傍手術野内の台に搭載される、請求項１７８に記載の方法。
【請求項８０３】
前記支持体は、前記近傍手術野内のスタンドに搭載される、請求項１７８に記載の方法。
【請求項８０４】
前記支持体は、切開部と対向する前記外科医からの場所に搭載される、請求項８００−８０３のいずれか１項に記載の方法。
【請求項８０５】
前記支持体は、前記患者の切開部の近位に搭載される、請求項８００−８０３のいずれか１項に記載の方法。
【請求項８０６】
前記支持体は、前記患者の切開部の遠位に搭載される、請求項８００−８０３のいずれか１項に記載の方法。
【請求項８０７】
前記支持体は、前記患者の切開部の上方に搭載される、請求項８００−８０３のいずれか１項に記載の方法。
【請求項８０８】
前記支持体は、前記患者の切開部の下方に搭載される、請求項８００−８０３のいずれか１項に記載の方法。
【請求項８０９】
前記障壁搭載基部は、直接または間接的にのいずれかにおいて針受器および縫合パックのうちの１つまたはそれを上回るものを結合するための平坦表面を含む、前記請求項のいずれか１項に記載の障壁搭載基部。
【請求項８１０】
前記障壁搭載基部は、その中に障壁を受容するように成形される凹状表面を含む、前記請求項のいずれか１項に記載の障壁搭載基部。
【請求項８１１】
前記凹状表面は、前記平坦表面と対向する、前記請求項のいずれか１項に記載の障壁搭載基部。
【請求項８１２】
前記障壁搭載基部の表面から延在し、ねじり補剛材を伴わない前記障壁搭載部ブレースと比較して、前記障壁搭載基部のねじり剛性を増加させるように構成される、ねじり補剛材をさらに備える、前記請求項のいずれか１項に記載の障壁搭載基部。
【請求項８１３】
前記障壁搭載基部の個別の第１および第２の側面に沿って、障壁と結合するように構成される、第１および第２の延在部をさらに備える、前記請求項のいずれか１項に記載の障壁搭載基部。
【請求項８１４】
前記障壁搭載基部の下面は、第１の場所において前記障壁の湾曲表面に接触し、前記第１および第２の延在部は、個別の第２および第３の場所において前記障壁の湾曲表面に接触する、請求項８１３に記載の障壁搭載基部。
【請求項８１５】
前記支持体は、前記支持体の基部を前記支持体の搭載表面から分離する第１のヒンジを含む、シート構造を備える、前記請求項のいずれか１項に記載の支持体。
【請求項８１６】
前記基部は、前記支持体を手術用ドレープに結合するように構成され、前記搭載表面は、針受器に結合するように構成される、請求項８１５に記載の支持体。
【請求項８１７】
前記基部は、前記支持体を手術用ドレープに結合するように構成され、前記搭載表面は、針受器に結合するように構成される、請求項８１５に記載の支持体。
【請求項８１８】
前記搭載表面は、前記基部と３０度〜９０度の角度にある、請求項８１７に記載の支持体。
【請求項８１９】
前記搭載表面は、前記基部と６０度〜７５度の角度にある、請求項８１７に記載の支持体。
【請求項８２０】
前記搭載表面は、前記基部と４５度〜７５度の角度にある、請求項８１７に記載の支持体。
【請求項８２１】
前記搭載表面は、前記基部と４５度〜９０度の角度にある、請求項８１７に記載の支持体。
【請求項８２２】
前記支持体は、前記支持体の基部を前記支持体の搭載表面から分離する第１のヒンジを含む、シート構造を備える、前記請求項のいずれか１項に記載の支持体。
【請求項８２３】
前記支持体は、前記支持体の搭載表面を、前記ヒンジから延在し、前記基部と係合する、調節構造から分離する第２のヒンジを含む、シート構造を備える、前記請求項のいずれか１項に記載の支持体。
【請求項８２４】
前記支持体は、前記基部の表面から延在し、前記搭載表面の角度を調節するための調節構造によって係合可能である、複数の停止部を備える、前記請求項のいずれか１項に記載の支持体。
【請求項８２５】
前記調節構造と第４の区分との間の第３のヒンジをさらに備え、前記第４の区分は、前記基部に結合可能である、前記請求項のいずれか１項に記載の支持体。
【請求項８２６】
前記ヒンジは、リビングヒンジである、前記請求項のいずれか１項に記載の支持体。
【請求項８２７】
前記スピンドルの上部および底部は、結合部を含み、上結合部は、第１の形状を有し、前記底結合部は、前記上結合部を受容するように成形される、請求項１０７−１０９のいずれか１項に記載の装置。
【請求項８２８】
前記スピンドルの上部および底部は、結合部を含み、上結合部は、第１の形状を有し、前記底結合部は、前記上結合部の第１の形状と係合するように成形される、請求項１０７−１０９のいずれか１項に記載の装置。
【請求項８２９】
前記スピンドルの上部は、延在部を含み、前記スピンドルの上部は、前記延在部を受容するように成形される陥凹を含む、請求項１０７−１０９のいずれか１項に記載の装置。
【請求項８３０】
針受器であって、
収納ゾーンを有する、下構造と、
進入ゾーンおよび収納ゾーンを有する、上構造と、
前記下構造と前記上構造との間に１本またはそれを上回る縫合針を受容するための針スロットと、
下進入ゾーンを形成する、ランプ構造と、
前記上構造の一部を通して延在する上持針器スロットならびに前記下構造および前記ランプ構造の一部を通して延在する下持針器スロットと、
を備える、針受器。
【請求項８３１】
前記ランプ構造は、前記針スロットおよび前記上構造から離れて角度付けられた表面を含む、請求項８３０に記載の針受器。
【請求項８３２】
前記上構造の進入ゾーンは、前記針スロットおよび前記ランプ構造から離れて角度付けられる、請求項８３０−８３１のいずれか１項に記載の針受器。
【請求項８３３】
前記針スロット内に応従性構造をさらに備える、請求項８３０−８３２のいずれか１項に記載の針受器。
【請求項８３４】
前記応従性構造は、保持力を前記針スロットおよび前記収納ゾーン内の針に対して印加し、前記針スロットおよび前記収納ゾーンからの前記針の平行移動に抵抗する、請求項８３３に記載の針受器。
【請求項８３５】
前記上構造は、保持力を前記針スロットおよび前記収納ゾーン内の針に対して印加し、前記針スロットおよび前記収納ゾーンからの前記針の平行移動に抵抗する、請求項８３４に記載の針受器。
【請求項８３６】
針受器であって、
壁に結合される第１の端部を有する、第１および第２の伸長部材であって、前記第１および第２の部材は、相互に平行であり、前記壁から延在し、前記第１の伸長部材は、前記第２の伸長部材に面する第１の表面を有し、前記第２の伸長部材は、前記第１の伸長部材に面する第２の表面を有する、第１および第２の伸長部材と、
前記第１の伸長部材の第１の表面内に形成され、前記第１の伸長部材の長さに沿って延在する、第１の針保定スロットと、
前記第２の伸長部材の第２の表面内に形成され、前記第２の伸長部材の長さに沿って延在する、第２の針保定スロットと、
を備え、
前記第１および第２の針保定スロットはともに、使用済み縫合針をその中に収納するための収納針ゾーンを形成する、
針受器。
【請求項８３７】
前記第１および第２の伸長部材は、圧縮力を前記使用済み縫合針に印加する、請求項８３６に記載の針受器。
【請求項８３８】
持針器スロットが、前記第１および第２の伸長部材間に形成される、請求項８３６−８３７のいずれか１項に記載の針受器。
【請求項８３９】
針受器であって、
ヒンジ部分によってともに結合される上部分および下部分を有する、筐体であって、前記上部分、下部分、およびヒンジ部分は、Ｕ形状を形成する、筐体と、
複数の針を格納するために前記上部分と前記下部分との間に形成される空洞と、
を備える、針受器。
【請求項８４０】
前記ヒンジ部分は、前記針が前記上部分および下部分によって付与される圧縮力によって前記針スロット内に収納され得るように、前記筐体の上部分および下部分を相互に向かって付勢するようにばね荷重される、前記請求項のいずれか１項に記載の針受器。
【請求項８４１】
前記上部分および前記下部分はそれぞれ、第１のアームと、第２のアームとを備え、持針器スロットをそれらの間に形成する、前記請求項のいずれか１項に記載の針受器。
【請求項８４２】
前記下部分はさらに、ヒンジから離れて延在する延在部を備える、前記請求項のいずれか１項に記載の針受器。
【請求項８４３】
前記延在部は、針が前記筐体内に収納されるための降着ゾーンを形成し、前記針は、前記持針器先端が前記持針器スロットと整合された状態で、前記延在部の上面と接触されてもよい、前記請求項のいずれか１項に記載の針受器。
【請求項８４４】
前記下部分内の持針器スロットは、前記延在部の中に延在する、前記請求項のいずれか１項に記載の針受器。
【請求項８４５】
前記下部分内の持針器スロットは、前記延在部を通して延在する、前記請求項のいずれか１項に記載の針受器。
【請求項８４６】
前記持針器スロットは、前記ヒンジに近接する前記第１または第２の部分の端部において閉鎖され、前記ヒンジから離れた前記第１または第２の部分の端部において開放される、前記請求項のいずれか１項に記載の針受器。
【請求項８４７】
前記上部分または下部分の個別の一方または両方から前記上部分または下部分の他方に向かって延在し、持針器によって提供される荷重下にあるとき、針の進入を可能にするが、荷重下にないとき、前記針を前記スロット内に保定するように構成される、遮断タブをさらに備える、前記請求項のいずれか１項に記載の針受器。
【請求項８４８】
筐体の外側側方縁にわたって配置される側方壁をさらに備える、前記請求項のいずれか１項に記載の針受器。
【請求項８４９】
前記側方壁は、前記筐体と統合される、前記請求項のいずれか１項に記載の針受器。
【請求項８５０】
前記側方壁は、筐体の外側側方縁に除去可能に結合される、前記請求項のいずれか１項に記載の針受器。
【請求項８５１】
針受器であって、前記針受器は、
その上面内に形成されるチャネルを有する、下構造と、
堅性材料および可撓性材料から形成される、上構造と、
使用済み縫合針をその中に収納するために前記上構造と前記下構造との間に形成される、針スロットと、
前記堅性材料と前記可撓性材料との間の上構造によって、かつ前記下構造のチャネルの上方に形成される、持針器スロットと、
を備える、針受器。
【請求項８５２】
前記上構造の堅性材料と前記下構造との間の前記針スロット内に応従性材料をさらに備える、請求項８５１に記載の針受器。
【請求項８５３】
前記応従性材料は、発泡体である、請求項８５２に記載の針受器。
【請求項８５４】
前記上構造内に形成される持針器スロットは、前記下構造の上面内に形成される前記チャネルと平行である、請求項８５１−８５１のいずれか１項に記載の針受器。
【請求項８５５】
前記持針器スロットは、第１の縁と、前記第１の縁と対向する第２の縁とを含む、請求項８５１−８５４のいずれか１項に記載の針受器。
【請求項８５６】
前記可撓性材料は、前記持針器スロットの第１の縁を含み、前記堅性材料は、前記持針器スロットの第２の縁を含む、請求項８５１−８５５のいずれか１項に記載の針受器。
【請求項８５７】
前記第１の縁は、前記第２の縁から分離し、前記持針器を受容する、請求項８５１−８５６のいずれか１項に記載の針受器。
【請求項８５８】
前記第１の縁および前記第２の縁は、それらの間に延在する持針器を伴わずに、非変形独立状態で、相互に接触する、請求項８５１−８５７のいずれか１項に記載の針受器。
【請求項８５９】
前記第１の縁および前記第２の縁は、非変形状態で、相互から離間され、間隙が、前記第１の縁と前記第２の縁との間に画定される、請求項８５１−８５８のいずれか１項に記載の針受器。
【請求項８６０】
前記下構造の一部は、前記上構造の端部を越えて延在し、降着ゾーンを形成し、前記針は、前記持針器先端が前記持針器スロットと整合された状態で、前記延在部の上面と接触させられてもよい、請求項８５１−８５９のいずれか１項に記載の針受器。
【請求項８６１】
前記チャネルは、前記降着ゾーンの中に延在する、請求項８５１−８５８のいずれか１項に記載の針受器。
【請求項８６２】
針受器を受容するステップは、外科医から、５本またはそれを上回る、照合され、分配された手術用針を受容するステップを含み、前記分配された手術用針は、前記針受器内で安定させられて非侵害性である、前記請求項のいずれか１項に記載の方法。
【請求項８６３】
針受器を受容するステップは、前記針が近傍手術野内にあるとき、前記手術用針を照合した人物から、５本またはそれを上回る、照合され、分配された手術用針を受容するステップを含み、前記照合され、分配された手術用針は、受容されると、前記針受器内で安定させられて非侵害性であり、随意に、前記針は、照合されると、前記針受器内にあり、随意に、前記針は、前記針受器内にあり、前記近傍手術野内の針パックの手術用針と照合される、前記請求項のいずれか１項に記載の方法。
【発明の詳細な説明】
【背景技術】
【０００１】
（関連出願）
本願は、米国仮出願第６２／２４８，０２９号、出願日２０１５年１０月２９日、発明の名称“Ｓｙｓｔｅｍｓ  ａｎｄ  Ｍｅｔｈｏｄｓ  ｆｏｒ  Ｉｎｃｒｅａｓｅｄ  Ｏｐｅｒａｔｉｎｇ  Ｒｏｏｍ  Ｅｆｆｉｃｉｅｎｃｙ”  （代理人管理番号第４８２２２−７０５．１０１号）の利益を主張するものであり、該米国仮出願の全体の開示は、参照により本明細書中に援用される。
【０００２】
本願の主題は、米国出願第１４／６９７，０５０号、出願日２０１５年４月２７日、発明の名称“Ｓｙｓｔｅｍｓ  ａｎｄ  Ｍｅｔｈｏｄｓ  ｆｏｒ  Ｉｎｃｒｅａｓｅｄ  Ｏｐｅｒａｔｉｎｇ  Ｒｏｏｍ  Ｅｆｆｉｃｉｅｎｃｙ”（代理人管理番号第４８２２２−７０３．２０１号）、およびＰＣＴ／ＵＳ２０１５／０２７６５９、出願日２０１５年４月２４日、発明の名称“ＳＹＳＴＥＭＳ  ＡＮＤ  ＭＥＴＨＯＤＳ  ＦＯＲ  ＩＮＣＲＥＡＳＥＤ  ＯＰＥＲＡＴＩＮＧ  ＲＯＯＭ  ＥＦＦＩＣＩＥＮＣＹ”（代理人管理番号第４８２２２−７０３．６０１号）に関連しており、これらの全体の内容は、参照により本明細書中に援用される。
【０００３】
手術室の使用は、高価な医療サービス費を提示し得る。手術室時間は、毎分約＄３０〜＄１００の費用がかかり得ることが推定される。手術室は、各手術の前に滅菌されなければならず、医療スタッフもまた、手術の準備をしなければならない。各従業員が、通常、手術室内の時間の代価を払われるため、手術室使用費は、非常に高くあり得る。手術室内の従業員の効率を増加させることによって、各手技の時間が短縮されることができ、手術の費用も削減されることができる。さらに、外科的手技中に針およびスポンジ等の手術用物体を勘定することが重要である。針が手術中に紛失した場合、患者安全性を確保し、針が偶発的に患者の中に残されていないことを確実にするために、措置が講じられる必要がある。外科的手技中に針を正確に勘定することは、時間がかかり得る。したがって、手術室内の使用済みの針を記録する改良型方法を提供することが望ましいであろう。また、手術用手袋を通した針穿刺が、手術室人員にリスクを提示し得る。
【０００４】
針ホルダを装填するプロセスは、多くの場合、手術のプロセスにおいて外科医を補助する人員によって実行される。器械出し助手または外科助手は、装填された針ホルダを外科医に渡すことができる。まだ使用されていない未使用の針およびすでに使用された針は両方とも、メイヨースタンド等の器具トレイ上で維持されることができ、針の勘定は、多くの場合、手術の経過中に外科助手および手術室看護師によって行われる。
【０００５】
その間に複数の装備された縫合糸が利用されるものである、外科的切開創傷閉鎖または他の組織修復時に、外科助手は、外科医の必要なものに完全に集中することができる。助手は、使用するために装填された針ホルダを外科医の手に渡す。
【０００６】
使用済みの針は、最適かつ安全ではない様式で分配および勘定され得る。装填された持針器を外科医に渡らせる代わりに、外科医は、自分で装備された縫合糸を不器用に装填し得る。これは、多くの場合、外科医が器具トレイ（例えば、メイヨースタンド）の方を向き、縫合パッケージを装填し、針が針ホルダ上に効果的かつ適切に装填されることができるように、パッケージを把持して配向することを必要とし、これは、理想的であろうよりも付加的な時間および移動を要し、望ましくないことに、外科医の注意を患者からそらす。
【０００７】
以前の中立ゾーンアプローチでは、器械出し助手と外科医との間で渡される物体および器具は、中立ゾーン領域内に留置されなければならない。本プロセスは、器械出し助手に中立ゾーンの中に物体を留置するように要求し得、外科医は、器械出し助手の手が中立ゾーンから取り出されるまで物体を取り上げることができない。同様に、外科医が手術用物体をもはや必要としないとき、これは、中立ゾーンの中に留置され、外科医の手は、取り除かれる。外科医および器械出し助手が、多くの場合、非常に慎重であって、明確に伝え、任意の物体が渡されると、手術部位から離れて中立ゾーンを見なければならないため、本システムは、理想的ではない。これは、例えば、患者の生命を救おうとして、外科的手技において容易に起こり得る、行動を迅速に行おうとするときに特に困難であり得る。
【０００８】
多くの現在使用されている縫合糸取扱方法およびシステムでは、外科医は、装備された縫合針を伴う持針器を手渡されることができる。外科医は、患者の肌を通して針を駆動し得、次いで、使用済みの針を伴う持針器を器械出し助手に手渡す。次いで、器械出し助手は、手術野から使用済みの針を離し、使用済みの針を除去する。次いで、器械出し助手は、持針器の中に新しい装備された針を留置し、次いで、外科医に持針器を手渡す。説明されたプロセスは、繰り返され、理想的であろうよりも多くの移動をもたらす。
【０００９】
非常に非効率的であることに加えて、そのようなシステムはまた、不良な微小人間工学も有し得る。
【００１０】
上記を踏まえて、改良型方法および装置が、手術室を改良するために必要とされる。理想的には、そのような方法および装置は、向上した効率、転帰、針取扱、計数、および安全性を提供するであろう。
【発明の概要】
【課題を解決するための手段】
【００１１】
本発明は、手術室効率を増加させるためのシステムおよび方法に関する。針を分配して収納することが具体的に参照されるが、本明細書に説明される実施形態は、鋭利な物体等の手術室で使用される多くのタイプの物体とともに使用するために非常に適している。
【００１２】
本明細書に説明されるような手術室効率を向上させるためのシステムおよび方法は、外科医が縫合糸および針等の手術で使用される物体にアクセスして廃棄する様式を向上させる。本明細書に開示される方法および装置は、外科医と助手との間の針の手渡しの回数を減少させることによって、ならびに外科医から助手に渡されることに先立って針受器の中に針を留置することによって、安全性を向上させることができる。
【００１３】
多くの実施形態は、外科医の前腕、手首、および／または手の上に針、縫合糸、ならびにパッケージを関連付けることによって、促進され、より効率的かつ人間工学的にされることができる、手術用針の分配および装填に関する。さらに、多くの実施形態では、本発明は、外科医の前腕、手首、および／または手と関連付けられるような使用済みの針の一時格納デバイスの関連に関する。外科医の前腕、手首、および／または手の関連は、外科医の前腕、手首、または手の上に搭載すること、鉗子等の手術器具に搭載することによる、もしくは外科医の近傍手術野の中に延在する支持体を用いる、またはそれらの組み合わせ等の多くの方法で達成されることができる。本明細書に説明されるようなパッケージおよびデバイスは、外科医による使用のために、外科医の前腕、手首、および／または手からの適切な配向における装備された縫合糸の安全かつ効率的な分配を促進する。代替として、または組み合わせて、縫合糸は、鉗子等の手術器具に結合される支持体から分配されることができ、分配された針は、後に、針受器の中に留置されることができる。本明細書に開示される方法および装置は、医師が持針器の中に針を自己装填し、使用済み針受器の中に分配された針を自己留置し、随意に、患者の中に縫合糸を設置することを可能にし、これは、助手への依存を減少させ、手術室効率および針取扱の安全性を向上させるという利益を有する。多くの実施形態では、１本またはそれを上回る針が、針を助手に渡すことに先立って針受器の中に収納されることができ、これは、助手に渡すことに先立って針受器の中に針を留置することによって、安全性を増加させる。外科医と助手との間の手渡しの回数を減少させることによって、安全性および効率が増加させられ得るように、複数の針が、外科医によって分配され、外科医によってコンテナの中に留置されることができる。
【００１４】
多くの実施形態では、「装備された」縫合糸は、取り付けられた手術用針を有する、縫合糸を備える。さらに、装備された縫合糸のパッケージは、多くの場合、１本より多くのそのような縫合糸および針を含有する。パッケージは、１本だけでなく、おそらく５本、場合により８本またはそれを上回る縫合糸および針等のより多くを含有し得る。手術の経過中に、多くの場合、それぞれ針ホルダまたは「持針器」上に「装填」される必要がある、多くのそのような装備された縫合糸が使用されることができる。外科医は、縫合される組織を操作して保持するために、利き手で持針器、非利き手で組織鉗子を保持することができる。したがって、外科医は、分配された針を自己分配して自己収納するように縫合すると、両手を使用することができる。
【００１５】
外科医の前腕、手首、または手の上に縫合パッケージおよび同封の装備された縫合糸を関連付けることによって、外科医は、持針器上に装填するために、装備された縫合糸により効率的にアクセスすることができる。さらに、外科医の前腕、手首、または手はまた、使用済みの針の一時または恒久的格納デバイスの取付のための場所を提供することもできる。多くの実施形態では、縫合パッケージを、外科医の非利き前腕、手首、または手の掌側もしくは背側・橈領域に関連付けることによって、針ホルダで針を把持する機構が促進されることができる。そのようなアプローチは、針ホルダで針を把持することが促進されるように、外科医が、瞬時に縫合パックをより適切な位置に再配向することを可能にする。パッケージを外科医の非利き手と関連付けることは、有意な身体運動を伴わずに、または非利き手でパッケージを把持する必要なく、外科医が、針パッケージおよび針を、持針器を用いて把持するために容易にアクセス可能であるように空間内に再留置することを可能にすることができる。
【００１６】
多くの実施形態では、前腕搭載型システムは、前腕上に装着された針穿刺抵抗障壁に容易に取付可能かつそこから取外可能であり得る、統合された縫合パック搭載部を含むことができる、針トラップを備える。穿刺抵抗障壁は、標準縫合パックからの新しい縫合糸／針の分配、および縫合が完了した後の汚染された針の収納のための安定した表面を提供する。針トラップとの縫合パック搭載部の統合の利益は、本構成が、近傍手術野内の使用済みおよび未使用の針のリアルタイム近接照合を可能にし得ることである。近傍手術野内の針トラップとの縫合パック搭載部の統合は、針収納コンテナの場所を特定して使用済みの針を留置するために視覚注意をそらす必要なく、外科医が切開部閉鎖プロセスへの集中を維持することを可能にする。
【００１７】
多くの実施形態では、穿刺抵抗障壁は、不慮の針刺しから少なくとも前腕の掌側表面に保護を提供し、また、前腕の背側面に付加的保護を提供し得る。穿刺抵抗障壁はまた、近傍手術野の中に最適に位置する、道具ホルダ、連続縫合糸スプール、または他の手技特異的材料のための付加的搭載表面を提供することもできる。穿刺抵抗障壁は、鋭利なものからの保護を提供することができ、快適であって、解剖学的に共形性であって、軽量であって、目立たなく、片手で外科医の前腕に迅速に取付可能であり得る。
【００１８】
本開示は、現在利用可能な装備された縫合糸およびそれらが分配されるパッケージが、外科医によるより容易かつ効率的な装填のために、外科医の前腕、手首、または手と関連付けられることができ、器械出し助手からの補助の必要性を低減させる、複数の概念、技術、およびデバイスを提供する。さらに、本明細書では、外科医の前腕、手首、または手、もしくは他の支持体の上の支持プラットフォームへの単一または複数の縫合パッケージの容易かつ効率的な取付を可能にする概念および技術を組み込むことができる、新たに設計された縫合パッケージまたは現在利用可能なパッケージへの修正が開示される。本明細書に開示される実施形態は、外科医が手術衣および手袋を着用しているときに使用するために非常に適している。分配された使用済みの針のための針格納デバイスもまた、外科医の前腕、手首、または手、ならびに外科医への針刺しの可能性を減少させる保護障壁および機構と関連付けられることができる。
【００１９】
本明細書に開示される方法および装置は、縫合針で切開部または創傷を閉鎖している人物が、外科的手技において使用された全ての針が勘定されることを確実にするために、縫合パックから分配された針と針受器内に収納される針を照合させることを可能にする。多くの事例では、切開部を閉鎖する外科医が、近傍手術野内で縫合パックから縫合針を分配し、縫合パックから除去された針を近傍手術野内の収納コンテナの中に留置し、近傍手術野内の針を照合させるために、縫合パックおよび針受器が近傍手術野内に残っている間、縫合パックから除去された針と、針受器内に留置された針を計数し得る。針受器内に収納される照合された針と、縫合パック内の任意の残りの針は、次いで、近傍手術野から近傍手術野外または中立ゾーンの別の人物に手渡され得る。近傍手術野内における本針照合は、外科医およびその他が、針が勘定されない場合、迅速に対処し、例えば、紛失針を見つけることによって、是正措置を講じることを可能にする。多くの事例では、近傍手術野内における針照合はまた、外科医が、近傍手術野外における照合よりも迅速に紛失針に気付くことを可能にし、針の紛失がより短時間であるため、紛失針を見つけることをより容易にし得る。近傍手術野内における針照合はまた、切開部または創傷を閉鎖する外科医または他の人物が、外科的手技のさらなる制御を有し、また、手術のための人員要件および関連付けられたコストを減少させることを可能にする。患者外での近傍手術野内における針照合を参照するが、本明細書に開示される方法および装置は、患者内、例えば、腹腔鏡下およびロボット手術中の患者内における針照合にも非常に適している。
【００２０】
本開示の側面は、ユーザの前腕上に留置するための障壁を提供してもよい。例示的障壁は、近位端と遠位端との間に延在する縦軸を画定する、湾曲シェルを備えてもよく、湾曲シェルは、縦軸を中心として湾曲を伴って延在する。
【００２１】
多くの実施形態では、シェルの近位端は、長軸および短軸を伴う断面を画定し、シェルの遠位端は、長軸および短軸を伴う断面を画定し、近位端の長軸は、遠位端の長軸に対して縦軸を中心として回転される。
【００２２】
多くの実施形態では、遠位端の障壁長軸は、ユーザの前腕上に留置されると、近位端の長軸に対して回転され、近位端は、ユーザの肘に向かって位置し、遠位端は、留置されると、ユーザの手首に向かって位置する。
【００２３】
多くの実施形態では、障壁は、障壁の対向縁が相互に向かって押勢されるにつれて近位端上の長軸および遠位端上の短軸を画定するように成形される、予形成された自己支持障壁を備える。
【００２４】
多くの実施形態では、近位端の長軸は、遠位端の長軸より長い。
【００２５】
多くの実施形態では、近位端は、短軸を備え、遠位端は、短軸を備え、近位端の短軸は、遠位端の短軸より長い。遠位端の長軸は、近位端の短軸より短くてもよい。
【００２６】
多くの実施形態では、障壁は、実質的に均一厚さを有する材料の熱成形シートを備えてもよい。
【００２７】
多くの実施形態では、障壁は、予形成された自己支持構造を備える。
【００２８】
多くの実施形態では、障壁は、近位端と遠位端との間に延在する背側長さを有する背側面と、近位端と遠位端との間に延在する橈側長さを有する橈側面と、近位端と遠位端との間に延在する掌側長さを有する掌側面とを備える。橈側面は、背側面と掌側面との間に配置されてもよい。橈側長さは、背側長さおよび掌側長さより短くてもよい。障壁は、ユーザが障壁とユーザの前腕の橈側隆起を整合させるための橈側面上の印を備えてもよい。
【００２９】
多くの実施形態では、障壁はさらに、近位タブ長を有する近位タブと、遠位タブ長を有する遠位タブとを備えてもよく、近位タブは、遠位タブより長い。遠位タブ長は、近位タブ長の約２５％〜約７５％の範囲内であってもよい。近位タブおよび遠位タブは、独立構成において縦軸を中心として延在する湾曲形状を有するように予形成されてもよい。
【００３０】
多くの実施形態では、障壁は、ユーザの左前腕またはユーザの右前腕に嵌合するように成形される。
【００３１】
多くの実施形態では、障壁は、近位端と遠位端との間の背側の背側テーパと、近位端と遠位端との間の掌側の掌側テーパとを備える。掌側テーパは、背側テーパを上回ってもよい。
【００３２】
多くの実施形態では、障壁は、対向側の対向縁が相互に向かって引っ張られると、留置構成を備えてもよい。
【００３３】
多くの実施形態では、障壁は、対向側の対向縁が相互に向かって引っ張られると、留置構成を備え、障壁の背側、掌側、および橈側面は、近位端における近位中心と、遠位端における遠位中心とを画定し、障壁の中間部分は、背側、掌側、および橈側面の中間と中間中心を画定し、中間部分の中心は、近位中心と遠位中心との間に延在する直線から離れて位置する。複数の中間背側、橈側、および掌側部分は、複数の中間中心を画定してもよい。近位中心、中間中心、および複数の中間中心は、近位中心と遠位中心との間に延在する湾曲経路を画定してもよい。近位点を通した近位部分の垂直断面は、平面と、平面と垂直に近位中心から延在する直交軸とを画定してもよい。遠位中心は、約１ｃｍ〜約４ｃｍの範囲内である量だけ直交軸からオフセットされてもよい。
【００３４】
障壁は、種々の寸法であってもよい。障壁は、約０．４ｍｍ〜約５ｍｍの範囲内の厚さを備えてもよい。障壁は、約６インチ〜約１１インチの範囲内の縦方向長さを備えてもよい。障壁は、約１．１〜約１．５の範囲内の遠位端を横断した距離に対する近位端を横断した距離の比を備えてもよい。
【００３５】
多くの実施形態では、障壁は、予形成された成形障壁を備えてもよい。障壁は、掌側の掌側縁と、背側の背側縁とを備えてもよい。掌側縁は、留置のために前腕にわたって前進されると、背側縁から分離してもよい。掌側縁を独立構成から約１インチ背側から分離するための力の量は、約２５グラム〜約４００グラムまたは約５０グラム〜約１５０グラムの範囲内であってもよい。
【００３６】
多くの実施形態では、障壁は、シェルと、障壁のシェルの遠位境界を越えて遠位に延在する、下層発泡体とを備える。発泡体は、障壁が手首に衝突すると、シェルの前端遠位縁にわたって湾曲し、シェルの界面に当たり、快適性を提供してもよい。
【００３７】
多くの実施形態では、障壁は、シェルと、障壁のシェルの遠位境界を越えて遠位に延在し、障壁が手首に衝突すると、シェルの界面に当たり、快適性を提供する、下層発泡体とを備える。
【００３８】
多くの実施形態では、障壁は、シェルと、障壁が手首に衝突すると、シェルの前端遠位縁にわたって湾曲し、シェルの界面に当たり、快適性を提供する、下層発泡体とを備えてもよい。
【００３９】
多くの実施形態では、障壁は、シェルを備えてもよく、シェルの遠位縁は、シェルの厚さと等しい直径を伴う湾曲を有する。
【００４０】
多くの実施形態では、障壁は、シェルを備えてもよく、シェルの遠位端は、２ｍｍ〜５ｍｍの湾曲半径等を伴って、ユーザの前腕から離れて湾曲する。
【００４１】
多くの実施形態では、障壁は、障壁の荷重をユーザの手首上に分散させるために約３ｍｍ〜１．５ｃｍの範囲内の変位を伴うシェルの遠位縁における橈側湾曲を有する、シェルを備える。
【００４２】
多くの実施形態では、障壁は、シェルと、シェルの遠位縁に詰められる、発泡体とを備える。
【００４３】
多くの実施形態では、障壁は、厚くされた遠位縁を備えてもよい。
【００４４】
多くの実施形態では、障壁は、デバイスが手首の運動に伴って手首の背側または橈側または掌側面に当接すると、荷重を分散させるように構成されてもよい。
【００４５】
本発明の側面は、ユーザの前腕上に留置するための障壁を含む。例示的障壁は、近位端と遠位端との間に延在する縦軸を画定する、湾曲シェルを備えてもよい。湾曲シェルは、縦軸を中心とする湾曲を伴って延在してもよい。シェルの近位端は、断面を画定してもよい。シェルの遠位端は、断面を画定してもよい。障壁は、予形成された成形障壁を備えてもよい。障壁は、掌側の掌側縁と、背側の背側縁とを備えてもよい。掌側縁は、留置のために前腕にわたって前進されると、背側縁から分離してもよい。掌側縁を独立構成から約１インチ背側から分離するための力の量は、約２５グラム〜約４００グラムまたは約５０グラム〜約１５０グラムの範囲内であってもよい。
【００４６】
本発明の側面は、本明細書に開示されるような障壁を提供するステップを含む、方法を提供してもよい。
【００４７】
本発明の側面は、針受器を提供してもよい。例示的針受器は、進入ゾーンおよび収納ゾーンを有する、下構造と、収納ゾーンを有する、上構造と、下構造と上構造との間に１本またはそれを上回る縫合針を受容するための針スロットと、上構造の一部を通して延在する上持針器スロットおよび下構造の一部を通して延在する下持針器スロットとを備えてもよい。下構造の底側の下突出部は、持針器の先端から離れて把持された針が針スロットに沿って前進すると、持針器のための隙間を提供するために十分な高さを備えてもよい。下突出部は、下持針器スロットに沿って延在する差幅を備えてもよい。
【００４８】
別の例示的針受器は、下構造および上構造を備える、筐体を備えてもよい。背面照明で針受器の収納ゾーン内の針を視認するために、上構造は、光学的に透過性の材料を含んでもよく、下構造も、光学的に透過性の材料を含んでもよい。上部分は、針を視認するための透明材料を含んでもよく、下部分は、背面照明光を針に通過させるための半透明材料を含んでもよい。針受器はさらに、針受器の収納ゾーン内の針を視認するために、上構造を通したスロットを備えてもよい。上構造は、持針器を受容するための縦方向スロットを有してもよい。収納ゾーンは、複数の針を受容するための伸長針スロットを備えてもよい。伸長針スロットは、上構造と下構造との間に延在してもよい。針スロット内の針は、下構造を通した背面照明で上構造を通して視認されることができる。
【００４９】
別の例示的針受器は、進入ゾーンおよび収納ゾーンを有する、下構造と、収納ゾーンを有する、上構造と、下構造と上構造との間に１本またはそれを上回る縫合針を受容するための針スロットとを備えてもよい。複数の突出部は、針スロットに沿った針の位置を示すための触覚フィードバックをユーザに提供するために、周期性を伴って針スロットに沿って延在してもよい。
【００５０】
別の例示的針受器は、進入ゾーンおよび収納ゾーンを有する、下構造と、収納ゾーンと、収納ゾーンに沿って延在する、持針器スロットとを有する、上構造と、下構造と上構造との間に１本またはそれを上回る縫合針を受容するための針スロットとを備えてもよい。複数の突出部は、持針器スロットに沿った持針器の深さに関する触覚フィードバックをユーザに提供するために持針器スロットに沿って延在してもよい。複数の突出部は、歯、傾斜歯、歯止め歯、または円形カットアウトのうちの１つまたはそれを上回るものを備えてもよい。複数の突出部は、歯、傾斜歯、歯止め歯、円形カットアウト、フラップ、剛毛、またはフィラメントのうちの１つまたはそれを上回るものを備えてもよい。複数の突出部は、持針器スロットに沿った持針器の深さのインジケーションを提供するための周期性を伴って配列されてもよい。
【００５１】
別の例示的針受器は、進入ゾーンおよび収納ゾーンを有する、下構造と、収納ゾーンを有する、上構造と、下構造と上構造との間に１本またはそれを上回る縫合針を受容するための針スロットとを備えてもよい。複数の非対称突出部が、針スロットに沿った針の除去を阻止するために、針スロットに沿って延在してもよい。複数の非対称突出部はそれぞれ、頂部まで延在する基部を備えてもよい。基部は、スロットの入口に向かう遠位縁と、スロットの近位端上の停止部に向かう近位縁とを備えてもよい。頂部は、遠位縁より近位縁の近くに位置してもよい。複数の非対称突出部は、停止部に向かう移動を促進し、針が収納ゾーン内に留置するために通過されるスロットの開口部に向かう移動を阻止するために、停止部に近位に向かって傾斜された剛毛またはファイバのうちの１つまたはそれを上回るものを備えてもよい。進入ゾーンは、針受器の遠位端にあってもよく、収納ゾーンは、針受器の近位端にあってもよい。複数の非対称突出部は、停止部に向かう移動を促進し、針が収納ゾーン内に留置するために通過されるスロットの開口部に向かう移動を阻止するために、停止部に向かって傾斜された剛毛またはファイバのうちの１つまたはそれを上回るものを備えてもよい。
【００５２】
別の針受器は、針を除去するための抵抗または力を伴って針を受容するための構造を備えてもよく、針を除去するための抵抗または力の量は、約５グラム〜２５０グラムの範囲内、約１５グラム〜約１５０グラムの範囲内、約２５グラム〜約１００グラムの範囲内、または約３０グラム〜約９０グラムの範囲内である。針を除去するための力の量は、針を挿入するための力の量を上回ってもよい。針受器は、針スロットを備えてもよく、力の量は、針スロットに沿って針を前進させるための力の量を備えてもよい。針受器は、持針器スロットを備えてもよく、力の量は、持針器を持針器スロットに沿って前進させ、針を針スロット内に収納するための力の量を備えてもよい。
【００５３】
本発明の側面は、針受器の中に針を挿入するステップを含む、方法を提供してもよい。針受器は、約５グラム〜２５０グラムの範囲内、約１５グラム〜約１５０グラムの範囲内、約２５グラム〜約１００グラムの範囲内、または約３０グラム〜約９０グラムの範囲内の力の量で針の挿入に抵抗してもよい。針を除去するための力の量は、針を挿入するための力の量を上回ってもよい。
【００５４】
本発明の側面は、針トラップを提供してもよい。例示的針トラップは、降着ゾーンと、収納ゾーンとを備えてもよい。降着ゾーンは、収納ゾーンと略同一平面であってもよい。
【００５５】
本発明の側面は、針を針受器の降着ゾーンに移動させ、針を針受器の降着ゾーンから収納ゾーンの中に摺動させるステップを含む、方法を提供してもよい。
【００５６】
本発明の側面は、針の中央部分をスロット内に懸架しながら、針の先端および末端が実質的に封入されることを可能にする、スロット付き構造を備える、針受器を提供してもよい。
【００５７】
本発明の側面は、収納ゾーンに沿ったスロットを備える、針受器を提供してもよい。スロットは、約１０ｍｍのサイズを有する指先より小さく定寸されてもよい。
【００５８】
本発明の側面は、針溝からの針の回転移動を阻止するために十分に小さい厚さを有する、針溝を備える、針受器を提供してもよい。
【００５９】
本発明の側面は、滅菌障壁キットを提供してもよい。例示的滅菌障壁キットは、滅菌パッケージと、パッケージ内に含有される滅菌障壁とを備えてもよい。キットは、局所麻酔、脊椎麻酔、緊急治療室縫合、または静脈内（ＩＶ）ライン留置のうちの１つまたはそれを上回るものために構成されてもよい。キットは、局所麻酔、脊椎麻酔、緊急治療室縫合、静脈内（ＩＶ）ライン、動脈ライン、または中枢ライン留置のうちの１つまたはそれを上回るものために構成されてもよい。
【００６０】
本明細書に開示される針受器では、針受器は、ある範囲の針に合わせて定寸されてもよく、随意に、より小さい持針器のためのより小さいスロットを備えてもよく、スロットは、トラップが格納するように設計される最大針の直径に満たない幅を備える。
【００６１】
持針器のための縦方向スロットは、スロットが針受器の両側を通して延在する、全範囲にわたるスロットを備えてもよい。
【００６２】
持針器のための縦方向スロットまたは溝は、下中実壁を備えてもよく、壁は、持針器の先端が針収納スロット平面を越えて突出することを可能にするために十分な深さに位置する。持針器溝またはスロットは、約０．１ｍｍ〜約１０ｍｍの範囲内の距離だけ針スロットの真下に延在してもよい。
【００６３】
本明細書に開示される針受器では、針受器は、針がスロットに沿って引っ張られるにつれて平行移動に対して可変抵抗を生成する、スロットの１つまたはそれを上回る側面に対する構造によって境界される縦方向スロットを備えてもよい。随意に、可変抵抗は、針がスロットに沿って引っ張られるにつれて、針の圧縮を増加させ、触覚フィードバックを提供するために、針スロットの中に突出する、離散または非対称特徴のうちの１つまたはそれを上回るものを提供されてもよい。
【００６４】
針受器は、収納ゾーンを備えてもよく、前腕に適用されることができ、１２ｃｍ未満の幅および２６ｃｍ未満の長さを備えてもよい。
【００６５】
圧縮部材は、針を収納し、並置された表面に対する針の移動に対する抵抗を提供するように構成されてもよい。発泡体構造は、発泡体と並置された表面との間に２ｍｍ未満の間隙を備えてもよい。
【００６６】
本開示の側面は、針受器の中に針を挿入する方法を提供してもよい。本方法は、針を前腕に結合される針受器の進入ゾーンに留置するステップと、前腕の平面に沿って針を移動させ、針受器の筐体内に針を収納するステップとを含んでもよい。
【００６７】
障壁は、障壁の外面内に陥凹を備えてもよい。陥凹は、針受器の少なくとも一部をその中に受容し、針受器を薄型で障壁に結合するように構成されてもよい。
【００６８】
障壁は、針受器が薄型で障壁上に提供されるように統合された針受器を備えてもよい。
【００６９】
針受器は、少なくとも部分的に、針受器の縦方向持針器スロットを被覆し、持針器スロットを通した針先端の暴露のリスクを低減させるように構成される、持針器スロットカバーを備えてもよい。持針器スロットカバーは、持針器先端が持針器スロットに沿って平行移動されると、弾性的に変形するように構成される、１つまたはそれを上回る可撓性ストリップを備えてもよい。持針器スロットカバーは、持針器スロットにわたって配置される可撓性ストリップを備えてもよい。可撓性ストリップは、持針器スロットにわたって位置付けられ、持針器スロットに沿って縦方向に延在する、縦方向細隙を備えてもよい。可撓性ストリップはさらに、持針器スロットの長さにわたって配置され、縦方向細隙に対して直交して延在する、複数の垂直細隙を備えてもよい。持針器スロットカバーは、透明材料を備えてもよい。持針器スロットカバーは、針受器に摺動可能に結合され、持針器先端が持針器スロットに沿って平行移動されると、持針器スロットを暴露または被覆するように摺動するように構成されてもよい。持針器スロットカバーは、持針器スロットの縦軸に沿って摺動するように構成されてもよい。持針器スロットカバーは、持針器スロットの縦軸に直交する軸に沿って摺動するように構成されてもよい。
【００７０】
針受器は、持針器スロットの第１の縦方向縁に沿って側方に搭載される圧縮部材を備えてもよい。圧縮部材は、持針器スロットに沿った持針器先端の平行移動によって変位されるように構成されてもよい。持針器スロットからの持針器先端の除去に応じて、針の暴露される端部は、第１の縁と対向する持針器スロットの第２の縦方向縁に向かって圧縮押動されてもよい。圧縮部材は、持針器スロットの縦軸に直交する方向に圧縮力を提供するように構成されてもよい。
【００７１】
針受器の筐体は、光導波路を備えてもよい。針受器は、背面照明を提供するために光を光導波路に伝送するように構成される光源に結合されてもよい。
【００７２】
針受器の筐体は、それを通して非均一光伝送を提供するための光散乱材料または表面を備えてもよい。光散乱表面は、下構造または上構造の表面を備えてもよい。光散乱表面は、粗面化された表面を備えてもよい。光散乱表面は、サンドブラストされた表面を備えてもよい。
【００７３】
本開示の側面は、スエージ加工針を分配および収納するための装置を提供してもよい。例示的装置は、筐体と、スエージ加工針とを備えてもよい。筐体は、上部分と、底部分と、側壁とを備えてもよい。スエージ加工針は、筐体の上部分に結合されてもよい。スエージ加工針は、取り付けられた縫合糸を備えてもよい。取り付けられた縫合糸は、側壁に巻き付けられてもよい。スエージ加工針の前端は、被覆されてもよい。筐体は、筐体の中心軸を中心として筐体の回転を可能にするように構成されるスピンドルを備えてもよい。本装置はさらに、装置を障壁に搭載するための搭載機構を備えてもよい。筐体の高さは、約１．５ｃｍ〜約８ｃｍの範囲等の約０．３ｍｍ〜約１５ｍｍの範囲内であってもよい。本装置は、積み重ねられた構成で別の同じ装置に結合するように構成されてもよい。筐体は、上部分に結合される蓋を備えてもよい。スエージ加工針は、蓋によって被覆されてもよい。筐体の上部分は、スエージ加工針の前端を受容し、スエージ加工針をそこに収納するためのスロットを備えてもよい。
【００７４】
本開示の側面は、スエージ加工針を分配および収納するための装置を提供してもよい。例示的装置は、筐体と、複数のスピンドルと、スエージ加工針とを備えてもよい。筐体は、底部分と、底部分から延在する側壁とを備えてもよい。複数のスピンドルが、底部分の表面から延在してもよい。スエージ加工針は、筐体に結合されてもよい。スエージ加工針は、取り付けられた縫合糸を備えてもよい。取り付けられた縫合糸は、複数のスピンドルのうちの少なくとも２つに巻き付けられてもよい。複数のスピンドルは、対で底部分上に配列されてもよく、縫合糸は、第１の対のスピンドルに巻き付けられてもよい。本装置はさらに、筐体に結合される第２のスエージ加工針を備えてもよい。第２のスエージ加工針は、取り付けられた第２の縫合糸を備えてもよい。第２の縫合糸は、第２の対のスピンドルに巻き付けられてもよい。
【００７５】
本開示の側面は、手術道具に搭載するための針受器を提供してもよい。例示的針受器は、筐体と、道具搭載界面と、結合機構とを備えてもよい。筐体は、針を受容し、針をその中に収納するための平面針スロットを備えてもよい。道具搭載界面は、手術道具の遠位端に結合するように構成されてもよい。結合機構は、筐体を道具搭載界面に結合するように構成されてもよい。筐体は、少なくとも５本の針をその中に受容するように構成されてもよい。道具搭載界面は、手術道具の遠位端にわたって嵌合するように構成されるエラストマキャップを備えてもよい。筐体は、剛性エンクロージャの長さに沿って整合される平面アレイ内に複数の針を受容するように構成される、剛性エンクロージャを備えてもよい。筐体は、コンパートメントの円形アレイを備えてもよい。各コンパートメントは、単一針をその中に受容するように構成されてもよい。コンパートメントの円形アレイは、各コンパートメントにアクセスすることを可能にするように筐体の中心軸を中心として回転するように構成されてもよい。
【００７６】
持針器スロットは、上溝と、下溝とを備えてもよい。上溝および下溝は、丸みを帯びた縁を備えてもよい。
【００７７】
持針器スロットは、上溝と、下溝とを備えてもよい。上溝の幅は、下溝の幅を上回ってもよい。
【００７８】
持針器スロットは、上溝と、下溝とを備えてもよい。上溝および下溝は、ベベル縁を備えてもよい。
【００７９】
持針器スロットは、上溝と、下溝とを備えてもよい。上溝および下溝の縁は、角度付けられ、共線状であってもよい。
【００８０】
本明細書に開示される針受器では、持針器スロットは、上溝と、下溝とを備えてもよい。上溝および下溝の縁は、延長湾曲平面の小区分に対応してもよい。
【００８１】
本開示の側面は、針取扱システムを提供してもよい。例示的針取扱システムは、針分配ユニットと、針受器と、障壁搭載基部とを備えてもよい。針分配ユニットは、その中に収納される複数の滅菌針を備えてもよい。針受器は、複数の使用済み針を平面アレイにおいて受容するように構成される、平面針スロットを備えてもよい。障壁搭載基部は、上側と、底側とを備えてもよい。上側は、針分配ユニットおよび針受器に結合するように構成されてもよい。底側は、障壁に結合するように構成されてもよい。障壁搭載基部は、針分配ユニットに結合するように構成される第１の部分と、針受器に結合するように構成される第２の部分とを備えてもよい。障壁搭載基部はさらに、第１の部分と第２の部分との間に配置され、第１の部分が第２の部分に対して屈曲することを可能にする、ヒンジを備えてもよい。
【００８２】
針受器は、第１の圧縮部材と、第２の圧縮部材とを備えてもよい。第１の圧縮部材は、針の前端に係合するように構成されてもよい。第２の圧縮部材は、圧縮部材間に針を閉じ込めるように、針の終端に係合するように構成されてもよい。
【００８３】
請求項のいずれか１項に記載の針受器であって、針受器は、針の１つまたはそれを上回る端部を受容および封入し、圧縮力を１つまたはそれを上回る端部に印加し、１つまたはそれを上回る端部をその中に収納するように構成される、１つまたはそれを上回るクリップを備える。
【００８４】
本開示の側面は、筐体および筐体に結合される回転可能カバーを備える、針受器を提供してもよい。筐体は、複数のコンパートメントを備えてもよい。各コンパートメントは、単一針をその中に含有するように構成されてもよい。回転可能カバーは、筐体に結合されてもよい。回転可能カバーは、窓を備えてもよい。回転可能カバーは、筐体の中心軸を中心として回転し、窓と単一コンパートメントを整合させ、窓を通して単一コンパートメントにアクセスすることを可能にするように構成されてもよい。
【００８５】
本明細書に開示される方法、装置、針受器、キット、および障壁はさらに、分配ユニットおよび使用済み針保管場所の両方の組み合わせを鉗子上で関連付けるステップを含んでもよい。
【００８６】
本明細書に開示される方法、装置、針受器、キット、および障壁では、縫合パッケージおよび針受器の１つを上回る設定は、使用のための準備ができていてもよい。
【００８７】
本明細書に開示される方法、装置、針受器、キット、および障壁はさらに、使用済み針受器と組み合わせた滅菌使い捨て鉗子、針、および縫合パッケージを備えてもよい。
【００８８】
本明細書に開示される方法、装置、針受器、キット、および障壁では、使用済み針受器と組み合わせた滅菌使い捨て鉗子、針、および縫合パッケージは、共通パッケージの中に同時に製造されてもよい。
【００８９】
本明細書に開示される方法、装置、針受器、キット、および障壁では、平衡手術用鉗子は、鉗子上に取り付けられた針保定デバイスを有してもよい。
【００９０】
本明細書に開示される方法、装置、針受器、キット、および障壁では、構成は、対向側に縫合パッケージおよび針受器の背中合わせ関係を備えてもよい。
【００９１】
本明細書に開示される方法、装置、針受器、キット、および障壁では、縫合パッケージおよび針受器は、鉗子に取り付けられ、１本またはそれを上回る針の先端および端部（末端）の両方の含有、被覆、収納を可能にしてもよい。
【００９２】
本明細書に開示される方法、装置、針受器、キット、および障壁では、鉗子搭載型針受器が、使用済み針の編成された留置またはアレイを助長し、計数および針計数の照合を促進してもよい。
【００９３】
本明細書に開示される方法、装置、針受器、キット、および障壁では、針受器は、５本の針のためのサイズおよび形状を伴って構成されてもよく、針毎に１つずつの５つのゾーンを備えてもよい。
【００９４】
本明細書に開示される方法、装置、針受器、キット、および障壁はさらに、個々のゾーンの中への局在化を促進するために５つの触覚バンプを備えてもよい。
【００９５】
本明細書に開示される方法、装置、針受器、キット、および障壁はさらに、個々のゾーンの中への局在化を促進するために２〜２０の触覚バンプを備えてもよい。
【００９６】
本明細書に開示される方法、装置、針受器、キット、および障壁はさらに、個々のゾーンの中への局在化を促進するために５〜８つの触覚バンプを備えてもよい。
【００９７】
本明細書に開示される方法、装置、針受器、キット、および障壁はさらに、個々のゾーンの中への局在化を促進するために３〜１０の触覚バンプを備えてもよい。
【００９８】
本明細書に開示される方法、装置、針受器、キット、および障壁はさらに、針外形コントラストを向上させるための背面照明のために構成されてもよい。
【００９９】
本明細書に開示される方法、装置、針受器、キット、および障壁はさらに、５つのゾーンに特定の光源を備えてもよく、針受器の中への針あたり１つの光源を提供してもよい。光源は、針受器上に位置してもよい。
【０１００】
本明細書に開示される方法、装置、針受器、キット、および障壁はさらに、針受器内のトラップ上に５つの光源またはセンサを備えてもよい。光源は、障壁と結合されてもよい。障壁は、針受器内のトラップの中の針の数に従って照明する５つの光源を伴って構成されてもよい。
【０１０１】
本明細書に開示される方法、装置、針受器、キット、および障壁はさらに、歯止め計数機構を伴う平行移動式スロットカバーを備えてもよい。
【０１０２】
本開示の側面は、一対の対向針受器を備え得る、針装置を提供してもよい。各針受器は、前側および後側と、前側の針を受容するための開口部とを有してもよい。後側は、相互に向かって配向されてもよく、前側は、相互から離れるように配向されてもよい。
【０１０３】
本開示の側面は、一対の対向縫合パッケージを備え得る、針装置を提供してもよい。各縫合パッケージは、前側と、後側とを有してもよい。前側は、そこから複数の針にアクセスするために開放されてもよい。後側は、相互に向かって配向されてもよく、前側は、相互から離れるように配向されてもよい。
【０１０４】
本開示の側面は、針受器と、縫合パッケージとを備え得る、針装置を提供してもよい。針受器は、前側と、後側とを有し、かつ前側の針を受容するための開口部を有してもよい。縫合パッケージは、前側と、後側とを有してもよい。前側は、そこから複数の針にアクセスするために開放されてもよい。後側は、相互に向かって配向されてもよく、前側は、相互から離れるように配向されてもよい。
【０１０５】
本明細書に開示されるような針装置はさらに、針装置を手術器具上に搭載するための界面を備えてもよい。界面は、随意に、器具の近位端を受容するためのスロットを備えてもよい。
【０１０６】
本明細書に開示されるような針装置はさらに、針装置を鉗子上に搭載するための界面を備えてもよく、界面は、随意に、鉗子の近位端を受容するためのスロットを備えてもよい。
【０１０７】
本明細書に開示されるような針装置はさらに、針装置をピンセット上に搭載するための界面を備えてもよい。界面は、随意に、ピンセットの近位端を受容するためのスロットを備えてもよい。界面は、接着剤を備えてもよい。
【０１０８】
本明細書に開示されるような針装置は、共通軸を中心として回転可能である、対向後側を有してもよい。
【０１０９】
本明細書に開示されるような針装置は、独立して、共通軸を中心として回転可能である、対向後側を有してもよい。
【０１１０】
本明細書に開示されるような針装置はさらに、一対の使い捨て鉗子を備えてもよい。
【０１１１】
本明細書に開示されるような針装置は、滅菌されており、滅菌パッケージ内に含有されてもよい。
【０１１２】
本明細書に開示されるような障壁は、詰め物層と、機械的障壁層とを備えてもよい。１つまたはそれを上回る磁石が、１つまたはそれを上回る磁石が詰め物層と機械的障壁層との間に配置されるように、詰め物層に面する機械的障壁層の表面に結合されてもよい。
【０１１３】
本明細書に開示されるような障壁は、ポリマー材料を含む機械的障壁層を備えてもよい。
【０１１４】
本明細書に開示されるような障壁は、約０．５ｍｍ〜約５ｍｍの範囲内の厚さを伴うポリマー材料を含んでもよい。
【０１１５】
本開示の側面は、縫合針を取り扱うための方法を提供してもよい。例示的方法では、縫合針は、持針器で把持され、縫合針を支持体上に搭載される縫合パッケージから分配してもよい。分配された縫合針は、支持体上に搭載される針受器の中に留置されてもよい。分配された縫合針の先端は、把持するステップおよび留置するステップ中に外科医から離れて配向されてもよい。
【０１１６】
分配された縫合針は、種々の距離を進行してもよい。分配された縫合針は、把持するステップから留置するステップまで２フィート未満進行してもよい。縫合針は、把持するステップから留置するステップまで４フィート未満往復距離を進行してもよい。縫合針は、縫合パックから創傷まで２フィート以下および創傷から針受器まで２フィート以下進行してもよい。
【０１１７】
多くの実施形態では、分配された縫合針は、把持するステップおよび留置するステップ中に近傍手術野内に留まる。近傍手術野は、外科医の胴体の前側から切開部まで延在する長さによって境界されてもよく、幅は、中立回転位置における外科医の前腕間に延在し、高さは、切開部の高さから外科医の肩まで垂直に延在する。
【０１１８】
多くの実施形態では、縫合パッケージおよび針受器は、外科医が縫合パッケージから複数の針を分配し、腕の解剖学的中立平面に対して外科医の腕の外旋を伴わずに針受器の中に複数の針を留置するために配列される。
【０１１９】
多くの実施形態では、縫合パッケージおよび針受器は、外科医が縫合パッケージから複数の針を分配し、外科医の腕の外旋を伴わずに外科医の冠状平面を越えて針受器の中に複数の針を留置するために配列される。
【０１２０】
多くの実施形態では、縫合パッケージおよび針受器は、外科医が縫合パッケージから複数の針を分配し、外科医の腕の外旋を伴わずに外科医の肩における外科医の冠状平面と垂直な平面を越えて針受器の中に複数の針を留置するために配列される。
【０１２１】
多くの実施形態では、縫合パッケージおよび針受器は、外科医が縫合パッケージから複数の針を分配し、外科医の腕の外旋を伴わずに外科医の肩における外科医の冠状平面を二分する矢状平面を越えて針受器の中に複数の針を留置するために配列される。
【０１２２】
多くの実施形態では、縫合パッケージおよび針受器は、外科医が縫合パッケージから複数の針を分配し、外科医の腕の外旋を伴わずに外科医の中央矢状平面を越えて針受器の中に複数の針を留置するために配列される。
【０１２３】
多くの実施形態では、近傍手術野は、切開部の約２フィート、切開部の１．５フィート、もしくは切開部の１フィートのうちの１つまたはそれを上回るもの以内に配置された空間を備える。
【０１２４】
多くの実施形態では、縫合パッケージおよび針受器は、支持体に取り付けられる。
【０１２５】
多くの実施形態では、本方法はさらに、複数の縫合針が縫合パッケージから分配され、針受器の中に留置されるまで、把持するステップおよび留置するステップを繰り返すステップを含む。
【０１２６】
多くの実施形態では、分配された縫合針は、縫合糸に取り付けられ、本方法はさらに、分配された縫合針および持針器を用いて患者の中に縫合糸を設置するステップを含む。把持するステップ、設置するステップ、および留置するステップは、複数の縫合糸が患者内に設置されるまで、繰り返されてもよい。
【０１２７】
多くの実施形態では、縫合パックおよび針受器は、外科医が片手で把持するステップおよび留置するステップを行うために配列される。
【０１２８】
多くの実施形態では、支持体は、外科医によって制御される可動支持体を備える。
【０１２９】
多くの実施形態では、針受器は、針受器上で安定して支持される１つまたはそれを上回るリールからスエージ加工針の縫合糸を分配するために、スエージ加工針に結合される縫合糸の１つまたはそれを上回るリールを安定した構成に留置するように位置する構造を備える。
【０１３０】
多くの実施形態では、縫合パックは、縫合パック上で安定して支持される構造から縫合糸の１つまたはそれを上回るリールおよび針を分配するために、それぞれスエージ加工針上に結合された縫合糸の１つまたはそれを上回るリールを安定構成の中に留置するように位置する構造を備える。
【０１３１】
多くの実施形態では、縫合パックは、縫合パック上で安定して支持される１つまたはそれを上回るリールからスエージ加工針の縫合糸を分配するために、スエージ加工針に結合された縫合糸の１つまたはそれを上回るリールを安定構成の中に留置するように位置する構造を備える。
【０１３２】
多くの実施形態では、分配された縫合針に取り付けられた縫合糸は、片手で切断される。
【０１３３】
多くの実施形態では、支持体は、外科医によって支持される障壁を備える。障壁は、外科医の肢に結合されてもよい。障壁は、外科医の肢に解放可能に結合されてもよい。縫合パッケージは、トレイ上で支持される複数の縫合パッケージの中から選択されてもよく、縫合パッケージは、障壁上に留置されてもよい。針受器は、トレイ上で支持される複数の針受器の中から選択されてもよく、針受器は、障壁上に留置されてもよい。
【０１３４】
多くの実施形態では、縫合パッケージ、針受器、および支持体は、滅菌される。支持体もしくは障壁のうちの１つまたはそれを上回るものは、障壁から延在する１つまたはそれを上回る構造で、外科医の手の甲部分の上に留置するために構成される。
【０１３５】
多くの実施形態では、縫合パッケージおよび針受器は、縫合パッケージおよび針受器で支持される複数の非侵害性針を伴って、ともに外科医から助手に、およびその逆も同様に渡されることが可能である、内蔵パッケージを備える。縫合パッケージは、針受器に取り付けられてもよい。縫合パッケージは、ヒンジ付き支持部材で針受器に可撓的に取り付けられてもよい。縫合パッケージおよび針受器の組み合わせは、外科医の手の上の支持体に取り付けられてもよい。縫合パッケージおよび針受器の組み合わせは、外科医の手の上の支持体に共形化可能にに取り付けられてもよい。
【０１３６】
縫合パックは、平面縫合パッケージを備えてもよく、針受器は、平面縫合パッケージに対して４５度未満の斜角にあってもよい。縫合パッケージおよび針受器はそれぞれ、針受器の外形を減少させるように、支持体と接触してもよい。縫合パッケージは、支持体上にともに組み立てられてもよい。
【０１３７】
縫合パッケージおよびトラップは、障壁のサイズを減少させるために、少なくとも部分的に、重複してもよい。縫合パッケージおよびトラップは、障壁上の縫合パッケージおよびトラップの占有面積を減少させるために、少なくとも部分的に、重複してもよい。パッケージおよび針受器トラップは、近位から遠位の方向に重複してもよい。縫合パッケージおよび針受器は、内側から外側の方向に重複してもよい。縫合パッケージおよび針受器は、取付機構を備えてもよい。縫合パッケージは、標準的な市販の針パッケージを備えてもよい。
【０１３８】
針受器取付機構は、針受器の側方境界または遠位境界のうちの１つまたはそれを上回るものへの縫合パッケージの取付を可能にしてもよい。
【０１３９】
障壁を外科医の肢に結合するステップは、外科医の前腕の掌側部分にわたって障壁を留置するステップを含んでもよい。
【０１４０】
針受器は、外科医の掌側前腕にわたって留置されてもよい。針受器は、掌側前腕にわたって留置された平面構造を備えてもよい。針受器は、掌側前腕にわたって留置された平面構造を備えてもよく、随意に、平面構造は、掌側前腕の中間部分にわたって留置されてもよい。針受器は、針ホルダを保持する手が若干回外されると、使用済み針の容易な挿入を可能にするために掌側前腕にわたって配列されてもよい。針は、針受器の開口部の中に使用済み針を整合および留置するために、肩関節回転に伴う持針器を保持する腕の回転で針受器内に留置されてもよい。
【０１４１】
針受器は、針ホルダを保持する手が若干回内されると、使用済み針の容易な挿入を可能にするために掌側前腕にわたって配列されてもよい。針は、針受器の開口部の中に使用済み針を整合および留置するために、肩関節回転に伴う持針器を保持する腕の回転で針受器内に留置されてもよい。
【０１４２】
針受器は、縦方向長さと、横方向幅と、高さとを備えてもよい。長さは、幅および高さを上回ってもよい。幅は、高さを上回ってもよい。長さは、約４ｃｍ〜約１５ｃｍの範囲内であってもよく、幅は、約３ｃｍ〜約６ｃｍの範囲内であってもよく、高さは、約０．５ｃｍ〜約２ｃｍの範囲内であってもよい。
【０１４３】
障壁を外科医の肢に結合するステップは、障壁の側面から延在する脚部を提供するステップと、外科医の前腕上で障壁を安定させるように、外科医の肢上で脚部を係合させるステップとを含んでもよい。外科医の肢上で脚部を係合させるステップは、外科医の前腕の遠位部分または近位部分のうちの１つまたはそれを上回るものに係合するステップを含んでもよい。脚部は、１つまたはそれを上回る第１の部分または第２の部分上への安定留置のための少なくとも複数の脚部を備えてもよい。脚部は、スラップブレスレットを備えてもよい。脚部は、第１の脚部と、第２の脚部とを備えてもよい。本方法はさらに、第１の脚部上の第１の結合機構と第２の脚部上の第２の結合機構を固着させ、障壁を外科医の肢に固着させるステップを含んでもよい。
【０１４４】
本方法はさらに、縫合パッケージを障壁に結合するステップを含んでもよい。本方法はさらに、針受器を障壁に結合するステップを含んでもよい。支持体または障壁のうちの１つまたはそれを上回るものは、縫合針との接触から外科医の肢を保護するように構成される障壁層を備えてもよい。
【０１４５】
支持体は、外科医によって保持される手術道具を備えてもよい。外科医は、他方の手で手術道具を保持しながら、片手でを把持するステップおよび留置するステップを行ってもよい。
【０１４６】
複数の縫合パッケージが、支持体上に搭載されてもよい。
【０１４７】
針受器の中に分配された縫合針を留置するステップは、針受器内で分配された縫合針の両端を非侵害性の状態にするステップを含んでもよい。
【０１４８】
針受器の中に分配された縫合針を留置するステップは、分配された縫合針の先端に対して針受器の構成要素を圧縮するステップを含んでもよい。
【０１４９】
針受器の中に分配された縫合針を留置するステップは、分配された縫合針を針受器内の発泡材料と接触させるステップを含んでもよい。
【０１５０】
針受器の中に分配された縫合針を留置するステップは、針受器の中に分配された縫合針を誘導するテーパ状構造の中に分配された縫合針の先端を留置するステップを含んでもよい。
【０１５１】
本方法はさらに、針受器のドアを開放するように、ドアに結合されるレバーを作動させるステップを含んでもよい。本方法はさらに、ドアを通して針受器に分配された縫合針を挿入するステップを含んでもよい。本方法はさらに、ドアを閉鎖するようにレバーを作動させるステップを含んでもよい。
【０１５２】
本方法はさらに、持針器を用いて縫合針を把持する前に、縫合パッケージが持針器に面するように、支持体を回転させるステップを含んでもよい。
【０１５３】
本方法はさらに、持針器を用いて針受器の中に分配された縫合針を留置する前に、針受器が持針器に面するように、支持体を回転させるステップを含んでもよい。
【０１５４】
針受器は、仕切によって分離される複数のチャネルを備えてもよい。針受器の中に分配された縫合針を留置するステップは、複数のチャネルのうちの１つの中に分配された縫合針を留置するステップを含んでもよい。複数の縫合針は、縫合パッケージから分配されてもよい。針受器の中に分配された縫合針を留置するステップは、複数のチャネルのうちの異なる１つの中に複数の分配された縫合針のそれぞれを留置するステップを含んでもよい。仕切は、分配された縫合針の近位端もしくは遠位端のうちの１つまたはそれを上回るものを囲繞してもよい。
【０１５５】
針受器は、透明構造を備えてもよい。
【０１５６】
支持体は、手術用鉗子の近位部分に結合されてもよい。
【０１５７】
縫合パッケージもしくは針受器のうちの１つまたはそれを上回るものは、手術用鉗子の近位部分に結合されてもよい。
【０１５８】
縫合パッケージおよび針受器は、外科医が近傍手術野内の複数の分配されていない針および複数の分配された針を計数するために配列されてもよい。
【０１５９】
縫合パッケージおよび針受器は、外科医が近傍手術野内で針保有量を維持するために配列されてもよい。
【０１６０】
縫合パッケージおよび針受器は、外科医が近傍手術野内の針保有量を照合させるために配列されてもよい。
【０１６１】
支持体上に搭載される針受器の中に分配された縫合針を留置するステップはさらに、針を針受器に収納するステップを含んでもよい。
【０１６２】
本開示の側面は、縫合針を取り扱うための装置を提供する。本装置は、縫合パッケージと、針受器と、支持体とを備えてもよい。縫合パッケージは、複数の縫合針を分配するように構成されてもよい。針受器は、複数の分配された縫合針を格納するように構成されてもよい。支持体は、縫合パッケージもしくは針受器のうちの１つまたはそれを上回るものを支持するように構成されてもよい。
【０１６３】
多くの実施形態では、針受器は、縫合針の先端が外科医から離れて配向された状態で、針受器の中に縫合針を留置するように配列される。
【０１６４】
多くの実施形態では、針受器は、縫合針の先端が針受器の中への縫合針の平行移動の方向から離れて配向された状態で、縫合針を針受器内に留置するように配列される。
【０１６５】
多くの実施形態では、縫合針は、湾曲縫合針を備え、針受器は、縫合針の各端部が外科医から離れて配向された状態で、針受器の中に縫合針を留置するように配列される。
【０１６６】
多くの実施形態では、針受器は、縫合パッケージを受容し、縫合パッケージを安定して支持する構造を備える。
【０１６７】
多くの実施形態では、縫合パッケージおよび針受器は、外科医が縫合パッケージから複数の針を分配し、腕の解剖学的中立平面に対して外科医の腕の外旋を伴わずに針受器の中に複数の針を留置するために配列される。
【０１６８】
多くの実施形態では、縫合パッケージおよび針受器は、外科医が縫合パッケージから複数の針を分配し、外科医の腕の外旋を伴わずに外科医の近傍手術野の外側において針受器の中に複数の針を留置するために配列される。
【０１６９】
多くの実施形態では、針受器は、針受器上で安定して支持される１つまたはそれを上回るリールからスエージ加工針の縫合糸を分配するために、スエージ加工針に結合される縫合糸の１つまたはそれを上回るリールを安定した構成に留置するように位置する構造を備える。
【０１７０】
多くの実施形態では、針受器は、外科医の腕上の障壁、患者を覆うドレープ、および支持体から選択される群のうちの１つに搭載される共通基部によって安定して支持される１つまたはそれを上回るリールからスエージ加工針の縫合糸を分配するために、それぞれスエージ加工針に結合された縫合糸の１つまたはそれを上回るリールを安定構成の中に留置するように位置する構造を備える。
【０１７１】
多くの実施形態では、本装置はさらに、片手で縫合針の縫合糸を切断するために、支持体とともに配列されるカッタを備える。
【０１７２】
多くの実施形態では、本装置はさらに、その上に支持された複数の縫合パッケージを有する、滅菌トレイを備える。
【０１７３】
多くの実施形態では、縫合パッケージ、針受器、および支持体は、滅菌されている。
【０１７４】
多くの実施形態では、支持体もしくはプラットフォームのうちの１つまたはそれを上回るものは、プラットフォームから延在する１つまたはそれを上回る構造で、外科医の手の甲部分の上に留置するために構成される。
【０１７５】
多くの実施形態では、支持体は、支持体上で縫合パッケージおよび針受器を安定して支持するために、ならびに支持体が反転または傾斜されると、支持体からの縫合パッケージおよび針受器の摺動または落下を阻止するために、縫合パッケージおよび針受器に取り付けられるように構成され、支持体は、縫合パッケージおよび針受器を解放するように構成される。
【０１７６】
多くの実施形態では、縫合パックおよび針受器は、外科医が片手で把持するステップおよび留置するステップを行うために配列される。
【０１７７】
多くの実施形態では、支持体は、外科医によって制御されるように構成される可動支持体を備える。
【０１７８】
多くの実施形態では、支持体は、外科医によって支持されるように構成されるプラットフォームを備える。
【０１７９】
多くの実施形態では、支持体は、外科医、ドレープ、手術台に結合される搭載部、および安定搭載部から選択される群のうちの１つによって支持されるように構成されるプラットフォームを備える。プラットフォームは、プラットフォームを外科医の肢に結合するように構成される結合部を備えてもよい。結合部は、プラットフォームの側面から延在する１つまたはそれを上回る脚部を備えてもよい。脚部は、外科医の肢に係合するように構成されてもよい。結合部は、スラップブレスレットを備えてもよい。支持体もしくはプラットフォームのうちの１つまたはそれを上回るものは、分配された縫合針の１つまたはそれを上回る端部との接触から外科医を保護するように構成される障壁を備えてもよい。
【０１８０】
多くの実施形態では、支持体は、近傍手術野内にプラットフォームを留置するように調節可能支持構造に結合される、プラットフォームを備える。
【０１８１】
多くの実施形態では、支持体は、近傍手術野内にあって、調節可能支持構造、安定搭載部、およびドレープから成る群のうちの１つに結合される、プラットフォームを備える。
【０１８２】
多くの実施形態では、支持体は、挟持運動で組織に係合するように構成される、手術用鉗子に結合するように構成される。支持体は、手術用鉗子の近位端に結合するように構成されてもよい。手術用鉗子は、アドソン鉗子もしくはボニー鉗子のうちの１つまたはそれを上回るものを備えてもよい。本装置は、４５グラム未満の重量であってもよい。本装置はさらに、縫合パッケージおよび針受器を手術道具の近位部分に結合するための結合部を備えてもよい。本装置はさらに、１つまたはそれを上回る縫合パッケージを支持するように構成される、縫合パッケージホルダを備えてもよい。縫合パッケージホルダは、手術道具の近位部分に結合されてもよい。針受器および縫合パッケージは、手術道具の対向側で支持されてもよい。縫合パッケージホルダおよび針受器は、手術道具の同一側で支持されてもよい。結合部は、道具取付ポケットを備えてもよく、手術道具の近位部分は、道具取付ポケットの中に留置されてもよい。道具取付ポケットは、接着層で手術道具に結合されてもよい。本装置は、手術道具の近位部分に結合される、２つの縫合パッケージを備えてもよい。針受器は、２つの縫合パッケージの間に狭装されてもよい。
【０１８３】
多くの実施形態では、本装置はさらに、持針器を保持するために支持体上に搭載される、道具ホルダを備える。
【０１８４】
多くの実施形態では、本装置はさらに、鋏を保持するために支持体上に搭載される、道具ホルダを備える。
【０１８５】
多くの実施形態では、針受器は、針受器の中に留置される分配された縫合針の両端を含有するように構成される。
【０１８６】
多くの実施形態では、針受器は、針受器の中に留置される分配された縫合針の先端に対して針受器の構成要素を圧縮する機構を備える。
【０１８７】
多くの実施形態では、針受器は、針受器の中に分配された縫合針の先端を誘導するテーパ状構造を備える。
【０１８８】
多くの実施形態では、針受器は、分配された縫合針の一部を針受器の中に誘導するテーパ状構造を備える。
【０１８９】
多くの実施形態では、分配された縫合針の一部は、針の先端である。
【０１９０】
多くの実施形態では、針受器は、針受器の中に留置される分配された縫合針の先端に接触するように成形される発泡材料を備える。
【０１９１】
多くの実施形態では、針受器は、ドアを開閉するためのレバーに結合されるドアを備える。
【０１９２】
多くの実施形態では、針受器は、４５グラム未満の重量がある。
【０１９３】
多くの実施形態では、針受器は、複数の分配された縫合針を格納するための複数のチャネルを備える。針受器はさらに、電源と、電源に電気的に結合される第１の導体と、電源と第２の導体との間に電気的に結合される第１の視覚インジケータとを備えてもよい。第１の視覚インジケータは、第１の分配された縫合針が第１の導体および第２の導体の両方と接触させられると、複数のチャネルのうちの第１のチャネルの中の第１の分配された縫合針の存在を示してもよい。電源は、バッテリを備えてもよい。第１の視覚インジケータは、第１のライトを備えてもよい。針受器はさらに、電源と第３の導体との間に電気的に結合される第２の視覚インジケータを備えてもよい。第２の視覚インジケータは、第２の使用済みの針が第２の導体および第３の導体の両方と接触させられると、複数のチャネルのうちの第２のチャネルの中の第２の使用済みの針の存在を示してもよい。第２の視覚インジケータは、第２のライトを備えてもよい。針受器はさらに、複数のチャネルの数値マーキングを備えてもよい。
【０１９４】
多くの実施形態では、針受器は、針受器の中に留置されると、縫合針の両端を非侵害性の状態にするように構成される。針受器は、非侵害性の状態にされた両端を伴う針を視認する構造を備えてもよい。
【０１９５】
多くの実施形態では、針受器は、縫合針を受容し、手術用針を針受器支持体上の針受器内に安定させるように構成される。針受器支持体は、縫合針を安定させるための磁石、接着剤、または偏向可能材料のうちの１つまたはそれを上回るものを備えてもよい。
【０１９６】
多くの実施形態では、針受器は、針受器内で手術用針を安定させるために、摺動移動および摺動移動への対応する抵抗を伴って縫合針を受容するように構成される。
【０１９７】
多くの実施形態では、針受器は、その中の非侵害性の状態にされた複数の縫合針を視認するように透明カバーを備える。針受器は、縫合針受器内に複数の縫合針を留置するように開口部を備えてもよい。
【０１９８】
多くの実施形態では、針受器は、計数のためにアレイに沿って複数の針を配列するように構造化アレイを備える。
【０１９９】
本開示の側面は、外科医による縫合針の収納のための方法を提供してもよい。縫合針は、持針器で針受器の開口部の中に挿入されてもよい。縫合針は、針受器の内側で回転され、針の端部を材料の中に挿入してもよい。縫合針は、持針器から解放されてもよい。挿入するステップでは、針は、前端から離れて平行移動させられてもよい。回転させるステップでは、針の終端は、変形可能構造の中に挿入されてもよい。材料は、変形可能材料、接着材料、もしくは弾性材料のうちの１つまたはそれを上回るものを備えてもよい。材料は、発泡体、弾性膜、もしくは接着剤のうちの１つまたはそれを上回るものを含んでもよい。
【０２００】
本開示の側面は、外科医による縫合針の収納のための方法を提供する。縫合針は、持針器で針受器の開口部の中に挿入されてもよい。縫合針は、針受器の内側に収納されてもよい。縫合針は、持針器から解放されてもよい。針受器は、複数の縫合針を格納するように構成されてもよい。
【０２０１】
多くの実施形態では、針受器は、近傍手術野内に位置する。
【０２０２】
多くの実施形態では、針受器は、進入ゾーンと、収納ゾーンとを備える。挿入するステップは、針受器の進入ゾーン上に縫合針を留置するステップを含んでもよい。収納するステップは、進入ゾーンから収納ゾーン内の針スロットの中に縫合針を摺動させるステップを含んでもよい。
【０２０３】
多くの実施形態では、針受器は、第２の針受器に結合される。本方法はさらに、第２の針受器の第２の進入ゾーン上に第２の縫合針を留置するステップと、第２の進入ゾーンから第２の針受器の第２の収納ゾーンの中に第２の縫合針を摺動させるステップとを含んでもよい。
【０２０４】
多くの実施形態では、収納ゾーンは、持針器スロットを備え、挿入するステップは、収納ゾーンの中に縫合針を留置するように、持針器スロットに沿って持針器の遠位部分を移動させるステップを含む。
【０２０５】
多くの実施形態では、収納ゾーンは、収納するステップ中に縫合針の少なくとも一部に対して圧縮する圧縮部材を備える。
【０２０６】
多くの実施形態では、収納ゾーンは、収納するステップ中に縫合針の少なくとも一部に対して力を印加する圧縮部材を備える。
【０２０７】
多くの実施形態では、収納ゾーンは、針スロットの中に延在する複数の突出部を備える。収納するステップは、収納ゾーン内の複数の突出部に対して縫合針を移動させるステップを含んでもよい。
【０２０８】
多くの実施形態では、本方法はさらに、針受器の中に留置された縫合針を検出するステップと、針受器内に配置された縫合針の数を判定するステップと、視覚ディスプレイ上で針受器内に配置された縫合針の数を表示するステップとを含んでもよい。針受器は、電源に電気的に結合される、第１の導体と、第２の導体とを備えてもよい。縫合針は、第１の導体および第２の導体の両方と接触して針受器内に配置されてもよい。検出するステップは、第１の導体および第２の導体を通る電流を測定するステップを含んでもよい。
【０２０９】
多くの実施形態では、収納するステップは、縫合針の端部が針受器に搭載される第１の構造の第１の表面に圧入されるように、針受器内で第１の縫合針を回転させるステップを含んでもよい。第１の構造は、第１の構造は、変形可能材料、接着材料、もしくは弾性構造のうちの１つまたはそれを上回るものを備えてもよく、第１の構造は、発泡体、弾性膜、もしくは接着剤のうちの１つまたはそれを上回るものから成る。針受器は、開口部と第１の構造との間にオフセットゾーンを備えてもよい。挿入するステップ中に、第１の縫合針は、回転させるステップを行う前にオフセットゾーンを通して移動させられてもよい。本方法はさらに、持針器を用いて針受器の開口部を通して第２の縫合針を挿入するステップと、第２の縫合針の端部が針受器に搭載される第１の構造の第２の表面に圧入されるように、針受器内で第２の縫合針を回転させるステップとを含んでもよい。第１の縫合針は、持針器の縦軸を中心として時計回り方向に回転させられてもよい。第２の縫合針は、持針器の縦軸を中心として反時計回り方向に回転させられてもよい。第１の構造は、発泡体、または接着剤、もしくは変形可能材料のうちの１つまたはそれを上回るものを備えてもよい。
【０２１０】
多くの実施形態では、本方法はさらに、針受器の壁を通して縫合針を視認するステップであって、壁は、透明である、ステップと、針受器内に配置された縫合針を計数するステップとを含む。針受器は、手術道具の近位部分上に搭載されてもよい。
【０２１１】
本開示の側面は、針受器を提供する。例示的針受器は、下構造と、上構造と、針スロットと、持針器スロットとを備えてもよい。下構造は、進入ゾーンと、収納ゾーンとを有してもよい。上構造は、収納ゾーンを有してもよい。針スロットは、下構造と上構造との間に１つまたはそれを上回る縫合針を受容するためのものであってもよい。持針器スロットは、上構造の一部を通して延在してもよい。
【０２１２】
多くの実施形態では、持針器スロットは、針スロットと垂直である。
【０２１３】
多くの実施形態では、持針器スロットの長軸は、針スロットの長軸と垂直である。
【０２１４】
多くの実施形態では、持針器スロットは、下構造の一部を通して延在する。
【０２１５】
多くの実施形態では、針受器はさらに、針スロットに隣接する圧縮性部材を備える。
【０２１６】
多くの実施形態では、針受器はさらに、針スロットに隣接する複数の突出部を備える。
【０２１７】
多くの実施形態では、針受器はさらに、針受器の収納ゾーン内に配置された縫合針の数を検出するように構成される針計数機構を備える。
【０２１８】
多くの実施形態では、針受器はさらに、電源と、電源に電気的に結合される第１の導体と、制御回路に電気的に結合される第２の導体と、制御回路に電気的に結合される視覚ディスプレイとを備える。視覚ディスプレイは、縫合針が第１の伝導性要素および第２の伝導性要素の両方と接触させられると、収納ゾーン内に配置された縫合針の数を示してもよい。
【０２１９】
多くの実施形態では、針受器は、針受器および第２の針受器の両方と直接接触している結合部を通して、第２の針受器に結合される。結合部は、手術道具の近位端にわたって嵌合するように適合される道具スロットを備えてもよい。
【０２２０】
多くの実施形態では、針受器はさらに、収納ゾーン内の縫合針の写真画像を取得するためのカメラを備える。針受器はさらに、縫合針の写真画像を受信機に伝送するための伝送機を備えてもよい。
【０２２１】
多くの実施形態では、針受器はさらに、収納ゾーン内の縫合針の存在の写真画像を取得するためのカメラを備えてもよい。針受器はさらに、縫合針の存在の写真画像を受信機に伝送するための伝送機を備えてもよい。
【０２２２】
別の例示的針受器は、開口部および内部容積を有する、筐体と、筐体の内面に結合される第１の伸長部材とを備えてもよい。第１の伸長部材は、筐体の内面から内向きに延在する、針挿入表面を有してもよい。
【０２２３】
多くの実施形態では、第１の部材は、変形可能材料、接着材料、または弾性構造のうちの１つまたはそれを上回るものを備える。変形可能材料は、発泡体、弾性膜、もしくは接着剤のうちの１つまたはそれを上回るものを備えてもよい。内部容積は、実質的に円筒形であってもよい。第１の変形可能部材は、内面から実質的に半径方向内向きに内部容積の中に延在してもよい。
【０２２４】
多くの実施形態では、針受器はさらに、筐体の内面に結合される第２の伸長部材を備えてもよい。第１の部材および第２の変形可能部材は、筐体の内面の対向側にあってもよい。第２の部材は、変形可能材料、接着材料、または弾性構造のうちの１つまたはそれを上回るものを備えてもよい。第１の部材は、発泡体、弾性膜、もしくは接着剤のうちの１つまたはそれを上回るものを備えてもよい。
【０２２５】
多くの実施形態では、開口部は、針の長さより長い伸長スロットを備える。
【０２２６】
多くの実施形態では、筐体は、透明である。
【０２２７】
本開示の側面は、針との接触から外科医の肢を保護するための装置を提供する。例示的装置は、湾曲断面を有する障壁と、障壁を外科医の肢に結合するための結合部とを備えてもよい。障壁は、縫合パッケージもしくは針受器のうちの１つまたはそれを上回るものを支持するように構成されてもよい。
【０２２８】
多くの実施形態では、本装置はさらに、障壁搭載部を備える。障壁搭載基部は、縫合パッケージもしくは針受器のうちの１つまたはそれを上回るものを支持するように構成されてもよい。障壁は、障壁搭載部を支持するように構成されてもよい。
【０２２９】
多くの実施形態では、障壁は、滅菌障壁を備え、結合部は、滅菌結合部を備える。
【０２３０】
多くの実施形態では、障壁は、外科医の手の背側にわたって延在するように定寸される延在部を備える。延在部は、縫合パッケージもしくは針受器のうちの１つまたはそれを上回るものを支持する堅性を備えてもよい。
【０２３１】
多くの実施形態では、障壁は、外科医の手背にわたって延在するように定寸される延在部を備える。延在部は、外科医の背面橈側への手の移動を可能にする偏向を備えてもよい。
【０２３２】
多くの実施形態では、障壁は、外科医の手にわたって延在するように定寸される延在部を備える。
【０２３３】
多くの実施形態では、結合部は、第１の脚部もしくは第２の脚部のうちの１つまたはそれを上回るものを備える。
【０２３４】
多くの実施形態では、結合部は、第１の脚部と、第２の脚部とを備える。第１の脚部は、第１の方向に障壁の遠位部分から外向きに延在してもよい。第２の脚部は、第１の方向に対向する第２の方向に障壁の遠位部分から外向きに延在してもよい。
【０２３５】
多くの実施形態では、結合部は、複数の近位脚部を備える。
【０２３６】
多くの実施形態では、結合部は、１つまたはそれを上回るスラップブレスレットを備える。
【０２３７】
多くの実施形態では、結合部は、外科医の前腕の一部に巻き付くように構成されるストラップを備える。ストラップは、障壁の対向縁に結合されてもよい。
【０２３８】
多くの実施形態では、結合部は、障壁の遠位部分上に配置される親指ループを備える。親指ループは、外科医の親指に結合するように構成されてもよい。親指ループは、可撓性材料から作製されてもよい。親指ループは、障壁の中に形成されてもよい。
【０２３９】
多くの実施形態では、障壁は、変形して肢の周囲で湾曲するように構成される可鍛性材料を含んでもよい。障壁は、肢の長さと平行に延在する複数の溝を備えてもよい。障壁は、肢に対して圧縮されるように構成される内側発泡層を備えてもよい。障壁は、障壁の掌側部分上で針受器を支持するように構成されてもよい。障壁は、障壁の掌側もしくは橈側部分のうちの１つまたはそれを上回るもので縫合パッケージを支持するように構成されてもよい。障壁の背側部分は、道具ホルダを備えてもよい。
【０２４０】
多くの実施形態では、障壁は、独立構成において湾曲断面を備える。
【０２４１】
多くの実施形態では、障壁は、湾曲熱成形障壁材料を含む。
【０２４２】
本開示の側面は、針スロットおよび持針器スロットを有する、筐体を備える、針受器を提供するステップであって、持針器スロットは、針スロットの側面部分と交差する、ステップと、持針器を用いて縫合針の端部分を把持するステップと、針スロットに沿って持針器を摺動させることによって、針スロットに沿って縫合針を移動させるステップと、針スロット内で縫合針を解放するステップとを含む、方法を提供してもよい。
【０２４３】
多くの実施形態では、持針器は、直線経路または螺旋経路で持針器スロットを通して移動する。
【０２４４】
多くの実施形態では、持針器は、円形経路で持針器スロットを通して移動する。
【０２４５】
多くの実施形態では、本方法はさらに、針スロットに隣接して圧縮部材を提供するステップと、針に対して圧縮部材を圧縮するステップとを含む。
【０２４６】
多くの実施形態では、本方法はさらに、持針器の中心軸を中心として回転トルクを印加するステップを含む。
【０２４７】
多くの実施形態では、本方法はさらに、持針器スロット内の針の端部分を視認するステップと、視認するステップに基づいて、針受器内の針の数を判定するステップとを含む。
【０２４８】
多くの実施形態では、本方法はさらに、針スロットの中に留置された縫合針を検出するステップと、針受器内の針の数を判定するステップと、視覚ディスプレイ上で針受器内の針の数を表示するステップとを含む。
【０２４９】
多くの実施形態では、本方法はさらに、障壁を提供するステップと、針受器を障壁に結合するステップを含む。
【０２５０】
多くの実施形態では、障壁は、外科医の肢の上に留置されるように適合される。
【０２５１】
多くの実施形態では、針受器と障壁の結合は、磁気結合または面ファスナ結合を介する。
【０２５２】
多くの実施形態では、本方法はさらに、障壁から延在する１つまたはそれを上回るストラップを提供するステップを含む。ストラップは、障壁を外科医の肢に固着させるように適合されてもよい。
【０２５３】
本発明の側面は、針受器を提供してもよい。例示的針受器は、筐体と、針スロットと、第１の持針器スロットと、第２の持針器スロットとを備えてもよい。筐体は、幅および厚さを有する、断面を有してもよい。針スロットは、使用済み縫合針を筐体の断面内に格納するためのものであってもよい。第１の持針器スロットは、筐体の厚さを通して延在してもよい。第１の持針器スロットは、針スロットの側面部分と交差してもよい。持針器スロットは、上構造の一部を通して延在してもよい。
【０２５４】
多くの実施形態では、持針器スロットは、針スロットと実質的に垂直である。
【０２５５】
多くの実施形態では、持針器スロットは、円形部分または螺旋部分を有する。
【０２５６】
多くの実施形態では、針受器はさらに、針スロットに隣接する圧縮性部材を備える。
【０２５７】
多くの実施形態では、針受器はさらに、針受器の中の針の数を検出するための針計数機構を備える。針受器はさらに、電源と、針計数回路に電気的に結合される視覚ディスプレイとを備えてもよい。視覚ディスプレイは、針受器の中の針の数を示してもよい。
【０２５８】
多くの実施形態では、針受器はさらに、障壁を備え、針受器は、障壁に取り付けられる。針受器はさらに、障壁に取り付けられた縫合パックを保持するための縫合パックホルダを備えてもよい。針受器はさらに、障壁を外科医の肢に固着させるように適合される障壁の側面から延在する、１つまたはそれを上回るストラップを備えてもよい。
【０２５９】
本開示の側面は、縫合針を取り扱うための装置を提供してもよく、本装置は、縫合パッケージおよび針受器を受容するように構成される、支持体を備える。
【０２６０】
本開示の側面は、縫合針を取り扱うための装置を提供してもよく、本装置は、縫合パッケージおよび使用済み針ホルダを取り付けるプラットフォームを備える。
【０２６１】
本開示の側面は、縫合針を取り扱うための装置を提供してもよく、本装置は、縫合パッケージおよび使用済み針受器を取り付けるためのプラットフォームを備える。
【０２６２】
本開示の側面は、複数の汚染された手術用縫合針を受容するための装置を提供してもよく、各針は、先端と、終端と、先端と終端との間に延在する針本体とを有する。本装置は、上部および底部を有する、筐体と、それを通して挿入される汚染された手術用針を受容するように構成および定寸される、上部と底部との間の少なくとも１つの開口部と、窓と、各先端および終端を伴って窓を通して計数するための配列で複数の汚染された手術用針を保持する、筐体内の非侵害性ゾーンとを備えてもよい。
【０２６３】
本開示の側面は、汚染された手術用縫合針を受容するための装置を提供してもよく、針は、先端と、終端と、先端と終端との間に延在する針本体とを有する。本装置は、上部および底部を有する、筐体と、それを通して挿入される汚染された手術用針を受容するように構成および定寸される、上部と底部との間の少なくとも１つの開口部と、収納された針先端を伴う配向で汚染された手術用針を保持する、筐体内の収納ゾーンとを備えてもよい。
【０２６４】
多くの実施形態では、配向は、所定の配向を備える。
【０２６５】
多くの実施形態では、少なくとも１つの開口部は、側方配向で汚染された手術用針を受容するように構成および定寸される。
【０２６６】
多くの実施形態では、少なくとも１つの開口部は、汚染された手術用針を横方向配向に受容するように構成および定寸される。
【０２６７】
多くの実施形態では、手術用針は、湾曲針であって、湾曲針本体の少なくとも一部は、その先端または終端の前に開口部に進入する。
【０２６８】
多くの実施形態では、本装置はさらに、上部および底部に接続され、それらの間に延在する、第１の側面と、上部および底部に接続され、それらの間に延在する、第２の側面と、第１の端部と、第１の端部と、第２の端部とを備える。少なくとも１つの開口部は、第１の端部内に配置されてもよい。
【０２６９】
多くの実施形態では、上部および底部は、形状が円形である。
【０２７０】
多くの実施形態では、収納ゾーンは、複数の汚染された手術用針を受容するように構成および定寸される。
【０２７１】
多くの実施形態では、上の少なくとも一部は、収納ゾーン内に配置される汚染された針の可視化を可能にするために十分に透明である。
【０２７２】
多くの実施形態では、本装置は、その中に含有される複数の汚染された手術用針の点検および計数を可能にする窓を含む。複数の汚染された手術用針は、少なくとも５本の手術用針を備えてもよい。
【０２７３】
多くの実施形態では、筐体上部は、持針器の制御下で筐体の中への汚染された手術用針の挿入を促進する、持針器の先端を受容するように構成および定寸されるスロットを含む。
【０２７４】
いくつかの実施形態では、スロットは、針の終端を視認するようにオフセットされる。
【０２７５】
いくつかの実施形態では、スロットは、線形である。
【０２７６】
いくつかの実施形態では、スロットは、湾曲される。
【０２７７】
いくつかの実施形態では、スロットは、直線状であって、上部の中心に沿って配向される。
【０２７８】
いくつかの実施形態では、スロットは、直線状であって、上部の縦軸を外れて配向される。
【０２７９】
いくつかの実施形態では、本装置は、複数のスロットを備える。
【０２８０】
いくつかの実施形態では、スロットは、スロットに対する特定の配向に持針器を配向するように構成および定寸される。
【０２８１】
多くの実施形態では、収納ゾーンは、所定の配向で複数の汚染された手術用針を保持するように針保定特徴を含む。
【０２８２】
多くの実施形態では、本装置はさらに、上部と底部との間で汚染された手術用針を保持するように針保定特徴を備える。針保定特徴は、ウレタンフォーム等の上部と底部との間に配置された発泡体を備えてもよい。
【０２８３】
いくつかの実施形態では、針保定特徴は、上部と底部との間に配置された面ファスナを備える。
【０２８４】
いくつかの実施形態では、針保定特徴は、上部および底部の一方または両方から延在する、複数の突出部を備える。複数の突出部は、くぼみ、突起、またはフィラメントを備えてもよい。複数の突出部は、針が収納ゾーンの中に入ることを可能にするように、および少なくとも１つの開口部に向かった針の移動に抵抗するように、少なくとも１つの開口部から離れて角度を付けられてもよい。針保定特徴は、上部と底部との間に配置されたフラップを備えてもよい。
【０２８５】
いくつかの実施形態では、針保定特徴は、上部と底部との間に配置されたゲルを備える。
【０２８６】
いくつかの実施形態では、針保定特徴は、上部と底部との間に配置された半球小隆起を備える。
【０２８７】
いくつかの実施形態では、針保定特徴は、上部と底部との間に配置された角度付けられた剛毛を備える。
【０２８８】
多くの実施形態では、本装置はさらに、近傍手術野内で装置を搭載するための筐体に取り付けられた滅菌搭載部材を含む。
【０２８９】
多くの実施形態では、上部および底部は、射出成形される。
【０２９０】
多くの実施形態では、上部および底部は、ともにスナップ嵌合される。
【０２９１】
多くの実施形態では、上部および底部は、ともに超音波溶接される等、ともに溶接される。
【０２９２】
多くの実施形態では、上部および底部は、接着接続される。
【０２９３】
多くの実施形態では、上面は、透明ポリカーボネートから成る。
【０２９４】
多くの実施形態では、上部および底部は、ポリカーボネートから成る。
【０２９５】
多くの実施形態では、本装置はさらに、上面を通るスロットを備える。
【０２９６】
多くの実施形態では、上部および底部は、可撓性である。
【０２９７】
多くの実施形態では、上部および底部は、剛性である。
【０２９８】
多くの実施形態では、上部および底部の一方または両方は、進入ゾーンと、遷移ゾーンと、収納ゾーンとを画定する。進入ゾーンは、進入ゾーンに向かった針の移動を促進するように進入ゾーンより幅が広い、降着ゾーンを画定してもよい。進入ゾーンは、上面内のスロットに向かって汚染された針を保持する持針器を押勢する少なくとも１つの構造を含んでもよい。構造は、進入ゾーンのＶ形状進入縁を含んでもよい。
【０２９９】
多くの実施形態では、本装置はさらに、装置を含有する滅菌パッケージを備えてもよい。
【０３００】
多くの実施形態では、本装置はさらに、近傍手術野内で装置を搭載するための筐体に取り付けられた滅菌搭載部材を含んでもよい。搭載装置は、外科医の前腕に搭載されるように構成および定寸される障壁を備えてもよい。障壁は、手術用針および縫合糸の滅菌パッケージを支持するように構成および定寸されてもよい。
【０３０１】
多くの実施形態では、筐体内の非侵害性ゾーンは、窓の真下に各先端および終端のいずれかを伴って、窓を通して計数するための配列に複数の汚染された手術用針を保持するように構成される。
【０３０２】
本開示の側面は、針刺しを阻止する障壁と、手、橈側前腕、もしくは掌側前腕のうちの１つまたはそれを上回るものにわたって縫合パックもしくは針受器のうちの１つまたはそれを上回るものを安定して支持するように構成される表面とを伴って構成される、滅菌手術衣、滅菌手袋、もしくは滅菌カバーのうちの１つまたはそれを上回るものを備える、装置を提供してもよい。
【０３０３】
本開示の側面は、針刺しを阻止する障壁と、手、橈側前腕、掌側前腕、背側前腕、尺側前腕、および手首のうちの１つまたはそれを上回るものにわたって縫合パックもしくは針受器のうちの１つまたはそれを上回るものを安定して支持するように構成される表面とを伴って構成される、滅菌手術衣、滅菌手袋、または滅菌カバーのうちの１つまたはそれを上回るものを備える、装置を提供してもよい。
【０３０４】
本開示の側面は、針刺しを阻止する障壁と、近傍手術野内で縫合パックもしくは針受器のうちの１つまたはそれを上回るものを安定して支持するように構成される表面とを伴って構成される、滅菌カバーもしくは滅菌ドレープのうちの１つまたはそれを上回るものを備える、装置を提供してもよい。
【０３０５】
本開示の側面は、滅菌縫合糸の滅菌パッケージと、少なくとも１つの汚染された手術用縫合針を受容するための滅菌装置とを含有し得る、滅菌エンクロージャを備える、手術用縫合キットを提供してもよい。
【０３０６】
本開示の側面は、滅菌縫合糸の滅菌パッケージと、少なくとも１つの汚染された手術用縫合針を受容するための滅菌装置とを含有し得る、滅菌エンクロージャを備える、手術用縫合キットを提供してもよい。針は、先端と、終端と、先端と終端との間に延在する針本体とを有してもよい。滅菌装置は、上部および底部を有する、滅菌筐体と、それを通して挿入される汚染された手術用針を受容するように構成および定寸される、上部と底部との間の少なくとも１つの開口部と、収納された針先端を伴う所定の配向で汚染された手術用針を保持する、筐体内の収納ゾーンとを備えてもよい。
【０３０７】
手術用キットはさらに、滅菌縫合糸のパッケージおよび少なくとも１つの汚染された手術用縫合針を受容するための装置を支持するように構成および定寸される、障壁を備えてもよい。
【０３０８】
障壁層は、外科医の前腕に搭載されるように構成および定寸されてもよい。
【０３０９】
本開示の側面は、使用済み針ホルダの中に針を留置するステップを含む、方法を提供してもよい。
【０３１０】
本開示の側面は、使用済み針ホルダを備える、装置を提供してもよい。
【０３１１】
本開示の側面は、使用済みの針を収納するための手段を備える、装置を提供してもよい。
【０３１２】
本開示の側面は、滅菌筐体と、筐体内に配置される、縫合糸分配部分であって、１つまたはそれを上回る滅菌縫合針を支持するように構成される、縫合糸分配部分と、筐体内に配置される、針受器部分であって、複数の分配された縫合針を収納するように構成される、針受器部分とを備える、縫合糸を取り扱うための装置を提供してもよい。
【０３１３】
本開示の側面は、分配された針を安定させ、非侵害性の状態にするための針受器手段を備える、装置を提供してもよい。
【０３１４】
本開示の側面は、分配された針を安定させ、非侵害性の状態にするための針受器手段と、針受器手段の中に分配された針を留置するために、針受器手段を支持するための障壁手段とを備える、装置を提供してもよい。
【０３１５】
本開示の側面は、分配された針を安定させ、非侵害性の状態にするための針受器手段と、針受器手段の中に分配された針を留置するために、針受器手段を支持するための障壁手段とを備える、装置を提供してもよい。
【０３１６】
本開示の側面は、滅菌手術室内で使用するための装置を提供してもよい。本装置は、分配された針の針受器と、縫合パッケージと、分配された針の針受器または縫合パッケージのうちの１つまたはそれを上回るものを支持し、障壁を通した針貫通を阻止するための障壁とを備えてもよい。分配された針の針受器、縫合パッケージ、および障壁は、外科医の近傍手術野内に配列されてもよい。
【０３１７】
本装置は、分配された針の針受器または縫合パッケージのうちの１つまたはそれを上回るものを支持し、障壁を通した針貫通を阻止するための障壁搭載基部を備えてもよい。障壁は、障壁搭載基部を支持するためのものであってもよい。
【０３１８】
本開示の側面は、５本またはそれを上回る分配された手術用針を備える、分配された針の針受器を備える、滅菌手術室内で使用するための装置であってもよい。分配された手術用針は、針受器内で安定させられて非侵害性であり得る。針受器は、安定された非侵害性の分配された針を計数するための開口部、窓、または透明材料のうちの１つまたはそれを上回るものを備えてもよい。針は、針受器内で計数するために配列されてもよい。
【０３１９】
本開示の側面は、中立ゾーンから、５本またはそれを上回る分配された手術用針を備える分配された針の針受器を受容するステップを含む、分配された針を収納するための方法を提供してもよい。分配された手術用針は、針受器内で安定させられて非侵害性であり得る。針受器は、安定された非侵害性の分配された針を計数するための開口部、窓、または透明材料のうちの１つまたはそれを上回るものを備えてもよい。針は、針受器内で計数するために配列されてもよい。
【０３２０】
本開示の側面は、５本またはそれを上回る分配された縫合針を備える分配された針の針受器を中立ゾーンから受容するステップを含む、分配された針を収納するための方法を提供してもよい。分配された手術用針は、針受器内で安定させられて非侵害性であり得る。針受器は、安定された非侵害性の分配された針を計数するための開口部、窓、または透明材料のうちの１つまたはそれを上回るものを備えてもよい。針は、針受器内で計数するために配列されてもよい。
【０３２１】
本開示の側面は、５本またはそれを上回る分配された縫合針を備える分配された針の針受器を近傍手術野から受容するステップを含む、分配された針を収納するための方法を提供してもよい。分配された手術用針は、針受器内で安定させられて非侵害性であり得る。針受器は、安定された非侵害性の分配された針を計数するために開口部、窓、または透明材料のうちの１つまたはそれを上回るものを備えてもよい。針は、針受器内で計数するために配列されてもよい。
【０３２２】
本開示の側面は、持針器を用いて縫合針を針受器の開口部の中に挿入するステップと、分配された針を持針器から解放するステップとを含む、分配された針を収納するための方法を提供してもよい。針受器は、複数の５本またはそれを上回る分配された針を格納するように構成されてもよい。分配された針は、安定され、非侵害性であって、チャネル、開口部、窓、または透明材料のうちの１つまたはそれを上回るものを通してコンテナ内で計数するために、４つまたはそれを上回る安定された非侵害性の分配された針とともに配列されてもよい。
【０３２３】
本開示の側面は、針を取り扱うための装置を提供してもよい。本装置は、複数の針を分配するように構成される、縫合パッケージと、複数の分配された針を格納するように構成される、針受器と、縫合パッケージもしくは針受器のうちの１つまたはそれを上回るものを支持するように構成される、支持体とを備えてもよい。
【０３２４】
本開示の側面は、縫合針を取り扱うための方法を提供してもよい。本方法は、支持体上に搭載される縫合パッケージから針を分配するように、持針器を用いて針を把持するステップと、支持体上に搭載される針受器の中に分配された針を留置するステップとを含んでもよい。
【０３２５】
本明細書に開示される装置または方法は、約６オンス（１７０グラム）以下の重量を備える、障壁と、少なくとも約５本の針の容量を備える、針受器と、約０．５インチ（１２．５ｍｍ）以下の全体的厚さと、約５インチ（１２７ｍｍ）以下の長さと、線形アレイにおいて少なくとも約８本の針を受容および格納するための約２．５インチ（６３．５ｍｍ）以下の幅とを備えてもよい。
【０３２６】
本明細書に開示される装置または方法は、約６オンス（１７０グラム）以下の重量を備える、障壁と、少なくとも約５本の針の容量を備える、針受器と、約０．５インチ（１２．５ｍｍ）以下の全体的厚さと、約５インチ（１２７ｍｍ）以下の長さと、線形アレイまたは弓形アレイにおいて少なくとも約５本の針を受容および格納するための約２．５インチ（６３．５ｍｍ）以下の幅とを備えてもよい。
【０３２７】
本明細書に開示される装置または方法は、約６オンス（１７０グラム）以下の重量を備える、障壁と、少なくとも約８本の針の容量を備える、針受器と、約０．５インチ（１２．５ｍｍ）以下の全体的厚さと、約５インチ（１２７ｍｍ）以下の長さと、弓形アレイにおいて少なくとも約８本の針を受容および格納するための約４インチ（１０１．６ｍｍ）以下の幅とを備えてもよい。
【０３２８】
本明細書に開示される装置または方法は、約６オンス（１７０グラム）以下の重量を備える、障壁と、少なくとも約８本の針の容量を備える、針受器と、約０．５インチ（１２．５ｍｍ）以下の全体的厚さと、約５インチ（１２７ｍｍ）以下の長さと、線形アレイにおいて少なくとも約８本の針を受容および格納するための約４インチ（１０１．６ｍｍ）以下の幅とを備えてもよい。
【０３２９】
本明細書に開示される装置、方法、および針受器では、針受器は、順序付けられたアレイの中で複数の縫合針を受容するように定寸される伸長断面を有する、チャネルと、持針器を受容し、順序付けられたアレイの複数の針の間に留置するためにチャネルに沿って複数のうちの縫合針を前進させるようにチャネルの中に延在する、スロットとを備えてもよい。
【０３３０】
本明細書に開示される装置、方法、および針受器はさらに、針刺しを阻止する障壁と、手、橈側前腕、もしくは掌側前腕のうちの１つまたはそれを上回るものにわたって縫合パックもしくは針受器のうちの１つまたはそれを上回るものを安定して支持するように構成される表面とを伴って構成される、滅菌手術衣、滅菌手袋、もしくは滅菌カバーのうちの１つまたはそれを上回るものを備えてもよい。
【０３３１】
本明細書に開示される装置、方法、および針受器では、滅菌カバーもしくは滅菌ドレープのうちの１つまたはそれを上回るものは、針刺しを阻止する障壁と、縫合パックもしくは針受器のうちの１つまたはそれを上回るものを安定して支持するように構成される表面とを伴って構成されてもよい。
【０３３２】
本明細書に開示される装置、方法、および針受器は、近傍手術野の中および外への複数の縫合針の通過を可能にし、それによって、外科医と外科助手との間の個々の縫合針の手渡しを排除してもよい。
【０３３３】
本明細書に開示される装置、方法、および針受器は、近傍手術野の中および外への複数の収納される針の通過を可能にし、それによって、外科医と外科助手との間の個々の縫合針の手渡しを排除してもよい。
【０３３４】
本明細書に開示される装置、方法、および針受器は、近傍手術野の中および外への複数の非侵害性針の通過を可能にし、それによって、外科医と外科助手との間の個々の縫合針の手渡しを排除してもよい。
【０３３５】
本明細書に開示される装置、方法、および針受器は、近傍手術野の中および外への複数の使用済み針の通過を可能にし、それによって、外科医と外科助手との間の個々の縫合針の手渡しを排除してもよい。
【０３３６】
本明細書に開示される装置、方法、および針受器は、外科医によって近傍手術野から縫合針を分配するステップを含んでもよい。
【０３３７】
本明細書に開示される装置、方法、および針受器は、近傍手術野内で１つまたはそれを上回る縫合針パッケージを搭載するための手段を備えてもよい。
【０３３８】
本明細書に開示される装置、方法、および針受器は、外科医の腕の上に搭載される針抵抗障壁を備えてもよい。針抵抗障壁は、１つまたはそれを上回る縫合針パッケージのための搭載表面を提供するように構成されてもよい。
【０３３９】
本明細書に開示される装置、方法、および針受器では、針抵抗障壁は、軽量材料を含んでもよく、外科医の腕、手首、もしくは手のうちの１つまたはそれを上回るものに共形化するように構成されてもよい。
【０３４０】
本明細書に開示される装置、方法、および針受器では、針抵抗障壁は、可撓性ウェブと統合された薄い穿刺抵抗材料を含んでもよい。
【０３４１】
本明細書に開示される装置、方法、および針受器では、針抵抗障壁は、ある範囲の前腕サイズに適応するために調節するように構成されてもよい。
【０３４２】
本明細書に開示される装置、方法、および針受器では、針抵抗障壁は、可撓性ウェブによって接続される複数の双安定ばねを備えてもよい。
【０３４３】
本明細書に開示される装置、方法、および針受器では、針抵抗障壁は、可鍛性金属材料の屈曲を制御するように、１つまたはそれを上回る溝を有する、可鍛性金属材料を含んでもよい。
【０３４４】
本明細書に開示される装置、方法、および針受器では、針抵抗障壁は、１つまたはそれを上回るヒンジを有する、プラスチック材料を含んでもよい。
【０３４５】
本明細書に開示される装置、方法、および針受器では、針抵抗障壁は、片手で迅速に着脱されるように構成されてもよい。
【０３４６】
本明細書に開示される装置、方法、および針受器では、針抵抗障壁は、圧縮力を調節するように複数の積み重ねられた双安定ばねを備えてもよい。
【０３４７】
本明細書に開示される装置、方法、および針受器では、針抵抗障壁は、前腕もしくは手首のうちの１つまたはそれを上回るもの背側上にモジュール式搭載表面を提供するように構成されてもよい。モジュール式搭載表面は、１つまたはそれを上回る手術道具もしくは材料を支持するように構成されてもよい。
【０３４８】
本明細書に開示される装置、方法、および針受器では、縫合針パッケージは、外科医の腕、手首、または手の甲のうちの１つまたはそれを上回るもの上に搭載するように構成されてもよい。
【０３４９】
本明細書に開示される装置、方法、および針受器では、縫合針パッケージは、針受器上に搭載するように構成されてもよい。
【０３５０】
本明細書に開示される装置、方法、および針受器では、針抵抗障壁は、前腕もしくは手首のうちの１つまたはそれを上回るもの掌側に保護を提供するように構成されてもよい。
【０３５１】
本明細書に開示される装置、方法、および針受器では、針受器は、手術用ドレープに結合するように構成されてもよい。
【０３５２】
本明細書に開示される装置、方法、および針受器では、針受器は、外科医の前腕上に搭載される針抵抗障壁に結合するように構成されてもよい。
【０３５３】
本明細書に開示される装置、方法、および針受器では、針受器は、片手で針抵抗障壁を取り付けて、かつ取り外すように構成されてもよい。
【０３５４】
本明細書に開示される装置、方法、および針受器では、針受器は、手術道具に取り付けられるように構成されてもよい。
【０３５５】
本明細書に開示される装置、方法、および針受器では、針受器は、手術道具に取り付けられるように構成されてもよく、針受器は、手術道具の種々のハンドル幅および厚さに適応するように構成されてもよい。
【０３５６】
本明細書に開示される装置、方法、および針受器では、針受器は、手術用衣服の中に統合された針抵抗障壁に結合するように構成されてもよい。
【０３５７】
本明細書に開示される装置、方法、および針受器では、針受器は、手術衣、手術衣の袖、または拡張手袋の中に統合された針抵抗障壁に結合するように構成されてもよい。
【０３５８】
本明細書に開示される装置、方法、および針受器では、針受器は、カプセル化もしくは被覆のうちの１つまたはそれを上回るものによって複数の使用済みの縫合針の前端および終端の両方からの保護を提供するように構成されてもよい。
【０３５９】
本明細書に開示される装置、方法、および針受器では、針受器は、意図しない除去もしくは抜去のうちの１つまたはそれを上回るものを阻止するように構成されてもよい。
【０３６０】
本明細書に開示される装置、方法、および針受器では、針受器は、最小限の手と目の精度で針が挿入されることを可能にすることによって、針受器の中への針挿入を促進するように構成されてもよい。
【０３６１】
本明細書に開示される装置、方法、および針受器では、針受器は、粗大運動移動で針が挿入されることを可能にすることによって、針受器の中への針挿入を促進するように構成されてもよい。
【０３６２】
本明細書に開示される装置、方法、および針受器では、針受器は、肩および肘関節の関節運動または回転のみで針が挿入されることを可能にすることによって、針受器の中への針挿入を促進するように構成されてもよい。
【０３６３】
本明細書に開示される装置、方法、および針受器では、針受器は、手技中および手技後に針を計数するための手段を備えてもよい。
【０３６４】
本明細書に開示される装置、方法、および針受器では、針受器は、手技中および手技後に針を照合させるための手段を備えてもよい。
【０３６５】
本明細書に開示される方法では、第１の縫合パックからの第１の針のセットは、第２の縫合パックが近傍手術野に進入する前に照合されてもよい。
【０３６６】
本明細書に開示される装置、方法、および針受器では、針受器は、薄型かつ軽量である。
【０３６７】
本明細書に開示される装置、方法、および針受器では、針受器は、種々の位置において持針器の中で保持される針を受容するように構成されてもよい。
【０３６８】
本明細書に開示される装置、方法、および針受器では、針受器は、持針器を磁化することを阻止するように構成されてもよい。
【０３６９】
本明細書に開示される装置、方法、および針受器では、針受器は、少なくとも約５本の針を受容するように構成されてもよい。
【０３７０】
本明細書に開示される装置、方法、および針受器はさらに、近傍手術野内に配置されたカッタを使用して、外科医によって縫合糸を切断するステップを含んでもよい。
【０３７１】
本明細書に開示される装置、方法、および針受器では、カッタは、外科医の指上に搭載されてもよい。
【０３７２】
本明細書に開示される装置、方法、および針受器では、カッタは、針抵抗障壁上に搭載されてもよい。
【０３７３】
本明細書に開示される装置、方法、および針受器では、カッタは、巻き取りスプールを伴うケーブル上に格納式鋏を備えてもよい。
【０３７４】
本明細書に開示される装置、方法、および針受器では、カッタは、統合および嵌め込まれたブレードを備えてもよい。
【０３７５】
本明細書に開示される装置、方法、および針受器では、カッタは、手術道具上に搭載されてもよい。
【０３７６】
本明細書に開示される装置、方法、および針受器では、カッタは、針受器と統合されてもよい。
【０３７７】
本明細書に開示される装置、方法、および針受器では、カッタは、外科医の手袋への意図しない損傷を防止するように構成されてもよい。
【０３７８】
本明細書に開示される装置、方法、および針受器では、針受器は、針ホルダを保持する手が若干回内されると、使用済み針の容易な挿入を可能にするために掌側前腕にわたって配列されてもよい。針は、針受器の開口部の中に使用済み針を整合および留置するために、肩関節回転に伴う持針器を保持する腕の回転で針受器内に留置されてもよい。針は、先端および末端を有する湾曲針を備えてもよく、長さは、先端と末端との間の直線距離として画定されてもよい。
【０３７９】
障壁の多くの実施形態では、湾曲シェルは、前腕の掌側表面の形状に共形化する。
【０３８０】
障壁の多くの実施形態では、縦軸を中心として湾曲を伴って延在する湾曲シェルの湾曲は、前腕の掌側表面の形状に共形化する。
【０３８１】
障壁の多くの実施形態では、予形成された成形障壁は、前腕の掌側表面の形状に共形化する。
【０３８２】
障壁の多くの実施形態では、予形成された成形障壁は、背側縁に沿って直線である。
【０３８３】
障壁の多くの実施形態では、湾曲シェルは、背側縁に沿って直線である。
【０３８４】
本開示の側面は、針受器を提供してもよい。例示的針受器は、下構造と、下構造の上方の上構造とを備え、上構造と下構造との間に針スロットを画定してもよい。針スロットは、針を収納するための収納ゾーンを備えてもよい。上構造は、上構造の一部を通して延在する変形可能持針器細隙を画定するように配列される第１の縁および第２の縁を備えてもよく、細隙は、持針器を受容するために変形する。
【０３８５】
別の例示的針受器は、幅および厚さを有する、断面を有する筐体と、筐体の断面内に使用済みの縫合針を格納するための針スロットと、上構造の一部を通して延在する、変形可能持針器スロットとを備えてもよい。
【０３８６】
別の例示的針受器は、手術用縫合針を受容するためのものであってもよく、針は、先端と、終端と、先端と終端との間に延在する針本体とを有する。針受器は、筐体と、少なくとも１つの開口部と、収納ゾーンと、変形可能持針器針細隙とを備えてもよい。筐体は、上部と、底部とを有してもよい。上部と底部との間の少なくとも１つの開口部は、それを通して手術用針を受容するように構成および定寸されてもよい。筐体内の収納ゾーンは、針先端が収納される配向で手術用針を保持するように構成されてもよい。収納ゾーンは、開口部と連通してもよい。変形可能持針器細隙は、筐体の上を通して、収納ゾーン内に延在してもよい。
【０３８７】
多くの実施形態では、第１の縁は、第１の縁から分離し、持針器を受容する。
【０３８８】
多くの実施形態では、変形可能持針器細隙は、第１の縁と、第１の縁と対向する第２の縁とを含む。
【０３８９】
多くの実施形態では、第１の縁および第２の縁は、それらの間に延在する持針器を伴わずに、非変形独立状態で、相互に接触する。
【０３９０】
多くの実施形態では、第１の縁および第２の縁は、非変形状態で、相互から離間され、間隙が、第１の縁と第２の縁との間に画定される。
【０３９１】
いくつかの実施形態では、間隙は、１ｍｍ未満である。
【０３９２】
いくつかの実施形態では、間隙は、２ｍｍ未満である。
【０３９３】
いくつかの実施形態では、間隙は、０．５ｍｍ未満である。
【０３９４】
いくつかの実施形態では、上構造は、堅性部分と、変形可能部分とを備え、変形可能部分は、持針器細隙に近接し、かつそれを含む。
【０３９５】
いくつかの実施形態では、上構造は、変形可能である。
【０３９６】
いくつかの実施形態では、下構造は、変形可能である。
【０３９７】
いくつかの実施形態では、上構造および下構造は両方とも、変形可能である。
【０３９８】
いくつかの実施形態では、下構造は、降着ゾーンを備え、上構造および下構造は、進入ゾーンと、第２のゾーンとを画定し、進入ゾーンは、降着ゾーンと収納ゾーンとの間に位置し、細隙の分離は、持針器が細隙に沿って前進すると、持針器に近接して増加する。
【０３９９】
本明細書に開示される装置、方法、および針受器の多くの実施形態では、針本体の一部は、持針器スロットを通して可視である。
【０４００】
本明細書に開示される装置、方法、および針受器の多くの実施形態では、針本体の中央本体部分は、持針器スロットを通して可視である。
【０４０１】
本明細書に開示される装置、方法、および針受器の多くの実施形態では、針本体の一部は、上構造内の持針器スロットを通して可視である。
【０４０２】
本明細書に開示される装置、方法、および針受器の多くの実施形態では、針本体の中央本体部分は、上構造内の持針器スロットを通して可視である持針器スロットを通して可視である。
【０４０３】
本明細書に開示される装置、方法、および針受器の多くの実施形態では、針本体の一部は、下構造内の持針器スロットを通して可視である。
【０４０４】
本明細書に開示される装置、方法、および針受器の多くの実施形態では、針本体の中央本体部分は、下構造内の持針器スロットを通して可視である持針器スロットを通して可視である。
【０４０５】
本明細書に開示される装置、方法、および針受器の多くの実施形態では、針本体の一部は、下構造内の持針器スロットおよび上構造内の持針器スロットの両方を通して可視である。
【０４０６】
本明細書に開示される装置、方法、および針受器の多くの実施形態では、針本体の中央本体部分は、下構造内の持針器スロットおよび上構造内の持針器スロットの両方を通して可視である、持針器スロットを通して可視である。
【０４０７】
本明細書に開示される装置、方法、および針受器の多くの実施形態では、下構造は、それを通して非均一光伝送を提供する。
【０４０８】
本明細書に開示される装置、方法、および針受器の多くの実施形態では、下構造は、半透明材料を含んむ。
【０４０９】
本明細書に開示される装置、方法、および針受器の多くの実施形態では、下構造は、半透明材料、拡散材料、粗面材料、および光散乱粒子から成る群から選択される、光散乱材料を含む。
【０４１０】
本明細書に開示される装置、方法、および針受器の多くの実施形態では、下構造は、半不透明である。
【０４１１】
本明細書に開示される装置、方法、および針受器の多くの実施形態では、下構造は、不透明である。
【０４１２】
多くの実施形態では、本明細書に開示される装置、方法、および針受器は、非均一に光を伝送するように構成されてもよい。
【０４１３】
多くの実施形態では、本明細書に開示される装置、方法、および針受器は、非均一に背面照明を伝送するように構成されてもよい。
【０４１４】
多くの実施形態では、本明細書に開示される装置、方法、および針受器は、縫合針のより均一な背面照明を提供するために、背面照明からの光を拡散させるように構成されてもよい。
【０４１５】
本明細書に開示される装置、方法、および針受器の多くの実施形態では、下構造は、染色される。
【０４１６】
本明細書に開示される装置、方法、および針受器の多くの実施形態では、下構造は、着色される。
【０４１７】
本明細書に開示される装置、方法、および針受器の多くの実施形態では、下構造は、それを通した非均一光伝送のための粗面化された表面を提供する。
【０４１８】
多くの実施形態では、本明細書に開示される装置、方法、および針受器はさらに、持針器スロットの縁から持針器スロットの中に、またはそれに沿って延在する、フラップを備えてもよい。
【０４１９】
多くの実施形態では、本明細書に開示される装置、方法、および針受器はさらに、持針器スロットの縁から持針器スロットの中に、またはそれに沿って延在する、フラップを備えてもよい。
【０４２０】
本明細書に開示される装置、方法、および針受器の多くの実施形態では、フラップは、変形可能である。
【０４２１】
本明細書に開示される装置、方法、および針受器の多くの実施形態では、持針器スロットは、第１の縁と、第１の縁と対向する第２の縁とを含み、フラップは、第１および第２の縁のうちの１つから延在する。
【０４２２】
本明細書に開示される装置、方法、および針受器の多くの実施形態では、持針器スロットは、第１の縁と、第１の縁と対向する第２の縁とを含み、フラップは、第１の縁および第２の縁の両方から延在する。
【０４２３】
多くの実施形態では、本明細書に開示される装置、方法、および針受器はさらに、持針器スロットの縁から持針器細隙の中に延在するフラップを備えてもよい。
【０４２４】
本明細書に開示される装置、方法、および針受器の多くの実施形態では、フラップは、変形可能である。
【０４２５】
本明細書に開示される装置、方法、および針受器の多くの実施形態では、持針器細隙は、第１の縁と、第１の縁と対向する第２の縁とを含み、フラップは、第１および第２の縁のうちの１つから延在する。
【０４２６】
本明細書に開示される装置、方法、および針受器の多くの実施形態では、持針器細隙は、第１の縁と、第１の縁と対向する第２の縁とを含み、フラップは、第１の縁および第２の縁の両方から延在する。
【０４２７】
多くの実施形態では、本明細書に開示される装置、方法、および針受器はさらに、持針器細隙の縁から持針器細隙の中に延在するフラップを備えてもよい。
【０４２８】
多くの実施形態では、本明細書に開示される装置、方法、および針受器はさらに、持針器スロットの縁から持針器スロットの中に延在する突出部を備えてもよい。
【０４２９】
本明細書に開示される装置、方法、および針受器の多くの実施形態では、持針器スロットは、第１の縁と、第１の縁と対向する第２の縁とを含み、突出部は、第１および第２の縁のうちの１つから延在する。
【０４３０】
本明細書に開示される装置、方法、および針受器の多くの実施形態では、持針器スロットは、第１の縁と、第１の縁と対向する第２の縁とを含み、突出部は、第１の縁および第２の縁の両方から延在する。
【０４３１】
多くの実施形態では、本明細書に開示される装置、方法、および針受器はさらに、持針器スロットの縁から持針器細隙の中に延在する、フラップを備えてもよい。
【０４３２】
本明細書に開示される装置、方法、および針受器の多くの実施形態では、持針器細隙は、第１の縁と、第１の縁と対向する第２の縁とを含み、突出部が、第１および第２の縁のうちの１つから延在する。
【０４３３】
本明細書に開示される装置、方法、および針受器の多くの実施形態では、持針器細隙は、第１の縁と、第１の縁と対向する第２の縁とを含み、突出部が、第１の縁および第２の縁の両方から延在する。
【０４３４】
多くの実施形態では、本明細書に開示される装置、方法、および針受器はさらに、持針器細隙の縁から持針器スロットの中に延在する突出部を備えてもよい。
【０４３５】
本明細書に開示される装置、方法、および針受器の多くの実施形態では、持針器スロットに沿った持針器の抵抗は、針が持針器とともにスロットに沿って前進されるときの針スロットに沿った針の抵抗未満である。
【０４３６】
本明細書に開示される装置、方法、および針受器の多くの実施形態では、持針器に対する針受器の抵抗は、針に対する針受器の抵抗未満である。
【０４３７】
本明細書に開示される装置、方法、および針受器の多くの実施形態では、持針器の移動に対して持針器スロットによって付与される力は、針の移動に対して針スロットによって付与される力未満である。
【０４３８】
本明細書に開示される装置、方法、および針受器の多くの実施形態では、持針器の移動に対して針受器によって付与される力は、針の移動に対して針受器によって付与される力未満である。
【０４３９】
本明細書に開示される装置、方法、および針受器の多くの実施形態では、持針器スロットまたは細隙と持針器との間の摩擦力は、針スロットと針との間の摩擦力未満である。
【０４４０】
本明細書に開示される装置、方法、および針受器の多くの実施形態では、針受器と持針器との間の摩擦力は、針受器と針との間の摩擦力未満である。
【０４４１】
本明細書に開示される装置、方法、および針受器の多くの実施形態では、持針器スロットの幅は、持針器スロットの長さに沿って変動する。
【０４４２】
本明細書に開示される装置、方法、および針受器の多くの実施形態では、持針器スロットは、第１の縁と、第１の縁と対向する第２の縁とを含み、第１の縁および第２の縁は、幅によって分離され、幅は、持針器スロットの長さに沿って変動する。
【０４４３】
本明細書に開示される装置、方法、および針受器の多くの実施形態では、持針器スロットは、第１の縁と、第１の縁に近接する第２の縁とを含み、第１の縁および第２の縁は、幅によって分離され、幅は、持針器スロットの長さに沿って変動する。
【０４４４】
本明細書に開示される装置、方法、および針受器の多くの実施形態では、持針器スロットは、持針器スロットの長さに沿って第１の端部と、第２の端部とを有し、第１の端部における持針器スロットの幅は、第２の端部における持針器スロットの幅を上回る。
【０４４５】
本明細書に開示される装置、方法、および針受器の多くの実施形態では、第１の端部は、閉鎖され、第２の端部は、それを通して持針器を受容するために開放される。
【０４４６】
本明細書に開示される装置、方法、および針受器の多くの実施形態では、持針器スロットは、持針器スロットの長さに沿って第１の端部と、第２の端部とを有し、第２の端部における持針器スロットの幅は、第１の端部における持針器スロットの幅を上回る。
【０４４７】
本明細書に開示される装置、方法、および針受器の多くの実施形態では、持針器スロットの第１の端部は、閉鎖され、持針器スロットの第２の端部は、それを通して持針器を受容するために開放される。
【０４４８】
本明細書に開示される装置、方法、および針受器の多くの実施形態では、持針器スロットの第１の端部は、収納ゾーンに近接し、持針器スロットの第２の端部は、遷移ゾーンに近接する。
【０４４９】
本明細書に開示される装置、方法、および針受器の多くの実施形態では、持針器スロットの第１の端部は、持針器スロットの第２の端部より進入ゾーンから距離がある。
【０４５０】
多くの実施形態では、本明細書に開示される方法、装置、針受器、キット、および障壁はさらに、複数のゾーンの中への局在化を促進するために持針器スロットまたは針スロットに沿って２〜２０の触覚バンプを備えてもよい。触覚バンプは、持針器スロットに沿って移動する持針器または針スロットに沿って移動する針に係合するように定寸されてもよい。複数の触覚バンプはそれぞれ、留置されると、複数の針の集群を減少させるために、隣接するゾーン間に境界を画定してもよい。
【０４５１】
多くの実施形態では、本明細書に開示される方法、装置、針受器、キット、および障壁はさらに、個々のゾーンの中への局在化を促進するために持針器スロットまたは針スロットに沿って５〜８つの触覚バンプを備えてもよい。
【０４５２】
多くの実施形態では、本明細書に開示される方法、装置、針受器、キット、および障壁はさらに、個々のゾーンの中への局在化を促進するために５つの触覚バンプを備えてもよい。
【０４５３】
多くの実施形態では、本明細書に開示される方法、装置、針受器、キット、および障壁はさらに、個々のゾーンの中への局在化を促進するために３〜８つの触覚バンプを備えてもよい。
【０４５４】
多くの実施形態では、本明細書に開示される方法、装置、針受器、キット、および障壁はさらに、個々のゾーンの中への局在化を促進するために３〜６つの触覚バンプを備えてもよい。
【０４５５】
本明細書に開示される方法、装置、針受器、キット、および障壁の多くの実施形態では、触覚バンプは、対の触覚バンプである。
【０４５６】
本明細書に開示される方法、装置、針受器、キット、および障壁の多くの実施形態では、触覚バンプは、針受器の長さに沿って配列される。
【０４５７】
本明細書に開示される方法、装置、針受器、キット、および障壁の多くの実施形態では、触覚バンプは、持針器スロットまたは持針器細隙の長さに沿って配列される。
【０４５８】
本明細書に開示される方法、装置、針受器、キット、および障壁の多くの実施形態では、触覚バンプは、針スロットの長さに沿って配列される。
【０４５９】
本明細書に開示される方法、装置、針受器、キット、および障壁の多くの実施形態では、触覚バンプは、長さに沿って相互から第１の距離に配列される。第１の触覚バンプまたは複数のバンプは、針スロットへの入口から第２の距離にあってもよく、第２の距離は、第１の距離を上回る。
【０４６０】
本明細書に開示される方法、装置、針受器、キット、および障壁の多くの実施形態では、針受器は、障壁搭載基部上に搭載されるように構成され、障壁搭載基部は、障壁上に搭載されるように構成される。本装置、方法、または針受器はさらに、障壁搭載基部に搭載される縫合パックを備えてもよい。本装置、方法、または針受器はさらに、針受器に搭載される縫合パックを備えてもよい。本装置、方法、または針受器はさらに、針受器および障壁搭載基部に搭載される縫合パックを備えてもよい。
【０４６１】
本明細書に開示される装置、方法、または針受器の多くの実施形態では、縫合パックは、障壁搭載基部に搭載され、障壁搭載基部は、障壁に搭載される。
【０４６２】
多くの実施形態では、本明細書に開示される装置、方法、または針受器はさらに、障壁搭載基部に搭載される針受器を備えてもよい。
【０４６３】
多くの実施形態では、本明細書に開示される装置、方法、または針受器はさらに、縫合パックに搭載される針受器を備えてもよい。
【０４６４】
多くの実施形態では、本明細書に開示される装置、方法、または針受器はさらに、縫合パックおよび障壁搭載基部に搭載される針受器を備えてもよい。
【０４６５】
多くの実施形態では、針受器と搭載基部の接着力は、搭載基部と障壁の接着力を上回る。
【０４６６】
多くの実施形態では、搭載基部と障壁の接着力は、障壁からの搭載基部の手動除去を可能にするために十分に弱い。
【０４６７】
多くの実施形態では、針受器と搭載基部の接着力は、搭載基部からの針受器の除去を可能にするために十分に弱い。
【０４６８】
多くの実施形態では、縫合パックと搭載基部の接着力は、搭載基部と障壁の接着力を上回る。
【０４６９】
多くの実施形態では、縫合パックと針受器の接着力は、搭載基部と障壁の接着力を上回る。
【０４７０】
本開示の側面は、針の先端が針の平行移動の方向から離れて指向される状態で、針を針受器に対して配向するステップと、針受器の進入ゾーンへの平行移動の方向において、針受器の収納ゾーンの中に針を移動させるステップとを含む、方法を提供してもよい。
【０４７１】
本開示の側面は、針受器の中に針を挿入する方法を提供してもよい。本方法は、針を前腕に結合される針受器の進入ゾーンに留置するステップと、平行移動の方向に針受器に沿って針を移動させ、針を針受器の筐体内に収納するステップとを含んでもよい。針は、針の先端が針受器の中への針の平行移動の方向から離れて指向される状態で、針受器に対して配向されてもよい。
【０４７２】
本開示の側面は、外科医による縫合針の収納のための方法を提供してもよい。本方法は、針の先端が針の平行移動の方向から離れて指向される状態で、縫合針を針受器に対して配向するステップと、針を平行移動の方向に移動させることによって、持針器で針受器の開口部の中に縫合針を挿入するステップと、針受器の内側で縫合針を収納するステップと、持針器から縫合針を解放するステップとを含んでもよい。
【０４７３】
多くの実施形態では、針の本体は、針先端を平行移動の方向に導く。
【０４７４】
多くの実施形態では、針受器は、針先端が針本体を平行移動の方向に導くとき、針スロットの中への針の平行移動を阻止する。
【０４７５】
多くの実施形態では、針を針スロット内で平行移動させるための平行移動力は、本体が先端を導いて針を平行移動させるときと比較して、先端が本体を導いて針を平行移動させるときに２倍となる。
【０４７６】
多くの実施形態では、針を針スロット内で平行移動させるための平行移動力は、本体が先端を導いて針を平行移動させるときと比較して、先端が本体を導いて針を平行移動させるときにより大きくなる。
【０４７７】
多くの実施形態では、針を針スロット内で平行移動させるための平行移動力は、本体が先端を導いて針を平行移動させるときと比較して、先端が本体を導いて針を平行移動させるときにより大きくなる。
【０４７８】
多くの実施形態では、平行移動の方向は、針受器の進入ゾーンと針受器の収納ゾーンとの間に延在する。
【０４７９】
多くの実施形態では、平行移動の方向は、針受器の縦軸に沿ってある。
【０４８０】
多くの実施形態では、平行移動の方向は、持針器スロットの長さに沿ってある。
【０４８１】
多くの実施形態では、平行移動の方向は、持針器細隙の長さに沿ってある。
【０４８２】
多くの実施形態では、平行移動の方向は、ユーザの前腕の長さに沿ってある。
【０４８３】
多くの実施形態では、平行移動の方向は、ユーザの腕の手首と肘との間に延在する。
【０４８４】
多くの実施形態では、平行移動の方向は、持針器スロットまたは細隙の長さと平行である。
【０４８５】
多くの実施形態では、平行移動の方向は、ユーザの肘に向かう方向にユーザの手首に近接して開始する。
【０４８６】
多くの実施形態では、平行移動の方向は、収納ゾーンに向かってある。
【０４８７】
多くの実施形態では、平行移動の方向は、持針器スロットまたは細隙の閉鎖端に向かってある。
【０４８８】
多くの実施形態では、平行移動の方向は、持針器スロットまたは細隙の近位端に向かってある。
【０４８９】
多くの実施形態では、平行移動の方向は、降着ゾーンから離れてある。
【０４９０】
多くの実施形態では、平行移動の方向は、進入ゾーンから離れてある。
【０４９１】
多くの実施形態では、平行移動の方向は、遷移ゾーンから離れてある。
【０４９２】
本開示の側面は、針受器を提供する。例示的針受器は、可撓性上構造と、可撓性下構造と、持針器受容スロットとを備えてもよい。可撓性上構造および可撓性下構造は、相互に結合され、針スロットを画定し、針を受容してもよい。持針器受容スロットは、上可撓性シート材料の周縁から延在する可撓性上構造を通して形成されてもよい。
【０４９３】
別の例示的針受器は、シート材料と、針スロットと、持針器とを備えてもよい。シート材料は、第１の端部と第２の端部との間に延在してもよく、折目において折重され、上構造および下構造を形成してもよく、上構造および下構造は、狭小外形構成において略平行平面表面を有する。略平行平面表面は、相互に約１０度以内に延在することができ、相互に約５度の平行以内に延在することができる。針スロットは、上構造と下構造との間に画定されてもよい。持針器受容スロットは、上構造を通して形成され、第１の端部から折目に向かって延在してもよい。
【０４９４】
別の例示的針受器は、上構造を形成する第１の可撓性シート材料と、下構造を形成する第２の可撓性シート材料と、第１の可撓性シート材料を通して形成され、第１の可撓性シート材料の周縁から延在する、スロットとを備えてもよい。第１の可撓性シート材料および第２の可撓性シート材料は、その個別の周縁において相互に結合されてもよい。
【０４９５】
多くの実施形態では、針受器は、剛性構造に搭載される。
【０４９６】
多くの実施形態では、上構造および下構造は、針先端に印加される少なくとも１ポンド力を伴う針の鋭利先端で穿刺に抵抗するために十分な強度を備える。針は、テーパ状縫合針および切断式縫合針から成る群から選択されてもよい。力は、少なくとも２ポンド、少なくとも３ポンド、および少なくとも４ポンドから成る群から選択されてもよい。
【０４９７】
多くの実施形態では、上構造および下構造は、針の先端に印加される少なくとも０．３ポンド力を伴う針の鋭利先端で穿刺に抵抗するために十分な強度を備える。針は、Ｕｎｉｔｅｄ  Ｓｔａｔｅｓ  Ｓｕｒｇｉｃａｌ  Ｃｏｒｐｏｒａｔｉｏｎ  ＧＳ−２１針を備えてもよい。
【０４９８】
多くの実施形態では、上構造および下構造は、針の先端に印加される少なくとも０．３ポンド力を伴う針の鋭利先端で穿刺に抵抗するために十分な強度を備える。針は、Ｕｎｉｔｅｄ  Ｓｔａｔｅｓ  Ｓｕｒｇｉｃａｌ  Ｃｏｒｐｏｒａｔｉｏｎ  ＣＶ−２３針を備えてもよい。
【０４９９】
多くの実施形態では、上構造および下構造は、針の先端に印加される少なくとも０．３ポンド力を伴う針の鋭利先端で穿刺に抵抗するために十分な強度を備える。針は、Ｕｎｉｔｅｄ  Ｓｔａｔｅｓ  Ｓｕｒｇｉｃａｌ  Ｃｏｒｐｏｒａｔｉｏｎ細型半円形針を備えてもよい。
【０５００】
多くの実施形態では、上構造および下構造は、針の先端に印加される少なくとも０．３ポンド力を伴う針の鋭利先端で穿刺に抵抗するために十分な強度を備え、針は、Ｕｎｉｔｅｄ  Ｓｔａｔｅｓ  Ｓｕｒｇｉｃａｌ  Ｃｏｒｐｏｒａｔｉｏｎ中型半円形針を備えてもよい。
【０５０１】
多くの実施形態では、上構造および下構造は、針の先端に印加される少なくとも０．５ポンド力を伴う針の鋭利先端で穿刺に抵抗するために十分な強度を備える。針は、Ｕｎｉｔｅｄ  Ｓｔａｔｅｓ  Ｓｕｒｇｉｃａｌ  Ｃｏｒｐｏｒａｔｉｏｎ  ＧＳ−２１針を備えてもよい。
【０５０２】
多くの実施形態では、上構造および下構造は、針の先端に印加される少なくとも０．５ポンド力を伴う針の鋭利先端で穿刺に抵抗するために十分な強度を備える。針は、Ｕｎｉｔｅｄ  Ｓｔａｔｅｓ  Ｓｕｒｇｉｃａｌ  Ｃｏｒｐｏｒａｔｉｏｎ  ＣＶ−２３針を備えてもよい。
【０５０３】
多くの実施形態では、上構造および下構造は、針の先端に印加される少なくとも０．５ポンド力を伴う針の鋭利先端で穿刺に抵抗するために十分な強度を備える。針は、Ｕｎｉｔｅｄ  Ｓｔａｔｅｓ  Ｓｕｒｇｉｃａｌ  Ｃｏｒｐｏｒａｔｉｏｎ細型半円形針を備えてもよい。
【０５０４】
多くの実施形態では、上構造および下構造は、針の先端に印加される少なくとも１ポンド力を伴う針の鋭利先端で穿刺に抵抗するために十分な強度を備える。針は、Ｕｎｉｔｅｄ  Ｓｔａｔｅｓ  Ｓｕｒｇｉｃａｌ  Ｃｏｒｐｏｒａｔｉｏｎ中型半円形針を備えてもよい。
【０５０５】
多くの実施形態では、上構造および下構造は、針の先端に印加される少なくとも１ポンド力を伴う針の鋭利先端で穿刺に抵抗するために十分な強度を備える。針は、Ｕｎｉｔｅｄ  Ｓｔａｔｅｓ  Ｓｕｒｇｉｃａｌ  Ｃｏｒｐｏｒａｔｉｏｎ  ＧＳ−２１針を備えてもよい。
【０５０６】
多くの実施形態では、上構造および下構造は、針の先端に印加される少なくとも１ポンド力を伴う針の鋭利先端で穿刺に抵抗するために十分な強度を備える。針は、Ｕｎｉｔｅｄ  Ｓｔａｔｅｓ  Ｓｕｒｇｉｃａｌ  Ｃｏｒｐｏｒａｔｉｏｎ  ＣＶ−２３針を備えてもよい。
【０５０７】
多くの実施形態では、上構造および下構造は、針の先端に印加される少なくとも１ポンド力を伴う針の鋭利先端で穿刺に抵抗するために十分な強度を備える。針は、Ｕｎｉｔｅｄ  Ｓｔａｔｅｓ  Ｓｕｒｇｉｃａｌ  Ｃｏｒｐｏｒａｔｉｏｎ細型半円形針を備えてもよい。
【０５０８】
多くの実施形態では、上構造および下構造は、針の先端に印加される少なくとも１ポンド力を伴う針の鋭利先端で穿刺に抵抗するために十分な強度を備える。針は、Ｕｎｉｔｅｄ  Ｓｔａｔｅｓ  Ｓｕｒｇｉｃａｌ  Ｃｏｒｐｏｒａｔｉｏｎ中型半円形針を備えてもよい。
【０５０９】
多くの実施形態では、上構造および下構造は、針の先端に印加される少なくとも３ポンド力を伴う針の鋭利先端で穿刺に抵抗するために十分な強度を備える。針は、Ｕｎｉｔｅｄ  Ｓｔａｔｅｓ  Ｓｕｒｇｉｃａｌ  Ｃｏｒｐｏｒａｔｉｏｎ  ＧＳ−２１針を備えてもよい。
【０５１０】
多くの実施形態では、上構造および下構造は、針の先端に印加される少なくとも３ポンド力を伴う針の鋭利先端で穿刺に抵抗するために十分な強度を備える。針は、Ｕｎｉｔｅｄ  Ｓｔａｔｅｓ  Ｓｕｒｇｉｃａｌ  Ｃｏｒｐｏｒａｔｉｏｎ  ＣＶ−２３針を備えてもよい。
【０５１１】
多くの実施形態では、上構造および下構造は、針の先端に印加される少なくとも３ポンド力を伴う針の鋭利先端で穿刺に抵抗するために十分な強度を備える。針は、Ｕｎｉｔｅｄ  Ｓｔａｔｅｓ  Ｓｕｒｇｉｃａｌ  Ｃｏｒｐｏｒａｔｉｏｎ細型半円形針を備えてもよい。
【０５１２】
多くの実施形態では、上構造および下構造は、針の先端に印加される少なくとも３ポンド力を伴う針の鋭利先端で穿刺に抵抗するために十分な強度を備える。針は、Ｕｎｉｔｅｄ  Ｓｔａｔｅｓ  Ｓｕｒｇｉｃａｌ  Ｃｏｒｐｏｒａｔｉｏｎ中型半円形針を備えてもよい。
【０５１３】
多くの実施形態では、上構造および下構造は、滅菌パッケージの内側への留置のための狭小外形構成における第１の距離から滅菌パッケージの外側の拡張外形構成における第２の距離に、上構造と下構造との間の針スロットの距離を増加させるためにともに撓曲するように構成され、第２の距離は、針を受容するために、第１の距離を上回る。
【０５１４】
いくつかの実施形態では、第１の構造は、狭小外形構成において第２の構造に接触する。
【０５１５】
いくつかの実施形態では、第１の構造は、狭小外形構成において第２の構造に接触する。
【０５１６】
いくつかの実施形態では、第１の構造および第２の構造は、第１の構造と第２の構造との間に針を保持するために十分な厚さを備える。
【０５１７】
いくつかの実施形態では、第１の構造および第２の構造は、第１の構造と第２の構造との間の収納ゾーン内に針を収納するるために十分な厚さを備える。
【０５１８】
いくつかの実施形態では、上構造および下構造は、狭小外形構成において実質的に平坦である。上構造および下構造は、拡張外形構成において湾曲されてもよい。
【０５１９】
いくつかの実施形態では、針受器は、長さ、幅、および高さを備え、長さは、幅を上回り、幅は、高さを上回る。狭小外形構成における厚さは、５ｍｍ以下、４ｍｍ以下、３ｍｍ以下、２ｍｍ以下、１ｍｍ以下、および０．５ｍｍ以下から成る群から選択されてもよい。第１の距離と第２の距離との間の差異は、３ｍｍ以下、２ｍｍ以下、１ｍｍ以下、および０．５ｍｍ以下から成る群から選択されてもよい。
【０５２０】
いくつかの実施形態では、上構造および下構造はそれぞれ、０．１ｍｍ〜２．５ｍｍ、０．２ｍｍ〜２ｍｍ、０．２５ｍｍ〜２ｍｍ、および０．５ｍｍ〜１ｍｍから成る群から選択される範囲内の厚さを備える。
【０５２１】
いくつかの実施形態では、針受器は、第１の側面と、第１の側面と対向する第２の側面とを備える。上構造は、第１の側面に沿った第１の結合領域および第２の側面に沿った第２の結合領域において下構造に接続されてもよい。針スロットは、第１の結合領域と第２の結合領域との間に延在してもよい。第１の結合領域と第２の結合領域との間の距離は、針スロットの幅を画定してもよい。
【０５２２】
いくつかの実施形態では、第１の表面は、針スロットの端部を画定する第３の結合領域に沿った第２の結合表面に接続される。
【０５２３】
いくつかの実施形態では、針受器は、第１の開放端と、第２の開放端と対向する第２の開放端とを備え、針スロットは、第１の開放端と第２の開放端との間に延在する。第１の構造および第２の構造は、第１の領域と第２の領域との間の針スロット内に針を収納するために十分な堅性を備えてもよい。
【０５２４】
いくつかの実施形態では、針受器はさらに、針受器を支持体に接着するための下構造の下面に沿った材料のストリップを備えてもよい。材料のストリップは、針スロットの長軸とともに長軸に沿って配向され、距離が第１の距離から第２の距離に増加すると、下構造が上構造とともに撓曲することを可能にしてもよい。
【０５２５】
本開示の側面は、滅菌キットを提供してもよい。例示的滅菌キットは、滅菌障壁を備える、滅菌パッケージと、複数の針と、針受器とを備えてもよい。複数の針は、針パッケージ内に含有されてもよい。複数の針のそれぞれの先端間距離は、針スロットの幅未満であってもよい。複数の針および針受器は、滅菌されており、滅菌キットの滅菌障壁内に含有されてもよい。
【０５２６】
多くの実施形態では、複数の針のそれぞれの先端間距離は、針スロットの幅の７５％〜１００％、針スロットの幅の８０％〜９９％、針スロットの幅の８５％〜９８％、および針スロットの幅の９０％〜９７％から成る群から選択される範囲内である。
【０５２７】
多くの実施形態では、複数の針のそれぞれの先端間距離は、拡張構成において針スロットの幅のあるパーセンテージ内であって、パーセンテージは、針スロットの第２の幅の７５％〜１００％、針スロットの第２の幅の８０％〜９９％、針スロットの第２の幅の８５％〜９８％、および針スロットの第２の幅の９０％〜９７％から成る群から選択される範囲内である。針スロットは、長さ、幅、および高さを備えてもよく、長さは、幅を上回り、幅は、高さを上回る。
【０５２８】
多くの実施形態では、上構造および下構造はそれぞれ、持針器を受容するための持針器スロットを備える。
【０５２９】
多くの実施形態では、上構造および下構造は、その個別の周縁において相互に接続される。
【０５３０】
多くの実施形態では、上構造および下構造は、その個別の周縁において相互に平行である。
【０５３１】
多くの実施形態では、上構造および下構造は、その個別の周縁において相互に接着される。
【０５３２】
多くの実施形態では、上構造は、針受器の収納ゾーンおよび遷移ゾーンの上部分を形成する。
【０５３３】
多くの実施形態では、下構造は、針受器の収納ゾーンおよび遷移ゾーンの下部分を形成する。
【０５３４】
多くの実施形態では、下構造は、針受器の降着ゾーンを形成する。
【０５３５】
多くの実施形態では、針受器の降着ゾーンを形成する、下構造は、収納ゾーンから離れて遷移ゾーンから延在する。
【０５３６】
多くの実施形態では、針受器は、第１の端部と第２の端部との間に延在する長さを有する。進入ゾーンは、第１の端部を含んでもよく、収納ゾーンは、第２の端部を含んでもよい。遷移ゾーンは、第１の端部と第２の端部との間にあってもよい。
【０５３７】
多くの実施形態では、進入ゾーンの下構造は、針および持針器先端を受容するように構成される降着ゾーンである。
【０５３８】
多くの実施形態では、持針器スロットは、遷移ゾーン内の上構造の縁から収納ゾーンの中に延在し、上構造および縁を遷移ゾーン内で別個の第１および第２の部分にパーティション化する。
【０５３９】
多くの実施形態では、遷移ゾーン内の上構造の第１および第２の部分は、下構造に向かって変形され、上構造を下構造から変位させ、開口部をその間の針スロット内に形成する。
【０５４０】
多くの実施形態では、遷移ゾーン内の上構造の第１および第２の部分は、下構造に向かって折重され、上構造を下構造から変位させ、開口部をその間の針スロット内に形成する。
【０５４１】
多くの実施形態では、遷移ゾーン内の上構造の第１および第２の部分は、下構造から離れて折重され、上構造を下構造から変位させ、開口部をその間の針スロット内に形成する。
【０５４２】
多くの実施形態では、第１および第２のシート材料は、可撓性である。
【０５４３】
多くの実施形態では、第１および第２のシート材料は、ＡＢＳ、ポリカーボネート、ポリエチレン、ポリプロピレン、熱成形可能プラスチック、およびＰＥＴＧから成る群から選定される。
【０５４４】
多くの実施形態では、キットはさらに、少なくとも１本の針を備える。
【０５４５】
いくつかの実施形態では、針は、長さを有し、針スロットは、幅を有し、針の長さは、実質的に類似するが、針スロットの幅未満である。
【０５４６】
いくつかの実施形態では、針は、長さを有し、針受器は、幅を有し、針の長さは、実質的に類似するが、針受器の幅未満である。
【０５４７】
いくつかの実施形態では、針の長さおよび針スロットの幅は、針が針スロット内にあるとき、針が針スロットを変形させるようなものである。
【０５４８】
いくつかの実施形態では、針の長さおよび針スロットの幅は、針が針スロット内にあるとき、針受器の上構造および下構造が圧縮力を針に印加するようなものである。
【０５４９】
いくつかの実施形態では、針の長さおよび針スロットの幅は、針が針スロット内にあるとき、針が上構造および下構造を変形させるようなものである。
【０５５０】
いくつかの実施形態では、針は、先端および末端を有する湾曲針であって、長さは、先端と末端との間の直線距離として画定される。
【０５５１】
いくつかの実施形態では、針の長さは、針の２つの端部間の直線距離として画定される。
【０５５２】
いくつかの実施形態では、下構造は、針スロットを閉鎖するために上構造にわたって折重可能であるフラップを含む。
【０５５３】
いくつかの実施形態では、下構造は、針スロットをシールするために上構造にわたって折重可能であるフラップを含む。
【０５５４】
いくつかの実施形態では、フラップは、収納ゾーンから離れて遷移ゾーンを越えて延在する下構造の少なくとも一部を含む。
【０５５５】
いくつかの実施形態では、フラップは、下構造の進入ゾーンの少なくとも一部を含む。
【０５５６】
いくつかの実施形態では、キットはさらに、フラップ上の接着剤を備える。
【０５５７】
いくつかの実施形態では、フラップ上の接着剤は、針スロットを閉鎖するために上構造に接着する。
【０５５８】
いくつかの実施形態では、フラップ上の接着剤は、針スロットをシールするために上構造に接着する。
【０５５９】
多くの実施形態では、本明細書に開示される装置、方法、針受器、およびキットはさらに、針受器を受容するように構成される堅性構造を備えてもよい。堅性構造は、針受器を受容するように成形される開放側面を含んでもよい。堅性構造は、針受器が堅性構造内にあるとき、針受器の持針器スロットと整合する持針器スロットを含んでもよい。堅性構造は、六面体の形状であってもよい。堅性構造は、下構造に結合される上構造を含んでもよく、堅性構造は、針受器を上構造と下構造との間に受容および保持するように構成される。堅性構造は、下構造に結合される上構造を含んでもよく、上構造および下構造は、針受器を堅性構造に保持するために締付力を針受器に付与するように構成される。堅性構造は、上構造と、下構造と、壁構造とを含んでもよく、壁構造は、上構造および下構造をともに結合する。堅性構造は、針受器を受容するように構成される容器を備えてもよい。
【０５６０】
堅性構造は、第１および第２の端部を有する、第１の堅性部材と、第１の堅性部材の第１の端部から延在する、第２の堅性部材と、第１の堅性部材の第２の端部から延在し、第２の堅性部材と同一平面にある、第３の堅性部材とを含んでもよい。堅性構造は、請求項のいずれか１項に記載の針受器を第２の堅性部材と第３の堅性部材との間に受容するように構成されてもよい。
【０５６１】
いくつかの実施形態では、第１の部材に近接する端部における第２の部材と第３の部材との間の距離は、針受器が堅性構造内に受容されると、遠位端における第２の部材と第３の部材との間の距離未満である。第２および第３の部材は、力を針受器に付与し、針受器を変形させ、針受器の針スロットの進入口を拡大してもよい。
【０５６２】
いくつかの実施形態では、進入ゾーンにおける針受器の幅は、針受器が堅性構造内に受容されると、収納ゾーンにおける針受器の幅を上回る。第２および第３の部材は、力を針受器に付与し、針受器を変形させ、針受器の針スロットの進入口を拡大してもよい。
【０５６３】
本開示の側面は、針受器を提供する。例示的針受器は、上構造を形成する堅性材料の第１のシートと、下構造を形成する堅性材料の第２のシートと、第２の堅性シート材料を通して形成され、第２の堅性シート材料の周縁から延在する、スロットとを備えてもよい。第１の堅性シート材料および第２の堅性シート材料は、その個別の周縁において相互に結合されてもよい。
【０５６４】
多くの実施形態では、上構造および下構造は、その個別の周縁において相互に平行である。
【０５６５】
多くの実施形態では、上構造および下構造は、その個別の周縁において相互に接着される。
【０５６６】
多くの実施形態では、上構造および下構造は、下構造の周縁から上構造の周縁まで延在する壁を介して、相互に結合される。
【０５６７】
多くの実施形態では、側方開口部は、それを通して針を受容するように構成される。
【０５６８】
多くの実施形態では、上構造は、針受器の収納ゾーンおよび遷移ゾーンの上部分を形成する。
【０５６９】
多くの実施形態では、下構造は、針受器の収納ゾーンおよび遷移ゾーンの下部分を形成する。
【０５７０】
多くの実施形態では、下構造は、針受器の降着ゾーンを形成する。
【０５７１】
多くの実施形態では、針受器の降着ゾーンを形成する、下構造は、収納ゾーンから離れて遷移ゾーンから延在する。
【０５７２】
多くの実施形態では、針受器は、第１の端部と第２の端部との間に延在する長さを有する。進入ゾーンは、第１の端部を含んでもよく、収納ゾーンは、第２の端部を含んでもよい。遷移ゾーンは、第１の端部と第２の端部との間にあってもよい。
【０５７３】
多くの実施形態では、進入ゾーンの下構造は、針および持針器先端を受容するように構成される降着ゾーンである。
【０５７４】
多くの実施形態では、持針器スロットは、遷移ゾーン内の上構造の縁から収納ゾーンの中に延在し、上構造および縁を遷移ゾーン内で別個の第１および第２の部分にパーティション化する。
【０５７５】
多くの実施形態では、遷移ゾーン内の上構造の第１および第２の部分は、下構造に向かって変形され、上構造を下構造から変位させ、開口部をその間の針スロット内に形成する。
【０５７６】
多くの実施形態では、遷移ゾーン内の上構造の第１および第２の部分は、下構造に向かって折重され、上構造を下構造から変位させ、開口部をその間の針スロット内に形成する。
【０５７７】
多くの実施形態では、下構造は、針スロットを閉鎖するために上構造にわたって折重可能であるフラップを含む。
【０５７８】
多くの実施形態では、下構造は、針スロットをシールするために上構造にわたって折重可能であるフラップを含む。
【０５７９】
多くの実施形態では、フラップは、収納ゾーンから離れて遷移ゾーンを越えて延在する下構造の少なくとも一部を含む。
【０５８０】
多くの実施形態では、フラップは、下構造の進入ゾーンの少なくとも一部を含む。
【０５８１】
多くの実施形態では、針受器はさらに、フラップ上の接着剤を備える。
【０５８２】
多くの実施形態では、フラップ上の接着剤は、針スロットを閉鎖するために上構造に接着する。
【０５８３】
多くの実施形態では、フラップ上の接着剤は、針スロットをシールするために上構造に接着する。
【０５８４】
多くの実施形態では、針受器はさらに、１本またはそれを上回る針保定具を針スロット内に備える。
【０５８５】
多くの実施形態では、針保定具は、少なくとも１つの磁石を含む。
【０５８６】
多くの実施形態では、少なくとも１つの磁石は、上構造および下構造の一方または両方に結合される。
【０５８７】
多くの実施形態では、少なくとも１つの磁石は、上構造および下構造の一方または両方内にある。
【０５８８】
多くの実施形態では、針保定具は、少なくとも１つの接着タブを含む。
【０５８９】
多くの実施形態では、少なくとも１つの接着タブは、上構造および下構造の一方または両方に結合される。
【０５９０】
多くの実施形態では、少なくとも１つの接着タブは、上構造および下構造の一方または両方から針スロットの中に延在する。
【０５９１】
多くの実施形態では、少なくとも１つの接着タブは、対向する第１および第２の側面を含み、第１の側面は、針スロット内の開口部に面し、非接着性であって、第２の側面は、針スロット内の開口部から離れて面し、接着性である。
【０５９２】
多くの実施形態では、針保定具は、応従性材料を針スロット内に含む。
【０５９３】
多くの実施形態では、応従性材料は、下構造から上構造に向かって延在し、針スロット内の針を通して保定力を上構造に印加し、針をスロット内に保定する、第１の発泡体構造を含む。
【０５９４】
多くの実施形態では、応従性材料は、上構造から下構造に向かって延在し、針スロット内の針を通して保定力を下構造に印加し、針をスロット内に保定する、第１の発泡体構造を含む。
【０５９５】
多くの実施形態では、応従性材料は、上構造から下構造に向かって延在する、第１の発泡体構造と、下構造から上構造に向かって延在する、第２の発泡体構造とを含む。間隙が、第１の発泡体構造と第２の発泡体構造との間に画定されてもよい。第１の発泡体構造および第２の発泡体構造は、間隙内の針を通して力を相互に付与し、針をスロット内に保定してもよい。
【０５９６】
多くの実施形態では、針保定具は、針が、針スロットに進入し、針スロットから退出する針に抵抗することを可能にする、機械仕切を含む。
【０５９７】
多くの実施形態では、針保定具は、少なくとも１つの機械仕切を含む。仕切は、先導構造と、追従構造と、枢動構造とを備えてもよい。枢動構造は、先導構造を追従構造に結合してもよい。仕切は、針が針スロットの中に移動することを可能にするが、針スロットからの針の移動に抵抗するように構成されてもよい。
【０５９８】
多くの実施形態では、少なくとも１つの仕切は、針スロット内の順序付けられたアレイ内で１本の針を別の針から分離する。
【０５９９】
多くの実施形態では、先導構造および追従構造は、相互に直角で枢動構造から延在する。
【０６００】
多くの実施形態では、先導構造および追従構造は、相互に鈍角で枢動構造から延在する。
【０６０１】
多くの実施形態では、初期構成では、追従構造は、針受器の下構造に対して静置し、先導構造は、枢動構造から針スロットの中に延在し、枢動構造は、針受器の下構造に結合される。
【０６０２】
多くの実施形態では、枢動構造は、追従構造を針受器の下構造に対して保持する、ばねを含む。
【０６０３】
多くの実施形態では、ばねは、螺旋ばねである。
【０６０４】
多くの実施形態では、保定構成では、追従構造は、枢動構造から針スロットの中に延在し、針スロット内の針と針受器の進入ゾーンとの間に障壁を形成する。
【０６０５】
多くの実施形態では、針保定具は、針を針スロット内に平面アレイにおいて保定する。
【０６０６】
多くの実施形態では、針保定具は、針スロット内で相互に覆わないように、針を保定する。
【０６０７】
多くの実施形態では、針保定具は、針を針スロット内にアレイにおいて保定する。
【０６０８】
多くの実施形態では、針保定具は、針を針スロット内に積み重ねられていない構成で保定する。
【０６０９】
多くの実施形態では、針保定具は、針がそれぞれ、針の相互に対して分離されるように、針をスロット内に保定する。
【０６１０】
多くの実施形態では、保定特徴は、磁気的である。
【０６１１】
多くの実施形態では、１つまたはそれを上回るクリップが、針スロットの長さに沿って延在し、針スロットの側方開口部に面し、１つまたはそれを上回るクリップは、針が側方開口部から閉鎖端に向かって平行移動されるにつれて、針スロットの中に留置された針が、１つまたはそれを上回るクリップの中に指向され、クリップの上部分と下部分との間にしっかりと保持されるように、側方開口部において針受器に結合される。
【０６１２】
多くの実施形態では、各クリップは、上部分と、下部分と、上部分および下部分を接続するヒンジ部分とを備え、クリップは、上部分と下部分との間に留置された針に対して圧縮力を印加するように構成される。
【０６１３】
本明細書に開示される針受器の多くの実施形態では、上構造および下構造は、遷移ゾーンに近接する収納ゾーンの第１の端部における第１の距離と、遷移ゾーンの遠位の収納ゾーンの第２の端部における第２の距離とによって分離され、第１の距離は、上構造および下構造が針スロット内で第１の端部と第２の端部との間に配列される複数の針に締付力を付与するように、第２の距離未満である。
【０６１４】
本明細書に開示される針受器の多くの実施形態では、針受器はさらに、針受器と係合され、進入ゾーンに向かって第１の方向に縦方向に平行移動し、進入ゾーンから離れた平行移動に抵抗するように構成される、歯止めカバーを備える。
【０６１５】
本明細書に開示される針受器の多くの実施形態では、歯止めカバーは、カバーが進入ゾーンに向かって平行移動するにつれて、持針器スロットを被覆する。
【０６１６】
本明細書に開示される針受器の多くの実施形態では、針受器はさらに、針容器を備え、針容器は、上面を有し、針受器の収納ゾーン内に受容されるように成形される、伸長本体と、伸長本体の上面から延在する、受容タブとを備える。
【０６１７】
本明細書に開示される針受器の多くの実施形態では、受容タブは、針と係合されるように構成される。
【０６１８】
本明細書に開示される針受器の多くの実施形態では、針は、１つまたはそれを上回る受容タブに係合し、針スロットの収納ゾーンの中に平行移動し、針は、針容器の一部を針スロットの中に引動させる。
【０６１９】
本明細書に開示される針受器の多くの実施形態では、針受器はさらに、下構造を通して進入ゾーンまたは遷移ゾーン内にある、開口を備え、針容器は、下構造の真下から開口を通して針スロットの中に通過するように構成される。
【０６２０】
本明細書に開示される針受器の多くの実施形態では、受容タブは、針容器の上面に添着される。
【０６２１】
本明細書に開示される針受器の多くの実施形態では、受容タブは、針容器を通して細隙を切断し、針容器の上面を通した方向に細隙によって形成される受容タブを塑性的に変形させることによって形成される。
【０６２２】
本明細書に開示される針受器の多くの実施形態では、受容タブは、針容器を通して細隙を切断し、針容器の上面を通した方向に細隙によって形成される受容タブを偏向させることによって形成される。
【０６２３】
本明細書に開示される針受器の多くの実施形態では、針容器は、針スロットの中に歯止めするように構成される。
【０６２４】
本明細書に開示される針受器の多くの実施形態では、針容器は、持針器スロットの中への針容器の移動を可能にし、針スロットからの針容器の移動に抵抗するように構成される。
【０６２５】
本明細書に開示される針受器の多くの実施形態では、受容タブは、針を針スロット内に離間アレイにおいて保持するように構成される。
【０６２６】
本明細書に開示される針受器の多くの実施形態では、アレイは、順序付けられたアレイである。
【０６２７】
本明細書に開示される針受器の多くの実施形態では、アレイは、平面アレイである。
【０６２８】
本明細書に開示される針受器の多くの実施形態では、針受器はさらに、上面または下面の個別の一方または両方から上面または下面の他方に向かって延在し、持針器によって提供される荷重下にあるとき、針の進入を可能にするが、荷重下にないとき、針をスロット内に保定するように構成される、遮断タブを備える。
【０６２９】
本明細書に開示される針受器、装置、障壁、および方法の多くの実施形態では、堅性部分は、剛性部分を備える。
【０６３０】
本明細書に開示される針受器、装置、障壁、および方法の多くの実施形態では、堅性構造は、剛性構造を備える。
【０６３１】
本明細書に開示される針受器、装置、障壁、および方法の多くの実施形態では、堅性材料は、剛性材料を備える。
【０６３２】
本明細書に開示される針受器、装置、障壁、および方法の多くの実施形態では、スロットは、細隙を備える。
【０６３３】
本開示の側面は、本明細書に開示されるような装置、針受器、または障壁を提供するステップを含む、方法を提供してもよい。
【０６３４】
本開示の側面は、針受器を提供してもよい。例示的針受器は、下構造と、下構造の上方の上構造とを備え、上構造と下構造との間に針スロットを画定してもよい。針スロットは、使用済み針を収納するための使用済み針収納ゾーンと、新しい針を収納するための新しい針収納ゾーンとを備えてもよい。針スロットは、針スロットの進入口における針受器の第１の端部から新しい針収納ゾーンにおける針受器の第２の端部まで延在してもよい。上構造は、新しい針収納ゾーンから使用済み針収納ゾーンまで上構造を通して延在する、持針器スロットを画定するように配列される第１の縁および第２の縁を備えてもよい。
【０６３５】
本開示の側面は、針受器を提供する。例示的針受器は、上構造と、下構造と、スロットとを備えてもよい。上構造および下構造は、その個別の周縁において相互に結合されてもよい。スロットは、上構造を通して形成されてもよく、第１の端部における上構造の周縁から第２の端部における上構造の周縁まで延在してもよい。
【０６３６】
多くの実施形態では、上構造の第１の端部は、使用済み針収納ゾーンの進入口にあって、上構造の第２の端部は、新しい針収納ゾーンの退出口にある。
【０６３７】
多くの実施形態では、新しい針は、新しい針収納ゾーン内に収納され、新しい針収納ゾーンの退出口を通して分配される。
【０６３８】
多くの実施形態では、使用済み針は、使用済み針収納ゾーン内に収納され、新しい針収納ゾーンの進入口を通して受容される。
【０６３９】
多くの実施形態では、針受器はさらに、新しい針収納ゾーンと使用済み針収納ゾーンとの間の停止部を備えてもよい。停止部は、新しい針収納ゾーンと使用済み針収納ゾーンとの間の針の平行移動に抵抗するように構成されてもよい。停止部は、下構造から持針器スロットの中に延在してもよい。
【０６４０】
多くの実施形態では、進入ゾーンの下構造は、持針器の先端を受容するように構成される降着ゾーンである。
【０６４１】
本開示の側面は、滅菌キットを提供してもよい。滅菌キットは、滅菌障壁を備える、滅菌パッケージと、縫合パックと、本明細書に開示されるような針受器と、障壁搭載基部とを備えてもよい。縫合パックおよび針受器は、障壁搭載基部に結合されてもよい。滅菌キットはさらに、シート構造を備えてもよい。障壁搭載基部は、シート構造に結合されてもよい。
【０６４２】
本開示の側面は、滅菌キットを提供してもよい。滅菌キットは、滅菌障壁を備える、滅菌パッケージと、縫合パックと、本明細書に開示されるような針受器と、障壁搭載基部と、シート構造とを備えてもよい。縫合パック、針受器、および障壁搭載基部は、シート構造に結合されてもよい。障壁搭載基部またはシート構造は、リビングヒンジを含んでもよい。
【０６４３】
本明細書に開示される針受器はさらに、汚染された手術用針をその中に保持するための針スロット内の針保定特徴を備えてもよい。
【０６４４】
多くの実施形態では、針保定特徴は、針スロット内の上面と下面との間に配置された発泡体を備える。
【０６４５】
多くの実施形態では、発泡体は、ウレタンフォームを含む。
【０６４６】
多くの実施形態では、針保定特徴は、針スロット内の上面と下面との間に配置された面ファスナを備える。
【０６４７】
多くの実施形態では、針保定特徴は、針スロット内の上面および下面の一方または両方から延在する複数の突出部を備える。
【０６４８】
いくつかの実施形態では、複数の突出部は、くぼみを備える。
【０６４９】
いくつかの実施形態では、複数の突出部は、突起を備える。
【０６５０】
いくつかの実施形態では、複数の突出部は、フィラメントを備える。
【０６５１】
いくつかの実施形態では、複数の突出部は、針が収納ゾーンの中に入ることを可能にするように、および少なくとも１つの開口部に向かった針の移動に抵抗するように、少なくとも１つの開口部から離れて角度を付けられる。
【０６５２】
いくつかの実施形態では、針保定特徴は、針スロット内の上面と下面との間に配置されたフラップを備える。
【０６５３】
多くの実施形態では、針保定特徴は、針スロット内の上面と下面との間に配置されたゲルを備える。
【０６５４】
多くの実施形態では、針保定特徴は、針スロット内の上面と下面との間に配置された半球小隆起を備える。
【０６５５】
多くの実施形態では、針保定特徴は、針スロット内の上面と下面との間に配置された角度付けられた剛毛を備える。
【０６５６】
本明細書に開示される障壁の多くの実施形態では、障壁は、針受器に磁気的に結合するための鉄系金属または磁石を含んでもよい。
【０６５７】
本明細書に開示される針受器の多くの実施形態では、針受器は、障壁に磁気的に結合するための鉄系金属または磁石を含む。
【０６５８】
本明細書に開示される方法の多くの実施形態では、支持体は、患者を覆うドレープに搭載される。
【０６５９】
本明細書に開示される方法の多くの実施形態では、支持体は、近傍手術野内に搭載される。
【０６６０】
本明細書に開示される方法の多くの実施形態では、支持体は、近傍手術野内の台に搭載される。
【０６６１】
本明細書に開示される方法の多くの実施形態では、支持体は、近傍手術野内のスタンドに搭載される。
【０６６２】
本明細書に開示される方法の多くの実施形態では、支持体は、切開部から外科医と対向した場所に搭載される。
【０６６３】
本明細書に開示される方法の多くの実施形態では、支持体は、患者の切開部の近位に搭載される。
【０６６４】
本明細書に開示される方法の多くの実施形態では、支持体は、患者の切開部の遠位に搭載される。
【０６６５】
本明細書に開示される方法の多くの実施形態では、支持体は、患者の切開部の上方に搭載される。
【０６６６】
本明細書に開示される方法の多くの実施形態では、支持体は、患者の切開部の下方に搭載される。
【０６６７】
本明細書に開示される障壁搭載基部の多くの実施形態では、障壁搭載基部は、直接または間接的にのいずれかにおいて針受器および縫合パックのうちの１つまたはそれを上回るものを結合するための平坦表面を含む。
【０６６８】
本明細書に開示される障壁搭載基部の多くの実施形態では、障壁搭載基部は、その中に障壁を受容するように成形される凹状表面を含む。
【０６６９】
本明細書に開示される障壁搭載基部の多くの実施形態では、凹状表面は、平坦表面と対向する。
【０６７０】
本明細書に開示される障壁搭載基部の多くの実施形態では、障壁搭載基部はさらに、障壁搭載基部の表面から延在し、ねじり補剛材を伴わない障壁搭載部ブレースと比較して障壁搭載基部のねじり剛性を増加させるように構成される、ねじり補剛材を備える。
【０６７１】
本明細書に開示される障壁搭載基部の多くの実施形態では、障壁搭載基部はさらに、障壁搭載基部の個別の第１および第２の側面に沿って、障壁と結合するように構成される、第１および第２の延在部を備える。障壁搭載基部の下面は、第１の場所において障壁の湾曲表面に接触してもよく、第１および第２の延在部は、個別の第２および第３の場所において障壁の湾曲表面に接触してもよい。
【０６７２】
本明細書に開示される支持体の多くの実施形態では、支持体は、支持体の基部を支持体の搭載表面から分離する第１のヒンジを含む、シート構造を備える。
【０６７３】
本明細書に開示される支持体の多くの実施形態では、基部は、支持体を手術用ドレープに結合するように構成され、搭載表面は、針受器に結合するように構成される。
【０６７４】
本明細書に開示される支持体の多くの実施形態では、基部は、支持体を手術用ドレープに結合するように構成され、搭載表面は、針受器に結合するように構成される。
【０６７５】
本明細書に開示される支持体の多くの実施形態では、搭載表面は、基部と３０度〜９０度の角度にある。
【０６７６】
本明細書に開示される支持体の多くの実施形態では、搭載表面は、基部と６０度〜７５度の角度にある。
【０６７７】
本明細書に開示される支持体の多くの実施形態では、搭載表面は、基部と４５度〜７５度の角度にある。
【０６７８】
本明細書に開示される支持体の多くの実施形態では、搭載表面は、基部と４５度〜９０度の角度にある。
【０６７９】
本明細書に開示される支持体の多くの実施形態では、支持体は、支持体の基部を支持体の搭載表面から分離する第１のヒンジを含む、シート構造を備える。
【０６８０】
本明細書に開示される支持体の多くの実施形態では、支持体は、支持体の搭載表面を、ヒンジから延在し、基部と係合する、調節構造から分離する第２のヒンジを含む、シート構造を備える。
【０６８１】
本明細書に開示される支持体の多くの実施形態では、支持体は、基部の表面から延在し、搭載表面の角度を調節するための調節構造によって係合可能である、複数の停止部を備える。
【０６８２】
本明細書に開示される支持体の多くの実施形態では、支持体はさらに、調節構造と第４の区分との間の第３のヒンジを備え、第４の区分は、基部に結合可能である。
【０６８３】
本明細書に開示される支持体の多くの実施形態では、ヒンジは、リビングヒンジである。
【０６８４】
本明細書に開示される装置の多くの実施形態では、スピンドルの上部および底部は、結合部を含んでもよく、上結合部は、第１の形状を有し、底結合部は、上結合部を受容するように成形される。
【０６８５】
本明細書に開示される装置の多くの実施形態では、スピンドルの上部および底部は、結合部を含んでもよく、上結合部は、第１の形状を有し、底結合部は、上結合部の第１の形状と係合するように成形されてもよい。
【０６８６】
本明細書に開示される装置の多くの実施形態では、スピンドルの上部は、延在部を含んでもよく、スピンドルの上部は、延在部を受容するように成形される陥凹を含む。
【０６８７】
本開示の側面は、収納ゾーンを有する、下構造と、進入ゾーンおよび収納ゾーンを有する、上構造と、下構造と上構造との間に１本またはそれを上回る縫合針を受容するための針スロットと、下進入ゾーンを形成する、ランプ構造と、上構造の一部を通して延在する上持針器スロットならびに下構造およびランプ構造の一部を通して延在する下持針器スロットとを備える、針受器を提供してもよい。ランプ構造は、針スロットおよび上構造から離れて角度付けられた表面を含んでもよい。上構造の進入ゾーンは、針スロットおよびランプ構造から離れて角度付けられてもよい。針受器はさらに、針スロット内に応従性構造を備えてもよい。応従性構造は、保持力を針スロットおよび収納ゾーン内の針に対して印加し、針スロットおよび収納ゾーンからの針の平行移動に抵抗してもよい。上構造は、保持力を針スロットおよび収納ゾーン内の針に対して印加し、針スロットおよび収納ゾーンからの針の平行移動に抵抗してもよい。
【０６８８】
本開示の側面は、針受器を提供してもよい。例示的針受器は、第１および第２の伸長部材と、第１の針保定スロットと、第２の針保定スロットとを備えてもよい。第１および第２の伸長部材は、壁に結合される第１の端部を有してもよく、第１および第２の部材は、相互に平行であって、壁から延在し、第１の伸長部材は、第２の伸長部材に面する第１の表面を有し、第２の伸長部材は、第１の伸長部材に面する第２の表面を有する。第１の針保定スロットは、第１の伸長部材の第１の表面内に形成されてもよく、第１の伸長部材の長さに沿って延在してもよい。第２の針保定スロットは、第２の伸長部材の第２の表面内に形成されてもよく、第２の伸長部材の長さに沿って延在してもよい。第１および第２の針保定スロットはともに、使用済み縫合針をその中に収納するための収納針ゾーンを形成してもよい。
【０６８９】
第１および第２の伸長部材は、圧縮力を使用済み縫合針に印加してもよい。
【０６９０】
持針器スロットは、第１および第２の伸長部材間に形成されてもよい。
【０６９１】
本開示の側面は、針受器を提供してもよい。例示的針受器は、筐体と、空洞とを備えてもよい。筐体は、ヒンジ部分によってともに結合される、上部分と、下部分とを有してもよい。上部分、下部分、およびヒンジ部分は、Ｕ形状を形成してもよい。上部分と下部分との間に形成される空洞は、複数の針を格納するように構成されてもよい。
【０６９２】
本明細書に開示される針受器の多くの実施形態では、ヒンジ部分は、針が上部分および下部分によって付与される圧縮力によって針スロット内に収納され得るように、筐体の上部分および下部分を相互に向かって付勢するようにばね荷重される。
【０６９３】
本明細書に開示される針受器の多くの実施形態では、上部分および下部分はそれぞれ、第１のアームと、第２のアームとを備え、持針器スロットをそれらの間に形成する。
【０６９４】
本明細書に開示される針受器の多くの実施形態では、下部分はさらに、ヒンジから離れて延在する延在部を備える。
【０６９５】
本明細書に開示される針受器の多くの実施形態では、延在部は、針が筐体内に収納されるための降着ゾーンを形成する。針は、持針器先端が持針器スロットと整合された状態で、延在部の上面と接触させられてもよい。
【０６９６】
本明細書に開示される針受器の多くの実施形態では、下部分内の持針器スロットは、延在部の中に延在する。
【０６９７】
本明細書に開示される針受器の多くの実施形態では、下部分内の持針器スロットは、延在部を通して延在する。
【０６９８】
本明細書に開示される針受器の多くの実施形態では、持針器スロットは、ヒンジに近接する第１または第２の部分の端部において閉鎖され、ヒンジから離れた第１または第２の部分の端部において開放される。
【０６９９】
本明細書に開示される針受器の多くの実施形態では、針受器はさらに、上部分または下部分の個別の一方または両方から上部分または下部分の他方に向かって延在し、持針器によって提供される荷重下にあるとき、針の進入を可能にするが、荷重下にないとき、針をスロット内に保定するように構成される、遮断タブを備えてもよい。
【０７００】
本明細書に開示される針受器の多くの実施形態では、針受器はさらに、筐体の外側側方縁にわたって配置される側方壁を備えてもよい。
【０７０１】
本明細書に開示される針受器の多くの実施形態では、側方壁は、筐体と統合される。
【０７０２】
本明細書に開示される針受器の多くの実施形態では、側方壁は、筐体の外側側方縁に除去可能に結合される。
【０７０３】
本開示の側面は、針受器を提供する。例示的針受器は、その上面内に形成されるチャネルを有する、下構造と、堅性材料および可撓性材料から形成される、上構造と、使用済み縫合針をその中に収納するために上構造と下構造との間に形成される、針スロットと、堅性材料と可撓性材料との間の上構造によって、かつ下構造のチャネルの上方に形成される、持針器スロットとを備えてもよい。
【０７０４】
多くの実施形態では、針受器はさらに、上構造の堅性材料と下構造との間の針スロット内に応従性材料から成る。応従性材料は、発泡体から成ってもよい。
【０７０５】
多くの実施形態では、上構造内に形成される持針器スロットは、下構造の上面内に形成されるチャネルと平行である。
【０７０６】
多くの実施形態では、持針器スロットは、第１の縁と、第１の縁と対向する第２の縁とを含む。
【０７０７】
多くの実施形態では、可撓性材料は、持針器スロットの第１の縁を含み、堅性材料は、持針器スロットの第２の縁を含む。
【０７０８】
多くの実施形態では、第１の縁は、第２の縁から分離し、持針器を受容する。
【０７０９】
多くの実施形態では、第１の縁および第２の縁は、それらの間に延在する持針器を伴わずに、非変形独立状態で、相互に接触する。
【０７１０】
多くの実施形態では、第１の縁および第２の縁は、非変形状態で、相互から離間され、間隙が、第１の縁と第２の縁との間に画定される。
【０７１１】
多くの実施形態では、下構造の一部は、上構造の端部を越えて延在し、降着ゾーンを形成する。針は、持針器先端が持針器スロットと整合された状態で、延在部の上面と接触させられてもよい。
【０７１２】
多くの実施形態では、針受器を受容するステップは、５本またはそれを上回る分配された手術用針を外科医から受容するステップを含み、分配された手術用針は、外科医から受容されると、針受器内で安定させられて非侵害性である。
【０７１３】
多くの実施形態では、針受器を受容するステップは、５本またはそれを上回る、照合され、分配された手術用針を、針が近傍手術野内にあるとき、手術用針を照合した人物から受容するステップを含み、受容されると、分配された手術用針は、針受器内で安定させられて非侵害性である。多くの事例では、針は、照合されると、針受器内にあって、近傍手術野内の針パックの手術用針と照合される。
【０７１４】
（参照による引用）
本明細書で記述される全ての出版物、特許、および特許出願は、各個々の出版物、特許、または特許出願が、参照することによって組み込まれるように具体的かつ個々に示された場合と同一の程度に、参照することによって本明細書に組み込まれる。
【図面の簡単な説明】
【０７１５】
本発明の新規の特徴は、添付の請求項に詳細に記載される。本発明の特徴および利点のさらなる理解は、本発明の原理が利用される例証的実施形態を記載する、以下の発明を実施するための形態、および添付図面を参照することによって得られるであろう。
【０７１６】
【図１Ａ】図１Ａおよび１Ｂは、手術野および近傍手術野を図示する。
【図１Ｂ】図１Ａおよび１Ｂは、手術野および近傍手術野を図示する。
【０７１７】
【図１−１】図１Ｃ−１Ｆは、実施形態による、縫合糸取扱装置を使用する方法を図示する。
【０７１８】
【図２Ａ】図２Ａは、針を伴う縫合パッケージの上面図を図示する。
【０７１９】
【図２Ｂ】図２Ｂは、接着ストリップを図示する。
【０７２０】
【図３】図３は、接着ストリップで手袋に取り付けられた縫合パッケージの上面図を図示する。
【０７２１】
【図４】図４は、接着ストリップで手袋に取り付けられた縫合パッケージの側面図を図示する。
【０７２２】
【図５】図５は、縫合パッケージの周辺を手袋に保持するための接着領域を伴う縫合パッケージの上面図を図示する。
【０７２３】
【図６】図６は、縫合パッケージの周辺を手袋に保持するための接着領域を伴う縫合パッケージの側面図を図示する。
【０７２４】
【図７】図７は、針を伴う縫合パッケージの上面図を図示する。
【０７２５】
【図８】図８は、接着剤を伴う縫合パッケージの底面図を図示する。
【０７２６】
【図９】図９は、「Ｃ」形状縫合パッケージホルダの側面図を図示する。
【０７２７】
【図１０】図１０は、「Ｃ」形状縫合パッケージホルダの上面図を図示する。
【０７２８】
【図１１】図１１は、手袋にわたって装着された「Ｃ」形状縫合パッケージホルダの上面図を図示する。
【０７２９】
【図１２】図１２は、手袋にわたって装着された縫合パッケージを伴う「Ｃ」形状縫合パッケージホルダの側面を図示する。
【０７３０】
【図１３】図１３は、ストラップで手袋に取り付けられた縫合糸を保持するプラットフォームの上面図を図示する。
【０７３１】
【図１４】図１４は、ストラップで手袋に取り付けられた縫合糸を保持するプラットフォームの側面図を図示する。
【０７３２】
【図１５】図１５は、手袋に取り付けられた磁気プラットフォームの上面図を図示する。
【０７３３】
【図１６】図１６は、手袋に取り付けられた磁気プラットフォームの側面図を図示する。
【０７３４】
【図１７】図１７は、多層縫合パッケージの上面図を図示する。
【０７３５】
【図１８】図１８は、多層縫合パッケージの側面図を図示する。
【０７３６】
【図１９】図１９は、手袋に取り付けられた多層縫合パッケージの上面図を図示する。
【０７３７】
【図２０】図２０は、手袋に取り付けられた多層縫合パッケージの側面図を図示する。
【０７３８】
【図２１】図２１は、面ファスナ取付機構を伴う多層縫合パッケージの上面図を図示する。
【０７３９】
【図２２】図２２は、フック取付機構を伴う多層縫合パッケージの側面図を図示する。
【０７４０】
【図２３】図２３は、下フック取付機構の側面図を図示する。
【０７４１】
【図２４】図２４は、下フック取付機構の底面図を図示する。
【０７４２】
【図２５】図２５は、手袋に取り付けられた多層縫合パッケージの上面図を図示する。
【０７４３】
【図２６】図２６は、手袋に取り付けられた多層縫合パッケージの側面図を図示する。
【０７４４】
【図２７】図２７は、手袋に取り付けられた使用済み縫合糸コンテナおよび縫合パッケージの上面図を図示する。
【０７４５】
【図２８】図２８は、手袋に取り付けられた使用済み縫合糸コンテナおよび縫合パッケージの側面図を図示する。
【０７４６】
【図２９】図２９は、弾性バンドの前面図を図示する。
【０７４７】
【図３０】図３０は、弾性バンドの上面図を図示する。
【０７４８】
【図３１】図３１は、弾性バンドで手袋の手首部分の周囲に保持された縫合パッケージの上面図を図示する。
【０７４９】
【図３２】図３２は、弾性バンドで手袋の手首部分の周囲に保持された縫合パッケージの側面図を図示する。
【０７５０】
【図３３】図３３は、縫合パッケージを保持するためのポケットおよび縫合糸にアクセスするための孔を有する、手袋の上面図を図示する。
【０７５１】
【図３４】図３４は、縫合パッケージを保持するためのポケットおよび縫合糸にアクセスするための孔を有する、手袋の側面図を図示する。
【０７５２】
【図３５】図３５は、フリップパック縫合パッケージの前面図を図示する。
【０７５３】
【図３６】図３６は、フリップパック縫合パッケージの側面図を図示する。
【０７５４】
【図３７】図３７は、フリップパック縫合パッケージを保持する手袋の上面図を図示する。
【０７５５】
【図３８】図３８は、道具ホルダと、縫合パッケージと、使用済み針ホルダとを含む、プラットフォームの上面図を図示する。
【０７５６】
【図３９】図３９および４０は、モジュール式取付具を有する、プラットフォームの異なる実施形態の側面図を図示する。
【図４０】図３９および４０は、モジュール式取付具を有する、プラットフォームの異なる実施形態の側面図を図示する。
【０７５７】
【図４１】図４１は、拡大手部分を伴うプラットフォームの側面図を図示する。
【０７５８】
【図４２】図４２は、使用済み針ホルダの実施形態の上面図を図示する。
【０７５９】
【図４３】図４３は、使用済み針ホルダの実施形態の側面図を図示する。
【０７６０】
【図４４】図４４は、使用済み針ホルダの実施形態の上面図を図示する。
【０７６１】
【図４５】図４５は、使用済み針ホルダの実施形態の側面図を図示する。
【０７６２】
【図４６】図４６は、使用済み針ホルダの実施形態の上面図を図示する。
【０７６３】
【図４７】図４７は、使用済み針ホルダの実施形態の側面図を図示する。
【０７６４】
【図４８】図４８は、多層プラットフォームの実施形態の前面図を図示する。
【０７６５】
【図４９】図４９は、複数の縫合パック、使用済み縫合針受器、および道具ホルダを保持する、プラットフォームの実施形態を図示する。
【０７６６】
【図５０】図５０−５２は、多層プラットフォームの異なる実施形態の側面図を図示する。
【図５１】図５０−５２は、多層プラットフォームの異なる実施形態の側面図を図示する。
【図５２】図５０−５２は、多層プラットフォームの異なる実施形態の側面図を図示する。
【０７６７】
【図５３】図５３は、モジュール式取付具を有する、多層プラットフォームの実施形態の側面図を図示する。
【０７６８】
【図５４】図５４−５７は、多層プラットフォーム上の道具ホルダの実施形態の上面図を図示する。
【図５５】図５４−５７は、多層プラットフォーム上の道具ホルダの実施形態の上面図を図示する。
【図５６】図５４−５７は、多層プラットフォーム上の道具ホルダの実施形態の上面図を図示する。
【図５７】図５４−５７は、多層プラットフォーム上の道具ホルダの実施形態の上面図を図示する。
【０７６９】
【図５８】図５８および５９は、多層プラットフォーム上の縫合パックキャリアの実施形態の上面図を図示する。
【図５９】図５８および５９は、多層プラットフォーム上の縫合パックキャリアの実施形態の上面図を図示する。
【０７７０】
【図６０】図６０−６３は、複数の積層縫合パックを保持するための縫合パックキャリアの実施形態の上面図を図示する。
【図６１】図６０−６３は、複数の積層縫合パックを保持するための縫合パックキャリアの実施形態の上面図を図示する。
【図６２】図６０−６３は、複数の積層縫合パックを保持するための縫合パックキャリアの実施形態の上面図を図示する。
【図６３】図６０−６３は、複数の積層縫合パックを保持するための縫合パックキャリアの実施形態の上面図を図示する。
【０７７１】
【図６４】図６４−６７は、多層プラットフォーム上の縫合パックキャリアの実施形態の側面図を図示する。
【図６５】図６４−６７は、多層プラットフォーム上の縫合パックキャリアの実施形態の側面図を図示する。
【図６６】図６４−６７は、多層プラットフォーム上の縫合パックキャリアの実施形態の側面図を図示する。
【図６７】図６４−６７は、多層プラットフォーム上の縫合パックキャリアの実施形態の側面図を図示する。
【０７７２】
【図６８】図６８−７０は、背側プラットフォームおよび掌側プラットフォームを含む、多層装置の実施形態の側面図を図示する。
【図６９】図６８−７０は、背側プラットフォームおよび掌側プラットフォームを含む、多層装置の実施形態の側面図を図示する。
【図７０】図６８−７０は、背側プラットフォームおよび掌側プラットフォームを含む、多層装置の実施形態の側面図を図示する。
【０７７３】
【図７１】図７１は、背側プラットフォームおよび掌側プラットフォームを含む、多層装置の実施形態の上面図を図示する。
【０７７４】
【図７２】図７２は、縫合パックホルダおよび使用済み針受器を含む、プラットフォームの実施形態の上面図を図示する。
【０７７５】
【図７３】図７３は、調節可能継手を有するアームに結合されたプラットフォームの実施形態の側面図を図示する。
【０７７６】
【図７４】図７４は、可撓性アームに結合されたプラットフォームの実施形態の側面図を図示する。
【０７７７】
【図７５】図７５および７６は、「Ａ」フレーム構造に結合されたプラットフォームの実施形態の側面図を図示する。
【図７６】図７５および７６は、「Ａ」フレーム構造に結合されたプラットフォームの実施形態の側面図を図示する。
【０７７８】
【図７７】図７７は、針受器および縫合パケットアセンブリの実施形態の前面図を図示する。
【０７７９】
【図７８】図７８−７９は、針受器および縫合パケットアセンブリの実施形態の側面図を図示する。
【図７９】図７８−７９は、針受器および縫合パケットアセンブリの実施形態の側面図を図示する。
【０７８０】
【図８０】図８０−８１は、手術道具上の針受器および縫合パケットアセンブリの実施形態の側面図を図示する。
【図８１】図８０−８１は、手術道具上の針受器および縫合パケットアセンブリの実施形態の側面図を図示する。
【０７８１】
【図８２】図８２は、手術道具上の針受器および縫合パケットアセンブリの実施形態の後面図を図示する。
【０７８２】
【図８３】図８３は、手術道具上の針受器および縫合パケットアセンブリの実施形態の側面図を図示する。
【０７８３】
【図８４】図８４は、手術道具上の針受器および縫合パケットアセンブリの実施形態の前面図を図示する。
【０７８４】
【図８５】図８５は、手術道具上の針受器および縫合パケットアセンブリの実施形態の前面図を図示する。
【０７８５】
【図８６】図８６は、手術道具上の針受器および縫合パケットアセンブリの実施形態の側面図を図示する。
【０７８６】
【図８７】図８７は、手術道具上の針受器および縫合パケットアセンブリの実施形態の後面図を図示する。
【０７８７】
【図８８】図８８および８９は、腕上に変曲点を伴うプラットフォームの実施形態の側面図を図示する。
【図８９】図８８および８９は、腕上に変曲点を伴うプラットフォームの実施形態の側面図を図示する。
【０７８８】
【図９０】図９０は、縫合パックおよび針鋭利部コンテナを含む、腕搭載型プラットフォーム装置を使用するためのプロセスのフローチャートを図示する。
【０７８９】
【図９１】図９１は、縫合パックおよび針鋭利部コンテナを含む、道具搭載型プラットフォーム装置を使用するためのプロセスのフローチャートを図示する。
【０７９０】
【図９２】図９２は、保管筐体の実施形態の上面図を図示する。
【０７９１】
【図９３】図９３−９５は、保管筐体の実施形態の側面図を図示する。
【図９４】図９３−９５は、保管筐体の実施形態の側面図を図示する。
【図９５】図９３−９５は、保管筐体の実施形態の側面図を図示する。
【０７９２】
【図９６】図９６は、保管筐体の実施形態の上面図を図示する。
【０７９３】
【図９７】図９７は、保管筐体の実施形態の側面図を図示する。
【０７９４】
【図９８】図９８は、保管筐体の実施形態の上面図を図示する。
【０７９５】
【図９９】図９９は、保管筐体の実施形態の側面図を図示する。
【０７９６】
【図１００】図１００は、保管筐体の実施形態の上面図を図示する。
【０７９７】
【図１０１】図１０１は、保管筐体の実施形態の側面図を図示する。
【０７９８】
【図１０２】図１０２および１０３は、垂直配向針を伴う鋭利部コンテナの実施形態の側面図を図示する。
【図１０３】図１０２および１０３は、垂直配向針を伴う鋭利部コンテナの実施形態の側面図を図示する。
【０７９９】
【図１０４】図１０４は、平行配向針を伴う使用済み針受器の実施形態の上面図を図示する。
【０８００】
【図１０５】図１０５は、使用済み針受器に取り付けられた縫合パックの実施形態の側面図を図示する。
【０８０１】
【図１０６】図１０６は、使用済み針受器に取り付けられた縫合パックの実施形態の上面図を図示する。
【０８０２】
【図１０７】図１０７は、多層使用済み針受器に取り付けられた縫合パックの実施形態の側面図を図示する。
【０８０３】
【図１０８】図１０８は、鋭利部コンテナの実施形態の上面図を図示する。
【０８０４】
【図１０９】図１０９および１１０は、鋭利部コンテナの実施形態の側面図を図示する。
【図１１０】図１０９および１１０は、鋭利部コンテナの実施形態の側面図を図示する。
【０８０５】
【図１１１】図１１１は、鋭利部コンテナの実施形態の上面図を図示する。
【０８０６】
【図１１２】図１１２および１１３は、鋭利部コンテナの実施形態の側面図を図示する。
【図１１３】図１１２および１１３は、鋭利部コンテナの実施形態の側面図を図示する。
【０８０７】
【図１１４】図１１４は、多層使用済み針受器に取り付けられた縫合パックの実施形態の上面図を図示する。
【０８０８】
【図１１５】図１１５および１１６は、多層使用済み針受器に取り付けられた縫合パックの実施形態の側面図を図示する。
【図１１６】図１１５および１１６は、多層使用済み針受器に取り付けられた縫合パックの実施形態の側面図を図示する。
【０８０９】
【図１１７】図１１７は、多層使用済み針受器に取り付けられた縫合パックの実施形態の上面図を図示する。
【０８１０】
【図１１８】図１１８および１１９は、多層使用済み針受器に取り付けられた縫合パックの実施形態の側面図を図示する。
【図１１９】図１１８および１１９は、多層使用済み針受器に取り付けられた縫合パックの実施形態の側面図を図示する。
【０８１１】
【図１２０】図１２０は、多層使用済み針受器に取り付けられた縫合パックの実施形態の上面図を図示する。
【０８１２】
【図１２１】図１２１および１２２は、多層使用済み針受器に取り付けられた縫合パックの実施形態の側面図を図示する。
【図１２２】図１２１および１２２は、多層使用済み針受器に取り付けられた縫合パックの実施形態の側面図を図示する。
【０８１３】
【図１２３】図１２３は、鋭利部コンテナの実施形態の上面図を図示する。
【０８１４】
【図１２４】図１２４は、鋭利部コンテナの実施形態の前面図を図示する。
【０８１５】
【図１２５】図１２５は、鋭利部コンテナの実施形態の側面図を図示する。
【０８１６】
【図１２６】図１２６は、鋭利部コンテナの実施形態の上面図を図示する。
【０８１７】
【図１２７】図１２７は、鋭利部コンテナの実施形態の前面図を図示する。
【０８１８】
【図１２８】図１２８は、鋭利部コンテナの実施形態の側面図を図示する。
【０８１９】
【図１２９】図１２９は、鋭利部コンテナの実施形態の前面図を図示する。
【０８２０】
【図１３０】図１３０は、鋭利部コンテナの実施形態の側面図を図示する。
【０８２１】
【図１３１】図１３１は、鋭利部コンテナの実施形態の前面図を図示する。
【０８２２】
【図１３２】図１３２は、鋭利部コンテナの実施形態の側面図を図示する。
【０８２３】
【図１３３】図１３３は、鋭利部コンテナの実施形態の前面図を図示する。
【０８２４】
【図１３４】図１３４は、鋭利部コンテナの実施形態の側面図を図示する。
【０８２５】
【図１３５】図１３５は、鋭利部コンテナの実施形態の前面図を図示する。
【０８２６】
【図１３６】図１３６は、鋭利部コンテナの実施形態の側面図を図示する。
【０８２７】
【図１３７】図１３７は、鋭利部コンテナの実施形態の側面図を図示する。
【０８２８】
【図１３８】図１３８は、鋭利部コンテナの実施形態の上面図を図示する。
【０８２９】
【図１３９】図１３９は、鋭利部コンテナの実施形態の側面図を図示する。
【０８３０】
【図１４０】図１４０は、鋭利部コンテナの実施形態の上面図を図示する。
【０８３１】
【図１４１】図１４１は、縫合パックの実施形態の上面図を図示する。
【０８３２】
【図１４２】図１４２は、縫合パックに結合された鋭利部コンテナの実施形態の前面図を図示する。
【０８３３】
【図１４３】図１４３は、縫合パックに結合された鋭利部コンテナの実施形態を図示する。
【０８３４】
【図１４４】図１４４は、手術道具上の縫合パックに結合された鋭利部コンテナの実施形態の側面図を図示する。
【０８３５】
【図１４５】図１４５は、縫合パックに結合された鋭利部コンテナの実施形態の後面図を図示する。
【０８３６】
【図１４６】図１４６は、実施形態による、統合された縫合パケットおよび針受器３０８のブロック図である。
【０８３７】
【図１４７Ａ】図１４７Ａ−１４９は、カートリッジ型鋭利部コンテナの実施形態を図示する。
【図１４７Ｂ】図１４７Ａ−１４９は、カートリッジ型鋭利部コンテナの実施形態を図示する。
【図１４８】図１４７Ａ−１４９は、カートリッジ型鋭利部コンテナの実施形態を図示する。
【図１４９】図１４７Ａ−１４９は、カートリッジ型鋭利部コンテナの実施形態を図示する。
【０８３８】
【図１５０】図１５０は、手によって保持された手術道具上に搭載されたカートリッジ鋭利部コンテナを図示する。
【０８３９】
【図１５１】図１５１および１５２は、針係止機構および針挿入ライトを含む、鋭利部コンテナの実施形態を図示する。
【図１５２】図１５１および１５２は、針係止機構および針挿入ライトを含む、鋭利部コンテナの実施形態を図示する。
【０８４０】
【図１５３】図１５３および１５４は、係止機構を含む鋭利部コンテナの実施形態を図示する。
【図１５４】図１５３および１５４は、係止機構を含む鋭利部コンテナの実施形態を図示する。
【０８４１】
【図１５５】図１５５および１５６は、針係止機構および針挿入インジケータを含む、鋭利部コンテナの実施形態を図示する。
【図１５６】図１５５および１５６は、針係止機構および針挿入インジケータを含む、鋭利部コンテナの実施形態を図示する。
【０８４２】
【図１５７】図１５７−１５９は、手術道具をカートリッジ型鋭利部コンテナに結合するための接続機構の実施形態を図示する。
【図１５８】図１５７−１５９は、手術道具をカートリッジ型鋭利部コンテナに結合するための接続機構の実施形態を図示する。
【図１５９】図１５７−１５９は、手術道具をカートリッジ型鋭利部コンテナに結合するための接続機構の実施形態を図示する。
【０８４３】
【図１６０】図１６０−１６６は、針受器筐体内の孔を被覆する発泡体を含む、針受器の実施形態を図示する。
【図１６１】図１６０−１６６は、針受器筐体内の孔を被覆する発泡体を含む、針受器の実施形態を図示する。
【図１６２】図１６０−１６６は、針受器筐体内の孔を被覆する発泡体を含む、針受器の実施形態を図示する。
【図１６３】図１６０−１６６は、針受器筐体内の孔を被覆する発泡体を含む、針受器の実施形態を図示する。
【図１６４】図１６０−１６６は、針受器筐体内の孔を被覆する発泡体を含む、針受器の実施形態を図示する。
【図１６５】図１６０−１６６は、針受器筐体内の孔を被覆する発泡体を含む、針受器の実施形態を図示する。
【図１６６】図１６０−１６６は、針受器筐体内の孔を被覆する発泡体を含む、針受器の実施形態を図示する。
【０８４４】
【図１６７】図１６７は、ヒンジを介して結合された縫合パックホルダを有する、針トラップアセンブリの実施形態の上面図を図示する。
【０８４５】
【図１６８】図１６８は、縫合パックホルダを有する、針トラップアセンブリの実施形態の上面図を図示する。
【０８４６】
【図１６９】図１６９は、縫合パックホルダを有する、針トラップアセンブリの実施形態の分解上面斜視図を図示する。
【０８４７】
【図１７０】図１７０は、縫合パックホルダを有する、針トラップアセンブリの実施形態の分解側面図を図示する。
【０８４８】
【図１７１】図１７１は、縫合パックホルダを有する、針トラップアセンブリの実施形態の分解底面斜視図を図示する。
【０８４９】
【図１７２Ａ】図１７２Ａは、針トラップの実施形態の上面斜視図を図示する。
【０８５０】
【図１７２Ｂ】図１７２Ｂ−１７２Ｄは、それぞれ、図１７２Ａの針トラップの上面、側面、および端面図を示す。
【図１７２Ｃ】図１７２Ｂ−１７２Ｄは、それぞれ、図１７２Ａの針トラップの上面、側面、および端面図を示す。
【図１７２Ｄ】図１７２Ｂ−１７２Ｄは、それぞれ、図１７２Ａの針トラップの上面、側面、および端面図を示す。
【０８５１】
【図１７３】図１７３は、針トラップの上構造構成要素の実施形態の上面斜視図を図示する。
【０８５２】
【図１７４】図１７４は、針トラップの上構造構成要素の実施形態の底面視図を図示する。
【０８５３】
【図１７５】図１７５および１７６は、針トラップの下構造構成要素の実施形態の上面視図を図示する。
【図１７６】図１７５および１７６は、針トラップの下構造構成要素の実施形態の上面視図を図示する。
【０８５４】
【図１７７】図１７７は、針トラップの実施形態の前面図を図示する。
【０８５５】
【図１７８】図１７８は、針トラップの実施形態の断面側面図を図示する。
【０８５６】
【図１７９】図１７９は、針トラップの実施形態の断面上面図を図示する。
【０８５７】
【図１８０】図１８０および１８１は、電気的針検出システムの実施形態のブロック図を図示する。
【図１８１】図１８０および１８１は、電気的針検出システムの実施形態のブロック図を図示する。
【０８５８】
【図１８２】図１８２−１８４は、機械針計数システムの実施形態を図示する。
【図１８３】図１８２−１８４は、機械針計数システムの実施形態を図示する。
【図１８４】図１８２−１８４は、機械針計数システムの実施形態を図示する。
【０８５９】
【図１８５】図１８５は、染料ベースの針計数システムの実施形態を図示する。
【０８６０】
【図１８６】図１８６は、スキャナベースの針計数システムの実施形態を図示する。
【０８６１】
【図１８７】図１８７は、カメラベースの針計数システムの実施形態を図示する。
【０８６２】
【図１８８】図１８８は、圧力ベースの針計数システムの実施形態を図示する。
【０８６３】
【図１８９】図１８９は、遠隔監視を伴う針計数システムの実施形態を図示する。
【０８６４】
【図１９０】図１９０は、針保定器の実施形態を図示する。
【０８６５】
【図１９１】図１９１は、被覆された針保定器の実施形態を図示する。
【０８６６】
【図１９２】図１９２は、被覆された針保定器の実施形態を図示する。
【０８６７】
【図１９３】図１９３−１９４は、被覆された針保定器の実施形態を図示する。
【図１９４】図１９３−１９４は、被覆された針保定器の実施形態を図示する。
【０８６８】
【図１９５】図１９５は、磁気針保定器の実施形態を図示する。
【０８６９】
【図１９６】図１９６−１９７は、磁気および発泡針保定器の実施形態を図示する。
【図１９７】図１９６−１９７は、磁気および発泡針保定器の実施形態を図示する。
【０８７０】
【図１９８】図１９８は、磁気および発泡針保定器の実施形態を図示する。
【０８７１】
【図１９９】図１９９は、カバーおよび縫合パッククリップを伴う磁気針保定器の実施形態を図示する。
【０８７２】
【図２００】図２００−２０１は、挿入および回転針保定器の実施形態を図示する。
【図２０１】図２００−２０１は、挿入および回転針保定器の実施形態を図示する。
【０８７３】
【図２０２】図２０２は、挿入および回転針保定器の実施形態を図示する。
【０８７４】
【図２０３】図２０３−２０４は、針トラップの実施形態を図示する。
【図２０４】図２０３−２０４は、針トラップの実施形態を図示する。
【０８７５】
【図２０５】図２０５は、針保定器の実施形態を図示する。
【０８７６】
【図２０６】図２０６−２０９は、針保定システムの実施形態を図示する。
【図２０７】図２０６−２０９は、針保定システムの実施形態を図示する。
【図２０８】図２０６−２０９は、針保定システムの実施形態を図示する。
【図２０９】図２０６−２０９は、針保定システムの実施形態を図示する。
【０８７７】
【図２１０】図２１０−２１４は、モジュール式針保定システムの実施形態を図示する。
【図２１１】図２１０−２１４は、モジュール式針保定システムの実施形態を図示する。
【図２１２】図２１０−２１４は、モジュール式針保定システムの実施形態を図示する。
【図２１３】図２１０−２１４は、モジュール式針保定システムの実施形態を図示する。
【図２１４】図２１０−２１４は、モジュール式針保定システムの実施形態を図示する。
【０８７８】
【図２１５】図２１５−２１７は、モジュール式針保定システムの実施形態を図示する。
【図２１６】図２１５−２１７は、モジュール式針保定システムの実施形態を図示する。
【図２１７】図２１５−２１７は、モジュール式針保定システムの実施形態を図示する。
【０８７９】
【図２１８】図２１８−２１９は、ドーム型針保定器の実施形態を図示する。
【図２１９】図２１８−２１９は、ドーム型針保定器の実施形態を図示する。
【０８８０】
【図２２０】図２２０は、針保定器システムの実施形態を図示する。
【０８８１】
【図２２１】図２２１−２２２は、針保定器システムの実施形態を図示する。
【図２２２】図２２１−２２２は、針保定器システムの実施形態を図示する。
【０８８２】
【図２２３】図２２３−２２５は、挿入および回転針保定器の実施形態を図示する。
【図２２４】図２２３−２２５は、挿入および回転針保定器の実施形態を図示する。
【図２２５】図２２３−２２５は、挿入および回転針保定器の実施形態を図示する。
【０８８３】
【図２２６】図２２６−２２８は、挿入および回転針保定器の実施形態を図示する。
【図２２７】図２２６−２２８は、挿入および回転針保定器の実施形態を図示する。
【図２２８】図２２６−２２８は、挿入および回転針保定器の実施形態を図示する。
【０８８４】
【図２２９】図２２９−２３０は、挿入および回転針保定器の実施形態を図示する。
【図２３０】図２２９−２３０は、挿入および回転針保定器の実施形態を図示する。
【０８８５】
【図２３１】図２３１−２３２は、挿入および回転針保定器の実施形態を図示する。
【図２３２】図２３１−２３２は、挿入および回転針保定器の実施形態を図示する。
【０８８６】
【図２３３】図２３３−２３４は、前腕障壁上に搭載された挿入および回転針保定器の実施形態を図示する。
【図２３４】図２３３−２３４は、前腕障壁上に搭載された挿入および回転針保定器の実施形態を図示する。
【０８８７】
【図２３５】図２３５は、障壁の実施形態の上面図を図示する。
【０８８８】
【図２３６】図２３６は、前腕上に留置された障壁の実施形態の上面斜視図を図示する。
【０８８９】
【図２３７】図２３７は、障壁の実施形態の底面図を図示する。
【０８９０】
【図２３８】図２３８は、障壁の実施形態の側面図を図示する。
【０８９１】
【図２３９】図２３９−２４１は、障壁上に搭載された針トラップおよび縫合パックを伴う障壁の実施形態の上面斜視図を図示する。
【図２４０】図２３９−２４１は、障壁上に搭載された針トラップおよび縫合パックを伴う障壁の実施形態の上面斜視図を図示する。
【図２４１】図２３９−２４１は、障壁上に搭載された針トラップおよび縫合パックを伴う障壁の実施形態の上面斜視図を図示する。
【０８９２】
【図２４２】図２４２−２４４は、針保定器、縫合パッククリップ、および道具ホルダを伴う障壁の実施形態の上面斜視図を図示する。
【図２４３】図２４２−２４４は、針保定器、縫合パッククリップ、および道具ホルダを伴う障壁の実施形態の上面斜視図を図示する。
【図２４４】図２４２−２４４は、針保定器、縫合パッククリップ、および道具ホルダを伴う障壁の実施形態の上面斜視図を図示する。
【０８９３】
【図２４５】図２４５−２４８は、道具搭載界面に結合された針保持および縫合パッククリップアセンブリの実施形態の斜視図を図示する。
【図２４６】図２４５−２４８は、道具搭載界面に結合された針保持および縫合パッククリップアセンブリの実施形態の斜視図を図示する。
【図２４７】図２４５−２４８は、道具搭載界面に結合された針保持および縫合パッククリップアセンブリの実施形態の斜視図を図示する。
【図２４８】図２４５−２４８は、道具搭載界面に結合された針保持および縫合パッククリップアセンブリの実施形態の斜視図を図示する。
【０８９４】
【図２４９】図２４９は、障壁の実施形態の上面図を図示する。
【０８９５】
【図２５０】図２５０−２５２は、障壁を前腕に固着するための方法の実施形態を図示する。
【図２５１】図２５０−２５２は、障壁を前腕に固着するための方法の実施形態を図示する。
【図２５２】図２５０−２５２は、障壁を前腕に固着するための方法の実施形態を図示する。
【０８９６】
【図２５３】図２５３は、障壁上に搭載された針トラップおよび縫合パックキャリアの実施形態の上面図を図示する。
【０８９７】
【図２５４】図２５４は、障壁の実施形態の底面図を図示する。
【０８９８】
【図２５５】図２５５−２５６は、前腕上に留置された障壁の実施形態を図示する。
【図２５６】図２５５−２５６は、前腕上に留置された障壁の実施形態を図示する。
【０８９９】
【図２５７】図２５７は、手術道具に結合された道具搭載界面を有する、針トラップアセンブリの実施形態の斜視図を図示する。
【０９００】
【図２５８】図２５８は、手術道具に結合された道具搭載界面を有する、針トラップアセンブリの実施形態の前面図を図示する。
【０９０１】
【図２５９】図２５９は、手術道具に結合された道具搭載界面を有する、針トラップアセンブリの実施形態の側面図を図示する。
【０９０２】
【図２６０】図２６０は、道具搭載界面を有する、針トラップアセンブリの実施形態の分解斜視図を図示する。
【０９０３】
【図２６１】図２６１は、袖に取り付けられた障壁を有する、手術衣の実施形態の前面図を図示する。
【０９０４】
【図２６２】図２６２は、障壁を有する袖の実施形態の側面図を図示する。
【０９０５】
【図２６３】図２６３−２６５は、手術衣の布地に結合された障壁の断面図を図示する。
【図２６４】図２６３−２６５は、手術衣の布地に結合された障壁の断面図を図示する。
【図２６５】図２６３−２６５は、手術衣の布地に結合された障壁の断面図を図示する。
【０９０６】
【図２６６】図２６６−２６７は、ブレードリングの実施形態を図示する。
【図２６７】図２６６−２６７は、ブレードリングの実施形態を図示する。
【０９０７】
【図２６８】図２６８は、ブレードリングの実施形態を図示する。
【０９０８】
【図２６９】図２６９−２７１は、手術道具キャップ縫合糸カッタの実施形態を図示する。
【図２７０】図２６９−２７１は、手術道具キャップ縫合糸カッタの実施形態を図示する。
【図２７１】図２６９−２７１は、手術道具キャップ縫合糸カッタの実施形態を図示する。
【０９０９】
【図２７２】図２７２−２７３は、統合された縫合糸カッタを有する、手術道具の実施形態を図示する。
【図２７３】図２７２−２７３は、統合された縫合糸カッタを有する、手術道具の実施形態を図示する。
【０９１０】
【図２７４】図２７４は、手術道具搭載型鋏の実施形態を図示する。
【０９１１】
【図２７５】図２７５−２７８は、格納式ケーブル搭載型鋏の実施形態を図示する。
【図２７６】図２７５−２７８は、格納式ケーブル搭載型鋏の実施形態を図示する。
【図２７７】図２７５−２７８は、格納式ケーブル搭載型鋏の実施形態を図示する。
【図２７８】図２７５−２７８は、格納式ケーブル搭載型鋏の実施形態を図示する。
【０９１２】
【図２７９】図２７９−２８０は、障壁搭載型縫合糸カッタの実施形態を図示する。
【図２８０】図２７９−２８０は、障壁搭載型縫合糸カッタの実施形態を図示する。
【０９１３】
【図２８１】図２８１は、安全被内の鋏の実施形態を図示する。
【０９１４】
【図２８２】図２８２−２８５は、縫合糸カッタの実施形態を図示する。
【図２８３】図２８２−２８５は、縫合糸カッタの実施形態を図示する。
【図２８４】図２８２−２８５は、縫合糸カッタの実施形態を図示する。
【図２８５】図２８２−２８５は、縫合糸カッタの実施形態を図示する。
【０９１５】
【図２８６】図２８６−２８９は、手術用手袋の異なる実施形態を図示する。
【図２８７】図２８６−２８９は、手術用手袋の異なる実施形態を図示する。
【図２８８】図２８６−２８９は、手術用手袋の異なる実施形態を図示する。
【図２８９】図２８６−２８９は、手術用手袋の異なる実施形態を図示する。
【０９１６】
【図２９０】図２９０は、針トラップの実施形態の断面側面図を図示する。
【０９１７】
【図２９１】図２９１は、針トラップの実施形態の前面図を図示する。
【０９１８】
【図２９２】図２９２は、針トラップの実施形態の断面側面図を図示する。
【０９１９】
【図２９３】図２９３は、針トラップの実施形態の前面図を図示する。
【０９２０】
【図２９４】図２９４−２９７は、針トラップの実施形態の断面側面図を図示する。
【図２９５】図２９４−２９７は、針トラップの実施形態の断面側面図を図示する。
【図２９６】図２９４−２９７は、針トラップの実施形態の断面側面図を図示する。
【図２９７】図２９４−２９７は、針トラップの実施形態の断面側面図を図示する。
【０９２１】
【図２９８】図２９８は、針トラップの実施形態の前面図を図示する。
【０９２２】
【図２９９】図２９９は、針トラップの実施形態の断面側面図を図示する。
【０９２３】
【図３００】図３００は、針トラップの実施形態の前面図を図示する。
【０９２４】
【図３０１】図３０１−３０２は、針トラップの実施形態の断面側面図を図示する。
【図３０２】図３０１−３０２は、針トラップの実施形態の断面側面図を図示する。
【０９２５】
【図３０３】図３０３は、針トラップの実施形態の断面側面図を図示する。
【０９２６】
【図３０４】図３０４は、針トラップの実施形態の前面図を図示する。
【０９２７】
【図３０５】図３０５−３０６は、針トラップの実施形態の断面側面図を図示する。
【図３０６】図３０５−３０６は、針トラップの実施形態の断面側面図を図示する。
【０９２８】
【図３０７】図３０７は、統合された縫合針分配および収納装置の例示的実施形態を図示する。
【０９２９】
【図３０８】図３０８は、実施形態による、滅菌縫合キットのブロック図である。
【０９３０】
【図３０９】図３０９は、障壁搭載基部に結合される縫合パックおよび針受器を示す。
【０９３１】
【図３１０】図３１０は、図３０９におけるような針受器を示す。図３１０は、完全に組み立てられた構成における針受器の上斜図を示す。
【０９３２】
【図３１１】図３１１は、針が障壁搭載基部に結合されている、針受器の上分解図を示す。
【０９３３】
【図３１２】図３１２は、図３１０および３１１におけるような針が障壁搭載基部に結合されている、針受器の底分解図を示す。
【０９３４】
【図３１３】図３１３は、図３１２におけるような針受器の上シェルの上斜図を示す。
【０９３５】
【図３１４】図３１４は、図３１３におけるような上シェルの下斜図を示す。
【０９３６】
【図３１５】図３１５は、図３１４におけるような上シェルの拡大下斜図を示す。
【０９３７】
【図３１６】図３１６は、図３１０におけるような針受器の底シェルの上斜図を示す。
【０９３８】
【図３１７】図３１７は、図３１６におけるような底シェルの下斜図を示す。下持針器スロットは、針受器の長軸に沿って延在して示される。
【０９３９】
【図３１８】図３１８は、圧縮部材がその上に留置されている、図３１７におけるような底シェルの上斜図を示す。
【０９４０】
【図３１９】図３１９は、圧縮部材を伴わない、図３１０におけるような上および底シェルの縦方向断面図を示す。
【０９４１】
【図３２０】図３２０は、図３１０に示されるような針受器のための横方向断面図における針を伴う、完全に組み立てられた針受器を示す。
【０９４２】
【図３２１】図３２１は、図３１０におけるような針受器の中に位置付けられる針の前進を示す。
【０９４３】
【図３２２】図３２２Ａおよび３２２Ｂは、針受器内に安定された針を示す。
【０９４４】
【図３２３】図３２３は、図３１０におけるような針受器の寸法を示す。針受器は、寸法を伴って示される持針器スロットの断面寸法を備える。
【０９４５】
【図３２４】図３２４Ａおよび３２４Ｂは、図３１０に類似する筐体とともに画定された針含有溝を示す。
【０９４６】
【図３２５】図３２５Ａ−３２５Ｃは、図３２４Ａにおけるような針受器内に留置された針を示す。
【０９４７】
【図３２６】図３２６Ａ−３２６Ｄは、例えば、図３１０および３２４を参照して本明細書に説明されるような針受器内に留置された針を示す。
【０９４８】
【図３２７Ａ】図３２７Ａは、例えば、図３１０および３２４を参照した持針器スロットの溝に沿った歯止めを示す。
【０９４９】
【図３２７Ｂ】図３２７Ｂは、持針器スロットに沿った可変開口を示す。
【０９５０】
【図３２８】図３２８は、外科医の左前腕上に留置するための対掌性障壁を示す。
【０９５１】
【図３２９】図３２９は、熱形成に先立った図３２８の障壁の上平面図を示す。
【０９５２】
【図３３０】図３３０は、予形成された障壁の軸を示す。
【０９５３】
【図３３１】図３３１は、障壁の近位端から障壁の遠位端に向かっての図を示す。
【０９５４】
【図３３２】図３３２は、対掌性障壁の構造を図式的に図示する。
【０９５５】
【図３３３】図３３３は、障壁の外面外形および障壁の中心の湾曲経路を示す。
【０９５６】
【図３３４】図３３４Ａ−３３４Ｃは、本明細書に説明されるような針取扱システムの使用を図示する。
【０９５７】
【図３３５】図３３５は、持針器スロットのためのカバーを備える、針受器の例示的実施形態を図示する。
【０９５８】
【図３３６】図３３６は、持針器スロットのためのカバーを備える、針受器の別の例示的実施形態を図示する。
【０９５９】
【図３３７】図３３７Ａ−３３７Ｄは、持針器スロットのためのカバーを備える、針受器の別の例示的実施形態を図示する。
【０９６０】
【図３３８】図３３８は、持針器スロットのための圧縮カバーを備える、針受器の例示的実施形態を図示する。
【０９６１】
【図３３９】図３３９は、持針器スロットのための圧縮カバーを備える、針受器の別の例示的実施形態を図示する。
【０９６２】
【図３４０Ａ】図３４０Ａ−３４０Ｃは、持針器スロットのための圧縮カバーを備える、針受器の別の例示的実施形態を図示する。
【図３４０Ｂ】図３４０Ａ−３４０Ｃは、持針器スロットのための圧縮カバーを備える、針受器の別の例示的実施形態を図示する。
【図３４０Ｃ】図３４０Ａ−３４０Ｃは、持針器スロットのための圧縮カバーを備える、針受器の別の例示的実施形態を図示する。
【０９６３】
【図３４１】図３４１Ａ−３４１Ｃは、背面照明付き針受器の例示的実施形態を図示する。
【０９６４】
【図３４２】図３４２Ａ−３４２Ｆは、針受器の持針器スロットの種々の構成を図式的に図示する。
【０９６５】
【図３４３−１】図３４３Ａ−３４３Ｇは、スエージ加工針を分配および収納するためのスエージ加工針用デバイスの例示的実施形態を図示する。
【図３４３−２】図３４３Ａ−３４３Ｇは、スエージ加工針を分配および収納するためのスエージ加工針用デバイスの例示的実施形態を図示する。
【０９６６】
【図３４４】図３４４Ａ−３４４Ｃは、道具搭載型針受器の例示的実施形態を図示する。
【０９６７】
【図３４５−１】図３４５Ａ−３４５Ｄは、道具搭載型針受器の別の例示的実施形態を図示する。
【図３４５−２】図３４５Ａ−３４５Ｄは、道具搭載型針受器の別の例示的実施形態を図示する。
【０９６８】
【図３４６】図３４６は、多くの実施形態による、複数の針を収納するためのデバイスの例示的実施形態を図示する。
【０９６９】
【図３４７】図３４７Ａ−３４７Ｄは、多くの実施形態による、複数の針を収納するためのデバイスの例示的実施形態を図示する。
【０９７０】
【図３４８】図３４８Ａ−３４８Ｂは、多くの実施形態による、複数の針を収納するためのデバイスの例示的実施形態を図示する。
【０９７１】
【図３４９】図３４９Ａ−３４９Ｂは、多くの実施形態による、複数の針を収納するためのデバイスの例示的実施形態を図示する。
【０９７２】
【図３５０】図３５０Ａ−３５０Ｂは、多くの実施形態による、複数の針を収納するためのデバイスの例示的実施形態を図示する。
【０９７３】
【図３５１】図３５１Ａ−３５１Ｃは、多くの実施形態による、複数の針を収納するためのデバイスの例示的実施形態を図示する。
【０９７４】
【図３５２】図３５２Ａ−３５２Ｃは、多くの実施形態による、複数の針を収納するためのデバイスの例示的実施形態を図示する。
【０９７５】
【図３５３】図３５３は、多くの実施形態による、針を収納するためのクリップアセンブリの例示的実施形態を図示する。
【０９７６】
【図３５４】図３５４Ａ−３５４Ｇは、多くの実施形態による、複数の針を収納するためのデバイスの例示的実施形態を図示する。
【０９７７】
【図３５５】図３５５Ａ−３５５Ｂは、多くの実施形態による、複数の針を収納するためのデバイスの例示的実施形態を図示する。
【０９７８】
【図３５６】図３５６は、多くの実施形態による、複数の針を収納するためのデバイスの例示的実施形態を図示する。
【０９７９】
【図３５７】図３５７Ａ−３５７Ｃは、多くの実施形態による、複数の針を収納するためのデバイスの例示的実施形態を図示する。
【０９８０】
【図３５８】図３５８は、多くの実施形態による、複数の針を収納するためのデバイスの例示的実施形態を図示する。
【０９８１】
【図３５９】図３５９は、多くの実施形態による、針を収納するためのデバイスの例示的実施形態を図示する。
【０９８２】
【図３６０】図３６０Ａ−３６０Ｃは、多くの実施形態による、複数の針を収納するためのデバイスの例示的実施形態を図示する。
【０９８３】
【図３６１Ａ】図３６１Ａは、多くの実施形態による、複数の針を収納するためのデバイスの例示的実施形態を図示する。
【０９８４】
【図３６１Ｂ】図３６１Ｂは、多くの実施形態による、複数の針を収納するためのデバイスの例示的実施形態を図示する。
【０９８５】
【図３６２】図３６２Ａ−３６２Ｄは、回転可能カバーを伴う針受器の実施形態を図示する。
【０９８６】
【図３６３】図３６３は、回転可能カバーを伴う針受器の別の実施形態を図示する。
【０９８７】
【図３６４】図３６４は、回転可能カバーを伴う針受器の別の実施形態を図示する。
【０９８８】
【図３６５】図３６５Ａ−３６５Ｄは、回転可能カバーを備える、スエージ加工針を分配および収納するためのスエージ加工針用デバイスの例示的実施形態を図示する。
【０９８９】
【図３６６】図３６６Ａ−３６６Ｃは、統合された縫合針分配および収納装置の例示的実施形態を図示する。
【０９９０】
【図３６７】図３６７は、縫合針分配デバイスの例示的実施形態を図示する。
【０９９１】
【図３６８】図３６８Ａ−３６８Ｂは、針受器を縫合パッケージに結合するための例示的構成を図示する。
【０９９２】
【図３６９】図３６９Ａ−３６９Ｃは、針受器を針分配ユニットに結合するための別の例示的構成を図示する。
【０９９３】
【図３７０Ａ】図３７０Ａは、障壁上に搭載される針分配ユニットおよび針受器の例示的構成を図式的に図示する。
【０９９４】
【図３７０Ｂ】図３７０Ｂは、障壁上に搭載される針分配ユニットおよび針受器の別の例示的構成を図式的に図示する
【０９９５】
【図３７１】図３７１Ａ−３７１Ｂは、障壁上に搭載される針受器の例示的構成を図示する。
【０９９６】
【図３７２】図３７２Ａ−３７２Ｂは、本明細書に説明される針取扱システムと併用される市販の縫合パッケージのために提供され得る、例示的ラベルを図示する。
【０９９７】
【図３７３】図３７３Ａ−３７３Ｂは、摺動式縦方向パネルを備える、前腕障壁の例示的実施形態を図示する。
【０９９８】
【図３７４】図３７４Ａ−３７４Ｂは、摺動式Ｃ形状区分または「ブレスレット」を備える、前腕障壁の例示的実施形態を図示する。
【０９９９】
【図３７５】図３７５は、電気的に給電される手術道具のための１つまたはそれを上回る差込口を備える、障壁を図示する。
【１０００】
【図３７６】図３７６Ａ−３７６Ｄは、１つまたはそれを上回る手術道具を支持するための１つまたはそれを上回る道具ループを備える、障壁を図示する。
【１００１】
【図３７７】図３７７Ａ−３７７Ｂは、統合された前腕障壁を備える、手術衣の例示的実施形態を図示する。
【１００２】
【図３７８】図３７８Ａ−３７８Ｂは、本明細書に説明されるような針取扱システムとの組み込みに好適な例示的多段式デバイスを図示する。
【１００３】
【図３７９】図３７９Ａ−３７９Ｃは、縫合糸取扱システムのための例示的キットを図示する。
【１００４】
【図３８０】図３８０Ａ−３８０Ｂは、本明細書に説明されるような針取扱システムとの組み込みに好適な例示的針受器を図示する。
【１００５】
【図３８１】図３８１Ａ−３８１Ｂは、本明細書に説明されるような針取扱システムとの組み込みに好適な例示的針受器を図示する。
【１００６】
【図３８２】図３８２Ａ−３８２Ｄは、図３８０Ａ−３８１Ｂにおけるような針受器の随意の構成を図示する。
【１００７】
【図３８３】図３８３Ａ−３８３Ｃは、複数の針を順序付けられたアレイにおいて格納するように構成される、例示的針受器を示す。
【１００８】
【図３８４】図３８４Ａ−３８４Ｂは、複数の針を順序付けられたアレイにおいて格納するように構成される、別の例示的針受器を示す。
【１００９】
【図３８５】図３８５Ａ−３８５Ｂは、多くの実施形態による、複数の針を収納するためのデバイスの例示的実施形態を図示する。
【１０１０】
【図３８６】図３８６Ａ−３８６Ｂは、多くの実施形態による、複数の針を収納するためのデバイスの例示的実施形態を図示する。
【１０１１】
【図３８７】図３８７Ａ−３８７Ｄは、本明細書に説明されるような針取扱システムとの組み込みに好適な例示的内部ばね仕切の縦方向断面図を図示する。
【１０１２】
【図３８８】図３８８は、本明細書に説明されるような針取扱システムとの組み込みに好適な複数の針を収納するためのデバイスの例示的実施形態の縦方向断面図を図示する。
【１０１３】
【図３８９】図３８９Ａ−３８９Ｂは、多くの実施形態による、内部フィラメントを備える、複数の針を収納するためのデバイスの例示的実施形態を図示する。
【１０１４】
【図３９０】図３９０Ａ−３９０Ｅは、本明細書に説明されるような針取扱システムとの組み込みに好適な持針器スロットカバーの例示的実施形態を図示する。
【１０１５】
【図３９１】図３９１Ａ−３９１Ｂは、多くの実施形態による、歯止めカバーを伴う、複数の針を収納するためのデバイスの例示的実施形態を図示する。
【１０１６】
【図３９２】図３９２Ａ−３９２Ｆは、多くの実施形態による、複数の針を収納するためのデバイスの例示的実施形態を図示する。
【１０１７】
【図３９２Ａ−１】図３９２Ａ１−３９２Ａ１２は、多くの実施形態による、複数の針を収納するためのデバイスの例示的実施形態を図示する。
【図３９２Ａ−２】図３９２Ａ１−３９２Ａ１２は、多くの実施形態による、複数の針を収納するためのデバイスの例示的実施形態を図示する。
【１０１８】
【図３９２Ｂ】図３９２Ｂ１−３９２Ｂ５は、多くの実施形態による、複数の針を収納するためのデバイスの例示的実施形態を図示する。
【１０１９】
【図３９３】図３９３Ａ−３９３Ｂは、多くの実施形態による、複数の針を収納するためのデバイスの例示的実施形態を図示する。
【１０２０】
【図３９４】図３９４は、多くの実施形態による、複数の針を収納するためのデバイスの例示的実施形態を図示する。
【１０２１】
【図３９５】図３９５は、多くの実施形態による、複数の針を収納するためのデバイスの例示的実施形態を図示する。
【１０２２】
【図３９６】図３９６は、多くの実施形態による、複数の針を収納するためのデバイスの例示的実施形態を図示する。
【１０２３】
【図３９７】図３９７Ａ−３９７Ｂは、多くの実施形態による、複数の針を分配および収納するためのデバイスの例示的実施形態を図示する。
【１０２４】
【図３９８】図３９８Ａ−３９８Ｄは、多くの実施形態による、複数の針を分配および収納するために障壁に搭載される針分配器および針トラップを伴う、障壁搭載基部の例示的実施形態を図示する。
【１０２５】
【図３９９】図３９９Ａ−３９９Ｄは、多くの実施形態による、１本またはそれを上回るスエージ加工針を分配するためのデバイスの例示的実施形態を図示する。
【１０２６】
【図４００】図４００Ａ−４００Ｄは、多くの実施形態による、１本またはそれを上回るスエージ加工針を分配するためのデバイスの例示的実施形態を図示する。
【１０２７】
【図４０１】図４０１Ａ−４０１Ｃは、多くの実施形態による、複数の針を分配および／または収納するための１つまたはそれを上回るデバイスを搭載するための基部の例示的実施形態を図示する。
【１０２８】
【図４０２】図４０２Ａ−４０２Ｃは、多くの実施形態による、複数の針を分配および／または収納するための１つまたはそれを上回るデバイスを搭載するための基部の例示的実施形態を図示する。
【１０２９】
【図４０３】図４０３Ａ−４０３Ｃは、多くの実施形態による、複数の針を分配および／または収納するための１つまたはそれを上回るデバイスを搭載するための基部の例示的実施形態を図示する。
【１０３０】
【図４０４】図４０４Ａ−４０４Ｃは、多くの実施形態による、複数の針を分配および／または収納するための１つまたはそれを上回るデバイスを搭載するための基部の例示的実施形態を図示する。
【１０３１】
【図４０５】図４０５Ａ−４０５Ｂは、多くの実施形態による、複数の針を分配および／または収納するための１つまたはそれを上回るデバイスを搭載するための基部の例示的搭載位置を図示する。
【１０３２】
【図４０６】図４０６Ａ−４０６Ｃは、多くの実施形態による、複数の針を分配および／または収納するための１つまたはそれを上回るデバイスを含む、例示的キットを図示する。
【１０３３】
【図４０７】図４０７−４１３は、多くの実施形態による、針受器の例示的実施形態を図示する。
【図４０８】図４０７−４１３は、多くの実施形態による、針受器の例示的実施形態を図示する。
【図４０９】図４０７−４１３は、多くの実施形態による、針受器の例示的実施形態を図示する。
【図４１０】図４０７−４１３は、多くの実施形態による、針受器の例示的実施形態を図示する。
【図４１１】図４０７−４１３は、多くの実施形態による、針受器の例示的実施形態を図示する。
【図４１２】図４０７−４１３は、多くの実施形態による、針受器の例示的実施形態を図示する。
【図４１３】図４０７−４１３は、多くの実施形態による、針受器の例示的実施形態を図示する。
【１０３４】
【図４１４】図４１４−４１８は、多くの実施形態による、針受器の例示的実施形態を図示する。
【図４１５】図４１４−４１８は、多くの実施形態による、針受器の例示的実施形態を図示する。
【図４１６】図４１４−４１８は、多くの実施形態による、針受器の例示的実施形態を図示する。
【図４１７】図４１４−４１８は、多くの実施形態による、針受器の例示的実施形態を図示する。
【図４１８】図４１４−４１８は、多くの実施形態による、針受器の例示的実施形態を図示する。
【発明を実施するための形態】
【１０３５】
本発明は、手術室の効率を向上させるためのシステムおよび方法を対象とする。本明細書に開示される実施形態は、以前の縫合パック、以前の針ホルダ、ならびに以前の手術室および人員等の多くの以前のシステムならびに方法との組み合わせに非常に適している。
【１０３６】
使用済み針コンテナの中の使用済みの針の留置が具体的に参照されるが、本明細書に開示される実施形態は、例えば、患者を縫合することなく、縫合パックから分配され、使用済み針コンテナの中に留置される針とともに使用するためにも非常に適している。
【１０３７】
定義：
【１０３８】
安全確保−針は、針の先端が滅菌状態を損なれないように、または患者もしくは外科スタッフの皮膚と接触しないように防止される、安全手段である。鋭利部コンテナとともに使用されるとき、使用済みの針は、コンテナから外に落下しないように物理的に収納される。鋭利部は、患者もしくは外科スタッフの皮膚を穿刺し得る、１つまたはそれを上回る鋭利表面を有する、針および道具もしくは他の物体を含むことができる。
【１０３９】
多くの実施形態では、本明細書に説明されるような安全針は、針の前端および終端の両方または先端が、皮膚、手袋、外科スタッフの手術用衣服、手術用ドレープ、もしくは患者に接触しないように防止するように収納される。
【１０４０】
本明細書で使用されるように、文字および数字等の類似文字は、類似要素を指す。
【１０４１】
本明細書に開示されるように、使用済みの縫合針は、縫合パックから分配される縫合針を包含する。
【１０４２】
本明細書で使用されるように、「持針器」および「針ホルダ」という用語は、同義的に使用される。
【１０４３】
本明細書で使用されるように、「装備された縫合糸」および「装備された針」という用語は、同義的に使用される。
【１０４４】
本明細書で使用されるように、「使用済み針ホルダ」、「針受器」、「使用済み針受器」、「使用済み縫合針受器」、「鋭利部コンテナ」、「針トラップ」、および「針受器手段」という用語は、同義的に使用される。
【１０４５】
本明細書で使用されるように、「縫合パッケージ」、「縫合パック」、および「縫合パッケージ手段」という用語は、同義的に使用される。
【１０４６】
本明細書で使用されるように、「障壁」および「障壁手段」という用語は、同義的に使用される。
【１０４７】
本明細書で使用されるように、「支持体」および「支持手段」という用語は、同義的に使用される。
【１０４８】
本明細書で使用されるように、「プラットフォーム」および「プラットフォーム手段」という用語は、同義的に使用される。
【１０４９】
本明細書で使用されるように、「収納する」とは、崩壊し、緩くなり、または紛失しないよう、固定もしくは締結されることを意味する。
【１０５０】
本明細書で使用されるように、「非侵害性」とは、人間の指と接触できないことを意味する。
【１０５１】
手術室効率を向上させるための１つのアプローチは、外科助手への外科医の依存を低減させることである。例えば、外科的手技は、外科的手技を行い、次いで、手技が完了した後に患者の外科的切開部を閉鎖することを含むことができる。閉鎖は、概して、手術後に患者の身体組織をともに保持するように、手術用縫合糸を設置することを含む。本外科的縫合手技は、針パッケージおよび持針器の中に格納される、縫合糸を装填された針を含むことができる。必要とされるとき、外科医は、把持して縫合パッケージから針を除去するために持針器を使用する。針先は、肌に圧入され、表面に出てくるまで針の湾曲の軌道に沿って前進させられ、引き抜かれる。次いで、追従糸は、結び目、通常、小間結びまたは外科医結びに縛られる。理想的には、縫合糸は、血液供給が妨害され、したがって、感染症および瘢痕を増加させ得るため、皮膚の圧痕または白化を引き起こすことなく、創傷縁を引き合わせる。留置は、場所に基づいて変動するが、各縫合糸の間の距離は、概して、縫合糸から創傷縁までの距離に等しい。最も一般的な縫合は、各個々の縫合の間で縫合糸が切断される、単純な断続縫合である。各縫合が別個の針を必要とし得、患者が多くの縫合を必要とし得るため、外科医は、多くの異なる針を取り扱う必要があり得る。針のサイズおよび形状もまた、患者の必要性に応じて変動し得る。
【１０５２】
実施形態では、本発明は、患者の手術創傷を閉鎖するときに助手が針を外科医に提供する必要性を排除することによって、効率を向上させるためのシステムを対象とする。針穴付きまたは再利用可能針は、それらの縫合糸とは別個に供給される、孔または針穴を伴う針である。縫合糸は、家庭で裁縫するときに行われるように、現場で通されなければならない。これの利点としては、手元の業務に適するように任意の糸および針の組み合わせが可能である。縫合糸を伴う、スエージ加工された、すなわち、非外傷性の針は、具体的な長さの縫合糸に取り付けられた、事前パッケージされた針穴のない針を備える。縫合糸製造業者は、工場で縫合糸を針穴のない非外傷性針にスエージ加工する。これの最重要利点としては、医師または看護師が、非常に細い針および縫合糸にとっては非常に困難であり得る、針上で縫合糸を通すことに時間を費やす必要がないことである。また、スエージ加工針の縫合端は、針本体より狭く、糸取付部位からの抗力を排除する。針穴付きの針では、糸が両側で針本体から突出し、善処しても、抗力を引き起こす。したがって、脆い組織を通過するとき、針穴付きの針および縫合糸の組み合わせが、スエージ加工針よりも組織を傷つけるため、後者を「非外傷性」と指定する。
【１０５３】
手術用針のいくつかの形状およびサイズがある。これらは、直線、１／４円、３／８円、１／２円、５／８円、複合湾曲、半湾曲（スキーとしても知られている）、直線区画の両端における半湾曲（カヌーとしても知られている）等を含む。１／２円針形状のサブタイプは、より大きいサイズからより小さいサイズまで、ＣＴ、ＣＴ−１、ＣＴ−２、およびＣＴ−３を含む。スキーおよびカヌー針設計は、器具が狭いカニューレを通して腹腔の中に挿入される、腹腔鏡手術で使用されるために、湾曲針が十分に直線であることを可能にする。針はまた、それらの先端幾何学形状によって分類されてもよく、実施例は、テーパ状（針本体が丸く、先まで円滑にテーパ状になる）、切断式（針本体が三角形であって、内側湾曲上に尖った切断刃を有する）、逆切断式（外側の切断刃）、トロカール先またはテーパ状切込（針本体が丸くてテーパ状であるが、小さい三角形の切断先で終端する）、脆い組織を縫合するための鈍的先端、眼の手術用の側面切断またはスパチュラ先（上部および底部が平坦であって、前に沿って一方の側面まで切断刃を伴う）等を含む。非外傷性針は、恒久的に縫合糸にスエージ加工されてもよく、または強くまっすぐ引っ張ることにより縫合糸から外れるように設計されてもよい。これらの「繰出」は、各縫合糸が一度だけ通過させられ、次いで、縛られる、断続縫合に一般的に使用されている。
【１０５４】
実施形態では、手術室効率は、外科医が縫合針を持針器に装填することを可能にすることによって向上させられることができる。外科医が、持針器を保持するために利き側の肢を使用してもよく、１つまたはそれを上回る縫合パケットが、外科医の非利き側の肢に取り付けられることができる。次いで、外科医は、非利き手上の縫合パケットから新しい縫合針を把持することができる。
【１０５５】
例えば、ユーザが右利きである場合、外科医は、縫合パッケージを左腕または手に取り付け、持針器を取り扱うために右手を使用してもよい。ユーザは、持針器を用いて針の一部を把持し、縫合パッケージから針を除去することができる。次いで、ユーザは、患者の肌に針先を圧入するために、持針器を使用することができる。針は、肌から出現し、針および縫合糸が引き抜かれるまで、針の湾曲の軌道に沿って前進させられる。次いで、追従糸は、結び目、通常、小間結びまたは外科医結びに縛られる。
【１０５６】
米国では、毎年１０億回以上の針のやりとりがあると推定されている。この高い針の使用量は、重篤な傷害のリスクをもたらす。本発明のシステムは、針が外科医のみによって取り扱われるため、本リスクを低減させる。外科人員の間の鋭利な針の手渡しの回数が削減されるため、偶発的に針を落とすこと、ドレープ貫通、または患者内の残留異物の可能性がより少なくなる。
【１０５７】
図１Ａおよび１Ｂは、手術野ならびに近傍手術野を図示する。図１Ａは、実施形態による方法および装置を使用して、近傍手術野内で手術を行う外科医の斜視図を図示し、図１Ｂは、上面図を図示する。図１Ａの外科医は、左の非利き手で組織鉗子を保持しながら、右の利き手で持針器を保持して示されている。実施形態による縫合糸取扱装置は、外科医の非利き手の左前腕上に搭載されて示されている。図１Ｂの外科医は、右の非利き手で組織鉗子を保持しながら、左の利き手で持針器を保持して示されている。実施形態による縫合糸取扱装置は、外科医の非利き手の右前腕上に搭載されて示されている。図１Ａおよび１Ｂに示されるように、本明細書に説明されるような縫合糸取扱装置は、外科医が右利きであるか左利きであるかにかかわらず、外科医が利き側の肢を使用して手術のための操作を行い得るように、外科医の非利き手の上で支持されることができる。本構成は、外科医または他のユーザが、針を縫合パックから創傷（外科的切開部等）まで２フィート未満および創傷から針受器まで２フィート未満移動させることを可能にすることができる。分配から縫合かつ収納までの縫合糸の本減少された範囲の進行は、改良された安全性を提供する。
【１０５８】
「手術野」は、患者および外科医が手術中に位置する手術室内の空間を含むことができる。「近傍手術野」３１３は、患者３１５上の切開部３１７および外科医に近接近している、はるかに小さい空間であり得る。近傍手術野３１３は、外科医３１９と切開部３１７との間に配置された空間を備えてもよい。例えば、近傍手術野は、外科医と患者の切開部との間に延在する長さ３１６と、長さに対して垂直に延在する幅３１８とを備えることができ、幅は、横断して約２４インチ（６１ｃｍ）以下を含む。近傍手術野全体はまた、外科医３１９の視野３１１内にあり得る。
【１０５９】
近傍手術野は、外科医が近傍手術野内に位置付けられた物体に手を伸ばすために、中立の位置を越えた腕または肩の外旋が必要ではないように、外科医の腕の中立面３２０によって境界される空間として概念化されてもよい。例えば、近傍手術野は、外科医の腕がある程度の屈曲を保ち、（図２Ｂの矢印３２２によって示される方向に）中立面３２０から内部に回転し得る、空間を備えることができる。多くの場合、外科医の腕は、例えば、腕が脇に位置付けられ、肘が約９０度に屈曲した、中立位置にあり得る。本中立位置から、近傍手術野３１３は、肘の縁から指先までの間および指先を約６インチ越えた空間を備えることができる。概して、外科医は、近傍手術野内に位置付けられた物体に手を伸ばすために、粗大運動制御に従事する必要がない。一方で、近傍手術野の外側に位置付けられた物体に手を伸ばすために、外科医は、概して、粗大運動制御に従事するように要求されるであろう。外科医が、通常、手術の実施中に微細運動制御のみに従事するため、外科医のワークフローの中断を防止するために、外科医は、手術中に近傍手術野の外側に位置付けられた物体に手を伸ばすように要求されないことが望ましい。外科医と助手との間で個々の縫合針を渡すという実践は、多くの場合、近傍手術野の外側に手を伸ばすように外科医に要求し、したがって、針を渡す間に針刺し傷害のリスクに外科医および助手の両方を暴露することに加えて、外科医のワークフローを中断する。
【１０６０】
図１Ａおよび１Ｂに示されるように、本明細書に説明される実施形態は、近傍手術野の中ならびに外に個々の縫合針を通過させる必要なく、外科医３１９が近傍手術野３１３内で作業することを可能にすることができる。外科医は、図１Ａおよび２Ｂで外科医３１９の掌側前腕上に搭載されて示される、本明細書に説明されるようなプラットフォーム１４５を備える、支持体を具備することができる。プラットフォーム１４５は、例えば、縫合パック１０１および分配された針の針受器１５７を支持することができる。多くの実施形態では、プラットフォーム１４５が縫合糸を設置するために外科医３１９によって使用されるとき、プラットフォーム１４５、切開部３１７、および手術道具２０１は全て、例えば、近傍手術野３１３ならびに外科医３１９の視野３１３内にあろう。多くの実施形態では、近傍手術野３１３は、切開部３１７の約２フィート以内にある。代替として、または組み合わせて、近傍手術野３１３は、切開部３１７の約１．５フィート以内にあり得る。近傍手術野３１３は、例えば、切開部３１７の１フィート以内にあり得る。本実施形態によると、外科医は、（例えば、外科医の前腕上で）近傍手術野３１３内に搭載された縫合パック１０１から縫合針を分配し、同様に近傍手術野内に搭載された針受器１５７の中に分配された針を収納することによって、縫合針の使用を必要とする手技を行うことができる。
【１０６１】
多くの実施形態では、本明細書に説明されるような針トラップまたは針受器は、ユーザが針受器の中に針を摺動させ、針が持針器から解放された瞬間に針を収納させることができるように構成される。針は、単一の操作を使用して解放されることができ、針は、針受器内に即時に収納されることができる。
【１０６２】
図１Ｃ−１Ｆは、実施形態による、縫合糸取扱装置３０５を使用する方法を図示する。図１Ｃは、通常はユーザの利き手で保持される持針器３２７を使用して、縫合パック１０１から未使用の縫合針１０３を把持する外科医を示す。図１Ｄは、縫合針の終端３２５に取り付けられた縫合糸１５５を有する、分配された縫合針１０４を保持する、持針器３２７を示す。縫合針の前端３２３は、縫合糸を設置し、したがって、切開部を閉鎖するように、切開部３１７の部位の近傍で組織３２１の中に挿入されることができる。図１Ｅは、組織の中に縫合糸１５５を設置するように、切開部３１７を通して組織３２１の中に前進させられている縫合針１０４を示す。持針器３２７は、針が組織から外へ出現すると縫合針１０４の前端３２３を把持し、針を引き上げて組織から引き出すために使用されることができる。図１Ｆは、持針器３２７によって保持される縫合針１０４を針受器３３１の中に収納する、外科医を示す。例えば、ユーザは、針受器３３１の進入ゾーン３３３の中に針１０４を留置し、持針器３２７の先端を針受器３３１内のスロット３４３と整合させ、次いで、矢印３２９によって示される方向に持針器３２７を移動させることによって、針受器の収納ゾーン３３７の中に針１０４を移動させることができる。図１Ｃ−１Ｆに図示されるワークフローによって示されるように、装置３０５を使用して、外科医は、近傍手術野の外側に位置する助手から渡される未使用の針を受容する、または使用済みの針を助手に返す必要なく、自分で縫合針を分配し、分配された縫合針をしっかりと格納することができる。
【１０６３】
向上した安全性に加えて、本発明のシステムは、外科的手技の効率を向上させ、手術室内の手技のための時間短縮をもたらし得る。例えば、外科的手技の時間は、器械出し助手が、針の装填／装填解除、針ホルダおよび鋏を提供することで外科医を補助する必要がなくなるため、短縮されることができる。外科医を補助するのではなく、器械出し助手は、他の作業を行い、手術室で必要とされる時間を短縮することができる。例えば、器械出し助手は、より速い手術室回転を促進し、それによって、外科的手技の間で費やされる時間を減少させるように、手術室看護師とスポンジを計数し、またはバックテーブルの解体を開始することができる。この余分な自由な器械出し助手の時間はまた、より正確かつ確実なスポンジ計数につながり、それによって、残留異物のリスクを減少させ得る。本発明のシステムおよび装置の全体的な効果は、器械出し助手もまた、器具が保たれるバックテーブルを自由に「解体」し始めることができるため、より速い閉鎖時間（１つの手術症例から次の症例への手術室回転）である。手術室内のワークフローは、ステップがより少なくなり、器械出し助手の支援への依存がないため、より効率的である。針および道具の移動を協調させるのではなく、外科医は、他人を待つ必要なく、単純に必要物体に手を伸ばすことができる。道具に手を伸ばす必要がなく、鋭利な物体の移送の必要もない。プラットフォームは、適切な器具を伴って、および／または縫合パックからの除去のために最適位置に針を伴って、構成されることができる。
【１０６４】
外科医が道具および針を移送させることの協調について心配する必要がないため、外科医は、手術野上に視線を維持することができる。物体移送中に手術野から目をそらす、または道具および針が位置する場所を見るために眼の焦点を再び合わせるために失われる時間が、短縮されることができる。外科医の身体回転だけではなく、他方の前腕にわたる一方の前腕の交差が減少されることができる。移動は、より少ない偏位のより円形となり得る。したがって、微小人間工学が向上させられることができる。
【１０６５】
さらに、本実施形態は、外科医自身が未使用の針を分配し、使用済みの針を収納することができるため、外科医が自身の針使用および保有量を追跡することを可能にすることができる。針が外科医と助手との間でやりとりされるとき、さらに何本の縫合針が開放された縫合パックの内側に残っているか、いくつの縫合パックが開放されているか等を外科医が把握することは、困難であり得る一方で、同様に、何本のおよび／またはどのようなタイプの針が外科医によって使用されたかを助手が把握することも、困難であり得る。利用可能な針の保有量に関して、そのような明確性の欠如は、外科医と助手との間の継続中の対話を余儀なくさせ得、これは、気が散り、非効率的で、間違いを生じる傾向があり得る。対照的に、外科医は、本明細書に説明される方法と同様に、自身の針使用を追跡することができるとき、特定の縫合パックが交換される必要があるときを容易に判定し、より精密に必要なものを助手に伝えることができる。再び図１Ａおよび１Ｂを参照すると、好ましくは、１つまたはそれを上回る新しい縫合パック１０１が、近傍手術野３１３のちょうど外側に位置する器具トレイ３０７（例えば、メイヨースタンド）の上に提供されてもよい。縫合パックは、外科医がいずれの縫合パックを必要としているかを助手に精密に指摘することができるように、それらの内容物の識別を促進するように標識または色分けされてもよい。次いで、助手は、要求された縫合パックを外科医に容易に手渡すことができる、または外科医は、自分で必要な縫合パックに手を伸ばして把持してもよい。
【１０６６】
図２Ａを参照すると、縫合パッケージ１０１の上面図が図示されている。縫合パッケージ１０１は、糸が通される、または縫合糸にスエージ加工される針１０３を含有することができる。針１０３は、ユーザの肢の一部に合致する輪郭に屈曲するように可撓性であり得る、平面を含むことができる、縫合パッケージ１０１に解放可能に取り付けられることができる。図２Ｂは、手袋１０７の上面図を図示する図３、および手袋１０７上の縫合パッケージ１０１の側面図を図示する図４に示されるように、縫合パッケージ１０１をユーザの手袋１０７に収納するために使用されることができる、接着テープ１０５またはフィルムであり得る、滅菌ストリップを図示する。テープ１０５の接着側は、縫合パッケージ１０１の縁および手袋１０７の一部にわたって取り付けられることができる。
【１０６７】
図５および６を参照すると、縫合パッケージ１０１の別の実施形態が図示されている。本実施形態では、フィルム接着剤または接着剤１０９が、縫合パッケージ１０１の裏面周辺に適用される。図５は、手袋１０７および接着剤１０９で手袋１０７に取り付けられた縫合パッケージ１０１の周辺の少なくとも一部の上面図を図示し、図６は、側面図を図示する。代替として、図７および８を参照すると、接着剤１１１は、縫合パッケージ１０１の裏に直接適用されることができる。図７は、縫合パッケージ１０１の上面図を図示し、図８は、接着剤１１１が適用された縫合パッケージ１０１の底面図を図示する。これらの実施例の全てでは、接着剤は、縫合パッケージ１０１を手袋１０７に直接取り付けるために使用されることができる。
【１０６８】
図９は、縫合パケット１０１を保持するために使用されることができる「Ｃ」形状ホルダ１１３の実施形態の前面図を図示し、図１０は、上面図を示す。「Ｃ」形状ホルダ１１３は、図１１および１２に示されるように、ユーザの手の一部に巻き付くことができる。図１１は、ユーザの手の上の手袋１０７の上の「Ｃ」形状ホルダ１１３の上面図を示し、図１２は、側面図を図示する。ホルダ１１３は、本質的にそのＣ形状を保ち、外面上にクリップ１１５を含む、可撓性材料から作製されることができる。ホルダ１１３は、手の上に留置されることができ、縫合パッケージ１０１は、ばねおよびヒンジ１１７を含み得る、クリップ１１５に取り付けられることができる。クリップ１１５は、針１０３が上記で説明されるような持針器を用いて把持され得るように、定位置で縫合パッケージ１０１を保持することができる。ユーザが針１０３を使い果たした場合、元の縫合パッケージ１０１は、クリップ１１５から除去されることができ、付加的な針１０３を伴う新しい縫合パッケージ１０１と交換されることができる。
【１０６９】
図１３および１４は、プラットフォーム１１９と、ユーザの手の上で少なくとも部分的に手袋１０７に巻き付くストラップ１２１とを含むことができる、縫合パッケージ１０１システムの別の実施形態を図示する。図１３は、プラットフォーム１１９と、少なくとも部分的に手袋１０７に巻き付くストラップ１２１の上面図を示し、図１４は、側面図を図示する。縫合パッケージ１０１は、接着剤、ストラップ等を用いる等の種々の方法でプラットフォーム１１９に取り付けられることができる。針１０３は、上記で説明されるように把持されることができる。ユーザが針１０３を使い果たした場合、新しい縫合パッケージ１０１が、プラットフォームに取り付けられることができる、または使用済みのプラットフォームが、付加的な針１０３を有する新しいプラットフォームと交換されることができる。
【１０７０】
図１５および１６を参照すると、別の実施形態では、縫合パック１０１を手袋１０７に固着するために、磁気システムが使用されることができる。図１５は、縫合パック１０１を手袋１０７に固着するために使用される磁気システムの上面図を示し、図１６は、側面図を図示する。第１の永久磁石１２３が、手袋１０７に固着されることができ、対応する極性の永久磁石１２５が、縫合パック１０１に取り付けられることができる。永久磁石１２３、１２５の極性は、縫合パック１０１の裏が手袋１０７に取り付けられるように配列されることができる。磁石１２３、１２５は、接着剤、ポケット、クリップ等を含む、任意の好適な接続機構で、手袋１０７および縫合パッケージ１０１に取り付けられることができる。縫合パック１０１が縫合針を使い果たしたとき、外科医は、磁力よりも大きい力で縫合パック１０１を引き、磁石１２５の上に新しい完全な縫合パック１０１を留置することによって、空の縫合パック１０１を除去することができる。
【１０７１】
図１７および１８を参照すると、縫合パック１０１は、各シートが針１０３および縫合糸のセットを保持する、材料の多層シートを含むことができる。図１７は、多層縫合パッケージ１０１の上面図を図示し、図１８は、側面図を図示する。本多層縫合パッケージ１０１は、上記で説明される任意の様式で、図１９および２０に示されるように手袋１０７に取り付けられることができる。図１９は、手袋１０７に取り付けられた多層縫合パック１０１の上面図を図示し、図２０は、側面図を図示する。ユーザは、縫合パッケージ１０１の上層の上の針１０３を使用することができる。これらの第１の層の針１０３が使用されるとき、ユーザは、使い切った上層縫合パッケージ１０１を除去して破棄することができる。次いで、下層が暴露されることができ、縫合パッケージ１０１の第２の層上に格納された針１０３が、使用されることができる。本プロセスは、縫合パッケージ１０１の層の全てが使用されるまで繰り返されることができる。
【１０７２】
図２１−２４に示される実施形態では、縫合パック１０１は、縫合パック１０１を手袋１０７に結合するように、面ファスナ接続機構を有することができる。図２１は、縫合パック１０１の上面図を図示し、図２２は、縫合パック１０１の側面図を図示する。本実施形態では、フックまたはループ材料が、縫合パッケージ１０１の裏に取り付けられることができ、対応するループまたはフック材料が、縫合パッケージ１０１が取り付けられるべき手袋の外面に取り付けられることができる。図示される実施形態では、フック材料１２７は、縫合パッケージ１０１の底部に取り付けられる。図２３は、ループ材料１２９の側面図を図示し、図２４は、接着剤１３１がループ材料１２９の裏に適用された、ループ材料１２９の底面図を図示する。図２５は、面ファスナ接続機構で手袋１０７に取り付けられた縫合パック１０３の上面図を図示し、図２６は、側面図を図示する。縫合パッケージ１０１の中の針１０３が使い尽くされたとき、縫合パッケージ１０１は、交換されることができる。
【１０７３】
図２７および２８に示される実施形態では、縫合パッケージ１０１に加えて、針格納ユニット１３３が、手に固着されることができる。動作効率は、外科医に近接近して縫合パック１０１および使用済み針格納ユニット１３３を有することによって、さらに向上させられることができる。プラットフォーム１４５は、外科医の非利き側の肢に取り付けられることができる。次いで、外科医は、プラットフォーム１４５上の縫合パケット１０１から針１０３および縫合糸を把持することができる。外科医は、患者上に縫合糸を設置し、次いで、使用済み針格納ユニット１３３の中に使用済みの針１０４を留置することができる。次いで、外科医は、非利き側の肢上に装着されたプラットフォーム１４５上の縫合パケット１０１から新しい縫合針１０３を把持することができる。
【１０７４】
針格納ユニット１３３は、縫合糸が結ばれ、針がもはや必要とされなくなった後に、使用済みの針１０４を保持することができる。針格納ユニット１３３は、中立ゾーンの中に使用済みの針１０４を留置し、それが使用された後に外科スタッフによって取り上げられる必要性を排除する。ユーザは、単純に、縫合糸の縫合を完了し、縫合糸を切断し、持針器を用いて針格納ユニット１３３の中に使用済みの針１０４を留置することができる。次いで、ユーザは、縫合パッケージ１０１から次の針１０３を把持することができる。針格納ユニット１３３は、外科的手技の効率を著しく増加させることができる。実施形態では、針格納ユニット１３３は、内部容積と、使用済みの針１０４を挿入するための孔またはスロットを伴う内壁とを含むことができる。筐体は、使用済みの針１０４が完全に挿入され、針格納ユニット１３３内に閉じ込められていることがユーザに見えるように、透明であり得る。
【１０７５】
図２９および３０を参照すると、弾性バンド１３５が、縫合パッケージ１０１をユーザの手袋１０７または手首に固着するために使用されることができる。弾性バンド１３５は、弾性バンド１３５の張力がユーザの手および／または腕の周囲で調節され得るように、ストラップバックルもしくは面ファスナ接続等の接続機構を有する、均一なループまたは伸長構造であり得る。バンド１３５は、図３１および３２に示されるように、縫合パッケージ１０１の対向縁に取り付けられることができる。
【１０７６】
実施形態では、縫合パッケージ１０１は、図３３および３４に示されるように、手袋１０７内のポケット１３７の中で保持されることができる。縫合パッケージ１０１は、少なくともポケット材料が縫合パッケージ１０１の一部を被覆し得るように、スロット１３９を通してポケット１３７の中に留置されることができる。針１０３がアクセス可能であるように、１つまたは複数の窓１４１が、ポケットに形成されることができる。ポケット１３７は、縫合パッケージ１０１をしっかりと保持し、ユーザが上記で説明されるように縫合パッケージ１０１から針１０３を除去することを可能にすることができる。付加的な針１０３が必要とされる場合、縫合パッケージ１０１は、手袋ポケット１３７から除去され、新しい縫合パッケージ１０１と交換されることができる。
【１０７７】
図３５および３６に示される実施形態では、縫合パッケージ１０３は、それぞれ針１０３のセットを保持する、複数の層を含むことができる。層は、ユーザが「Ｒｏｌｏｄｅｘ」のように異なる層をめくり得るように、ヒンジユニット１０６に取り付けられることができる。上記で議論されるように、多くの異なるタイプおよび形状の針１０３がある。実施形態では、異なる針１０３が、縫合パッケージ１０２の異なる層上に格納されることができる。図３７を参照すると、多層縫合パッケージ１０２が、上記で説明される方法のうちのいずれかで手袋１０７に取り付けられることができる。例えば、縫合パッケージ１０１の底層が、手袋１０７に形成されたスロット１３９ポケットの中で保持されることができる。面ファスナ接続等の機構が、ポケットの中で底層を保持するために使用されることができる。
【１０７８】
図１３および１４を参照して上記で議論されるように、縫合パッケージを有するプラットフォームが、手の上の手袋に取り付けられることができる。他の実施形態では、プラットフォームは、道具ホルダ、縫合パック、および使用済み針ホルダを含む、種々の他の構成要素を含むことができる。例えば、図３８を参照すると、多重構成要素プラットフォーム１４５の上面図が図示される。プラットフォーム１４５は、第１の道具１５１を保持するための第１の道具ホルダ１４７と、第２の道具１５１を保持するための第２の道具ホルダ１４７とを含むことができる。手技中に、外科医は、第１の道具ホルダ１４７の中に第１の道具１５１を挿入し、第２の道具ホルダ１４７からの第２の道具１５１を除去することができる。第１および第２の道具１５１が容易にアクセス可能であるため、外科医が道具１５１を切り替える際に助手が道具１５１を取り扱う必要性がない。縫合糸１０３を保持するための縫合パック１０１および使用済みの針１０４を格納するための使用済み針格納ユニットもまた、プラットフォーム１４５に取り付けられることができる。
【１０７９】
実施形態では、道具１５１は、近位端にハンドルおよび遠位端に細い先端を有する、持針器であり得る。道具ホルダ１４７は、道具１５１の遠位部分より幅が広い孔またはスロットであり得る。道具１５１の遠位端は、プラットフォーム内のホルダ１４７の中に挿入されることができるが、道具１５１のハンドル部分は、孔またはスロットより幅が広くあり得る。道具１５１の平衡の中心は、プラットフォームが直立していると、道具１５１が道具ホルダ１４７の中で保持されるように、孔またはスロットを通して挿入されることができる。実施形態では、スロットは、幅が約０．５〜約２．０インチであり得る。
【１０８０】
外科医は、医療手技中に縫合パッケージを保持するためのプラットフォームを使用することができる。縫合糸ホルダは、ユーザの手／腕１４３の周囲で手袋１０７に固着される、プラットフォーム１４５に取り付けられることができる。実施形態では、プラットフォーム１４５は、単一の縫合パッケージ１０１よりはるかに大きくあり得る。これらの実施形態では、複数の縫合パッケージ１０１が、プラットフォーム１４５の異なる領域に取り付けられることができる。外科医は、左手の手袋１０７の背側面上に複数の縫合パッケージ１０１を有することができる。右手は、針を保持している、持針器を保持している。右手はまた、道具も保持している。外科医は、縫合を完了し、次いで、針を解放することができる。持針器は、縫合パッケージ１０１から新しい針を把持することができる。
【１０８１】
図３８は、モジュール式取付具を含む、腕の周囲に固着されたプラットフォーム１４５の実施形態の上面図を図示する。本実施例では、道具ホルダ１４７、縫合パッケージ１０１、および使用済み針ホルダ１４９は、プラットフォーム１４５上に搭載される。図３９−４１は、外科医の腕１４３に固着されるプラットフォーム１４５の異なる実施形態の側面図を図示する。図３９は、道具ホルダ１４７、縫合パッケージ１０１、および使用済み針ホルダ１４９がプラットフォーム１４５上に搭載される、プラットフォーム１４５の実施形態の側面図を図示する。プラットフォーム１４５は、外科医によって所望される任意の場所でモジュール式取付具を搭載するための平面を有することができる、薄い構造であり得る。前腕１４３の上にあるプラットフォーム１４５の部分は、腕１４３の手首部分の上方に背側面に接近して固着されることができる。しかしながら、プラットフォーム１４５はまた、手１４４の上背側面から離れて角度を付けられる、手首および手部分１４６を含んでもよい。本離間構成は、プラットフォーム１４５の底面に接触することなく、ユーザが自由に手１４４を移動することを可能にする。実施形態では、プラットフォーム１４５の底面は、正常な直立位置で手１４４の上面から約１〜４インチ離れることができる。
【１０８２】
図４０は、第１の縫合パッケージ１０１、使用済み針ホルダ１４９、第２の縫合パッケージ１０１、および取り付けられた縫合糸を伴うスエージ加工針ホルダ１５３を伴う、プラットフォーム１４５の側面図を図示する。本実施例では、スエージ加工針ホルダ１５３は、針を一時的に保持する永久磁石を含むことができ、針１０３の端部は、針１０３が容易に再び把持され得るように、針ホルダ１５３から突出することができる。外科医は、スエージ加工針ホルダ１５３の上に針１０３を留置し、針１０３を解放し、縫合糸１５５を縛ることができる。次いで、外科医は、持針器を用いて針１０３を把持し、患者を通して別の縫合を挿入し、説明されたプロセスを繰り返すことができる。プラットフォーム１４５は、外科医が個人の選好に最適であるプラットフォーム１４５を選択し得るように、種々の異なる湾曲を有することができる。図４１は、実質的に異なるサイズおよび湾曲形状を有する、プラットフォーム１４５の側面図を図示する。
【１０８３】
異なる構造が、外科医の選好に応じて、プラットフォーム１４５上に搭載されることができる。例えば、図４０を参照すると、プラットフォーム１４５は、並んで配列される２つの縫合パッケージ１０１と、プラットフォーム１４５の手部分の上の針コンテナ１４９とを含むことができる。図示されたプラットフォームを使用して、外科医は、異なるタイプの針を選択し、次いで、それぞれが使用された後に針コンテナ１４９の中に使用済みの針１０４を留置することができる。次いで、外科医は、必要とされる際に付加的な針を把持することができる。代替として、他の実施形態では、プラットフォーム１４５は、プラットフォーム１４５の近位部分上の縫合パッケージ領域と、プラットフォーム１４５の手首部分における道具ホルダと、プラットフォーム１４５の手部分１４６上の針コンテナ１４９とを含むことができる。
【１０８４】
上記で議論されるように、外科医は、針コンテナ１４９の中に使用済みの針１０４を留置し、次いで、必要に応じて第２の道具を使用することができる。図４２−４７は、使用済み針ホルダの異なる実施形態を図示する。外科的手技中に全ての針を勘定することが極めて重要である。針が手術中に紛失した場合、針が見つけられなければならず、針が体内に残されているかどうかを判定するために患者をＸ線検査することが必要になり得る。使用済み針ホルダは、使用済みの針を計数することをより容易にし得る、種々の特徴を提供することができる。
【１０８５】
図４２は、複数の個々の針受器１５７を有する、使用済み針ホルダ１４９の実施形態の上面図を図示し、図４３は、側面図を図示する。各針受器１５７は、針１０４の先端を容易に受け入れ得る、円錐孔を含むことができる。円錐孔の下部分は、針１０４の側面の周囲で閉ざすことができる。本機構は、針１０４が挿入されることを可能にするが、針１０４が除去されないように防止することができる。針ホルダ１４９はまた、針１０４が材料に圧入されることを可能にすることができるが、針１０４の移動／除去に抵抗し得る、弾性材料から成ることもできる。針ホルダ１４９はまた、針１０４を引き付けることができる、磁石を含んでもよい。これらの特徴は、使用済みの針１０４を保持するための効果的な手段を提供するように、任意の組み合わせで混合および合致させられる、または省略されることができる。外科医は、完全に使用済み針ホルダ１４９に針１０４を圧入し、針１０４を解放することができる。いったん完全に挿入されると、針ホルダ１４９は、使用済みの針１０４を解放しないであろう。外科医は、好ましくは、使用済みの針１０４を連続的の中に挿入することができる。針１０４の数は、容易に計数されることができる。本実施例では、針受器１５７は、１０の針受器１５７の２つの列に配列される。他の実施形態では、任意の他の針受器構成が使用されることができ、針受器１５７は、数で標識されることができる。
【１０８６】
図４４は、テーパ状針受器１６１と、基部１６４上に搭載された永久磁石１６３とを有する、使用済み針ホルダの実施形態の上面図を図示し、図４５は、側面図を図示する。針１０４は、持針器を用いて近位端に保持され、外科医は、使用済み針ホルダの側面開口部の中に使用済みの針１０４の先端を留置することができる。針１０４は、永久磁石１６３に対して平坦に留置されることができる。磁石１６３は、針１０４が永久磁石１６３に対して平坦に保持されるまで、近位端が保持され得るように、隆起針ホルダ表面を提供することができる。次いで、外科医は、使用済みの針１０４が確実に使用済み針ホルダ１６１の中にあることを把握して、針１０４を解放することができる。使用済み針ホルダ１６１は、使用済み針ホルダ１６１の中の使用済みの針１０４の数が見え、計数され得るように、透明プラスチックで構築されることができる。
【１０８７】
図４６は、使用済み針ホルダ１６５の別の実施形態の上面図を図示し、図４７は、側面図を図示する。針ホルダ１６５は、内部容積と、針スロットとを有する、筐体を含むことができる。外科医は、使用済みの針１０４をスロット１６７と整合させ、スロット１６７の長さとほぼ垂直に持針器を用いて筐体の中に針１０４を挿入することができる。次いで、外科医は、スロット１６７と整合から外れるように使用済みの針１０４を回転させ、筐体内で永久磁石１６３に対して針１０４を留置することができる。磁石１６３は、針１０４が永久磁石１６３に対して平坦に保持されるまで、近位端が保持され得るように、隆起針ホルダ表面を提供することができる。次いで、外科医は、使用済みの針１０４を解放し、持針器を除去することができる。使用済みの針１０４は、永久磁石１６３に対して保持され、針１０４は、たとえ緩くなったとしても針ホルダ１６５筐体内で保持されるであろう。
【１０８８】
実施形態では、プラットフォームが、道具、縫合糸、針、縫合パック、鋭利部コンテナ等を保持するために、外科医によって使用されることができる。プラットフォームは、器械出し助手等の他人とのいかなる相互作用の必要もなく、物体が容易にアクセスされ得るように、外科医の１つまたはそれを上回る背側表面上で前腕および／または手ならびに／もしくは前腕および／または指に固着されることができる。したがって、プラットフォームを使用するとき、外科医は、他人と相互作用する必要がない。外科医は、必要とされるプラットフォームから物体を除去し、もはや必要とされていない物体をプラットフォーム上に留置および格納することができる。鋭利な物体を取り扱う複数の個人の間の相互作用の排除は、外科的手技を簡略化し、切り傷または裂傷、穿刺、磨耗、皮膚のひび割れ等の他の傷害の可能性を低減させる。
【１０８９】
図４８および４９を参照した実施形態では、本発明のプラットフォーム１４５は、多層構造を有することができる。主要構造要素は、可鍛性であり得、障壁としても機能し得る、構造層１６９であり得る。構造層１６９を塑性的に変形させる能力は、任意の所望の嵌合および構成を提供するように、外科医がプラットフォーム１４５の形状を容易に調節することを可能にすることができる。好適な構造層１６９材料の実施例は、耐久性、軽量、延性、および可鍛性の金属材料を提供する、アルミニウムおよびアルミニウム合金であり得る。アルミニウム構造層１６９の厚さは、約０．０１〜０．１０インチであり得る。アルミニウム構造層１６９の任意の部分が、手動で所望の形状に容易に屈曲されることができ、構造層１６９が屈曲形状を保つように、塑性変形をもたらす。他の実施形態では、類似特性を有する任意の他の材料が、使用されることができる。
【１０９０】
道具および物体のための安定したプラットフォーム１４５を提供することに加えて、構造層１６９はまた、外科医のための鋭利な物体からの保護障壁を提供することもできる。外科医が偶発的に前腕の背側に向かって鋭利な物体を指向する場合、プラットフォーム１４５の構造層１６９が、鋭利な物体を遮断し、プラットフォーム１４５によって被覆された前腕および手首ならびに手の部分へのいかなる傷害も防止するであろう。アルミニウムは、鋼鉄より軟質である材料である。したがって、構造層１６９に押圧される道具または鋭利な物体は、より軟質の構造層１６９材料との接触によって擦過もしくは別様に損傷されない傾向があろう。
【１０９１】
図４８は、多層プラットフォーム１４５の側面図を図示する。構造層１６９の下または内面は、内側弾性発泡層１７１に接合されることができる。プラットフォーム１４５が外科医の前腕に取り付けられたとき、内側発泡層１７１は、外科医の前腕および手背上に留置されることができる。内側発泡層１７１は、多孔質開放セル構造を有することができる。発泡体が気泡を含有しないため、これは、閉鎖セル発泡体より圧縮性であり得る。しかしながら、閉鎖および開放セル発泡体が両方とも使用されることができる。内側発泡層１７１は、向上した快適性および共形化性を提供することができる。内側発泡層１７１の弾性は、構造層が上記で説明されるように屈曲されることを可能にする。好適な内側発泡材料は、天然ゴムラテックスである。
【１０９２】
図４８および４９に示されるように、構造層１６９は、プラットフォーム１４５の側面から外向きに延在する、屈曲可能脚部１７５を含むことができる。これらの脚部１７５は、外科医の前腕に巻き付くように屈曲されることができる。内側発泡層１７１は、前腕にしっかりと取り付けられるように、可変生体構造への共形化嵌合を提供する。内側発泡層１７１はまた、前腕上で脚部の圧縮力を分散させる、快適なパッド付き表面も提供する。可鍛性構造層１６９が任意の形状に可塑的に変形させられるため、プラットフォーム１４５の脚部は、任意の前腕に正確に嵌合されることができる。具体的用途に最適である種々の構成およびサイズがあり得るため、プラットフォーム１４５のサイズおよび形状は、任意の好適な寸法であり得る。本発明のプラットフォームは、図示される実施形態に限定されない。
【１０９３】
図５０−５３を参照すると、プラットフォーム１４５の種々の形状の多層実施形態が図示される。これらの多層プラットフォーム１４５は、内層１７１および外層１７３に固着される構造層１６９を含む。脚部１７５は、プラットフォーム１４５から延在し、外科医の腕１４３に巻き付くことができる。図示される実施形態では、腕１４３の手部分にわたるプラットフォーム１４５の表面積および形状は、劇的に変動し得る。本発明のプラットフォーム１４５は、図示される実施形態に限定されない。図５３を参照すると、多層プラットフォーム１４５は、脚部１７５、内層１７１、構造層１６９、および外層１７３を伴う。プラットフォーム１４５は、道具１５１を保持するための道具ホルダ、縫合パック１０１を保持するための縫合パックホルダ、および使用済みの針１０４を保持するための使用済み針ホルダ１４９を伴って図示される。
【１０９４】
内側弾性発泡層は、構造層に接合されるものとして説明されているが、構造層に接合されない内側発泡層の部分があり得る。例えば、いくつかの実施形態では、プラットフォームは、構造層に形成された孔に位置する、道具ホルダを含むことができる。持針器等の道具は、道具指孔の遠位に持針器の薄い本体を伴って、孔の中に留置されることができる。薄い本体が、孔を通して留置されることができる一方で、持針器のハンドル指孔は、孔の直径より幅が広いため、孔を通過することができない。したがって、ハンドルは、定位置で道具を保持し、それが完全に孔を通過しないように防止するであろう。孔は、対側の手による容易な把持のために道具を適切に配向する等のために、配向されることができる。例えば、孔は、対側の前腕の運動を必要とすることなく、針ホルダの指ループが対側の手によって容易に把持されることができるように、前腕の長軸と平行な長軸を伴って、またはそれに対する特定の角度でスロットとして配向されてもよい。実施形態では、道具は、道具の重心と道具のハンドルまたは指孔部分との間に構造層を伴うプラットフォームの道具ホルダの中で保持される。議論されるように、構造層に接合される内側および／または外側発泡層は、道具の移動を防止し得る、摩擦を提供することができる。したがって、道具は、重力および摩擦の組み合わせによって道具ホルダの中で保持されることができる。
【１０９５】
いくつかの実施形態では、孔に隣接する上および下発泡材料が除去される。しかしながら、他の実施形態では、発泡層は、孔にわたって残されることができる。例えば、図５４を参照すると、道具ホルダ孔の内側発泡体内に、より小さい孔１７７が、障壁材料の中の孔１７９内に形成されることができる。道具は、より小さい孔１７７を通して圧迫されることができ、内側発泡体が弾性であるため、より小さい孔１７７は、道具が孔１７７を通して圧迫されると拡張することができる。道具の側面に対して張力を受けている拡張した発泡体孔１７７の円周の静止摩擦は、プラットフォームからの道具の偶発的除去を防止することができる。発泡体はまた、道具が、雑音および振動を生成し得る、構造層内の孔１７９の内径に対して衝突または摺動しないように防止する、抑制デバイスの役割を果たすこともできる。本抑制特徴は、繊細な外科的手技中に重要であり得る。
【１０９６】
障壁層内の道具孔１７９にわたる上外層発泡体内に形成されたより小さい孔１７８（図５５）またはより大きい孔１７８（図５６）を有することも可能である。再度、上層発泡体は、道具孔１７９の中で道具を保持し得る、摩擦力を提供することができる。図５７を参照した、さらに他の実施形態では、上および下発泡層は、相互と整合させられていない、より小さい孔１７７、１７８を有してもよい。整合をオフセットすることによって、発泡層は、道具をプラットフォームに対して角度付けさせることができる。これは、道具の端部が外科医の前腕に擦り付けられないように、さらなる隙間を提供することができる。
【１０９７】
他の実施形態では、本発明の手術用プラットフォームは、内面の対向する構造層の外面に接合される、別の外側弾性発泡層を含むことができる。外側発泡層は、内側発泡層と異なる物理的性質を有することができる。上記で議論されるように、プラットフォームは、道具、縫合糸、縫合パック、針、鋭利部コンテナ等を保持するために使用されることができる。鋭利部コンテナは、スポンジ、エンクロージャ、磁化表面、および／または異なる実施形態の組み合わせを含む、種々の実施形態を含むことができる。実施形態では、外側発泡層は、物体とプラットフォームとの間の接続を向上させるであろう、物理的特性を有することができる。例えば、外側発泡層の外面は、物体の接触表面を効果的に把持する物体との高い静止摩擦係数を提供する、より良好な滑り止め表面のためのより大きい断面積を有することができる。
【１０９８】
図５８−６３を参照した実施形態では、構造層１６９は、構造層１６９の面から上向きに屈曲され得る、タブ１８１を有することができる。縫合パック等の物体１０８は、タブ１８１のうちの１つまたはそれを上回るものに隣接して留置されることができ、タブ１８１は、外側発泡層１７３の縁に対して物体１０８を保持するように、物体１０８の暴露表面にわたって屈曲されることができる。議論されるように、可鍛性構造層１６９材料は、塑性的に変形させられてもよく、屈曲したタブ１８１は、プラットフォーム１４５に対して物体１０８を保持することができる。物体１０８に対するタブ１８１の水平力は、図６４に示されるように、物体１０８と外側発泡層１７３との間に圧縮力を引き起こすことができる。
【１０９９】
安全な様式で物体１０８をプラットフォーム１４５に保持することが非常に重要であり得る。実施形態では、外側発泡層１７３は、物体１０８と外層１７３との間の移動を防止する、またはそれに抵抗する、高摩擦材料であり得る。物体１０８と外側発泡層１７３の外面との間の摩擦力は、ギリシャ文字μＳによって象徴され得る、静止摩擦係数（ＣＯＦ）に基づいて説明または定量化されることができる。静止ＣＯＦは、２つの本体の間の摩擦力およびそれらをともに圧迫する力の比率を表す、無次元スカラー値である。摩擦係数は、使用される材料に依存する。例えば、平滑表面上のＴｅｆｌｏｎ等の滑りやすい材料が、低い摩擦係数を有し得る一方で、縫合パッケージ表面上のゴムは、より高い摩擦係数を有し得る。摩擦係数は、ゼロ近傍から１を上回るまで及ぶ。実施形態では、発泡体の外層１７３の外面とプラットフォームに結合される物体１０８との間の静止摩擦係数は、０．３を上回る。摩擦力は、静止摩擦＝μＳ×圧縮力によって定量化される。
【１１００】
圧縮力は、クランプ、タブ１８１、弾性材料、クリップ、ばね、および／または任意の他の好適な機械デバイスによって印加されることができる。圧縮力はまた、発泡体によって提供されることもできる。圧縮力は、縫合パケットにわたって、かつその上にタブ１８１を手動で屈曲させることによって、発泡材料内に貯蔵されることができる。圧縮された発泡体は、膨張しようとし、本発泡体膨張力は、縫合パケットを定位置で保持することに役立つことができる。圧縮力は、縫合パケットのいかなる垂直移動も防止することができ、摩擦力は、プラットフォーム表面に対していかなる水平移動も防止することができる。実施形態では、圧縮機構は、プラットフォームに取り付けられ、外側発泡層に対して物体を圧縮するように力を印加する。圧縮力は、外側発泡層の表面にわたって物体の摺動移動を防止する、摩擦力をもたらす。
【１１０１】
図４９を参照すると、実施形態では、外側発泡材料１７３は、機能的構造を提供することができる。例えば、針が使用された後、それらは。格納されて勘定されなければならない。実施形態では、外側発泡体１７３の使用済み縫合針領域１９２等の部分は、個々の針領域で印付けられることができる。個々の針領域はそれぞれ、番号２５９で印付けられることができ、隣接する針領域は、連続番号２５９で印付けられることができる。針１０３が使用されると、外科医は、使用済み針領域１９２の中に使用済みの針１０４を留置することができる。第１の使用済みの針１０４は、１と印付けられた領域中に留置されることができ、第２の使用済みの針１０４は、２と印付けられた領域中に留置されることができる等となる。外側発泡体１７３は、外科的手技が完了するまで、針１０４がしっかりと捕捉されることを可能にする、厚い材料から作製されることができる。針１０４が番号付き２５９領域の中に留置されるため、単純に、使用済み針領域１９２の中の番号２５９を見ることによって、手術中に使用された全ての針１０４を視覚的に勘定することが容易である。
【１１０２】
説明された鋭利部コンテナ２５５は、種々の利益をユーザに提供することができる。鋭利部コンテナ２５５は、容易にアクセスされ、前腕および手にわたってプラットフォーム１４５の任意の部分に固着される。使用済みの針１０４は、容易な使用済みの針１０４の計数のために、保管場所において高度に可視である。境界が、使用済みの針１０４の計数に役立つことができる。鋭利部コンテナの中の発泡体１７３は、針１０４の先端をしっかりと保持する。先端はまた、構造層１６９に隣接し、たとえ針１０４が偶発的にさらに発泡体１７３に接触または圧入されたとしても、損傷を引き起こすことができない。使用済みの針１０４は、「グループ移送」が起こるまで、外科医の制御において収納、処理、および維持されることができる。より具体的には、使用済みの針１０４は、鋭利部コンテナ２５５に収納される。使用済みの針１０４はまた、遠位部分を機械に清掃することによって処理され、化学的に消毒されることができる。使用済みの針１０４の収納は、常に接触し、「グループ移送」が起こるまで、外科医の制御において維持されることができる。「グループ移送」は、外科医から器械出し助手への手術道具のグループの移送を含むことができる。グループ移送における手術道具は、持針器、鉗子、使用済み鋭利部コンテナ、鋭利部コンテナ、および他の物体を含むことができる。
【１１０３】
実施形態では、外側発泡層１７３は、異なる物理的性質を有する、異なる領域を含むことができる。例えば、第１の領域は、縫合パック１０１を支持するように設計されてもよく、第２の領域は、上記で説明されるように鋭利部コンテナ２５５として機能するように設計されてもよい。縫合パック１０１を支持する第１の領域は、第２の領域より高いＣＯＦの暴露表面を伴う、より薄い低弾性発泡材料から作製されることができる。縫合パック１０１は、第１の領域に対して圧縮されることができ、高いＣＯＦは、縫合パックの移動を防止することができる。本特徴は、外科医が手動で持針器の中に針１０３の近位端を留置しなければならないため、重要であり得る。針１０３の任意の不要な移動が、本作業をより困難にし得る。
【１１０４】
図５８−５９を参照すると、実施形態では、構造層は、物体をプラットフォーム１４５に固着するために使用され得る、１つまたはそれを上回るタブ１８１を有することができる。外側発泡層１７３は、暴露され得る構造層１６９から除去されることができる。屈曲可能タブ１８１は、暴露構造層１６９の縫合パックキャリア１８３領域に形成されることができる。これらの屈曲可能タブ１８１は、構造層１６９に切り込まれることができ、使用される前に構造層１６９と平面的なままであり得る。タブ１８１は、縫合パック等の物体が、物体に最も密接に嵌合するタブ１８１で構造層１６９の縫合パックキャリア１８３領域に固着され得るように、交互様式で配列されることができる。
【１１０５】
図５８は、縫合パック１０１が固着される前の縫合パックキャリア１８３を図示し、図５９は、縫合パック１０１が固着された後の縫合パックキャリア１８３を図示する。例えば、１つまたは複数の縫合パック１０１は、タブ１８１でプラットフォームに保持される、略平面的な長方形構造であってもよい。縫合パック１０１は、プラットフォーム１４５上に留置されることができ、タブ１８１は、上向きに縫合パック１０１の１つまたはそれを上回る側縁にわたって屈曲されることができる。縫合パック１０１は、種々の異なるサイズで提供されることができる。したがって、プラットフォーム１４５上の縫合パックキャリア１８３は、種々の縫合パック１０１サイズに適応するように、異なる場所に設定され得る複数のタブ１８１を有することができる。
【１１０６】
図６０−６３を参照すると、他の実施形態では、複数の縫合パケット１０１は、同一の縫合パケットキャリア１８３にわたって積み重ねられることができる。図６０は、縫合パック１０１が固着される前の縫合パックキャリア１８３を図示し、図６１は、縫合パック１０１の複数の層が固着された後の縫合パックキャリア１８３を図示する。図６２−６３は、縫合パック１０１の複数の層が固着され、いくつかの縫合パック１０１が除去された後の縫合パックキャリア１８３を図示する。異なるタブ１８１が、層状縫合パケット１０１のそれぞれを保持するために使用されることができる。縫合パケットの全ての針１０３が除去された後、縫合パケット１０１は、下層の縫合パケット１０１を暴露するように除去されることができる。好ましい実施形態では、外科医は、持針器を用いて上の使い切った縫合パケット１０１の側面を把持し、縫合パケットキャリア１８３からそれを除去することができる。次いで、下層の縫合パケット１０１が、暴露され、針１０３が、外科医にアクセス可能になるであろう。本プロセスは、底縫合パケット１０１が暴露され、全ての必要な針１０３が外科医によって使用されるまで繰り返されることができる。
【１１０７】
図示される実施形態では、タブ１８１は、縫合パック１０１のうちの１つまたはそれを上回るものをプラットフォーム１４５に保持する。タブ１８１のうちのいくつかが、縫合パケット１０１の縁と実質的に垂直であるように配向される一方で、他のタブ１８１は、種々の他の角度で配向されることができる。説明図では、右下のタブ１８１は、縫合パケット１０１の側縁に対して約４５度であるように配向される。
【１１０８】
実施形態では、多層プラットフォームは、縫合パックキャリアを有することができる。図６４−６７は、種々の縫合パックキャリア１８３の側面図を図示する。図６４を参照すると、上発泡層１７３は、構造層１６９を暴露し得る、プラットフォームのいくつかの領域から部分的に除去されることができる。縫合パック１０１等の物体は、上発泡層１７３の縁に押圧されることができる。物体への本力は、上層発泡体１７３の側面の中に物体を圧縮することができる。圧縮力は、物体の縁を構造層１６９に隣接するプラットフォームに保持することができる、摩擦力を生成する。物体の１つまたはそれを上回る側面は、上発泡層１７３の異なる表面の中に圧縮されることができる。１つまたはそれを上回るタブ１８１は、上層発泡体１７３に圧入される物体の側面に対向する物体の側面にわたって固着されることができる。
【１１０９】
図示される実施形態では、縫合パック保定構造は、広範囲の縫合パック１０１サイズに適応することができる。縫合パック１０１は、サイズが約１インチ×３インチ〜約３インチ×４インチに及ぶことができる。縫合パック１０１は、「平坦」な構造を有することができる。タブ１８１は、障壁プラットフォーム上に縫合パック１０１を取り付ける、または係止するための容易かつ安全なシステムを提供することができる。プラットフォームは、複数の縫合パック１０１に適応することができ、パックはまた、プラットフォームから容易に除去されることもできる。
【１１１０】
図６５を参照すると、実施形態では、タブ１８１は、上発泡層１７３を通して延在することができる。縫合パック１０１は、タブ１８１の間に留置されることができ、端部は、上発泡層１７３に対して縫合パック１０１を保持するようにその縁にわたって屈曲されることができる。図６６を参照すると、実施形態では、上発泡層１７３は、部分的に除去されることができる。タブ１８１は、構造層１６９に対して縫合パック１０１を保持するようにその縁にわたって巻き付けられることができる。
【１１１１】
図６７を参照すると、さらに別の実施形態では、縫合パック１０１の周辺形状よりわずかに小さい孔が、上発泡層１７３内に形成される。縫合パック１０１は、それらが構造層１６９または孔の下面にもたれるまで、孔に圧入されることができる。縫合パック１０１の圧縮は、それらを上向きに曲げさせ得る。本運動を防止するために、締結具１８５が、縫合パック１０１の中心部分を定位置で保持するように、その中に留置されることができる。縫合パック１０１が、圧縮下で変形しない、より頑丈な材料から作製される、他の実施形態では、締結具１８５が必要ではない場合がある。
【１１１２】
本発明のプラットフォームは、種々のシステム構成要素、すなわち、全てプラットフォーム上に搭載される、道具ホルダ、道具、縫合パックホルダ、縫合パック、装備された針、使用済みおよび鋭利部コンテナを伴って説明されている。これらの構成要素は、プラットフォーム上の所定の場所に設定されることができるが、他の実施形態では、本発明のシステムは、モジュール式構成を有することができる。これらの実施形態では、システム構成要素、すなわち、道具ホルダ、道具、縫合パックホルダ、縫合パック、装備された針１０３、鋭利部コンテナは、独立し、モジュール式であり得る。ユーザは、これらの個々の構成要素を混合して組み合わせ、装置およびプラットフォーム上の任意の所望の位置にそれらを留置することができる。個々の構成要素は、面ファスナ（Ｖｅｌｃｒｏ（登録商標））、スナップ、タック特徴、ねじ特徴、タブ、または弾性バンドおよび接着剤等の任意の他の好適な接続機構等の種々の接続機構を有することができる。いったん外科的手技が完了すると、システム構成要素は、本発明のプラットフォームから除去されることができる。プラットフォームを清掃して滅菌し、新しいモジュール式構成要素を取り付け、プラットフォームを再利用することが可能であり得る。
【１１１３】
本プラットフォーム発明は、向上した安全性および効率を含む、いくつかの手術室の問題に対処することができる。議論されるように、プラットフォームの構造層は、前腕および手背への針刺しを防止する、障壁を生成することができる。したがって、外科医の手および前腕が両方とも、保護されることができる。プラットフォームは、前腕に対して保持されることができるが、手から離間されることができ、外科医の手（手首、手、指）の完全移動を可能にし得る。プラットフォームはまた、肘の可動域に干渉しない。
【１１１４】
本発明のプラットフォームシステムは、種々の利益を提供する。屈曲可能脚部は、プラットフォームが、容易に、かつしっかりと可変前腕サイズに適合することを可能にする。プラットフォームは、手術道具および針が任意の所望の位置で配向されることを可能にする。理想的には、本システムは、不必要な前腕運動を最小限にすることができる。縫合パックは、前腕の橈側境界および掌側前腕を含む、プラットフォームの任意の部分の上に留置されることができる。プラットフォームは、完全な手の可動域を依然として可能にしながら、保護障壁を手および前腕に提供する。前腕部分に対するプラットフォームの手カバー部分の角度は、約１０〜４５度であり得る。しかしながら、手要素は、可撓性であり得、手要素の角度および形状は、任意の所望の形状に調節されることができる。変曲点は、リビングヒンジ、機械ヒンジ、または任意の他の好適な関節運動移動機構であってもよい。
【１１１５】
例えば、図８８および８９を参照すると、可動変曲点２０７を含む、多層プラットフォームが図示される。手が直線位置にあるとき、プラットフォームは、通常の形状を成すことができる。しかしながら、次いで、手は、前腕に対して上に移動させられ、手は、プラットフォームの部分の底部に接触することができ、プラットフォームの手部分１４６は、図８９に示されるように手とともに回転することができる。
【１１１６】
好ましい実施形態では、鋭利部コンテナは、縫合パケットホルダおよび縫合パケットに物理的に隣接または近接近し得る。鋭利部コンテナおよび縫合パケットは、プラットフォーム等の同一の支持構造上にあり得る。本構成は、向上した外科的ワークフローを促進し、いくつかの複雑な協調的運動を、外科医によって行われる、より合理化された簡略化行動に要約する。議論されるように、縫合パケットに固着された縫合パケットホルダおよび鋭利部コンテナを伴うプラットフォームは、外科医の非利き腕上に搭載された同一のプラットフォーム装置の上にあり得る。縫合糸が必要とされるとき、外科医は、縫合パケットから、取り付けられた縫合糸を有する装備された針を把持し、患者上で縫合糸を使用することができる。縫合が完了したとき、次いで、外科医は、鋭利部コンテナの中に使用済みの針を留置し、次いで、縫合パケットから新しい装備された針を容易に把持することができる。
【１１１７】
種々の鋭利部コンテナ設計は、本発明のシステムと組み合わせることができる。実施形態では、鋭利部コンテナは、一連の番号付き領域で印付けられ得る、発泡体またはスポンジ等の軟質開放もしくは閉鎖セル弾性材料であり得る。使用済みの針は、使用済みの針を定位置で保持するであろう、軟質セル材料の中に挿入されることができる。実施形態では、鋭利部コンテナセル材料は、軟質弾性セル材料を実質的に変形させることなく、使用済みの針によって容易に穿刺され得る、軟質プラスチックもしくはゴム等の薄い弾性均質材料の１つまたはそれを上回る層に隣接する、または接合されることができる。均質材料は、鋭利部コンテナからの使用済みの針の偶発的除去をさらに防止することができる、挿入された針の移動に対する抵抗を増加させ得る、摩擦力を提供することができる。また、発泡体等の軟質弾性セル材料上よりも硬質ゴム材料上に番号マーキングを印刷することが容易であり得る。
【１１１８】
使用済みの針に関する潜在的問題は、使用済みの針が偶発的に手術室の外科構成員の皮膚を破ると、ウイルスを伝播する、それらの能力である。しかしながら、使用済みの針が清掃および／または消毒された場合、使用済みの針は、ウイルスを蔓延させる可能性がはるかに低い。さらに別の実施形態では、軟質開放または閉鎖セル弾性材料は、漂白もしくは他の抗菌材料等の消毒剤でコーティングおよび／または飽和されることができる。消毒剤は、発泡材料内で保持されることができるが、弾性セル材料から容易に除去されないであろう、高粘度ゲルの形態であり得る。実施形態では、鋭利部コンテナの軟質開放または閉鎖セル弾性材料の一部または全部は、軟質セル鋭利部コンテナ材料内で消毒液を保定することに役立つために、薄い弾性均質材料の層によって囲繞されることができる（詳述し、明確にする必要があり得る）。
【１１１９】
図１０２、１０３を参照すると、本発明のシステムは、使用済みの針１０４が軟質開放または閉鎖セル弾性材料２５１、２５３の中に挿入される際に、それらを清掃および消毒することができる。使用済みの針１０４が、軟質セル材料２５１、２５３および／または中実弾性材料層２５０、２５２を穿刺する際に、それは、これらの材料に対して外面を拭き取ることによって、清掃されることができる。使用済みの針１０４は、消毒剤に暴露されたときに消毒されることができる。したがって、使用済みの針１０４のうちのいずれかが、説明された鋭利部コンテナ２５５から偶発的に除去された場合、それらは、清掃および消毒され、ウイルスを蔓延させる可能性がはるかに低い。
【１１２０】
図９６−９９を参照すると、他の実施形態では、鋭利部コンテナ２３５は、使用済みの針を受容するように開放され、使用済みの針が鋭利部コンテナ２３５から退出しないように防止するように閉鎖される、ドア機構２３７を有する、エンクロージャを含むことができる。異なる機構は、ドア２３７の位置を制御するために使用されることができる。例えば、実施形態では、ドア２３７の位置は、スイッチ機構で手動で制御されることができる。ドア制御機構は、閉鎖位置でドア２３７を保持し得る、ばね２４５と、レバー２４３等の手動アクチュエータとに結合されることができる。ユーザがレバー２４３を押圧するとき、ばね２４５は、圧縮されることができ、ドア２３７は、開放することができる。ユーザは、保管場所の中に使用済みの針を落とし、次いで、ドア２３７を閉鎖するようにレバー２４３を解放することができる。
【１１２１】
図示される実施形態では、ドア２３７機構は、鋭利部コンテナ２３５の対向側の一対の回転部材２４６に結合される。レバー２４３は、針受器筐体から離れて延在することができる。力がレバー２４３に印加されないとき、ねじりばね２４５または任意の他の好適なばね機構が、回転部材２４６の一方または両方を中心として反時計回りのトルクを及ぼすことができる。本トルクは、停止部２４７に対して閉鎖位置でドア２３７を保持することができる。下向きの力がレバー２４３に印加されるとき、反時計回りのばね２４５の力より大きい時計回りの捻転力が、ドア２３７機構に印加されることができる。ドア２３７機構は、時計回りに回転し、使用済みの針１０４が針受器２３５の中に留置されることを可能にするように開放することができる。いったん使用済みの針１０４が捕捉されると、ユーザは、レバー２４３を解放することができ、ドア２３７は、停止部２４７に対して閉鎖位置に戻ることができる。
【１１２２】
手動制御型ドア構成は、使用済みの針が鋭利部コンテナ２３５から脱出しないように防止するように、ユーザがドア２３７を慎重に制御することを可能にすることができる。保管筐体は、上面に開口部を含むことができ、ドア２３７機構は、回転軸を画定する筐体の対向側で２つの回転部材２４６上に搭載されることができる。ドア２３７は、回転軸２４６の上方にあり得、ばね２４５は、通常、回転停止部２４７に対して閉鎖位置でドア２３７を保持することができる。レバー２４３は、ドア２３７機構に結合され、ユーザに最も近い筐体の側面等のユーザに容易にアクセス可能である筐体の側面から退出することができる。レバー２４３を作動させることは、ドア２３７機構を回転軸を中心として回転させ、開放させることができる。レバー２４３が解放されるとき、ばね２４５は、閉鎖位置に戻るようドア２３７機構を回転させるであろう。
【１１２３】
図１００および１０１を参照すると、実施形態では、ドア２３７は、加速度計と、プロセッサと、電力供給源と、アクチュエータとを含む、自動制御システム２４９に結合されることができる。加速度計は、重力に基づいて針受器２３５の配向を検出することができる。加速度計が、針受器２３５が定位置で実質的に直立していることを検出するとき、プロセッサは、ドア２３７を開放するようにアクチュエータを制御することができ、針受器が適切に配向されないとき、プロセッサは、ドア２３７を閉鎖するようにアクチュエータを制御することができる。実施形態では、本システムは、針が針受器２３５の中に落とされることを可能にし得る、最適な肢または道具位置に対応することができる具体的範囲の配向においてドア２３７を開放するように、プログラムもしくは設定されることができる。本システムはまた、事故を示し得る、異常な状況を検出することもできる。例えば、検出された加速が重力より有意に大きい場合、本システムは、これを鋭利部コンテナとの偶発的衝突として解釈することができ、プロセッサは、ドア２３７を閉鎖するようにアクチュエータを制御することができる。
【１１２４】
代替として、ドアの位置は、重力によって自動的に制御されることができる。鋭利部コンテナが前腕搭載型プラットフォーム上で使用されるとき、ドアは、保管場所の上にあって、保管場所が直立位置にあるときに開放することができる。しかしながら、鋭利部コンテナが回転させられるとき、ドアは、使用済みの針が退出しないように防止するように閉鎖することができる。
【１１２５】
実施形態における図９２−９５では、保管筐体２３５は、上面に開口部を含むことができる。ドア２３７機構は、回転軸を画定する保管筐体２３５の対向側で２つの回転部材２４６上に搭載されることができる。ドア２３７は、回転軸の上方にあり得、釣り合い重り２３９が、回転軸の下方にあり得る。ドア２３７機構は、保管筐体２３５が約０〜３０度の範囲内で回転軸に対して直立しているときに開放することができる。３０度またはそれを上回るものより大きく垂直整合から離れた回転位置において、ドア２３７は、使用済みの針１０４が保管場所２３５から脱出しないように防止するように閉鎖することができる。使用時、保管場所２３５は、ドアを開放するように回転軸に対して垂直に配向されることができ、使用済みの針１０４は、開放したドア２３７を通して保管場所２３５の中に落とされることができる。次いで、外科医は、ドア２３７を閉鎖するように垂直整合から外れるように前腕を回転させ、縫合パケットから新しい針を把持することができる。本プロセスは、針が使用された後に繰り返されることができる。
【１１２６】
縫合パケットおよび鋭利部コンテナが近接近しているため、使用済みの針１０４を解放し、新しい針を取り上げるという外科医の動きは、単純で短い。したがって、本構成は、他の縫合パケットおよび鋭利部コンテナ方法と比べて微小人間工学的利益を有する。上記で議論されるように、鋭利部コンテナは、さらなる移動から針を阻止し、使用済みの針から外科医の前腕を保護する、鋭利な先端が構造層に向かって指向された状態で、使用済みの針１０４が挿入される、弾性発泡体または他の材料であり得る。また、前腕上の背側上に使用済みの針１０４を搭載することは、針の暴露された縫合端からの外科医への傷害に抵抗できることも見出されている。前腕の背側は、手とともに回転することができる。しかしながら、前腕は、前腕の背側が身体に面する位置に容易に移動させられない。前腕は、本質的に、背側が身体の外方を向いている間に身体に面する掌側および手掌面を伴って構成される。本人体構造制限は、鋭利部コンテナを伴う本発明の前腕搭載型プラットフォームのための別の収納特徴を提供する。
【１１２７】
図６８−７１を参照すると、実施形態では、プラットフォーム装置は、鋭利部コンテナが搭載される前腕の背側上のプラットフォーム１８７と、前腕１４３の掌側で装置の表面またはプラットフォーム１８９上に搭載される縫合パケットホルダ１８３とを含んでもよい。本構成では、外科医は、新しい装備された針を把持する前に、掌側に搭載された縫合パケットを任意の所望の配向に回転させるように、非利き側の補助用の肢を回外させることができる。議論されるように、人体構造は、前腕１４３の掌側が身体に面していると、広範囲の自然な移動を可能にする。したがって、外科医は、針ホルダで新しい針を保持する前に、より容易かつ精密に針を所望の位置まで移動させることができる。針は、縫合パック１０１にしっかりと取り付けられ、除去されるために物理的力を必要とする。重力は、針を縫合パック１０１から離れさせず、前腕１４３の下方の縫合パック１０１の留置は、新しい装備された針を偶発的に解放させないであろう。対照的に、肢の掌側に道具ホルダおよび鋭利部コンテナを搭載することは望ましくない場合がある。
【１１２８】
背側に使用済み鋭利部コンテナ、掌側に縫合パック１０１があると、使用済みの針が鋭利部コンテナの中に留置された後、および新しい装備された針が把持されている間に、外科医が前腕１４３を回転させるであろうため、動きおよび微小人間工学は、わずかに異なる。しかしながら、縫合パケット１０１および鋭利部コンテナが、例えば、７インチ未満以内に、依然として近接近しているため、外科医の動きは、依然として非常に効率的である。本構成はまた、安全な使用済みの針１０４の位置およびより調節可能な縫合パケット１０１の位置の利益を有する。
【１１２９】
ユーザの前腕上の医療装置とともに使用される、説明されたプロセスは、図９０に示されるフローチャートを参照して例証されることができる。医療装置は、前腕の背側のプラットフォームと、前腕の掌側の掌側プラットフォームとを有することができる。使用済み針保管場所が、医療装置の背側の背側プラットフォームに取り付けられることができ、縫合パックホルダが、医療装置の掌側に取り付けられることができる２０９。縫合パックは、縫合パックホルダの中に留置されることができ、医療装置は、非利き腕であり得る、外科医であり得るユーザの第１の腕の上に装着されることができる２１１。ユーザは、縫合パックの位置を調節するように第１の腕を移動させることができ、ユーザは、利き腕であり得る、ユーザの第２の腕によって保持された持針器を用いて縫合針を把持することができる２１３。次いで、ユーザは、縫合パックから縫合針を除去し、患者上に縫合糸を設置するために針を使用することができる２１４。いったん縫合糸が設置され、場合により結ばれると、ユーザは、患者上の縫合糸挿入点から使用済みの針を１フィート未満移動させ、外科医のみによって鋭利部コンテナの中に使用済みの針を留置することができる２１５。外科医は、付加的な縫合糸が必要とされるかどうかを判定することができる２１７。より多くの縫合糸が必要とされる場合、全ての縫合糸が患者上に設置されるまで、ステップ２１３、２１４、および２１５が繰り返されることができる。いったん縫合糸がこれ以上必要とされなくなると、本プロセスは、終了する２１９。議論されるように、本プロセスの利益は、外科医のみが縫合糸および針を取り扱い、針の移動は、例えば、効率を向上させ、鋭利部からの傷害を防止することができる、縫合糸挿入点から１フィート以内にあり得る。
【１１３０】
縫合糸および針は、縫合糸の設置中に近傍手術野内に留まることができる。
【１１３１】
さらに別の実施形態では、（縫合パケットを伴う）縫合パケットホルダおよび鋭利部コンテナは、同一方向を向いて同一面上で、または対向面上で、手術道具上に搭載されることができる。縫合パケットホルダおよび鋭利部コンテナは、外科医の非利き手によって保持されることができる。図８１および８３に示される、例証される実施例では、縫合パケット１０１ならびに鋭利部コンテナ１９１は、鉗子等の手術道具２０１の対向側に搭載されることができる。縫合パケットホルダ１８３および鋭利部コンテナ１９１が相互の対向側に搭載されるとき、外科医が、持針器に向かって縫合パケット１０１を回転させることができるため、新しい装備された針が把持されることができる。縫合糸が設置されたとき、外科医が、道具を約９０〜２７０度回転させることができるため、鋭利部コンテナ１９１は、使用済みの針に面し、外科医は、鋭利部コンテナ１９１の中に使用済みの針を留置することができる。手術道具が、その元の位置に戻るよう約９０〜２７０度回転させられることができるため、新しい装備された針が把持されることができ、本プロセスは、繰り返されることができる。他の実施形態では、縫合パケットおよび鋭利部コンテナはまた、未使用ならびに使用済みの針が並んでいる状態で、同一の方向を向いて、全て同一平面上にあり得る。
【１１３２】
本プロセスの実施形態は、図９１に示されるフローチャートを参照して例証されることができる。鉗子等の医療装置は、近位端部分の第１の側面上に使用済み針保管場所を有することができ、対向側の縫合パックホルダは、外科医であり得るユーザに提供されることができる２２１。縫合パックは、縫合パックホルダの中に留置されることができ、医療装置は、ユーザの第１の手で保持されることができる２２３。ユーザは、第１の手の動きによって縫合パックの位置を調節することができ、ユーザは、ユーザの第２の手によって保持される持針器を用いて針を把持することができる２２５。次いで、ユーザは、縫合パックから針を除去し、患者上に縫合糸を設置するために針を使用することができる２２７。いったん縫合糸が設置されると、ユーザは、針保管場所が、第２の手に面し、使用済みの針が、外科医のみによって、鋭利部コンテナであり得る使用済み針保管場所の中に針を留置するよう、１フィート未満移動するように、医療装置を回転させることができる２２９。より多くの縫合糸が必要とされる場合、ステップ２２５、２２７、および２２８は、全ての縫合糸が患者上に設置されるまで繰り返されることができる。これ以上縫合糸が必要とされないとき、本プロセスは、終了される２３３。再度、本プロセスは、外科医のみによって行われることができ、針は、切開部から１フィート未満移動してもよく、効率を向上させ、鋭利部からの傷害を防止することができる。
【１１３３】
他の実施形態では、種々のタイプの鋭利部コンテナが、使用済みの針を保持するために使用されることができる。例えば、図１５０を参照すると、鋭利部コンテナ２５５は、レバー２４３に結合されるドア２３７を有することができる。レバー２４３が作動させられるとき、ドア２３７は、使用済みの針が鋭利部コンテナ２５５の中に挿入されることを可能にするように開放することができる。レバー２３７が解放されるとき、ドア２３７は、使用済みの針が脱出しないように防止するように閉鎖することができる。図示される実施形態では、ユーザは、同時に鉗子２０１を保持し、鋭利部コンテナ２５５へドア２３７を開閉するようにレバー２４３を作動させることができる。例えば、ユーザは、親指と中指との間で鉗子２０１を保持して作動させることができる。人差し指は、ドア２３７を開放するように、独立してレバー２４３に接触して、それを作動させることができる。人差し指はまた、ユーザが、必要であれば付加的な下向きの力を鉗子２０１に印加することを可能にすることができる。
【１１３４】
図７７および７８を参照すると、図示される実施形態では、縫合パック１０１および鋭利部コンテナ１９１は、針受器および縫合パックアセンブリ２０５を形成するように、上側および２つの垂直側面に沿って相互に結合される。底縁は、構造が道具取付ポケット２０４を形成するように開放することができる。縫合パックおよび鋭利部コンテナの内側は、道具上への設置に先立って、剥離紙２０２で被覆される接着層２０３でコーティングされる、またはそこに取り付けられることができる。ユーザは、図７８に示されるポケットを開放するように、図７７に示されるように縫合パック１０１および鋭利部コンテナアセンブリの２つの垂直側面を圧搾することができる。次いで、ユーザは、図７９に示されるように、接着剤２０３を暴露するように剥離紙２０２を除去することができる。鉗子の近位端等の道具２０１は、図８０に示されるように、接着表面２０３に対してポケット２０４の中に挿入されることができる。縫合パック１０１および鋭利部コンテナアセンブリ１９１は、図８１に示されるように、デバイスを道具２０１の端部に固着するようにともに圧迫されることができる。本発明の構造が手術器具２０１に取り付けられているため、本システムが使用されるときに道具の感触および平衡が有意に低減させられないように、軽量材料を使用することが重要であり得る。多くの実施形態では、構造の重量は、０．１００ポンドまたは４５グラム未満である。
【１１３５】
図８２−８４を参照すると、手術道具２０１上に搭載された針受器および縫合パックアセンブリ２０４の種々の図が図示されている。図８２は、縫合針１０３を保持する複数の縫合パック１０１を伴う縫合糸ホルダ１８３とともに、針受器および縫合パックアセンブリ２０５の前面図を図示する。縫合パック１０１は、タブ１８１で縫合糸ホルダ１８３に保持されることができる。図８３を参照すると、針受器および縫合パックアセンブリ２０５の側面図は、前側に縫合パック１０１と、対向側に使用済み針受器１９１とを伴って図示されている。図８４を参照すると、針受器１９の中に留置された使用済みの針１０４を伴う、針受器および縫合パックアセンブリ２０５の後面図が図示されている。
【１１３６】
代替実施形態では、縫合パケットの裏面は、発泡体針保管場所に取り付けられることができ、針保管場所の対向側は、道具に取り付けられることができる。図８５−８７に示されるような針受器および縫合パックアセンブリ２０５のさらに別の実施形態では、道具２０１は、２つの縫合パックホルダ１８３の間に挟装される、１つの発泡体針保管場所１９１に、または２つの間に取り付けられることができる。本実施形態では、使用済みの針１０４は、発泡体針保管場所１９１の暴露側の中に挿入される。これは、発泡体が構造の厚さではなく幅全体を横断して延在するため、はるかに深い使用済みの針１０４の挿入を提供する。図示される実施形態では、針領域は、使用済みの針１０４の計数が容易に行われ得るように、一連の番号で印付けられることができる。図８５は、縫合パックホルダ１８３のうちの１つに面する、針受器および縫合パックアセンブリ２０５の前面図を図示する。図８６は、発泡体針保管場所１９１のうちの１つに面する、針受器および縫合パックアセンブリ２０５の側面図を図示し、図８７は、第２の縫合パックホルダ１８３に面する後面図を図示する。
【１１３７】
図７２−７６を参照すると、他の実施形態では、縫合パケット１０１を保持するためのタブ１８１を含み得る縫合パケットホルダ１８３と、鋭利部コンテナ１９１とを伴う、プラットフォーム１４５が、手術野内の固定または可動場所で機械的アーム上に搭載されることができる。例えば、プラットフォーム１４５は、図７３に示されるように調節可能継手１９３を有するアーム、または図７４に示されるように任意の所望の位置まで移動させられることができる可撓性アーム１９５に搭載される、別個の構造であり得る。アーム１９３、１９５の基部は、テーブル等の固定表面１９７に圧着されることができる。
【１１３８】
他の実施形態では、中実プラットフォームが、外科的切開部の周辺部上で手術用ドレープに固着される。実施形態では、本デバイスは、外科医に支援がない場合は外科医の対向側に、または隣接側で外科医の利き手に搭載される。図７５および７６に図示される実施形態では、縫合パケット１０１を保持する縫合パケットホルダおよび鋭利部コンテナを伴うプラットフォーム１４５は、プラットフォーム１４５表面の角度が調節されることを可能にする、「Ａ」フレーム構造１９９上に搭載されることができる。例えば、プラットフォーム１４５は、新しい装備された針の把持および使用済みの針を留置する運動を最も容易に促進する、約０〜５０度の表面に対する角度で、縫合パケット１０１および縫合糸保管場所１９１を搭載することができる。プラットフォーム構造１９９は、ステープルまたはテープで手術用ドレープに取り付けられることができる。手術野内にしっかり搭載された針ホルダに隣接する縫合パケット１０１および鋭利部コンテナ１９１を伴うプラットフォーム１４５は、向上したより効率的な外科的ワークフローを促進するであろう。図７２に図示されるような本実施形態では、縫合パケット１０１を保持する縫合パケットホルダおよび鋭利部コンテナ１９１の近接性は、約４インチ以内であり得る。
【１１３９】
上記で説明される本発明のデバイスの間の共通特徴は、それらが、装備されたおよび／または装備されていない針ならびに／もしくは縫合パックを同一構造上の使用済み針保定デバイスと組み合わせることである。使用済み針保定デバイスを伴う装備されたおよび／または装備されていない針ならびに／もしくは縫合パックは、恒久的に、および／または易壊性の関連付けで、構造に固定されることができる。本構成は、向上した微小人間工学を可能にする。外科医は、片手で持針器を、第２の手で鉗子等の別の道具を保持することができる。外科医は、針が縫合パックから除去されるとき、または使用済みの針が使用済み針保定デバイスの中に留置されるとき、持針器もしくは鉗子から手を放す必要がない。外科医が器具から指を外す必要がないため、手技は、偶発的に器具を落とす可能性がはるかに低いので、より効率的かつ安全であり得る。
【１１４０】
針および使用済みの保定された針のための前腕の使用は、向上した効率、安全性、ならびにより良好な微小人間工学を提供することができる。そのようなシステムを使用して、外科医は、常に、使用済みの針が位置する場所を把握する。また、外科医が非利き前腕の背側を身体の別の部分に並置するように前腕を交差させない限り、使用済みの針で外科医の身体を偶発的に突くことは非常に困難である。使用済みの針が手術野上にある場合、外科医の手がそれらの上に偶発的に留置されることは、はるかに容易である。新しい針および使用済みの針を近接近して有することは、並置を可能にする。患者内への縫合糸の設置は、外科医による円運動で行われる。外科医は、より容易に、鋭利部コンテナの中に使用済みの針を落下させ、次の新しい針を把持することができる。
【１１４１】
図４９に示される本発明のプラットフォームの実施形態の上面図に図示されるように、本システムは、道具ホルダ１７７と、縫合パックホルダ１８３と、鋭利部コンテナ１９１とを含むことができる。実施形態では、道具ホルダ１７７の中に格納される道具のうちの１つは、手術創傷の洗浄用の生理食塩水を格納する中空コンテナであり得る、バルブ洗浄器であり得る。外科医は、バルブ洗浄器のノズルを創傷に向け、生理食塩水の流量および方向を制御するようにバルブ部分を圧搾することができる。プラットフォーム１４５上にバルブ洗浄器を格納することによって、外科医は、いつでも本道具にアクセスすることができる。手術を観察している器械出し助手は、査定し、それによって、次のステップが、骨ろうまたはゲル発泡体の適用（腰部減圧等のある手技中に必要に応じて）、またはその段階的機能における綿布であり得ることを予測することができる。例えば、外科医は、バルブ洗浄器に手を伸ばし、洗浄を行い、それをプラットフォーム１４５上に戻して留置すると、器械出し助手は、次のステップに準備ができていると把握することができる。外科医がバルブ洗浄器を取り扱っているため、外科医は、どれだけの生理食塩水がバルブの中に残されているかを把握するであろう。外科医は、バルブ洗浄器の中の生理食塩水の量を感じ、見て、補充が必要とされるときにより多くの生理食塩水を求めることができる。代替として、器械出し助手は、外科医を観察することにより多くの時間、物体を外科医に渡すことにより少ない時間を費やすことができる。外科医がバルブ洗浄器を取り扱うことを観察することによって、器械出し助手は、流体レベルが低くなっているときを見て、より多くの生理食塩水の必要性を予測することができる。外科医および器械出し助手の行動がより独立しているため、全ての当事者が手術により集中することができ、意思伝達が向上させられることができる。これらの同一の利益は、上記で説明される本発明のシステムの針取扱プロセスにも適用されるであろう。
【１１４２】
図示される実施形態のうちのいくつかでは、使用済みの針は、図１０２および１０３に示されるように搭載表面とほぼ垂直な数本の針を伴って、プラットフォーム等の平面的な搭載表面に結合される発泡体鋭利部コンテナの中に挿入される。図１０４を参照した他の実施形態では、鋭利部コンテナ２５７は、針１０４が搭載表面とより平行であるように、使用済みの針１０４が鋭利部コンテナ２５７の側面の中に挿入されるように配向されることができる。実施形態では、コンテナ２５７構造の側面は、コンテナ２５７の使用済み針挿入側を除いて、発泡体を囲繞することができる。コンテナ２５７は、透明材料から作製され、針の計数のために番号付与２５９で印付けられることができる。コンテナ２５７は、針１０４の鋭利な先端が鋭利部コンテナ２５７から退出しないように防止することができ、増加した挿入深さは、針が脱出しないように防止する。これらの特徴の両方は、デバイスの安全性を増加させる。
【１１４３】
他の実施形態では、縫合パック１０１は、鋭利部コンテナ２５７の上面上に留置されることができる。図１０５を参照すると、前面上に搭載された縫合パック１０１を伴う鋭利部コンテナ２５７の側面図が図示されている。図１０６は、鋭利部コンテナ２５７上に搭載された縫合糸１０３を保持する縫合パック１０１の前面図を図示する。
【１１４４】
図１０７を参照した実施形態では、針保管場所２５７の複数の層は、保護プラットフォームまたは道具上にあり得る搭載表面に取り付けられた内側保管場所２５７とともに積み重ねられることができる。鋭利部コンテナの対向する暴露側は、接着剤でともに保持され得る、１つまたはそれを上回る積層縫合パケット１０１を搭載するために使用されることができる。針は、最外縫合パケットから除去されることができ、使用済みの針１０４は、鋭利部コンテナ２５７の側面の中に挿入されることができる。使用済みの針１０４は、針の計数のために番号付け２５９で印付けられることができる発泡材料２６３の中に、鋭利部コンテナ２５７の側面の中に挿入されることができる。縫合パケット１０１が針を切らしたとき、これは、下層の縫合パケット１０１を暴露するように除去されることができる。縫合パケット１０１および鋭利部コンテナ２５７が非常に近接近しているため、外科的手技の微小人間工学が向上させられる。
【１１４５】
図１０８−１１０を参照した実施形態では、鋭利部コンテナ２５７は、使用済みの針１０４が、複数の表面を通して単一針保持材料の中に挿入される、材料から成ることができる。図示される実施例では、発泡材料２６３は、複数の伸長開口部３６４および数値マーキング２５８を含む、コンテナ構造２５７内に留置されることができる。使用済みの針１０４は、暴露された上面ならびに側面の中に挿入されることができる。上面を通して挿入される使用済みの針１０４は、搭載表面に対して浅い対角で配向されることができ、側面を通して挿入される使用済みの針１０４は、搭載表面とより平行であり得る。図１１１−１１３を参照した別の実施形態では、隣接針保持材料部品を分離する仕切２６１が、コンテナ構造２５７の中に留置されることができる。本実施形態では、各使用済みの針１０４は、針の計数の精度を向上させることに役立つことができる、具体的な使用済み針通路の中に挿入される。
【１１４６】
図１１４−１１６を参照すると、他の実施形態では、鋭利部コンテナ２５７は、使用済みの針１０４が複数の面内に留置され、１つまたはそれを上回る積層縫合パケット１０１と搭載表面との間に搭載されるように、複数の層を伴う側面のみを通したアクセスを伴って構成されることができる。アセンブリ構成要素は、接着剤でともに保持されることができ、アセンブリは、接着剤で搭載表面に取り付けられることができる。搭載表面は、道具表面またはプラットフォーム表面であり得る。新しい針１０３は、最外縫合パケット１０１から除去されることができる。全ての針１０３が最外縫合パケット１０１から除去されたとき、ユーザは、完全な下層の縫合パケット１０１を暴露するように、使い切った縫合パケット１０１を剥離することができる。
【１１４７】
他の実施形態では、縫合パケット１０１および使用済み針受器２５７は、層状の屋根板のように対角様式で構成されることができる。図１１７−１１９に示される、図示される実施例では、複数の縫合パケット１０１が、アセンブリ２０５の左側に積み重ねられる。針１０３は、除去され、使用され、次いで、針受器２５７の中に留置される。縫合パケット１０１は、接着剤で定位置に保持されることができ、針１０３が使い尽くされたとき、最外縫合パケット１０１は、次の縫合パケット１０１を暴露するように、剥離されて破棄されることができる。使用済み針受器２５７は、複数の発泡体２６３部品を分離する、複数の対角に配向された仕切２６１を有し得る、単一発泡体構造または複数の発泡体２６３部品を有することができる。仕切２６１は、下搭載表面に対して対角方向に針１０４を指向することができる。本対角構成は、挿入深さを増加させ、ユーザがアセンブリ２０５の上面上の挿入点を視認することを可能にする。鋭利部コンテナ２５７の暴露表面は、番号付けされることができる２５９。上面挿入点に加えて、使用済みの針１０４はまた、側面を通して１つまたはそれを上回る層の中に挿入されることもできる。図１２０−１２２に示される代替実施形態では、鋭利部コンテナ２５７の異なる層の間の仕切２６１は、使用済みの針１０４の湾曲に類似し得るように、湾曲されることができる。これは、使用済みの針１０４が仕切２５７の湾曲を辿ることができ、仕切２５７と衝突する可能性が低いため、使用済みの針の挿入を向上させることができる。
【１１４８】
図１２３−１２５を参照すると、議論されるように、使用済みの針１０４に関する潜在的な安全性問題は、使用済みの針１０４が偶発的に手術室の外科構成員の皮膚を破ると、ウイルスを伝播する、それらの能力である。使用済みの針１０４が清掃および／または消毒された場合、使用済みの針１０４は、ウイルスを蔓延させる可能性がはるかに低い。図１２３−１４０を参照した実施形態では、使用済み針受器２５７は、鋭利部コンテナ２５５の一部内にカプセル化される消毒流体コンテナ２６４を含むことができる。消毒流体は、液体、ゲル、粉末、または任意の他の好適な抗菌材料２６６であり得る。抗菌材料２６６を含有するために使用される鋭利部コンテナ２５５の部分は、透明プラスチックまたは他の透明材料であり得る。弾性材料２５１が、鋭利部コンテナ２５５の消毒流体コンテナ２６４部分の中で抗菌材料２６６を密閉し得る、消毒流体コンテナ２６４の部分に取り付けられることができる。弾性材料２５１は、発泡体、ゴム、プラスチック、または使用済みの針１０４によって穿刺されることができる任意の他の好適な材料であり得る。
【１１４９】
針１０４が鋭利部コンテナ２５５の中に留置されるとき、外科医は、弾性材料２５１を通して針１０４の鋭利な先端を駆動することができる。針１０４は、体液で被覆され得、細菌および／またはウイルスで汚染され得る。使用済みの針１０４の先端は、弾性材料２５１を通過し、コンテナ２６４部分内の抗菌材料２６６の中に入ることができる。コンテナ材料が透明であり得るため、ユーザは、抗菌材料２６６の中の使用済みの針１０４の先端が見える。弾性材料２５１は、抗菌液体２６６が針受器２５７の流体コンテナ２６４部分から脱出しないように防止することができる、緊密なシールを、使用済みの針１０４の周辺に生成してもよい。
【１１５０】
抗菌材料２６６の中に挿入される使用済みの針１０４の部分は、清掃および消毒される。したがって、これらの使用済みの針１０４は、針受器２５７の中に使用済みの針１０４を挿入する行為によって、適切に処理される。これらの消毒処理された針１０４は、後続の人間の接触の場合に感染症または疾患を伝播する脅威をあまり与えない。使用済みの針１０４が偶発的に使用済み針受器２５７から除去された場合、針１０４の表面は、弾性材料２５１に対して摺動し、針１０４が針受器２５７から除去される際に、それをさらに清掃し、処理されていない使用済みの針１０４と比較して、感染症または疾患を蔓延させるリスクをさらに低減させるであろう。
【１１５１】
縫合糸が患者を閉鎖するために使用された後、外科チームは、使用済みの針１０４のうちのいずれも患者の中にないことを確実にするように、針の計数を行わなければならない。実施形態では、使用済み針受器２５７は、連続的な一連の番号マーキング２５９を有することができる。数値マーキング２５９は、弾性材料２５１上または針受器２５７の任意の他の好適な部分上にあり得る。外科医は、印付けられた順序で番号付き空間の中に使用済みの針１０４を留置することができる。針の計数中に、計数者は、挿入された使用済みの針１０４を有する各針受器２５７の最後の番号付き領域を見ることによって、計数を容易に行うことができる。
【１１５２】
使用済みの針１０４は、使用済み針受器２５７の中に可能な限り深く留置されるべきである。しかしながら、近位端は、通常、使用済みの針１０４が針受器２５７の中に挿入された後に暴露されるであろう。これらの近位端は、遠位端ほど鋭利ではないが、依然として人に傷害を引き起こすほど十分に鋭利であろう。図１２６−１２８を参照すると、傷害のリスクを低減させるために、使用済み針受器は、隣接し、弾性材料２５１から外向きに延在し得る、障壁２６１を含むことができる。障壁２６１は、針受器２５７の中に挿入された針１０４の近位端を囲繞し得る、チャネルを生成することができる。チャネルは、２つの側面上で開放することができ、チャネルの幅は、持針器が弾性材料２５１を通して使用済みの針１０４を容易の中に挿入するために十分に幅広くあり得る。これらのチャネルはまた、外科スタッフへの傷害を防止することもできる。たとえ使用済み針受器２５７が身体に押圧されたとしても、チャネルの壁が、針１０４の暴露近位端が傷害を引き起こすことを防止することができる。使用済みの針１０４の近位端がチャネルの外縁を通り過ぎて延在する場合、近位端との物理的接触は、針１０４を弾性材料２５１の中に安全により深く押し込み、チャネルの中に近位端を移動させる傾向となるであろう。
【１１５３】
縫合針１０４は、形状が略湾曲される。したがって、チャネルも図１２６−１３６に示されるように湾曲される、または角度を付けられている場合、使用済み針受器に使用済みの針１０４を挿入することが、より容易であり得る。これらの構成では、外科医は、針の凸状湾曲側がチャネル壁の凹状または内向き湾曲に面する状態で、使用済みの針１０４を挿入することができる。使用済みの針１０４が完全に挿入されたとき、使用済みの針１０４の端部は、オフセットされるのではなく、整合させられることができる。異なるユーザが、異なるチャネル角度または湾曲を好み得る。例えば、右利きの外科医は、図１２９および１３０に示されるように左側に角度を付けられている、または図１３３および１３４に示されるように左側に湾曲される、上端を有する、チャネルを好み得る。対照的に、左利きの外科医は、図１３１および１３２に示されるように右側に角度を付けられている、または図１３５および１３６に示されるように右側に湾曲される、上端を有する、チャネルを好み得る。
【１１５４】
いくつかの実施形態では、より多数の使用済みの針１０４を保持するために、複数の使用済み針鋭利部コンテナがともに使用されることができる。図１３７および１３８に示される実施形態では、使用済み針鋭利部コンテナ２５５は、それぞれの鋭利部コンテナ２５５のチャネル部分が暴露した、重複構成で配列されることができる。チャネル上の連続番号付け２５９は、外科医が鋭利部コンテナ２５５の中に使用済みの針１０４を留置すると、明確に可視であり得る。持針器の先端が、チャネル内に嵌合することができるため、使用済みの針１０４の近位端は、完全に保護チャネル内にあろう。また、以前に説明されたように、第１の鋭利部コンテナ２５５の被覆されていない表面上に１つまたはそれを上回る縫合パケット１０１を留置することも可能である。図１３９−１４０に示されるような他の実施形態では、鋭利部コンテナ２５５は、使用済みの針の入力端のみが暴露した状態で、垂直に配列されることができる。番号マーキング２５９は、外科医によって暴露弾性層２５１上で見られることができる。
【１１５５】
本発明のいくつかの実施形態では、係止機構２６５が、図１５３および１５４に示されるように鋭利部コンテナ２５５とともに使用されることができる。係止機構２６５は、針１０４が挿入されることを可能にすることができるが、使用済みの針１０４が除去されないように防止してもよい。実施形態では、係止機構２６５は、鋭利部コンテナ２５５のそれぞれのチャネル内に位置することができる。チャネルの壁は、針１０４の先端を係止機構２６５に誘導するようにテーパ状になることができ、係止機構２６５は、チャネルの対向側で重複し得る、１つまたはそれを上回るヒンジ付きアーム２６８を含むことができる。図１５４を参照すると、針１０４が係止機構２６５に圧入されるとき、アーム２６８が使用済みの針１０４の対向側に押圧されるように、アーム２６８は、下向きに偏向することができる。次いで、アーム２６８は、針１０４がチャネルから除去されないように防止するように、針１０４上に下方に圧着し、したがって、鋭利部コンテナ２５５の中に使用済みの針１０４を係止するであろう。
【１１５６】
図１５５および１５６を参照した他の実施形態では、係止機構２６５は、複数のカム２７５を含むことができる。使用済みの針１０４は、チャネル２７７の対向側に搭載される複数のカム２７５を通して圧迫されることができる。カム２７５は、針１０４が鋭利部コンテナ２５５に進入することを可能にするように下向きに回転することができる。上向きの力が針１０４に印加される場合、カム２７５は、上向きに回転し、針１０４が除去されないように防止するように、各カム２７５において針１０４の対向側に圧着するであろう。他の実施形態では、使用済みの針１０４が鋭利部コンテナから除去されないように防止するために、種々の他の係止機構が使用されることができる。
【１１５７】
実施形態では、鋭利部コンテナ２５５は、針が鋭利部コンテナ２５５のチャネル２７７の中に適切に留置されていることを示す、インジケータを有することができる。図示される実施例では、発泡体インジケータブロック２７９が、カム２７５のそれぞれの直下に搭載されることができる。チャネル２７７の側面に対する発泡体２７９の摩擦力は、定位置でブロック２７９を保持することができる。針１０４の先端は、カム２７５を通過した後、発泡体インジケータブロック２７９の上面に接触し、針１０４の下向きの力は、発泡体ブロック２７９をチャネル２７７の下部分まで移動させることができる。最終的に、発泡体ブロック２７９は、チャネル２７７の底部に接触してもよく、使用済みの針１０４は、ブロック２７９のいかなる付加的な移動も伴わずに、発泡体ブロック２７９にさらの中に挿入されることができる。実施形態では、発泡体ブロック２７９は、鋭利部コンテナ２５５のチャネル２７７が使用済みの針１０４で充填されているかどうかをユーザが容易に見ることができるように、上位置で隠され、下位置で可視であり得る。図１５５は、数値マーキング２５９で被覆された上位置に発泡体ブロック２７９を伴う鋭利部コンテナ２５５を図示する。
【１１５８】
他の実施形態では、他のタイプの係止機構およびインジケータが、鋭利部コンテナとともに使用されることができる。図１５１−１５２に図示される実施形態では、使用済みの針１０４は、導電性および磁性であり得る。図１５１は、電気回路および係止機構２６５が可視である、鋭利部コンテナ２５５を図示する。図１５２は、数値マーキング２５９で被覆された電気回路および係止機構２６５を伴う鋭利部コンテナ２５５を図示する。チャネル２７７は、ライトインジケータシステムのための上電気回路を有することができる。上ライトインジケータ回路は、ライト２６７がオフである状態で、通常は開放している。針１０４は、ライト２６７およびバッテリ２６９の正または負のリード線に電気的に接続される、係止機構２６５の中に留置される。針１０４が係止機構２６５を通して下導体２７１に圧迫されるとき、使用済みの針１０４の電気接点は、チャネルライト２６７を照射する回路を閉鎖する。針１０４が定位置で係止されるため、ライト２６７は、照射されたままとなるであろう。
【１１５９】
図示される実施形態では、下回路は、針１０４の先端が電磁石に隣接するときに電磁石２７３をオンにする。本実施形態では、下回路は、中央導体２７０と接触している針１０４も下導体２７１に接触するときに完成する。中央導体２７０と下導体２７１との間の本電気接続は、回路を完成させ、電磁石２７３に対して針を引いて電磁石を通電させる。充電電磁石２７３に対して針１０４を摺動させることが容易であろうため、いったん針１０４が適正な位置になると、これは通電させられるはずである。本実施形態では、電磁石２７３は、針１０４が鋭利部コンテナ２５５から除去されないように防止する、係止機構を提供する。電磁２７３係止機構は、単独で、または他の係止機構と組み合わせて使用されることができる。
【１１６０】
他の実施形態では、鋭利部コンテナ２５５は、バッテリ２６９と、針１０４の存在を感知して継続中の計数を続け、針の相対的または絶対的存在をオペレータに知らせるインジケータライト２６７もしくはディスプレイを有する、制御電子機器とを有することができる。同デバイスは、Ｂｌｕｅｔｏｏｔｈ（登録商標）を介するものを含む、他のデバイスおよび電子機器と無線で連通する伝送機、またはタブレット、コンピュータ、携帯電話等を含む低周波数低エネルギー伝送機を含有することができる。センサは、インピーダンス変化、重量、電気抵抗、体積等を感知してもよい。センサ情報は、正確な使用済みの針１０４の数を提供する目的で、鋭利部コンテナの中の使用済みの針１０４の数を示すために使用されることができる。電磁石２７３は、プラスチック層を通して稼働することができる。したがって、いくつかの実施形態では、使用済みの針１０４は、電磁石２７３と直接接触していない。使用済みの針１０４が鋭利部コンテナ２５５から除去される必要があるとき、電磁石２７３は、オフにされることができる。実施形態では、電磁石２７３は、鋭利部コンテナ２５５を磁気前腕プラットフォームに固着するために使用されることができる。
【１１６１】
上記で議論されるように、針受器および縫合パケットアセンブリは、手術道具の端部上に留置されることができる。前の実施例は、暴露側の縫合パケットおよびアセンブリの縁に沿った使用済み針受器を図示した。図１４２に図示されるような他の実施形態では、暴露側の使用済み針受器と、使用済み針受器の間のアセンブリの縁の上に留置された縫合パケットとを有することも可能である。図示される実施例では、縫合パケット１０１の中の新しい針１０３の近位端は、暴露され、使用済み針受器２５７の縁から離れて延在することができる。図１４１を参照した実施形態では、新しい針１０３の近位端に隣接した縫合パケット１０１の部分は、鎖線に沿って近位端を暴露するように屈曲または除去されることができる。図１４４および１４５を参照すると、次いで、縫合パケット１０１および手術道具２０１の近位端は、使用済み針受器および縫合パックアセンブリ２５８を形成するように、使用済み針受器２５７の後面に対して位置付けられることができる。使用済み針受器２５７は、接着剤または任意の他の好適な結合機構で、道具２０１の近位端に固着されることができる。
【１１６２】
外科医は、使用済み針受器および縫合パックアセンブリ２５８から新しい針１０３の近位端を把持し、縫合糸を設置することができる。次いで、外科医は、使用済み針受器２５７内の次の連続空間に使用済みの針１０４を挿入することができる。次いで、外科医は、別の新しい針１０３を把持し、プロセスを繰り返すことができる。本プロセスは、外科医が針および持針器を取り扱うために器械出し助手に依拠する必要がないため、より効率的である。本プロセスはまた、外科医と器械出し助手との間の針の協調的取扱が制限されているか、または全くないため、より安全であって、手違いのリスクを減少する。
【１１６３】
本発明の実施形態は、外科医に直接近接して約２〜２０本の使用済みの針をしっかりと格納する、軽量構造を提供することができる、鋭利部コンテナを対象とする。鋭利部コンテナは、高さまたは長さが約４インチ未満、幅が４インチ、厚さが３インチであり得、手術道具、外科医によって支持されるプラットフォーム、または外科医によって制御される任意の他の可動構造上で保持されることができる。本発明の鋭利部コンテナは、使用済みの鋭利部を格納するための内部容積を有することができ、実施形態では、コンテナは、使用済みの鋭利部を挿入するように開放し、使用済みの鋭利部が脱出しないように防止するように閉鎖され得る、可動ドアを有することができる。鋭利部コンテナの形状は、円筒形、箱形、または約２〜２０本の使用済みの針１０４を格納するために十分に大きい内部容積を有する任意の他の好適な形状であり得る。使用済み鋭利部コンテナが手術道具の端部の上にあり得るため、使用済み鋭利部コンテナの重量は、好ましくは、０．１００ポンドまたは４５グラム未満である。
【１１６４】
多くの実施形態では、外科医は、助手に渡すことに先立って、針または針のグループを収納する責任を負う。縫合針は、組織を通過する湾曲中実針であり得る。したがって、これらの針は、組織内の非常に小さい孔を通過し、針は、少なくともいくつかの実施形態では、針にわたって摺動し、鋭利な使用済みの針先端を安全に収納するように、針の後端上に付属具を有することができない。
【１１６５】
実施形態では、本発明は、組織から使用済み鋭利部コンテナまでの汚染された針の最短経路で、手術野内で使用済みの手術用針を安全に収納するための手段を提供する。本プロセスは、針が、例えば、近傍手術野内で、通常は１フィート未満である短い距離のみを進行するため、実質的により短い。
【１１６６】
説明および図示されるような本発明の鋭利部コンテナの設計ならびに使用は、患者創傷を閉鎖する際に外科医のワークフローに干渉しない、物理的性質を有する。実施形態に関する作業は、使用済みの針を、器具上または外科医の前腕もしくは手の上に位置付けられた鋭利部コンテナに収納することが、手技をより安全にすることに加えて、実際に手技を促進させることを示唆する。手／前腕または外科医の生体構造上の手術道具の後面に取り付けられた鋭利部コンテナまでの針のより短い物理的経路はあり得ない。したがって、本発明のシステムはまた、使用済みの針が進行しなければならない距離を最小限にし、使用済みの針の不必要な移動を排除し、効率を増加させ、必要時間を短縮する。本発明のプロセスは、外科医に作業全体を行うように要求するのみという利益を有し、使用済みの鋭利な針の取扱を最小限にし、本発明のシステムの安全性を増加させる。
【１１６７】
図１４６は、実施形態による、統合された縫合パケットおよび針受器を備える、装置３０８のブロック図である。本発明の実施形態では、複数の新しい針１０３が、同一の筐体３０９を共有することができる単一の統合ユニット３０８として、鋭利部コンテナまたは針受器２５７とともにパッケージされることができる。針受器は、複数の分配された縫合針１０４を収納するように構成される、本明細書に説明されるような任意の鋭利部コンテナまたは針受器（例えば、使用済み針受器１９１、鋭利部コンテナ２５７、針トラップ３３１等）を備えてもよい。統合された縫合パケットおよび鋭利部コンテナは、所定の数の新しい針と、少なくとも所定の数の使用済みの針のための十分な空間を含む鋭利部コンテナとを含むことができる。例えば、実施形態では、統合された縫合パケットおよび鋭利部コンテナは、約５〜７本の使用済みの針を受け入れ得る、使用済みの針のための最適化鋭利部コンテナを伴う筐体の第１の部分内に、またはその上に搭載された縫合パケットの中に５本の新しい針を含有することができる。他の実施形態では、統合されたユニットは、任意の他の数の針、例えば、１０または２０本、もしくはそれを上回る針を有することができる。しかしながら、統合された鋭利部コンテナは、好ましくは、新しい針と等しいまたはそれを上回る数の使用済みの針を保持することができる。
【１１６８】
いくつかの実施形態では、統合された縫合パケットおよび鋭利部コンテナ３０８は、新しい装備された針１０３が筐体の第１の側面３０３からアクセス可能であって、鋭利部コンテナ２５７が筐体の第２の側面３０４上に配置された、筐体３０９を共有する。例えば、第１の実施形態では、外科医は、筐体の第１の側面から装備された針を把持するために持針器を使用してもよい。外科医は、縫合糸を使用し、筐体の上面等の第２の側面内のドアを通して、鋭利部コンテナの中に使用済みの針を留置することができる。ユーザは、使用済みの針を挿入するようにドアを開放し、次いで、使用済みの針が脱出しないように防止するようにドアを閉鎖することができる。
【１１６９】
他の実施形態では、保護ドアが、装備された針を遮蔽するように閉鎖されることができる。これは、統合された縫合パケットおよび鋭利部コンテナが針を保護するように格納場所に留置される場合に有用であり得る。異なる実施形態では、保護ドアは、種々の異なる方法で開放されることができる。図示される実施形態では、ドアは、外科医がドアを容易に開放して、新しい装備された針にアクセスすることができるように、左右または上下に摺動してもよい。他の実施形態では、複数のドアは、装備された針へのアクセスを可能にするように開放してもよい。いくつかの実施形態では、保護ドアは、手動で操作されることができる。他の実施形態では、保護ドアの位置を制御するために、アクチュエータが使用されることができる。筐体はまた、標識もしくはマーキングが針および／または筐体情報を提供するために使用され得る、外面を有することもできる。
【１１７０】
縫合パックおよび針受器のそのような統合構成は、本明細書に説明される向上した安全性ならびに効率を提供することができる。鋭利部コンテナは、複数の針を可能にする境界を伴う発泡体、針がシェルの側面を出て通過することができないように外側シェルに包み込まれる発泡体、使用済みの針を導入するための開口を有する外側シェルに包み込まれる発泡体であって、針の屈曲により、筐体が針先端を捕捉するように、開口が筐体の幅より狭い、発泡体を含む、多くの異なる種類を有することができる。発泡体は、外科医が使用済みの針を留置するように配向および場所に柔軟性を有する、針を捕捉するためのリザーバ型媒体を表す。
【１１７１】
別の鋭利部コンテナの実施形態は、針が外科医によって留置される具体的な孔を含む。使用済みの針は、中に入ることができるが、機構は、針を捕捉し、使用済みの針１０４の除去を可能にしない。そのような機構は、ロブスタートラップに形状が類似する、針の通過を可能にするが除去を防止するように屈曲する、テーパ状先端および可鍛性リーフを伴う円錐を含むことができる。別の機構は、歯止めを伴う１つまたはいくつかのカムである。使用済みの針が導入されると、カムが回転し、針の先端を圧縮する。カムの回転はまた、針の存在を示す色変化を伴ってカムの側面を暴露することもできる。固定場所で個々の針を捕捉するための多くの潜在的機構がある。
【１１７２】
図１４７Ａ−１４９は、カートリッジの形態の鋭利部コンテナの例示的実施形態を図示する。カートリッジは、手術用ピックアップ、アドソン、ボニー等の典型的に非利き手で使用される器具に取り付けられることができる。カートリッジは、ピックアップを固着するように設計されることができ、カートリッジが道具または構造から容易に取り付けられ、取り外されることを可能にし得る、搭載機構を含むことができる。鋭利部コンテナに加えて、カートリッジはまた、外科医に容易に可視であり得る、筐体の外面上の１つまたはそれを上回る針パッケージおよび広い標識を含むこともできる。図１５０は、手術器具２０１に結合された鋭利部コンテナ２５５の実施形態を図示する。
【１１７３】
実施形態では、カートリッジは、取付機構を含むことができる。取付機構は、カートリッジを道具またはプラットフォーム等の別の物体に結合するために使用されることができる。実施形態では、取付機構は、ピックアップの非手術用端が取り付けられた、カートリッジ内のスロットまたは複数のスロットもしくは孔であり得る、または手術用ピックアップの付属具を組み込むことができる。他の実施形態では、取付機構は、カートリッジを道具に固着するために使用され得る、永久磁石を含むことができる。図示される実施例における図１５７を参照すると、カートリッジ２８１は、鉗子道具２０１の近位端から延在する２つの伸長ロッド２８５に対応する、２つの孔２８３を有する。永久磁石２８７はまた、カートリッジ２８１内の磁石２８７が鉗子道具２０１内の磁石２８７に引き付けられ、磁力が定位置でカートリッジ２８１を保持するように、鉗子道具２０１の近位端において搭載されることもできる。カートリッジ２８１は、磁力より大きい力が印加されると分離されることができる。
【１１７４】
他の実施形態では、カートリッジを別の物体に固着するために、純機械的係止機構が使用されることができる。図１５８−１５９の図示される実施例では、カートリッジ２８１の底部は、結合部内の対応する陥凹２９１に係合することができる、２つのタブ２８９を有する。ともに圧迫されたとき、タブ２８９は、タブ２８９の外面が結合部の内面に対して摺動するように、内向きに偏向することができる。次いで、タブ２８９は、カートリッジ２８１を鉗子道具２０１の上に堅く固着するように、結合部の内面内のスロット２９１に係合することができる。ユーザは、鉗子道具２０１からカートリッジ２８１を切断するように、スロット２９１を通して内向きにタブ２８９を圧搾することができる。
【１１７５】
異なる実施形態では、カートリッジの未使用の針側面は、装備された針を暴露するように移動または摺動する、保護カバーもしくはドアを有することができる。保護カバーまたはドア機構は、上下もしくは横向きの任意の方向に作動させられることができる。
【１１７６】
カートリッジは、面から嵌め込まれた未使用の針を伴う卵形断面を有することができる。いったんカバーまたはドアが開放すると、未使用の針は、外科医にアクセス可能である。
【１１７７】
鋭利部コンテナは、同様に印付けられ、面上に開口を有する、対側の閉鎖セル発泡体であり得る。発泡体は、使用済みの針１０４の捕捉および保定を促進するように面の全境界まで延在することができる。カートリッジの壁は、針が筐体の側面から外に出ることから保護するように、針によって貫通可能ではない。
【１１７８】
鋭利部コンテナは、使用済みの鋭利部の偶発的除去を防止することに役立ち得る、磁気基部を有することができ、鋭利部コンテナはまた、使用済みの針１０４がより容易に計数されることを可能にすることができる、澄んだ透明構造であり得る。鋭利部コンテナは、針が任意の角度で鋭利部コンテナに進入し得るように、小開口を通して針を回転させることによって、使用済みの針１０４が通過することを可能にする、ドーム被覆を有することができる。鋭利部コンテナは、針がコンテナの中に留置すると定位置で係止するカバーとともに磁気基部を含んでもよい。鋭利部コンテナ蓋を係止または閉鎖することは、次の新しい装備された針を暴露し、または新しい針を被覆するドアを作動もしくは開放してもよい。
【１１７９】
鋭利部コンテナのさらに別の実施形態における図１６０−１６６を参照すると、筐体２９５内の孔２９３は、弾性発泡体２６３の薄い層で被覆されることができる。鋭利部コンテナのより大きい幅の容積が、孔２９３の下に位置することができる。したがって、針１０４が孔２９３にわたる発泡体２６３の中に留置されるとき、針１０４は、発泡体２６３を通過し、針１０４の中間部分は、孔２９３内に位置付けられてもよく、鋭い先端は、孔２９３の下方のより幅広い容積内にあり得る。実施形態では、鋭利部コンテナの本実施形態は、直径または幅が約２〜５０ｍｍであり得る下層の孔２９３を被覆する、厚さ約１〜１０ｍｍであり得る弾性発泡体２６３の層を含むことができる。孔２９３の深さはまた、約２〜５０ｍｍであり得る。発泡材料２６３は、筐体２９５の上に接合されることができ、ドラムのように孔２９３を被覆することができる。本構成は、いくつかの利益を有することができる。針１０４の先端は、より厚い発泡層よりも少ない力で、発泡体２６３層をより容易に通過することができる。しかしながら、より薄い発泡体２６３層は、依然として、使用済みの針１０４が重力によって抜去されないように防止するために十分な摺動抵抗を提供する。針１０４の近位側面は、依然として、発泡層２６３の上方に留まるであろう。
【１１８０】
針１０４の近位側面上の力は、発泡体２６３層を通して針１０４をさらに前進させる、または発泡体２６３内で針１０４を回転させるために、非常に大きくある必要はない。発泡体２６３はまた、発泡体２６３の面に対する針１０４の低力角度変位を可能にすることもできる。したがって、横力が暴露近位部分に印加された場合、針１０４は、単純に発泡体２６３の面に対して屈曲するであろう。発泡体２６３の下には、針１０４の遠位先端が鋭利部コンテナ筐体２９５内で動き回るための十分な容積がある。発泡体２６３は、針１０４が挿入された後でさえもその移動を可能にすることができるため、針１０４の近位側面による人間の皮膚への傷害のリスクが低減される。議論されるように、針１０４への下向きの力は、発泡体２６３を通してそれを鋭利部コンテナにさらに押し込めさせ、水平力は、針１０４を発泡体２６３進入点を中心として回転させるであろう。
【１１８１】
異なる実施形態では、孔２９３のサイズおよび発泡体２６３の厚さは、両方とも可変であり得る。発泡体２６３および孔２９３のサイズならびに物理的性質は、使用されている針１０４のタイプに基づいて最適化された機能性を提供するように選択されることができる。より軽量である、より小さい針１０４が、より小さい孔２９３にわたって、より薄くより低密度の発泡体２６３を使用することができる一方で、より長い針１０４は、より大きい孔２９３にわたって、より厚くより高密度の発泡体２６３を必要とし得る。コンテナの下層容積の形状は、最大針１０４先端偏位を可能にするように最適化される必要があろう。
【１１８２】
実施形態では、孔２９３の位置は、ユーザが発泡体２６３層の下の孔２９３の場所を容易に特定し得るように、発泡体２６３の暴露側の円形マーキング２９７に対応することによって示されることができる。孔２９３は、針１０４の計数に役立つように数値で印付けられることができる２５９。孔２９３は、図１６０および１６２に示されるように筐体２９５の中に延在する管状構造の一部であり得る。代替として、孔２９３は、図１６１および１６３に示されるように、鋭利部コンテナ構造筐体２９５の壁と平面的であり得る。
【１１８３】
図１６６を参照すると、実施形態では、鋭利部コンテナは、それぞれ発泡体２６３層で被覆される、多くの孔２９３を含むことができる。それぞれの孔は、孔２９３の場所を視覚的に示すように、円形マーキング２９７で印付けられることができる。一連の数値マーキング２５９もまた、針の計数を補助するように、それぞれの円形マーキング２９７内に留置されることができる。使用済みの針は、使用済みの針の計数を単純化することができる数値マーキング２９７の順序で、発泡体２６３を通して異なる円形マーキング２９７の中に連続的に留置されることができる。
【１１８４】
図１６４および１６５を参照した他の実施形態では、針１０４の近位側面へのアクセスをさらに制限するように、発泡体２６３の面の上方のデバイスを修正することが可能である。例えば、実施形態では、鋭利部コンテナは、針挿入孔の対向側に保護構造２９９を含むことができる。例えば、保護構造２９９は、相互に対して垂直な２つの台形開口部を有することができる。ユーザは、台形開口部の中に、発泡層２６３を通して、および下層の孔２９３の中に使用済みの針１０４を挿入することができる。また、説明された使用済みの針１０４の孔構造にそれぞれ類似する、多数の使用済み針孔２９３を鋭利部筐体２９５内に有することも可能である。再度、孔２９３の位置は、円形マーキング２９７によって視覚的に示されることができ、孔２９３の数値的順序は、数値マーキング２５９によって示されることができる。
【１１８５】
実施形態では、前腕搭載型穿刺障壁を備える、モジュール式医療デバイスは、１つまたはそれを上回る使用済みの針保管場所および／もしくは１つまたはそれを上回る縫合パックもしくは縫合パックキャリアが搭載されることができる、プラットフォームとして機能する。使用済み針保管場所および縫合パック／キャリアは、上記で説明される結合機構のうちのいずれかによって、または任意の他の好適な方法によって、前腕搭載型穿刺障壁に結合されることができる。使用済みの針保管場所は、種々の針トラップデバイスを含むことができ、縫合パックキャリアは、縫合パックを前腕搭載型穿刺障壁に保持するためのクリップを含むことができる。針トラップは、前腕搭載型穿刺障壁から除去可能であり得、デバイスが意図された数の汚染された針を収納したときに交換のために意図される。
【１１８６】
使用済み針トラップの実施形態が、縫合パック１０１および縫合パック３５３を保持することができる縫合パックホルダ３５１を伴う針トラップ３３１の上面図である、図１６８に図示される。図示される実施形態では、針トラップ３３１は、いくつかのゾーン、すなわち、１）進入ゾーン３３３、２）通路または遷移ゾーン３３５、および３）収納ゾーン３３７から成る、平面的デバイスであり得る。針トラップ３３１は、針トラップ３３１の外側部分の周囲でともにしっかりと結合される、上構造３３９および下構造３４１を含むことができる。針トラップ３３１は、上構造３３９および下構造３４１の両方を通して延在する、持針器スロット３４３であって、進入ゾーン３３３から収納ゾーン３３７までの針平行移動の全長に沿って持針器のための隙間を提供するように構成される、持針器スロットを有することができる。針トラップはさらに、全体的な深さ外形を最小限にし、針の計数を促進するように、単一針深さアレイの中に収納された針を拘束する、針スロット３４９を備えることができる。針トラップ３３１の構成は、左から右に延在するＸ軸、外科医の視点から針トラップ３３１の前部または上部を見るときに上下に延在するＹ軸、および深さ位置を画定するＺ軸を参照して説明されることができる。
【１１８７】
実施形態では、使用済み針コンテナ３３１の進入ゾーン３３３は、下構造３４１の暴露部分である、Ｘ−Ｙ面内の部分的に円形の平坦ゾーンまたは領域であり得る。外科医は、持針器を用いて使用済みの針１０４を保持し、進入ゾーン３３３の上面上に使用済みの針１０４を留置することができる。進入ゾーン３３３に対する針１０４の接触および／または力は、湾曲針１０４の凸状中間部分が遷移ゾーン３３５に向かって面する、または指し示す状態で、使用済みの針１０４の湾曲を降着ゾーン表面のＸ−Ｙ面にしっかり接して平面配向に移行させることができる。
【１１８８】
進入ゾーン３３３は、針スロット３４９に対してより幅広く（ｙ軸）あり得、進入ゾーン３３３の周囲の周辺は、視覚認識を補助するように対比色を有することができる。進入ゾーン３３３表面の上面は、低摩擦材料から成ることができる。進入ゾーン３３３の表面上のグライフィックガイドは、針１０４の回転配向を強化することに役立つことができる。持針器スロット３４３は、進入ゾーン３３３の中に延在することができ、持針器スロット３４３の幅は、持針器を用いた針トラップへの進入の迅速な場所特定を促進するように、進入ゾーン内でより大きい、または特大であり得る。持針器スロットは、遷移ゾーン３３５および収納ゾーン３３７内に持針器の先端を伴って自己心合密接嵌合を提供するように、遷移ゾーン３３５を通して収納ゾーン３３７に向かって延在するにつれてテーパ状になることができる。
【１１８９】
遷移ゾーン３３５は、進入ゾーン３３３と収納ゾーン３３７との間に配置される。遷移ゾーンでは、針端上の圧縮側面荷重が増加させられてもよく、針スロットの深さ（ｚ軸）は、収納された針が遷移ゾーンを通して平行移動させられると狭小化されることができ、収納ゾーン３３７に沿って縦方向に延在する単一針深さアレイに針を拘束する。
【１１９０】
収納ゾーン３３７は、針の意図しない除去または抜去を防止するように全圧縮側面荷重が針端に印加される、遷移ゾーン３３５に隣接する領域を備える。
【１１９１】
境界３４５は、針１０４の適切な配向を助長するように、「Ｖ」形状の頂点が収納ゾーン３３７に向かって指し示す、凹状、楔、または「Ｖ」形状であってもよい。
【１１９２】
実施形態では、遷移ゾーン３３５は、針１０４の適切な配向を助長するように、「Ｖ」形状境界の頂点が収納ゾーン３３７に向かって指し示す、凹状、楔、または「Ｖ」形状境界を上構造３３９内の進入ゾーン３３３の側面上に含むことができる。針トラップ３３１内の収納された針１０４は、収納ゾーン３３７に面する針１０４の凸状側面と、進入ゾーン３３３に向かって面する針１０４の凹状側面、鋭利先端、および末端とを有するように構成されることができる。したがって、針トラップ３３１は、運動方向から離れて指し示す針１０４の鋭利な前端および終端を有するように構成されることができ、それによって、針刺し傷害のリスクを低減させる。遷移ゾーン３３５は、針１０４が遷移ゾーン３３５から収納ゾーン３３７まで縦Ｘ軸経路に沿って移動させられるにつれて、進入ゾーン３３７からの幅および高さを使用済み針スロット３４９内の単一の針の高さおよび幅まで低減させるように、降着ゾーンの一部にわたる張出型カウリングと、Ｙ軸およびＺ軸の両方内のテーパ状表面とを有することができる。持針器スロット３４３は、針スロットの中央部分等の針スロット３４９の一部に交差することができ、持針器の遠位先端が使用済み針トラップ３３１のＸ軸に沿って針１０４を平行移動させることができるように、Ｘ軸内の使用済み針トラップ３３１の正中線内にあり得る。代替として、持針器スロット３４３は、持針器スロットが使用済み針トラップ３３１のＸ軸と実質的に平行であるが重複しない軸に沿って延在するように、正中線から外れて、または非対称に、針スロット３４９に交差することができる。針１０４は、針１０４が針ホルダによって把持される方法に関して過剰な抵抗または感度を伴わずに、収納針ゾーン３３７の中により深く針スロット３４９内で摺動することができる。実施形態では、収納ゾーン３３７は、使用済みの針１０４が使用済み針トラップ３３１から除去されないように防止することができる。
【１１９３】
好ましい実施形態では、針１０４は、外科医が持針器スロット３４３内で持針器の先端を操作することによって、下構造３４１の進入ゾーン３３３と接触するように移動させられる。針１０４は、進入ゾーン３３３に対して押動され、使用済み針トラップ３３１のＸ−Ｙ面と整合させられることができる。次いで、針１０４は、使用済み針トラップ３３１の縦方向Ｘ軸に沿って進入ゾーン３３３から遷移ゾーン１０７の中に平行移動して移動させられることができ、そこで、凸状側面が収納ゾーン３３７に面し、針１０４の鋭利な先端および末端が進入ゾーン３３３に面する状態で、針１０４が使用済み針スロット３４９の中に摺動する。持針器は、持針器が針スロット３４９または最後の挿入された使用済みの針１０４の端部の中に及び、もしくは針１０４が針スロット３４９の端停止部３６３に接触するまで、収納ゾーン３３７内の使用済み針スロット３４９の中に使用済みの針１０４を移動させることができる。
【１１９４】
実施形態では、針１０４を保持する持針器の遠位先端は、伸長断面を有することができ、持針器スロット３４３の幅は、持針器の遠位先端が、持針器スロット３４３と整合させられたより長い断面寸法を伴って配向させられなければならないように、収納ゾーン３３７内で狭小化することができる。本持針器配向はまた、針トラップ３３１内で収納ゾーン３３７の幅を横断して、針１０４を適正に整合させることもできる。したがって、持針器スロット３４３の狭小化は、持針器が収納ゾーン３３７内で持針器スロット３４３の側面に対して摺動するにつれて、強制的に持針器に針１０４を収納ゾーン３３７内で適正に配向させることができる。図１６８は、針トラップ３３１の実施形態の上面図を図示する。異なる実施形態では、針トラップ３３１は、格納されている針１０４のサイズに応じて、異なる寸法を有することができる。したがって、より小さい針１０４を格納するために使用される小型針トラップ３３１は、より大きい針を格納するために使用される大型針トラップ３３１より小さい寸法を有することができる。以下の表１を参照して、異なるサイズの実施形態の小型および大型針トラップ３３１の実施形態の寸法の範囲が列挙される。長さは、Ｘ軸に沿って延在することができ、幅は、Ｙ軸に沿って延在することができ、厚さは、Ｚ軸に沿って延在することができる。進入ゾーン３３３は、円形部分を有することができ、「進入ゾーン半径」は、円形部分の半径範囲であり得る。針スロットの厚さは、収納ゾーン３３７内の（突出部３６１を含まない）上構造３３９の下面と圧縮性部材３４７の上面との間の距離の範囲であり得る。他の実施形態では、針トラップ３３１は、針１０４の格納を可能にするであろう、任意の他の寸法を有することができる。表１の寸法範囲は、インチ単位である。
【表１】
2019503210.tif 000003
【１１９５】
収納ゾーン３３７では、針スロット３４９のＺ軸深さは、針１０４が針スロット３４９の幅を横断して位置付けられ、使用済みの針１０４の中心部分が持針器スロット３４３を横断して跨架する状態で、平行整合で使用済みの針１０４に対して圧縮し、それを配向するよう狭小化する。いったん針１０４が完全に挿入され、これ以上Ｘ方向に進むことができなくなると、外科医は、収納ゾーン３３７内で使用済みの針１０４を解放することができ、本プロセスは、次の使用済みの針のために繰り返されることができる。使用済みの針１０４の先端および終端は、下構造３４１と上構造３３９との間の収納ゾーン３３７内の使用済み針スロット３４９内に収納されることができる。いったん手術が完了すると、または使用済み針トラップ３３１が満杯になったとき、もしくは医療手技中に、針トラップ３３１の中に格納された使用済みの針１０４は、容易に計数されることができる。図１６８では、７本の使用済みの針１０４が収納ゾーン３３７内で示されている。
【１１９６】
図１６９は、縫合パック１０１を伴う針トラップ３３１の上面斜視分解図を図示し、図１７０は、側面斜視分解図を図示し、図１７１は、底面斜視分解図を図示する。針トラップ３３１は、上構造３３９と、下構造３４１と、圧縮部材３４７と、発泡体コネクタ３５７と、進入ゾーン縫合パックホルダ３５１と、接着パッド３５５とを備えてもよい。複数の使用済みの針１０４は、針トラップの中で収納されてもよく、１本またはそれを上回る縫合針１０３を保持する縫合パック１０１等の１つまたはそれを上回る縫合パックは、縫合パックホルダ３５１および／もしくは接着パッド３５５に結合されてもよい。
【１１９７】
上構造または前カバーシェル３３９は、針スロット３４３の上半分部分を備え、接着接合または超音波溶接によって下構造３４１に継合されることができる。上構造は、射出成形された透明ポリカーボネートまたは他の光学的透明材料を含んでもよい。上構造の内面は、収納された針の間の分離を提供すること、収納された針の除去に対する抵抗を増加させること、進入または遷移ゾーンから収納ゾーンの中への針の平行移動中に触覚フィードバックを提供することを意図している、触覚バンプとも称される、突出部または小塊３６１を有してもよい。上構造は、２〜２０の触覚バンプ、５〜８の触覚バンプ、または３〜１０の触覚バンプを含んでもよい。上構造の内面は、正確な視覚計数を妨げるであろう、針が持針器スロットを越えて平行移動させられないように防止することを意図している、突出針停止部３６３を有してもよい。遷移ゾーン３３５を被覆する上構造は、持針器を用いたトラップへの進入の迅速な場所特定のためのより深い（ｚ軸）空間標的を提示するように、境界３４５において進入ゾーン３３３に向かって張り出している。
【１１９８】
下構造または後シェル３４１は、針スロット３４３の底半分部分を備え、接着接合または超音波溶接によって上構造３３９に継合されることができる。下構造の内面は、その内側で圧縮部材３４７が接着して取り付けられ得る、ウェルまたは陥凹３５９を有してもよい。陥凹は、針端上の圧縮側面荷重を増加させるように、進入ゾーンから収納ゾーンまでの遷移ゾーン内で深さが減少してもよい。進入および遷移ゾーンの境界におけるより深い陥凹は、平行移動中に圧縮部材の端部が針によって変位させられないように防止することができる。下構造の外面は、その内側で発泡体コネクタ３５７、接着パッド３５５、および収納ゾーン縫合パックホルダ３５１が接着して取り付けられ得る、陥凹を組み込むことができる。陥凹の壁は、持針器先端のための針トラップと障壁搭載表面との間の分離を提供するように、スタンドオフを提供することができる。下構造は、射出成形された着色ポリカーボネートまたは上構造の材料と組成が類似する材料を含んでもよい。
【１１９９】
圧縮部材３４７は、下構造３４１に接着接合される開放セルウレタンフォームストリップを備えることができる。圧縮部材は、収納ゾーンに沿って使用済みの針の端部上に側面荷重圧縮を提供することができる。
【１２００】
発泡体コネクタ３５７は、針トラップ３３１と本明細書に説明されるような障壁またはプラットフォームとの間に取付界面を提供することができる。発泡体コネクタは、陥凹内で下構造３４１の外面または下面に接着して取り付けられてもよい。ループコネクタが、陥凹壁の上方に延在し、外部障壁表面上に接着して取り付けられた対応するフックコネクタへの取付の手段を提供することができる、暴露発泡体表面に接着して取り付けられてもよい。
【１２０１】
収納ゾーン縫合パックホルダ３５１は、針トラップ３３１の隣に縫合パック１０１を恒久的に取り付ける手段を提供し、近傍手術野内で外科医および手術室助手の両方によるリアルタイムでの近接照合のための手段を提供することができる。縫合パックホルダは、下構造３４１の外面に接着して接合される、閉鎖セル発泡体パッドを備えてもよい。ホルダの暴露上面は、縫合パックの後面に取り付けるために感圧性接着剤で被覆されてもよい。ループコネクタが、縫合パックホルダの底面上で隆起表面３４４に接着して取り付けられ、本明細書に説明されるような障壁またはプラットフォーム上でフックコネクタに取り付ける手段を提供することができる。
【１２０２】
縫合パックホルダは、針トラップと取り付けられた縫合パックとの間で撓曲して、「テント状に覆うこと」によって前腕上に搭載されたときに組み合わせられたアセンブリが薄型外形を成すことを可能にするように構成されることができる。代替として、または組み合わせて、縫合パックホルダは、図１６７に示されるように、ヒンジ３４６を介して針トラップに結合されることができる。ヒンジは、縫合パックホルダが、まっすぐ上に延在するのではなく、ヒンジを中心として「テント状に覆うこと」ことを可能にすることによって、アセンブリの外形を縮小することができる。
【１２０３】
接着パッド３５５は、進入ゾーンの下で下構造３４１の外面または下面に取り付けられることができる。例えば、接着パッドは、感圧性接着剤で下構造に取り付けられてもよい。接着パッドの暴露表面は、前腕の縦軸（ｘ軸）に沿って針トラップの進入ゾーンの下で縫合パック３５３を取り付ける手段を提供する、感圧性接着剤で被覆されることができる。付加的なループコネクタの部品が、本明細書に説明されるような障壁またはプラットフォーム上でフックコネクタに取り付けられることによって、縫合パックの付加的な安定を可能にするように、縫合パック３５３の下面に取り付けられてもよい。
【１２０４】
使用済みの針１０４は、上構造３３９と下構造３４１との間の針スロット３４９の中に保持されることができる。圧縮部材３４７は、収納ゾーン３３７内で針１０４の下方の下構造３４１上に留置されることができる。実施形態では、弾性および／または圧縮性部材３４７材料は、針スロット３４９に面して下構造３４１の内面に取り付けられることができる、発泡体、ゴム、弾性プラスチック、もしくは任意の他の好適な材料または機構であり得る。図示される実施例では、圧縮性部材３４７は、均一な厚さを有することができ、圧縮部材３４７の前縁は、（進入ゾーン３３３に向かって）前縁において下向きに屈曲させられることができる。図示される実施形態では、圧縮部材３４７は、下構造３４１内の陥凹３５９内に嵌合することができる。陥凹３５９の前縁は、陥凹３５９の他の部分より深くあり得、圧縮性部材３４７の本湾曲は、使用済みの針１０４が圧縮性部材３４７を経由して収納ゾーン３３７の中に摺動するにつれて、針スロット３４９の段階的狭小化を提供することができる。
【１２０５】
図１７１を参照すると、一連の突出部３６１が、持針器スロット３４３の両側で上構造３３９から下向きに延在することができる。針１０４が針トラップ３３１の中に挿入されると、圧縮性部材３４７は、針１０４を突出部３６１に押圧することができる。突出部３６１は、Ｘ軸に沿った針１０４の移動に抵抗し、針１０４が針トラップ３３１の収納ゾーン３３７から外に偶発的に摺動しないように防止することができる。針停止部３６３が、持針器スロット３４３の端部の近くに位置付けられることができる。針停止部３６３は、針１０４が持針器スロット３４３から離れて留置されないように防止することができる。
【１２０６】
異なる実施形態では、収納ゾーン３３７は、他のタイプの保定システムを組み込むことができる。例えば、保定システムは、発泡体、Ｖｅｌｃｒｏループ、または任意の他の好適な媒体から加工され得る、圧縮性部材３４７を含むことができる。圧縮性部材３４７は、応従性であり得、保定特徴の間の上構造３３９の底側に対して針１０４を圧縮することができる。圧縮性部材３４７は、突出部３６１への寸法干渉を有することができる。実施形態では、保定媒体材料の密度は、４ポンド未満またはそれと等しくあり得る。例えば、保定媒体材料は、摺動針１０４に対する低い摩擦係数を提供することができる、ポリエチレンまたはポリウレタンフォームであり得る。
【１２０７】
図示される実施形態では、縫合パック１０１は、接着剤で針トラップ３３１の収納ゾーン３３７部分に取り付けられ得る、縫合パックホルダ３５１に取り付けられることができる。別の実施形態では、縫合糸１０３を伴う別の縫合パック３５３は、接着剤３５５で進入ゾーン３３３に取り付けられることができる。縫合パックホルダ３５１および／または縫合パック３５３は、前腕障壁または任意の他の構造に取り付けられている間に縫合パック１０１が屈曲させられないように防止し得る、剛性基部を縫合パック１０１の下に提供することができる。縫合パック１０１の屈曲は、それらの搭載部の中で針１０３の緩みをもたらし得、潜在的に、針１０３の紛失をもたらし得る。縫合パックホルダ３５１および／または縫合パック３５３は、針トラップ３３１から延在するか、または別個の部品として針トラップ３３１に取り付けられるかのいずれかであるように設計されることができる。実施形態では、縫合パックホルダ３５１および／または縫合パック３５３ならびにトラップ３３１は、発送および保管のためのコンパクトまたは平坦な空間節約構成に操作され、次いで、使用に先立って図示される構成に拡張されることができる。
【１２０８】
実施形態では、針トラップ３３１ならびに縫合パックホルダ３５１および／または縫合パック３５３は、種々の異なるタイプの接続機構を使用して、外科医の前腕上に装着された保護障壁等の別の構造に取り付けられることができる。例えば、針トラップ３３１、縫合パックホルダ３５１、ならびに縫合パック３５３は、面ファスナ接続機構で保護障壁等の別の構造に取り付けられることができる。保護障壁の少なくとも一部は、保護障壁に接着接合され得る、フック材料で被覆されることができ、針トラップ３３１、縫合パックホルダ３５１、および縫合パック３５３の後部分は、ループ材料に接着接合されることができる。別の実施形態では、針トラップ３３１は、裏面接着式発泡体３５７で障壁または任意の他の物体に取り付けられることができる。実施形態では、針トラップ３３１は、下構造３４１の裏面に結合される１つまたはそれを上回る部品を含むことができる。
【１２０９】
針トラップが、具体的構成を有するものとして説明および図示されているが、他の実施形態では、構成要素の種々の他の構成が、針トラップの中で針を保持するために使用されることができる。例えば、実施形態では、図１７６に図示される圧縮部材３４７は、持針器スロットの両側で収納ゾーン内に固着される、弾性ストリップと置換されることができる。弾性ストリップは、上構造に向かって上に延在し得る、複数の弾性突出部を含むことができる。使用済みの針が、持針器を用いて弾性ストリップの暴露表面を横断して移動させられるとき、突出部は、上構造および上構造から内向きに延在する突出部に対して針を押し上げることができる。これらの力および突出部は、使用済みの針が針スロットの収納ゾーン内で自由に移動しないように防止することができる。
【１２１０】
他の実施形態では、他の機構が、針トラップの収納ゾーン内で使用済みの針を保つために使用されることができる。例えば、使用済みの針コンテナは、持針器スロットの対向側の上構造および／または下構造上に搭載される磁石を含むことができる。持針器は、針スロットの中に使用済みの針を移動させるために使用されることができ、針が解放されると、磁石は、収納ゾーン内で針を保持して収納することができる。
【１２１１】
図１７７を参照すると、針トラップ３３１の実施形態の前面図が図示されている。図示される実施形態では、針トラップ３３１は、針スロット３４９の両側で上構造３３９および下構造３４１に結合される発泡体または他の弾性材料等の弾性材料３６５を含むことができる。針１０４が針スロット３４９の中に留置されるとき、弾性発泡体は、針の対向側に接触し、針が針トラップ３３１の収納ゾーン内で移動しないように防止することができる。
【１２１２】
弾性材料３６５は、平坦な内面を有するものとして図示されているが、他の実施形態では、弾性材料３６５は、種々の表面特徴を有することができる。例えば、図１７８を参照すると、針トラップ３３１の針スロット３４９の断面側面図が図示されている。針スロット３４９に面する弾性材料３６５の表面は、収納ゾーン３３７内で針スロット３４９に面する表面上にくぼみまたは突起を含むことができる。図示される実施例では、弾性材料３６５の表面は、針１０４が収納ゾーン３３７の中により容易に移動させられることを可能にし、収納ゾーン３３７からの針１０４の除去に抵抗するように構成され得る、傾斜表面を有することができる。くぼみおよび／または突起は、針１０４に収納ゾーン３３７内の適切な間隔位置に定着する傾向を持たせることができる。くぼみおよび突起は、その指定場所に針１０４を留置して収納するように、わずかな力の低減により、外科医のための位置的合図を提供することができる。
【１２１３】
図１７９を参照すると、針トラップ３３１の実施形態における下構造３４１の収納ゾーン３３７部分の上面図が図示されている。図示される実施形態では、針スロット３４９の対向側は、持針器スロット３４３の対向側に角度付けられた剛毛３６５で裏打ちされることができる。剛毛３６５の基部は、針スロット３４９の外側部分に取り付けられることができ、剛毛３６５の残りの部分は、基部に対して屈曲することができる。弓形針１０４は、剛毛３６５の間で収納ゾーン３３７を通して移動させられ、剛毛３６５は、針１０４が収納ゾーン３３７の中に挿入されることを可能にするように、針スロット３４９から離れて内向きに屈曲することができる。しかしながら、剛毛３６５が、針スロット３４９に向かって内向きに移動するであろう針１０４の端部に係合し、収納ゾーン３３７から外への針１０４の移動に抵抗するであろうため、剛毛３６５は、針１０４が対向方向に移動しないように防止することができる。したがって、剛毛３６５は、収納ゾーン３３７から針１０４を除去するために必要とされる力よりも少ない進入ゾーン３３３から収納ゾーン３３７の中に針１０４を平行移動させるための力をもたらす。
【１２１４】
針トラップ３３１の特徴は、収納ゾーン３３７の中に留置される針を容易に計数する能力である。図１６８および１７２に図示されるように、針トラップ３３１の収納ゾーン３３７内の使用済みの針１０４は、持針器スロット１１７を通して可視であって、容易に計数されることができる。他の実施形態では、上構造１２３は、使用済みの針１０４が上構造１２３を通して視認され得るように、透明または半透明材料から作製されることができる。実施形態では、使用済みの針１０４は、使用済みの針１０４を記録する責任がある（外科医以外の）第２の個人によってを計数されることができる。針トラップ３３１は、第２の個人が針トラップ３３１内の針１０４の数を容易に計数し得るように、収納された針１０４がある距離から可視であることを可能にすることができる。議論されるように、使用済みの針１０４は、正確な針の計数を促進するように、隣接する針１０４の間に約３ｍｍ〜１０ｍｍの間隔を伴って収納ゾーン３３７内で平行に位置付けられることができる。実施形態では、針トラップ３３１は、反射性を最大限にし、持針器スロット３４３を通して可視である針１０４に視覚コントラストを提供するように着色または塗装され得る、面取りした、またはフィレット状の持針器スロット３４３縁を有することができる。例えば、持針器スロット３４３の縁は、白色であり得る。
【１２１５】
図１７２Ｂ−１７２Ｄは、それぞれ、図１７２Ａの針トラップ３３１の上面、側面、および端面図を示す。針トラップ３３１は、分配された針を含有するように筐体３４０を備える。筐体３４０は、本明細書に説明されるような上構造および下構造を備える。
【１２１６】
筐体３４０は、複数の針を受容するように定寸される伸長断面を有するチャネルスロット３４９を備える、針スロット３４９を画定する。筐体３４０は、全長Ｌと、全体的厚さＴと、全体的幅を構成する第１の幅Ｗ１と、第２の幅Ｗ２とを備える。持針器スロット３４３は、針を受容するように幅Ｓを備える。持針器針スロットは、収納ゾーン内の複数の針の留置を可能にするように、スロットの幅より大きく定寸された長さを備える。持針器スロットは、持針器および針がスロットに沿って前進させられるにつれて持針器を誘導するように、ガイドを備える。上フランジ部分Ｆ１および下フランジ部分Ｆ２は、筐体３４０から延在する。上フランジ部分Ｆ１は、スロットの中の針の留置を促進するように上向きに張り出され得る。代替として、または組み合わせて、下フランジ部分は、下向きに張り出され得る。上および下フランジ部分は、持針器から針を受容するように、降着ゾーンを画定してもよい。
【１２１７】
針スロットの遷移ゾーンは、針スロットの中の針の留置を促進するように、収納ゾーンより大きく定寸される。伸長針チャネルスロットは、針スロット３４９の開口部の近傍の第１の伸長幅ＣＷ１と、針スロットの内部収納ゾーン内の第２の伸長幅ＣＷ２とを備える。伸長針チャネルスロットは、針チャネルスロット３４９の開口部の近傍の第１の厚さＣＴ１と、針スロットの内部収納ゾーン内の第２の厚さＣＴ２とを備える。第１の厚さＣＴ１は、例えば、第２の厚さＣＴ２の少なくとも約２倍厚くあり得る。
【１２１８】
針スロットの遷移ゾーンは、針スロットの中の針の留置を促進するために、ガイドを備える。第１のチャネル幅ＣＷ１は、針を受容するより大きい進入ゾーンを提供し、収納ゾーン内の針の留置を促進するために、第２のチャネル幅ＣＷ２より大きく定寸される。第２のチャネル幅ＣＷ２は、収納ゾーン内で列に配列される複数の針を受容するように定寸される。針スロットチャネルは、第１の厚さＣＴ１と、第２の厚さＣＴ２とを備える。第１のチャネル厚さＣＴ１は、第２の厚さＣＴ２を備える収納ゾーン内の針の留置を促進するために、第２の厚さＣＴ２より大きく定寸される。第２の厚さＣＴ２は、内面の表面もしくは突出部等の１つまたはそれを上回る内部構造の少なくともある程度の機械抵抗および変形を伴う針を含有するために、本明細書に説明されるような針の厚さより小さく定寸されることができる。第１の厚さＣＴ２は、遷移ゾーン内に針を容易に留置するために、その中に留置される針の厚さより大きく定寸される。
【１２１９】
多くの実施形態では、針トラップは、針が収納されるように、収納ゾーン内で針を安定させて非侵害性の状態にするために、収納ゾーン内で針スロットに沿った針摺動に対する少なくともある程度の抵抗を提供するように構成される。針スロットの上もしくは下構造のうちの１つまたはそれを上回るものは、例えば、針が収納ゾーンの中に前進させられ、その中で留置されるときに偏向するように構成されることができる。代替として、または組み合わせて、針スロットチャネルの内部は、収納ゾーン内で針を安定させるために、収納ゾーン内で偏向、変形、伸張、もしくは屈曲のうちの１つまたはそれを上回るものを行うように構成される構造を備えてもよい。
【１２２０】
いくつかの実施形態では、持針器スロットに沿った持針器の抵抗は、針が持針器とともにスロットに沿って前進されるときの針スロットに沿った針の抵抗未満である。
【１２２１】
いくつかの実施形態では、持針器に対する針受器の抵抗は、針に対する針受器の抵抗未満である。
【１２２２】
いくつかの実施形態では、持針器の移動に対して持針器スロットによって付与される力は、針の移動に対して針スロットによって付与される力未満である。
【１２２３】
いくつかの実施形態では、持針器の移動に対して針受器によって付与される力は、針の移動に対して針受器によって付与される力未満である。
【１２２４】
いくつかの実施形態では、持針器スロットまたは細隙と持針器との間の摩擦力は、針スロットと針との間の摩擦力未満である。
【１２２５】
いくつかの実施形態では、針受器と持針器との間の摩擦力は、針受器と針との間の摩擦力未満である。
【１２２６】
略平坦な構成を有する針トラップの寸法が参照されるが、針トラップは、多くの方法で構成されることができる。例えば、針トラップ３３１は、例えば、針トラップが屈曲または湾曲されることを可能にする、共形化材料を含んでもよい。
【１２２７】
他の実施形態では、付加的デバイスが、針の遠隔計数および追跡を促進するために、針トラップ３３１とともに使用されることができる。図１８０および１８１を参照すると、他の実施形態では、針トラップは、リチウムイオンバッテリ等のバッテリ３７３または任意の他の好適な電源によって給電され得る、電子針カウンタを含むことができる。伝導性要素３７１が、持針器スロットの対向側の圧縮部材３４７上の針スロットの中に搭載されることができる。伝導性要素３７１は、圧縮部材３４７によって収納ゾーン３３７の中に留置される各針１０４と物理的に接触するように圧迫されることができる。電気カウンタ機構は、制御回路３７５と、制御回路３７５に結合される視覚ディスプレイ３７７とを含むことができる。
【１２２８】
電気カウンタ機構は、収納ゾーン内の針１０４および制御回路３７５を通して流動する電流を伴う電気回路を備えることができる。電気抵抗は、伝導性要素３７１の両方と接触して収納ゾーン内に格納される針１０４の数に基づいて変化する。電気回路は、収納ゾーン内により少ない針１０４を伴うにつれて、より高い電気抵抗を有することができる。電気抵抗は、収納ゾーン内により多くの針１０４を伴うにつれて、減少することができる。使用済みの針１０４はそれぞれ、略同一である伝導性要素３７１の間の電気抵抗をそれぞれ有することができる。したがって、それぞれの使用済みの針１０４は、電気回路内の抵抗器として機能することができ、収納ゾーン内の複数の使用済みの針１０４は、複数の並列抵抗器として機能することができる。
【１２２９】
基本的電気回路方程式は、Ｖが電圧であって、Ｉが電流であって、Ｒｔｏｔａｌが累積針抵抗である、Ｖ＝ＩＲである。累積電気抵抗は、収納ゾーン内に各付加的な格納された針に伴って、減少することができる。並列抵抗器の方程式は、１／Ｒｔｏｔａｌ＝１／Ｒ１＋１／Ｒ２＋１／Ｒ３…である。しかしながら、針の抵抗は、全て実質的に等しくあり得、すなわち、Ｒ１が各使用済みの針の電気抵抗である、Ｒ１＝Ｒ２＝Ｒ３である。累積電気抵抗針方程式は、Ｎ＝針の数である、１／Ｒｔｏｔａｌ＝Ｎ／Ｒ１またはＲｔｏｔａｌ＝Ｒ１／Ｎになる。したがって、針の数は、Ｖ＝ＩＲ１／ＮまたはＮ＝ＩＲ１／Ｖによって電気回路で計算されることができる。並列針の累積抵抗およびインピーダンスの変化は、電気回路を通して流動する電流を改変させることができる。電圧ＶおよびＲ１値は、実質的に一定であり得る。したがって、電流（Ｉ）の変化は、収納ゾーン内の並列針の数に基づく。制御回路３７５は、回路内の電流（Ｉ）を測定する電流計を含むことができ、測定された電流に基づいて、制御回路３７５は、収納ゾーン内の針の数を測定することができる。制御回路３７５は、収納ゾーン内の針の数に対応する信号を視覚ディスプレイ３７７に出力することができる。実施形態では、針の数Ｎが、視覚ディスプレイ３７７上に表示されることができる。図１８０を参照すると、視覚ディスプレイ３７７は、伝導性要素３７１の間の単一の針１０４に対応する、数「１」を表示することができる。図１８１を参照すると、視覚ディスプレイ３７７は、伝導性要素３７１の間の５本の針１０４に対応する、数「５」を表示することができる。他の実施形態では、視覚ディスプレイ３７７は、収納ゾーン内の針の数を示し得る、任意の他の表示を出力することができる。例えば、表示は、各針を表すために個々のライトを使用することができる。収納ゾーン内の各針は、単一の対応する照射されたライトによって表されることができる。
【１２３０】
図１８２−１８４を参照すると、実施形態では、機械的カウンタデバイスが、針の計数を促進するために針トラップ３３１とともに使用されることができる。図示される実施形態では、アームが、数値インジケータに表示される数を進めさせるように作動させられることができる。図１８２では、単一の針１０４が、針トラップ３３１の中に留置されることができ、視覚ディスプレイ３７７は、「１」を示す。図１８３を参照すると、第２の針１０４は、針スロット３４９を通して摺動し、軸を中心として回転し、表示された数を進めるように視覚ディスプレイ３７７を作動させる、アーム３７９に接触することができる。図１８４を参照すると、第２の針１０４がアーム３７９を通過した後、ディスプレイ３７７は、「２」に変化し、アーム３７９は、次の針１０４を検出するように、その正常位置にリセットしている。
【１２３１】
議論されるように、針コンテナ２０１の収納ゾーン３３７内のそれぞれの針の中央部分は、窓としても機能することができる、持針器スロット３４３を通して可視である。針１０４の計数は、その実施形態が図１８５に示される、透明ケーシングおよび透明発泡材料から針コンテナ２０１を加工することによって向上させられることができる。針スロット３４９境界表面圧縮部材３４７内のくぼみ３７９は、それぞれの使用済みの針のための個々の場所を提供することができる。異なる実施形態では、圧縮部材３４７は、発泡体または任意の他の好適な材料であり得る。使用済みの針１０４は、収納ゾーン３３７内に格納される針１０４の数の視覚インジケータとして使用され得る、くぼみ３７９の中に着座することができる。針１０４が格納されるときの圧縮部材３４７の圧縮により、針１０４と接触または隣接している圧縮領域中の圧縮部材３４７の色を変化させ得るように、染料が適用されることができる。図示される実施例では、くぼみ３７９内の針１０４は、赤色マーキングをもたらすことができる。発泡体または材料の一部は、通常、圧縮部材３４７の中に隠されてもよいが、針１０４がくぼみ３７９内の染色材料を押圧すると、染料が放出され、組み合わせられ、作動させられることができる、または針１０４が格納されるくぼみ３７９の表面を着色させて可視にさせることができる、任意の他のプロセスが行われる。
【１２３２】
別の実施形態では、針が収納ゾーン内に存在するときはいつでも、可視赤色ドットが出現することができ、各ドットは、収納ゾーン内の異なる針を表すことができる。他の実施形態では、異なる色染料が、針くぼみのうちの一部または全部とともに使用されることができる。異なる着色染料マーキングを計数することが、または代替として、染料が反復順序で配列される場合に、より容易であり得る。例えば、第１の針位置くぼみは、赤色であり得、第２の針くぼみは、青色であり得、第３の針くぼみは、緑色であり得、第４の針くぼみは、紫色であり得、第５の針くぼみは、黄色であり得る。本色順序は、５つまたは任意の他の数値間隔のくぼみのグループの中の全ての後続のくぼみのために反復することができる。したがって、第６の針および第１１の針くぼみは、赤色であり得、第７および第１２の針くぼみは、青色であり得る等である。
【１２３３】
図１８６を参照した実施形態では、光学カウンタ機構が、格納された針１０４の数を示すために針トラップとともに使用されることができる。光学スキャナ３８１が、針トラップ３３１の収納ゾーン３３７の中に格納される針１０４の数を検出するために使用されることができる。スキャナ３８１はまた、計数機能のために、赤外線、紫外線、レーダ等の高周波スペクトルの他の領域中で動作するように設計されてもよい。別の実施形態では、反射型スキャナが、反射または伝送された光学信号の強度から金属の量を定量化するために使用されることができる。実施形態では、赤外線画像が、針トラップ３３１の標準光学画像からの視覚計数よりも良好な精度で、針トラップ３３１内の針を検出することができる。針トラップ３３１のプラスチックおよび発泡体構成要素が、赤外線エネルギーを伝送することができる一方で、金属針１０４は、赤外線エネルギーを反射することができる。光学スキャナ３８１は、スキャンされた信号を針トラップ３３１の収納ゾーン３３７内の針１０４の数を表す数字に変換し得る、プロセッサ３８３にスキャンされた針情報を伝送することができる。プロセッサ３８３は、針トラップ３３１の収納ゾーン３３７内の検出された針の数を表示するように制御され得る、視覚ディスプレイ３７７に結合されることができる。
【１２３４】
図１８７を参照すると、カメラ３８５が、針トラップ３３１の収納ゾーン３３７の中に移動する針１０４の数を検出するために使用されることができる。カメラは、各針１０４がカメラ３８５を通り越すと針計数信号を受信する、プロセッサ３８３に結合されることができる。プロセッサは、針計数信号を計数して記憶し、針計数信号を、針トラップ３３１の収納ゾーン３３７内の検出された針１０４の数を表示し得る視覚ディスプレイ３７７に出力することができる。異なる実施形態では、異なるタイプのカメラ３８５が、使用されることができる。例えば、針１０４は、可視波長光学カメラより赤外線センサに可視であり得る。したがって、赤外線カメラ３８５は、収納ゾーン３３７の中への針１０４の移動をより正確に検出し得る。
【１２３５】
図１８８を参照すると、実施形態では、本システムは、変換器３８７によって検出される圧力測定に基づいて、針トラップ３３１の収納ゾーン３３７内の針の数を検出することができる。図示される実施形態では、針トラップ３３１変換器は、針１０４によって引き起こされる圧縮部材３４７の圧縮を検出することができる。変換器３８７は、収納ゾーン３３７の長さに沿って位置付けられることができ、突出部３６１は、個々の針格納領域を生成することができる。それぞれの針格納領域中の上昇した圧力を測定することによって、収納ゾーン３３７内の針１０４の数が判定されることができる。変換器３８７は、変換器３８７信号に基づいて収納ゾーン３３７内の使用済みの針１０４の数を判定し得る、プロセッサ３８３に結合されることができ、プロセッサ３８３は、針計数を表示し得る視覚ディスプレイ３７７に、針計数信号を伝送することができる。異なる実施形態では、異なるタイプの変換器３８７が、針の圧力を検出するために使用されることができる。例えば、変換器３８７は、圧力が圧縮部材３４７に印加され、各針１０４の存在を記録する際に使用されることができる、圧電デバイスであり得る。代替として、変換器３８７は、収納ゾーン３３７内の針１０４の存在を感知するために利用され得る一連の歪みゲージ、または任意の他の好適な圧力検出機構を含むことができる。
【１２３６】
図１８９を参照すると、他の実施形態では、針トラップ３３１は、針の計数を行うために他の構成要素とともに使用されることができる。図示される実施例では、針トラップ３３１は、外科医の前腕上に留置され得る、障壁４０３上に搭載されることができる。針センサ３８９は、針計数信号を検出することができ、針計数信号は、伝送機３９１によって、針トラップ３３１内の針の数を示すことができる出力デバイス３９５に針計数情報を出力することができる、プロセッサ３８３に結合され得る、受信機３９３に伝送されることができる。図示される実施形態では、針センサ３８９は、画像および／またはビデオＲＦ信号を受信機３９３に伝送する、統合高周波（ＲＦ）伝送機３９１を伴う小型カメラであり得る。受信機３９３に結合されるプロセッサ３８３は、針１０４が遠隔で視覚的にを計数されることを可能にするように持針器スロット３４３を表示し得る、視覚ディスプレイ３３７に、画像および／またはビデオ信号を出力することができる。針センサ３８９および伝送機３９１は、近傍手術野内にあり得る。対照的に、受信機３９３、プロセッサ３８３、および視覚ディスプレイ３３７は、近傍手術野の十分に外側にあり得る。
【１２３７】
カメラは、針トラップ３３１、また、場合により縫合パック１０１に面することができる。針トラップ３３１の画像は、別の個人に可視であり得る、視覚ディスプレイ３３７に伝送されることができる。例えば、遠隔視覚ディスプレイ３３７は、手術室の壁上に搭載されるビデオディスプレイであり得る。議論されるように、それぞれの針１０４の一部は、針トラップ３３１の上面から少なくとも持針器スロット３４３を通して可視である。したがって、外科医の前腕上の針トラップ３３１の表示された画像は、針トラップ３３１内の使用済みの針１０４および縫合パック１０１内の新しい縫合針１０３の数を示すことができる。外科助手は、ディスプレイ３３７を視認し、リアルタイムで追跡するように縫合パック１０１および収納された針１０４を伴う針トラップ３３１を見ることができる。次いで、外科助手は、付加的な針１０３が必要とされる場合に付加的な縫合パック１０１を提供し、障壁搭載型針トラップ３３１が使用済みの針１０４で満杯になり、交換される必要があると、新しい空の針トラップ３３１を提供することができる。また、針１０４が紛失した場合、外科的手技を監視する誰かによって、または縫合パックからの新しい針１０３の連続的除去および針トラップ３３１への使用済みの針１０４の送達を検出し得るプロセッサによって、エラーが即時に検出されることができる。システム構成要素の例示的セットが説明されているが、他の実施形態では、針計数構成要素は、専用受信機、電子腕時計、スマートフォン、タブレット、コンピュータ、ヘッドセット、イヤホン、ディスプレイ、または針を追跡する目的のための任意の他の好適なデバイスを含むことができるが、それらに限定されない。
【１２３８】
議論されるように、針１０４の中央本体は、針トラップ３３１内の持針器スロット３４９を通して可視である。実施形態では、プロセッサ３９３は、針センサ３８９（カメラ）からの視覚ディスプレイ信号を解釈し、針トラップ３３１内の針１０４ならびに縫合パック１０１内の針１０３の数を判定し得る、ソフトウェアプログラムを実行することができる。次いで、プロセッサ３９３は、針計数プロセスに役立ち得る視覚ディスプレイ３７７上に、本針計数を出力することができる。他の実施形態では、針１０４は、針１０４を追跡することに役立ち得る、マーキング３９７または伝送機を含むことができる。実施形態では、マーキングは、バーコード、クイックレスポンス（ＱＲ）コード、色コード、数値マーキング、または針１０４についての少なくともいくらかの識別情報を提供することができる任意の他のマーキング等の視覚コードであり得る。マーキングは、針１０４の中央本体部分上に留置されることができる。針１０４が針トラップ３３１の中に留置されるとき、マーキングは、スキャナまたはカメラ等の光学センサによって針トラップ３３１内の持針器スロット３４９を通して視覚的に検出されることができる。実施形態では、光学針センサ３８９は、マーキングを検出することができ、プロセッサ３８３は、マーキングを解釈し、マーキングに基づいて針１０４の識別を判定することができる。次いで、本識別情報は、針追跡および針照合のために使用されることができる。識別情報はまた、視覚ディスプレイ３７７に出力されることもできる。
【１２３９】
他の実施形態では、他の機構が、針追跡のために使用されることができる。例えば、実施形態では、針１０４は、照会電波への暴露に応答してＲＦ識別信号を伝送し得る、高周波識別タグ（ＲＦＩＤ）等の高周波伝送機等の内蔵電子構成要素を含むことができる。図１８９を参照した実施形態では、針センサ３８９は、照会電波伝送機と、ＲＦ受信機とを含むことができる。照会ＲＦ波に暴露されたとき、針１０４上のＲＦＩＤタグは、ＲＦ受信機によって検出され得るＲＦＩＤ信号を発することができる。ＲＦＩＤ情報は、針トラップ３３１内の各針を識別し得る、プロセッサ３８３に伝送されることができる。
【１２４０】
他の実施形態では、縫合パック１０１はまた、統合された追跡機構を有することもできる。例えば、縫合パックは、縫合パックが開放されるときに起動され得る、能動電子センサを含むことができる。本能動信号は、縫合パックの使用を監視し、縫合パックが使用された後に、いずれの針が照合されなければならないかを把握し得る、手術野外のプロセッサに伝送されることができる。実施形態では、これらの能動信号は、縫合パックまたは縫合パックセンサから遠隔受信機に無線で伝送されることができる。これらの能動信号は、上記で説明されるようなプロセッサによって処理されることができる。本特徴は、全ての針が勘定されることをさらに確実にするように、閉ループ様式で針が縫合パックから針トラップまで追跡されることを可能にすることができる。
【１２４１】
別の実施形態では、針の追跡は、外科医の前腕上に搭載されることができる障壁上で、より局所的に行われることができる。本実施形態では、プロセッサが、障壁上に搭載されることができ、プロセッサは、外科的手技の全体を通して全ての針の場所を記録することができる。能動信号が、開放されている縫合パックと、新たに開放された縫合パック内の針の全ての識別とを識別することができる。本システムは、縫合パックから患者を通した針トラップの中へのそれぞれの針の移動を識別することができる。針が紛失した場合、エラー信号を視覚ディスプレイまたはオーディオ出力デバイス等の出力デバイスに出力し得る、プロセッサは、エラーを即時に検出することができる。可能であれば、外科的手技は、紛失した針が見つかるまで、一時的に停止されることができる。説明される針追跡はまた、データセンタに記憶されることができる有用な針追跡情報を提供することもでき、近傍手術野内の針の数は、リアルタイムで自動的に照合されることができる。針が針トラップの中に収納されると、本システムは、針照合のために相関情報をブロードキャストすることができる。
【１２４２】
別の実施形態では、縫合糸分配器および針トラップが、鉗子等の手術道具の近位端に取り付けられる、単一の搭載部上に組み合わせられることができる。そのような構成は、針トラップに対する道具の操作中に予測される機械力による変位を回避するため等に、十分な機械的完全性を伴って鉗子のスロット付き形状への取付を可能にすることができる。
【１２４３】
実施形態では、縫合糸分配器および針トラップは、回転ならびに平行移動安定性を提供するように、縫合糸分配器および針トラップの十分な長さを道具（鉗子）基部に固着する、機械的クリップで、手術道具に取り付けられることができる。別の実施形態では、クリップは、接着搭載部を含有することができる。別の実施形態では、磁石が、鉗子への縫合糸分配器および針トラップの安全な取付を増補することができる。
【１２４４】
他の実施形態では、針トラップおよび／または縫合糸分配器は、患者を被覆する手術用ドレープに取り付けられることができ、創傷に隣接して位置付けられることができる。実施形態では、縫合糸分配器および針トラップは、ドレープ上に位置を確保する保護プラットフォーム上に搭載され、プラットフォームは、接着剤または任意の他の好適な結合機構でドレープに固着されることができる。
【１２４５】
縫合パック分配器は、複数の構成および設計を有することができる。実施形態では、縫合パック分配器は、既存の縫合パックを障壁に固着することができる。他の実施形態では、取り付けられた縫合糸を伴う針は、外科医による容易なアクセスのために、構造化アレイの中に収納される。別の実施形態では、非繰出縫合針も、縫合パックおよび縫合パック分配器と互換性がある。非繰出針は、スエージ加工針、連続縫合針、返し付きの連続縫合針等を含むことができるが、それらに限定されない。これらの針は、複数の外科結び目を生成するために、および／または単一もしくは二重針として分配され得る連続縫合用途のために、使用されることができる。
【１２４６】
実施形態では、スプールが、連続針を収納するために、前腕搭載部または障壁に取り付けられることができる。本実施形態は、前腕構成用の障壁に、または鉗子取付型デバイス用の器具クリップ構築物に取り付けられた、複数のスプール搭載部を含むことができる。実施形態では、縫合糸スプールは、薄型外形のためにともに積み重ねられることができる。別の実施形態では、スプールは、縫合糸のより容易な分配のために回転を可能にすることができる。スプールに巻き付けられた糸に取り付けられた針を収納するための複数の機構は、機械、接着、磁気機構、および複数の針エンクロージャ設計を含むことができる。
【１２４７】
使用済み針受器
【１２４８】
多くの実施形態では、種々のタイプの使用済み針受器が、開示される障壁およびプラットフォームのうちのいずれかの上に搭載されることができる。図１９０を参照すると、使用済み針受器２５７は、ボックス２６０内に固着された数値マーキング２５９を有する発泡体２６３層を伴う頂部開放型ボックス２６０であり得る。使用済みの針１０４は、数値マーキング２５９に対応する順序および領域で発泡体２６３の中に留置されることができる。本タイプの使用済み針受器２５７に関する種々の問題がある。針１０４の遠位端が発泡体２６３の中に留置される一方で、針１４の近位端は、暴露され、危険であり得る。発泡体２６３は、傷害を増強する針１０４の（角度および／または平行移動）変位に抵抗するために依然として十分である、デュロメータまたは密度を有することができる。針１０４は、頂部開放型ボックス２６０コンテナの上縁高度限界を越えて突出し、これは、安全性の問題を生じ得る。コンテナ壁が針１０４より高い場合、このより高い高度は、特にボックス２６０が側方壁にもたれていると、針１０４の留置をより困難にし得る。頂部開放型ボックス２６０の使用済み針受器２５７が、障壁を伴わずにユーザの腕の上に留置された場合、針１０４を発泡体２６３に突き刺すために必要とされる下向きの運動が、潜在的傷害を増強し得、本潜在的傷害は、外科医が針１０４を表面の発泡体２６３の中に「横動」させる傾向がある場合に、さらに起こり得る。横動による針１０４の挿入は、水平平行移動、回転、および下向きの力の組み合わせを含むことができる。数値マーキング２５９は、外科医が使用済みの針１０４の挿入を促進させようとしている場合に、最適ではない、または使用済みの針１０４で容易に衝打されない、小さい標的領域であり得る。さらに、数値マーキング２５９と関連付けられる小さい標的領域は、容易に外され得る。また、指定場所ではなく、発泡体２６３層上に開放場所があるときはいつでも、使用済みの針１０４を挿入する傾向もあり得る。発泡体２６３上の使用済み針領域を、多くても５本の針１０４を含有し得る限定された明確なゾーンに分離することが、より良好であり得る。
【１２４９】
図１９１を参照した実施形態では、発泡体２６３の中への針１０４の留置を可能にし得る、頂部開放型ボックス２６０の複数の側面ならびに開放側面に結合されることができる透明ドーム２６２を追加することによって、頂部開放型ボックス２６０の使用済み針受器２５７の安全性を向上させることが可能であり得る。透明ドーム２６２は、通常の頂部開放型ボックス２６０設計と比べて多くの利益を提供することができる。透明ドーム２６２は、手袋を引き裂くために十分に鋭利である近位針１０４の端部に不注意に接触するリスクを防止または低減することができる。透明ドーム２６２はまた、使用済みの針１０４の視覚計数を可能にすることもできる。針１０４が完全に発泡体２６３の中に固定されない場合、ドーム２６２によって提供される部分的囲繞コンテナは、緩い針１０４を紛失することを起こりにくくする。針１０４が被覆される場合、（デュロメータまたは密度に応じて）発泡体２６３の中に使用済みの針１０４の圧着近位端を挿入することが可能であり得、ドーム２６２は、針１０４の鋭利な遠位端が傷害を引き起こすことを防止するであろう。
【１２５０】
実施形態では、透明ドーム２６２を伴うボックス２６０は、外科医の前腕上のプラットフォームまたは障壁上に搭載されることができる。使用済みの針１０４が縫合糸を設置するために使用され、次いで、使用済み針受器２５７の中に留置される場合、外科医は、持針器を用いて使用済みの針１０４を保持し、ドーム２６２の下の開口部を通して使用済み針受器２５７の中に針１０４を留置することができる。次いで、外科医は、発泡体２６３の中に針１０４を挿入し、針１０４を完全に挿入するように持針器および針１０４を回転させることができる。針１０４を挿入する初期運動は、前腕に接線方向であり得、発泡体２６３を外して傷害を引き起こすことの可能性がより低くなり得る。しかしながら、本構成に関する問題があり得る。ドーム２６２が発泡体２６３をアクセス可能しにくくするため、針１０４の留置への有意な努力および注意が外科医によって行われない限り、編成された様式で針１０４を適切に留置することは困難であり得る。また、ドーム２６２開口部の最も近くに留置される針１０４は、場合により、開口部から針受器２５７の外へ近位端を突出部させ、これは、それらがドーム２６２によって被覆されない場合があるため、傷害を増強し得る。
【１２５１】
図１９２に図示されるような別の実施形態では、使用済み針受器２５７は、より小さい発泡体２６３領域を有し、透明ドーム２６２によって被覆され得る、頂部開放型ボックス２６０を有することができる。このより小さいボックス２６０サイズは、限定数の針１０４のみが針受器２５７の中に留置されることを可能にし得る。実施形態では、より小さいボックス２６０サイズは、５〜１０本の使用済みの針１０４等の最大数の使用済みの針１０４を格納することに限定されてもよい。より小さいサイズはまた、薄型ドーム２６２を可能にすることもできる。本使用済み針受器２５７が使用されるとき、針１０４は、ドーム２６２の側面上の開口部を通して留置され、発泡体２６３の中に針１０４を駆動するように回転させられることができる。本挿入および回転運動は、特に使用済み針受器２５７が外科医の前腕上に搭載されると、安全性を向上させることができる。しかしながら、より小さいサイズは、使用済み針受器２５７が満杯になる前に含有され得る、針１０４の数を制限し得る。ドーム２６２開口部の近くに格納される針１０４の近位端は、針１０４がある角度で発泡体２６３の中に挿入される場合、暴露され得る。発泡体２６３のデュロメータまたは密度に応じて、針１０４を考慮して発泡体２６３の中に針１０４の近位圧着端を挿入することが可能である場合もあって、そうではない場合もある。透明ドーム２６２は、針１０４が容易に計数されることを可能にすることができる。
【１２５２】
図１９３および１９４を参照すると、使用済み針受器２５７の別の実施形態が図示されている。本実施形態では、頂部開放型ボックス２６０が、少なくとも部分的に透明であるドーム２６２内に留置される。開放側面を有するのではなく、ドーム２６２は、格納される最長の針１０４の長さより長くあり得る、伸長開口部２５６を有することができる。針１０４は、持針器を用いて保持され、伸長開口部を通して挿入されることができる。次いで、針１０４は、発泡体２６３の上方に位置付けられ、発泡体２６３の中に針１０４の遠位端を駆動するように回転させられることができる。いったん針１０４が発泡体２６３の中にしっかりと留置されると、針１０４は、解放されることができ、持針器は、伸長開口部２５６から除去されることができる。
【１２５３】
図１９５を参照すると、使用済み針受器２５７の実施形態は、頂部開放型ボックス２６０と、ボックス２６０の床面上に搭載される磁石２８７とを含むことができる。図示される実施例では、複数の離散円盤磁石２８７が、より容易な針１０４の計数を可能にし得る、ボックス２６０の透明基部に搭載されることができる。隣接磁石２８７の間の間隔は、持針器接触磁化が最小限にされるように、磁石がないゾーンを可能にすることができる。実施形態では、外向きの磁石２８７極の極性は、同様に持針器の磁化を最小限にするように交互に入れ替えられることができる。挿入されたとき、針１０４は、垂直配向ではなくボックス２６０の床面に対して平坦または水平に位置し、これは、針１０４の端部がボックス２６０の上縁の上方に突出し得ないため、より安全であり得る。針１０４を挿入する開口部がないため、本使用済み針受器２５７は、全ての針１０４サイズを受け入れることができる。また、磁力で針１０４を保持するであろう磁石２８７の上に針１０４を迅速に落下させることによって、使用することも容易であり得る。しかしながら、針１０４がいかなる順序またはパターンでも格納されなくてもよいため、格納された針１０４を計数することをより困難にし得る、針１０４の編成の欠如があり得る。使用済み針受器２５７があるとき、器械出し助手は、付加的な時間およびさらなる針１０４の取扱を必要とし得る計数のために、針１０４を再配列する時間を要する必要があり得る。付加的な取扱で針１０４を刺す付加的なリスクがあり得る。針１０４は、多くの場合、持針器に対して比較的垂直であり得、針１０４をボックス２６０と並置させることは困難であり得る。実施形態では、使用済み針受器２５７は、外科医の非利き前腕上に搭載されることができ、使用済み針受器２５７は、磁石２８７の表面上への針１０４の留置を促進するように空間内に位置付けられることができる。
【１２５４】
他の実施形態では、使用済み針受器２５７は、磁石２８７および発泡体２６３を両方とも含むことができる。図１９６および１９７を参照した実施形態では、使用済み針受器２５７はまた、近位に面するボックス２６０の開放頂部を伴って、前腕障壁またはプラットフォームに対して垂直に配向されることもできる。本配向では、持針器は、外科医によって把持されている間に、ボックス２６０の平面的な床面と実質的に平行に針１０４を留置することができる。次いで、持針器が容易に回転することができるため、針１０４の鋭利な遠位端が、発泡体２６３の中に駆動される。磁石２８７は、針１０４が垂直配向でボックス２６０内に横たわることを可能にすることができる。針１０４は、発泡体２６３の中に挿入されて回転させられることができる。異なる実施形態では、使用済み針受器２５７は、磁石および発泡体の任意の組み合わせを含むことができる。例えば、第１の実施形態は、磁石２８７のみを含むことができ、第２の実施形態は、発泡体２６３のみを含むことができ、第３の実施形態は、磁石２８７および発泡体２６３を両方とも含むことができる。前腕障壁のボックス２６０の垂直配向は、力および運動が前腕に向かって指向されないため、向上した安全性側面を有することができる。針１０４は、ボックス２６０の中に挿入され、次いで、回転させられて発泡体２６３の中に平行移動させられる。ボックス２６０は、透明材料から作製されることができ、ボックスの透明床面は、ボックス２６０の両側から針の計数を可能にすることができる。
【１２５５】
図１９８を参照すると、使用済み縫合針受器２５７の実施形態は、垂直配向で磁石２８７および発泡体２６３の組み合わせを含むことができる。図示される実施形態では、ボックス２６０は、２つの隣接領域に分割されることができる。他の実施形態では、使用済み縫合針受器２５７は、３つまたはそれを上回る隣接針格納領域を含むことができる。他の実施形態では、発泡体２６３は、針１０４の回転および固定の人間工学を最適化するように角度を付けられることができる。実施形態では、針１０４は、それぞれの離間磁石２８７の上に留置されることができ、それぞれの磁石２８７は、針１０４の編成を維持するため、および針１０４の計数を促進するために番号付けされることができる。
【１２５６】
図２００および２０１を参照すると、透明材料から作製され得る半円筒形筐体２９５を含むことができる、使用済み縫合針受器２５７の別の実施形態が図示されている。筐体２９５は、半円形の挿入スロットを有することができる。針は、前から後に延在する針の薄型アレイにおいて使用済み縫合針受器２５７の中に留置されることができる。使用済み縫合針受器２５７は、外側開口部とコンテナ筐体２９５の内側の発泡体２６３との間の中に挿入オフセットゾーンを組み込むことができる。挿入ゾーンは、近位端を含む針１０４全体が完全に筐体２９５内に封入されることを確実にするように、発泡体２６３からオフセットされることができる。針１０４がある角度で発泡体２６３の中に挿入される場合、針１０４の近位端は、十分な挿入オフセットゾーンがあるときに筐体２９５から外へ延在する可能性が低い。
【１２５７】
使用済み縫合針受器２５７は、プラットフォームの外方を向く開口部を伴うプラットフォーム上に搭載されることができる。使用済み縫合針受器２５７の円筒形幾何学形状は、左利きおよび右利きのユーザの両方によって容易に使用されることができる、フォアハンドならびにバックハンド持針器回転のための最適角度で発泡体２６３を提示するように、筐体２９５が搭載プレート内で回転させられることを可能にする。開口部のサイズは、安全性特徴を提供してもよい。手または指先は、より大きい開口部よりも、より小さい開口部に偶発的の中に挿入される可能性が低く、傷害は、より起こりにくい。実施形態では、各コンテナが筐体２９５につき５本の針に限定される、より多数のより小さいコンテナを有することが可能である。筐体２９５の図示される設計は、針１０４の両端が発泡体２６３の中に挿入されることを可能にすることができる。
【１２５８】
図２０２を参照すると、使用済み縫合針受器２５７の別の実施形態が図示されている。筐体２９５内の開口部は、筐体２９５に進入するために針１０４が傾転されることを要求し得る、使用済み縫合針受器２５７の外形を縮小することができる卵形進入スロットを有することができる。図示される実施形態は、外側開口部と筐体２９５の内側の発泡体２６３との間に針進入オフセットゾーンを組み込むことができる。発泡体２６３は、発泡体２６３の両側から針１０４の回転および固定を可能にする、筐体の上部分上に搭載されることができる。針１０４の近位または遠位端による貫通を可能にし得る、稠度および硬度を有する、発泡体２６３材料が使用されることができる。針１０４は、上下逆の配向で使用済み縫合針受器２５７の中に挿入されることができる。針１０４の暴露端が、筐体２９５の上面の下方にあって、障壁またはプラットフォームの近くにあるであろうため、ユーザの針１０４との接触の可能性は、最小限である。たとえ針の近位端が筐体２９５から突出していても、手は、通常、下向きの運動で針に衝打し、針１０４が空中に懸架されているため、針１０４に手袋を貫通させる反力がほとんどないであろう。針の本隔離は、針１０４が貫通することがより容易であり得る、より低いデュロメータまたは密度の発泡体が使用されることを可能にすることができる。針１０４が片側を通してのみではなく発泡体２６３の対向側の中に挿入されることができるため、本構成は、より多くの針１０４が使用済み縫合針受器２５７によって保持されることを可能にすることができる。開口部が卵形として図示されているが、他の実施形態では、開口部は、より三角形、涙滴形、または鍵穴形であり得る。図示される実施形態のより幅広い基部は、より優れた安定性を提供することができ、異なる実施形態では、使用済み縫合針受器２５７は、前腕上、手術野上、または患者上に搭載されることができる。
【１２５９】
図２０３および２０４を参照すると、スロットスライドボックス筐体２９５と、針スロット３４９と、持針器スロット３４３と、針スロット３４９の対向側の上発泡体２６３の層および底発泡体２６３の下層と、使用済みの針１０４を挿入するための開口部とを有することができる、使用済み縫合針受器２５７の実施形態が図示されている。本実施形態では、ユーザは、針１０４を把持し、開口部を通して針１０４を留置することができる。いったん針１０４の面が下針スロット３４９表面に隣接すると、ユーザは、持針器スロット３４９を通して移動する持針器を用いて、針スロット３４９の被覆された部分の中に針１０４を摺動させることができる。針１０４は、上発泡体２６３および底発泡体２６３によって針スロット３４９の中で圧縮されて保持されることができる。スロットの上面および底面上の発泡体２６３は、フォアハンドおよびバックハンド両方の持針器回転ならびに左利きまたは右利きのいずれかの持針器使用によって、挿入を可能にすることができる。使用済み縫合針受器２５７は、外側開口部とコンテナの内側の発泡体２６３との間の中に挿入オフセットゾーンを組み込むことができる。針トラップ実施形態のように、針１０４は、薄型外形を可能にする隣接配向で、アレイの中に編成されて格納されることができる。開口部が大型かつ円形として図示されているが、他の実施形態では、開口部は、より安全な針スロット３４９の中に針１０４を移動させる前に、開口部を通した挿入および回転を必要とする、より狭い鍵穴形状であり得る。図示される左右の針スロット３４９構成は、針１０４が容易に整合させられ、針スロット３４９の中に移動させられることを可能にすることができる。
【１２６０】
図２０５を参照すると、使用済み縫合針受器２５７の別の実施形態が図示されている。本実施形態では、針１０４は、遠位鋭利端が発泡体２６３に圧入されるように筐体２９５内のスロット２５６を通して留置されることができる。筐体２９５は、発泡体２６３の中に針１０４を誘導することに役立ち得る、角度付けられた構造に結合されることができる。磁石２８７は、平面構造に対して針１０４の近位端を保持するため、針１０４の近位端を空間内に位置付けさせることを回避し得る、スロット２５６に隣接して平面構造の下に搭載されることができる。
【１２６１】
図２２３−２２４は、一方の端部上に開口部２５６を有する円筒形筐体２９５を含むことができる、使用済み縫合針受器２５７の実施形態を図示する。伸長発泡体２６３構造が、円筒形筐体２９５の底部分に搭載されることができる。針受器２５７の中に針１０４を格納するために、持針器は、針が発泡体構造２６３に隣接するまで、筐体の中に針１０４を挿入することができる。次いで、持針器は、発泡体構造２６３の中に針１０４を挿入するように針１０４を回転させることができる。いったん針１０４が発泡体２６３によってしっかり保持されると、持針器は、針を解放することができ、外科医は、筐体２９５から持針器を除去することができる。本挿入プロセスは、ごく一般的には、「挿入して回転させる」と表されることができ、針が最初の中に挿入され、次いで、針受器２５７の中で針１０４を発泡体２６３に収納するように回転させられることを意味する。図２２５は、筐体２９５の側面図を図示する。発泡体２６３は、端開口部２５６から離れて筐体２９５内に嵌め込まれ得る。外側開口部２５６と発泡体２６３との間の本オフセット空間は、「挿入オフセットゾーン」として公知であり得る。針１０４がある角度で発泡体２６３の中に挿入される場合、針１０４の近位端は、十分な挿入オフセットゾーンがあるときに筐体２９５から外に延在する可能性が低い。
【１２６２】
図２２６−２２８は、図２２３−２２５に図示される実施形態に非常に類似する、使用済み縫合針受器２５７の実施形態を図示する。図２２６および２２７は、針受器２５７の前面図を図示し、図２２８は、側面図を図示する。図示される実施形態では、発泡体２６３は、筐体２９５の上内面上に搭載される。したがって、針１０４は、針１０４の挿入端が上発泡体２６３に隣接するように位置付けられなければならない。筐体２９５の上部分の上の発泡体２６３の留置は、いくつかの安全性の利益を有することができる。針受器２５７が、通常、直立位置にある場合、発泡体２６３内の針１０４が、下向きにぶら下がり、針１０４への重力が、本針配向を維持する傾向となるでろう。針１０４の一部が筐体２９５の開口部２５６を通して外に延在する場合、針１０４との接触は、通常、針１０４を下向きの配向に回転させ、場合により、筐体２９５の中に針１０４の暴露端を移動させることができる、下向きの衝突であり得る。対照的に、針１０４の一部が「下発泡体」２６３実施形態において暴露される場合、暴露端との下向きの衝突が、針１０４を筐体２９５から外へさらに回転させることができる。さらに、発泡体２６３内の針１０４の一部が、下向きの衝突に対する抵抗を提供することができるため、針１０４の暴露部分との接触は、針１０４に接触する物体に傷害を引き起こし得る。
【１２６３】
図２２９を参照すると、使用済み縫合針受器２５７の別の実施形態の前面図が図示されている。本実施形態では、筐体２９５は、透明ドーム２６２と、透明ドーム２６２の対向側の発泡体２６３部品とを含むことができる。発泡体２６３は、針１０４が挿入され得る、複数の表面を含むことができる。したがって、針１０４は、上向きの凹状または凸状側面のいずれかを伴って、発泡体２６３部品の任意の暴露表面の中に挿入されることができる。図２３０を参照すると、使用済み縫合針受器２５７の実施形態の上面図が図示されている。発泡体２６３は、上記で説明される安全性の理由により、挿入オフセットゾーンによって筐体２９５内の開口部２５６から内向きにオフセットされることができる。
【１２６４】
図２３１を参照すると、１つの閉鎖端および筐体２９５の開放端である開口部２５６を伴う円筒形筐体２９５を有することができる、使用済み縫合針受器２５７の実施形態の側面図が図示されている。図２３２は、針受器２５７の実施形態の前面図を図示する。発泡体２６３の伸長ストリップは、筐体２９５の長さに沿って筐体２９５の内面に取り付けられることができる。図示される実施形態では、発泡体２６３は、筐体２９５から外へ延在し、開口部２５６の縁の周囲に、筐体２９５の外面の一部に沿って巻き付く。針受器２５７を使用するために、針は、針の湾曲が筐体の湾曲と整合させられ得るように、持針器を用いて保持されることができる。持針器は、発泡体２６３に面する針の端部を伴って、開口部を通して筐体２９５に針を挿入することができる。針が所望の挿入点に位置付けられるとき、持針器は、発泡体２６３の中に針を駆動するように回転させられることができる。いったん針が発泡体によってしっかり保持されると、次いで、針受器から除去され得る、持針器によって、針が解放されることができる。
【１２６５】
図２２３−２３２を参照して図示および説明される針トラップ３３１は全て、ごく一般的には、「挿入して回転させる」と表され得る、挿入プロセスを利用することができる。それぞれの図示される針受器２５７は、開口部２５６から筐体２９５の中心を通して延在し得る縦軸を有する、筐体２９５を有することができる。針は、針受器２５７の縦軸とほぼ垂直である配向において持針器を用いて保持されることができる。筐体２９５の中への針１０４の挿入移動は、縦軸と実質的に平行であり得る。針１０４は、針１０４の先端が発泡体または任意の他の好適な材料から作製され得る弾性部材２６３上の所望の挿入点と整合させられるまで、挿入されることができる。挿入点において、針１０４は、縦軸を中心として回転させられることができ、針１０４の回転軸が針受器２５７の縦軸と平行であり得ることを意味する。針１０４は、針受器２５７内に針１０４を収納するように弾性部材２６３の中に挿入されることができ、持針器は、針１０４を解放することができる。
【１２６６】
図２０６を参照すると、複数の使用済み縫合針受器２５７が、筐体２９５内の移動制御機構に結合されることができる。筐体２９５は、使用済み縫合針受器２５７のうちの少なくとも１つが開口部２５６を通してアクセス可能であり得るように、開口部２５６を有することができる。図示される実施例では、針受器２５７は、上列が右に移動し、下列が左に移動する、線形様式で移動することができる。移動は、外科医が、常に、開口部２５６を通してアクセス可能である空または部分的にのみ満杯の使用済み針受器２５７の中に使用済み縫合針を留置することが可能となるように、制御可能に移動させられることができる。暴露針受器２５７が満杯になるとき、移動制御機構は、暴露開口部２５６の下で空の針受器２５７を移動させるように作動させられることができる。本移動はまた、保護筐体２９５の下で満杯の針受器に使用済みの針を移動させる。移動制御機構の本移動は、手動で給電される、または限定されないが、電気モータ、空気動力等の任意の他の移動デバイスによって給電されることができる。針受器２５７の移動は、肘、手首、手、指運動等のそれが装着されているものと同一の付属器によって達成される力を含む、種々の手段によってトリガまたは作動させられることができる。
【１２６７】
図２０７を参照すると、別の実施形態では、筐体２９５は、円筒形状を有することができ、針受器２５７の移動は、回転であり得る。筐体２９５は、それを通して針１０４が針受器２５７の中に挿入され得る、開口部２６５を有することができる。開口部２６５の下の暴露針受器２５７が満杯であるとき、空の針受器２５７が開口部の下で回転させられることができ、針１０４が完全に筐体２９５内の位置まで移動させられることができる。
【１２６８】
他の実施形態では、針１０４は、使用済み縫合針受器２５７の異なる表面の中に挿入されることができる。例えば、図２０８を参照すると、実施形態では、針受器２５７は、筐体２９５内で平行移動および回転して移動することができる。針受器２５７の針挿入表面は、筐体２９５の右側の開口部２５６を通してアクセス可能であり得る。針１０４は、針受器２５７の暴露表面の中に挿入されることができる。針受器２５７が満杯であるとき、本システムは、空の針受器２５７の表面を暴露するように針受器を移動させることができ、充填された針受器２５７は、筐体２９５内で移動させられることができる。実施形態では、針受器２５７は、挿入された針１０４を完全に含有するように相互に押圧されることができ、本含有は、傷害を防止することができる。
【１２６９】
図２０９を参照すると、図示される実施形態では、円形筐体２９５は、上面上に開口部２６５を有することができる。針１０４は、針受器２５７の暴露表面の中に挿入されることができる。暴露針受器が針１０４で満杯であるとき、空の針受器２５７が、開口部２５６と整合させられるように回転させられることができ、満杯の針受器２５７の中にこれまで挿入された針は、完全に筐体２９５内に位置付けられるように回転させられることができ、これは、針１０４が傷害を引き起こすこと、または紛失しないように防止することができる。
【１２７０】
図２１０−２１４を参照すると、使用済み縫合針受器２５７の別の実施形態が図示されている。本実施形態では、使用済み縫合針受器２５７は、薄型外形を有し、１本または２本の針１０４を保持する各ユニットを伴う、モジュール式設計を有することができる。各使用済み縫合針受器２５７の筐体２９５は、透明であり得、発泡体２６３は、筐体２９５の片側に固着されることができる。図２１０では、１本の針１０４が、筐体２９５の一方の端部において発泡体２６３の中に挿入されることができ、図２１１では、２本の針１０４が、発泡体２６３の中に挿入されることができる。
【１２７１】
図２１２を参照すると、いったん第１の針受器２５７が充填されると、第２の針受器２５７が第１の針受器２５７の開放側に対して留置されることができ、いったん第２の針受器２５７が充填されると、第３の針受器２５７が第２の針受器２５７の開放側に対して留置されることができる。各針受器２５７の裏面は、これまで充填された針受器２５７の開放側に対して留置されることができ、暴露針１０４のみが最外針受器２５７の中にあるように、隣接筐体２９５の間に使用済みの針１０４を含有する閉鎖蓋として機能することができる。図２１３および２１４に図示される実施形態では、隣接針受器２５７の筐体２９５は、筐体２９５の発泡体２６３の側縁に結合され得るヒンジ２８８で結合されることができる。針受器２５７が充填されるとき、次の空の針受器２５７は、充填された針受器２５７と平行および隣接するまで、ヒンジ２８８を中心として回転することができる。本回転運動は、針１０４の位置を筐体２９５内の空間の中に圧入または平坦化することができ、針１０４は、隣接針受器２５７によって含有されることができる。
【１２７２】
図２１５および２１６を参照すると、使用済み縫合針受器２５７の別のモジュール式実施形態が図示されている。本実施形態では、側面開放型ボックス２６０は、透明壁を有することができ、ボックス２６０の開放側を被覆する弾性材料２５１に結合されることができる。針１０４は、弾性材料２５１を通して弾性材料２５１の背後のチャンバに圧入されることができる。弾性材料２５１は、スポンジ、発泡体、または針１０４を支持し得る任意の他の好適な弾性材料から作製されることができる。最大数の針１０４が暴露針受器２５７の弾性材料２５１の中に挿入されたとき、空の針受器２５７が、満杯の針受器２５７の弾性材料２５１にわたって留置されることができる。空の針受器２５７のボックス２６０の底面は、満杯の針受器２５７の弾性材料２５１に押圧することができる。本圧縮は、針１０４を針受器２５７に収納することができ、空の弾性材料２５１がより多くの針１０４のために利用可能であることを可能にする。図２１７を参照すると、複数の隣接針受器２５７が図示されている。本実施例では、３つの針受器２５７が、針１０４で充填されており、針１０４は、第４の針受器２５７の弾性材料２５１の中に挿入されることができる。
【１２７３】
図２１８を参照すると、透明ドーム２６２と、磁気２８７基部と、透明ドーム２６２の上部分に形成された針スロット３４９とを含むことができる、使用済み縫合針受器２５７の実施形態が図示されている。針スロット３４９は、針１０４の湾曲に合致することができ、針スロット３４９は、針１０４より大きい断面を有することができる。使用済みの針１０４は、持針器を用いて針スロット３４９を通して挿入され、解放されることができる。針１０４は、針受器２５７の基部に落下することができ、基部内の磁石２８７は、針受器２５７の底部において針１０４を保持することができる。針受器内の針１０４は、透明ドーム２６２を通して視覚的に計数されることができる。
【１２７４】
図２１９を参照すると、使用済み縫合針受器２５７の別の実施形態が図示されている。図示される針受器２５７は、透明ドーム２６２と、内部発泡体２６３構造と、針スロット３４９と、持針器スロット３４３とを含むことができる。針１０４は、透明ドーム２６２内の針スロット３４９を通して挿入されることができ、持針器の遠位端は、持針器スロット３４３を通して挿入されることができる。次いで、持針器は、透明ドーム２６２の中心軸において搭載され得る円筒形発泡体２６３の中に針１０４を圧入することができる。他の実施形態では、発泡体２６３は、任意の他の形状であって、透明ドーム２６２内の任意の他の好適な場所に搭載されることができる。いったん針１０４が発泡体２６３に収納されると、持針器は、透明ドーム２６２から除去されることができる。実施形態では、発泡体２６３は、針１０４が円筒形発泡体２６３構造の周辺全体の周囲の中に挿入されることができるように、針スロット３４９および持針器スロット３４３に対して回転することが可能であり得る。
【１２７５】
図２２０を参照すると、開口部２５６を有する円形筐体２９５と、円形筐体２９５内で回転することができる発泡体円盤２５２とを有する、針受器２５７の実施形態が図示されている。針１０４は、開口部２５６を通して暴露される発泡体円盤２５２の一部の中に挿入されることができる。発泡体円盤２５２の暴露領域が針１０４で充填されると、円盤は、発泡体円盤２５２の未使用部分を暴露するように筐体２９５内で回転させられることができる。発泡体円盤２５２の中に挿入される使用済みの針１０４は、封入された針１０４が傷害を引き起こさないように防止し得る、筐体２９５によって完全に囲繞される位置まで移動させられることができる。実施形態では、筐体２９５は、筐体２９５内の針が容易に計数されることができるように透明であり得る。
【１２７６】
図２２１および２２２を参照すると、針受器２５７の別の実施形態は、開口部２５６を伴う筐体２９５と、発泡体２６５のロールが格納されるスプール４５３とを含むことができる。図２２１を参照すると、発泡体２６３は、スプール４５３から展開され、開口部に近接近して移動させられることができる。針１０４は、開口部２５６を通して筐体２９５の中に挿入され、針１０４をしっかりと保持し得る暴露発泡体２６３に圧入されることができる。発泡体２６３の暴露領域が針１０４で充填されるとき、スプール４５３は、図２２２に示されるように、針１０４で充填された発泡体２６３を筐体２９５の中に移動させるように回転し、一掃された発泡体２６３を暴露することができる。図示されるプロセスは、発泡体２６３の全体がスプール４５３から展開されるまで継続することができる。
【１２７７】
障壁
【１２７８】
議論されるように、縫合糸設置プロセスの効率は、近傍手術野内で使用済み針受器または使用済み針トラップの中に使用済み縫合針を留置することによって向上させられることができる。図２３３および２３４を参照した実施形態では、使用済み針受器が、外科医の前腕に巻き付けられた障壁４０３に取り付けられることができる。本実施例では、障壁４０３は、障壁４０３の端部の内面上に結合機構を有する、穿刺抵抗材料の層であり得る。結合機構は、障壁４０３がしっかりと前腕に巻き付けられるように、障壁４０３の外面に取り付けられることができる。図２３３は、前腕の背側部分に隣接して障壁４０３に取り付けられた針受器２５７を伴う前腕の上面図を図示する。図２３４は、前腕の背側部分に隣接して障壁４０３に取り付けられた針受器２５７と、前腕の掌側部分に隣接して障壁４０３に取り付けられた縫合パック１０１とを伴う、前腕の側面図を図示する。本構成では、外科医は、持針器を用いて縫合パック１０１から針および縫合糸を除去し、患者の中に縫合糸を設置し、針１０４を近傍手術野から退出させることなく針受器の中に使用済みの針を留置することができる。
【１２７９】
障壁は、ユーザのための保護層として機能することができ、種々の材料から作製されることができ、種々の異なる形状を有することができる。障壁は、ユーザの肢にわたって装着されることができ、針が障壁を通過し、ユーザの被覆された肢に接触しないように防止し得る、任意の材料から作製されることができる。図２３５を参照すると、障壁４０３の実施形態の上面図が図示されている。障壁４０３は、アルミニウム等の可鍛性かつ穿刺抵抗材料から作製され得る、構造障壁層１６９を含むことができる。溝４０４が、優先的な線に沿った屈曲を制御してユーザの前腕への共形化性を促進するように、構造障壁層１６９の表面に追加される。構造障壁層１６９は、障壁材料の平坦なシートから加工されることができる。障壁４０３の本平坦構成は、障壁４０３が積み重ねられることができ、最小限の空間容積が各障壁４０３のために必要とされるため、保管および発送のために有用であり得る。
【１２８０】
障壁４０３が使用されるとき、ユーザは、保護される肢に障壁を巻き付けることができる。本実施例では、障壁４０３は、前腕を保護するように設計される。図２３６を参照すると、ユーザの前腕に巻き付くように屈曲された後の障壁４０３が、図示されている。本実施例では、溝４０４は、屈曲の湾曲と実質的に垂直であり得る。図示される実施形態では、道具ホルダ１４７が、障壁４０３に取り付けられる。
【１２８１】
図２３７を参照すると、障壁４０３の実施形態の底面図が図示されている。障壁４０３は、構造障壁層１６９を含むことができ、内側発泡層１７１が、構造障壁層１６９の内面に取り付けられることができる。内側発泡層１７１は、ユーザの肢に対して圧縮されることができ、本圧縮は、肢に対して摺動することに障壁４０３を抵抗させることができる。
【１２８２】
図２３８を参照すると、実施形態では、障壁４０３は、プラスチック材料から加工されることができ、障壁４０３の形状は、略円筒形構成に形成されることができる。図示される実施形態では、障壁４０３は、ユーザの前腕の周囲に嵌合する円筒形前腕部分４１５を有する。障壁４０３の手部分４１７は、親指孔４１９を有することができる。親指は、前腕上への障壁４０３の固着を向上させ、前腕の周囲の障壁４０３の回転移動を防止するように、親指孔４１９を通して留置されることができる。
【１２８３】
保護を提供することに加えて、障壁はまた、種々の手術用構成要素のための搭載表面を提供することもできる。図２３９−２４１を参照すると、針トラップ３３１および縫合パック１０１が搭載される、障壁４０３の実施形態が示されている。種々の搭載機構が、針トラップ３３１および縫合パック１０１を障壁４０３の外面に取り付けるために使用されることができる。異なる実施形態では、針トラップ３３１のための搭載機構は、面ファスナ、裏面接着式発泡体テープ、単純ダブテール搭載部、クラスプ、返し付き挿入物、感圧性接着剤、または任意の他の好適な結合機構であり得る、平坦な薄型搭載界面であり得る。いくつかの実施形態では、これらの同一搭載機構は、縫合パック１０１を障壁４０３に固着するために使用されることができる。しかしながら、異なる機構では、異なる搭載機構が、縫合パック１０１に使用されることができる。例えば、縫合パック１０１は、クリップまたは任意の他の好適な機械デバイスで障壁４０３に保持されてもよい。
【１２８４】
図２４２−２４４を参照すると、障壁４０３の別の実施形態が図示されている。図示される実施形態では、障壁は、円筒形湾曲を有することができる。親指ループ４２０が、障壁４０３の遠位端に取り付けられることができ、ストラップ１２１は、障壁４０３の面縁に取り付けられることができる。ユーザは、前腕上に障壁４０３を留置し、親指ループ４２０を通して親指を留置することができる。ストラップ１２１は、障壁４０３を前腕に保持するために十分な張力を提供することができる、弾性構造であり得る。針受器２５７は、障壁４０３の背側部分上に搭載されることができる。図示される実施形態では、針受器２５７は、ユーザに向かって面する開口部２５６を伴って位置付けられることができる。したがって、図示される障壁４０３は、ユーザの左前腕上に装着されるように構成されることができる。縫合パックを保持するためのクリップ１１５が、障壁４０３の掌側部分に取り付けられることができる。図示される実施形態では、道具２０１を保持するための道具ホルダ１４７が、ユーザから外方に面する障壁４０３の側面に取り付けられることができる。
【１２８５】
図２４９を参照すると、前腕搭載型穿刺障壁４０３の実施形態の平坦なパターンが図示されている。障壁４０３は、ユーザの肢に巻き付けられ得る脚部１７５を含む、遠位部分を有することができる。障壁４０３の幅は、障壁４０３の近位部分に向かって拡張することができる。障壁４０３材料は、可撓性であるプラスチック材料から作製されることができるが、プラスチック材料の厚さおよび密度は、患者もしくは外科スタッフの皮膚を穿刺し得る１つまたはそれを上回る鋭利な表面を有する、使用済みの針、道具、もしくは他の物体等の鋭利部を妨げるために十分であり得る。
【１２８６】
実施形態では、障壁４０３は、耐針穿刺性であって、目立たず、共形性である。障壁４０３の設計および加工は、硬度ならびに厚さの最適化された組み合わせであり得る。より具体的には、障壁４０３は、穿刺に抵抗するために十分に硬質であって、使用中に快適であるように適切に可撓性のままであるために十分に薄くあり得る。実施形態では、障壁４０３は、厚さが約０．０１０〜０．０４であり得る、延伸ポリエチレンテレフタレートグリコール変性（ＰＥＴＧ）またはポリカーボネートから加工されることができる。障壁４０３の硬度は、約４５Ａ〜６５Ｄ（それぞれ、ショア硬度スケールＡおよびＤ）の硬度を有することができる。実施形態では、障壁４０３は、穿刺抵抗材料の平坦なシートから打ち抜かれることができる。別の実施形態では、障壁４０３は、前腕に取り付けられ、片手で嵌合を最適化するように調節され得る、解剖学的に共形性の半円錐形状で熱形成されることができる。代替実施形態では、障壁４０３は、吹込成形され、設計された形状に回転レーザ切断されることができる。異なる実施形態では、障壁４０３は、種々の他の製造プロセスを使用して加工されることができる。実施形態では、共形性発泡層が、障壁４０３の内面上に搭載されることができる。障壁に追加される本発泡体前腕界面は、快適性を向上させることができる。いくつかの実施形態では、障壁４０３は、平坦な形態でパッケージ化されることができる。しかしながら、他の実施形態では、障壁４０３は、巻き上げられた構成でパッケージ化されることができる。障壁４０３は、１つまたはそれを上回る針トラップとともにパッケージ化されることができる。
【１２８７】
図２５０−２５２を参照すると、ユーザの左前腕上に障壁４０３を留置するための方法の実施形態が図示されている。図２５０を参照すると、障壁４０３は、ユーザの前腕にわたって留置されることができ、脚部１７５は、ユーザの手首に巻き付けられることができる。脚部１７５は、手首の周囲に固着され、障壁４０３は、図２５１に示されるように前腕に巻き付くことができる。脚部１７５は、図２５２に示されるように手首の掌側で相互に固着されることができる。
【１２８８】
図２５３−２５６を参照すると、前腕の掌側にわたって留置され、障壁４０３を前腕に固着するために使用される結合機構としてフック材料１２７およびループ材料１２９を使用する、障壁４０３の実施形態が図示されている。図２５３を参照すると、障壁４０３の外面の上面図が図示されている。針トラップ３３１および縫合針１０３を含有する縫合パック１０１を保持する縫合パックキャリア１８３が、障壁４０３に取り付けられる。実施形態では、種々の機構が、針トラップ３３１および／または縫合パックキャリア１８３を障壁４０３に取り付けるために使用されることができる。結合機構は、針トラップ３３１、縫合パック搭載部１８３等のための搭載界面を提供するように、障壁４０３に取り付けられた裏面感圧性接着式（ＰＳＡ）フックおよび／またはループ締結具を含むことができる。
【１２８９】
縫合パック搭載部は、針トラップと統合される、またはそれに結合されることができる。異なる実施形態では、縫合パック搭載部は、２つの配向で位置付けられることができる。縫合パック搭載部１８３は、前腕の橈側面に向かって針トラップ３３１の上方に位置付けられることができる。別の実施形態では、縫合パック搭載部１８３が、縦構成で針トラップ３３１の下に位置付けられることができる。実施形態では、打抜発泡体搭載部が、ＰＳＡで針トラップ３３１の下面に取り付けられることができる。発泡体搭載部の下面上のフックまたはループ締結具が、縫合パック１０１の安定性を増加させるように、障壁４０３上の噛合締結具に取り付けられることができる。代替として、縫合パック１０１は、針進入ゾーン３３３の下面上のＰＳＡを用いて針トラップ３３１に取り付けられることができる。実施形態では、フックまたはループ締結具は、縫合パック１０１の底部に取り付けられることができ、これは、順に、障壁４０３の外面上の噛合締結具に取り付けられる。
【１２９０】
脚部１７５またはストラップは、遠位部分における障壁４０３から外向きに延在することができ、ループ材料１２９は、脚部１７５のうちの１つの上面に取り付けられることができる。図２５４を参照すると、障壁４０３の内面の底面図が図示されている。フック材料１２７は、脚部１７５またはストラップのうちの１つの内面に取り付けられることができる。
【１２９１】
図２５５を参照すると、前腕の掌側表面にわたって位置付けられた障壁４０３上で針トラップ３３１および縫合パックキャリア１８３を支持する、キャリア表面の上面図が図示されている。脚部１７５は、手首の背側まで手首に巻き付くことができる。図２５６は、前腕の掌側表面にわたって位置付けられた障壁４０３にわたる前腕の背側の底面図を図示する。脚部１７５は、手首に巻き付けられることができ、ループ材料１２９は、障壁４０３を前腕に固着するようにフック材料１２７に結合されることができる。重複する遠位障壁ストラップ表面は、前腕サイズおよび嵌合緊密性の範囲の調節を可能にすることができる。
【１２９２】
他の実施形態では、針受器２５７および／または針トラップ３３１が、手術道具２０１に取り付けられることができる。図２４５−２４８を参照すると、針受器２５７および縫合パッククリップ１１５アセンブリ２０６の実施形態が図示されている。図２４５および２４８は、アセンブリ２０６の針受器２５７側の斜視図を図示する。針受器２５７は、壁２００によって囲繞されることができる内蔵磁石２８７を含み得る、陥凹表面を含むことができる。針は、磁石２８７上に留置されることができ、磁石２８７は、壁２００の外縁の下方の陥凹表面上で針１０４を保持することができる。縫合糸クリップ１１５が、針受器２５７の対向側に搭載されることができる。図２４６および２４７を参照すると、針受器２５７ならびに縫合パッククリップ１１５アセンブリ２０６の底面斜視図が図示されている。縫合パッククリップ１１５は、針受器２５７の裏面にわたって縫合パックを固着するように内向きに延在することができる。
【１２９３】
針受器２５７および縫合パッククリップ１１５アセンブリ２０６はまた、道具スロット４３９およびばね２４５を含み得る、図２４５に図示される道具搭載界面４３３を含むこともできる。道具の近位端は、道具スロット４３９の中に挿入されることができ、ばね２４５は、道具の端部を針受器２５７および縫合パッククリップ１１５アセンブリ２０６に固着するように、道具の近位端に対して道具スロット４３９を圧縮することができる。
【１２９４】
他の実施形態では、他のタイプの針受器が、手術道具２０１に取り付けられることができる。手術道具２０１の近位端に取り付けられた針トラップ３３１の実施形態が、図２５７−２６０に図示されている。図２５７は、手術道具２０１の近位端に取り付けられた道具搭載界面４３３に結合されることができる、針トラップ３３１を含む、針トラップアセンブリ３３２の斜視図を図示する。図２５８は、針トラップアセンブリ３３２の前面図を図示する。アセンブリ３３２内の針トラップ３３１は、図１６８を参照して上記で説明される針トラップ３３１と実質的に同様に機能することができる。図示される針トラップ３３１は、道具２０１の軸に対して左に向かって角度を付けられることができる。針が針トラップ３１１の中に挿入されるとき、針挿入力は、道具２０１に回転および平行移動力を印加することができる。図２５９を参照すると、針トラップアセンブリ３３２の側面図が図示されている。本実施形態では、針トラップ３３１は、対向方向に面する２つの針トラップ３３１の進入ゾーン３３３を伴って、道具搭載界面４３３の対向側に搭載されることができる。針トラップ３３１が使用されているとき、針トラップアセンブリ３３２は、標的進入ゾーン３３３が挿入されている針に面するように回転させられることができる。
【１２９５】
図２６０を参照すると、針トラップアセンブリ３３２の分解図が図示されている。針トラップ３３１はそれぞれ、前（上）構造３３９と、後（下）構造３４１とを含むことができる。回転搭載構成要素３６７が、針トラップ３３１を道具搭載界面４３３に取り付けるために使用されることができる。図示される実施例では、回転搭載構成要素３６７は、下要素３４１内の孔３４２ならびに道具搭載界面４３３を通して延在する孔４３４に締結されることができる。実施形態では、針トラップ３３１は、下要素３４１内の孔３４２を中心として道具２０１に対して回転することができる。いったん針トラップ３３１の所望の角度配向が判定されると、回転搭載構成要素３６７は、所望の角度配向で針トラップ３３１を係止するように緊締されることができる。実施形態では、針トラップ３３１は、進入ゾーン３３３に対向する針トラップ３３１の部分の上にクリップを有することができる。
【１２９６】
図示される実施形態では、針トラップ３３１は、背中合わせの配向で構成されることができる。針トラップ３３１は、手術道具２０１の軸から４５度オフセットして相互に対して垂直に位置付けられることができる。道具搭載界面４３３は、手術道具２０１に取り付けられた道具スロット４３９を図示するが、他の実施形態では、針トラップアセンブリ３３２は、限定されないが、面ファスナ、タブ、接着剤、または発泡体等の任意の他のタイプの接続機構で接続されることができる。これらの種々の機構は、針トラップアセンブリ３３２を種々の鉗子幾何学形状に固着するために使用されることができる。
【１２９７】
明確にするために、針トラップ３３１の全ての構成要素が図２５７−２６０に図示されているわけではない。しかしながら、異なる実施形態では、図１６８−１８９を参照して説明される針トラップ３３１および関連構成要素もまた、例えば、図２５７−２６０を参照して説明される針トラップアセンブリとともに使用されることができる。
【１２９８】
組み合わせられた針トラップおよび搭載構造の重量は、例えば、約５グラム〜約８０グラムの範囲内、例えば、約１０グラム〜約４０グラムの範囲内であり得る。これらの範囲内の重量は、１つまたはそれを上回る針トラップが留置される手術道具に平衡を提供することができる。
【１２９９】
図２５７−２６０に示されるような針トラップは、多くの方法で構成されることができ、例えば、図８０−８４を参照して説明されるように、使用の容易性のために縫合パックと組み合わせられてもよい。針トラップおよび縫合パックは、対向構成で組み合わせられることができ、縫合パックは、針トラップの対向側上に位置する。例えば、針トラップ３３１のうちの１つまたはそれを上回るものは、本明細書に説明されるような縫合パッケージのうちの１つまたはそれを上回るものと置換されることができる。トラップおよび縫合パックは、対の針受器と同様に、鉗子の近位端上に対向構成で搭載されることができる。組み合わせられた針トラップおよび針受器ならびに搭載構造の重量は、例えば、約５グラム〜約８０グラムの範囲内、例えば、約１０グラム〜約４０グラムの範囲内であり得る。これらの範囲内の重量は、針パックおよびトラップが留置される手術道具に平衡を提供することができる。
【１３００】
代替として、一対の対向縫合パックが、器具上に搭載され、使用済み針は、本明細書に説明され、例えば、図８０−８４を参照して説明されるように、掌側前腕等の他の場所に格納されることができ、図２５７−２６０の搭載アセンブリの構成要素を組み込んでもよい。組み合わせられた使用済み針受器および搭載構造の重量は、例えば、約５グラム〜約８０グラムの範囲内、例えば、約１０グラム〜約４０グラムの範囲内であり得る。これらの範囲内の重量は、平衡を針パックが留置される手術道具に提供することができる。
【１３０１】
手術衣
【１３０２】
実施形態では、手術衣は、手術衣の袖に内蔵される障壁または複数の障壁を伴って構築されることができる。典型的には、手術衣の袖は、二次汚染から外科医および患者を保護するように流体に対して不浸透性である、軽量織物で製造されることができる。しかしながら、これらの手術衣材料は、針または鋭利部の貫通もしくは引裂から外科医を保護しない場合がある。実施形態では、手術衣は、針の貫通に対して貫通不可能であり得、引裂を防止し得る、前腕上の障壁ゾーンを伴って生成されることができる。
【１３０３】
図２６１を参照した実施形態では、手術衣４０１は、手術衣袖４０２の背側橈側面領域上に生成される障壁４０３を有することができる。障壁４０３は、前腕の外側湾曲に共形化し得る、湾曲断面を有することができる。
【１３０４】
図２６２を参照した別の実施形態では、障壁４０３を含む袖４１３は、手術衣４０１にわたって留置されることができ、かつそこから除去されることができる、別個の構成要素であり得る。袖４１３は、ゾーンの領域中で袖を共形化可能な状態にし、袖４０３が装着される肢の周囲の障壁４０３の回転を防止する、障壁４０３の領域中の袖４１３の上に１つまたはそれを上回る円周方向弾性要素４０５を有することができる。弾性要素４０５はまた、袖４１３の近位部分を手術衣４０１に保持するように、袖４１３の近位縁の周囲に留置されることもできる。そのような弾性要素４０５は、袖４１３および障壁４０３を安定させ、外科医が動く際に移動および変位を低減させることができる。
【１３０５】
別の実施形態では、障壁４０３は、略平坦であって、またはわずかに湾曲され、障壁４０３が手術衣４０１にわたって前腕に取り付けられたときに腕に共形化する、可撓性プラスチック遮蔽体であり得る。他の実施形態では、加えて、付加的なストラップおよび／またはタブが、障壁４０３への前腕袖４１３の結合を増補し、接続固着を向上させるために使用されることができる。例えば、Ｖｅｌｃｒｏ、湿式および乾式接着剤、磁石、ならびに機械的ロック、またはタブおよびストラップ等の任意の他の好適なタイプの接続機構が、袖４１３および障壁４０３をユーザの前腕に固着するために使用されることができる。
【１３０６】
実施形態では、手術衣は、熱可塑性材料の複数の部品、パネル、および／またはシートで構築されることができる。これらの部品は、手術衣を生成するためにともに継ぎ目なく溶接されることができる。そのような熱可塑性手術衣材料は、障壁ゾーンの役割を果たし得る、増加した材料厚さのゾーンを生成するために使用されることができる。実施形態では、障壁は、障壁の材料性質が、手術において合理的に予測し得る力による針の貫通を防止するように、熱的に加熱および圧縮されることができる、手術衣材料の肥厚層ならびに／または複数の層から成る。
【１３０７】
図２６３−２６５を参照すると、手術衣袖４０２または別個の袖４１３構造の中の障壁の側面図が図示されている。図２６３を参照すると、障壁の断面は、同一の囲繞手術衣材料４１１が、障壁４０３として機能する、より耐穿刺性のより厚い材料４０７を生成するために使用される、袖のより厚い材料４０７領域であり得る。
【１３０８】
図２６４を参照すると、別の実施形態では、障壁４０３は、手術衣と異なる材料から作製されることができ、障壁４０３は、手術衣または袖材料４１１に熱的に溶接４０９されることができる。例えば、異なる実施形態では、障壁は、プラスチック、金属、または任意の他の好適な障壁材料から作製されることができる。障壁４０３は、接着剤で手術衣袖材料に取り付けられることができる、または縫い目で囲繞する袖材料に機械的に取り付けられることができる。本実施例では、障壁４０３材料および手術衣または袖材料４１１の交差縁は、相互に熱的に溶接４０９される。図２６５を参照した他の実施形態では、障壁４０３材料は、手術衣または袖材料４１１の外面に熱的に溶接されることができる。
【１３０９】
他の実施形態では、図２６３−２６５に図示される障壁４０３は、針トラップ、縫合パック、道具ホルダ、および他の物体等の他の手術用デバイスを搭載するためのプラットフォームとして使用されることができる。これらの構成要素は、接着剤、磁気機構、面ファスナ材料等の機械的コネクタ等の種々のタイプの接続機構で、障壁に取り付けられることができる。例えば、実施形態では、フック材料が、針トラップの底面に取り付けられることができ、ループ材料が、障壁４０３の外面に取り付けられることができる。本構成は、針トラップが外科医の前腕上の手術衣または袖の上の障壁に解放可能に結合されることを可能にすることができる。
【１３１０】
他の実施形態では、種々の機構が、１つまたはそれを上回る縫合パッケージを外科医の前腕上に搭載された障壁に機械的に取り付けるために使用されることができる。図１８９を参照すると、縫合パック１０１および針トラップ３３１が、障壁上に搭載されて図示されている。類似実施形態では、縫合パック１０１および針トラップ３３１が搭載される障壁は、袖または手術衣と統合された障壁であり得る。
【１３１１】
異なる実施形態では、障壁ゾーンを伴う手術衣は、使い捨て手術衣または再利用可能織物手術衣であり得る。代替として、手術衣は、手術衣の前腕に取り付けられた障壁デバイスを伴う使い捨て手術衣材料で構築されることができる。しかしながら、使用後、障壁は、使い捨て手術衣から除去され、再利用されることができる。これらの実施形態では、障壁は、接着剤、面ファスナ結合部、または任意の他の好適な再利用可能取付構成要素で、袖に取り付けられることができる。
【１３１２】
手術室では、図２６２に図示されるような滅菌袖４１３が、手術室人員に利用可能であり得る。外科医が手術衣の袖を引き裂くか、または汚染するかのいずれかである場合、そのような余剰袖４１３が外科医の腕の上に巻かれることができる。そのような重層袖４１３は、滅菌状態を保存し、手術衣のいかなる潜在的破損も被覆する。重層袖４１３の代替案は、手術衣および手袋の複数の層が除去され、新しい手術衣が適用され、その後に新しい手袋が続くプロセスである、外科医が「着替える」ことであり得る。したがって、重層袖４１３は、時間を節約し、外科的に適切である場合に効率的なデバイスである。議論されるように、重層袖４１３は、前腕の領域中に障壁４０３を有することができる。そのような重層袖４１３は、障壁４０３が迅速に手術室人員に固着されることを可能にすることができる。
【１３１３】
手袋延在部
【１３１４】
手術室では、外科医は、外科医の手首または掌まで延在する、手術衣を着用することができる。次いで、外科医は、指および手の上に手袋または手袋の複数の層を留置することができ、これは、次いで、手術衣の袖の遠位範囲を被覆するように近位に引かれることができる。したがって、手術衣の袖の遠位部分が、手袋の近位部分で被覆されることができる。
【１３１５】
図２８６−２８９は、手術用手袋４８０の異なる実施形態を図示する。図２８６は、指から前腕の中央部分まで延在するラテックスタイプ材料から作製された手袋部分４８１を有する、手袋４８０の実施形態の上面図を図示する。手袋延在部４８３が、手袋部分４８１の近位縁に取り付けられることができ、かつ外科医の前腕から肘を被覆する位置まで延在することができる。手袋延在部４８３材料は、手術衣材料または任意の他の好適な材料から作製されることができる。図２８７は、外科医の指から手首まで延在するラテックスタイプ材料から作製された手袋部分４８１と、手首から肘を被覆する位置まで延在する手袋延在部分４８３とを有する、手袋４８０の実施形態の上面図を図示する。図２８８を参照すると、指から手首まで延在するラテックスタイプ材料から作製された手袋部分４８１と、手首から肘を被覆する位置まで延在する手袋延在部分４８３と、手袋延在部３８３の一部に取り付けられた障壁４０３とを有する、手袋４８０の上面図が図示されている。図２８９は、指から肘まで延在する手袋部分と、手袋部分４８１の一部に結合された障壁４０３とを有する、手袋４８０の上面図を図示する。議論されるように、障壁４０３は、障壁４０３によって被覆される前腕の部分を保護することができる。実施形態では、針トラップ、針受器、縫合パックキャリア、道具ホルダ等の手術用構成要素である。
【１３１６】
本発明の実施形態は、外科医の前腕まで近位に延在するように設計される手術用手袋４８１を含むことができる。手袋４８０は、手袋部分４８１と、手袋延在部４８３と、障壁４０３とを含んでもよい。手袋部分４８１は、限定されないが、ニトリル、イソプレン、またはビニル等のラテックスもしくはラテックス様ポリマーで加工されることができる。実施形態では、袖延在部４８３が、手袋部分４８１に結合されることができ、袖延在部４８３は、指を被覆する手袋部分４８０材料と異なる材料から作製されることができる。より具体的には、手袋４８１の指は、手袋の残りの部分と異なる材料から作製されることができる。そのような手袋指材料は、通常は手術衣の袖で見られる材料から成ることができるが、それらに限定されない。そのような材料は、織物および熱可塑性材料から成る。
【１３１７】
実施形態では、手袋は、鋭利部が障壁４０３を貫通し、障壁４０３の下の肌に接触することに抵抗する、および／またはそれを防止し得る、障壁材料を有する障壁４０３ゾーンを含む、近位延在部４８３を有することができる。実施形態では、手袋障壁はまた、説明された構成要素のうちのいずれかが取り付けられることを可能にすることもできる。例えば、針トラップおよび／または縫合パックは、限定されないが、接着剤、面ファスナコネクタ、磁石、機械的結合部等の説明された取付機構のうちのいずれかを使用して、手袋障壁に取り付けられることができる。
【１３１８】
実施形態では、統合障壁を伴う手袋は、手を被覆し、さらに、前腕の少なくとも一部にわたって延在し、場合により肘まで延在し得る、近位延在部を備えることができる。近位延在部は、前腕の橈側境界まで配向し得る、障壁を含有することができる。そのような障壁はまた、針トラップおよび／または縫合パックの取付のための１つまたはそれを上回るゾーンを含有することもできる。
【１３１９】
実施形態では、手袋と統合された前腕上の障壁４０３は、手袋４８０の着用者のための障壁４０３を提供するように機能し得る、１つまたはそれを上回るデバイスを備えることができる。手袋４８０と統合された障壁４０３材料は、プラスチック、金属、または任意の他の好適な材料から作製されることができる。実施形態では、障壁４０３は、前腕に沿ってあり得る手袋４８０の内側部分に取り付けられることができる。別の実施形態では、障壁４０３は、手袋材料の内層と外層との間に手袋を挟装する。
【１３２０】
外科医によって制御される縫合糸切断
【１３２１】
縫合糸は、ある時は、針の終端の中にスエージ加工され、縫合の終わりに切断されなければならない。器械出し助手が、従来通り、針から縫合糸を切断してもよい。しかしながら、外科医が縫合糸を切断することを可能にすることにより、第三者の器械出し助手が縫合糸を切断する必要性を排除することができる。本手技変更は、効率および安全性を向上させることができる。理想的には、縫合糸は、切断中に張力を縫合糸に付与することなく切断されることができる。
【１３２２】
図２６６−２６８を参照した実施形態では、鋏またはブレードが、指輪のように外科医の指の上に装着されることができる。図２６６は、リングカッタ４１２の前面図を図示し、図２６７は、リングカッタ４１２の実施形態の側面図を図示する。リングカッタ４１２は、リング４２３と、ブレードがリングカッタ４１２を装着している指と整合させられた状態で配向され得る、切断ブレード４２５とを有することができる。縫合糸が切断される必要があるとき、外科医は、縫合糸を切断するようにブレード４２５を縫合糸に押圧することができる。余剰縫合糸は、近傍手術野から除去されることができ、リングカッタ４１２は、次の縫合糸が切断される必要があると、再び使用されることができる。他の実施形態では、縫合糸カッタが、針トラップまたは障壁に組み込まれてもよい。
【１３２３】
図２６８を参照すると、指搭載型ブレード４２５の代替実施形態が図示されている。本実施形態では、ブレード４２５は、指４２９の上に留置されることができる複数のリング４２３に結合され得る、ロッド４２７の遠位部分上に搭載されることができる。縫合糸は、ブレード４２５を縫合糸に押圧することによって切断されることができる。
【１３２４】
図２６９−２７１を参照すると、実施形態では、道具搭載型カッタ４３７が、鉗子または持針器等の道具２０１の近位部分に恒久的もしくは可撤性に取り付けられることができる。図２６９を参照すると、道具搭載型カッタ４３７は、道具２０１の近位部分にわたって密接に嵌合することができる陥凹を有する、道具キャップ４３３を有することができる。ブレード筐体４３５は、ブレード４３１が搭載される筐体４３５内の陥凹状領域を画定する、近位に延在する２つの部分を有することができる。図示される実施形態では、ブレード４３５は、「Ｖ」形状切断表面を有することができる。図２７０および２７１を参照すると、ブレード４３５は、道具２０１の長さと整合させられることができる。縫合糸が切断される必要があるとき、外科医は、切断を行うように、縫合糸に対して「Ｖ」形状切断表面を押動することができる。
【１３２５】
図２７２および２７３を参照した実施形態では、手術道具２０１は、統合カッタを有することができる。本実施例では、標準ブレード４４１が、ブレード筐体４４５に搭載されることができる。標準ブレード４４１は、搭載孔を含むことができ、ブレード４４１は、ブレード４４１をブレード筐体４４５に堅く固着するようにブレード搭載部４４３に固着されることができる。本実施形態では、ブレード４３１は、鉗子、持針器、または任意の他の手術道具であり得る、道具２０１の近位部分に可撤性に取り付けられることができる。ブレード４４１が装着される、および／または交換される必要があるとき、ブレード４３１は、ブレード搭載部４４３から除去され、交換されることができる。
【１３２６】
図２７４を参照すると、実施形態では、鋏が手術道具２０１の端部上に搭載されることができる。本実施形態では、ブレード筐体４３５は、ブレード４３１が回転し、縫合糸を切断するための鋏として機能することを可能にし得る、リビングヒンジであり得るヒンジ４４５を含むことができる。ヒンジ４４５は、通常、鋏が通常開いているときに直線形状を成すことができる。本実施形態では、外科医が縫合糸を切断したいとき、縫合糸は、ブレード４３１の間に留置されることができる。次いで、外科医は、ブレード４３１を相互に向かって移動させて縫合糸を切断するために、筐体４３５の側面に圧縮力を印加するように圧搾することができる。筐体４３５の側面に印加された圧縮力が解放されるとき、鋏のブレード４３１は、分離して開放することができる。
【１３２７】
図２７５−２７８を参照すると、格納式カッタシステム４５１の実施形態が図示されている。格納式カッタシステム４５１は、固定ブレード４３１であり得る、カッタ４５７を含むことができる。図２７５は、後退位置における格納式カッタシステム４５１の上面図を図示し、図２７６は、側面図を図示する。図示される実施形態では、カッタ４５７は、ブレード４３１が移動し、鋏４４７として機能することを可能にする、ヒンジ４４５を有することができる。カッタ４５７は、回転ばね４５９に結合されることができるスプール４５３に部分的に巻き付けられ得る、格納式ケーブル４５５の端部に結合されることができる。後退位置では、格納式ケーブル４５５は、スプール４５３に巻き付けられることができる。
【１３２８】
図２７７を参照すると、ケーブル４５５は、引動されることができ、スプール４５３は、ケーブル４５がスプール４５３から離れて延在することを可能にするように回転することができる。図２７８に図示される実施形態では、格納式カッタシステム４５１は、外科医の前腕上の障壁４０３に搭載されることができる。外科医が縫合糸を切断したいとき、カッタ４５７は、スプール４５３から引動され、ブレード４３１を縫合糸に押圧することができる。縫合糸が切断されるとき、外科医は、カッタ４５７を解放することができ、ばね４５９は、スプール４５３の上へケーブル４５５を後退させることができる。
【１３２９】
図２７９および２８０を参照した他の実施形態では、縫合糸は、前腕搭載型障壁４０３と統合され得る障壁搭載型カッタ４６１で、切断されることができる。図２８０は、カッタ４６１の実施形態の拡大図を図示する。カッタ４６１は、筐体４６３と、筐体４６３の遠位部分上に嵌め込まれたブレード４３１とを有することができる。ブレード４３１は、障壁４０３の表面と垂直配向で構成されることができる。外科医が縫合糸を切断する必要があるとき、外科医は、ブレード４３１を縫合糸に押圧するように、縫合糸を近位に引動させることができる。別の実施形態では、障壁搭載型カッタ４６１は、鋏として機能することができる。本実施形態では、筐体４６３は、ブレード４３１を移動させ、鋏として機能させるように、障壁４０３に対して圧縮されることができる。外科医が縫合糸を切断する必要があるとき、外科医は、ブレード４３１の間に縫合糸を留置することができ、外科医は、鋏を作動させて縫合糸を切断するように筐体４６３を圧縮することができる。
【１３３０】
他の実施形態では、鋏は、空気圧で作動させられることができる。これらの実施形態では、鋏は、空気圧ホースを通して、弁であり得る制御ボタンおよび空気圧源に結合されることができる。鋏は、制御ボタンが作動させられていないときは、通常開いている。例えば、制御ボタンが押されるとき、空気圧が、空気圧鋏を作動させ、鋏のブレードの間の物体を切断するように、ホースを通して指向されることができる。制御ボタンが解放されるとき、空気圧が放出されることができ、空気圧鋏が鋏のブレードを開放することができる。
【１３３１】
図２８１を参照した別の実施形態では、鋏４４７の遠位部分上のブレード４３１は、鋏のブレード４３１の鋭利な先端を囲繞することができるが、縫合糸がブレード４３１の間に位置付けられることを可能にすることができるスロットを有し得る、安全ガード４６５内に搭載されることができる。鋏４４７は、ブレード４３１にガード４６５のスロット４６９内の縫合糸を切断させ得る、圧縮力を印加することによって作動させられることができる。実施形態では、鋏４４７は、鋏４４７の対向側を圧縮することによって作動させられることができる。代替として、他の実施形態では、鋏は、限定されないが、ピストンに結合される空気圧フットペダル、フットペダルからの電子信号、切断ゾーン内の縫合糸の近接性感知等の他の手段によって作動させられることができる。鋏４４７が空気圧によって作動させられる場合、空気圧鋏４４７は、空気圧ホースで圧力源４７５および制御弁４７７に結合されることができる。
【１３３２】
図２８２−２８５を参照すると、縫合糸を切断するために使用されることができるカッタ４５７の実施形態が図示されている。図２８２は、開放位置におけるカッタ４５７の側面図を図示し、図２８３は、上面図を図示する。図２８４は、閉鎖位置におけるカッタ４５７の側面図を図示し、図２８５は、上面図を図示する。カッタ４５７は、ガード４６５内で摺動する可動ピストン４６７に結合されたブレード４３１を含むことができる。ガード４６５は、ブレード４３１が切断スロットの中に留置される縫合糸を切断するように接触し得る、フックまたは「Ｊ」形状遠位端部分を有することができる。ピストン４６７は、通常は後退させられることができ、これは、遠位端部分からブレード４３１を離し、ブレード４３１とフックまたは「Ｊ」形状遠位端部分の内側端との間に切断スロットを開放する。ピストン４６７が作動させられるとき、ブレード４３１は、フックまたは「Ｊ」形状遠位端部分内の密接嵌合スロットの中に移動することができ、切断スロットの中に留置される縫合糸は、切断されることができる。ピストン４６７は、空気圧ホースによって供給される印加された空気圧によって作動させられる、空気圧アクチュエータであり得る。代替として、ピストン４６７は、ピストン４６７を作動させるために電磁力を使用することができる、ソレノイド等の電気デバイスであり得る。他の実施形態では、ピストン４６７は、純粋な機械的手段によって作動させられることができる。
【１３３３】
種々の実施形態では、説明されるカッタおよび鋏の作動は、上記で議論されるように鋏を手動で圧搾することによって、または限定されないが、ピストンに結合される空気圧フットペダル、フットペダルからの電子信号、切断ゾーン内の縫合糸の近接性感知等の他の手段によって、達成されることができる。
【１３３４】
針トラップ
【１３３５】
外科医は、多くの場合、針の先端部分を把持することによって、針の「最後の投入」後に組織から針を引き抜く。本実践は、先端が組織から見えている針の部分であって、したがって、針先端が最も把持しやすい針の部分であるため、一般的である。針は、最後の投入後に（中心部分において）再把持される必要があり得ず、したがって、持針器を用いた針の先端の把持は、持針器のジョー内に針の先端を収納する安全性の利益を提供することができる。持針器および針が器械出し助手に手渡される場合、針先端は暴露され得ず、針の取扱は、器械出し助手および外科医にとってリスクが少なくあり得る。しかしながら、実施形態では、使用済みの針はまた、持針器によってそれらの先端で保持される針を受容するように構成され得る、針トラップの中に留置されることもできる。
【１３３６】
図２９０−２９４を参照すると、針トラップ３３１の実施形態が図示されている。図２９０は、針トラップ３３１の断面図を図示し、図２９１は、前面図を図示する。図示される針トラップ３３１は、針スロット３４９の中心ではなく、針スロット３４９の片側に非対称に交差する、持針器スロット３４３を伴って構成される筐体２９５を含む。針スロット３４９は、針スロット３４９の片側または両側に取り付けられた圧縮性部材３４７を有することができる。実施形態では、圧縮性部材３４７は、発泡体であり得る。しかしながら、他の実施形態では、圧縮性部材３４７は、任意の他の好適な材料から作製されることができる。さらに、針トラップは、図１７２−１７９を参照して上記で説明されるもの等の任意の他のタイプの針保定システムを利用することができる。
【１３３７】
図２９２および２９３を参照すると、持針器１９８の先端が、針スロット３４９の中に針１０４を挿入するために使用されることができる。持針器１９８は、針スロット３４９の端部まで移動させられることができ、該場所で、持針器１９８は、針１０４を解放することができる。持針器１９８は、持針器スロット３４３と実質的に平行であり得る持針器１９８によって保持される先端部分を伴って図示されているが、他の実施形態では、先端部分は、任意の指向性配向で持針器スロット３４３を通して移動させられることができる。図２９４を参照すると、複数の針１０４が針スロット３４９の中に挿入された後の針トラップ３３１が図示されている。
【１３３８】
図２９５を参照すると、針トラップ３３１の別の実施形態が図示されている。本実施形態では、持針器スロット３４３は、より狭くあり得る。持針器１９８の先端は、厚さより長い幅を伴う断面を有することができる。持針器１９８が針１０４を保持するとき、持針器１９８の先端は、持針器スロット３４３内に嵌合することができる。しかしながら、持針器スロット３４３は、持針器１９８が持針器スロット３４３内で自由に回転することができないように、持針器１９８の先端の幅より狭くあり得る。強制的に持針器１９８に具体的回転配向をとらせることによって、針スロット３４９内の針１０４の回転位置も制御されることができる。実施形態では、針１０４の均一な位置が、針トラップ３３１の中に格納されることができる針１０４の数を増加させる、または最適化することができる。図２９５を参照すると、持針器１９８が複数の針１０４を針スロット３４９に引き込んでいる、針トラップ３３１の側面図が図示されている。
【１３３９】
針トラップ３１１の別の実施形態が、図２９６に図示されている。本実施形態では、針スロット３４９が持針器スロット３４３の対向側に位置付けられた状態で、２つの別個の針スロット３４９が、筐体２９５の中に形成されることができる。圧縮性部材３４７は、筐体２９５に固着され、それぞれの針スロット３４９に隣接し得る。針１０４は、持針器スロット３４３を通して針１０４を把持している持針器１９８を摺動させることによって、針スロット３４９のいずれかの中に挿入されることができる。
【１３４０】
図２９７は、針トラップ３３１の別の２つの針スロット３４９の実施形態を図示する。本実施形態では、持針器１９８が回転することができず、針１０４を針スロット２４９内で均一に位置付けさせることができるように、持針器スロット３４３は、より狭い。図２９８は、針トラップ３３１の前面図を図示する。
【１３４１】
図２９９−３０６を参照した別の実施形態では、針トラップ３１１は、円形または螺旋構成を有することができる。図２９９を参照すると、持針器スロット３４３の実施形態は、円形または螺旋形状で湾曲されることができる。持針器スロット３４３は、針スロット３４９と同心円状であり得る。図示される実施例では、持針器１９８は、針１０４を伴って持針器スロット３４３に進入することができる。持針器１９８は、持針器スロット３４３を通して摺動し、針スロット３４３を通して針１０４を引動させることができる。図３００は、持針器スロット３４７内の持針器１９８および針スロット３４９内の針１０４を伴う針トラップ３３１の前面図を図示する。図３０１を参照すると、持針器１９８が持針器スロット３４３の端部まで移動したとき、そこで、針１０４が解放されることができ、持針器１９８が針トラップ３３１から引き離されることができる。図３０２を参照すると、付加的な針１０４が、説明される様式で針スロット３４３の中に挿入されることができる。
【１３４２】
円形針トラップの別の実施形態が、図３０３−３０６を参照して図示されている。本実施形態では、持針器スロット３４３の幅が、持針器１９８の自由な回転を防止することができる。持針器スロット３４３は、持針器１９８の先端の幅よりわずかに広くあり得る。本構成は、持針器スロット３４３の円形部分を通して持針器１９８を駆動することができるトルクが、筐体２９５と持針器１９８との間に印加されることを可能にすることができる。図３０３を参照すると、持針器１９８は、持針器スロット３４３に進入し、針スロット３４９の直線部分の中に針１０４を引き込むことができる。図３０４は、針トラップ３３１の前面図を図示する。図３０５を参照すると、いったん持針器１９８が持針器スロット３４３の湾曲部分に到達すると、トルクが持針器１９８と針トラップ３３１との間に印加されることができる。より具体的には、筐体２９５に印加される反時計回りのトルクによって抵抗され得る、時計回りのトルクまたは回転力が、持針器１９８に印加されることができる。トルクは、持針器スロット３４３を通した時計回りの運動で、持針器１９８を回転および摺動させることができ、これは、同様に針１０４を針スロット３４９内で回転および摺動させることができる。図３００を参照すると、いったん持針器１９８が持針器スロット３４３の端部に到達すると、針１０４が解放されることができ、針１９８が針トラップ３３１から分離されることができる。図３０６を参照すると、説明される回転挿入プロセスは、針トラップ３３１が満杯になるまで付加的な針１０４のために繰り返されることができる。
【１３４３】
図２９０−３０６に図示される針トラップ実施形態の全てに関して、針スロット３４９および持針器スロット３４３への入口は、針１０４を針スロット３４９と整合させることを支援するように張り出され得る。針１０４が針スロット３４９の中に留置されるとき、針１０４の先端は、持針器スロット３４３内で暴露されることができ、針トラップ３３１の両側から可視である。しかしながら、筐体２９５の一部が針１０４の先端に隣接しているため、針トラップ３３１は、物理的接触および傷害を防止することができる。針トラップ３３１はまた、図２９４に図示されるように針１０４の先端に隣接して筐体内に溝を提供することができ、実施形態では、針１０４の先端は、物理的接触および傷害をさらに防止するように、これらの溝の中に留置されることができる。
【１３４４】
図示される実施形態では、針スロット３４９の中に格納された針の数は、持針器スロット３４３内の針を計数することによって、判定されることができる。実施形態では、筐体２９５構成要素のうちの一部または全部は、閉じ込められた針１０４のさらに大部分が可視であり得るように、透明材料から作製されることができる。なおも他の実施形態では、図１８０−１８９を参照して開示される互換性のある針計数システムのうちのいずれかもまた、針の計数を行うために、図２９０−３０６に図示される針トラップ３３１実施形態とともに使用されることができる。
【１３４５】
多くの実施形態では、図２９０−３０６に図示される針トラップ３３１実施形態は、外科医の肢上に搭載または装着され得る、プラットフォームおよび障壁に固着されることができる。針トラップおよび針受器をプラットフォームならびに障壁に固着するために説明される結合機構もまた、図２９０−３０６に図示される針トラップ３３１実施形態に適用されることができる。
【１３４６】
図３０７は、統合された縫合針分配および収納装置３０８の例示的実施形態を図示する。装置３０８は、同一の筐体３０９で支持される、針分配部分１０２と、針受器部分３３４とを備える。筐体は、単一の成形プラスチック部品等の単一の構造を備えてもよい、または筐体は、１つまたはそれを上回るカバー３１２に結合される基部３１０を備えてもよい。カバーは、針分配部分１０２および針受器部分３３４のそれぞれのための別個のカバーを備えてもよい。代替として、カバーは、針分配部分および針受器バージョンの両方のための単一のカバーを備えてもよい。カバー、すなわち、筐体の上部分は、ユーザが、装置３０８によって支持される未使用の針１０３または収納された針１０４の数を容易に見え得るように、光学的透明材料を含むができる。針分配部分１０２は、例えば、発泡体部材１１０を介して、１本またはそれを上回る未使用の縫合針１０３を支持するように構成されることができる。新しい縫合針１０３は、縫合糸１５５を事前に装填されてもよく、縫合糸は、筐体３０９のポケット３２４内に配置されてもよい。針受器部分３３４は、例えば、針受器３３１に関して本明細書に説明される機構を使用して、複数の縫合針１０４を受容するように構成されることができる。多くの実施形態では、装置３０８は、滅菌されており、自己支持型であり得、および／または本明細書に説明されるようなプラットフォームもしくは手術道具等の別の支持体に結合されることができる。縫合針分配および収納／格納の機能を統合する単一のデバイスを提供することは、縫合針取扱のための高度にコンパクトなシステムを提供する利点を有することができる。
【１３４７】
図３０８は、実施形態による、滅菌縫合キット５００のブロック図である。滅菌縫合キット５００は、滅菌縫合糸１０３の滅菌パッケージ１０１と、少なくとも１本の汚染された手術用縫合針１０４を受容するための滅菌装置３３１とを含有する、滅菌エンクロージャ５０５を備える。滅菌装置３３１は、例えば、本明細書に説明されるような任意の針受器または鋭利部コンテナを備えてもよい。滅菌針受器３３１は、上部および底部を有する、滅菌筐体３４０を備える。針受器３３１はさらに、開口部を通して挿入される汚染された手術用針１０４を受容するように構成および定寸される、少なくとも１つの開口部３５０を筐体３４０の上部と底部との間に備える。針受器３３１はさらに、針先端が収納された状態で、所定の配向において、汚染された手術用針１０４を保持するように、筐体内に収納ゾーン３３７を備える。滅菌手術用キット５００はさらに、滅菌縫合パッケージ１０１および滅菌針受器３３１を支持するように構成ならびに定寸される、本明細書に説明されるような保護障壁を備えてもよい。障壁は、例えば、本明細書に説明されるように、外科医の前腕に搭載されるように構成されてもよい。
【１３４８】
本明細書に説明されるような針を安定させる材料および構造は、多くの方法で構成されることができる。材料および構造は、変形可能材料、接着材料、もしくは弾性材料のうちの１つまたはそれを上回るものを含んでもよく、材料は、例えば、発泡体、弾性膜、もしくは接着剤のうちの１つまたはそれを上回るものを含んでもよい。
【１３４９】
多くの実施形態では、本明細書に説明されるような針抵抗障壁は、可撓性ウェブと統合された薄い穿刺抵抗材料を含むことができる。障壁は、一連の異なる前腕サイズに適応するために、可撓性部分によって接続される複数の双安定ばねを備えることができる。複数の双安定ばねは、圧縮力を調節するように、複数の積層双安定ばねを備えることができる。
【１３５０】
本明細書に説明されるような縫合糸取扱システムおよび方法は、患者の創傷を閉鎖する外科医との関連で提示されるが、本システムおよび方法は、縫合針の取扱を伴う任意の状況で使用されることができる。例えば、本システムおよび方法は、分配された縫合針が患者の中に縫合糸を設置するために使用されないとき、縫合針を安全に分配して廃棄するために使用されてもよい。例えば、外科医は、未使用の縫合針を分配し、次いで、分配された針を使用したくないことを決定し得る。外科医は、例えば、異なるサイズの針がより適切であろう、または分配された針が結局は必要とされないことを決定し得る。外科医は、（例えば、非滅菌表面に対して未使用の針の先端を触れさせることによって）針が使用される前に、新たに分配された針を偶発的に汚染し得、したがって、針を使用することなく廃棄する必要があり得る。外科医が未使用の縫合針をすでに分配した後に、別のことに対応する必要性（例えば、外科医の手袋についた血液が手袋の交換を余儀なくさせる）が生じ、未使用の針が使用され得る前に、その廃棄を余儀なくさせ得る。
【１３５１】
本明細書で使用されるように、用語「針トラップ」および「針受器」は、同義的に使用される。
【１３５２】
本明細書で使用されるように、用語「シェル」および「シェル構造」は、同義的に使用される。
【１３５３】
本明細書で使用されるように、用語「パネル」および「シェル」は、同義的に使用される。
【１３５４】
本発明者らは、いくつかの実験研究を実施し、針受器および障壁が手術環境において良好に機能することを判定した。いくつかのプロトタイプが、構築および試験され、性能指標が測定された。
【１３５５】
多くの事例では、針受器は、外科医等のユーザの掌側前腕上に留置されるように針受器を参照して言及される。この点において、用語「遠位」は、針受器の外側から針を受容する針受器の開口部を指し得、用語「近位」は、遠位開口部を通して移動した後に針が留置される収納ゾーンを指し得る。
【１３５６】
針受器は、針を収納ゾーン内に格納する、前（上）および後（下）パネルを備えてもよい。針受器は、それに沿って針が運搬され、その中に針が格納され、部分的に、例えば、平行、背中合わせ、単層アレイにおいて封入される、平面針スロットまたは溝を備えてもよい。後（下）パネル内の持針器スロットは、針および持針器が針スロットと整合されることを可能にする。後（下）持針器スロットは、持針器が針スロットの中への進入に先立って針スロットと整合され得るように、拡大開口部を伴う針スロットの遠位に位置する。本発明者らの実験は、略平面構成を有する後パネル降着ゾーンおよび針スロットが好ましくあり得ることを示唆した。例えば、針スロットは、降着ゾーンの前面と略平行（例えば、概して、約１０度以内）、例えば、同一平面であり得る。本発明者らは、テーパ状凹状区分を有するトランペットまたは漏斗形状の降着ゾーンを試験し、これらの実験は、平面降着ゾーンが改良された性能を提供し得ることを示した。降着ゾーンは、降着ゾーンの幅を画定する縦軸に対して横方向の距離を有することができる。降着ゾーンの幅を横断する最大距離は、約２０ｍｍ〜約６０ｍｍの範囲内、例えば、約３０ｍｍ〜約５０ｍｍの範囲内であり得る。降着ゾーンの幅は、最大距離から、針進入スロットの近傍の、例えば、針進入スロットに隣接する、より短い距離までテーパ状になることができる。針進入スロットの近傍の降着ゾーンを横断する距離は、約２０ｍｍ〜約６０ｍｍの範囲内、例えば、約２０ｍｍ〜約５０ｍｍの範囲内であり得る。
【１３５７】
針スロットの進入ゾーンは、針スロットの収納ゾーンより大きく定寸されることができる。本明細書に説明されるように、伸長針チャネルスロットは、針スロット３４９の開口部の近傍の第１の伸長幅ＣＷ１と、針スロットの収納ゾーン内の第２のより狭い幅ＣＷ２とを備えてもよい。降着ゾーンの上方の針スロットの高さは、約４〜１０ｍｍ、例えば、約５〜８ｍｍの範囲内であり得る。幅ＣＷ１は、約２０〜約６０ｍｍ、例えば、約３０ｍｍ〜約５０ｍｍの範囲内であり得る。針受器の進入ゾーンは、上向き張出を縁の近傍に備え、針のための十分な隙間を提供してもよい。上向き張出は、針スロットの遠位開口部までの高さを提供することができる。張出は、降着ゾーンの表面に対して約５０度〜約９０度の範囲内であり得る。例えば、約６０度〜約８０度の範囲内である。
【１３５８】
持針器スロット幅は、持針器の種々の配向に適応するために十分であるように設計される。下スロットの持針器スロット深さは、持針器が端部から離れて針を把持するとき、持針器ジョーの突出を可能にするように定寸される。
【１３５９】
これらの実験および検討される実施形態によると、降着ゾーン前面は、略平面であって、収納ゾーンの針スロットも、略平面、例えば、相互に略平行であってもよい。いくつかの実施形態では、降着ゾーンおよび針スロットは、相互に略平行であり得る。多くの実施形態では、降着ゾーンによって画定された平面は、針受器の収納ゾーン通して延在する。
【１３６０】
針受器は、堅性保護コンテナ、例えば、硬質コンテナ内に、針の先端および末端を保護しながら、１本または複数の針を懸架することができる。降着ゾーンおよび収納ゾーンは、針を誘導し、触覚フィードバックをユーザに提供するように配列されることができる。
【１３６１】
針受器は、先端および端部が、前面の保護堅性カバーと後面の堅性カバー、例えば、前面の硬質カバーと後面の硬質カバーとの間にあるように、平面に沿って針を維持し、針の懸架を提供してもよい。これは、針の中央を空中に懸架させることができる。本構成は、計数を可能にし、かつ視覚査定による計数のために針を操作し、位置付けるためのアクセスを可能にする。平面配向は、計数するとき、ユーザの視線に直交することができ、容易な視覚査定のための完全外形で針を表示することができる。他の平面編成は、針磁石または平坦接着ストリップを備えてもよく、これらは、針へのアクセスを可能にするが、針は、容易に把持および操作され得ない。
【１３６２】
針が格納される針スロットの厚さは、適切に定寸されることができる。針スロットが広すぎる場合、針は、回転／捻転または弛緩し得る。本発明者らは、硬質プラスチックシェル間の限定された針スロット溝幅を作製し、次いで、摩擦成分も提供し得る、発泡体圧縮を使用することによって、本空間をさらに低減させた。針の弧は、捕捉を促進し得るが、直線針もまた、捕捉されることができる。多くの実施形態では、針先端および端部は、溝等の平面陥凹内に収納される。例えば、空中における針の中央部分の懸架または「浮遊」を可能にする、他の構造も、検討され、本明細書に説明される。
【１３６３】
多くの実施形態では、スロット付き構造が、針の中央部分をスロット内に懸架しながら、針の先端および末端が実質的に封入されることを可能にするように構成される。
【１３６４】
針は、一端のみ平面陥凹（溝）内に含有され得、針先端が、例えば、本明細書に説明されるように、縦方向スロット内に常駐する。針先端は、針受器の前面から嵌め込まれ、改良された安全性を提供することができる。
【１３６５】
下トラップスロットは、針スロット平面をはるかに越えて延在し得る、持針器の先端に適応するための深さを伴って構成されることができる。下または後スロットは、持針器がスロットに沿って針を前進させることを可能にするために十分な深さの溝を備えてもよい。
【１３６６】
本発明者らは、実験を実施し、スロットまたは他の構造に沿って針を前進させ、針を収納するための好適な力の量を判定した。構造は、針を挿入するよりも針を除去するためにより大きな力の量を提供するように提供されることができる。
【１３６７】
針受器の厚さ外形は、多くの方法で構成されることができるが、厚さは、好ましい実施形態では、２ｃｍ未満であることができ、針受器は、厚さを上回って定寸される縦方向長さおよび断面幅を備える。厚さ外形は、特に、前腕の掌側上で、同様に、前腕の他の表面上でも有用であり得る。針保定デバイスは、例えば、４ｃｍ未満の障壁の表面の上方に外形を有してもよい。外形は、トラップに適応するために障壁内に陥凹を生成することによってさらに低減されることができる。カットアウトが、障壁内に提供されることができ、カットアウトの占有面積は、トラップに対応する。代替として、または組み合わせて、トラップが、スロットに対して中実後壁を有し、トラップが、障壁と嵌合するとき、トラップは、嵌め込まれることができる。陥凹は、例えば、深さ２〜５ｍｍを備えてもよい。
【１３６８】
障壁は、外形を減少させるために、本明細書に説明されるような針受器を備えてもよい。
【１３６９】
トラップは、多くの方法において人員間の安全な取扱または移送を促進するように構成されることができる。針降着ゾーンは、針受器を把持するために使用されることができる。針受器は、針がユーザの指または手によって妨害されないように、光源と並んで保持されることができる。針受器は、例えば、橙色、赤色、または他の色を有する、材料または色素から成ってもよい。背面照明は、針が透明であり得る前面を通して可視化されると、針の外形を強調することができる。明確に画定された外形は、例えば、人、または適切なソフトウェアを伴うプロセッサに結合されるビデオカメラ等の自動化された針カウンタによる、計数のために有用であり得る。本明細書に開示されるような任意の針受器は、安全な取扱および針留置の二重目的のために使用され得る、降着ゾーンを伴って構成されることができる。
【１３７０】
図３０９は、障壁搭載基部３０９６に結合される、縫合パック３０９２および針受器３０９４を示す。障壁搭載基部は、リビングヒンジ３０９８を備える。縫合パックおよび針受器は、障壁搭載基部に結合される。障壁搭載基部は、縫合パックおよび針受器が、針受器を有する障壁搭載基部の第１の部分３０９６ａと縫合パックを有する障壁搭載基部の第２の部分３０９６ｂとの間に角度を伴って、外科医の腕上の障壁上に嵌合することを可能にするために、リビングヒンジを備える。障壁搭載基部の第１の部分および障壁搭載基部の第２の部分は、相互に対してある角度で傾斜されるように、リビングヒンジで腕上に留置されることができる。図３０９を参照して示される縫合パックおよび針受器は、図１６７−１７９を参照して示される構造の多くを備えてもよく、当業者は、これらの実施形態の多くが、相互の組み合わせならびに本明細書に図示および説明されるような他の実施形態に非常に適していることを認識するであろう。
【１３７１】
針受器は、多くの方法で種々の抵抗の量を伴って構成されることができる。多くの事例では、針受器は、針の挿入のための力の量および針を除去するためのより大きな力の量を備える。針受器は、抵抗を伴って針を受容するための構造を備える。挿入に対する抵抗の量は、例えば、約５グラム〜２５０グラムの範囲内であり得る。力の量は、例えば、約２５グラム〜約１００グラムまたは約３０グラム〜約９０グラムの範囲のうちの１つまたはそれを上回るもの以内であり得る。針受器は、針スロットを備えてもよく、力の量は、針スロットに沿って針を前進させるための力の量を備えてもよい。代替として、または組み合わせて、針受器は、持針器スロットを備えてもよく、力の量は、持針器を持針器スロットに沿って前進させ、針を針スロット内に収納するための力の量を備えてもよい。
【１３７２】
針受器は、針が針スロットに沿って前進されるにつれて増加する抵抗の量を提供するように構成されてもよい。可変抵抗は、針がスロットに沿って引っ張られるにつれて、針の圧縮を増加させ、触覚フィードバックを提供するために、針スロットの中に突出する、離散または非対称特徴のうちの１つまたはそれを上回るものを具備する。
【１３７３】
針受器は、針を収納し、並置された表面に対する針の移動に対する抵抗を提供するように構成される、圧縮部材を備えてもよく、発泡体構造は、発泡体と並置された表面との間に２ｍｍ未満の間隙を備える。
【１３７４】
針受器は、収納ゾーンを備え、前腕に適用されることができ、１２ｃｍ未満の幅および２６ｃｍ未満の長さを備える。適切に定寸された針受器は、本明細書に説明されるように、前腕または障壁に適用されることができる。
【１３７５】
針受器はまた、種々のタイプの照明で、針を容易に視認するように構成されることができる。例えば、針を含有する筐体は、光学的に透過性の材料を含んでもよい。筐体の下部分は、背面照明で針受器の収納ゾーン内の針を視認するために、光学的に透過性の材料を含んでもよい。代替として、または組み合わせて、上部分は、針を視認するための透明材料を含んでもよい。下部分は、背面照明光を針に通過させるための透明または半透明材料を含んでもよい。本明細書に説明されるように、例えば、上部分は、上シェルを備えてもよく、下部分は、下シェルを備えてもよい。
【１３７６】
針受器トラップは、降着ゾーンと、収納ゾーンとを備えてもよく、降着ゾーンは、収納ゾーンと略同一平面である。収納ゾーンと同一平面の降着ゾーンは、ユーザが針をトラップ内に留置することをより容易にすることができる。針は、針を針受器の降着ゾーンに移動させ、針を針受器の降着ゾーンから収納ゾーンの中に摺動させることによって留置されることができる。
【１３７７】
針受器は、針の中央部分をスロット内に懸架しながら、針の先端および末端が実質的に封入されることを可能にする、スロット付き構造を備えてもよい。
【１３７８】
針受器は、収納ゾーンに沿ったスロットを備えてもよく、スロットは、約１０ｍｍのサイズを有する指先より小さく定寸される。
【１３７９】
針受器は、針溝からの針の回転移動阻止するために十分に小さい厚さを有する、針溝を備える。
【１３８０】
図３１０は、図３０９におけるような針受器を示す。図３１０は、完全に組み立てられた構成における針受器の上斜図を示す。針受器３０９４は、針が針を針受器内に留置するために移動される、方向を画定するように構成される。針受器は、矢印先端３１０１ａと、矢印末端３１０１ｂとを備える。矢印先端は、１つの移動方向を画定するために、略凸状湾曲先端を備え、矢印末端は、運動方向を画定するために、略凹状外形を備える。針受器は、針を保持する持針器を受容するように構成される、上持針器溝３１０２ａを備える。針受器は、外科医が針を針受器の中に留置するにつれた針の降着のために構成される、進入ゾーン３１０３を備える。進入ゾーンは、外科医が、持針器内への針の弧状移動を伴って、針を進入ゾーン上に留置する、または針を降着させることを可能にするように定寸および成形される。外科医がその腕を回転させるにつれて、持針器は、弧状運動を伴って、針トラップの降着ゾーン上および収納ゾーン３１０４の中に延在する。針トラップまたは針受器は、上持針器溝３１０２ａと、底持針器溝３１０２ｂとを備え、針が収納ゾーンに進入する間、持針器が前進されることを可能にする。隆起フランジ３１０５が、進入ゾーンの上方に延在し、針を受容する。隆起ゾーンは、収納ゾーンより大きく定寸された進入開口部を画定する。隆起フランジは、針を進入ゾーンから収納ゾーンの中に誘導する。針受器は、針が収納ゾーンに沿って針受器の遠位端上の針停止部３１０７に向かって摺動するにつれて針に係合する、内側突出部３１０６を備える。針停止部は、収納ゾーン内の針の移動を針受器の最遠位部分までに限定するように構成される。内側突出部は、針受器の中への留置の深さに関するユーザフィードバックを与えるために、針が収納ゾーンの中に引っ張られるにつれて、クリックタイプ感覚を伴う針の触覚感覚を伴うユーザへのフィードバックを備えてもよい。代替として、または組み合わせて、上持針器溝および／または底持針器溝は、持針器がスロットに沿って針収納ゾーンの端部に向かって前進されるにつれてユーザがフィードバックを有することを可能にする、起伏状構造を備えてもよい。持針器が、持針器溝およびスロットに沿って引っ張られるにつれて、ユーザは、持針器溝の片側または他側もしくは両方からの起伏によってフィードバックを提供される。下持針器スロット３１０２ｂは、収納ゾーン内に進入ゾーン内より小さい断面を備える、下持針器スロット内で針が前進されるにつれて、持針器が下持針器スロットの中に受容され得るように、降着ゾーンまたは進入ゾーン内に拡大開口部を備える。針受器の進入ゾーンは、矢印末端の近傍にベベル３１０８を備える。ベベルゾーンは、進入ゾーンの中への針の降着を促進する。
【１３８１】
針受器は、上シェル構造と、下シェル構造とを備えてもよい。上シェル構造は、隆起フランジ内の上持針器溝および起伏と、針停止部と、矢印先端の一部とを備えてもよい。下部分は、進入ゾーンと、下持針器スロットと、矢印末端と、ベベルとを備えてもよい。上シェル構造および下シェル構造は、上シェル構造と下シェル構造を結合するための結合構造３１０９を備えてもよい。
【１３８２】
針受器は、本明細書に説明されるように、障壁上でユーザの掌側前腕上に留置されることができる。針受器は、針ホルダを保持する手が若干回外または若干回内されると、使用済み針の容易な挿入を可能にするために掌側前腕にわたって配列されることができる。針は、例えば、針受器の開口部の中に使用済み針を整合および留置するために、肩関節回転に伴う持針器を保持する腕の回転で針受器内に留置されることができる。
【１３８３】
針受器は、多くの方法で定寸されることができるが、針受器は、縦方向長さと、横方向幅と、高さとを備えてもよい。長さは、幅および高さを上回ってもよく、幅は、高さを上回る。例えば、長さは、約４ｃｍ〜約１５ｃｍの範囲内であることができ、幅は、約３ｃｍ〜約６ｃｍの範囲内であって、高さは、約０．５ｃｍ〜約２ｃｍの範囲内である。針受器は、針を受容するための開口部を備えてもよく、開口部は、開口部が針受器の最大高さおよび幅を備えるように、針受器の収納ゾーンより大きく定寸されることができる。
【１３８４】
図３１１は、針３１１１が障壁搭載基部３０９６に結合されている、針受器３０９４の上分解図を示す。図３１０におけるように、分解図は、上シェル構造３１１２と、針３１１１と、圧縮部材３１１３と、底シェル構造３１１４と、接着裏材３１１５と、障壁搭載基部３０９６と、リビングヒンジ３０９８と、縫合パック接着剤３１１６と、搭載基部接着剤３１１７とを示す。圧縮部材３１１３は、底シェル構造３１１４内の陥凹の中に嵌合し、圧縮部材は、底シェル構造内の複数の陥凹の中に嵌合する複数の圧縮部材を備えてもよい。圧縮部材は、持針器スロットの両側に配置される第１の圧縮部材および第２の圧縮部材として示される。圧縮部材は、針が上シェル構造の突出部内の上シェルに係合するように、針を上向きに上シェル構造に向かって押勢する。圧縮部材は、底シェル構造の降着ゾーンまたは針受器ゾーンの近傍の略丸みを帯びた端部を伴って示される。圧縮部材またはベベルもしくは面取りの本丸みは、収納ゾーンの中への針の前進を促進することができる。接着裏材３１１５は、底シェル構造を障壁搭載基部に結合するために使用されることができる。接着裏材は、接着裏材の両側に接着剤を備えてもよい。接着裏材は、下持針器スロットの両側に配置される第１の接着裏材および第２の接着裏材等、複数の接着裏材を備えてもよい。底シェル構造は、本明細書のいずれかの図に図示および説明されるように、下面上にスタンドオフを備えてもよい。接着裏材は、底シェル構造を障壁搭載基部の上方のある距離に位置付け、底シェル構造のスタンドオフは、下持針器スロットに、針が針持針器の遠位端から離れて位置すると、針を持針器内に受容するために十分な空間および深さを提供する。障壁搭載基部は、縫合パック接着剤３１１６を備えてもよい。搭載基部の下面は、搭載基部接着剤３１１７を備えてもよい。障壁搭載基部は、その上に留置された針受器を有する、第１の部分３０９６ａと、その上に留置された縫合パック接着剤を有する、第２の部分３０９６ｂとを備えてもよく、リビングヒンジ３０９８が、それらの間に延在する。リビングヒンジは、ユーザの前腕上の保護障壁上に留置されると、第１の部分および第２の部分が相互に対して傾斜されることを可能にする。
【１３８５】
図３１２は、針３１１１が図３１０および３１１におけるような障壁搭載基部３０９６に結合されている、針受器３０９４の底分解図を示す。針受器の上シェル構造３１１２は、内側突出部３１２１を備える。内側突出部は、非対称突出部を備えてもよい。例えば、非対称突出部は、針が針受器の収納ゾーンから引っ張られるより容易に針受器の中に前進されるように成形されることができる。内側突出部は、多くの方法で定寸および成形されることができ、例えば、針と係合される、歯止め機構を備えてもよい。針は、針が圧縮部材によって内側突出部の中に上向きに押勢されるように、針が針受器に沿って前進されるにつれて、圧縮部材３１１３に係合する。底シェル構造３１１４は、圧縮部材を受容し、持針器溝を画定し、また、圧縮部材が進入ゾーン内に位置する陥凹を画定するための差幅を備え、圧縮部材の先端は、圧縮部材が進入ゾーンから上向きに延在する間隙を提供せず、針が圧縮部材上に平滑に前進し得るように下向きに偏向される。差幅は、圧縮部材を受容するための差幅３１２２ａと、下持針器溝のための差幅３１２２ｂとを備えてもよい。上および下持針器溝は、概して、針受器の伸長軸に沿って延在する。圧縮部材を受容するための差幅は、概して、横方向に、例えば、針受器の長軸と垂直に延在する。接着裏材３１１５は、下持針器溝のための差幅３１２２ｂの両側に配置されて示される。接着裏材は、第１の部品および第２の部品等の第１の部分および第２の部分を備えてもよい。接着裏材は、圧縮部材のための差幅を受容するように定寸および成形される、カットアウトを備えてもよい。障壁搭載基部３０９６は、針受器を支持する、接着裏材の真下に示される。障壁搭載基部は、針受器を支持するための第１の部分３０９６と、縫合パックを支持するための第２の部分３０９６ｂとを備える。障壁搭載基部の第１の部分は、障壁搭載基部の第１の部分を支持するための複数の接着剤パッド３１２３ａを備えてもよく、障壁搭載基部の第２の部分は、複数の接着剤パッド３１２３ｂを備えてもよい。接着剤パッドは、接着剤を有する第１の表面と、接着剤を有する第２の対向表面とを備えてもよい。リビングヒンジ３０９８が、障壁搭載基部の第１の部分と障壁搭載基部の第２の部分との間に延在し、障壁搭載基部の第１の部分および障壁搭載基部の第２の部分が、相互にある角度で腕上の保護障壁上に搭載されることを可能にする。
【１３８６】
図３１３は、図３１２におけるような針受器の上シェル構造３１１２の上斜図を示す。上シェル構造は、本明細書に説明されるような構成要素を備えてもよい。上シェル構造は、本明細書に説明されるように、上持針器溝３１０２ａと、内側突出部３１０６と、針停止部３１０７とを備える。針突出部は、概して、他の図に示されるように、下向きに面する。上フランジ３１０５は、針を伴う持針器を上シェル構造上の持針器スロットまたは溝に向かって指向するように成形される。上フランジは、上持針器スロットの対向側に配置される、第１の側面３１０５ａと、第２の側面３１０５ｂとを備える。上フランジの第１の側面および第２の側面の降着ゾーン端は、持針器を持針器スロットの中に誘導するように、ある角度で傾斜される。
【１３８７】
図３１４は、図３１３におけるような上シェル３１１２の下斜図を示す。上シェル構造３１１２は、上持針器スロットの下面に沿って、上持針器溝３１０２ａと、内側突出部３１０６とを備える。上シェル構造はまた、上シェル構造の下面上に針停止部３１０７を備える。複数の針停止部が、上持針器スロットの両側に示される。内側突出部は、上持針器溝の両側に対称的に配置されて示される。上シェル構造は、底シェル構造に係合するように成形される、縁３１４１を備える。
【１３８８】
図３１５は、図３１４におけるような上シェル３１１２の拡大下斜図を示す。複数の針停止部３１０７が、上持針器スロット３１０２ａの両側に対称的に配置されて示される。内側突出部３１０６は、上持針器スロットの両側に対称的に配置されて示される。内側突出部は、非対称突出部を備えてもよい。内側突出部は、多くの方法で定寸および成形されることができる。例えば、内側突出部は、針が針停止部に向かって前進されることを可能にするための傾斜表面を伴うランプを備えてもよい。各突出部の第２の対向表面は、針停止部から離れる針の移動を阻止するために垂直に傾斜表面を備えてもよい。
【１３８９】
図３１６は、図３１０におけるような針受器の底シェル構造３１１４の上斜図を示す。下持針器スロットまたは溝３１０２ｂは、進入ゾーン３１０３内に位置する、受容部分３１６１を備える。進入ゾーン内の持針器スロットは、持針器を収納ゾーンの中に促進および誘導するために、収納ゾーン内に下持針器スロットより大きく定寸される断面寸法を備える。底シェル構造は、圧縮部材を受容するための面取りされた陥凹３１６２を備える。陥凹は、圧縮部材で針を突出部の中に押勢するように定寸される。陥凹は、進入ゾーンの近傍の面取りされたゾーン３１６３を備える。進入ゾーンのベベル３１０８は、持針器が針受器の中に誘導されることを可能にする。底シェルは、上シェル構造に係合し、上および底シェルの結合を促進するように構成される、隆起縁または突出部３１６４を備えてもよい。
【１３９０】
図３１７は、図３１６におけるような底シェル構造３１１４の下斜図を示す。下持針器スロット３１０２ｂは、針受器の長軸に沿って延在するように示される。面取りされた陥凹のための突出する差幅３１２２ａは、横方向、例えば、針受器の長軸と垂直に延在して示される。下持針器溝のための差幅３１２２ｂは、持針器スロットと画定された長軸に沿って延在して示される。差幅は、下持針器スロットを圧縮部材を受容する陥凹の面取り内に定寸するために、底シェル構造の表面からある距離まで延在する。下持針器スロットのための差幅は、針が持針器の近位端から離れて係合されると、持針器に下持針器スロットに沿って容易に前進するための十分な隙間をもたらすように定寸される。面取りされた陥凹のための差幅は、圧縮部材が進入ゾーンと同一平面または圧縮部材の上面に沿って進入ゾーンの真下に来るために、底棚の下面からある距離まで延在する。面取りされた陥凹および圧縮部材のための差幅の本構成は、針が針受器の近位端上の停止部に向かって前進されるにつれて、圧縮部材が針を上向きに上シェル構造の中に徐々に押勢することを可能にする。面取りされた陥凹のための差幅は、下持針器スロットの両側に対称的に配置される。下持針器溝のための差幅は、下持針器スロットの両側に対称的に配列される。下持針器溝のための差幅は、底シェル構造の正中線を横断して延在してもよい。下持針器溝のための差幅は、下持針器スロットの端部を画定する両端に湾曲表面を備えてもよい。下持針器溝のための差幅は、縫合糸が針の近位端から離れて位置付けられると、持針器が下持針器スロットに沿って前進されることを可能にするための寸法で下持針器スロットを位置付けるように配列される、単一差幅または複数の差幅を備えてもよい。
【１３９１】
図３１８は、圧縮部材３１１３がその上に留置されている、図３１７におけるような底シェル構造３１１４の上斜図を示す。圧縮部材は、下持針器スロット３１０２ｂの両側に配置されて示される。圧縮部材は、下持針器スロットの両側に対称的に配置されることができる。圧縮部材は、下シェル構造の陥凹の中に下方に延在する、面取りまたはベベル端３１８１を備える。圧縮部材の上面は、針受器の近位端上の針停止部に向かう針の移動を促進するために、圧縮部材の最近位端が進入ゾーンの下方または進入ゾーンと同一平面の高さになるように、進入ゾーンの高さまで下方に延在する。持針器スロットに向かう圧縮部材の内面３１８２は、持針器スロットとほぼ同一平面である。圧縮部材の内面の本位置付けは、針がスロットから針受器の中にわずかのみ延在するとき、圧縮部材が針受器内の針に係合することを可能にする。圧縮部材の内面は、概して、底シェル構造の下持針器スロットの約２ミリメートル以内、例えば、約１ミリメートル以内に位置付けられる。圧縮部材の内面の本配列は、収納ゾーンの中に前進されると、圧縮部材が針に係合することを保証する。
【１３９２】
圧縮部材は、減少された抵抗の量を伴って針が収納ゾーンの中に容易に前進されることを可能にするように定寸される。この点において、圧縮部材の断面寸法は、適切な抵抗の量を提供するように定寸される。例えば、圧縮部材は、底シェル構造の全幅に向かって外向きに完全に延在しなくてもよい。圧縮部材は、概して、長方形を有する、断面形状を備える。断面の長方形形状は、高さが針を上シェル構造に向かって上向きに押勢するように定寸され、幅が、適切な抵抗の量を提供するような断面を伴って定寸される、高さおよび幅を備えてもよい。圧縮部材が広いほど、針への力の量は、より大きくなる。圧縮部材が狭いほど、力は、小さくなる。
【１３９３】
図３１９は、圧縮部材を伴わない、図３１０におけるような上および底シェル構造の縦方向断面図を示す。非対称間置突出部３１０６が、上シェル構造３１１２上に示される。これらの突出部は、非対称として示されるが、突出部は、対称である、例えば、球状表面等のバンプとともに画定されることもできる。間置突出部は、針が停止部および突出部の近位側上の垂直に延在する表面または略垂直に延在する表面に向かって前進されるにつれて、針に係合し、停止部から離れる針の移動を阻止する、傾斜表面とともに示される。圧縮部材を受容するための面取りされた陥凹３１６２は、底シェル構造３１１４の下面に向かって下向きに延在する、湾曲表面とともに示される。面取りされた陥凹は、代替として、ベベルまたは複数の区画化された線形表面を備えてもよい。陥凹は、本明細書に説明されるように、上シェル構造から離れて下向きに延在し、圧縮部材を受容する。
【１３９４】
図３２０は、図３１０に示されるような針受器の横方向断面図における、針３１１１を伴う完全に組み立てられた針受器３０９４を示す。針３１１１は、上シェル構造３１１２と下シェル構造３１１４との間に位置付けられて示される。縫合糸が繰出された後の針の終端３１１１ａもまた、示される。上シェル構造は、底シェル構造に結合されて示され、接着剤で底シェルに接着されることができる。上シェルおよび底シェルは、上シェルが接着剤で底シェルに係合するための係合構造３１０９を備える。係合構造は、底シェルおよび上シェルが容易に接着剤でともに位置付けられるように、上シェルおよび底シェル上の溝または突出部を備えてもよい。
【１３９５】
図３２１は、図３１０におけるような針受器３０９４の中に位置付けられる、針３１１１の前進を示す。針は、矢印３２１２とともに示されるように、ユーザにおける障壁と略平行な移動を伴って、針受器の中に前進して示される。
【１３９６】
図３２２Ａは、針受器３０９４内に安定された針３１１１の上斜図を示し、図３２２Ｂは、断面図を示す。下スロット３１０２ｂが示され、上スロット３１０２ａも示され、針が、上シェル３１１２と下シェル３１１４との間に位置付けられている。針安定器３２２１は、本明細書に説明されるような圧縮部材および／または突出部を備えてもよい。
【１３９７】
図３２３は、図３１０におけるような針受器３０９４の寸法を示す。針受器は、寸法Ａとともに示される、持針器スロットの断面寸法を備える。ユーザは、寸法Ｂとともに示されるような横断寸法を伴う指を有する。スロットを横断する寸法は、ユーザの指の寸法未満である。例えば、ユーザは、１０ミリメートルを上回る典型的指サイズを有してもよく、上シェル上の持針器を受容するスロットの寸法は、例えば、１０ミリメートル未満であってもよい。針受器の降着ゾーンまたは進入ゾーンは、概して、ユーザが、図３２３に示されるように、針がしっかりと格納される面積から離れて針受器を指で容易に把持し得るように定寸される。進入または降着ゾーンは、ユーザが、針受器を安全に把持し、取り扱うことを可能にする、下シェルのフランジ部分を備えてもよい。
【１３９８】
図３２４Ａおよび３２４Ｂは、針を筐体の上部分および下部分上に受容するために、持針器スロット３２４３等の図３１０に示される構造のうちのいくつかを備え得る、Ｕ形状の筐体３２４２とともに画定され、針を収納するためのスロットを有する、針含有溝３２４１を示す。代替として、または組み合わせて、筐体は、シリコーン等の材料から形成される、単一部品から成る筐体を備えてもよい。針含有溝３２４１は、針を受容するように定寸され、持針器スロット３２４３は、上面および下面上に持針器を受容するように定寸される。針受器３２４０は、持針器スロットに沿って延在する長さと、持針器スロットに対して横方向に延在する幅とを備える。針受器はまた、図３２４Ｂに示されるような厚さ３２４４を備える。厚さは、概して、約１センチメートル未満である。針受器は、例えば、Ｕ形状の部品を備えてもよい。針スロットは、Ｕ形状の部品の脚部上の内側溝と画定されてもよく、溝は、例えば、約１ｃｍ以下の厚さを備えてもよい。持針器スロットは、例えば、約２ｃｍ以下であり得る。
【１３９９】
針受器は、ある範囲の針に合わせて定寸されることができ、より小さい持針器のためのより小さいスロットを備えてもよく、スロットは、トラップが格納するように設計される最大針の直径に満たない幅を備える。
【１４００】
持針器のための縦方向スロットは、全範囲にわたるスロットを備えてもよく、スロットは、針受器の両側を通して延在する。
【１４０１】
縦方向スロットは、下中実壁を備えてもよく、壁は、持針器の先端が針収納スロット平面を越えて突出することを可能にするために十分な深さの陥凹または溝を有し、持針器溝またはスロットは、約０．１ｍｍ〜約１０ｍｍの範囲内の距離だけ針スロット平面の真下に延在する。
【１４０２】
針受器は、針がスロットに沿って引っ張られるにつれて平行移動に対して可変抵抗を生成する、スロットの１つまたはそれを上回る側面に対する構造によって境界される縦方向スロットを備えてもよい。可変抵抗は、多くの方法で提供されることができ、針がスロットに沿って引っ張られるにつれて、針の圧縮を増加させ、触覚フィードバックを提供するために、針スロットの中に突出する、離散または非対称特徴を備えてもよい。
【１４０３】
図３２５Ａ−３２５Ｃは、図３２４Ａにおけるような針受器３２４０内に留置された針を示す。図３２５Ａは、針３２５１を保持する針受器３２４０の上面図であって、図３２５Ｂは、端面図であって、図３２５Ｃは、側面断面図である。針は、持針器スロット３２４３を横断して種々の場所に延在して示される。針受器の溝付き側面３２５２は、針を安全に含有し、先端を被覆する。図３２５Ａの上面図は、針がユーザに可視であることを示す。針は、針が計数され得るように、持針器スロットを横断して延在して示される。図３２５Ｂの端面図は、針の先端を含有する溝付き側面３２５２を示す。図３２５Ｃの側面断面図は、針受器内に留置された針を示す。
【１４０４】
図３２６Ａ−３２６Ｄは、例えば、図３１０および３２４を参照して本明細書に説明されるように、針受器内に留置された針を示す。図３２６Ａは、斜図を示し、図３２６Ｂは、側面図を示し、図３２６Ｃは、上面図を示し、図３２６Ｄは、端面図を示す。針３２６１は、針受器の溝３２６２内に含有されて示されるる。針受器は、本明細書に説明されるようなシェルの上面および下面等の壁３２６３を備えてもよい。針は、針先端が被覆される収納構成では、壁間に含有される。針は、溝内に配列される平面アレイにおいて示される。針受器の縦方向スロットは、針受器の壁間の収納ゾーン内の針の編成された留置を促進する。
【１４０５】
図３２７Ａは、例えば、図３１０および３２４を参照した持針器スロット３２７２の溝に沿った歯止め３２７１を示す。歯止めスロット３２７２は、ユーザが、針が持針器スロットに沿って留置された深さを感知することを可能にする。持針器スロットは、スロットの側面に沿って多くのタイプの突出部または起伏を含有し、持針器が近位端上の停止部に向かって前進されるにつれて、ユーザに触覚フィードバックおよび感覚を提供してもよい。ユーザへの本フィードバックは、ユーザが粗大運動技術で針を位置付け、スロット内の針の深さの感覚を提供することを可能にする。歯止めスロットは、持針器がスロットの端部に向かっておよびスロットの端部から離れてより容易に前進されるように画定された表面を備えてもよい。持針器スロットは、持針器より大きく定寸されてもよいが、ユーザは、概して、持針器がスロットの端部に向かって前進されるにつれて、持針器がスロットの片側または両側に係合するように、持針器スロットによって誘導されるであろう。スロットに沿った持針器の摺動移動は、持針器がスロットに沿って移動されるにつれて、振動または可変抗力もしくは歯止めの感覚を提供することができる。傾斜された歯止め表面は、ある角度で傾斜される、進入ゾーンのための第１の側面と、軸から離れてより大きな角度で傾斜される、停止部に面する、第２の側面とを備え、スロットの端部から離れる持針器の移動を阻止してもよい。
【１４０６】
持針器スロットの内面は、持針器が近位端に向かって前進されるにつれてユーザにフィードバックを提供するように、多くの方法で構成されることができる。例えば、上シェルまたは下シェルのうちの１つまたはそれを上回るものは、起伏状表面構造または突出表面構造を備え、本フィードバックを提供してもよい。例えば、小くぼみが、上スロットまたは下スロットのうちの１つまたはそれを上回るもの内に提供され、ユーザに触覚フィードバックを提供することができる。持針器スロットの内面に沿って提供される突出部および／または陥凹は、概して、持針器スロットの両側に沿って対称的に配列され、針が前進されるにつれて、ユーザにスロット内の深さの感覚を提供する。使用される構造のサイズは、多くの方法で変動されることができるが、多くの実施形態では、構造は、概して、持針器スロットの両側に少なくとも約１／４ミリメートル、例えば、少なくとも１ミリメートル、概して、約１／１０ミリメートル〜約１ミリメートルの範囲内で持針器スロットに向かって内向きに延在する。
【１４０７】
図３２７Ｂは、持針器スロット３２７２に沿った可変開口３２７３を示す。可変開口は、概して、凹状表面と、持針器スロットに向かって配向される先端とを備える。持針器が、持針器スロットによって誘導されるにつれて、持針器は、概して、一方または両方の表面に係合するであろう。持針器が、端部上の停止部に向かって前進されるにつれて、持針器は、持針器が持針器スロットの凹状部分および先端部分に沿って移動するにつれて、触覚フィードバックをユーザに提供する。持針器スロットの内面に沿って提供される表面構造は、上持針器スロットまたは下持針器スロットもしくは両方上に提供されることができる。構造が、上持針器スロットおよび下持針器スロットの両方上に提供されるとき、構造は、概して、持針器が前進されるにつれてユーザにフィードバックを提供するために、整合される。
【１４０８】
図３２８−３３３は、実施形態による、対掌性障壁を示す。
【１４０９】
図３２８は、外科医の左前腕上への留置のための対掌性障壁３２８０を示す。障壁は、多くの方法で形成されることができるが、実施形態に関連する研究では、左前腕のためにカスタマイズされた対掌性障壁が好ましくあり得ることが示唆される。右利き外科医のための左前腕用障壁が、提供されることができ、左利き外科医のための右前腕用障壁も、提供されることができることが検討される。対掌性障壁は、より良好な嵌合を複数の左利きユーザおよび複数の右利きユーザに提供するという利点を有する。対掌性障壁が参照されるが、障壁は、対称であって、両腕上で使用されることができることも検討される。例えば、障壁は、事前に形成された円錐形状を有する、円錐端を伴う円錐区分を備えてもよい、または本明細書に説明されるように対掌性であり得る。障壁は、掌側の掌側縁３２８１と、背側の背側縁３２８２とを備える。掌側縁は、留置のために前腕にわたって前進されると、背側縁から分離することができる。
【１４１０】
再び図３２８を参照すると、対掌性障壁は、背側３２８２と、腹側または掌側３２８１と、近位端３２８３と、遠位端３２８４とを備える。近位端は、ユーザの肘に向かって位置し、遠位端は、ユーザの手首に向かって配向される。対掌性障壁は、近位タブ３２８５ａおよび遠位タブ３２８５ｂ等の複数のタブを備える。複数のタブは、背側縁または掌側縁のいずれか上に位置してもよい。障壁は、熱形成材料等の予形成された材料から成ってもよい。予形成された材料は、ユーザの解剖学的構造に適応するように所望の形状に予形成され、熱形成された実質的に均一厚さを有する、材料のシートから成ってもよい。例えば、障壁は、ユーザの肘の近傍の筋肉組織ならびにユーザの手首における手首の移動および手首の生体構造に適応するための形状を備えてもよい。対掌性形状は、近位前腕の筋肉組織および遠位前腕の手首の移動により良好に適応するために、右利きユーザのために左腕に対してカスタマイズされることができる。障壁は、針等の鋭利物体による貫通または穿刺を阻止するために、本明細書に説明されるような障壁材料を含んでもよい。
【１４１１】
対掌性障壁は、座標基準系に沿って位置することができ、原点は、近位前腕の中心点３３２１に対応する。＋Ｘ方向は、前腕の掌側に向かって延在し、＋Ｙ方向は、前腕の橈側に向かう方向に延在し、−Ｚ軸は、手首の近傍の前腕の遠位端に向かって延在する。
【１４１２】
図３２９は、熱形成に先立った図３２８の障壁３２８０の上平面図を示す。障壁は、近位人間工学的端部外形３２８６を近位端３２８３上に備える。近位端は、概して、対向側の障壁の角の近傍の凸状湾曲表面と、障壁の中心に向かう略テーパ状減少長とを備え、例えば、筋肉組織およびユーザの二頭筋に向かう前腕の撓曲に適応する。障壁の遠位端３２８４は、人間工学的遠位端外形３２８７を備えてもよい。遠位端外形は、障壁の端部の近傍の湾曲角を備えてもよい。人間工学的遠位端外形は、ユーザの手首に向かって障壁の減少長を提供するように成形されてもよい。ユーザの手首の近傍の遠位端に向かう障壁の減少長は、ユーザが、遠位端外形上への減少された接触を伴って、手首を撓曲および伸展することを可能にすることができる。使用時、障壁は、ユーザの手首に向かって移動する傾向にあり得、図３２９に示される形状を有する遠位端外形は、手首の近傍の前腕への適切な輪郭付けによって、改良された快適性を提供することができる。障壁は、近位端と遠位端との間に延在する長さを備えてもよく、障壁の長さは、ユーザの前腕の周囲の場所に伴って変動することができる。人間工学的近位端外形および人間工学的遠位端外形は、障壁の人間工学的内側部分から離れて側方に変位される障壁の角区分または端部に関連して、障壁の長さが人間工学的遠位端外形と人間工学的近位端外形との間で減少されるように配列されることができる。例えば、障壁の橈側隆起側面３２８９に沿った橈側隆起長３２９９は、障壁の掌側面３２８１に沿った掌側長３２９１および背側面３２８２に沿った背側長３２９２より短くてもよい。人間工学的近位端外形３２８６および／または遠位端外形８２８７は、橈側隆起側面３２８９に沿って橈側隆起印３２９３および３２９４を備えてもよい。
【１４１３】
障壁は、ユーザに人間工学的嵌合をもたらすように構成される、近位タブ３２８５ａと、遠位タブ３２８５ｂとを備える。近位タブは、近位タブ長３２８８ａを備え、遠位タブは、遠位タブ長３２８８ｂを備える。遠位タブ長は、概して、近位タブ長より短く、改良された快適性を提供する。遠位タブ長は、概して、近位タブ長の約２０％〜約８０％の範囲内である長さを備える。近位タブは、例えば、約１／２インチ〜約２インチの範囲内の長さを備えてもよい。障壁は、障壁をユーザの腕の周囲に固着するための１つまたはそれを上回るタブ結合部３２９５を備えてもよい。例えば、障壁の背側面３２８２から延在する、近位タブおよび／または遠位タブは、障壁の掌側面３２８１に配置される対応するタブ結合部に係合するように構成される、１つまたはそれを上回るタブ結合部を備えてもよい。
【１４１４】
図３３０は、予形成された障壁３２８０の軸を示す。障壁は、概して、図３２８に示されるような自己支持シースとともに予形成される。自己支持シースとともに予形成された障壁は、概して、図３２８に示される形状をとるであろう。障壁の形状記憶は、障壁が多くのユーザ上に良好に嵌合することを可能にする。これは、障壁がユーザに嵌合するために若干伸展されることを可能にする。障壁は、本明細書に説明されるようなストラップを具備することができる。
【１４１５】
障壁は、概して、近位端３２８３上に予形成された形状において略楕円形断面を備え、また、遠位端３２８４上にも略楕円形状を備える。楕円形状を参照するが、形状は、第１の横断寸法と垂直な第２の横断寸法より長い第１の横断寸法を有する、非楕円形状を備えてもよい。例えば、形状は、１つの寸法に沿った長円形状、または、例えば、卵形状の外形に対応してもよい。
【１４１６】
図３３０は、障壁の自己支持形状における近位および遠位部分のための一次軸を示す。一次軸は、障壁の断面の最長長さを有する、軸を指す。二次近位軸３３０３ｂは、一次近位軸３３０３ａと略垂直に延在する。遠位端では、一次軸３３０４ａは、予形成された自己支持障壁の断面の最長寸法に沿って延在する。二次軸３３０４ｂは、一次軸と垂直に延在し、断面の中心を通る断面の最短寸法に対応してもよい。
【１４１７】
自己支持障壁は、近位端上に略垂直配向を有する、一次軸３３０３ａと、図３３０に示されるような角度α内で一次軸に対して回転される遠位端上の一次軸３３０４ａとを備えてもよい。近位一次軸に対する遠位一次軸の本回転は、改良された快適性をユーザに提供する。
【１４１８】
当業者は、種々の適合が図３３０および３２８に示されるような自己支持熱形成障壁から成され得ることを認識するであろう。例えば、障壁は、一次端が、略円形断面を有し、遠位端が、略円形断面を有するように、略円錐形状を備えてもよく、遠位端は、略円形断面を有し、遠位端は、近位端未満の直径を有する。
【１４１９】
本発明者らは、予形成された障壁の多くの形状を用いて実験を実施し、図３３０、３２８、および３２９を参照して示される対掌性障壁が、改良された快適性を提供することを判定した。障壁は、発泡体を具備することができ、発泡体は、改良された快適性を提供することができるが、本発明者らは、本明細書に説明されるような対掌性障壁が、発泡体の有無にかかわらず、改良された快適性を提供することを判定した。内面上に提供される発泡体ライニングは、改良された快適性を提供することができ、かつユーザの多くの形状に対するサイズ調整を可能にすることができる。
【１４２０】
図３３１は、障壁３２８０の近位端３２８３から障壁の遠位端３２８４に向かっての図を示す。図３３１を参照すると分かるように、近位端は、最長横断寸法と、最短横断寸法を有する、略卵形状を備え、両寸法は、近位端の中心通して延在する。遠位端も同様に、一次軸に沿った最大横断寸法と、一次軸に直交する二次軸に沿ったより短い横断寸法とを有する、卵形状を備える。遠位端の一次軸は、近位端の一次軸に対して回転されて示される。近位端の一次軸に関連した遠位端の一次軸の本回転は、ユーザが、数時間にわたって続き得る手術中に、手首を人間工学的位置に配向することに役立ち得る。
【１４２１】
図３３２は、対掌性障壁３２８０の構造を図式的に図示する。障壁の近位端３２８３は、一次（長）軸３３０３ａと、一次軸より短い長さを有する、二次（短軸）３３０３ｂとを備える。障壁の遠位端３２８４は、一次（長）軸３３０４ａと、二次（短）軸３３０４ｂとを備える。遠位端上の長軸３３０４ａは、近位端の長軸３３０３ａに対して回転される。回転角度は、約５〜４５度の範囲内、例えば、約１０度〜約３０度の範囲内であることができ、例えば、２０度であり得る。
【１４２２】
遠位端はまた、近位端の軸に対してオフセットされることができる。経路が、近位端３２８３の中心３３２１から遠位端３２８４の中心３３２２まで延在することができる。経路は、近位端と遠位端との間の場所における障壁の中心を伴って画定されることができる。前腕が、筋肉組織および他の対掌性構造を備えるため、前腕の形状外形も、対掌性を備えてもよい。対掌性障壁は、概して、前腕の対掌性に対応するように成形される。前腕の中心点は、肘と手首との間に延在する湾曲対掌性経路３３２３を画定する。近位端では、障壁は、前腕の形状および前腕の湾曲中心経路に対応するように成形される。前腕の近位端は、前腕の中心に対応する経路と垂直に延在する平面を伴って画定されることができる。平面は、近位端における前腕を通して断面に直交するｚ−軸３３２４を画定する。障壁は、前腕と同様に成形される。障壁の近位断面は、中心点３３２２と、近位端上の障壁表面と略垂直に延在する、平面３３２５とを備える。近位端上の障壁の中心点からのｚ−軸３３２２４は、遠位端に投影されることができる。本発明者らは、遠位端が近位端と遠位端との間に延在するｚ−軸の本投影からオフセットされることを究明した。前腕の中心は、近位端と遠位端との間に留置されることができる。オフセットは、例えば、約０．２５インチ〜約０．７５インチの範囲内であり得る。
【１４２３】
図３３３は、障壁３２８０の外面外形３３２６と、障壁の中心の湾曲経路３３２３とを示す。背側および掌側面に沿った障壁の外形が、示される。前腕の掌側面は、前腕の背側面より多い筋肉量を備え得るため、障壁は、背側面より前腕の掌側面により多いテーパ量を備えてもよい。障壁の中心を備える湾曲経路は、前腕の可変筋肉量に関連して延在することができる。
【１４２４】
障壁は、熱成形材料を備え得る、本明細書に説明されるような形状記憶材料から成る。熱成形障壁材料は、例えば、図３２８、３３０−３３３に示されるような幾何学的特徴を伴う、独立自己支持構成を備える。
【１４２５】
図３２８を参照して前述のように、座標基準が、以下のように定義されることができる。
【１４２６】
＋Ｘ＝掌側面
【１４２７】
＋Ｙ＝橈側面
【１４２８】
遠位オフセットは、（８ｍｍ、２０ｍｍ）＝（ｘ，ｙ）であり得る。
【１４２９】
例えば、（０．２、０．４）〜約（２ｃｍ、４ｃｍ）に及ぶ。
【１４３０】
Ｘオフセット（掌側）は、約０．２ｃｍ〜約２ｃｍの範囲内、例えば、約０．５ｃｍ〜約１．５ｃｍの範囲内であり得る。Ｙオフセット（橈側）は、約０．４〜４ｃｍの範囲内、例えば、約０．８ｃｍ〜約３ｃｍの範囲内であり得る。オフセットが説明されるが、これらは、随意であって、いくつかの実施形態では、予形成された障壁は、依然として、例えば、本明細書に説明されるように障壁の端部上の長軸の回転を伴って、対掌性であるまま、オフセットを備えなくてもよい。
【１４３１】
本明細書に説明されるような障壁は、対掌性の有無にかかわらずに構成されることができる。
【１４３２】
障壁は、本明細書に説明されるような形状記憶材料で構成され、ユーザの前腕上への留置のために好適な力特性を伴って構成されることができる。障壁は、掌側の掌側縁と、背側の背側縁とを備える。掌側縁は、留置のために前腕にわたって前進されると、背側縁から分離することができる。掌側縁を独立構成から約１インチ背側から分離するための力の量は、例えば、約２５グラム〜約４００グラムの範囲内であり得る。範囲は、例えば、約５０グラム〜約１５０グラムであり得る。質量は、当業者によって容易に理解されるであろう、重力の力に基づいて、分離するため力の量に対応するように提供される。
【１４３３】
障壁は、質量１０グラム〜約２５０グラムの範囲内、例えば、約２０グラム〜約７５グラムの範囲内を備えてもよい。障壁は、例えば、約２０グラム〜約６０グラムの範囲内の重量を有する、予形成された熱可塑性シェルを備えてもよい。
【１４３４】
障壁は、シェルの真下の下層表面上に発泡体を備えてもよい。発泡体を伴う障壁の重量は、約３５グラム〜約５００グラムの範囲内であり得る。発泡体を伴う障壁の重量は、２０グラム〜約２６０グラムの範囲内、例えば、約２０グラム〜約８５グラムの範囲内であり得る。障壁は、予形成された熱可塑性シェルと、例えば、約３０グラム〜約７０グラムの範囲内の重量を有する、真下の発泡体とを備えてもよい。
【１４３５】
障壁は、本明細書に説明されるような重量を備えてもよく、障壁の重量は、ユーザの前腕上への留置のために掌側および遠位端を分離するために要求される力の量未満であり得る。
【１４３６】
障壁は、約６インチ〜約１１インチの範囲内の縦方向長さを備えてもよい。障壁は、約１．１〜約１．５の範囲内の遠位端を横断した距離に対する近位端を横断した距離の比を備えてもよい。
【１４３７】
障壁は、シェルを備えてもよく、下層発泡体が、障壁のシェルの遠位境界を越えて遠位に延在し、発泡体が、障壁が手首に衝突すると、シェルの前端遠位縁にわたって湾曲し、シェルの界面に当たり、快適性を提供する。
【１４３８】
障壁は、障壁の荷重をユーザの手首上に分散させるために約３ｍｍ〜１．５ｃｍの範囲内の変位を伴うシェルの遠位縁における橈側湾曲を有する、シェルを備えてもよい。
【１４３９】
障壁は、シェルを備えてもよく、内側発泡体詰め物が、シェルの遠位縁を越えて延在してもよい。発泡層は、約１ｍｍ〜約１５ｍｍの範囲内の距離だけシェルの遠位端を越えて延在することができる。内側発泡層は、約１ｍｍ〜約１５ｍｍの範囲内の厚さを備えてもよい。
【１４４０】
障壁は、厚くされた遠位縁を備えてもよい。
【１４４１】
障壁は、デバイスが手首の運動に伴って手首の背側または橈側もしくは掌側面に当接すると、荷重を分散させるように構成されることができる。
【１４４２】
障壁は、障壁に対してユーザの手首のさらなる移動量を可能にするように、障壁の近位または遠位端の移動を可能にするように構成されることができる。例えば、障壁は、障壁がユーザの近位前腕に対して実質的に固定されることを可能にする、延在部を近位端上に備えてもよい。代替として、障壁は、ユーザの遠位前腕が障壁に対して近位前腕より移動することを可能にするために、近位ストラップ上で遠位ストラップよりきつくあり得る。
【１４４３】
障壁は、遠位前腕より近位前腕とともに移動するために、近位前腕に結合するように構成されることができる。例えば、障壁は、障壁が、例えば、ユーザの手首の回転に伴って移動することを可能にするために、近位ストラップより緊締され得る、遠位ストラップを備えてもよい。
【１４４４】
障壁は、底部の詰め物の層と、上部の機械的障壁の層とを備えることができ、磁石が、詰め物の層と機械的障壁の層との間の機械的障壁の下面上に留置されることができる。機械的障壁は、ポリマー材料を含むことができ、約０．５ｍｍ〜約５ｍｍの範囲内の厚さを有することができる。
【１４４５】
図３３４Ａ−３３４Ｃは、本明細書に説明されるような針取扱システムの使用を図示する。図３３４Ａは、本明細書に説明されるように、ユーザの非利き手側腕の前腕ＶＦに結合される障壁３３４３上に搭載される、針受器３３４２内に針３３４１を収納する、外科医等のユーザＵを示す。示されるように、針受器は、掌側前腕ＶＦの平面上に配置される。針を針受器内に収納するために、ユーザは、持針器３３４４で把持された針を、掌側腕の平面に沿って遠位位置から近位位置に動かす。したがって、針は、腕に向かって指向されず、針刺し傷害のリスクは、最小限にされる。図３３４Ｂは、ユーザが針３３４１を障壁搭載型針受器３３４２内に収納するにつれたユーザＵの上面図の略図である。ユーザの腕の解剖学的中立平面ＮＰが、冠状平面ＣＰに対して示され、解剖学的中立平面は、冠状平面に略直交する。針を前腕搭載型針受器内に収納することは、解剖学的中立平面に対して腕または肩の外旋３３４５ａを要求せず、したがって、ユーザが、粗大運動制御ではなく、微細モータ制御のみに従事し、針の分配および収納に関連する移動を行うことを可能にする。針を針受器内に収納するために、ユーザは、針を持針器３３４４内に保持しながら、肘Ｅから前腕Ｆを内転３３４５ｂさせ、したがって、解剖学的中立平面ＮＰから針受器平面３３４７に向かって指向される弧３３４６に沿って針を動かすことができる。針受器平面は、障壁搭載型針受器を担持する掌側前腕の平面と略平行であり得る。図３３４Ｃは、針受器３３４２内への収納中の針の経路を図式的に図示する。針は、針弧３３４６に沿って針受器平面３３４７に向かって近位に移動する。針弧は、針受器平面と一致する、または針受器平面に対して小角度α内、例えば、約１０°内である、弧の一部として画定される略平坦部分３３４８を備えることができる。針受器は、その長さ３３４２ｌが略平坦部分の長さ３３４８ｌに実質的に対応するように位置付けられてもよい。したがって、ユーザが針を弧に沿って針受器に向かって動かすにつれて、針が弧の略平坦部分に到達すると、針は、針受器の進入ゾーンに到達し、針受器の収納ゾーン内に収納されることができる。
【１４４６】
図３３５は、持針器スロット３３５２のためのカバー３３５１を備える、針受器３３５０の例示的実施形態を図示する。持針器スロットカバーは、針３３５３の端部を針受器内によりしっかりと封入し、収納ゾーン３３５４内に留置された針の偶発的脱落を防止することによって、付加的安全性特徴を提供してもよい。針受器は、持針器によって把持された針が針受器内に収納される間、持針器が移動され得る、スロットまたは溝３３５２を備える、本明細書に説明されるような任意の針受器であってもよい。持針器スロットカバー３３５１は、持針器スロットを被覆する可撓性ストリップの一部を突き抜ける細隙３３５５を伴う、可撓性ストリップを備えることができる。代替として、持針器スロットカバーは、持針器が重複ストリップ間のスロットを通して移動し得るように、持針器スロットを被覆する対向重複可撓性ストリップを備えることができる。可撓性ストリップは、弾性的に変形３３５６し、持針器スロット内の持針器先端３３５７の平行移動を介した進入ゾーン３３５８から収納ゾーン３３５４への針の平行移動に適応することができる。図３３６は、持針器スロット３３６２のためのカバー３３６１を備える、針受器３３６０の別の例示的実施形態を図示する。持針器スロットカバーは、図３３５を参照して説明されるような可撓性ストリップを備えてもよい。その中への持針器の平行移動を可能にするための縦方向細隙３３６３に加え、カバーはさらに、複数の垂直または横方向細隙３３６４を備えてもよい。垂直細隙は、複数の垂直区画３３６５を生成することができ、持針器は、持針器スロットに沿って平行移動されるにつれて垂直区画を通して移動する。垂直区画は、持針器スロットの縦方向側面と略平行に基部３３６６において針受器に結合されてもよい。可撓性ストリップを備える、持針器スロットカバーの任意の実施形態に関して、ストリップは、透明であって、例えば、シリコーンまたはポリエチレンから成ってもよい。
【１４４７】
図３３７Ａ−３３７Ｄは、持針器スロット３３７２のためのカバー３３７１を備える、針受器３３７０の別の例示的実施形態を図示する。図３３７Ａは、針受器の上面図を示し、図３３７Ｂは、端面図を示し、図３３７Ｃは、側面図を示し、図３３７Ｄは、底面図を示す。図３３７Ａに示されるように、持針器スロットカバー３３７１が、持針器スロットまたは溝３３７２にわたって位置付けられる。デフォルトまたは「閉鎖」構成では、カバーは、持針器スロットを実質的に被覆する。持針器が、持針器スロットに沿って平行移動されると、カバーは、縦方向持針器スロット軸３３７３（矢印３３７４によって示される方向）に沿って摺動し、持針器スロットを暴露し、それによって、持針器が針を収納ゾーン３３７５内に収納することを可能にするように構成されてもよい。持針器が、持針器スロットから退出すると、カバーは、デフォルト閉鎖構成に戻るように逆摺動するように構成されてもよい。持針器スロットカバーは、持針器スロット軸と平行な１つまたはそれを上回るレール３３７６内で平行移動することによって摺動するように構成されてもよい。図３３７Ｂおよび３３７Ｄに示されるように、１つまたはそれを上回るレール３３７６は、針受器の底シェル３３７７または筐体内に溝を備えてもよく、持針器スロットカバーは、溝の中に嵌合し、底シェルに結合することができる。溝は、底シェルの端部を通して延在し、カバーが収納ゾーン３３７５に向かって可能な完全範囲まで平行移動することを可能にしてもよい。図３３７Ｃおよび３３７Ｄに示されるように、ばね３３７８が、底シェルの下に搭載され、持針器スロットカバーに結合されてもよい。ばね３３７８は、持針器が持針器スロットに沿って収納ゾーン３３７５に向かって平行移動するにつれて、進入ゾーン３３７９から離れるカバーの平行移動を拘束し、持針器が持針器スロットから退出した後、カバーを進入ゾーンに向かって戻る閉鎖位置まで引動させることができる。
【１４４８】
図３３８は、持針器スロット３３８２のための圧縮カバー３３８１を備える、針受器３３８０の例示的実施形態を図示する。持針器スロットを備える、本明細書に説明されるような任意の針受器であり得る、針受器は、持針器スロットの縦軸３３８４に略直交する垂直軸３３８３に沿って摺動するように構成される、持針器スロットカバーを備えてもよい。デフォルトまたは「閉鎖」構成では、カバーは、収納ゾーン内に配置される針が実質的に被覆されるように、持針器スロットを被覆してもよい。カバーは、持針器が持針器スロットに沿って平行移動し、針を収納するとき、上方に摺動し、持針器が持針器スロットから退出すると、デフォルト「閉鎖」構成に戻るように構成されてもよい。例えば、カバーは、図３３７Ａ−３３７Ｄの実施形態を参照して説明されるばね機構に類似する機構を備えてもよい。本構成では、持針器スロットカバーは、収納ゾーン３３８５内に配置される針の端部を下向きに針受器筐体の対向縦方向縁の中に圧縮押動させ、それによって、針を針受器の内側にさらに収納することができる。そのような構成は、小針がある程度の移動自由度を有し得るため、収納ゾーン内に収納されるときでも、小針の収納に特に有用であり得る。針を針受器筐体に対して下向きに圧縮押動することは、針の端部が針受器筐体内に含有されることを確実にすることに役立ち得る。
【１４４９】
図３３９は、持針器スロット３３９２のための圧縮カバー３３９１を備える、針受器３３９０の別の例示的実施形態を図示する。持針器スロットカバーは、持針器スロットの上方において側方に搭載される、発泡体ストリップ３３９３を備えることができる。発泡体ストリップは、ばね部材として機能し、持針器スロットの縦軸３３９５に略直交する垂直軸３３９４において下向き圧縮力を提供し得る。デフォルトまたは「閉鎖」構成では、発泡体ストリップは、持針器スロットを被覆する。持針器が持針器スロットに進入し、スロットに沿って平行移動を開始すると、発泡体ストリップは、垂直軸に沿って上向きに圧縮され、持針器がスロットに沿って平行移動することを可能にし得る。持針器が、スロットから退出すると、カバーは、デフォルト構成に跳ね戻り、針受器内に配置される針３３９７を針受器筐体の対向縦方向縁の中に下向きに圧縮押動させることができる。発泡体ストリップの下縁はさらに、特に、カバーが、針の先端と接触し、それに対して圧縮押動するとき、針への下向き圧縮力の印加を促進するために、プラスチックストリップ等の剛性材料３３９６で裏打ちされてもよい。
【１４５０】
図３４０Ａ−３４０Ｃは、持針器スロット３４０２のための圧縮カバー３４０１を備える、針受器３４００の別の例示的実施形態を図示する。図３４０Ａは、針受器の分解図を示し、図３４０Ｂは、斜図を示し、図３４０Ｃは、上面図を示す。図３４０Ａに示されるように、針受器３４００は、１本またはそれを上回る針Ｎを受容するための平面針スロット３４０４を有する、底シェルまたは筐体３４０３と、底シェルに結合され、針を平面針スロット内に含有するように構成される、上カバー３４０５とを備えてもよい。上カバーは、透明材料を含み、ユーザが、針受器内に収納される針を視認することを可能にしてもよい。底シェルは、持針器スロット３４０２を備え、その中への持針器の平行移動を可能にしてもよい。底シェルはさらに、面取りされた陥凹３４０６を備え、本明細書に説明されるように、平面針スロット内に配置される針を上カバーに対して圧縮し、針を針受器内に収納するように構成される、発泡体ストリップ等の第１の圧縮部材３４０７を受容してもよい。底シェルはさらに、引き込み面３４０８を備え、持針器によって把持された針を針スロットの平面の中に誘導してもよい。加えて、底シェルは、圧縮持針器スロットカバーのための搭載表面３４０９を備えてもよく、搭載表面は、持針器スロットの上縦方向縁を備える。圧縮持針器スロットカバー３４０１は、持針器スロットの上方において側方に搭載表面に搭載される発泡体ストリップ３４０１ｆ等の圧縮部材を備えてもよい。発泡体ストリップは、底縁において剛性材料（例えば、プラスチックストリップ３４０１ｐ）で裏打ちされ、針先端への下向き圧縮力の印加をさらに促進してもよい。図３４０Ｃに示されるように、圧縮持針器スロットカバーは、平面針スロット内に配置される針を底シェルの対向縦方向縁３４０３ｅに対して下向きに押動させるように、持針器スロットの縦軸３４０２ｌに略直交する垂直軸に沿って下向き圧縮力ＣＦを提供することができる。使用時、圧縮部材は、持針器スロットに沿った持針器の平行移動によって変位され、持針器の除去に応じて、針を搭載表面に対向する底シェルの縦方向縁に対して下向きに圧縮押動させてもよい。図３４０Ａ−３４０Ｃに示されるような構成は、針受器内に配置される針の鋭利端が持針器スロットを通して突出しないことを確実にすることによって、および針を針受器内に収納するように構成される第１の圧縮部材と接触する針表面積を増加させることによって、針受器の安全性をさらに改良することができる。
【１４５１】
図３４１Ａ−３４１Ｃは、背面照明付き針受器の例示的実施形態を図示する。図３４１Ａは、針受器の１つの縦方向端部から照明される、針受器３４１０ａを示す。本明細書に説明されるような針受器の上および／または底シェル等の針受器の本体は、１つまたはそれを上回る光ファイバ３４１１または発光ダイオード（ＬＥＤ）等の光源に光学的に結合されてもよい。針受器本体３４１２は、光源から全内部反射を介して針受器の本体全体を通して光３４１３を伝送するように構成される、光導波路を備えてもよい。例えば、針受器本体は、アクリル樹脂、ポリカーボネート、またはエポキシ等の１つまたはそれを上回る光学グレード材料から成ってもよい。図３４１Ｂは、針受器の底側３４１４から照明される、針受器３４１０ｂの上面図を示し、図３４１Ｃは、側面図を示す。針受器の底シェルの底側は、１つまたはそれを上回るＬＥＤ３４１５または光ファイバ等の光源に光学的に結合されてもよい。上および／または底シェル等の針受器の本体３４１２は、ＬＥＤから針受器本体全体を通して光３４１６を伝送するように構成される、光導波路を備えてもよい。図３４１Ａ−３４１Ｃに示されるような背面照明付き針受器は、ユーザが針受器またはその一部（例えば、持針器スロット）を可視化することに役立ち、それによって、針受器内への針Ｎの収納を促進し得る。加えて、背面照明付き針受器は、針受器内に収納される針Ｎのユーザ計数を促進することができる。
【１４５２】
図３４２Ａ−３４２Ｅは、針受器の持針器スロットの種々の構成を図式的に図示する。本明細書に説明されるように、針受器は、持針器スロットまたは溝を備え、針が針受器内に収納される間、スロット内での持針器の平行移動を可能にしてもよい。持針器スロットは、多くの場合、針受器の上シェル内の上溝と、針受器の底シェル内の対応する下溝とを備える。図３４２Ａは、上溝３４２１および下溝３４２２が均一である、持針器スロット構成を示す。上シェル３４２３の平面は、底シェル３４２４の平面と平行であってもよく、上溝および下溝は、定位置に整合されてもよい。図３４２Ｂは、上溝３４２１が下溝３４２２の幅Ｂより大きい幅Ａを有する、持針器スロット構成を示す。そのような構成は、多くの場合、先端において幅が狭い、持針器先端の形状への共形化に役立ち得る。図３４２Ｃは、上３４２１および下溝３４２２の壁が丸みを帯びたまたはＲが設けられた、持針器スロット構成を示す。上および下溝の丸みを帯びた壁３４２５は、持針器スロット内への持針器先端の受容を改良することに役立ち得る。図３４２Ｄは、上３４２１および下溝３４２２の壁が、ベベル３４２６状にされ、持針器先端の寸法とより良好に共形化する、持針器スロットを示す。図３４２Ｅは、持針器スロットの断面外形が湾曲ｖ−形状３４２７を備えるように、上３４２１および下溝３４２２の壁が、湾曲され、延長湾曲平面の小区分を形成する、持針器スロットを示す。図３４２Ｆは、持針器スロットの断面外形がｖ−形状３４２８を備えるように、上３４２１および下溝３４２２の壁が、角度付けられ、共線状である、持針器スロットを示す。持針器スロットの種々の構成は、持針器スロットと持針器先端の形状の共形化を改良し、それによって、持針器スロットの中への持針器先端の挿入を促進し、針の収納中の持針器スロット内への持針器先端の平行移動の安定性を改良することに役立ち得る。
【１４５３】
図３４３Ａ−３４３Ｇは、スエージ加工針を分配および収納するためのスエージ加工針用デバイスの例示的実施形態を図示する。連続縫合糸Ｓを伴うスエージ加工針ＳＮは、切開部を閉鎖する際、同一縫合糸の糸を伴う針の反復通過のために使用されることができる。スエージ加工針用デバイスは、例えば、外科医の前腕に結合される障壁に搭載される、縫合パッケージおよび針受器に関して本明細書に説明されるものと類似様式で提供されることができる。スエージ加工針用デバイスは、連続縫合糸が取り付けられ、針の先端または前端が非侵害性となるようにデバイスに結合される、１本またはそれを上回るスエージ加工針を備える。図３４３Ａおよび３４３Ｂに示されるように、スエージ加工針用デバイス３４３０ａは、縫合糸が巻き付けられるためのスピンドル３４３１と、針を収納するためのデバイスの上面３４３３上の開口部３４３２とを備えることができる。スピンドルは、スピンドルの上および底縁に側方溝および／または側方境界もしくは突出縁を伴う側壁を備え、側壁に巻き付けられた縫合糸をしっかりと保持してもよい。スエージ加工針は、針とデバイスの上面との間の磁気結合、または上面の下方に配置され、開口部を通して挿入された針の先端を受容するように構成される、発泡体部材等の種々の手段のうちの１つを介して、開口部にしっかりと結合されてもよい。図３４３Ｃおよび３４３Ｄは、スピンドル３４３１と、スエージ加工針ＳＮのための上コンテナ３４３４とを備える、スエージ加工針用デバイス３４３０ｂの斜図および側面断面図を示す。スエージ加工針に取り付けられた縫合糸Ｓは、スピンドルに巻き付けられることができ、スピンドルは、縫合糸を回転させて分配するように固定または構成されることができる。上コンテナは、スエージ加工針が留置され得る、デバイスの上面の陥凹領域３４３５と、針を陥凹領域内に収納するように陥凹領域を被覆するように構成される、カバー３４３６とを備えることができる。好ましくは、スエージ加工針用デバイスは、約０．３ｍｍ〜約１．５ｃｍの高さＨおよび約１．５ｃｍ〜約８ｃｍの幅Ｗまたは直径の薄型を有する。
【１４５４】
本明細書に説明されるようなスエージ加工針用デバイスは、別のスエージ加工針用デバイスと積重可能であってもよい。例えば、図３４３Ｅに示されるように、各スエージ加工針用デバイス３４３０の底部分３４３７は、スエージ加工針を含有するためのデバイスの上面内の陥凹領域３４３５等、別のスエージ加工針用デバイス３４３０の上部分３４３８内に入れ子にされるように構成されてもよい。代替として、図３４３Ｆに示されるように、各スエージ加工針用デバイス３４３０の上部分３４３８は、デバイスの底面内の陥凹領域等、別のスエージ加工針用デバイス３４３０の底部分３４３７内に入れ子にされるように構成されてもよい。積み重ねられた構成では、針ＳＮは、２つの積み重ねられたスエージ加工針用デバイス間の入れ子領域３４３９内に配置されてもよい。カバー３４３６を伴う針のための上コンテナを備えるスエージ加工針用デバイスの実施形態では、カバーもまた、入れ子領域内に入れ子にされるように構成されてもよい。２つの積み重ねられたスエージ加工針用デバイスは、クリップ、磁気結合、Ｖｅｌｃｒｏ、または可撤性接着剤のうちの１つまたはそれを上回るものを介して、相互に結合されてもよい。代替として、複数のスエージ加工針用デバイスはまた、並列アレイまたは重複する一連のスピンドルデバイスとして相互に結合してもよい。使用時、スエージ加工針用デバイス３４３０は、図３４３Ｇに示されるように、本明細書に説明されるような前腕障壁１４５に結合されてもよい。スエージ加工針用デバイスは、例えば、Ｖｅｌｃｒｏアタッチメント、磁気結合、または可撤性接着剤を介して、障壁に結合されてもよい。外科医は、滅菌のスエージ加工針をスエージ加工針用デバイスから除去し、連続縫合糸を伴う針を使用して、切開部を閉鎖し、使用済み針をスエージ加工針用デバイス内に収納してもよい。示されるように、複数のスエージ加工針用デバイスが、障壁上に提供されてもよく、複数のスエージ加工針用デバイスは、異なるサイズのスエージ加工針を提供するデバイスを備えてもよい。スエージ加工針用デバイスは、本明細書に説明されるように複数のスエージ加工針用デバイスの積重を備えてもよい。示されるように、障壁は、加えて、繰出縫合糸に結合される針を含有する、１つまたはそれを上回る縫合パッケージ１０１と、分配された／使用済み針を収納する１つまたはそれを上回る針受器３３１とを支持してもよい。障壁は、したがって、外科医に、スエージ加工された繰出縫合針を含む、縫合針オプションのアレイを提供し得、アレイは、特定の外科医の必要性に適合するように容易にカスタマイズされることができる。外科医による連続縫合糸の切断を促進するために、障壁は、加えて、本明細書に説明されるように、縫合糸カッタ４５７を具備してもよい。
【１４５５】
本明細書に説明されるように、針受器は、近傍手術野から針の通過を要求せずに、近傍手術野内で外科医による針の収納のために、鉗子等の手術道具の遠位端に結合されてもよい。道具搭載型針受器は、特に、小針の収納に非常に好適であり得る。道具搭載型針受器は、結合道具（例えば、ねじ回し）の使用を要求せずに、種々の手術道具に除去可能に結合するように構成されることができる。道具搭載型針受器は、例えば、種々のサイズの道具の遠位端上に嵌合する弾性キャップを介して、ある範囲の手術道具サイズに結合するように構成されてもよい。使用時、繰出縫合糸を伴う縫合針を含有する１つまたはそれを上回る縫合パックは、本明細書に説明されるように、非利き手側の手、手首、または腕上で外科医によって支持されてもよい。道具搭載型針受器は、外科医の非利き手側の手で外科医によって保持される、道具の遠位端に結合されてもよい。外科医は、外科医の利き手側の手を使用して、縫合針を縫合パックから分配し、縫合糸を設置し、使用済み針を道具搭載型針受器内に収納してもよい。好ましくは、道具搭載型針受器は、単一縫合パック内に提供される針の最小数に適応するために、少なくとも５本の縫合針を支持するように構成される。理想的には、道具搭載型針受器は、左および右手使用のために対称である。
【１４５６】
図３４４Ａ−３４４Ｃは、道具搭載型針受器３４４０の例示的実施形態を図示する。図３４４Ａは、道具搭載型針受器３４４０の前面図を示し、図３４４Ｂは、後面図を示し、図３４４Ｃは、分解図を示す。道具搭載型針受器は、１本またはそれを上回る針Ｎをその中に収納するように構成される、筐体３４４１と、筐体を手術道具に結合するための道具搭載界面３４４２と、筐体を道具搭載界面に結合するための結合機構３４４３とを備える。図３４４Ｃの分解図に示されるように、筐体は、ともに結合し、針のためのエンクロージャを形成するように構成される、前シェル３４４１ａと、後シェル３４４１ｂとを備えることができる。前シェルは、平面針スロットを備え、障壁上で支持されるように構成される、針受器の種々の実施形態に関して本明細書に説明されるように、その中への持針器先端の平行移動を可能にするように構成される、持針器スロット３４４４を備えてもよい。筐体はさらに、前シェルの持針器スロットおよびエラストマ部材が整合されるように前シェルの内面に結合される持針器スロットをまた備える、エラストマ部材３４４５を備えることができる。エラストマ部材は、前シェルの持針器スロットを部分的に被覆し、針端が持針器スロットを通して暴露されるリスクを低減させるように構成される、シリコーン等の材料から成ってもよい。筐体はさらに、剛性裏材３４４６と、筐体が完全に組み立てられると、剛性裏材の中に圧縮力を付与するように構成される、圧縮部材３４４７（例えば、発泡体の一部）とを備えることができる。使用時、針受器は、ユーザの非利き手側の手に保持される道具に結合されてもよく、持針器スロットは、ユーザの対向側（利き手側）の手に面する。針の中央本体部分において針を保持する持針器が、針受器の進入ゾーン３４４８に留置され、持針器スロットに沿って挿入され、針を圧縮部材と裏材との間に形成される平面針スロット内に留置することができる。圧縮部材は、持針器スロット内における持針器の平行移動中に圧縮することができ、持針器が持針器スロットから退出すると、裏材をエラストマ部材の中に圧縮押動させ、それによって、針を剛性裏材とエラストマ部材との間の平面針スロット内の収納ゾーン３４４９の中に収納することができる。道具搭載型針受器は、ある範囲のサイズ内の種々の道具の遠位端上に嵌合するように構成されるエラストマキャップを備え得る、道具搭載界面を介して、手術道具上に搭載されてもよい。道具搭載界面は、複数の突出部等の表面特徴３４４２ｆを備え、道具搭載型針受器の把持および道具への結合を促進してもよい。後シェルは、筐体を道具搭載界面に結合するように構成される、結合機構を備えてもよく、結合機構は、道具搭載界面の対応する空洞に係合するように構成される、突出部を備えてもよい。筐体の１つまたはそれを上回る構成要素は、透明材料を含み、針受器内に収納される針の可視化を可能にしてもよい。
【１４５７】
図３４５Ａ−３４５Ｄは、道具搭載型針受器３４５０の別の例示的実施形態を図示する。図３４５Ａに示されるように、道具搭載型針受器３４５０は、セル３４５１の円形アレイを備え、それぞれ、針Ｎを含有するように構成される。針は、カバー３４５２ａと圧縮部材３４５２ｃとの間に捕捉され、針をセル内に収納してもよい。各セルは、セルの外縁から半径方向内向きに延在する、持針器スロット３４５３を備えてもよく、持針器スロットは、針を保持する持針器が、持針器スロットの中に挿入され、それに沿って半径方向内向きに平行移動され、針を針受器内に収納することを可能にするように構成される。図３４５Ｂの分解図に最良に示されるように、針受器は、カバー３４５２ａと、圧縮部材３４５２ｃと、裏材３４５２ｄとを備えてもよく、針は、圧縮部材が針をカバーに対して押動させ、針をセル内に収納するように、圧縮部材とカバーとの間に留置されるように構成されることができる。カバー、圧縮部材、および裏材は、固定整合でともに結合され、回転可能アセンブリ３４５２を形成してもよく、各構成要素の持針器スロットは、他の構成要素の持針器スロットと整合される。例えば、圧縮部材は、裏材に接着結合されてもよく、圧縮部材／裏材アセンブリは、針の厚さに適応するために十分な隙間においてカバーを圧縮部材／裏材アセンブリから離間するように構成される中心ヒンジ３４５２ｂを介して、カバーに結合されてもよい。針受器はさらに、筐体３４５４を備えてもよく、回転可能アセンブリは、針受器の中心軸３４５０ａを中心として回転可能アセンブリの回転を可能にするように、中心ヒンジ３４５２ｂを介して、筐体に結合されることができる。針受器はさらに、図３４４Ａ−３４４Ｃの実施形態を参照して説明される道具搭載界面に類似する道具搭載界面３４５５を備えてもよい。道具搭載界面は、結合部を突出部と空洞との間に固着するように構成される随意の結合部部材３４５６ｂを用いて道具搭載界面の空洞に係合するように構成される、筐体の突出部３４５６ａ等の結合機構３４５６を介して、筐体に結合されてもよい。カバーは、透明材料を含み、針受器内に収納される針の可視化を可能にしてもよい。カバーおよび／または裏材は、エラストマ材料を含み、持針器スロットの幅を最小限に保ち、針端が持針器スロットを通して暴露され得るリスクを減少させながら、持針器スロットに沿った持針器の平行移動を可能にしてもよい。
【１４５８】
図３４５Ｃの拡大図に最良に見られるように、筐体３４５４は、その円周に沿って延在する第１の隆起縁３４５４ａを備えてもよく、第１の隆起縁は、裏材および圧縮部材が入れ子にされ得る、筐体の第１の円形陥凹３４５４ｂを形成する。第１の隆起縁は、ベベル３４５４ｃと、略平坦部分３４５４ｄとを備えてもよく、略平坦部分は、圧縮部材の上面と同一平面であるように構成されることができ、ベベルは、持針器スロット内への持針器の挿入を促進するように構成されることができる。筐体はさらに、それを通して持針器先端の挿入を可能にするように構成される、第１の隆起縁を通して半径方向に延在する少なくとも１つの切り欠き３４５４ｅを備えてもよい。好ましくは、筐体は、図３４５Ｄに示されるように、垂直軸３４５０ｂを横断して相互から対向して配置される２つの切り欠きを備え、一方は、左利きユーザに適応するように構成される、左側切り欠き３４５４ｅｌであって、他方は、右利きユーザに適応するように構成される、右側切り欠き３４５４ｅｒである。筐体はさらに、筐体の周縁を中心として第１の隆起縁から突出する第２の隆起縁３４５４ｆを備えてもよく、カバーは、第２の隆起縁によって形成される第２の円形陥凹３４５４ｇ内に入れ子にされるように構成されてもよい。図３４５Ｄに最良に示されるように、第２の隆起縁は、切り欠き３４５４ｅの両側に延在する切目または中断３４５４ｈを有してもよく、切目の長さは、個々のセルの外縁の長さに対応する。切目は、ユーザがアクセスのために現在利用可能なセルを識別し、持針器スロットの位置特定を促進することに役立ち得る。図３４５Ｂに示されるように、カバーは、圧縮部材および裏材より大きい直径を有してもよく、故に、カバーに適応する第２の円形陥凹は、圧縮部材／裏材アセンブリに適応する第１の円形陥凹より大きい直径を有してもよい。カバーの若干より大きい直径は、収納された針が圧縮部材と筐体の第１の隆起縁との間の間隙を通してセルから潜在的に脱出しないように防止することによって、安全性を改良することに役立ち得る。
【１４５９】
使用時、道具搭載型針受器は、ユーザの非利き手側の手に保持される道具に結合されてもよく、回転可能アセンブリは、ユーザの対向側（利き手側）の手に面する。筐体の切り欠きは、回転可能アセンブリの占有されていないセルの持針器スロットと整合されてもよい。針を収納するために、ユーザは、針を保持する持針器の先端と筐体の切り欠きを整合させ、持針器を持針器スロットに沿って半径方向内向きに平行移動させ、針を圧縮部材とカバーとの間のセル内に留置してもよい。ユーザは、次いで、針を持針器から解放し、回転可能アセンブリを回転させ、筐体の切り欠きと回転可能アセンブリ内の次の占有されていないセルの持針器スロットを整合させてもよい。例えば、ユーザは、持針器を持針器スロットに対して上向きまたは下向きに押動させ、中心ヒンジを介して、中心軸を中心として回転可能アセンブリを回転させてもよい。
【１４６０】
多くの実施形態では、本開示は、１本またはそれを上回る針を収納するためのシステムおよびデバイスを提供する。本明細書に説明される１本またはそれを上回る針を収納するためのシステムおよびデバイスは、使用済み針を収納するために使用される（例えば、針受器としての役割を果たす）、未使用針を分配するために使用される（例えば、縫合パッケージとしての役割を果たす）、またはそれらの組み合わせであり得る。
【１４６１】
多くの実施形態では、本明細書に提供されるシステムおよびデバイスは、１つまたはそれを上回るクリップを利用して、針または他の鋭利手術器具を物理的に収納する。クリップは、物体をクリップおよび／または別の物体に対してある位置および／または配向に保持するために使用される、任意のデバイスを含むことができる。例えば、クリップは、針が落下または脱落しないように防止するように、１本またはそれを上回る針を針受器または縫合パッケージ内の定位置に保持するために使用されることができる。クリップは、物体がクリップおよび／または別の物体に対して移動し得ないように、例えば、最大６自由度の移動に物体の移動を拘束することができる。随意に、クリップは、他の方向に沿った移動を可能にしながら、ある方向に沿って物体の移動を拘束することができる。多くの実施形態では、クリップは、物体を物理的に収納するために、挿入される物体またはその一部を圧縮するように構成される。圧縮力は、クリップの中への物体の挿入を可能にするために十分に応従性であって、かつ物体を定位置に収納するために十分に堅性である、ばねまたは他の可撓性要素を使用して印加されることができる。
【１４６２】
図３４６は、多くの実施形態による、複数の針を収納するためのデバイス３４６０の例示的実施形態を図示する。デバイス３４６０は、使用済み針、未使用針、またはそれらの組み合わせを収納するために使用されることができる。多くの実施形態では、デバイス３４６０は、複数のクリップ３４６１を含み、それぞれ、個別の針３４６２を収納するために使用される。各クリップ３４６１は、基部部分３４６４を介して相互に継合される、第１のアーム部分３４６３ａと、第２のアーム部分３４６３ｂとを含む。第１のアーム部分３４６３ａおよび第２のアーム部分３４６３ｂはそれぞれ、挿入される針３４６２の個別の部分を受容するように成形される、個別のスロット３４６５ａ、３４６５ｂを含むことができる。第１および第２のアーム部分３４６３ａ、３４６３ｂは、針３４６２がクリップ３４３ａの中に挿入されると、針３４６２の端部が第１および第２の部分３４６３ａ、３４６３ｂのスロット３４６５ａ、３４６５ｂ内にしっかりと封入されるように配列されることができる。故に、針３４６２が、クリップ３４６１内に留置されると、ユーザを潜在的に傷害し得る、端部に暴露されない。クリップ３４６１は、針３４６２を定位置に収納するために、スロット３４６５ａ、３４６５ｂ内で針３４６２の端部に対して圧縮力を印加する、ばね材料から形成される、および／またはそれを含むことができる。
【１４６３】
随意に、第１のアーム部分３４６３ａおよび第２のアーム部分３４６３ｂは、針３４６２の中央部分が暴露されるように、間隙３４６６を第１および第２のアーム部分３４６３ａ、３４６３ｂ間に形成するよう相互から離間されることができる。そのような実施形態では、受容された針３４６２は、その中央部分ではなく、その端部のみにおいて収納される。間隙３４６６のサイズは、針３４６２の端部が第１および第２のアーム部分３４６３ａ、３４６３ｂから突出しないであろうことを確実にするために、針３４６２の幾何学形状（例えば、長さおよび／または湾曲）に基づいて選択されることができる。間隙３４６６は、針３４６２をクリップ３４６１の中に挿入する、および／または針３４６２をクリップ３４６１から除去するために、持針器または他の器具の先端に適応するために使用されることができる。
【１４６４】
デバイス３４６０は、１つ、２つ、３つ、４つ、５つ、６つ、７つ、８つ、９つ、１０、またはそれを上回るクリップ等、任意の好適な数のクリップを含むことができる。クリップは、クリップのラックを形成するように、デバイス３４６０の縦軸に沿って線形アレイにおいて配列されることができる。複数のクリップは、単一連続デバイスを形成するように、相互に一体的に形成されることができる。代替として、クリップは、デバイス３４６０のサイズに対する調節を可能にするために、除去可能に結合されることができる。
【１４６５】
図３４７Ａ−３４７Ｄは、多くの実施形態による、複数の針を収納するためのデバイス３４７０の例示的実施形態を図示する。図３４７Ａは、上面図を図示し、図３４７Ｂは、側面図を図示し、図３４７Ｃは、前面図を図示し、図３４７Ｄは、後面図を図示する。デバイス３４７０は、線形アレイにおいて配列され、それぞれ、個別の針３４７２を収納するために使用される、複数のクリップ３４７１を含む。デバイス３４７０のクリップ３４７１は、デバイス３４３０のクリップ３４３２に類似することができる。
【１４６６】
多くの実施形態では、デバイス３４７０は、針タイプ毎に別々に別個の区分を要求せずに、未使用針を分配し、かつ使用済み針を収納するために使用される。使用済みおよび未使用針は、デバイス３４７０内のその配向に基づいて、相互から区別されることができる。例えば、未使用針３４７３は、図３４７Ｄに示されるように、針３４７３の端部が下向きに向いた「下方凹」構成でデバイス３４７０内に位置付けられることができる。本構成は、持針器による針３４７３の暴露された弧状中央部分の把持を促進することができる。使用済み針３４７４は、図３４７Ｃに示されるように、針３４７４の端部が上向きに向いた「上方凹」構成でデバイス３４７０内位置付けられることができる。未使用針３４７３は、デバイス３４７０の後区分３４７５においてクリップから分配されることができる一方、使用済み針３４７４は、デバイス３４７０の前区分３４７６においてクリップを使用して収納されることができる、またはその逆である。随意に、デバイス３４７０の後区分は、例えば、後壁３４７７によって閉鎖されることができる。
【１４６７】
図３４８Ａ−Ｂは、多くの実施形態による、複数の針を収納するためのデバイス３４８０の例示的実施形態を図示する。図３４８Ａは、上面図を図示し、図３４８Ｂは、断面側面図を図示する。各針３４８１は、第１のクリップ３４８３ａと、第２のクリップ３４８３ｂとを含む、個別のクリップアセンブリ３４８２によって収納される。第１のクリップ３４８３ａおよび第２のクリップ３４８３ｂはそれぞれ、針３４８１の個別の端部を受容するように成形される、個別のスロット３４８４ａ、３４８４ｂを含む。クリップ３４８３ａ、３４８３ｂは、任意の暴露された端部を伴わずに針３４３２を定位置に収納するために、スロット３４８４ａ、３４８４ｂ内の針３４８１の端部に対して圧縮力を印加する、ばね材料から形成される、および／またはそれを含むことができる。第１のクリップ３４８３ａおよび第２のクリップ３４８３ｂは、針３４８１がデバイス３４８０の平面と略平行方向に沿ってクリップアセンブリ３４８２の中に挿入され得るように、スロット３４８４ａ、３４８４ｂの開口部が相互に面する状態で配列される。
【１４６８】
随意に、第１のクリップ３４８３ａおよび第２のクリップ３４８３ｂは、針３４８１の中央部分が暴露されるように、間隙３４８５を第１および第２のクリップ３４８３ａ、３４８３ｂ間に形成するよう相互から離間されることができる。そのような実施形態では、受容された針３４８１は、その中央部分ではなく、その端部においてのみ収納される。間隙３４８５のサイズは、針３４８１の端部が第１および第２のクリップ３４８３ａ、３４８３ｂから突出しないであろうことを確実にするために、針３４８１の幾何学形状（例えば、長さおよび／または湾曲）に基づいて選択されることができる。
【１４６９】
複数のそのようなクリップアセンブリを提供することによって、デバイス３４８０は、複数の針を平面アレイにおいて保持するために使用されることができる。デバイス３４８０は、１つ、２つ、３つ、４つ、５つ、６つ、７つ、８つ、９つ、１０、またはそれを上回るクリップアセンブリ等、任意の好適な数のクリップアセンブリを含むことができる。クリップアセンブリは、クリップアセンブリのラックを形成するように、デバイス３４８１の縦軸に沿って線形アレイにおいて配列されることができる。複数のクリップアセンブリは、単一連続デバイスを形成するように、相互に一体的に形成されることができる。代替として、クリップアセンブリは、デバイス３４８０のサイズに対する調節を可能にするように、除去可能に結合されることができる。
【１４７０】
図３４９Ａ−Ｂは、多くの実施形態による、複数の針を収納するためのデバイス３４９０の例示的実施形態を図示する。図３４９Ａは、斜上図を図示し、図３４９Ｂは、断面側面図を図示する。デバイス３４９０は、１本またはそれを上回る針３４９３を受容および収納するための伸長スロット３４９２を画定する、筐体３４９１を含む。スロット３４９２は、針３４９３の個別の部分（例えば、端部）を受容するように成形される、第１のスロット部分３４９４ａと、第２のスロット部分３４９４ｂとを含む。第１および第２のスロット部分３４９４ａ、３４９４ｂを囲繞する筐体３４９１の部分は、筐体３４９１自体が針３４９３を物理的に収納するための「クリップ」としての役割を果たすように、針３４９３の端部に圧縮力を印加する、ばね材料から形成される、および／またはそれを含むことができる。随意に、針３４９３が縫合糸を担持する実施形態では、縫合糸３４９７の終端部分はまた、筐体３４９１内に受容される、または筐体３４９１に結合される可撓性マルチスロット管もしくはリボン内に担持されることができる。
【１４７１】
多くの実施形態では、スロット３４９２は、筐体３４９１の長さに沿って形成される伸長開口部３４９５を画定するように、筐体３４９１の上面まで延在する。随意に、スロット３４９２は、筐体３４９１の底面に向かって針３４９３の平面の下方に延在することができる。図３４９Ｂから分かるように、開口部３４９５の位置付けは、針３４９３がその端部によって筐体３４９１内に収納される一方、針３４９３の中央部分が暴露される結果をもたらす。スロット３４９２の幾何学形状は、針３４９３の暴露された中央部分を把持し、例えば、未使用針を除去する、または使用済み針を挿入するために、筐体３４９１の中への持針器先端の挿入を可能にする。例えば、使用済み針は、針および持針器とスロット３４９２を整合させ、針をスロット３４９２の中に矢印３４９６によって示される方向に沿って摺動させ、次いで、所望の位置に到達すると、針を持針器から解放することによって収納されることができる。別の実施例として、未使用針は、持針器の先端を開口部３４９５の中に挿入し、針の暴露された中央部分を持針器を用いて把持し、次いで、針をスロット３４９２内で矢印３４９６によって示される方向に沿って筐体３４９１から出るように摺動させることによって、デバイス３４９０から除去されることができる。有利には、本実施形態は、筐体３４９１を開閉せずに、針の収納および／または分配を可能にし、したがって、使用の容易性を改良する。
【１４７２】
図３５０Ａ−Ｂは、多くの実施形態による、複数の針を収納するためのデバイス３５００の例示的実施形態を図示する。図３５０Ａは、上面図を図示し、図３５０Ｂは、側面図を図示する。デバイス３５００は、第１のアーム部分３５０２ａと、第２のアーム部分３５０２ｂとを含む、Ｕ形状の筐体３５０１を含む。各アーム部分は、アーム部分の長さに沿って延在するスロット３５０３を含む。第１および第２のアーム部分３５０２ａ、３５０２ｂは、針３５０４が筐体３５０１の中に挿入されると、針３５０４の端部が、第１および第２のアーム部分３５０２ａ、３５０２ｂのスロット３５０３内にしっかりと封入されるように配列されることができる。筐体３５０１のアーム部分３５０２ａ、３５０２ｂは、針３５０３を定位置に収納するために、スロット３５０３内で針３５０４の端部に対して圧縮力を印加する、ばね材料から形成される、および／またはそれを含むことができる。代替として、または組み合わせて、各アーム部分は、変形可能材料（例えば、発泡体、シリコーンゴム、複合材）から形成されるライニング３５０５を含み、スロット内への針３５０３の保定を促進することができる。ライニング３５０５は、アーム部分の上内面３５０６ａ、アーム部分の下内面３５０６ｂ、または両表面上に位置することができる。
【１４７３】
多くの実施形態では、第１のアーム部分３５０２ａおよび第２のアーム部分３５０２ｂは、針３５０４の中央部分が暴露されるように、間隙３５０７を第１および第２のアーム部分３５０２ａ、３５０２ｂ間に形成するよう相互から離間されることができる。そのような実施形態では、受容された針３５０４は、その中央部分ではなく、その端部においてのみ収納される。間隙３５０７のサイズは、針３５０４の端部が第１および第２のアーム部分３５０２ａ、３５０２ｂから突出しないであろうことを確実にするために、針３５０４の幾何学形状（例えば、長さおよび／または湾曲）に基づいて選択されることができる。間隙３５０７は、例えば、針３５０４の暴露された中央部分を把持するために、間隙３５０７の中への持針器先端の挿入に適応するように成形されることができる。例えば、持針器は、例えば、針をスロット３５０３に沿って筐体３５０１の後部分３５０８ａからデバイス３５０１の前部分３５０８ｂに向かって整合および摺動させることによって、使用済み針をデバイス３５００の中に留置するために使用されることができる。随意に、筐体３５０１は、受容された針を筐体３５０１内に「閉じ込める」ように、前部分３５０８ｂにおいて閉鎖されることができる。
【１４７４】
図３５１Ａ−Ｃは、多くの実施形態による、複数の針を収納するためのデバイス３５１０の例示的実施形態を図示する。図３５１Ａは、上面図を図示し、図３５１Ｂは、側面図を図示し、図３５１Ｃは、前面図を図示する。デバイス３５１０は、ヒンジ部材３５１４によって相互に移動可能に結合される、上壁３５１２と、下壁３５１３とを含む、筐体３５１１を含む。上および下壁３５１２、３５１３は、例えば、矢印３５１８によって示される方向に沿って、相互に対して移動可能であってもよい。上壁３５１２と下壁３５１３との間の空間は、１本またはそれを上回る針３５１６を受容するための伸長スロット３５１５を形成する。ヒンジ部材３５１４は、挿入された針３５１６が上壁３５１２および下壁３５１３によって付与される圧縮力によってスロット３５１５内に収納されるように、上壁３５１２および下壁３５１３を相互に向かって付勢するようばね荷重されることができる。
【１４７５】
多くの実施形態では、筐体３５１１は、針３５１６がスロット３５１５内に受容されると針３５１６の端部を捕捉および封入するように配列される、側方壁３５１７を含む。描写される実施形態では、側方壁３５１７は、下壁３５１３が側方壁３５１７間に位置付けられるように、上壁３５１２に継合される。代替実施形態では、側方壁３５１７は、下壁３５１３に継合されることができ、上壁は、側方壁３５１７間に位置付けられることができる。
【１４７６】
多くの実施形態では、上壁３５１２は、挿入された針３５１６の中央部分が暴露されるように、スロット３５１５に接続される開口部３５１９を含む。そのような実施形態では、受容された針３５１６は、その中央部分ではなく、その端部においてのみ収納される。間隙３５１９は、針３５１６を挿入する、および／またはデバイス３５１０から除去するために、例えば、針３５１６の暴露された中央部分を把持しながら、間隙３５１９の中への持針器先端の挿入に適応するように成形されることができる。
【１４７７】
図３５２Ａ−Ｃは、多くの実施形態による、複数の針を収納するためのデバイス３５２０の例示的実施形態を図示する。図３５２Ａは、上面図を図示し、図３５２Ｂは、側面図を図示する。デバイス３５２０は、複数のクリップ３５２１を含み、それぞれ、個別の針を収納するために使用される。各クリップ３５２１は、第１のアーム部分３５２２ａと、第２のアーム部分３５２２ｂとを伴う、Ｕ形状であることができ、アーム部分はそれぞれ、挿入された針３５２４の個別の端部を受容するように成形される、スロット３５２３を含むことができる。第１および第２のアーム部分３５２２ａ、３５２２ｂは、針３５２４がクリップ３５２１の中に挿入されると、針３５２４の端部が第１および第２のアーム部分３５２２ａ、３５２２ｂのスロット３５２３内にしっかりと封入されるように配列されることができる。クリップ３５２１は、任意の暴露される端部を伴わずに針３５２４を定位置に収納するために、スロット３５２３内で針３５２４の端部に対して圧縮力を印加する、ばね材料から形成される、および／またはそれを含むことができる。本明細書の他の実施形態と同様に、アーム部分３５２２ａ、３５２２ｂは、針３５２４の中央部分が暴露されるように、間隙３５２５を形成するよう離間されることができる。そのような実施形態では、受容された針３５２４は、その中央部分ではなく、その端部においてのみ収納される。間隙３５２５のサイズは、針３５２５の端部がクリップ３５２１から突出しないであろうことを確実にするために、針３５２４の幾何学形状（例えば、長さおよび／または湾曲）に基づいて選択されることができる。間隙３５２５は、持針器または他の器具を使用したクリップ３５２１の中への針３５２４の挿入および／またはクリップ３５２１からの針３５２４の分配を促進するために使用されることができる。
【１４７８】
各クリップ３５２１は、水平配向に沿って針３５２４の挿入を可能にする。水平は、本明細書では、針が地面と整合される、および／またはそれと略平行な方向に沿って挿入されるように、クリップのスロットの平面が地面と整合される、および／またはそれと略平行である配向を指すために使用され得る（例えば、矢印３５２６によって示されるように）。水平針挿入のために構成されるデバイスは、いくつかの事例では、他の方向（例えば、垂直方向）に沿った挿入のために構成されるデバイスより安全であり得、また、複数の針を収納するためのより薄型を提供し得る。
【１４７９】
多くの実施形態では、デバイス３５２０の複数のクリップ３５２１は、相互に積み重ねられるように構成される。図３５２Ｃは、複数のクリップがともに積み重ねられる、デバイス３５２０の例示的構成を図示する。２つ、３つ、４つ、５つ、６つ、７つ、８つ、９つ、１０、またはそれを上回るクリップ等、任意の好適な数のクリップが、ともに積み重ねられてもよい。クリップは、各クリップがデバイス３５２０に沿って異なる高さに位置するように、垂直に積み重ねられてもよい。各クリップのスロットの平面は、各針が水平配向に沿って挿入されるように、相互に略平行であり得る。クリップの高さは、垂直方向に沿ってオフセットされ、針の挿入に対して邪魔のない経路を可能にし、持針器先端に適応することができる。多くの実施形態では、積み重ねられると、クリップ３５２１の間隙３５２５は、持針器先端が各クリップに対して妨害されない経路を有するように、相互に整合される。
【１４８０】
デバイス３５２０の積重可能クリップ３５２１は、例えば、スナップ嵌合、締まり嵌め、相互係止構造、および同等物を使用して、相互に除去可能に結合されることができる。除去可能に結合されるクリップが使用される実施形態では、デバイス３５２０内のクリップの数は、対応する針の数に適応するために、クリップを除去または追加することによって、所望に応じて変動されることができる。代替として、デバイス３５２０のクリップ３５２１は、例えば、接着剤、締結具、および同等物を使用して、または相互に一体的に形成されることによって、積み重ねられた構成において相互に恒久的に添着されることができる。
【１４８１】
図３５３は、多くの実施形態による、針を収納するための３５３１クリップアセンブリ３５３０の例示的実施形態を図示する。クリップアセンブリ３５３０は、第１のクリップ３５３２と、第２のクリップ３５３３とを含むことができる。各クリップは、前外側３５３４ａと、後外側３５３４ｂと、前内側３５３５ａと、および後内側３５３５ｂとを含むことができる。本明細書で使用されるように、「前」および「後」は、針３５３１のための挿入方向３５３６に対して定義され得る一方、「内側」および「外側」は、それぞれ、針３５３１のより近いおよびより遠い部分を指すために使用され得る。多くの実施形態では、各クリップ３５３２、３５３３の内側３５３５ａ、３５３５ｂは、針３５３１の個別の端部を受容するための個別のクリップの内部のスロットを画定するように開放される。各クリップ３５３２、３５３３の外側３５３４ａ、３５３４ｂは、針３５３１の端部を個別のクリップ内に封入するように閉鎖されることができる。クリップ３５３２、３５３３は、クリップ３５３２、３５３３間の持針器３５３７の先端に適応するように、ある量だけ相互から離間されることができる。本明細書の他の実施形態と同様に、持針器３５３７は、それをクリップアセンブリ３５３０の中に挿入方向３５３６に沿って挿入するために、針３５３１の中央部分を把持するために使用されることができる。挿入されると、針３５３１の端部は、クリップ３５３２、３５３３内に封入される一方、針３５３１の中央部分は、暴露される。
【１４８２】
多くの実施形態では、クリップ３５３２、３５３３はそれぞれ、各クリップ３５３２、３５３３の側面３５３４ａ、３５３４ｂ、３５３５ａ、３５３５ｂが挿入方向３５３６に対して平行または直交ではないように、針３５３１のための挿入方向３５３６に対して斜角で配向される。斜角は、針３５３１が、図３５３に図示されるように、凸側を先頭として挿入方向３５３６に沿って挿入されると、クリップ３５３２、３５３３の前外側３５３４ａが、停止部として作用し、針３５３１の端部を捕獲および拘束するように、針３５３１の幾何学形状（例えば、長さおよび／または湾曲）に基づいて選択されることができる。故に、クリップ３５３２、３５３３の配向は、針３５３１が挿入方向３５３６に沿って移動され得る範囲を判定することが分かる。
【１４８３】
図３５４Ａ−Ｇは、多くの実施形態による、複数の針を収納するためのデバイス３５４０の例示的実施形態を図示する。図３５４Ａは、デバイス３５４０の上面図を図示する。デバイス３５４０は、上壁３５４２と、下壁３５４３とを含む、筐体３５４１を含む。上壁３５４２および下壁３５４３は、相互に一体的に形成されることができる。代替として、上壁３５４２および下壁３５４３は、除去可能または除去不可能に相互に結合される、離散構成要素として提供されることができる。スロット３５４４が、１本またはそれを上回る針が上壁３５４２と下壁３５４３との間に受容され得るように、上壁３５４２と下壁３５４３との間に形成される。スロット３５４４は、伸長開口部３５４５ａが上壁３５４２内に形成されるように、筐体３５４１の上壁３５４２通して延在することができる。代替として、または組み合わせて、スロット３５４４は、伸長開口部３５４５ｂを下壁３５４３内に形成するように、筐体３５４３の下壁３５４３通して延在することができる。本明細書に提示される他の実施形態と同様に、伸長開口部３５４５ａおよび／または伸長開口部３５４５ｂは、針が、持針器を用いて針の中央部分を把持し、次いで、針をスロット３５４４を通して矢印３５４６によって示される方向に沿って摺動させることによって、デバイス３５４０の中に挿入され得るように、持針器に適応するように成形されることができる。挿入された針の端部は、上壁３５４２と下壁３５４３との間に収納される一方、針の中央部分は、開口部３５４５および／または開口部３５４６を介して暴露される。デバイス３５４０の前端は、挿入方向３５４６に沿った針の移動の範囲を拘束するように閉鎖されることができる。
【１４８４】
多くの実施形態では、上壁３５４２は、複数の細隙または開窓３５４７を含む。代替として、または組み合わせて、複数の開窓は、下壁３５４３内に形成されることができる。開窓３５４７は、デバイス３５４０の縦軸に沿って相互に略平行に配列されることができる。開窓３５４７間の間隔は、上壁３５４２および／または下壁３５４３の全体的堅性を変調するために使用されることができる。例えば、広く離間された開窓は、より高い堅性をもたらし得る一方、狭く離間された開窓は、より低い堅性をもたらし得る。各隣接する対の開窓間の上壁３５４２および／または下壁３５４３の部分は、個別の針を収納するための個々の「クリップ」として作用すると見なされ得る。故に、複数の開窓３５４７が、複数の針をデバイス３５４０内に収納するための「クリップ」の線形アレイを画定するために使用されることができる。
【１４８５】
上壁３５４２および下壁３５４３は、針を定位置に収納するために、スロット３５４４内の針の端部に対して圧縮力を印加する、ばね材料から形成される、および／またはそれを含むことができる。故に、上壁３５４２および下壁３５４３を継合する筐体３５４１の側方部分３５４８は、上壁３５４２および下壁３５４３を相互に向かって付勢する、ばね荷重ヒンジとして作用することができる。側方ヒンジ部分３５４８の設計は、受容された針に印加される圧縮力を調整するために使用されることができる。例えば、図３５４Ｃに図示されるように、上壁３５４２および下壁３５４３は、開口部３５４５および／または開口部３５４６から離れた部分におけるスロット３５４４の高さＡが開口部３５４６および／または開口部３５４６の近傍の部分においてスロット３５４４の高さＢを上回り得るように、相互に向かって付勢されることができる。随意に、図３５４Ｄに図示されるように、上壁３５４２の内面および／または下壁３５４３の内面は、変形可能材料（例えば、発泡体、シリコーンゴム、複合材）から形成されるライニング３５４９を含み、スロット内への針の保定をさらに促進することができる。
【１４８６】
多くの実施形態では、上壁３５４２および下壁３５４３の内面は、図３５４Ｅに図示されるように、相互に略平行に配列される。本配列は、針が挿入方向に沿って前進されるにつれて、略一定抵抗を生成することができる。代替実施形態では、内面は、ベベル縁を伴う「クリップ」の線形アレイを形成するように、図３５４Ｆおよび３５４Ｇに図示されるように、相互に対してある角度で配列されることができる。本配列は、針が単一「クリップ」内で挿入方向に沿って前進されるにつれて、抵抗の線形増加を生成し、その後、針が１つの「クリップ」から退出し、次の「クリップ」に進入するにつれて抵抗の降下が続くことができる。本可変抵抗は、例えば、デバイス３５４０内における針のより正確な位置付けのために、ユーザが次の「クリップ」に到達したときを判定することを可能にする、触覚フィードバックを提供することができる。
【１４８７】
図３５５Ａ−Ｂは、多くの実施形態による、複数の針を収納するためのデバイス３５５０の例示的実施形態を図示する。デバイス３５５０は、上壁３５５２と、下壁３５５３とを含む、筐体３５５１を含む。上壁３５５２および下壁３５１３は、相互に一体的に形成されることができる。代替として、上壁３５５２および下壁３５５３は、除去可能にまたは除去不可能に相互に結合される、離散構成要素として提供されることができる。スロット３５５４は、１本またはそれを上回る針が上壁３５５２と下壁３５５３との間に受容され得るように、上壁３５５２と下壁３５５３との間に形成される。スロット３５５４は、伸長開口部３５５５が上壁３５１２内に形成されるように、筐体３５５１の上壁３５５２を通して延在することができる。本明細書に提示される他の実施形態と同様に、伸長開口部３５５５は、針が、持針器を用いて針の中央部分を把持し、次いで、針をスロット３５５４を通して矢印３５５６によって示される方向に沿って摺動させることによって、デバイス３５５０の中に挿入され得るように、持針器に適応するように成形されることができる。挿入された針の端部は、上壁３５５２と下壁３５５３との間に収納される一方、針の中央部分は、開口部３５５５を介して暴露される。デバイス３５５０の前端は、挿入方向３５５６に沿った針の移動の範囲を拘束するように閉鎖されることができる。
【１４８８】
上壁３５５２および下壁３５５３は、針を定位置に収納するために、スロット３５５４内で針の端部に対して圧縮力を印加する、ばね材料から形成される、および／またはそれを含むことができる。多くの実施形態では、１つまたはそれを上回る開窓または細隙３５５７が、対応する１つまたはそれを上回るタブ３５５８を上壁３５５２内に画定するように、上壁３５５２内に形成される。例えば、図３５５Ａに示されるように、一対のＵ形状の細隙３５５７が、一対の伸長タブ３５５８を伸長開口部３５５５の両側の上壁３５５２内に画定するように、伸長開口部３５５５の両側の上壁３５５２内に形成される。伸長タブ３５５８の縦軸は、デバイス３５５０の縦軸と整合されることができる。各タブ３５５８のヒンジ部分３５５９は、デバイス３５５０の前端の近傍に位置することができる。随意に、図３５５Ｂ（中央）に図示されるように、タブ３５５８は、受容された針に圧縮力を印加するように、上壁３５５２の周囲部分に対して内向きに付勢されることができる。加えて、図３５５Ｂ（下）に図示されるように、タブ３５５８および／または下壁３５５３の内面は、変形可能材料（例えば、発泡体、シリコーンゴム、複合材）から形成されるライニング３５５９を含み、スロット３５５４内への針の保定をさらに促進することができる。
【１４８９】
クリップの使用の代替として、またはそれに加え、本明細書に説明されるシステムおよびデバイスは、他の機構を使用して、１本またはそれを上回る針を物理的に収納することができる。例えば、発泡体等の変形可能材料が、それを非侵害性にするために針の端部に交絡させるために使用されることができる。交絡は、針が変形可能材料の中に穿刺または貫入されると生じ得る。変形可能材料は、ユーザを針刺し等に起因する傷害から保護するように、針端をカプセル化することができる。加えて、いったん変形可能材料によって交絡されると、針の移動は、針が弛緩または脱落するリスクを低減させるように拘束され得る。別の実施例として、接着材料が、１本またはそれを上回る針をデバイス内に物理的に収納するために使用されることができる。接着材料は、その移動を拘束し、かつ針の端部を装入し、それらを非侵害性にするように、針を被覆および／または装入するために使用されることができる。
【１４９０】
図３５６は、多くの実施形態による、複数の針を収納するためのデバイス３５６０の例示的実施形態を図示する。デバイス３５６０は、本明細書で前述されたデバイス３４７０および３４８０に類似してもよい。デバイス３５６０は、上壁３５６２と、下壁３５６３とを含む、筐体３５６１を含む。上壁３５６２と下壁３５６３との間の空間は、１本またはそれを上回る針３５６５の端部を受容および収納するための伸長スロット３５６４を形成する。上壁３５６２は、挿入された針３５６５の中央部分が暴露されるように、スロット３５６５に接続される開口部３５６６を含む。そのような実施形態では、受容された針３５６５は、その中央部分ではなく、その端部においてのみ収納される。開口部３５６６は、針３５６５を挿入および／またはデバイス３５６０から除去するために、例えば、針３５６５の暴露された中央部分を把持しながら、開口部３５６６の中への持針器先端の挿入に適応するように成形されることができる。
【１４９１】
多くの実施形態では、筐体３５６１は、針３５６６がスロット３５６５内に受容されると、針３５６６の端部を捕捉および封入するように配列される、側方壁３５６６を含む。描写される実施形態では、側方壁３５６７は、下壁３５６３が側方壁３５６７間に位置付けられるように、上壁３５６２に継合される。代替実施形態では、側方壁３５６７は、下壁３５６３に継合されることができ、上壁は、側方壁３５６７間に位置付けられることができる。
【１４９２】
多くの実施形態では、上壁３５６２および下壁３５６２は、針３５６５を定位置に収納するために、スロット３５６４内で針３５６５の端部に対して圧縮力を印加する、ばね材料から形成される、および／またはそれを含むことができる。代替として、または組み合わせて、デバイス３５６０は、スロット３５６４の中に挿入されるにつれて針３５６５の端部に交絡させるために好適な発泡体または任意の他の変形可能材料から形成される、一対の伸長ブロック３５６６ａ、３５６６ｂを含むことができる。ブロック３５６６ａ、３５６６ｂは、同一材料または異なる材料から形成されることができる。ブロック３５６６ａ、３５６６ｂは、上壁３５６２と下壁３５６３との間に位置付けられ、デバイス３５６０の縦軸と整合されることができる。ブロック３５６６ａ、３５６６ｂ間の距離は、針３５６５が凸側を先頭にした配向でスロット３５６４内で前進されることを可能にするために十分に離れる一方、また、端部がブロック３５６６ａ、３５６６ｂの外側限界内に位置付けられるにつれて、針３５６５の端部によって発泡体の変形を生じさせるために十分にともに近接するように、針３５６５の幾何学形状（例えば、長さおよび／または湾曲）に基づいて判定されることができる。多くの実施形態では、発泡体は、針端による発泡体の変形、針端による発泡体の穿刺、発泡体内への針端の交絡および／または閉じ込め、もしくは発泡体内への針端の間接貫入（例えば、針端が発泡体ブロックの表面に対して略直交関係に発泡体を横断して引っ張られるときに生じる貫入）のうちの１つまたはそれを上回る機構を通して、針３５６５をデバイス３５６０内に保定するために使用されることができる。例えば、針３５６５を凸側を先頭にした配向でスロット３５６４内で前進させることは、最初に、発泡体の変形をもたらし、その後、二次効果として、発泡体の受動穿刺が続き得る。多くの実施形態では、挿入された針３５６５をデバイス３５６０内から除去するための力の量は、針をデバイス３５６０の中に導入するための力の量を上回る。
【１４９３】
図３５７Ａ−Ｃは、多くの実施形態による、複数の針を収納するためのデバイス３５７０の例示的実施形態を図示する。デバイス３５７０は、上のＵ形状の圧縮要素３５７１と、下のＵ形状の圧縮要素３５７２とを含む。各圧縮要素は、個別の第１のアーム部分３５７３ａと、第２のアーム部分３５７３ｂとを含む。スロット３５７４は、上圧縮要素３５７１と下圧縮要素３５７２との間の各アーム部分内に形成され、挿入された針３５７５の対応する部分を受容するように成形される。多くの実施形態では、第１のアーム部分３５７３ａおよび第２のアーム部分３５７３ｂは、挿入された針３５７５の中央部分が暴露されるように、間隙３５７６だけ離間される。間隙３５７６は、針３５７５を挿入および／またはデバイス３５７０から除去するために、例えば、針３５７５の暴露された中央部分を把持しながら、間隙３５７６の中への持針器先端の挿入に適応するように成形されることができる。多くの実施形態では、上および下圧縮要素３５７１、３５７２は、それを定位置に収納するために圧縮力を受容された針３５７５に付与する、クリップを形成する。代替実施形態では、上および下圧縮要素３５７１、３５７２は、圧縮力を針３５７５付与しない、受動要素である。
【１４９４】
多くの実施形態では、上および下圧縮要素３５７１、３５７２は、針３５７４がデバイス３５７０の中に挿入されると、針３５７４の端部が圧縮要素３５７１、３５７２の外縁から外向きに突出するように、針３５７４の幾何学形状（例えば、長さおよび／または湾曲）に基づいて成形される。針３５７４の暴露された端部は、接着ケーシング３５７７の使用を通して非侵害性にされることができる。接着ケーシング３５７７は、暴露された針端が位置する、「境界ゾーン」に跨架する第１および第２のアーム部分３５７３ａ、３５７３ｂの外縁に取り付けられることができる。多くの実施形態では、接着ケーシング３５７７は、図３５７Ｂに図示されるように、暴露された針端を封入するように、上圧縮要素３５７１および下圧縮要素３５７２の両方に接続されることができる。いったん針３５７４が、デバイス３５７０の中に前進されると、接着ケーシング３５７７の上部分３５７８ａおよび下部分３５７８ｂは、図３５７Ｃに図示されるように、針端部を物理的に収納し、それによって、針３５７４を非侵害性にするように、ともに圧入されることができる。接着接合は、接着ケーシング３５７７の上部分および下部分３５７８ａ、３５７８ｂならびに針３５７４が、いったん接着収納されると、相互から容易に分離され得ないように、十分に強固であり得る。
【１４９５】
図３５８は、多くの実施形態による、複数の針を収納するためのデバイス３５８０の例示的実施形態を図示する。デバイス３５８０は、複数の下接着パネル３５８２を有する、下面３５８１と、複数の上接着パネル３５８４を有する、上面３５８３とを含む。各接着パネルのサイズおよび形状は、針３５８５の端部がパネルの境界を過ぎて延在しないように、パネル上に留置される針３５８５の全体に及ぶように構成されることができる。多くの実施形態では、接着パネルは、針３５８５がパネル上に留置されると、針３５８５を物理的に収納可能な接着材料を含む、および／またはそれから形成される。随意に、軽い圧力が、パネルへの緊密な接着力を確実にするために、針３５８５に印加されてもよい。多くの実施形態では、針３５８５は、最初に、下接着パネル３５８２上に留置される。対応する上接着パネル３５８４は、次いで、針３５８５を封入し、それを非侵害性にするために、畳目３５８６に沿って折重される。上接着パネル３５８４は、各上接着パネル３５８４が独立して折重されることを可能にするように、切断３５８７によって相互から分離されることができる。接着接合は、下接着パネル３５８２、上接着パネル３５８４、および針３５８５が、いったん接着収納されると、相互から容易に分離され得ないように、十分に強固であり得る。加えて、接着パネルは、封入された針３５８５の鋭利端がパネルを通して穿刺し得ないように、十分な強度および／または厚さを伴う材料から形成されることができる。
【１４９６】
図３５９は、多くの実施形態による、針３５９１を収納するためのデバイス３５９０の例示的実施形態を図示する。デバイス３５９０は、発泡体ブロックまたはカプセル３５９２と、クリップ３５９３とを含む。針３５９１を収納するために、針３５９１の鋭利前端は、発泡体ブロック３５９２の中に穿刺または貫入される。随意に、発泡体ブロック３５９２は、保護外側シェルを含み、鋭利端が発泡体ブロック３５９２の表面を通して穿刺し、暴露されないように防止することができる。クリップ３５９３が、次いで、針３５９１の鈍的終端を収納するために使用される。故に、針３５９１の両端は、非侵害性にされる。
【１４９７】
図３６０Ａ−Ｃは、多くの実施形態による、複数の針を収納するためのデバイス３６００の例示的実施形態を図示する。デバイス３６００は、対応する複数の発泡体ブロックまたはカプセル３６０２を保持するための複数の針受器を伴う、ラック３６０１を含む。針３６０３は、鋭利前端を発泡体ブロック３６０２の中に穿刺または貫入することによって、非侵害性にされることができる。各ブロック３６０２は、随意に、鋭利端が発泡体ブロック３５６２の表面を通して穿刺し、暴露されないように防止するように構成される、保護外側シェルを含むことができる。ユーザ（例えば、外科医）は、次いで、第２のユーザ（例えば、器械出し助手）が、各針を個々に取り扱う必要なく、したがって、手渡し中の針刺しまたは他の傷害のリスクを低減させるように、収納された針を伴うラック３６０１全体を第２のユーザに手渡すことができる。
【１４９８】
多くの実施形態では、各発泡体ブロック３６０２はまた、針３６０３が挿入される端部から離れたブロック３６０２の端部に末端３６０４を含む。代替として、ユーザは、持針器３６０４を使用して、各針３６０３を発泡体ブロック３６０２の中に貫入することができる。末端３６０４は、ユーザが直接針自体に触れることを要求せず、収納された針の取扱を可能にし、それによって、安全性を改良することができる。例えば、ユーザ（例えば、外科医）は、持針器３６０５を使用して、針３６０３を発泡体ブロック３６０２の中に貫入することができ、第２のユーザ（例えば、器械出し助手）は、末端３６０４を使用して、収納された針３６０３を取り扱うことができる。随意に、末端３６０４は、図３６０Ｃに示されるように、収納された針３６０３を壁または他の表面３６０６上に吊架し、例えば、全ての針が勘定されることを確実にするために、外科的手技中または後における針の計数を促進するために使用されることができる。
【１４９９】
デバイス３６００は、針３６０３の鈍的終端もまた収納せずに、発泡体ブロック３６０２を介して、針３６０３の鋭利前端のみを収納するために使用されることができる。収納されない終端は、手袋の引裂、手術衣への引っ掛かり等の潜在性に起因して、手術野内で危険となり得るが、針３６０３が近傍手術野外の器械出し助手に直ちに搬送される実施形態では、終端を収納する必要がない場合がある。代替実施形態では、図３６０Ａ−Ｃの実施形態はさらに、針３６０３の両端が非侵害性にされるように、デバイス３５６０に類似するクリップで針３６０３の終端を収納するステップを伴ってもよい。
【１５００】
図３６１Ａは、多くの実施形態による、複数の針を収納するためのデバイス３６１０ａの例示的実施形態を図示する。デバイス３６１０ａは、発泡体コア３６１２を封入する、筐体３６１１を含む。発泡体コア３６１２は、発泡体コア３６１２を通して通過するタブまたは他の締結具３６１３を介して、固定位置および配向において筐体３６１１に添着されることができる。筐体３６１１は、１本またはそれを上回る針３６１５のための挿入経路を画定する、湾曲スロット３６１４を含む。湾曲スロット３６１４の幾何学形状（例えば、長さおよび／または湾曲）は、筐体３６１１内の内部空間の中への針３６１５の挿入を可能にするように、針３６１５の幾何学形状（例えば、長さおよび／または湾曲）に基づいて判定されることができる。多くの実施形態では、針３６１５は、以下の手順に従って、デバイス３６１０ａを使用して非侵害性にされる。最初に、針３６１５の鋭利前端が針の鋭利端が発泡体コア３６１２から離れるように、スロット３６１４を介して、挿入軌道に沿って筐体３６１１の中に挿入される。針３６１５は、次いで、回転され、針を発泡体コア３６１２の中に貫入または穿刺し、したがって、針をデバイス３６１０ａ内に物理的に収納する。随意に、１つまたはそれを上回るタブ３６１６が、筐体３６１１内における針３６１５の移動を拘束および誘導するために、筐体３６１１の内部に位置付けられることができる。本手順は、複数の針をデバイス３６１０ａ内に収納するために、複数の針で繰り返されることができる。
【１５０１】
図３６１Ｂは、多くの実施形態による、複数の針を収納するためのデバイス３６１０ｂの例示的実施形態を図示する。デバイス３６１０ｂの構成要素は、デバイス３６１０ａのものに類似するが、デバイス３６１０ｂは、筐体３６１１に対して発泡体コア３６１７の回転を可能にする回転タブまたは他の回転締結具３６１８を介して筐体３６１１に結合される、発泡体コア３６１７を含む。多くの実施形態では、針３６１５は、以下の手順に従って、デバイス３６１０ｂを使用して非侵害性にされる。最初に、針３６１５の鋭利前端が、針３６１５の鋭利端が発泡体コア３６１７の中に貫入または穿刺されるように、スロット３６１４を介して、挿入軌道に沿って筐体３６１１の中に挿入される。発泡体コア３６１７が、次いで、針３６１５を筐体３６１１の後方に移動させ、したがって、付加的針が挿入されるための空間を空けるように、針３６１５を矢印３６１９によって示される方向に沿って押動させることによって（例えば、持針器または他の器具を使用して）回転される。
【１５０２】
図３６２Ａ−３６２Ｄは、回転可能カバー３６２１を伴う、針受器３６２０の実施形態を図示する。針受器は、個々の針Ｎを格納するための複数のセルまたはコンパートメント３６２３を伴う、円形筐体３６２２を備えてもよい。各コンパートメントは、コンパートメントを隣接するコンパートメントから分離する、湾曲壁３６２４を備えてもよく、針は、各コンパートメント内に留置されてもよく、針の湾曲は、湾曲壁の湾曲と実質的に整合され、したがって、針受器上で利用可能なコンパートメントの数を最大限にする。各コンパートメントは、随意に、針をコンパートメントの基部にしっかりと結合するための磁気または接着基部３６２５をさらに備えてもよい。針受器はさらに、回転可能中心ヒンジ３６２６を介して筐体に結合するように構成される、円形カバー３６２１を備えてもよい。カバーは、単一コンパートメントと整合され、コンパートメントへのアクセスを可能にし得る、窓３６２７を備えてもよい。窓は、筐体コンパートメントの湾曲壁と実質的に整合するように構成される、湾曲壁によって形成されてもよい。カバーは、針受器の中心軸３６２０ａを中心として回転され、針をコンパートメント内に封入し、次の針の収納のために、隣接する占有されていないコンパートメントを暴露してもよい。図３６２Ｂおよび３６２Ｃに示されるように、窓は、カバーのベベル縁３６２８を伴って形成され、カバーが窓と次のコンパートメントを整合させるように回転されると、針を平坦にさせてもよい。例えば、窓を画定するカバーの湾曲壁の縁は、カバーの上または外面３６２１ａがカバーの底または内面３６２１ｂにわたって延在するように、ベベル状にされてもよい。カバーおよび筐体は、針の厚さに近似する、隙間をカバーの底面とコンパートメントの基部との間に提供するように構成されてもよい。随意に、図３６２Ｄに示されるように、筐体はさらに、コンパートメントの内側に留置された針が、その端部を発泡体コアの中に貫入することによってさらに収納され得るように、コア３６２９を発泡材料を備える中心に備えてもよい。使用時、ユーザは、コンパートメントにわたって整合される窓を伴う空コンパートメントの内側に針を留置し、次いで、カバーを回転させ、窓を別の空コンパートメントにわたって整合させてもよい。ユーザは、指でカバーの縁を握持することによって、または持針器先端を窓の縁に対して押動させることによって、カバーを回転させてもよい。
【１５０３】
図３６３は、回転可能カバー３６３１を伴う、針受器３６３０の別の実施形態を図示する。図３６３の針受器は、多くの側面において、図３６２Ａ−３６２Ｄに示される実施形態に類似してもよい。例えば、針受器は、複数のコンパートメント３６３３を伴う、円形筐体３６３２と、単一コンパートメントと類似寸法を伴う窓３６３４を有し、随意に、ベベル縁３６３７を有する、筐体に結合される、円形カバー３６３１とを備えてもよい。回転カバーは、カバーの外縁に結合され、ユーザによるカバーの回転を促進するための複数のタブ３６３５を備えてもよい。筐体はさらに、各コンパートメントの外壁の内面に結合される発泡材料を備える、外側境界３６３６を備えてもよい。コンパートメントの内側に留置された針Ｎは、その端部を発泡体境界の中に貫入することによってさらに収納されてもよい。
【１５０４】
図３６４は、回転可能カバー３６４１を伴う、針受器３６４０の別の実施形態を図示する。図３６４の針受器は、多くの側面において、図３６２Ａ−３６２Ｄおよび図３６３に示される実施形態に類似してもよい。例えば、針受器は、筐体へのアクセスを可能にするための窓３６４３を有する回転可能カバー３６４１に結合される、円形筐体３６４２を備えてもよい。筐体は、針を受容し、それにしっかりと結合するように構成される、降着ゾーン３６４４を備えてもよい。例えば、降着ゾーンは、磁気表面または接着表面を備えてもよい。窓の壁は、筐体のコンパートメントに対する任意の配向における針の留置のために配向されてもよい。カバーは、針受器の中心軸３６４０ａの周囲でいずれか方向に回転するように構成されてもよい。窓は、図３６２Ａ−３６２Ｄを参照して説明されるようなベベル縁３６４５を備えてもよく、ベベル縁は、カバーが回転されと、非平面配向に留置された針を平坦にさせることができる。
【１５０５】
図３６５Ａ−３６５Ｄは、回転可能カバー３６５１を備える、スエージ加工針ＳＮ分配および収納ためのスエージ加工針用デバイス３６５０の例示的実施形態を図示する。スエージ加工針用デバイスは、回転可能カバー３６５１に結合される、円形筐体３６５２を備え、筐体は、複数のコンパートメント３６５３を備え、カバーは、単一コンパートメントへのアクセスを提供するように構成される、窓３６５４を備える。筐体および回転可能カバーは、多くの側面において、図３６２Ａ−３６２Ｄを参照して説明されるような筐体および回転可能カバーに類似してもよい。例えば、各コンパートメントは、コンパートメントを隣接するコンパートメントから分離する、螺旋または湾曲壁を備えてもよく、窓は、コンパートメントと同様に定寸および成形されてもよい。窓は、回転可能カバーが、回転され、窓と隣接するコンパートメントを整合させると、コンパートメント内に留置された針ＳＮを平坦にさせるためのベベル縁３６５５を備えてもよい。スエージ加工針用デバイスは、そこに取り付けられた連続縫合糸Ｓを有する、滅菌スエージ加工針ＳＮが事前に装填されてもよい。針は、種々の実施形態に関して本明細書に説明される多くの方法のうちの１つにおいてコンパートメントにしっかりと結合されされてもよい。例えば、コンパートメントの基部表面３６５８は、針に磁気的に結合するように構成される磁気表面または針に接着するように構成される接着表面を備えてもよい。コンパートメントは、針の端部が挿入され、針を収納し得る、基部に結合される、発泡体部材３６５９を備えてもよい。コンパートメントは、針をその中に圧縮保持するように構成される、基部に結合されるクリップを備えてもよい。コンパートメントはさらに、針本体の中央部分の下方のコンパートメントの基部表面３６５８内に形成される、持針器スロットまたは陥凹３６５６を備えてもよい。持針器陥凹は、持針器を用いての針の把持または持針器を用いてのコンパートメント内への針の収納を促進することができる。針に取り付けられた連続縫合糸Ｓは、図３６５Ｂに最良に示される、筐体の丸みを帯びた外面によって提供される、スピンドル３６５７に巻き付けられてもよい。筐体は、針受器の中心軸３６５０ａを中心として回転し、連続縫合糸の分配を促進するように構成されてもよい。コンパートメントのうちの１つは、スエージ加工針用デバイスが使用されていないとき、窓が空コンパートメントと整合され得るように、滅菌スエージ加工針を伴わずに提供されてもよい。使用時、滅菌スエージ加工針は、最初に、窓と滅菌針を含有するコンパートメントを整合させ、次いで、持針器を用いて針を把持し、針をコンパートメントから除去することによって、コンパートメントから除去されてもよい。スエージ加工針は、切開部を閉鎖するために使用されてもよく、次いで、縫合糸は、針から取り外されてもよい。使用済み針は、コンパートメント内に戻されてもよく、次いで、カバーは、回転され、使用されるための次の滅菌スエージ加工針を暴露させてもよい。ユーザは、指でカバーの縁を握持することによって、または持針器先端を窓の縁に対して押動させることによって、カバーを回転させてもよい。図３４３Ａ−３４３Ｇに示されるスエージ加工針用デバイスを参照して説明されるように、デバイスは、外科医の前腕に結合される、障壁上に搭載されてもよい。異なるサイズのスエージ加工針を提供する、複数のスエージ加工針用デバイスが、障壁上に提供されてもよい。さらに、２つまたはそれを上回るスエージ加工針用デバイスが、相互の上に積み重ねられて提供されてもよい。
【１５０６】
図３６６Ａ−３６６Ｃは、統合された縫合針分配および収納装置３６６０の例示的実施形態を図示する。本装置は、第１の端部上の針分配部分３６６１と、第１の端部に対向する第２の端部上の針収納部分３６６２とを備えてもよい。両部分は、滅菌針ＮＳが分配され、使用済み針ＮＵが収納されるための物理的に分離された内部分を提供するように構成される、単一筐体３６６３内に装入されてもよい。両部分は、例えば、上および底シェル間に配置される圧縮部材を介して、筐体の上シェルまたはカバーと底シェルとの間の平面スロット内に針をしっかりと保持するように構成され、かつ針を上シェルに対して圧縮するように構成されてもよい。両部分はさらに、針を筐体内に収納するためにスロットに沿った持針器先端の平行移動を可能にするように構成される、装置の縦軸に沿って延在する、持針器スロット３６６４を備えてもよい。分配部分は、滅菌縫合針ＮＳが事前に装填されてもよく、縫合糸Ｓが、平面針スロットに巻き付けられ、筐体内に装入されてもよい。滅菌針は、針が、湾曲本体が先導し、端部が追従する状態で、分配部分から除去され、針の除去中のユーザへの針刺し傷害のリスクを最小限にするように、図３６６Ａに示される配向において分配部分の中に装填されてもよい。使用時、ユーザは、持針器を用いて滅菌縫合針を把持し、持針器スロットに沿ってスロットの開放端に向かって持針器先端を平行移動させることによって、針を分配部分から除去してもよい。縫合針を使用後、縫合糸は、針から取り外されてもよく、分配または使用済み針は、収納部分内に収納されてもよい。使用済み針を収納するために、使用済み針を保持する持針器は、収納部分の持針器スロットの中に挿入され、スロットの閉鎖端に向かって平行移動されてもよい。
【１５０７】
随意に、統合された針分配および収納装置は、分配部分と収納部分との間にヒンジ３６６５（例えば、リビングヒンジ）を具備し、装置が、図３６６Ｂおよび３６６Ｃに示されるように、ヒンジ軸３６６５ａに沿って折重または圧潰されることを可能にしてもよい。例えば、ヒンジは、各部分の平坦底シェルが相互に面する状態で、装置の折重を可能にするように構成されてもよい。ヒンジは、装置が低減された長さ構成においてパッケージ化または格納されることを可能にすることができる。
【１５０８】
図３６７は、縫合針分配デバイス３６７０の例示的実施形態を図示する。分配デバイスは、多くの側面において、図３６６Ａ−３６６Ｃを参照して説明される統合された分配および収納装置の針分配部分に類似してもよい。例えば、分配デバイスは、底シェルに結合される、上シェルを備えてもよく、複数の滅菌縫合針ＮＳが、上シェルと底シェルとの間の平面スロット内に収納される（例えば、底シェルに結合される圧縮部材による上シェルの中への針の圧縮を介して収納される）ように構成される。本デバイスは、その中への持針器先端の平行移動を可能にし、針の把持および分配デバイスからの除去を促進するように構成される、持針器スロット３６７１を備えることができる。針に取り付けられた縫合糸Ｓは、縫合糸毎に複数の個々のチャネルを有する、可撓性末端３６７２内に封入されてもよい。縫合糸の格納のためのそのような構成は、分配デバイス内での縫合糸のねじれおよび／または結着を回避することに役立ち得る。
【１５０９】
図３６８Ａおよび３６８Ｂは、針受器３６８１を縫合パッケージ３６８２に結合するための例示的構成を図示する。針受器３６８１は、複数の滅菌縫合針ＮＳとともに事前にパッケージ化された任意の市販の縫合パッケージ等の縫合パッケージ３６８２に結合されてもよく、縫合パッケージは、障壁上の縫合パッケージおよび針受器の占有面積を低減させるために、本明細書に説明されるような障壁上に搭載されてもよい。例えば、多くの市販の縫合パッケージでは、パッケージの表面積の有意な部分は、使用されず、針受器は、縫合パッケージの未使用部分に結合されてもよい。針受器は、直接、縫合パッケージの上面に接着されてもよい、または針受器は、間接的に、接着ストリップ等の図３６８Ｂに示されるような搭載界面３６８３を介して、縫合パッケージに結合されてもよい。
【１５１０】
図３６９Ａ−３６９Ｃは、針受器３６９１を針分配ユニット３６９２に結合するための別の例示的構成を図示する。本明細書に説明される任意の針受器等の針受器３６９１は、障壁搭載基部３６９３を用いて、任意の市販の縫合パッケージまたは本明細書に説明されるような任意の針分配デバイスもしくは装置等の針分配ユニット３６９２に結合されてもよい。障壁搭載基部は、障壁上に搭載される間、針分配デバイスまたは針受器を安定して支持するために十分な剛性を提供可能な任意の材料から成ってもよい。障壁搭載基部は、第１の部分３６９３ａと、第２の部分３６９３ｂとを備えてもよく、第１の部分は、針分配ユニット（図３６９Ａに示されるような縫合パッケージ等）に結合するように構成され、第２の部分は、針受器に結合するように構成される。針分配ユニットおよび針受器はそれぞれ、磁気結合、Ｖｅｌｃｒｏアタッチメント、またはスナップ嵌合等の機械的結合機構等、１つまたはそれを上回る接着部材を用いて、障壁搭載基部に結合されてもよい。障壁搭載基部の上側の図３６９Ｂに示されるように、第１の部分は、針分配デバイスの後面に接着結合するように構成される、１つまたはそれを上回る接着部材３６９４を備えてもよい。針受器は、針受器の後面に結合される接着裏材を用いて、第２の部分に結合されてもよい。障壁搭載基部の底側の図３６９Ｃに示されるように、第１および第２の部分のそれぞれの底面は、障壁に結合するように構成される、１つまたはそれを上回る接着部材３６９５を備えてもよい。代替として、障壁搭載基部は、Ｖｅｌｃｒｏアタッチメントまたは機械的結合機構を用いて障壁に結合されてもよい。
【１５１１】
随意に、障壁搭載基部は、リビングヒンジ等、第１の部分と第２の部分との間にヒンジ３６９６を具備してもよい。ヒンジは、第１の部分の平面が第２の部分の平面に対してある角度で位置付けられ得るように、ヒンジに沿った基部の少なくとも部分的折重を可能にしてもよい。
【１５１２】
図３７０Ａは、障壁３７０３上に搭載される針分配ユニット３７０２および針受器３７０１の例示的構成を図式的に図示する。針受器は、本明細書に説明されるような任意の針受器を備えてもよく、針分配ユニットは、任意の市販の縫合パッケージまたは本明細書に説明されるような任意の針分配デバイスもしくは装置を備えてもよい。障壁は、前腕Ｆに結合されて示され、針分配ユニットおよび針受器は、概して、掌側前腕側上に配置される。示されるように、針分配ユニットの平面３７０４は、針分配ユニットおよび針受器が同一平面ではないように、針受器の平面３７０５に対して角度αに配置される。そのような構成は、図３６９Ａ−３６９Ｃを参照して説明される障壁搭載基部等のヒンジ付き搭載界面を用いて達成されてもよい。そのような構成は、前腕の形状への針取扱システムの共形化を改良し、障壁上に搭載されると、システムの外形を低減させ得る。
【１５１３】
図３７０Ｂは、障壁３７０３上に搭載される針分配ユニット３７０２および針受器３７０１の別の例示的構成を図式的に図示する。針受器は、本明細書に説明されるような任意の針受器を備えてもよく、針分配ユニットは、任意の市販の縫合パッケージまたは本明細書に説明されるような任意の針分配デバイスもしくは装置を備えてもよい。障壁は、前腕Ｆに結合されて示され、針分配ユニットおよび針受器は、掌側前腕の平面上に配置される。示されるように、針分配ユニットおよび針受器は、略同一平面にあって、２つのユニットは、部分的に重複する。そのような構成は、図３６８Ａ−３６８Ｂを参照して説明されるように、針受器を針分配ユニットの一部に結合することによって達成されてもよい。そのような構成は、針分配ユニットおよび針受器が非重複および同一平面である構成と比較して、針取扱システムの外形を低減させながら、針分配ユニットおよび針受器の両方を掌側前腕の平面に維持し得る。
【１５１４】
図３７１Ａおよび３７１Ｂは、障壁３７１２上に搭載される針受器３７１１の例示的構成を図示する。障壁は、本明細書に説明されるような前腕結合障壁であってもよく、針受器は、本明細書に説明されるような任意の針受器であってもよい。障壁は、針トラップ筐体の後面の突出部等、針受器の一部をその中に受容するための陥凹３７１３を備えてもよい。突出部は、針受器進入ゾーン３７１５の表面３７１４が障壁の平面３７１６と略同一平面であるように、障壁の陥凹の中に嵌合するように構成されてもよい。そのような構成は、障壁上に搭載される針受器の外形を低減させることができる。
【１５１５】
図３７２Ａおよび３７２Ｂは、本明細書に説明される針取扱システムと併用される市販の縫合パッケージのために提供され得る、例示的ラベルを図示する。多くの市販の縫合パッケージは、外側パッケージ上では明確に標識されるが、その中に含有される縫合針のサイズおよび／またはタイプを示すラベルがあまり良く見えない、またはラベルが存在しない、滅菌内側パッケージを備える。縫合パッケージが、手術野内（例えば、メイヨースタンド上）に留置されると、それらは、典型的には、滅菌内側パッケージのみが表示されるように、その外側パッケージから取り出される。内側パッケージ上のラベルの不良な可視性または適正なラベルの欠如に起因して、多くの場合、外科医が各パッケージ内に含有される縫合針のサイズまたはタイプを視覚的に識別することが困難になり得る。針の所望のサイズおよび／またはタイプを含有する縫合パッケージの外科医の識別および選択を促進するために、滅菌接着ラベルが、含有される針のサイズおよび／またはタイプを明確に表示するように、縫合パックの内側パッケージに貼付されてもよい。滅菌接着ラベルは、例えば、少なくとも３フィート離れた場所からでも縫合パック内容物の識別を可能にするために十分な大きなテキストおよび／または色分けを備えてもよい。そのような滅菌接着ラベルは、ユーザが針受器および障壁と併用される市販の縫合パッケージの滅菌内側パッケージを容易に標識し得るように、本明細書に説明されるような針受器および障壁アセンブリとともに提供されてもよい。図３７２Ａに示されるように、大サイズの針受器は、より大きいサイズの縫合針のための接着ラベル３７２０ａのセットを具備してもよい。図３７２Ｂに示されるように、小サイズの針受器は、より小さいサイズの縫合針のための接着ラベル３７２０ｂのセットを具備してもよい。
【１５１６】
図３７３Ａおよび３７３Ｂは、摺動式縦方向パネル３７３１を備える、前腕障壁３７３０の例示的実施形態を図示する。障壁は、相互に結合される、複数の縦方向パネル３７３１を備えてもよく、各パネルは、別のパネルの真下から摺動するように構成される。各パネルは、前腕の長さに沿って縦方向に整合されてもよい。格納中、障壁は、図３７３Ａに示されるような格納構成３７３２において平坦になり、それによって、格納外形を低減させ、障壁のパッケージ化および出荷を促進し得る。使用のために、障壁は、前腕に巻き付けられ、パネルを摺動させ、図３７３Ｂに示されるように、ユーザの前腕のサイズおよび形状に適切に共形化してもよい。障壁は、タブ、Ｖｅｌｃｒｏストラップ、１つもしくはそれを上回る接着部材、または１つもしくはそれを上回る機械締結具等の多くの閉鎖機構のうちの１つを介して、巻き付けられた構成３７３３において前腕に固着されてもよい。
【１５１７】
図３７４Ａおよび３７４Ｂは、摺動式Ｃ形状の区分または「ブレスレット」３７４１を備える、前腕障壁３７４０の例示的実施形態を図示する。障壁は、相互に結合される、複数のＣ形状の区分３４７１を備えてもよく、各区分は、別の区分の真下から摺動するように構成される。各Ｃ形状の区分は、ユーザの前腕の一部に巻き付くように構成されてもよい。格納中、複数のＣ形状の区分は、図３７４Ａに示されるような入れ子構成３７４２にあって、それによって、障壁の格納体積を低減されてもよい。使用のため、入れ子ブレスレットの内側区分は、外側区分に対して引き出され、図３７４Ｂに示されるような延在構成３７４３を達成してもよい。延在構成では、Ｃ形状の区分の組み合わせられた長さは、前腕の長さに沿って延在することができる。複数のＣ形状の区分は、内側区分が引き出され、所望の組み合わせられた長さを達成すると、Ｃ形状の区分が入れ子構成に反跳または復帰せずに、障壁が該組み合わせられた長さに留まるように、相互に結合されてもよい。障壁は、その全長に伸展され、続いて、前腕に結合されてもよい、または障壁は、入れ子構成で前腕に結合され、続いて、その所望の長さに引き出されてもよい。障壁は、最内入れ子のＣ形状の区分が、前腕の遠位部分の近傍に配置され、最外Ｃ形状の区分が、前腕の近位部分の近傍に配置されるように、前腕に結合されてもよい。
【１５１８】
図３７５は、電動手術道具のための１つまたはそれを上回る差込口３７５１を備える、障壁３７５０を図示する。本明細書に説明されるような前腕障壁はさらに、電気焼灼器ペンまたは吸引管等の１つまたはそれを上回る電動手術道具３７５３のための１つまたはそれを上回る差込口を具備してもよい。多くの事例では、外科手術中、電動手術道具は、近傍手術野外に配置される電源３７５２に接続される。道具を電源に接続する電源コードが、多くの場合、道具が、使用中、電源コードの引抜または電源の移動を介して、偶発的に変位されないように防止するために、切開部位の上方の固定位置に留められる。電源コードを切開部位の近傍に留めるのではなく、手術道具は、前腕搭載型障壁上に配置される差込口を介して、その電源に接続されてもよい。障壁差込口は、切開部位の上方に配置される留具よりも道具の電源コードへの安全な結合を提供し、それによって、道具が使用中に偶発的に変位されるリスクをさらに低減させることができる。１つまたはそれを上回る差込口が、コードが前腕の掌側に提供される針分配ユニットおよび／または針受器を妨害しないように、前腕Ｆの背側に提供されてもよい。
【１５１９】
図３７６Ａ−３７６Ｄは、１つまたはそれを上回る手術道具３６７２を支持するための１つまたはそれを上回る道具ループ３７６１を備える、障壁３７６０を図示する。図３７６Ａに示されるように、道具ループ３７６１が、好ましくは、そこに結合される道具３７６２が前腕の掌側に提供される針分配ユニットおよび／または針受器を妨害しないように、前腕Ｆの背側に提供される。道具ループは、テーパ状ループを備えてもよく、より大きい端部は、上に面し、より小さい端部は、下に面する。ループのテーパ状形状は、ユーザによるループの中への道具の挿入を促進し、道具をその中に安定して支持することができる。道具ループを備える障壁の上面図である、図３７６Ｂに示されるように、道具ループは、好ましくは、障壁の外面３７６３に対して同一平面であるように搭載される。例えば、道具ループは、部分的ループを備えてもよく、そのうちの２つの端部は、完全なループの一部が障壁の外面を構成するように、障壁上の２つの異なる位置に取り付けられる。代替として、完全なループを備える、道具ループは、陥凹内に配置されるループの部分の内面が障壁の外面と同一平面であるように、障壁の外面内の陥凹に結合されてもよい。そのような構成は、障壁の外面にわたって突出する道具ループの内面によって形成されるバンプまたは辺縁からの干渉なく、ユーザが障壁の外面を道具の挿入の際の誘導表面として使用することを可能にすることによって、道具ループの中への道具の挿入を促進し得る。道具ループは、図３７６Ｃに示されるような垂直軸３７６４に沿って整合されてもよい、または図３７６Ｄに示されるような非ゼロ角度αだけ垂直軸からオフセットされて軸３７６５に沿って整合されてもよい。特に、道具ループは、道具ループのより小さい端部が手首から離れて肘に向かって向けられるように、垂直軸に対して傾けられてもよい。そのような傾けられられた道具ループは、道具ループの配向を、概して、道具を道具ループの中に挿入する際のユーザの手の移動方向（図３３４Ｂに示されるように、道具を保持する手を切開部位から障壁に向かって動かすための肘の内転）と整合されることによって、道具ループの中への道具の挿入のためのより良好な人間工学を提供することができる。道具ループは、接着結合、磁気結合、または機械的結合等、デバイスを障壁に結合するための本明細書に説明される多くの方法のうちの１つを使用して、障壁に結合されてもよい。好ましくは、道具ループは、障壁が障壁の任意の適切な場所に結合される道具ループの任意の数またはサイズを伴ってカスタマイズされ得るように、障壁に除去可能に結合されてもよい（例えば、Ｖｅｌｃｒｏストラップを介して）。
【１５２０】
図３７７Ａおよび３７７Ｂは、統合された前腕障壁を備える、手術衣３７７０の例示的実施形態を図示する。図３７７Ａに示されるように、手術衣３７７０の袖の前腕部分は、統合された前腕障壁３７７１を具備してもよい。前腕障壁は、障壁をユーザの前腕に固定される位置において結合するために使用され得る、タブを備えてもよい。タブは、障壁の側面から手術衣の袖にわたって延在する暴露されたタブ３７７２または袖内に部分的に封入される部分的に封入されたタブ３７７３であってもよい。図３７７Ｂに示されるように、手術衣の袖の前腕部分は、１つまたはそれを上回る障壁３７７１または障壁の１つまたはそれを上回る部分をその中に受容するように構成される、１つまたはそれを上回るポケット３７７４を備えてもよい。代替として、障壁は、手術衣の縁上に縫着され、手術衣に巻き付くように構成される、紐３７７５に結合されてもよい。
【１５２１】
図３７８Ａおよび３７８Ｂは、本明細書に説明されるような針取扱システムとの組み込みに好適な例示的多段式デバイスを図示する。多段式デバイスは、手術中の付加的ユニットへの容易なアクセスのための１つまたはそれを上回る針分配ユニット（例えば、未使用縫合パック）または空の針受器を格納するように構成されてもよい。図３７８Ａに示されるように、多段式デバイスは、ユーザの上腕Ｕに結合するように構成される、上腕多段式デバイス３７８０ａ、および／またはユーザの胸部に結合するように構成される、胸部多段式デバイス３７８０ｂを備えてもよい。図３７８Ｂに示されるように、上腕多段式デバイスは、付加的縫合パック３７８１および／または針受器３７８２を格納するための内部空間３７８４を提供する、エンクロージャ３７８３を備えてもよい。上腕多段式デバイスはさらに、デバイスをユーザの上腕にしっかりと結合するための締結機構３７８５を備えてもよく、締結機構は、装着可能デバイスのためのストラップ、Ｖｅｌｃｒｏストラップ、または任意の他の締結機構を備えてもよい。
【１５２２】
図３７９Ａ−３７９Ｃは、縫合糸取扱システムのための例示的キットを図示する。図３７９Ａは、障壁３７９５と、１つまたはそれを上回る脊椎針３７９０ａと、１つまたはそれを上回る注射器３７９０ｂ（＃１−３）と、スポンジ搭載部３７９０ｃおよび１つまたはそれを上回るスポンジ３７９０ｄと、包帯搭載部３７９０ｅおよび１つまたはそれを上回る包帯３７９０ｆと、１つまたはそれを上回る器具または道具ループ３７９３と、１つまたはそれを上回る安全針３７９０ｇ（＃１−３）と、パウチ３７９０ｈとを備える、例示的脊椎／局所麻酔キット３７９０を示す。図３７９Ｂは、障壁３７９５と、１つまたはそれを上回る器具または道具ループ３７９３（２−３）および一対の鋏３７９１ａと、１つまたはそれを上回るスエージ加工針用デバイス３７９１ｂ（１−４）と、大針のための針受器３７９１ｃと、小針のための針受器３７９１ｄと、持針器３７９１ｅおよび鉗子３７９１ｆと、１つまたはそれを上回るスポンジ３７９１ｇとを備える、緊急治療室縫合キット３７９１を示す。図３７９Ｃは、障壁３７９５と、１つまたはそれを上回るカテーテル３７９２ａと、閉鎖用縫合糸３７９２ｂ（例えば、３−０ナイロン）と、注射器３７９２ｃおよび針３７９２ｄと、針受器３７９２ｅと、持針器３７９２ｆと、鉗子３７９２ｇと、鋏３７９２ｈと、準備材料３７９２ｉとを備える、ＩＶライン留置キット３７９２を示す。図３７９Ａ−３７９Ｃに示されるキットは、一例としてのみ提供され、多くの異なるキットが、具体的使用または手技に適応するように組み立てられてもよい。
【１５２３】
図３８０Ａおよび３８０Ｂは、本明細書に説明されるような針取扱システムとの組み込みに好適な例示的針受器を図示する。図３８０Ａは、針格納チャンバまたは針スロット３８０２を画定する内部空間を形成する筐体３８０１ａを備える、針受器３８００ａを示す。筐体はまた、針進入開口を備える、側方開口部３８０３を形成し、それを通して針が、針スロット３８０２中の中に挿入されてもよい。筐体はさらに、筐体の上部分に沿って縦方向に延在する、持針器スロットまたはチャネル３８０４を画定し、持針器スロットは、本明細書に説明されるように、持針器スロットに沿った持針器の先端の平行移動に適応するように構成される。使用時、持針器によって把持された針は、持針器の先端が持針器スロットと整合された状態で、側方開口部を通して挿入されてもよく、次いで、持針器先端は、側方開口部から離れて、筐体の閉鎖端３８０５に向かう方向に平行移動され、針を針スロット内に収納してもよい。
【１５２４】
側方開口部３８０３は、開口部を通して挿入される針の配向を略側方配向に拘束するために、高さ３８０３ｂを上回る、幅３８０３ａを有してもよい。側方開口部３８０３は、側方開口部を通した針の挿入を促進するために、針受器の中に留置されるべき針と比較して過大定寸されてもよい。例えば、側方開口部の幅３８０３ａは、針の長さ（または湾曲針の場合、針の２つの端部間の直線距離）を上回ってもよく、側方開口部の高さ３８０３ｂは、針の厚さまたはワイヤ径を上回ってもよい。例えば、高さは、針と開口部を慎重に整合させる必要なく、ユーザが側方開口部を通して針を容易の中に挿入し得るように、針の厚さを１０倍上回ってもよい。
【１５２５】
針スロット３８０２は、幅３８０２ａと、高さ３８０２ｂと、長さ３８０２ｃとを有してもよく、幅３８０２ａおよび高さ３８０２ｂは、側方開口部の幅３８０３ａおよび高さ３８０３ｂと同様またはそれと等しくてもよい。代替として、針スロットの寸法は、図３８２Ａ−Ｄを参照して本明細書に説明されるように、側方開口部の寸法と異なってもよい。針スロットの高さ３８０２ｂは、好ましくは、針スロット内に格納される針を略側方配向に拘束するために、針の長さ（または湾曲針の場合、針の２つの端部間の直線距離）未満である。
【１５２６】
筐体は、上壁と、底壁と、３つの側方壁とを有する、図３８０Ａに示されるような略ボックス形状であってもよく、持針器スロットは、上壁に沿って長さ方向に延在する。代替として、筐体は、単一の連続本体、またはともに結合され、集合的に、針スロット、針スロットの中への側方開口部、および持針器スロットを画定する、任意の数の部分を備えてもよい。筐体は、剛性材料、可撓性材料、またはそれらの組み合わせから成ってもよい。可撓性または変形可能材料から成る筐体の実施形態に関して、持針器スロット３８０４の幅３８０４ａは、好ましくは、針受器内に留置されるべき針の厚さまたはワイヤ径未満であって、可撓性材料が撓曲または変形されるときの持針器スロットを通した針先端の偶発的突出のリスクを低減させる。例えば、筐体は、可撓性上部分を備えてもよく、持針器スロットは、可撓性上部分を通して切断された細隙を備え、可撓性材料は、細隙を通して持針器先端の平行移動を可能にするように変形することができる。
【１５２７】
図３８０Ｂは、多くの側面において、図３８０Ａの針受器３８００ａに類似し得る、針受器３８００ｂを示す。針受器３８００ｂは、針スロット３８０２をその中に画定する、筐体３８０１ｂと、針スロットの中への側方開口部３８０３と、筐体の上部分に沿って延在する、持針器スロット３８０４とを備える。筐体３８０１ｂはさらに、筐体の側方開口部３８０３を越えて延在する、延在部分３８０６を備える。延在部分は、示されるように、筐体の底部分から延在してもよく、延在部分の上面は、針スロット３８０２の底面と同一平面であってもよい。延在部分は、針が針受器の中に留置されるための降着ゾーンとして機能してもよく、ユーザは、針を保持する持針器の先端を延在部分の上面に対して留置し、次いで、持針器を持針器スロットに沿って平行移動させ、針を針スロットの中に留置してもよい。延在部分は、いったん針受器が一杯になると、折重され、側方開口部３８０３を被覆およびシールするように構成されてもよい。例えば、延在部分は、接着剤または締結機構を備え、延在部分が折重されると、延在部分を筐体の上部分に取り付け、側方開口部を被覆してもよい。
【１５２８】
随意に、針受器３８００ａまたは３８００ｂは、１つまたはそれを上回る内部保定機構を具備し、針を針スロット３８０２内の定位置にしっかりと保持してもよい。例えば、針受器３８００ａまたは３８００ｂは、針スロット内の針を筐体の上部分に対して圧縮するように構成される、図３８０Ａに示されるようなばね部材３８０６を備えてもよい。ばね部材は、使用時、針が針スロットに沿って側方開口部から離れて閉鎖端３８０５に向かって平行移動されるにつれて、増加する荷重が筐体の上部分に対して針に印加され得るように、側方開口部３８０３の近傍の筐体の底部分に結合されてもよい。針スロット内に留置された針は、したがって、ばね部材と筐体の上部分との間にしっかりと保持されることができる。代替として、針受器３８００ａまたは３８００ｂは、筐体の長さに沿って延在し、側方開口部３８０３に面する、図３８０Ｂに示されるような１つまたはそれを上回るクリップ３８０７を備えてもよい。各クリップ３８０７は、上部分３８０７ａと、下部分３８０７ｂと、上部分および下部分を接続する、ヒンジ部分３８０７ｃとを備えてもよく、クリップは、上部分と下部分との間に留置された針に対して圧縮力を印加するように構成される。１つまたはそれを上回るクリップが、針が側方開口部から閉鎖端３８０５に向かって平行移動されるにつれて、針スロットの中に留置された針が、１つまたはそれを上回るクリップの中に指向され、クリップの上部分と下部分との間にしっかりと保持されるように、側方開口部において筐体に結合されてもよい。他の好適な内部保定機構は、ブラシまたは他の内向き突出部材、接着剤、磁石、機械的仕切、またはそれらの組み合わせを含んでもよい。内部保定機構は、針が意図せずに脱落または除去されないような針受器の収納ゾーンを提供することができる。
【１５２９】
図３８１Ａおよび３８１Ｂは、本明細書に説明されるような針取扱システムとの組み込みに好適な例示的針受器を図示する。図３８１Ａは、筐体３８１１ａを備える、針受器３８１０ａを示し、筐体は、複数の針をその中に格納するための針格納チャンバまたは針スロット３８１２ａを画定する、内部空間を有する。筐体の上部分は、針受器内に留置されるべき針を保持する持針器の先端を受容するように構成される、持針器スロットまたはチャネル３８１３ａを形成する。筐体３８１１ａ、針スロット３８１２ａ、および持針器スロット３８１３ａは、多くの側面において、図３８０Ａおよび３８０Ｂを参照して説明される対応する名称の要素に類似してもよい。しかしながら、図３８０Ａおよび３８０Ｂに示される、側方開口部ではなく、筐体３８１１ａは、針進入開口を備える、上開口部３８１４ａを形成し、それを通して針は、針受器の中に挿入されてもよい。上開口部３８１４ａは、例えば、筐体の上部分にカットアウトを備えてもよい。上開口部は、針受器の降着ゾーンおよび進入ゾーンを画定してもよい。上開口部は、上開口部を通して挿入されるべき針のサイズと比較して過大定寸され、上開口部を通した針の挿入を促進してもよい。例えば、上開口部の長さ３８１５ａは、針の長さ（または湾曲針の場合、針の２つの端部間の直線距離）を上回ってもよく、上開口部の幅３８１５ｂは、針の厚さまたはワイヤ径（または湾曲針の場合、針本体の中央点と針の２つの端部間に引かれた直線の中央点との間の距離）を上回ってもよい。随意に、上開口部の長さ３８１５ａは、ユーザが針の長さ（または湾曲針の場合、針の２つの端部間の直線距離）が上開口部の長さと実質的に整合された状態で、針を配向することを促すために、上開口部の幅３８１５ｂを上回ってもよい。
【１５３０】
図３８１Ｂは、多くの側面において、針受器３８１０ａに実質的に類似し得る、針受器３８１０ｂを示す。例えば、筐体３８１１ｂは、針スロット３８１２ｂを画定する、内部空間を形成し、筐体の上部分は、持針器先端の先端をその中に受容するように構成される、持針器スロット３８１３ｂを画定する。筐体の上部分はさらに、上開口部３８１４ｂを画定し、それを通して針は、挿入されてもよい。上開口部３８１４ｂは、例えば、筐体の上部分にカットアウトを備えてもよい。上開口部３８１４ｂは、針受器の内側に収納される針の寸法と比較して過大定寸され、上開口部を通した針の挿入を促進してもよい。図３８１Ａは、略ボックス形状の筐体３８１１ａを示すが、図３８１Ｂの筐体３８１１ｂは、略矢印形状であって、針受器の閉鎖端３８１６ｂは、矢印の頭部を形成し、上開口部に隣接する第２の端部３８１６ａは、矢印の末端を形成する。故に、上開口部３８１４ｂは、針の両端が針スロットに沿った針の平行移動の方向から離れて向いた配向における開口部を通した針の留置を促すように、湾曲針の湾曲に共形化するよう成形されてもよい。筐体３８１１ｂ、針スロット３８１２ｂ、および持針器スロット３８１３ｂの他の側面は、多くの側面において、図３８０Ａおよび３８０Ｂに示される針受器３８００ａおよび３８００ｂの対応する名称の要素に類似してもよい。
【１５３１】
随意に、針受器３８１０ａまたは３８１０ｂはさらに、図３８０Ａおよび３８０Ｂを参照して説明されるような１つまたはそれを上回る内部保定機構を備えてもよい。１つまたはそれを上回る内部保定機構は、針を針スロット内に収納し、針受器の収納ゾーンを提供する。
【１５３２】
図３８２Ａ−３８２Ｄは、図３８０Ａ−３８１Ｂにおけるような針受器の随意の構成を図示する。いったん針が針スロットの内側に留置されると、針受器からの針の意図しない除去を防止するために、針スロットの高さまたは深さは、針スロットの長さに沿って変動してもよい。例えば、図３８２Ａの断面側面図に示されるように、針スロット３８２０ａは、針受器の針進入開口の近傍の進入ゾーン３８２１ａと、針受器の閉鎖端の近傍の収納ゾーン３８２２ａとを有してもよい。本明細書に説明されるように、筐体の底部分によって形成され得る、針スロットの下内面３８２４ａは、進入ゾーンでは第１の高度（またはｚ−軸位置）に、収納ゾーンでは第２の高度（またはｚ−軸位置）に位置付けられてもよく、第１の高度は、第２の高度より高い。さらに、針スロットは、進入ゾーンでは第１の深さ３８２５ａ、収納ゾーンでは第２の深さ３８２６ａを有してもよく、第２の深さは、第１の深さを上回る。したがって、針が針進入開口（例えば、図３８０Ａ−３８１Ｂに示されるような側方開口部または上開口部）を通して挿入され、続いて、進入開口から離れて針受器の閉鎖端に向かって平行移動されると、針は、比較的に高い高度における浅い進入ゾーンから比較的に低い高度におけるより深い収納ゾーンに遷移する。針は、したがって、特に、針受器が略側方または平面配向に維持される間、針が針スロットから偶発的に除去されるリスクが減少されるように、進入ゾーンにおける高度より低い高度において収納ゾーン内に格納される。浅い、より高い高度の進入ゾーン３８２１は、例えば、進入開口の近傍の筐体の隆起した底部分によって形成されてもよい。針スロットは、針スロットの深さが針スロットの長さ（ｘ−軸）に沿った位置に比例して増加する遷移ゾーン３８２３ａを伴って、第１の厚さから第２の厚さに徐々に遷移するように成形されてもよい。代替として、針スロットは、進入ゾーンから収納ゾーンに急遷移してもよく、例えば、第１の高度から第２の高度に垂直に降下する。
【１５３３】
図３８２Ｂは、針スロット３８２０ｂの別の例示的構成の断面側面図を示す。図３８２Ａの針スロット３８２０ａと同様に、針スロット３８２０ｂは、筐体の進入開口の近傍の進入ゾーン３８２１ｂと、筐体の閉鎖端の近傍の収納ゾーン３８２２ｂとを備えてもよく、針スロットの下内面３８２４ｂは、収納ゾーンにおける高度と比較して比較的に高い高度（またはｚ−軸位置）に位置付けられてもよい。しかしながら、進入ゾーンにおける針スロットの第１の深さ３８２５ｂおよび収納ゾーンにおける針スロットの第２の深さ３８２６ｂは、実質的に類似または等しくてもよい。そのような構成は、図３８２Ｃおよび３８２Ｄに示されるように、針受器の長さ（ｘ−軸）に沿って可変厚を有する、筐体の上部分を用いて達成されてもよい。図３８２Ｃは、図３８２Ｂに示されるような線Ａ−Ａに沿った針スロット３８２０ｂの横方向断面図であって、図３８２Ｄは、図３８２Ｂに示されるような線Ｂ−Ｂに沿った針スロット３８２０ｂの横方向断面図である。図３８２Ｃの断面Ａ−Ａは、進入ゾーンにおける針スロットの断面を示し、持針器スロット３８２８を画定する、筐体の上部分３８２７は、第１の厚さ３８２７ａを有する。図３８２Ｄの断面Ｂ−Ｂは、収納ゾーンにおける針スロットの断面を示し、筐体の上部分３８２７は、第１の厚さ３８２７ａを上回る、第２の厚さ３８２７ｂを有する。収納ゾーンにおける上筐体のより厚い厚さは、収納ゾーンにおける針スロットの下内面の比較的に低い高度を補償し、進入ゾーンにおける針スロット深さ３８２５ｂに類似する、収納ゾーンにおける針スロット深さ３８２６ｂをもたらす。第１の針スロット深さ３８２６ａおよび第２の針スロット深さ３８２６ｂは、針を筐体の上部分および下部分間にしっかりと保持するように定寸されてもよい。針スロットは、針スロットの深さが針スロットの長さ（ｘ−軸）に沿った位置に比例して増加する遷移ゾーン３８２３ｂを伴う、第１の厚さから第２の厚さに徐々に遷移するように成形されてもよい。
【１５３４】
図３８３Ａ−Ｃは、複数の針を順序付けられたアレイにおいて格納するように構成される、例示的針受器３８３０を示す。針受器３８３０は、複数の針を格納するための針格納チャンバまたは針スロット３８３２を画定する、内部空間を形成する、筐体３８３１を備える。筐体はまた、側方開口部３８３３を備える、針進入開口を画定し、それを通して針は、針スロットの中に挿入されてもよい。針スロット３８３２は、複数の針を略平面または側方配向に格納するように定寸される、平面針スロットを備えてもよい。筐体はさらに、筐体の上部分の長さ３８３６に沿って延在する、持針器チャネルまたはスロット３８３４を画定する。筐体３８３１、針スロット３８３２、側方開口部３８３３、および持針器スロット３８３３は、多くの側面において、図３８０Ａ−３８１Ｂを参照して説明される針受器等の本明細書に説明される針受器の対応する名称の要素に類似してもよい。針スロットは、複数の区画３８３５を備えてもよく、各区画は、持針器スロットを横断して筐体の幅３８３７に沿って延在する。各区画は、例えば、各針を針スロットの単一区画内に不動化するように構成される、収納要素を用いて、単一針をその中に保持するように構成されてもよい。例えば、示されるように、筐体の上部分は、各針を単一区画内に収納するように構成される、複数のタブ３８３８等の複数の収納要素を備えてもよい。図３８３Ｂは、デフォルト構成におけるタブ３８３８を伴う、針受器３８３０の断面図を示し、針スロット３８３２の単一区画内に配置される、針Ｎは、まだタブによって定位置に収納されていない。図３８３Ｃは、収納構成におけるタブ３８３８を伴う、針受器３８３０の断面図を示し、タブは、針Ｎをタブと筐体の下部分との間に収納するように押下されている。随意に、複数のタブは、針をタブと筐体の下部分との間にさらに収納するために、接着剤および／または磁石を備えてもよい。複数のタブは、したがって、非重複した順序付けられたアレイにおける針スロット内への複数の針の格納を可能にすることができ、針は、相互から離間されて格納され、針受器の内側に格納される針の視覚的計数を促進し得る。
【１５３５】
図３８４Ａ−３８４Ｂは、複数の針を順序付けられたアレイにおいて格納するように構成される、別の例示的針受器３８４０を示す。針受器３８４０は、複数の針を格納するための針格納チャンバまたは針スロット３８４２を画定する、筐体３８４１と、それを通して針が針スロット中の中に挿入され得る、側方開口部３８４３を備える、針進入開口とを備える。筐体の上部分はさらに、筐体の長さ３８４６に沿って延在する、持針器チャネルまたはスロット３８４４を画定する。筐体３８４１、針スロット３８４２、側方開口部３８４３、および持針器スロット３８４３は、多くの側面において、図３８０Ａ−３８１Ｂおよび３８３Ａ−Ｃを参照して説明される針受器等の本明細書に説明される針受器の対応する名称の要素に類似してもよい。針受器３８４０はさらに、針スロット３８４２内に配置され、針スロットを複数の区画３８４５に分割するように構成される、複数の仕切３８４８を備えてもよく、各区画は、針受器の幅３８４７に沿って延在し、単一針をその中に保持するように構成される。複数の仕切は、例えば、筐体の底部分の内面に結合されてもよい。使用時、針は、側方開口部３８４３を通して針受器の中に挿入され、側方開口部から離れる方向に針スロットに沿って平行移動され、次いで、側方開口部から最も遠い針スロットの空区画の中に解放されてもよい。針は、複数の区画を分離する仕切を用いて、針スロット内の他の針から離間されて格納されてもよい。
【１５３６】
随意に、図３８４Ａに示されるように、針を単一区画内にさらに収納するために、針受器は、針を針スロット内の定位置に保持するように構成される、１つまたはそれを上回る磁石３８４９を具備してもよい。例えば、筐体の底部分は、表面上に留置された針が１つまたはそれを上回る磁石によって定位置にしっかりと保持されるように、底部分の内面に統合された、またはそこに取り付けられた１つまたはそれを上回る磁石を有してもよい。随意に、図３８４Ｂに示されるように、針受器３８４０は、低減された高さ構成に圧縮し、針を針スロット内で順序付けられたアレイにおいてさらに安定させるように適合されてもよい。例えば、筐体の上部分および下部分は、ユーザが針受器を下向きに押動させると、ともに圧縮するように構成されてもよい。
【１５３７】
図３８５Ａ−３８５Ｂは、多くの実施形態による、複数の針を収納するためのデバイス３８５０および３８５５の例示的実施形態を図示する。図３８５Ａは、上面図を図示し、図３８５Ｂは、縦方向断面図を図示する。図示される実施形態では、針トラップ３８５０は、本明細書に説明される多くの実施形態（例えば、針トラップ３３１）による、いくつかのゾーン、すなわち、１）進入ゾーン３８５０ａと、２）通路または遷移ゾーン３８５０ｂと、３）収納ゾーン３８５０ｃとから成る、平面デバイスであり得る。針トラップ３８５０は、針トラップ３８５０の外側部分の周囲でともにしっかりと結合される、上構造３８５１と、下構造３８５２とを備えてもよい。針トラップ３８５０は、上構造３８５１および下構造３８５２の両方を通して延在する、持針器スロット３８５３を備えてもよく、持針器スロットは、進入ゾーン３８５０ａから収納ゾーン３８５０ｃへの針３８５３の平行移動のために、針トラップ３８５０の全長に沿って持針器のための隙間を提供するように構成される。針トラップはさらに、針容器３８５５によって受容されると、収納された針を単一針深さのアレイの中に拘束し、全体的深さ外形を最小限にし、針計数を促進する、針スロット３８５４を備えることができる。下構造３８５２は、針トラップ３８５０の長軸に対して横方向に延びる貫通開口部３８５９を備えてもよく、進入ゾーン３８５０ａおよび通路または遷移ゾーン３８５０ｂ内の任意の場所に位置してもよい。針ホルダ３８５０の貫通開口部３８５９は、針容器３８５５を受容し、針容器３８５５が、自由に、またはそれを通した所望の抵抗を伴って、摺動することを可能にするように構成されてもよい。針容器３８５５は、図３８５Ａに示されるように、針容器３９５５の縦軸の対向側に位置し得る、複数の針受容タブ３８５７ａおよび３８５７ｂを備えてもよい。複数の針受容タブ３８５７ａ／ｂは、１本またはそれを上回る針が、持針器を用いて針容器３８５５の表面３８５６に対して留置され、針トラップ３８５０の中に平行移動されると、１本またはそれを上回る針３８５８の鋭利端を移動方向から離れて位置させるであろう配向に１本またはそれを上回る針３８５８を受容するように（すなわち、針トラップ３８５０が、着用され、針容器３８５５が、装填されるとき、針の鋭利端がユーザから離れて面し、偶発的針指し傷害を最小限にするように）成形されてもよい。図３８５Ａに示されるように、針受容タブ３８５７ａ／ｂは、１本の針が隣接する針受容タブ３８５７ａ／ｂ間に位置し得るように、縦方向に離間されることができる。
【１５３８】
針容器３８５５は、運搬によって針トラップ３８５０の中に平行移動されてもよい。針容器は、最初は針を伴っておらず、針トラップ３８５０の下構造３８５２の下面に沿って、針トラップ３８５０の開口部３８５９を通して、次いで、針トラップ３８５０の下構造３８５２の上側に摺動されてもよい。本構成では、針容器３８５５は、針トラップ３８５０の進入ゾーン３８５０ａにおいて針３８５８を受容するために、隣接する針受容タブ３８５７ａ／ｂ間の表面３８５６を提示し得る。針を針容器３８５５の表面３８５６上に、かつ針受容タブ３８５７ａ／ｂに対して留置する運動と、進入ゾーン３８５０ａから針トラップ３８５０の収納ゾーン３８５０ｃまでの針の平行移動とを通して、針容器３８５５は、針トラップ３８５０の中に平行移動し、後続針留置および廃棄のための次の隣接する対の針受容タブ３８５７ａ／ｂおよび表面３８５６を提示する（すなわち、別個の作用は、針容器３８５５を針トラップ３８５０の中に前進させるために要求されない）。針容器は、続いて留置された針の集群を防止し得、隣接する針の容易な分離を可能にし得、それによって、容易な針計数を可能にし得る。
【１５３９】
異なる実施形態では、針トラップ３８５０および針容器３８５５は、格納される針３８５８のサイズに応じて、異なる寸法を有してもよい。したがって、小針容器および小針を格納するために使用される相補的針トラップは、大針容器およびより大きい針を格納するために使用される相補的針トラップより小さい寸法を有してもよい。
【１５４０】
多くの実施形態では、複数の針のそれぞれの先端間距離は、針スロットの幅の７５％〜１００％、針スロットの幅の８０％〜９９％、針スロットの幅の８５％〜９８％、および針スロットの幅の９０％〜９７％から成る群から選択される範囲内である。
【１５４１】
多くの実施形態では、複数の針のそれぞれの先端間距離は、拡張構成において針スロットの幅のあるパーセンテージ内であって、パーセンテージは、針スロットの第２の幅の７５％〜１００％、針スロットの第２の幅の８０％〜９９％、針スロットの第２の幅の８５％〜９８％、および針スロットの第２の幅の９０％〜９７％から成る群から選択される範囲内である。針スロットは、長さ、幅、および高さを備えてもよく、長さは、幅を上回り、幅は、高さを上回る。
【１５４２】
【１５４３】
針容器３８５５は、図３８５Ｂに示されるように、針容器が開口部３８５９を通して屈曲することを可能にする、可撓性材料から成ってもよい。針容器３８５５および複数の針受容タブ３８５７ａ／ｂは、１つの部品から成る設計または多数の部品から成る設計を備えてもよい。多数の部品から成る設計では、複数の針受容タブ３８５７ａ／ｂは、発泡体またはゴム材料から成ってもよく、針容器３８５５の表面３８５６に接着されてもよい。
【１５４４】
針容器３８５５は、一連の貫通開口部を備え、持針器先端を受容してもよく、貫通開口部は、針容器３８５５の縦軸に沿って位置し、隣接する針受容タブ３８５７ａ／ｂ間に位置する。本一連の貫通開口部は、針３８５８が、持針器を用いて、針容器３８５５の中に容易に留置され、針トラップ３８５０の進入ゾーン３８５０ａから収納ゾーン３８５０ｃまで平行移動され得るように、針トラップ３８５０の持針器スロット３８５３に合致するように定寸されてもよい。
【１５４５】
図３８６Ａ−３８６Ｂは、多くの実施形態による、複数の針を収納するためのデバイス３８６０および３８６５の例示的実施形態を図示する。図３８６Ａは、上面図を図示し、図３８６Ｂは、縦方向断面図を図示する。図示される実施形態では、針トラップ３８６０は、本明細書に説明される多くの実施形態に従って構成されてもよい（例えば、１０ずつ増分される同様の識別子を伴って、図３８５Ａ−Ｂに示される針トラップ３８５０のように）。さらに、本実施形態では、針容器３８６５は、本明細書に説明される実施形態に従って、針トラップ３８６０に係合し（例えば、図３８５Ａ−Ｂに示される針トラップ３８５０に係合する針容器３８５５のように）、運搬によって動作するように構成されてもよい。本実施形態では、針容器３８６５は、針容器３８６６の縦方向中心線に沿って位置し、１本またはそれを上回る針３８６８を受容するように構成される、複数の針受容タブ３８５７を備えてもよい。
【１５４６】
針容器３８６５は、図３８５Ｂに示されるように、針容器が開口部３８６９を通して屈曲することを可能にする、可撓性材料から成ってもよい。針容器３８５５および複数の針受容タブ３８５７ａ／ｂは、１つの部品から成る設計を備えてもよく、針受容タブ３８５７は、針容器３８６５内のパターンの切断によって形成され、針３８６６を受容するように上向きに屈曲される。図３８６Ａに示されるように、本パターンは、逆向きの「Ｃ」の形態であってもよいが、しかしながら、任意の適切なパターンが、タブが上向きに屈曲し、針を受容することを可能にするように切断されてもよい。多くの実施形態では、針受容タブ３８５７は、針容器３８６５が針トラップ３８６０の開口部３８６９を通して摺動するにつれて偏向するが、その後、針３８６８を受容するように、その上向き屈曲構成に戻ってもよい。
【１５４７】
図３８７Ａ−３８７Ｄは、本明細書に説明されるような針取扱システムとの組み込みに好適な例示的内部ばね仕切の縦方向断面図を図示する。内部ばね仕切３８７１は、針トラップ３８７０の中への針の順次留置に応じて、針３８７８の集群を防止するように構成されてもよい。内部ばね仕切はそれぞれ、枢動構造３８７１ｃに取り付けられる、先導構造３８７１ａと、追従構造３８７１ｂとを備えてもよい。内部ばね仕切３８７１は、枢動構造３８７１ｃにおいて、螺旋ねじりばねまたは類似物を介して、針トラップ３８７０の下構造３８７２に回転可能に取り付けられてもよい。静止時、内部ばね仕切３８７１は、ばねが、先導構造３８７１ａを針トラップ３８７０の下構造３８７２に対して押進させ、それによって、定位置において針３８７８を受容するように構成されてもよい（図３８７Ａに示されるように）。針３８７８が、針トラップ３８７０の中に平行移動されるにつれて、内部ばね仕切３８７１の追従構造３８７１ｂは、針を受容し得、針トラップの中への針の継続平行移動に伴って、内部ばね仕切は、ばね力が克服されるにつれて、針の平行移動方向に回転し、内部ばね仕切の終端縁３８７１ｂを下構造３８７２に対して押進させ得る（図３８７Ｂに示されるように）。針３８７８の継続平行移動に伴って、内部ばね仕切は、その静止位置に戻り得、次の内部ばね仕切３８７１が、針を受容し得（図３８７Ｃに示されるように）、これらの作用は、針３８７８が針トラップ３８７０の端部まで平行移動されるまで繰り返される。いったん針トラップ３８７０の端部に来ると、針トラップの端部の最近傍の内部ばね仕切３８７１の追従構造３８７１ｂは、内部ばね仕切のばねが針の重量を克服しない（したがって、内部ばね仕切をその静止位置に戻さない）ように構成され得るため、下構造３８７２に対して保持され得る。したがって、後続針３８７８は、針トラップ３８７０の中に留置されるため、針トラップ３８７０の端部の最近傍の内部ばね仕切３８７１の先導構造３８７１ａは、針トラップの端部に向かう後続針の任意のさらなる平行移動を遮断し得る。このように、各留置される針は、集群されないまま保たれ、留置される針の容易な計数を促進し得る。
【１５４８】
図３８８は、本明細書に説明されるような針取扱システムとの組み込みに好適な複数の針を収納するためのデバイスの例示的実施形態の縦方向断面図を図示する。本実施形態では、針容器３８８６は、回転可能要素の周囲でロール状またはコイル状にされ、回転可能要素中心のものに対向する針容器の側に一連の細隙３８８７を備えてもよい。各細隙３８８７は、針３８８８を受容するように定寸されてもよい。針容器３８８６内の隣接する細隙３８８７は、受容される針のサイズに従って、必要に応じて縦方向に離間されてもよい。図３８８に示されるように、針容器３８８６は、細隙３８８７が構造３８８０に向かって面するように、本明細書に説明される実施形態のいずれかの針トラップの構造３８８０に対して部分的に展開され、平にされている（構造３８８０は、例えば、針トラップ３３１の下構造３４１を備えてもよい）。針３８８８は、空の細隙３８８７内に留置され、それによって、針の安全な廃棄を可能にしてもよい。構造３８８０の表面に沿った針容器３８８６の平行方向へのさらなる展開および前進に応じて、２つのことが、生じ得る。すなわち、１）以前に空であった（しかし、現時点で占有されている）細隙３８８７内に留置された針は、針容器３８８６と構造３８８０との間に閉じ込められ得、２）次の空の細隙３８８７が、別の針を受容するために利用可能になり得る。針廃棄の本サイクルは、針３８８８を廃棄するための必要に応じて繰り返されることができる。いくつかの実施形態では、針容器の展開および平行移動は、針３８８８を細隙３８８７の中に留置し、それを構造３８８０に沿って平行方向に移動させる作用を介して、単一運動において行われてもよい。いくつかの実施形態では、針容器の展開および平行移動は、２つの運動において行われてもよい。すなわち、第１の作用は、針３８８８を細隙３８８７の中に留置することであって、第２の作用は、留置される針を閉じ込め、針容器を展開し、次の空の細隙３８８７を提示するように、ユーザが手動で針容器３８８６を平行移動させることである。針容器３８８６は、可撓性材料から成ってもよい。いくつかの実施形態では、針容器３８８６は、透明または半透明材料を含んでもよい。いくつかの実施形態では、針容器細隙３８８７は、針を定位置に保つための構造３８８０に対する針３８８８の物理的閉じ込めに依拠してもよい。いくつかの実施形態では、針容器細隙３８８７は、針３８８８の物理的閉じ込めを補助するための接着剤または他の表面処理の追加に依拠してもよい。多くの実施形態では、針容器は、留置される針の集群を防止し、留置される針の容易な計数を促進し得る。
【１５４９】
図３８９Ａ−３８９Ｂは、多くの実施形態による、内部フィラメントを備える、複数の針を収納するためのデバイスの例示的実施形態を図示する。図３８９Ａは、上面図を図示し、図３８９Ｂは、縦方向断面図を図示する。図示される実施形態では、針トラップ３８９０は、本明細書に説明される多くの実施形態に従って構成されてもよい（例えば、４０ずつ増分された同様の識別子を伴って、図３８５Ａ−Ｂに示される針トラップ３８５０のように）。複数の内部フィラメント３８９７が、針トラップ３８９０の中への針の順次留置に応じて、１本またはそれを上回る針３８９８の集群を防止するように構成されてもよい。内部フィラメント３８９７はそれぞれ、内部フィラメント３８９７ａと、縦方向持針器スロット３８９３の対向側における上構造３８９４の内部表面（すなわち、針スロット３８９４内）に取り付けられ得る、内部フィラメント３８９７ｂとから成ってもよい。図３８９Ａに示されるように、内部フィラメント３８９７ａ／ｂは、その取付点から針トラップ３８９０の中心（したがって、持針器スロット３８９３の中心）に向かって延在し、針３８９８を相補的に受容し得る、針スロット３８９４内の隣接する対の内部フィラメント３８９７ａ／ｂ間に複数の針受容空間を形成するように構成されてもよい。図３８９Ｂに示されるように、内部フィラメント３８９７はまた、上構造３８９４の内面におけるその個別の取付点から針トラップ３８９０の下構造３８９２の内面まで延在するように構成されてもよい（すなわち、針スロット３８９４の全高に跨架するように構成される）。
【１５５０】
いくつかの実施形態では、各内部フィラメント３８９７ａ／ｂは、ねじりばね、螺旋ねじりばね、または類似物を介して、上記に説明されるように、針トラップ３８９３内に取り付けられてもよい。これらの実施形態では、内部フィラメントは、剛性または半剛性材料を含んでもよい。いくつかの実施形態では、各内部フィラメント３８９７ａ／ｂは、接着剤、溶接、または類似恒久的取付を介して、上記に説明されるように、針トラップ３８９３内に取り付けられてもよい。これらの実施形態では、内部フィラメントは、変形可能な可撓性材料を含んでもよい。
【１５５１】
静止時、内部フィラメント３８９７ａ／ｂは、その個別の取付点に対向する内部フィラメントの端部が下構造３８９２の内面に対して押進または接触するように構成される（例えば、その取付点におけるその個別のばねの力によって、または変形によって、図３８９Ｂ参照）。針３８９８が、針トラップ３８９０の中に平行移動されるにつれて、針は、一対の内部フィラメント３８９７ａ／ｂに当接し得、針トラップの中への針の継続平行移動に伴って、内部フィラメント３８９７ａ／ｂは、針の平行移動方向に偏向し、針が針トラップおよび隣接する対の内部フィラメント間の受容空間の中にさらに前進することを可能にし得る。内部フィラメント３９８７ａ／ｂは、その静置位置に戻り得、次の対の内部フィラメント３８９７ａ／ｂは、針トラップ３８９０の中への針の継続平行移動に伴って偏向し得、これらの作用は、針３８９８が針トラップ３８９０の端部まで平行移動されるまで繰り返される。いったん針トラップ３８９０の端部に来ると、針３８９８は、内部フィラメントが次の針の後続平行移動に応じてさらに偏向しないように阻止することによって、針トラップの端部の最近傍の内部フィラメント３８９７ａ／ｂをその静置位置に保持し得る。したがって、後続針３８９８は、針トラップ３８９０の中に留置されるため、針スロット３８９４内の隣接する対の内部フィラメント３８９７ａ／ｂ間の針受容空間は、針３８９８によって連続的に占有され得る。このように、各留置される針は、集群しないように保たれ、留置される針の容易な計数を促進し得る。
【１５５２】
図３９０Ａ−３９０Ｅは、本明細書に説明されるような針取扱システムとの組み込みに好適な持針器スロットカバーの例示的実施形態を図示する。図３９０Ａ−３９０Ｃは、一例示的実施形態の上面図（図３９０Ａ）、側方断面図（図３９０Ｂ−３９０Ｃ）を図示し、図３９０Ｄ−３９０Ｅは、別の例示的実施形態の側方断面図を図示する。図示される実施形態では、針トラップ３９００は、本明細書に説明される多くの実施形態に従って構成されてもよい（例えば、５０ずつ増分される同様の識別子を伴って、図３８５Ａ−３８５Ｂに示される針トラップ３８５０のように）。図示される実施形態では、持針器スロットカバー３９０７は、持針器スロット３９０３の片側において針トラップ３９００の上構造３９０４に摺動可能または回転可能に取り付けられるように構成されてもよい。図示される実施形態では、針トラップ３９００は、容易な針計数を促進するために（例えば、インジケータ色の変化によって）、対応する持針器スロットが作動されると、それを示し得る、持針器スロットカバー３９０７に対応する複数のインジケータ３９０９を備えてもよい。
【１５５３】
いくつかの実施形態では（図３９０Ａ−３９０Ｃに示されるように）、針スロットカバー３９０７は、針トラップ３９００の上構造３９０４内の陥凹に摺動可能に取り付けられた長方形本体３９０７ｂを備えてもよい。さらに、本実施形態では、針スロットカバー３９０７は、外科医による針スロットカバーの作動（すなわち、持針器スロットカバー３９０７が持針器スロット３９０３を被覆しない、その開放位置から、持針器スロットカバー３９０７が持針器スロット３９０３を被覆する、その閉鎖された位置までのタブの摺動）を促進するように構成され得る、各長方形本体３９０７ｂに取り付けられたタブ３９０７ａを備えてもよい。針が外科医によって針トラップ３９００の中に完全に留置された後、外科医は、針トラップ内の下層空間の中への後続針のさらなる留置を防止するように、針スロットカバー３９０７を留置された針の直上に作動させてもよい。このように、針トラップカバーは、針の集群を防止し、その計数を促進し得る。
【１５５４】
いくつかの実施形態では（図３９０Ｄ−３９０Ｅに示されるように）、針スロットカバー３９０７は、回転要素３９０７ｃにおいて針トラップ３９００の上構造３９０４に回転可能に取り付けられた長方形本体３９０７ｂを備えてもよい。さらに、本実施形態では、針スロットカバー３９０７は、最初に、開放状態にあるように構成されてもよい（すなわち、持針器スロットカバー３９０７は、持針器スロット３９０３を被覆しない）。針が外科医によって針トラップ３９００の中に完全に留置された後、外科医は、針スロットカバーを持針器スロット３９０３にわたって回転させ、回転要素に対向する針スロットカバーの端部が上構造３９０４内の陥凹の中に着座されることを可能にすることによって、針スロットカバー３９０７を留置された針の直上に作動させてもよい（図３９０Ｅに示されるように）。本作用によって、針トラップ内の下層空間の中への後続針のさらなる留置は、防止される。このように、針トラップカバーは、針の集群を防止し、その計数を促進し得る。
【１５５５】
図３９１Ａ−３９１Ｂは、多くの実施形態による、歯止めカバーを伴う、複数の針を収納するためのデバイスの例示的実施形態を図示する。図３９１Ａは、持針器３９１９による針３９１８の留置に伴って縦方向に変位された歯止めカバーを伴う針トラップの実施形態の上面図を図示し、図３９１Ｂは、針３９１８が留置され、歯止めカバーが、最後の留置された針にわたって縦方向に歯止めした後の実施形態の上面図を図示する。図示される実施形態では、針トラップ３９１０は、本明細書に説明される多くの実施形態に従って構成されてもよい（例えば、６０ずつ増分される同様の識別子を伴って、図３８５Ａ−３８５Ｂに示される針トラップ３８５０のように）。図示される実施形態では、歯止めカバー３９１５は、進入ゾーン３９１０ａに対向する針トラップの端部において針トラップ３９１０に係合し、上構造３９１１を被覆するように構成されてもよい。本実施形態では、針３９１８が、持針器３９１９を用いて持針器スロット３９１３を通して針トラップ３９１０の遠端の中に平行移動されると、持針器３９１９は、歯止めカバー３９１５を持針器運動の方向に側方に偏移させ得る。針の後続解放および針トラップからの持針器の除去に応じて、歯止めカバーは、留置されたばかりの針を被覆するように、進入ゾーン３９１０ａに向かって縦方向に平行移動し得る。多くの実施形態では、歯止めカバーは、針トラップ３９１０内に留置されている針３９１８のサイズに従って、縦方向に増分で平行移動／歯止めするように構成される、ばね荷重デバイスであってもよい。
【１５５６】
図３９２Ａ−３９２Ｆ、図３９２Ａ１−３９２Ａ１２、および図３９２Ｂ１−３９２Ｂ５は、多くの実施形態による、複数の針を収納するためのデバイスの例示的実施形態を図示する。図３９２Ａは、針トラップの実施形態の斜視図を図示し、図３９２Ｂは、第２の構造の実施形態の内側に留置された図３９２Ａの針トラップの実施形態の斜視図を図示し、図３９２Ｃは、図３９２Ｂに示される実施形態の側方断面図を図示し、図３９２Ｄは、第２の構造の実施形態の内側に留置された図３９２Ａの針トラップの実施形態の上面図を図示し、図３９２Ｅ−３９２Ｆは、針トラップの実施形態の側方断面図を図示する。図３９２Ａ１は、本明細書に説明されるような針トラップが１つの材料のシートから構築され得る方法の実施形態の上面図を図示し、３９２Ａ２は、本明細書に説明されるような針トラップが２つの別個の材料のシートから構築され得る方法の実施形態の斜視図を図示する。図３９２Ａ３−３９２Ａ４は、針トラップの実施形態の上面図を図示する。図３９２Ａ５は、針トラップの実施形態の上面図を図示し、図３９２Ａ６は、図３９２Ａ５に示される針トラップの縦方向断面図を示す。図３９２Ａ７は、針トラップの実施形態の上面図を図示し、図３９２Ａ８は、図３９２Ａ５に示される針トラップの縦方向断面図を示す。図３２９Ａ９−３９２Ａ１１は、トラップの中への針の留置前、中、後の本明細書に説明されるような針トラップの側方断面図を示す。図３９２Ａ１２は、本明細書に説明されるような針トラップの実施形態の斜視図を図示し、内部は、トラップの中に留置された後の針の収納を補助するように構成される。
【１５５７】
図３９２Ａ、図３９２Ａ３、および図３９２Ｂの図示される実施形態では、針トラップ３９２０は、いくつかのゾーン、すなわち、１）進入ゾーン３９２０ａと、２）通過または遷移ゾーン３９２０ｂと、３）収納ゾーン３９２０ｃとから成る、平面デバイスであってもよい。針トラップ３９２０は、針トラップ３９２０の外側部分の周囲でともにしっかりと結合される、上構造３９２１と、下構造３９２２とを備えてもよい。針トラップ３９２０は、上構造３９２１を通して延在する、持針器スロット３９２３を備えてもよく、持針器スロットは、進入ゾーン３９２０ａから収納ゾーン３９２０ｃまでの針の平行移動の全長に沿って持針器のための隙間を提供するように構成される。針トラップ３９２０はさらに、収納された針を単一の針深さアレイの中に拘束し、全体的深さ外形を最小限にし、針計数を促進する、針スロット３９２４を備えてもよい。針トラップ３９２０の構成は、図３９２Ａに示されるように、Ｘ−軸、Ｙ−軸、およびＺ−軸を参照して説明されることができる。
【１５５８】
実施形態では、針トラップ３９２０の進入ゾーン３９２０ａは、下構造３９２２の暴露された部分である、部分的に長方形の平坦ゾーンまたはＸ−Ｙ平面における面積を備えてもよい。外科医は、持針器を用いて使用済み針３９２８を保持し、使用済み針３９２８を進入ゾーン３９２２の上面（すなわち、正のＺ−軸における表面）上に留置することができる。進入ゾーン３９２８に対する針３９２８の接触および／または力は、使用済み針３９２８の湾曲を、湾曲針３９２８の凸状中央部分が遷移ゾーン３９２０ｂに向かって面する、または向いた状態で、Ｘ−Ｙ平面において進入ゾーン上面に対して平坦な平面配向に移動させ得る。
【１５５９】
進入ゾーン３９２０ａは、針スロット３９２４に対して同一幅（Ｙ−軸）であってもよく、進入ゾーン３９２０ａの周囲の周縁は、対比色を有し、視覚的認識を補助してもよい。進入ゾーン３９２０ａの上面は、低摩擦材料から成ってもよい。進入ゾーン３９２０ａの上面は、グラフィックガイドを含み、適切な針配向を外科医に示してもよい。進入ゾーン３９２０ａは、上構造３９２１にわたって折重され、針を針トラップ３９２０内に留置されるように収納してもよい。
【１５６０】
遷移ゾーン３９２０ｂは、進入ゾーン３９２０ａと収納ゾーン３９２０ｃとの間に配置されてもよい。いくつかの実施形態では、遷移ゾーンでは、上構造が進入ゾーン／遷移ゾーンにおいて持針器スロット３９２３と交差する、上構造３９２１の縁３９２５は、図３９２Ａ５−３９２Ａ６に示されるように、針スロット３９２４の中に内向きに折重されてもよい。折重された内向き構成では、縁３９２５は、進入ゾーン／遷移ゾーン交差点における針スロットの深さ（Ｚ−軸）を増加させ、図３９２Ａ６の縦方向断面図に例示されるように、針トラップの中への針の装填を促進し得る。加えて、内向きに折重された縁３９２５は、任意の退出を遮断することによって、針３９２８が針トラップ３９２０から後退して退出しないように防止し得る（例えば、内向きに折重された縁は、針を捕獲し得る）。遷移ゾーンでは、針端上の圧縮側面荷重は、増加され得、針スロットの高さ（Ｚ−軸）は、収納された針が遷移ゾーンを通して平行移動されるにつれて減少され、したがって、針を収納ゾーン３９２０ｃに沿って縦方向に延在する単一針深度アレイに拘束し得る。いくつかの実施形態では、遷移ゾーンでは、上構造が進入ゾーン／遷移ゾーンにおいて持針器スロット３９２３と交差する、上構造３９２１の縁３９２５は、図３９２Ａ７−３９２Ａ８に示されるように、外向きに折重されてもよい。外向きに折重される構成では、縁３９２５は、持針器を持針器３９２３スロットの中に誘導することに役立ち得る。いくつかの実施形態では、縁３９２５は、折重されなくてもよく、針スロット３９２４の高さ（Ｚ−軸）は、遷移ゾーン３９２０ｂから収納ゾーン３９２０ｃを通して一定のままであってもよい。いくつかの実施形態では、進入ゾーン３９２０ａ、遷移ゾーン３９２０ｂ、および収納ゾーン３９２０ｃの幅（Ｙ−軸）は、同一であってもよい。
【１５６１】
収納ゾーン３９２０ｃは、遷移ゾーン３９２０ｂに隣接して配置され、完全圧縮側面荷重が、針端に印加され、針３９２８の意図しない除去またはを脱落を防止する、領域を備えてもよい。
【１５６２】
針トラップ３９２０は、進入に応じて、針３９２８の凸状側が収納ゾーン３９２０ｃに面し、針３９２８の凹状側の鋭利尖端および末端が、進入ゾーン３９２０ａに面する配向をとるように針を助長するように構成されてもよい。したがって、針トラップ３９２０は、針３９２８の鋭利尖端および末端が運動方向から離れて向けさせ、それによって、針刺し傷害のリスクを低減させるように構成されてもよい。持針器スロット３９２３は、針スロットの中央部分等の針スロット３９２４の一部と交差してもよく、持針器の遠位先端が針３９２８を針トラップ３９２０のＸ−軸に沿って平行移動させ得るように、Ｘ−軸における針トラップ３９２０の正中線に配置されてもよい。代替として、持針器スロット３９２３は、持針器スロットが、針トラップ３９２０のＸ−軸と略平行であるが、重複しない、軸に沿って延在するように、正中線からずれてまたは非対称的に針スロット３９２４と交差してもよい。針３９２８は、針３９２８が針ホルダによって把持される方法に関して過剰な抵抗または感度を伴わずに、針スロット３９２８内で収納ゾーン３９２０ｃの中深くまで摺動／平行移動し得る（すなわち、進入ゾーン３９２０ａから離れて）。実施形態では、収納ゾーン３９２０ｃは、使用済み針３９２８が針トラップ３９２０から除去されないように防止することができる。
【１５６３】
好ましい実施形態では、針３９２８は、外科医が針を保持する持針器の先端を操作することによって、下構造３９２２の進入ゾーン３９２０ａと接触するように移動される。針３９２８は、進入ゾーン３９２０ａに対して押動され、針トラップ３９２０のＸ−Ｙ平面と整合されることができる。針３９２８は、次いで、進入ゾーン３９２０ａから遷移ゾーン３９２０ｂの中に針トラップ３９２８の縦方向Ｘ−軸に沿った平行移動において移動されることができ、針３９２８は、凸状側が、収納ゾーン３９２０ｃに面し、針３９２８の鋭利突端および末端が、進入ゾーン３９２０ａに面した状態で、針スロット３９２４の中に摺動する。持針器は、持針器が針スロット３９２４または最後の挿入された使用済み針３９２８の端部にぶつかるまで、針３９２８を収納ゾーン３９２０ｃ内の針スロット３９２４の中に移動させるように平行移動されることができる。
【１５６４】
いくつかの実施形態では、持針器スロット３９２８は、図３９２Ａ３に例示されるように、上構造３９２１の上面および下面を通して線形切断を備えてもよい。これらの実施形態では、針トラップ材料の固有の可撓性は、持針器スロットの線形縁が変形することを可能にし、持針器の平行移動を可能にし得る。いくつかの実施形態では、持針器スロット３９２８は、針３９２８を保持する持針器の遠位先端を受容するように構成される、Ｙ−軸における幅を備えてもよい。これらの実施形態では、本幅は、保持された針３９２８が針トラップ３９２０内の収納ゾーン３９２０ｃの幅を横断して適切に整合されるよう、伸長断面を伴う持針器の遠位先端が持針器スロット３９２３と配向されなければならなくなるように、収納ゾーン３９２０ｃにおいて狭くてもよい。いくつかの実施形態では、持針器スロット３９２８は、図３９２Ａ４に例示されるように、Ｘ−軸におけるその長さ全体を通して一定である、Ｙ−軸における幅を備えてもよい。
【１５６５】
多くの実施形態では、針トラップ３９２０は、変形可能、可撓性、および／または応従性材料から成る。多くの実施形態では、針トラップ３９２０は、１本またはそれを上回る針３９２８を針スロット３９２４内に収納するための圧縮力を提供し得る、変形可能、可撓性、および／または応従性材料から成る。代替として、または組み合わせて、図３９２Ａ１２に例示されるように、針トラップ３９２０は、針がエンベロープから退出しないように防止するために、本明細書に説明されるように針スロット３９２４内の３９２４ａとして識別される、磁気ストリップ、発泡体、表面コーティング、ゲル、および同等物を備えてもよい。
【１５６６】
多くの実施形態では、図３２９Ａ９に示されるように、針トラップ３９２０は、平面構成をとってもよく、上構造３９２１の下面および下構造３９２２の上面は、針スロット３９２４内の任意の針の存在を伴わないと、相互に支えられる（すなわち、針を針トラップ内に伴わないと、針トラップは、その搭載表面に対して平坦となる）。図３２９Ａ１０に示されるように、針３９２８が、持針器３２７によって、針スロット３９２４を通して針トラップ３９２０の中に装填されるにつれて、針トラップ材料の固有の可撓性は、上構造３９２１の縁３９２５、上構造３９２１の持針器スロットの３９２３線形縁、および上構造３９２１が、変形し、針３９２８を保持する持針器３２７が針３９２８の留置のために針トラップ３９２０の中に平行移動されるにつれて、針３９２８および持針器３２７に共形化することを可能にし得る。図３９２Ａ１１に示されるように、針３９２８が針トラップ３９２０の針スロット３９２４の中に留置された後、針トラップ材料の固有の可撓性は、上構造３９２１の縁３９２５、上構造３９２１の持針器スロット３９２３の線形縁、および上構造３９２１が、針３９２８に共形化することを可能にし得る。いくつかの実施形態では、上構造３９２１の縁３９２５、上構造３９２１の持針器スロット３９２３の線形縁、および上構造３９２１の共形化は、圧縮力を針トラップ３９２０内の針３９２８に印加し、それによって、針３９２８を定位置に収納し得る。いくつかの実施形態では、上構造３９２１の縁３９２５、上構造３９２１の持針器スロット３９２３の線形縁、および上構造３９２１の共形化は、針３９２８の場所に限定されてもよい（すなわち、針３９２８から離れて、上構造３９２１の下面および下構造３９２２の上面は、相互に支えられる）。いくつかの実施形態では、下構造３９２２も、加えて、変形し、針３９２８に共形化してもよい。いくつかの実施形態では、下構造３９２２も、加えて、変形し、針３９２８および持針器３２７に共形化してもよい。
【１５６７】
多くの実施形態では、針トラップ３９２０は、１本またはそれを上回る針３９２８がトラップの側方および縦方向壁を通して穿刺しないように防止し得る、変形可能、可撓性、および／または応従性材料（すなわち、穿刺抵抗材料）から成ってもよい。針トラップ３９２０を構築するために使用される材料の厚さは、０．００８インチ〜０．０３０インチの範囲内であってもよい。針トラップ３９２０を構築するために使用される材料は、ＰＴＦＥ、Ｔｙｖｅｋ、ポリカーボネート、ポリアミド、Ｋｅｖｌａｒ、ＰＶＣ、およびＰＥＴＧ、好ましくは、ＰＥＴＧを含んでもよい。針トラップ３９２０を構築するために使用される材料は、針の先端に印加される少なくとも０．３ポンド力を伴う、針の鋭利先端を用いた穿刺に抵抗するため（針は、Ｕｎｉｔｅｄ  Ｓｔａｔｅｓ  Ｓｕｒｇｉｃａｌ  Ｃｏｒｐｏｒａｔｉｏｎ  ＧＳ−２１針である）、または針の先端に印加される少なくとも０．３ポンド力を伴う、針の鋭利先端を用いた穿刺に抵抗するため（針は、Ｕｎｉｔｅｄ  Ｓｔａｔｅｓ  Ｓｕｒｇｉｃａｌ  Ｃｏｒｐｏｒａｔｉｏｎ  ＣＶ−２３針である）、または針の先端に印加される少なくとも０．３ポンド力を伴う、針の鋭利先端を用いた穿刺に抵抗するため（針は、Ｕｎｉｔｅｄ  Ｓｔａｔｅｓ  Ｓｕｒｇｉｃａｌ  Ｃｏｒｐｏｒａｔｉｏｎ細型半円形針である）、または針の先端に印加される少なくとも０．３ポンド力を伴う、針の鋭利先端を用いた穿刺に抵抗するため（針は、Ｕｎｉｔｅｄ  Ｓｔａｔｅｓ  Ｓｕｒｇｉｃａｌ  Ｃｏｒｐｏｒａｔｉｏｎ中型半円形針である）、または針の先端に印加される少なくとも０．５ポンド力を伴う、針の鋭利先端を用いた穿刺に抵抗するため（針は、Ｕｎｉｔｅｄ  Ｓｔａｔｅｓ  Ｓｕｒｇｉｃａｌ  Ｃｏｒｐｏｒａｔｉｏｎ  ＧＳ−２１針である）、または針の先端に印加される少なくとも０．５ポンド力を伴う、針の鋭利先端を用いた穿刺に抵抗するため（針は、Ｕｎｉｔｅｄ  Ｓｔａｔｅｓ  Ｓｕｒｇｉｃａｌ  Ｃｏｒｐｏｒａｔｉｏｎ  ＣＶ−２３針である）、または針の先端に印加される少なくとも０．５ポンド力を伴う、針の鋭利先端を用いた穿刺に抵抗するため（針は、Ｕｎｉｔｅｄ  Ｓｔａｔｅｓ  Ｓｕｒｇｉｃａｌ  Ｃｏｒｐｏｒａｔｉｏｎ細型半円形針である）、または針の先端に印加される少なくとも１ポンド力を伴う、針の鋭利先端を用いた穿刺に抵抗するため（針は、Ｕｎｉｔｅｄ  Ｓｔａｔｅｓ  Ｓｕｒｇｉｃａｌ  Ｃｏｒｐｏｒａｔｉｏｎ中型半円形針である）、針の先端に印加される少なくとも１ポンド力を伴う、針の鋭利先端を用いた穿刺に抵抗するため（針は、Ｕｎｉｔｅｄ  Ｓｔａｔｅｓ  Ｓｕｒｇｉｃａｌ  Ｃｏｒｐｏｒａｔｉｏｎ  ＧＳ−２１針である）、または針の先端に印加される少なくとも１ポンド力を伴う、針の鋭利先端を用いた穿刺に抵抗するため（針は、Ｕｎｉｔｅｄ  Ｓｔａｔｅｓ  Ｓｕｒｇｉｃａｌ  Ｃｏｒｐｏｒａｔｉｏｎ  ＣＶ−２３針である）、または針の先端に印加される少なくとも１ポンド力を伴う、針の鋭利先端を用いた穿刺に抵抗するため（針は、Ｕｎｉｔｅｄ  Ｓｔａｔｅｓ  Ｓｕｒｇｉｃａｌ  Ｃｏｒｐｏｒａｔｉｏｎ細型半円形針である）、または針の先端に印加される少なくとも１ポンド力を伴う、針の鋭利先端を用いた穿刺に抵抗するため（針は、Ｕｎｉｔｅｄ  Ｓｔａｔｅｓ  Ｓｕｒｇｉｃａｌ  Ｃｏｒｐｏｒａｔｉｏｎ中型半円形針である）、または針の先端に印加される少なくとも３ポンド力を伴う、針の鋭利先端を用いた穿刺に抵抗するため（針は、Ｕｎｉｔｅｄ  Ｓｔａｔｅｓ  Ｓｕｒｇｉｃａｌ  Ｃｏｒｐｏｒａｔｉｏｎ  ＧＳ−２１針である）、または針の先端に印加される少なくとも３ポンド力を伴う、針の鋭利先端を用いた穿刺に抵抗するため（針は、Ｕｎｉｔｅｄ  Ｓｔａｔｅｓ  Ｓｕｒｇｉｃａｌ  Ｃｏｒｐｏｒａｔｉｏｎ  ＣＶ−２３針である）、または針の先端に印加される少なくとも３ポンド力を伴う、針の鋭利先端を用いた穿刺に抵抗するため（針は、Ｕｎｉｔｅｄ  Ｓｔａｔｅｓ  Ｓｕｒｇｉｃａｌ  Ｃｏｒｐｏｒａｔｉｏｎ細型半円形針である）、または針の先端に印加される少なくとも３ポンド力を伴う、針の鋭利先端を用いた穿刺に抵抗するため（針は、Ｕｎｉｔｅｄ  Ｓｔａｔｅｓ  Ｓｕｒｇｉｃａｌ  Ｃｏｒｐｏｒａｔｉｏｎ中型半円形針である）の強度の穿刺抵抗を有してもよい。
【１５６８】
異なる実施形態では、針トラップ３９２０は、格納される針３９２８のサイズに応じて、異なる寸法を有してもよい。したがって、小針を格納するために使用される小針トラップは、より大きい針を格納するために使用される大針トラップより小さい寸法を有してもよい。針は、上記に列挙された針サイズまたはＵｎｉｔｅｄ  Ｓｔａｔｅｓ  Ｓｕｒｇｉｃａｌ  Ｃｏｒｐｏｒａｔｉｏｎから利用可能な手術用針等の他の利用可能な針を含んでもよい。
【１５６９】
いくつかの実施形態では、針トラップ３９２０は、図３９２Ａ１に示されるように、１つの材料のシートから構築されてもよい。これらの実施形態では、持針器スロット３９２３は、針トラップ３９２０を通して切断され、本明細書に説明されるように定寸されてもよい（例えば、持針器スロットは、単一切断を備え、材料を通して線形切断を形成してもよい、または本明細書に示されるように、幅３９２３ｂを伴う貫通切断を備えてもよい）。さらに、単一の材料のシートが、重ね合わされるように折畳されてもよく、針トラップの縦軸に沿った外周縁は、本明細書に説明されるように、内部閉鎖された壁によって境界される針スロット３９２４を伴う針トラップ３９２０を生成するようにシールされてもよい。いくつかの実施形態では、針トラップ３９２０は、図３９２Ａ２に示されるように、２つの別個の材料のシートから構築されてもよい。これらの実施形態では、持針器スロット３９２３は、針トラップ３９２０の上構造３９２１（すなわち、図３９２Ａ２に示される上シート）を形成であろう、１つの材料のシートを通して切断され、本明細書に説明されるように定寸されてもよい（例えば、持針器スロットは、単一切断を備え、材料を通して線形切断を形成してもよい、または本明細書に示されるように、幅３９２３ｂを伴う貫通切断を備えてもよい）。さらに、上構造３９２１を形成するであろう、本１つの材料のシートは、次いで、針トラップの縦軸に沿った外周縁および進入ゾーンに対向する針トラップの側方周縁をシールするように、針トラップ３９２０の下構造３９２２（すなわち、図３２９Ａ２に示される底シート）を形成するであろう、別の材料のシートに接着されてもよい。多くの実施形態では、外周縁のシールは、接着剤、糊、溶接、縫着、または任意の他の継合手段の使用を備えてもよい。
【１５７０】
いくつかの実施形態では、針トラップ３９２０の下構造３９２２の下面は、接着剤、Ｖｅｌｃｒｏ、または他の接合手段を備え、針トラップ３９２０を本明細書に説明されるような障壁搭載基部、障壁、または基部等の搭載表面に解放可能に取り付けてもよい。いくつかの実施形態では、針トラップ３９２０の下構造３９２２の下面は、針トラップ３９２０を表面に恒久的に取り付けるための接着剤または他の接合手段を備えてもよい。
【１５７１】
いくつかの実施形態では、本明細書に説明されるような針トラップ３９２０は、針トラップ３９２０を受容するように構成される、再使用可能二次構造３９２６（図３９２Ｂ−３９２Ｄおよび図３９２Ｂ１−３９２Ｂ５に示されるように）の中に留置／挿入されてもよい。二次構造３９２６は、上構造３９２６ａと、下構造３９２６ｂと、持針器スロット３９２６ｄと、針トラップ受容スロット３９２６ｅと、側方壁３９２６ｃ（針トラップ受容スロット３９２６ｅに対向する端部における二次構造３９２６の側方周縁において上構造３９２６ａを下構造３９２６ｂに継合し得る）とを備えてもよい。二次構造はまた、１つまたはそれを上回る縦方向壁３９２６ｆ（二次構造３９２６の縦方向周縁において上構造３９２６ａを下構造３９２６ｂに継合し得る）を備えてもよい。代替として、または組み合わせて、二次構造はまた、針トラップ３９２０を受容するように構成される、内側溝３９２６ｇを備えてもよい。
【１５７２】
二次構造３９２６の針トラップ受容スロット３９２６ｅは、針トラップ３９２０を受容するように構成されてもよい。したがって、異なる実施形態では、二次構造は、針トラップ３９２０のサイズに応じて、異なる寸法を有してもよい。針トラップ受容スロット３９２６ｅ内への針トラップ３９２０の嵌合は、緩締または緊締であって、所望の嵌合を遂行するための摩擦または表面処理に依拠してもよい。いくつかの実施形態では、二次構造は、圧縮力をその中の針トラップに提供する。
【１５７３】
二次構造３９２６の持針器スロット３９２６ｄは、針トラップ３９２０の持針器スロット３９２３の寸法に合致するように構成されてもよい。代替として、持針器スロット３９２６ｄは、持針器スロット３９２３より過大定寸されてもよい（すなわち、Ｙ−軸により大きい幅を有する）。
【１５７４】
二次構造３９２６の側方壁３９２６ｃは、針トラップ３９２０のための停止部としての役割を果たしてもよい（すなわち、針トラップは、針トラップが側方壁に当接すると、二次構造の中に完全に着座／挿入される）。随意の縦方向壁３９２６ｆは、加えて、使用中、針トラップ３９２０を側方移動しないように拘束する役割を果たしてもよい。
【１５７５】
いくつかの実施形態では、二次構造３９２６の持針器スロット３９２６ｄは、上構造３９２６ａ（図３９２Ｂ−３９２Ｄに示されるように）および下構造３９２６ｂ（図３９２Ｂ１に示されるように）の両方を通して延在してもよい。そのように構成されると、持針器の遠位端は、二次構造の高さ（Ｚ−軸）全体に横断することを可能にされ、これは、針トラップ３９２０の中への針３９２８の留置を促進し得る。
【１５７６】
さらなる詳細では、図３９２Ｂ１の二次構造３９２６は、第１および第２の端部を有する、第１の堅性部材３９２６ｊと、第１の堅性部材の第１の端部から延在する、第２の堅性部材３９２６ｈと、第１の堅性部材の第２の端部から延在し、第２の堅性部材３９２６ｈと同一平面にある、第３の堅性部材３９２６ｉとを含んでもよい。堅性構造３９２６は、請求項のいずれかに記載の針受器３９２０を第２の堅性部材と第３の堅性部材３９２６ｈ、３９２６ｉ間に受容するように構成されてもよい。
【１５７７】
いくつかの実施形態では、第１の部材３９２６ｊに近接する端部における第２および第３の部材３９２６ｈ、３９２６ｉ間の距離３９２６ｄは、針受器が堅性構造内に受容されると、第２および第３の部材が側方圧縮力等の力を針受器３９２０に付与し、針受器を変形させ、針受器の針スロットへの進入口を拡大するように、遠位端における第２および第３の部材３９２６ｈ、３９２６ｉ間の距離３９２６ｋ未満である。
【１５７８】
図３９２Ｅ−３９２Ｆに示されるように、いくつかの実施形態では、針トラップ３９２０は、下構造３９２２の底部に接着された１つまたはそれを上回る縦方向ランナ３９２７を備えてもよい。いくつかの実施形態では、縦方向ランナは、針トラップ３９２０の底部間の空間によって画定された持針器空間３９２９、縦方向ランナ３９２７の隣接する垂直表面、および針トラップが取り付けられる障壁表面を提供するように構成されてもよい。いくつかの実施形態では、縦方向ランナ３９２０は、収納ゾーン３９２０ｃおよび遷移ゾーン３９２０ｂから成る針トラップの長さに跨架するように定寸されてもよい。いくつかの実施形態では、縦方向ランナ３９２０は、発泡体、ゴム、または剛性材料から成ってもよい。
【１５７９】
多くの実施形態では、縦方向ランナ３９２７は、針トラップの中への針３９２８の平行移動を促進するように、持針器空間３９２９を提供することによって、持針器の遠位先端が、針トラップ３９２０の下構造３９２２を下向きに偏向させることを可能にする（図３９２Ｆに示されるように）。いくつかの実施形態では、１つのみの縦方向ランナ３９２７が、針トラップ３９２０の下面に接着されてもよく、針３９２８は、針トラップ材料の応従性を用いて針トラップの中に装填される。
【１５８０】
いくつかの実施形態では、針トラップ３２９０および二次構造３９２６は、針スロット３９２４の拡開を助長する（すなわち、針トラップの中への針の容易な留置を促進する）ように、圧縮側方力を針トラップ３２９０に提供するように構成されてもよい。図３９２Ｂ２−３９２Ｂ３および図３９２Ｂ４−３９２Ｂ５は、そのような構成の例示的実施形態を図示する。これらの例示的実施形態では、針トラップ３２９０は、針スロット３９２４に対向する針トラップの端部における側方幅３９２０ｄと、針スロット３９２４における側方幅３９２０ｋとを有してもよい。さらに、これらの例示的実施形態では、二次構造３９２６の内側溝３９２６ｇは、針トラップ受容スロット３９２６ｅの入口に対向する二次構造内の内側方幅３９２６ｄと、針トラップ受容スロット３９２６ｅの入口における内側方幅３９２６ｋとを有してもよい。図３９２Ｂ２−３９２Ｂ３に示される実施形態では、二次構造３９２６の内側方幅３９２６ｄおよび３９２６ｅは、同一であってもよい一方、針トラップの側方幅３９２０ｄは、針トラップ３２９０の側方幅３９２０ｋ未満であってもよい。さらに、二次構造の側方幅３９２６ｄおよび３９２６ｅは、針トラップ３２９０の側方幅３９２０ｄに相補的に定寸されてもよい。したがって、針トラップ３９２０の側方幅３９２０ｋは、二次構造の側方幅３９２６ｄおよび３９２６ｅを上回る。そのように定寸されるこで、針トラップ３２９０が、二次構造３９２６の中に留置されると、二次構造３９２６は、図３９２Ｂ３に示されるように、針スロット３９２４の拡開を助長するように、圧縮側方力を針トラップ３２９０に提供してもよい。代替として、図３９２Ｂ４−３９２Ｂ５に示される実施形態では、針トラップ３２９０の側方幅３９２０ｄおよび３９２０ｋは、同一であってもよい一方、二次構造の内側方幅３９２６ｋは、二次構造３２９６の内側方幅３９２６ｄ未満であってもよい。さらに、二次構造３９２６の内側方幅３９２６ｄは、針トラップ３２９０の側方幅３９２０ｄに相補的に定寸されてもよい。したがって、二次構造の内側方幅３２９６ｋは、針トラップ３２９０の側方幅３９２０ｄおよび３９２０ｋ未満である。そのように定寸されることで、針トラップ３２９０が、二次構造３９２６の中に留置されると、二次構造３９２６は、図３９２Ｂ５に示されるように、針スロット３９２４の拡開を助長するように、圧縮側方力を針トラップ３２９０に提供してもよい。いくつかの実施形態では、針トラップの側方寸法３９２０ｄおよび３９２０ｋならびに二次構造の内側方寸法３９２６ｄおよび３９２６ｋ、必要に応じて、針スロット３９２４の拡開を助長するように、圧縮側方力を針トラップ３２９０に提供するように構成されてもよい。
【１５８１】
図３９３Ａ−３９３Ｂは、多くの実施形態による、複数の針を収納するためのデバイス３９３０の例示的実施形態を図示する。デバイス３９３０は、筐体の後端においてヒンジ部分３９３４によってともに結合される、上部分３９３２と、下部分３９３３とを有する、Ｕ形状の筐体３９３１を備える。上部分と下部分との間の空間または空洞は、複数の針Ｎを格納するための平面針スロット３９３５を形成する。ヒンジ部分３９３４は、針が上部分および下部分によって付与される圧縮力によって針スロット内に収納され得るように、筐体の上部分および下部分を相互に向かって付勢するようにばね荷重されてもよい。上部分および下部分はそれぞれ、第１のアームと、第２のアームとを備え、第１のアームと第２のアームとの間の空間は、「Ｕ」の中心まで延在する持針器チャネルまたはスロット３９３６を画定する。使用時、針を保持する持針器の先端は、持針器スロット３９３６と整合され、針は、平面針スロット３９３５と整合されてもよく、次いで、持針器先端は、持針器スロットに沿って筐体のヒンジ部分に向かって平行移動され、針を針スロット内に収納してもよい。
【１５８２】
随意に、筐体の下部分は、筐体の上部分の前端を越えて延在する、延在部分３９３７を備えてもよい。使用時、延在部分３９３７は、針がデバイス内に収納されるための降着ゾーンを提供することができ、針は、持針器先端が持針器スロットと整合された状態で、延在部分の上面と接触させられてもよい。降着ゾーンは、ユーザが針と針スロットの平面を慎重に整合させる必要性を排除することによって、針スロットの中への針の挿入を促進することができる。随意に、筐体はさらに、筐体の前端に位置し、下筐体部分の前外縁から上筐体部分の前外縁まで延在する、遮断タブ３９３８ａ、３９３８ｂを備えてもよい。遮断タブは、針の一方または両端がＵ形状の筐体のアームを越えて暴露された状態で、針が針スロットに進入しないように防止し、したがって、針の両端が筐体の上部分および下部分間に収納されることを確実にすることによって、針刺し傷害のリスクを低減させることができる。
【１５８３】
随意に、暴露された針端がＵ形状の筐体３９３１のアームを越えて延在するリスクをさらに低減させるために、デバイス３９３０は、図３９３Ｂに示されるように、Ｕ形状の筐体の外側方縁にわたって配置される側方壁３９３９を具備してもよい。側方壁３９３９は、筐体３９３１の統合された部分であってもよい、またはそれらは、デバイス３９３０に除去可能に結合され得る、別個の付属品として提供されてもよい。例えば、デバイス３９３０は、側方壁３９３９を備え、筐体３９３１の外縁にわたって緊密に嵌合するように構成される、Ｕ形状の付属品を具備してもよい。
【１５８４】
図３９４は、多くの実施形態による、複数の針を収納するためのデバイス３９４０の例示的実施形態を図示する。デバイス３９４０は、筐体の後端におけるヒンジ部分３９４４によってともに結合される、上部分３９４２と、下部分３９４３とを有する、筐体３９４１を備える。上部分および下部分間の空間は、複数の針Ｎを格納するための平面針スロット３９４５を形成する。ヒンジ部分３９４４は、針が筐体の上部分および下部分によって付与される圧縮力によって針スロット内に収納され得るように、ばね荷重され、上部分および下部分を相互に向かって付勢してもよい。上部分は、筐体の長さに沿って延在し、その中への持針器先端の平行移動を可能にするように構成される、上持針器スロット３９４７ａを画定してもよい。下部分は、上持針器スロットと実質的に整合される、下持針器スロット３９４７ｂを画定してもよい。さらに、下部分は、上筐体部分の前端を越えて延在する、延在部分３９４８を備え、針がデバイスの中に留置されるための降着ゾーンを提供する。下持針器スロット３９４７ｂは、示されるように、延在部分の中に延在することができる。使用時、針を保持する持針器は、持針器の先端が下持針器スロット３９４７ｂの前端と整合され、針が延在部分の上面に接触する状態で、延在部分にわたって留置されてもよい。続いて、持針器先端は、上持針器スロットに沿ってデバイスの後端に向かって平行移動され、針を針スロット内に収納してもよい。降着ゾーンは、ユーザが針と針スロットの平面を慎重に整合させる必要性を排除することによって、針スロットの中への針の挿入を促進することができる。
【１５８５】
図３９５は、多くの実施形態による、複数の針を収納するためのデバイス３９５０の例示的実施形態を図示する。デバイス３９５０は、多くの側面において、図３５１Ａ−３５１Ｃを参照して図示および説明されるデバイス３５１０および図３９４を参照して図示および説明されるデバイス３９４０に類似してもよい。デバイス３９５０は、筐体の後端においてヒンジ部分３９５４によって相互に移動可能に結合される、上部分３９５２と、下部分３９５３とを有する、筐体３９５１を備える。上部分と下部分との間の空間は、複数の針Ｎを格納するための平面針スロット（図３５１Ｃに最良に見られる、スロット３５１５）を形成する。上部分３９５２、下部分３９５３、およびヒンジ部分３９５４は、多くの側面において、図３９４を参照して説明されるデバイス３９４０の対応する名称の要素に類似してもよい。上部分はさらに、針の端部を針スロット内に配置されるように捕捉および封入し、それによって、筐体の側方側面を越えて延在する暴露された針端からの針刺し傷害のリスクを低減させるように構成される、側方壁３９５５を含んでもよい。
【１５８６】
図３９６は、多くの実施形態による、複数の針を収納するためのデバイス３９６０の例示的実施形態を図示する。デバイス３９６０は、伸長部材とも称される、第１のクリップ３９６１ａと、第２のクリップ３９６１ｂとを備える。各クリップは、複数の針Ｎの端部を受容するように成形される、個別のスロット３９６２ａと、３９６２ｂとを有する。クリップは、針の先端が被覆された状態で、針を定位置に収納するために、スロット内に配置される針の端部に対して圧縮力を印加するように構成される、ばね材料から形成される、および／またはそれを含んでもよい。２つのクリップは、針の一端が第１のクリップのスロットに進入し、他端が第２のクリップのスロットに進入し、針がデバイス３９６０の平面に対して略平面配向になる状態で、針Ｎがデバイスの中に挿入され得るように、スロットの開口部が相互に面した状態で、整合および配列される。第１のクリップおよび第２のクリップは、離間され、持針器スロット３９６３を２つのクリップ間に画定してもよく、針を保持する持針器の先端は、持針器スロットに沿って平行移動され、針をデバイス内に収納してもよい。デバイスはさらに、デバイスの後端を横断して配置され、第１および第２のクリップの後端を遮断し、ユーザが偶発的に針を保持する持針器をデバイスの後端を越えて平行移動させないように防止する、後壁３９６４を備えてもよい。後壁３９６４は、デバイスの一体型部分として提供されてもよい、または、例えば、接着剤もしく機械締結具を介して、使用前に２つのクリップに結合され得る、別個の構成要素として提供されてもよい。
【１５８７】
図３９７Ａ−３９７Ｂは、多くの実施形態による、複数の針を分配および収納するためのデバイスの例示的実施形態を図示する。図３９７Ａおよび３９７Ｂは両方とも、針トラップ３９７０の例示的実施形態の上面図を図示し、針トラップの側方側面３９７２は、封入されない。針トラップ３９７０は、本明細書に説明されるような針トラップ実施形態のいずれかに従うことができる。示される例示的実施形態では、複数の未使用針１０３が、封入されない側方端３９７２の近傍の新しい針収納ゾーンにおいて針トラップ３９７０内に提供され、使用のために、未使用針１０３が握持され、出口とも称される、開放側方端３９７２から平行移動されることを可能にしてもよい。さらに、１本またはそれを上回る針１０４が、本明細書の針トラップの多くの実施形態に説明されるように、持針器を用いて、持針器スロット３９７３および針スロットを通して針トラップ３９７０の中に留置されてもよい。図３９７に示されるように、持針器スロット３９７３は、上構造を通して形成され、第１の端部における上構造の周縁から第２の端部における上構造の周縁まで延在してもよい。このように、針トラップ３９７０は、針分配器および針トラップの両方であってもよい。図３９７Ａに示されるように、いくつかの実施形態では、新しい針は、持針器スロット３９７３または針スロット内に位置する１つまたはそれを上回る停止部３９７１によって、使用済み針から分離されてもよい。１つまたはそれを上回る停止部は、１つまたはそれを上回る停止部を過ぎて平行移動しないように、使用済み針１０４を保持する持針器の平行移動を阻止し、それによって、使用済み針１０４を有する使用済み針収納ゾーンを未使用針１０３を有する新しい針収納ゾーンから分離し得る、１つまたはそれを上回る隆起表面を備えてもよい。代替として、または組み合わせて、１つまたはそれを上回る停止部は、未使用針１０３の中への使用済み針１０４の平行移動を防止するように、使用済み針１０４と相補的針スロットとの間の摩擦を増加させる、表面処理を備えてもよい。いくつかの実施形態では、持針器スロット３９７３は、使用済み針１０４を保持する持針器の平行移動を遮断し、したがって、未使用針１０３の中への使用済み針１０４の平行移動を防止するように、側方ブリッジ（すなわち、持針器スロットは、連続しない）を備えてもよい。図３９７Ｂに示されるように、いくつかの実施形態では、針停止部は、提供されなくてもよい。いくつかの実施形態では、針トラップ３９７０は、針スロットの高さの減少を伴って構成され、未使用針１０３の中への使用済み針１０４の平行移動を防止してもよい。
【１５８８】
図３９８Ａ−３９８Ｄは、多くの実施形態による、複数の針を分配および収納するために障壁に搭載される針分配器および針トラップを伴う、障壁搭載基部の例示的実施形態を図示する。図３９８Ａは、針１０３を含有する針分配器１０１と、そこに搭載される針トラップ３３１とを伴う、障壁搭載基部３６９３の上面図を図示し、本アセンブリは、本明細書に説明されるように、外科医によって着用され障壁４０３に搭載される。図３９８Ｂ−３９８Ｄは、障壁搭載基部３６９３の例示的実施形態の端面図と、そこに結合されるときの障壁４０３との相互作用の方法を図示する。
【１５８９】
図３９８Ｂ−３９８Ｄに示されるように、本明細書に説明される多くの実施形態によると、障壁搭載基部３６９３は、針分配器１０１等のデバイスを搭載するための基板としての役割を果たしてもよい。本明細書に説明されるように、障壁搭載基部３６９３は、噛合表面３９８２において障壁４０３に結合されながら、針分配器１０１等のデバイスを安定して支持するために十分な剛性を提供可能な任意の材料から成ってもよく、噛合表面３９８２は、障壁搭載基部３６９３の下面が障壁４０３の外部／暴露された表面に結合する面積として画定される。また、本明細書に説明されるように、接着部材、磁気結合、Ｖｅｌｃｒｏアタッチメント、スナップ嵌合等の機械的結合機構、または他の結合機構が、噛合表面３９８２において障壁搭載基部３６９３を障壁４０３に結合するために使用されてもよい。多くの実施形態では、図３９８Ｂに示されるように、障壁搭載基部３６９３は、噛合表面３９８２において障壁４０３に結合されると、障壁搭載基部３６９３と障壁４０３との間の間隙３９８０が存在し得るように、ねじれおよび／または屈曲に抵抗するように構成されてもよい。いくつかの実施形態では、図３９８Ｃに示されるように、障壁搭載基部３６９３の下面は、障壁搭載基部３６９３の下面と障壁４０３の外部／暴露された表面との間の間隙の全部または一部に跨架し、したがって、障壁４０３に結合されると、ねじり安定性を障壁搭載基部３６９３に追加するように作用し得る、１つまたはそれを上回る延在部３９８１を備えてもよい。延在部３９８１は、発泡体、障壁４０３の外部／暴露された表面に共形化可能なゴム、または任意の他の材料から成ってもよい。延在部３９８１は、障壁４０３に結合されと、必要に応じて、ねじり安定性を障壁搭載基部３６９３に追加し、それによって、ねじり補剛材となるように構成されてもよい。いくつかの実施形態では、図３９８Ｄに示されるように、障壁搭載基部３６９３は、障壁４０３の凸状外部／暴露された表面を補完し、障壁をその中に受容するように定寸される、凹状下面を伴って構成されてもよい。これらの実施形態では、噛合表面３９８２は、最大限にされ、したがって、障壁４０３に結合されると、障壁搭載基部３６９３へのねじり安定性を最大限にするように作用してもよい。いくつかの実施形態では、障壁搭載基部の下面は、第１の場所において障壁の湾曲表面に接触し、第１および第２の延在部は、個別の第２および第３の場所において障壁の湾曲表面に接触する。
【１５９０】
図３９９Ａ−３９９Ｄは、多くの実施形態による、１本またはそれを上回るスエージ加工針を分配するためのデバイスの例示的実施形態を図示する。図３９９Ａは、スエージ加工針１０３を分配するためのスエージ加工針分配器３９９０の実施形態の斜視図を図示し、図３９９Ｂ−３９９Ｄは、スエージ加工針分配器３９９０の、結合部または延在部とも称される、支柱３９９２と、結合部とも称される、支柱受け３９９５との例示的実施形態の断面図を図示する。
【１５９１】
図３９９Ａ−３９９Ｄの図示される実施形態では、スエージ加工針分配器３９９０は、平面基部３９９１と、平面基部３９９１の上面に配置される２つまたはそれを上回る支柱３９９２と、平面基部３９９１の下面に配置される２つまたはそれを上回る支柱受け３９９５と、平面基部３９９１の上面に配置される１つまたはそれを上回るスエージ加工針容器３９９３とを備える、１本またはそれを上回るスエージ加工針１０３を分配するための略平面デバイスであってもよい。いくつかの実施形態では、支柱３９９２および支柱受けは、スピンドルの一部である。スエージ加工針分配器３９９０は、図３９９Ａに示されるように構成されてもよく、支柱３９９２は、平面基部３９９１の外周縁に沿って配置され、針容器３９９３は、平面基部３９９１の中心に配置され、支柱受け３９９５は、支柱３９９２に合致する場所において平面基部３９９１の下面に配置されてもよい。また、図３９９Ａに示されるように、スエージ加工針１０３は、針容器３９９３によって保持され、スエージ加工針１０３に結合される縫合糸３９９４は、支柱３９９２に巻き付けられてもよい。支柱３９９２は、縮径部３９９２ａに取り付けられた頭部３９９２ｂを備えてもよく、縮径部３９９２ａは、平面基部３９９１に取り付けられる。支柱頭部３９９２ｂは、縫合糸３９９４の終端端部を受容する役割を果たし得る、頭部の中に嵌め込まれる、１つまたはそれを上回るスロット３９９２ｃを備えてもよい。
【１５９２】
多くの実施形態では、図３９９Ｂ−３９９Ｄに例示されるように、支柱３９９２は、高さ３９９２ｉを伴う縮径部３９９２ａと、高さ３９９２ｈおよび幅３９９２ｗを伴う頭部とを備えてもよい。さらに、支柱受け３９９５（結合部）は、２つまたはそれを上回るスエージ加工針分配器３９９０の積重に応じて、支柱頭部３９９２ｃを受容するように相補的に定寸される、高さ３９９２ｙと、幅３９９２ｘとを備えてもよい。支柱３９９２の縮径部３９９２ａおよび頭部３９９２ｂの高さ３９９２ｉならびに３９９２ｈは、巻き付けられると、必要に応じて縫合糸３９９４を受け取るように構成されてもよい。好ましい実施形態では、高さ３９９２ｈは、１センチメートル未満またはそれと等しくてもよい。支柱３９９２の頭部は、多くの異なる方法で構成され、円形、正方形、卵形、長方形、多面、または他の断面形状を備えてもよい。図３９９Ｂに示されるように、支柱３９９２の頭部は、内段を伴って構成されてもよい。図３９９Ｃに示されるように、支柱３９９２の頭部は、巻き付けられると、縫合糸３９９４の保定を補助するように、肩または外段を伴って構成されてもよい。図３９９Ｄに示されるように、支柱３９９２の頭部は、巻き付けられると、縫合糸３９９４の保定を補助するように張出状であるように構成されてもよい。
【１５９３】
平面基部３９９１、２つまたはそれを上回る支柱３９９２、および２つまたはそれを上回る支柱受け３９９５は、例えば、プラスチック、金属、または類似物等、剛性または半剛性スエージ加工針分配器３９９０を提供するために好適な任意の材料から成ってもよい。多くの実施形態では、スエージ加工針分配器３９９０は、滅菌可能な材料から成る。
【１５９４】
スエージ加工針分配器３９９０の平面基部３９９１は、所望される任意の形状を備えてもよく、任意の数の支柱３９９２、支柱受け３９９５、および針容器３９９３が、必要に応じて、縫合糸３９９４が取り付けられた任意の数のスエージ加工針１０３を保持するする。例えば、平面基部３９９１は、円形、正方形、卵形、長方形、多面、または任意の他の形状をとってもよい。多くの実施形態では、２つまたはそれを上回るスエージ加工針分配器が、相互に積み重ねられてもよい。
【１５９５】
図４００Ａ−４００Ｄは、多くの実施形態による、１本またはそれを上回るスエージ加工針を分配するためのデバイスの例示的実施形態を図示する。図４００Ａは、１本またはそれを上回るスエージ加工針１０３を分配するためのスエージ加工針分配器４０００の実施形態の斜視図を図示し、図４００Ｂ−４００Ｄは、スエージ加工針分配器４０００の支柱４００２の例示的実施形態の断面図を図示する。
【１５９６】
図４００Ａ−４００Ｄの図示される実施形態では、筐体とも称される、スエージ加工針分配器４０００は、平面基部４００１と、底部分とも称される、平面基部４００１の上面に配置される、スピンドルとも称される、２つまたはそれを上回る支柱４００２と、平面基部４００１の上面に配置され、スエージ加工針をスエージ加工針分配器に結合する、１つまたはそれを上回るスエージ加工針容器３９９３とを備える、１本またはそれを上回るスエージ加工針１０３を分配するための略平面デバイスであってもよい。スエージ加工針分配器４０００は、図４００Ａに示されるように構成されてもよく、支柱４００２は、平面基部４００１の対向側に沿って対に配置され、針容器３９９３は、対向支柱４００２間の平面基部３９９１の中心に配置される。このように構成されると、スエージ加工針１０３は、スエージ加工針分配器４０００によってアレイにおいて格納され得る。また、図４００Ａに示されるように、スエージ加工針１０３は、針容器３９９３によって保持され、スエージ加工針１０３に結合される縫合糸３９９４は、対向する対の支柱４００２に巻き付けられてもよい。支柱４００２は、縮径部４００２ａに取り付けられた頭部４００２ｂを備えてもよく、縮径部４００２ａは、平面基部４００１に取り付けられる。支柱頭部４００２ｂは、縫合糸３９９４の終端端部を受容する役割を果たし得る、頭部の中に嵌め込まれる、１つまたはそれを上回るスロット４００２ｃを備えてもよい。
【１５９７】
多くの実施形態では、図４００Ｂ−４００Ｄに例示されるように、支柱４００２は、高さ４００２ｉを伴う縮径部４００２ａと、高さ４００２ｈおよび幅４００２ｗを伴う頭部とを備えてもよい。支柱４００２の縮径部４００２ａおよび頭部４００２ｂの高さ４００２ｉおよび４００２ｈは、巻き付けられると、必要に応じて縫合糸３９９４を受け取るように構成されてもよい。好ましい実施形態では、高さ４００２ｈは、１センチメートル未満またはそれと等しくてもよい。頭部ｏｆ支柱４００２は、多くの異なる方法において構成され、円形、正方形、卵形、長方形、多面、または他の断面形状を備えてもよい。図４００Ｂに示されるように、支柱４００２の頭部は、巻き付けられると、縫合糸３９９４の保定を補助するように、丸みを帯びた上および平坦底（例えば、マッシュルームのように）を伴って構成されてもよい。図４００Ｃに示されるように、支柱４００２の頭部は、巻き付けられると、縫合糸３９９４の保定を補助するように、丸みを帯びた上部および底部を伴って構成されてもよい。図４００Ｄに示されるように、支柱４００２の頭部は、巻き付けられると、縫合糸３９９４の保定を補助するように、平坦上部および底部を伴って構成されてもよい。
【１５９８】
平面基部４００１および２つまたはそれを上回る支柱４００２は、例えば、プラスチック、金属、または類似物等、剛性または半剛性スエージ加工針分配器４０００を提供するために好適な任意の材料から成ってもよい。多くの実施形態では、スエージ加工針分配器４０００は、滅菌可能な材料から成る。
【１５９９】
スエージ加工針分配器４０００の平面基部４００１は、所望の任意の形状を備えてもよく、任意の数の支柱４００２および針容器３９９３が、必要に応じて、縫合糸３９９４が取り付けられた任意の数のスエージ加工針１０３を保持する。例えば、平面基部４００１は、円形、正方形、卵形、長方形、多面、または任意の他の形状をとってもよい。
【１６００】
いくつかの実施形態では、スピンドルの上部および底部は、結合部を含み、上結合部は、第１の形状を有し、底結合部は、上結合部を受容するように成形される。いくつかの実施形態では、スピンドルの上部および底部は、結合部を含む。上結合部は、第１の形状を有し、底結合部は、上結合部の第１の形状と係合するように成形される。いくつかの実施形態では、スピンドルの上部は、延在部を含み、スピンドルの上部は、延在部を受容するように成形される陥凹を含む。
【１６０１】
図４０１Ａ−４０１Ｃ、図４０２Ａ−４０２Ｃ、図４０３Ａ−４０３Ｃ、および図４０４Ａ−４０４Ｃは、多くの実施形態による、複数の針を分配および／または収納するための１つまたはそれを上回るデバイスを搭載するための基部の例示的実施形態を図示する。図４０１Ａ、図４０２Ａ、図４０３Ａ、および図４０４Ａは、基部４０１１の例示的実施形態の斜視図を図示する。図４０１Ｂ、図４０２Ｂ、図４０３Ｂ、および図４０４Ｂは、それぞれ、図４０１Ａ、図４０２Ａ、図４０３Ａ、および図４０４Ａに示される、基部４０１１の例示的実施形態の上面図を図示する。図４０１Ｃ、図４０２Ｃ、図４０３Ｃ、および図４０４Ｃは、それぞれ、図４０１Ａ、図４０２Ａ、図４０３Ａ、および図４０４Ａに示される、基部４０１１の例示的実施形態の端面図を図示する。
【１６０２】
基部４０１１は、平面構造４０１０ｃと、平面構造４０１０ａと、いくつかの事例では、平面構造４０１０ｂと、いくつかの事例では、平面構造４０１０ｄとを備えてもよい。平面構造４０１０ｃは、基部４０１０の基部平面構造と見なされ得（すなわち、使用時、主に、水平になる）、その下面における結合部手段（例えば、Ｖｅｌｃｒｏ、接着剤、磁石、機械継合手段、および同等物）を介して、手術用ドレープ、テーブル、スタンド、および同等物上に留置またはそれに結合されてもよい。平面構造４０１０ｃは、必要に応じて、安定性を基部４０１０に提供するための長さおよび幅を伴う、長方形構成を備えてもよい。搭載表面を含む、平面構造４０１０ａは、リビングヒンジ４０１１ａにおいて平面構造４０１０ｃに結合されてもよく、内角４０１２は、平面構造４０１０ｃと平面構造４０１０ａとの間の角度を画定する。平面構造４０１０ａは、平面表面と見なされ得る、または本明細書に説明されるような針分配器、針受器、および種々の道具が、外科的手技中に使用のために結合され得る、搭載表面である、平面表面を含んでもよい。したがって、平面構造４０１０ａは、本明細書に説明されるような針分配器、針受器、および種々の道具に結合するように構成される、表面を備えてもよい（例えば、Ｖｅｌｃｒｏ、接着剤、磁石、機械継合手段、および同等物を備えてもよい）。さらに、平面構造４０１０ｃは、必要に応じて、本明細書に説明されるような針分配器、針受器、および種々の道具をそこに結合するための長さおよび幅を伴う、長方形構成を備えてもよい。いくつかの実施形態では（図４０１Ａ−４０１Ｃ、図４０２Ａ−４０２Ｃ、および図４０４Ａ−４０４Ｃに示されるように）、平面構造４０１０ｂは、リビングヒンジ４０１１ｂにおいて平面構造４０１０ｂに結合されてもよい。平面構造４０１０ｂは、平面構造４０１０ｃに対して静止し、さらなる構造安定性を基部４０１０に提供し得るという点において、支持構造と見なされ得る。いくつかの実施形態では、平面構造４０１０ｂは、平面構造４０１０ｃに対して静止してもよい（図４０１Ａ−４０１Ｃに示されるように）。いくつかの実施形態では、平面構造４０１０ｃは、平面構造４０１０ｃの停止部４０１３または調節構造において、平面構造４０１０に対して静止する、またはそれと係合してもよく、停止部４０１３は、本明細書にさらに説明されるように、所望に応じて、平面表面４０１０ｂへのその接続を介して、平面構造４０１０ａの表面を提示するための停止部間間隔４０１３ａを伴って構成されてもよい（すなわち、図４０４Ａ−４０４Ｃに示されるような内角４０１２の調節性を提供する）。いくつかの実施形態では（図４０２Ａ−４０２Ｃに示されるように）、平面構造４０１０ｄは、リビングヒンジ４０１１ｃにおいて平面構造４０１０ｂに結合されてもよい。平面構造４０１０ｄは、平面構造４０１０ｃと同一平面に配向され、平面構造４０１０ｃに対して静止してもよい。いくつかの実施形態では、平面構造４０１０ｃに対して静止する、平面構造４０１０ｄの表面は、それが静止する平面構造４０１０ｃの表面に結合されてもよい（例えば、Ｖｅｌｃｒｏ、接着剤、磁石、機械継合手段、および同等物によって）。このように、これらの実施形態では、平面構造４０１０ｄと平面構造４０１０ｃの結合は、内角４０１２の調節性を提供し得る。
【１６０３】
いくつかの実施形態では、リビングヒンジ４０１１ａ、リビングヒンジ４０１１ｂ（存在する場合）、およびリビングヒンジ４０１１ｃ（存在する場合）は、受動ヒンジを備えてもよい。いくつかの実施形態では、リビングヒンジ４０１１ａ、リビングヒンジ４０１１ｂ（存在する場合）、およびリビングヒンジ４０１１ｃ（存在する場合）は、能動ヒンジを備えてもよい。いくつかの実施形態では、リビングヒンジ４０１１ａ、リビングヒンジ４０１１ｂ（存在する場合）、およびリビングヒンジ４０１１ｃ（存在する場合）は、受動または能動ヒンジを備えてもよい。
【１６０４】
いくつかの実施形態では、基部４０１０は、内角４０１２の無限調節性のために構成されてもよい。いくつかの実施形態では、基部４０１０は、内角４０１２の有限調節性のために構成されてもよい。多くの実施形態では、基部４０１０は、内角４０１２の調節性によって外科医によって所望される角度において本明細書に説明されるような針分配器、針受器、および種々の道具に結合する（例えば、Ｖｅｌｃｒｏ、接着剤、磁石、機械継合手段、および同等物を介して）ように構成される、平面構造４０１０ａの表面を提示するように構成されてもよい。好ましい実施形態では、内角４０１２は、３０度〜９０度、６０度〜７５度、４５度〜７５度、または６０度〜９０度で調節可能であってもよい。
【１６０５】
多くの実施形態では、平面構造４０１０ｃの下面に位置する結合部手段を介した基部４０１０と手術用ドレープ、テーブル、スタンド、および同等物の結合は、解放可能であってもよい。多くの実施形態では、平面構造４０１０ｃの下面に位置する結合部手段を介した基部４０１０と手術用ドレープ、テーブル、スタンド、および同等物の結合は、解放可能であってもよく、それが結合される手術用ドレープ、テーブル、スタンド、または同等物を引動、断裂、または別様に損傷し得ない。多くの実施形態では、平面構造４０１０ｃの下面に位置する結合部手段を介した基部４０１０と手術用ドレープ、テーブル、スタンド、および同等物の結合は、本明細書に説明されるようなは針分配器、針受器、および種々の道具と平面構造４０１０ａの表面の結合より強固であってもよい。
【１６０６】
図４０５Ａ−４０５Ｂは、多くの実施形態による、複数の針を分配および／または収納するための１つまたはそれを上回るデバイスに結合するため、または本明細書に説明されるような１つまたはそれを上回る道具に結合するための基部の例示的搭載位置を図示する。図４０５Ａは、例示的実施形態の上面図を図示し、図４０１Ａ−４０１Ｃ、図４０２Ａ−４０２Ｃ、図４０３Ａ−４０３Ｃ、および図４０４Ａ−４０４Ｃに説明されるような１つまたはそれを上回る基部４０１０が、手術台４０５１上に静置された患者４０５０を被覆する手術用ドレープ４０５２に搭載される。図４０５Ｂは、例示的実施形態の上面図を図示し、図４０１Ａ−４０１Ｃ、図４０２Ａ−４０２Ｃ、図４０３Ａ−４０３Ｃ、および図４０４Ａ−４０４Ｃに説明されるような１つまたはそれを上回る基部４０１０が、手術室内の１つまたはそれを上回る手術用トレイ、テーブル、および／またはスタンド４０５６に搭載される。
【１６０７】
図４０５Ａに示されるように、手術用ドレープ４０５２は、患者４０５０内の切開部４０５５を暴露する、窓４０５４を備えてもよい。１つまたはそれを上回る基部４０１０は、手術用ドレープ４０５２に結合され、本明細書に説明されるような針分配器、針受器、および種々の道具のうちの１つまたはそれを上回るものの結合を可能にしてもよい。Ｘ−Ｙ軸を参照すると、１つまたはそれを上回る基部４１０は、手術を行う外科医４０５３による所望に応じて、任意のＸ−Ｙ位置において、Ｘ−軸またはＹ−軸に対して任意の角度で、手術用ドレープ４０５２に結合されてもよい。いくつかの実施形態では、１つまたはそれを上回る基部４０１０は、Ｘ−軸と平行に手術用ドレープ４０５２に結合されてもよい。いくつかの実施形態では、１つまたはそれを上回る基部４０１０は、Ｙ−軸と平行に手術用ドレープ４０５２に結合されてもよい。いくつかの実施形態では、１つまたはそれを上回る基部４０１０は、Ｘ−軸またはＹ−軸に対して任意の角度において手術用ドレープ４０５２に結合されてもよい。いくつかの実施形態では、１つまたはそれを上回る基部４０１０は、外科医の利き手の腕側の近傍において手術用ドレープ４０５２に結合されてもよい。いくつかの実施形態では１つまたはそれを上回る基部４０１０は、外科医の非利き手の腕側の近傍において手術用ドレープ４０５２に結合されてもよい。いくつかの実施形態では、１つまたはそれを上回る基部４０１０は、外科医の前面において手術用ドレープ４０５２に結合されてもよい。いくつかの実施形態では、１つまたはそれを上回る基部４０１０は、近傍手術野内で手術用ドレープ４０５２に結合されてもよい。いくつかの実施形態では、１つまたはそれを上回る基部４０１０は、近傍手術野外で手術用ドレープ４０５２に結合されてもよい。いくつかの実施形態では、１つまたはそれを上回る基部４０１０は、本明細書に説明されるような位置の任意の組み合わせにおいて手術用ドレープ４０５２に結合されてもよい。
【１６０８】
種々の実施形態では、基部４０１０とも呼ばれる、支持体は、近傍手術野内で患者を被覆するドレープに、近傍手術野内の台に、近傍手術野内のスタンドに、外科医の切開部と対向する場所において、患者の切開部の近位に、患者の切開部の遠位、患者の切開部の上方、または患者の切開部の下方に搭載されてもよい。
【１６０９】
図４０５Ｂに示されるように、手術用ドレープ４０５２は、患者４０５０内の切開部４０５５を暴露する、窓４０５４を備えてもよい。１つまたはそれを上回る基部４０１０が、１つまたはそれを上回る手術用トレイ、テーブル、および／またはスタンド４０５６に結合され、本明細書に説明されるような針分配器、針受器、および種々の道具のうちの１つまたはそれを上回るものの結合を可能にしてもよい。Ｘ−Ｙ軸を参照すると、１つまたはそれを上回る基部４１０は、手術を行う外科医４０５３による所望に応じて、任意のＸ−Ｙ位置において、Ｘ−軸またはＹ−軸に対して任意の角度で１つまたはそれを上回る手術用トレイ、テーブル、および／またはスタンド４０５６に結合されてもよい。いくつかの実施形態では、１つまたはそれを上回る基部４０１０は、Ｘ−軸と平行に１つまたはそれを上回る手術用トレイ、テーブル、および／またはスタンド４０５６に結合されてもよい。いくつかの実施形態では、１つまたはそれを上回る基部４０１０は、Ｙ−軸と平行に１つまたはそれを上回る手術用トレイ、テーブル、および／またはスタンド４０５６に結合されてもよい。いくつかの実施形態では、１つまたはそれを上回る基部４０１０は、Ｘ−軸またはＹ−軸に対して任意の角度において１つまたはそれを上回る手術用トレイ、テーブル、および／またはスタンド４０５６に結合されてもよい。いくつかの実施形態では、１つまたはそれを上回る基部４０１０は、外科医の利き手の腕側の近傍において１つまたはそれを上回る手術用トレイ、テーブル、および／またはスタンド４０５６に結合されてもよい。いくつかの実施形態では１つまたはそれを上回る基部４０１０は、外科医の非利き手の腕側の近傍において１つまたはそれを上回る手術用トレイ、テーブル、および／またはスタンド４０５６に結合されてもよい。いくつかの実施形態では、１つまたはそれを上回る基部４０１０は、外科医の前面において１つまたはそれを上回る手術用トレイ、テーブル、および／またはスタンド４０５６に結合されてもよい。いくつかの実施形態では、１つまたはそれを上回る基部４０１０は、近傍手術野内で１つまたはそれを上回る手術用トレイ、テーブル、および／またはスタンド４０５６に結合されてもよい。いくつかの実施形態では、１つまたはそれを上回る基部４０１０は、近傍手術野外で１つまたはそれを上回る手術用トレイ、テーブル、および／またはスタンド４０５６に結合されてもよい。いくつかの実施形態では、１つまたはそれを上回る基部４０１０は、本明細書に説明されるような位置の任意の組み合わせにおいて１つまたはそれを上回る手術用トレイ、テーブル、および／またはスタンド４０５６に結合されてもよい。いくつかの実施形態では、１つまたはそれを上回る基部４０１０の場所におけるさらなる調節性は、１つまたはそれを上回る手術用トレイ、テーブル、および／またはスタンドの移動および／または回転を通して達成されてもよい。
【１６１０】
図４０６Ａ−４０６Ｃは、多くの実施形態による、複数の針を分配および／または収納するための１つまたはそれを上回るデバイスを含む、例示的キットを図示する。図４０６Ａ−４０６Ｃの上面図に示されるように（キットの上パッケージは、明確にするために除去されている）、キット４０６０は、内部内容物を含有するように構成される長さ４０６１ｈおよび幅４０６１ｗを有する、シート構造４０６１を備えてもよい。キット４０６０の内部内容物は、本明細書に説明されるような針１０３を伴う針分配器１０１のうちの１つまたはそれを上回るもの、針受器３３１または３９２０もしくは同等物のうちの１つまたはそれを上回るもの、および／または１つまたはそれを上回る障壁搭載基部３６９３を備えてもよい。さらに、多くの実施形態では、キット４０６０の内部内容物は、本明細書に説明されるような相互に相補的に定寸される、針１０３を伴う針分配器１０１のうちの１つまたはそれを上回るもの、針受器３３１または３９２０もしくは同等物のうちの１つまたはそれを上回るもの、および／または１つまたはそれを上回る障壁搭載基部３６９３を備えてもよい。
【１６１１】
図４０６Ａに示されるように、キット４０６０は、全て同一平面にパッケージ化される、針１０３を伴う縫合パックを形成するように組み合わせられ得る、針１０３を伴う針分配器１０１のうちの１つまたはそれを上回るもの、針受器３３１のうちの１つまたはそれを上回るもの、および／または１つまたはそれを上回る障壁搭載基部３６９３を備えてもよい。多くの実施形態では、針分配器１０１、針受器３３１、および障壁搭載基部３６９３は、本明細書に説明されるような針分配器、針受器、および／または障壁搭載基部のいずれかであってもよい（すなわち、針受器３９２０は、キット４０６０内に含有されてもよい）。
【１６１２】
図４０６Ｂに示されるように、キット４０６０は、針１０３を伴う針分配器１０１のうちの１つまたはそれを上回るもの、針受器３３１のうちの１つまたはそれを上回るもの、および／または１つまたはそれを上回る障壁搭載基部３６９３を備えてもよく、針分配器１０１および針受器３３１は、障壁搭載基部３６９３に結合される。多くの実施形態では、針分配器１０１、針受器３３１、および障壁搭載基部３６９３は、本明細書に説明されるような針分配器、針受器、および／または障壁搭載基部のいずれかであってもよい（すなわち、針受器３９２０は、キット４０６０内に含有されてもよい）。
【１６１３】
図４０６Ｃに示されるように、キット４０６０は、針受器３９２０に結合される、針１０３を伴う針分配器１０１のうちの１つまたはそれを上回るものを備えてもよい。いくつかの実施形態では、キット４０６０は、障壁搭載基部を伴わずに針受器３９２０に結合される、針１０３を伴う針分配器１０１のうちの１つまたはそれを上回るものを備えてもよい（すなわち、針受器３９２０の下構造３９２２は、直接、針分配器１０１に結合されてもよい）。いくつかの実施形態では、図４０６Ｃに示されるように、針受器３９２０に結合される、針１０３を伴う針分配器１０１は、同一平面にあってもよい。いくつかの実施形態では、針１０３を伴う針分配器１０１に結合される、針受器３９２０は、図３０８の滅菌エンクロージャ５０５等の滅菌障壁を含む滅菌パッケージであり得る、キットパッケージ内の針分配器１０１下に折重されてもよい。これらの実施形態では、キット高さは、増加され得るが、しかしながら、全体的長さ４０６１ｈおよび幅４０６１ｗは、実質的に減少され得る。
【１６１４】
多くの実施形態では、キット４０６０は、平面または略平面であってもよい（例えば、容易な出荷および／または保管を促進する）。多くの実施形態では、キット４０６０内容物の上および底面は、キット４０６０パッケージの内壁に触れてもよい。多くの実施形態では、キット４０６０の内容物は、滅菌されてもよい。多くの実施形態では、キット４０６０の長さ４０６１ｈおよび幅４０６１ｗは、キット４０６０の全体的サイズを最小限にするように最小限にされてもよい。
【１６１５】
例えば、針１０３を伴う針分配器１０１、針受器３９２０および障壁搭載基部を含む、キット４０６０の構成要素はそれぞれ、配布のために滅菌パッケージ内にともに含有されてもよい。
【１６１６】
図４０７−４１３は、多くの実施形態による、針受器４０７０の例示的実施形態を図示する。針受器４０７０は、図１６７−１７９および図３０９−３２０を参照して示される構造の多くを備えてもよく、当業者は、これらの実施形態の多くが、相互ならびに本明細書に図示および説明されるような他の実施形態との組み合わせに非常に適していることを認識するであろう。図４０７は、針受器４０７０の上面図を図示し、図４０８は、針受器４０７０の斜視図を図示し、図４０９は、針受器４０７０の分解図を図示し図４１０は、針受器４０７０の左側面図を図示し、図４１１は、針受器４０７０の断面右側面図を図示し、図４１２は、針受器４０７０の断面端面図を図示し、図４１３は、針受器４０７０の前面図を図示する。
【１６１７】
図示される実施形態では、針受器４０７０は、本明細書に説明されるように、進入ゾーン４０７１と、収納ゾーン４０７２とから成る、略平面デバイスであってもよい。針受器４０７０は、上構造４０７３と、上構造４０７４と、下構造４０７５と、応従性構造４０７６とを含んでもよい。上構造４０７３は、下構造４０７５に結合し、その一部を形成し、針スロット４０７７の下方に位置する通路を形成する、ランプ構造４０７３ａと、ランプ構造４０７３ａと交差し、少なくとも部分的に、上構造４０７３を通して延在する、持針器スロット４０７３ｂと、連続上構造内壁４０７３ｄおよびランプ構造４０７３ａによって境界される、上構造４０７３を通る開口部によって画定される、窓４０７３ｃとを備えてもよい。窓４０７３ｃは、上構造４０７３が下方から上構造４０７４を受容すると、隆起平面表面４０７４ａが窓４０７３ｃの中に嵌合し、上構造４０７４の嵌め込まれた平面表面４０７４ｂが上構造４０７３の下面に対して停止するように、上構造４０７４の隆起平面表面４０７４ａを相補的に受容するように構成されてもよい。上構造４０７４は、部分的にそれを通して延在し、上構造４０７３の持針器スロット４０７３ｂと並ぶ、持針器スロット４０７４ｃを備えてもよい。下構造４０７５の上側は、ランプ構造４０７５ａと、ランプ構造４０７３ａの下面および上構造４０７３の下突出部４０７３ｅを相補的に受容し、それに結合する、部分的にその周縁に沿った陥凹４０７５ｂとを備えてもよい。下構造４０７５はまた、部分的にそれを通して延在し、上構造４０７３の持針器スロット４０７３ｂおよび上構造４０７４の持針器スロット４０７４ｃと並ぶ、持針器スロット４０７５ｃを備えてもよい。応従性構造４０７６は、上方から下構造４０７５によって受容されるように構成されてもよく、応従性構造の下面は、下構造４０７５の平面表面４０７５ｄに対して停止する。応従性構造４０７６はまた、部分的にそれを通して延在し、上構造４０７３の持針器スロット４０７３ｂ、上構造４０７４の持針器スロット４０７４ｃ、および下構造４０７５の持針器スロット４０７５ｃと並ぶ、持針器スロット４０７６ａを備えてもよい。応従性構造４０７６はまた、持針器スロット４０７６ａの入口にベベル４０７６ｂを備え、それを通した持針器の誘導を補助してもよい。組み立てられると、針受器４０７０は、応従性構造４０７６の上平面表面４０７６ｃと上構造４０７４の下面との間の空の垂直空間によって形成され、上構造４０７３の内壁４０７３ｄによって両側に閉鎖される、平面針スロット４０７７を備えてもよく、したがって、針スロット４０７７は、１本またはそれを上回る針１０４を受容するために構成されてもよい。針容器４０７０の針スロット４０７７の中への１本またはそれを上回る針の留置を補助するために、上構造４０７４は、対向する角度付けられた下向きランプ構造４０７３ａから離れて垂直に角度付けられ得る、タブ４０７４ｄを進入ゾーン４０７１内に備えてもよい。
【１６１８】
針容器４０７０の持針器スロット４０７３ｂ、４０７４ｃ、４０７５ｃ、および４０７６ａは、整合し、進入ゾーン４０７１から収納ゾーン４０７２への針の平行移動の全長に沿って持針器のための隙間を提供するように構成されてもよい。針容器４０７０の針スロット４０７７は、その中に留置された針１０４を単一の針深さアレイの中に拘束し、全体的深さ外形を最小限にし、針計数を促進し得る。多くの実施形態では、応従性構造４０６７は、保持力を針スロット４０７７および収納ゾーン４０７２内の１本またはそれを上回る針１０４に印加し、針スロット４０７７および収納ゾーン４０７２からの針の平行移動に抵抗してもよい。多くの実施形態では、応従性構造４０６７は、発泡体を備えてもよい。多くの実施形態では、応従性構造４０６７は、応従性要素を備えてもよい。多くの実施形態では、上構造４０７４は、保持力を針スロット４０７７および収納ゾーン４０７２内の１本またはそれを上回る針１０４に印加し、針スロット４０７７および収納ゾーン４０７２からの針の平行移動に抵抗してもよい。
【１６１９】
好ましい実施形態では、針１０４は、外科医が、本明細書に説明されるように、針受器４０７０の持針器スロット内の持針器の先端を操作することによって、針受器４０７０の進入ゾーン４０７１においてランプ構造４０７３ａと上構造４０７４のタブ４０７４ｄとの間に接触するように移動される。針１０４は、進入ゾーン４０７１の中に針スロット４０７７に向かって押動され、針受器４０７０の針スロット４０７７と整合されることができる。針１０４は、次いで、針受器４０７０の縦軸（すなわち、持針器スロットの配向軸）に沿って進入ゾーン４０７１から収納ゾーン４０７２の中に平行移動で移動されることができ、針１０４は、凸状側が収納ゾーン４０７２に面し、針１０４の鋭利先端および末端が、進入ゾーン４０７１に面した状態で、針スロット４０７７の中に摺動する。持針器は、持針器が針受器４０７０の針スロットまたは最後の挿入された使用済み針１０４の端部にぶつかるまで、使用済み針１０４を収納ゾーン４０７２内の針スロット４０７７の中に移動させることができる。
【１６２０】
異なる実施形態では、針受器４０７０は、受容された針１０４のサイズに応じて、異なる寸法を有することができる。したがって、より小さい針１０４を受容するために使用される小針受器４０７０は、より大きい針を格納するために使用される大針受器４０７０より小さい寸法を有することができる。
【１６２１】
針受器４０７０の構造構成要素は、本明細書に説明されるように継合されてもよい（例えば、接着剤、機械的嵌合、溶接）。針受器４０７０の下面は、障壁、障壁搭載基部、基部、および同等物を含む、本明細書に説明される構造の多くに取り付けられる、および／または結合する（例えば、面ファスナ、接着剤によって）ように構成されてもよい。多くの実施形態では、針受器４０７０は、本明細書に説明される構造の多くに解放可能に取り付けられるように構成されてもよい。
【１６２２】
図４１４−４１８は、多くの実施形態による、針受器４１４０の例示的実施形態を図示する。針受器４１４０は、図１６７−１７９、図３０９−３２０、図３９２Ａ−３９２Ｆ、および図３９２Ａ１−３９２Ａ１２を参照して示される構造の多くを備えてもよく、当業者は、これらの実施形態の多くが相互ならびに本明細書に図示および説明されるような他の実施形態との組み合わせに非常に適していることを認識するであろう。図４１４は、針受器４１４０の上面図を図示し、図４１５は、針受器４１４０の前面図を図示し、図４１６は、針受器の左側面図を図示し、図４１７は、針受器４１４０の斜視図を図示し、図４１８は、針受器４１４０の分解図を図示する。
【１６２３】
図示される実施形態では、針受器４１４０は、本明細書に説明されるように、収納ゾーン４１４２から成る、略平面デバイスであってもよい。針受器４１４０はまた、本明細書に説明されるように、降着ゾーン４１４１を備えてもよい。針受器４１４０は、上構造４１４３と、下構造４１４６と、上構造４１４３と下構造４１４６との間に配置された針スロット４１４９とを含んでもよい。針スロット４１４９は、本明細書に説明されるように、１本またはそれを上回る針を収納するために構成されてもよい。針容器４１４０の針スロット４１４９は、本明細書に説明されるように、その中に留置された針を単一の針深さアレイの中に拘束し、全体的深さ外形を最小限にし、針計数を促進してもよい。針スロット４１４９は、本明細書に説明される多くの実施形態によると、上構造４１４３の端部４１４３ａを除き、全ての側面において封入されてもよい。下構造４１４６は、その上面に形成される、チャネル４１４６ａを備えてもよい。チャネル４１４６ａは、持針器先端を受容するように定寸されてもよい。上構造４１４３は、堅性構造４１４４と、可撓性構造４１４５と、堅性構造４１４４と可撓性構造４１４５との間に形成される持針器スロット４１４８とを備えてもよい。
【１６２４】
持針器スロット４１４８は、可撓性構造４１４５の縁４１４５ａと上構造の縁４１４４ａとの間に形成されてもよい。多くの実施形態では、可撓性構造の縁４１４５ａは、本明細書に説明されるように、堅性構造の縁４１４４ａから分離し、持針器を受容してもよい。多くの実施形態では、縁４１４５ａおよび４１４４ａは、それらの間に延在する持針器を伴わずに、非変形独立状態で、相互に接触してもよい。いくつかの実施形態では、縁４１４５ａおよび４１４４ａは、非変形状態で、相互から離間され、間隙が、それらの間に画定されてもよい。
【１６２５】
針受器４１４０は、下構造４１４６の上面と堅性構造４１４４の下面との間に配置された、応従性構造４１４７を備えてもよい。多くの実施形態では、応従性構造４１４７は、保持力を針スロット４１４９および収納ゾーン４１４２内の１本またはそれを上回る針に印加し、針スロット４１４９および収納ゾーン４１４２からの針の平行移動に抵抗してもよい。多くの実施形態では、上構造４１４３は、保持力を針スロット４１４９および収納ゾーン４１４２内の１本またはそれを上回る針に印加し、針スロット４１４９および収納ゾーン４１４２からの針の平行移動に抵抗してもよい。多くの実施形態では、応従性構造４１４７は、発泡体を備えてもよい。多くの実施形態では、応従性構造４１４７は、応従性要素を備えてもよい。
【１６２６】
多くの実施形態では、持針器スロット４１４８は、下構造４１４６のチャネル４１４６と平行に配置されてもよい。多くの実施形態では、持針器スロット４１４８は、下構造４１４６のチャネル４１４６と平行に、かつその上方に配置されてもよい。
【１６２７】
多くの実施形態では、下構造４１４６の一部は、上構造４１４３の端部４１４３ａを越えて延在し、降着ゾーン４１４１を形成してもよい。いくつかの実施形態では、針は、針を保持する持針器先端が針受器４１４０の持針器スロット４１４８と整合された状態で、下構造４１４６の延在部分の上面と接触させられてもよい。いくつかの実施形態では、チャネル４１４６は、降着ゾーン４１４１の中に延在してもよい。いくつかの実施形態では、針は、針を保持する持針器先端が下構造４１４６のチャネル４１４６および針受器４１４０の持針器スロット４１４８と整合された状態で、下構造４１４６の延在部分の上面のチャネル４１４６と接触して、その中に留置されてもよい。
【１６２８】
いくつかの実施形態では、堅性上構造４１４３および可撓性上構造４１４５は、それぞれ、持針器スロット４１４８の対向側にベベル縁４１４４ｂおよび４１４５ｂを備えてもよい。ベベル縁４１４４ｂおよび４１４５ｂは、針を針受器４１４０内に留置するとき、持針器スロット４１４８の中への持針器の容易な位置付けを促進し得る。
【１６２９】
異なる実施形態では、針受器４１４０は、受容される針のサイズに応じて、異なる寸法を有することができる。したがって、より小さい針を受容するために使用される小針受器４１４０は、より大きい針を格納するために使用される大針受器４１４０より小さい寸法を有することができる。
【１６３０】
針受器４１４０の構造構成要素は、本明細書に説明されるように継合されてもよい（例えば、接着剤、機械的嵌合、溶接）。針受器４１４０の下面は、障壁、障壁搭載基部、基部、および同等物を含む、本明細書に説明される構造の多くに取り付けられる、および／または結合するように構成されてもよい（例えば、Ｖｅｌｃｒｏ、接着剤によって）。多くの実施形態では、針受器４１４０は、本明細書に説明される構造の多くに解放可能に取り付けられるように構成されてもよい。いくつかの実施形態では、針受器４１４０は、本明細書に説明されるように、受容要素または他の構造によって受容されるように構成されてもよい。
【１６３１】
鉗子搭載型針受器：分配器、トラップ、および鉗子は、一体化された滅菌構成を備えてもよい。これらは、ともに製造されることができ、それぞれ、使い捨てである。鉗子は、例えば、縫合材料を含有し得る。
【１６３２】
針は、ユニットとして、障壁とともにパッケージ化されることができる。針は、障壁からの展開のためにアレイ状にされることができ、障壁は、縫合糸巻取のために利用可能な面積を有する。
【１６３３】
代替として、縫合糸巻取は、提供されなくてもよい。パッケージは、障壁または鉗子から分配されるように構成されることができる。
【１６３４】
トラップを縫合パックとともに鉗子上に装填し、５つ程度のそのような「設定」をメイヨースタンド上に準備させることがより容易となり得る。１つ使用されると、メイヨースタンド上に留置され、次の１つが、握持されることができる。
【１６３５】
分配ユニット（縫合パッケージ）および使用済み針保管場所の両方の組み合わせは、鉗子上にともに関連付けられることができる。
【１６３６】
縫合パッケージおよび針受器の１つを上回る設定は、組み合わせられ、使用のための準備されることができる。
【１６３７】
滅菌パッケージは、使用済み針受器と組み合わせて、使い捨ての単回使用鉗子と、針と、縫合糸分配器とを備えてもよい。これらは、同時に製造されることができる。
【１６３８】
鉗子搭載型針受器は、多くの異なる形状およびサイズのうちの１つまたはそれを上回るものを備えてもよい。重量は、平衡を鉗子搭載型器具に提供するために、十分に軽くあり得る。鉗子上への搭載のために構成される針受器は、平衡手術器具に鉗子上への針保定デバイスの取付を提供するように構成されることができる。
【１６３９】
任意の設計は、２５０グラム未満の重量である。
【１６４０】
針受器は、鉗子の片側に位置し、分配ユニット（縫合パック）は、他側に位置し、空間および体積を節約することができる。鉗子は、縫合パッケージおよび針受器が鉗子の対向側に搭載されると、片側または他側へのアクセスを得るために容易に回転されることができる。
【１６４１】
針受器は、接着剤を備えてもよく、縫合パックの後に留置される、またはその逆であり得る。
【１６４２】
針受器および縫合パッケージは、針分配デバイスおよび針受器の対向関係において背中合わせで使用するように構成されることができる。
【１６４３】
本明細書に説明されるような縫合パックおよび針受器は、１本またはそれを上回る針の先端および端部（末端）の両方の含有、被覆、収納を可能にする、鉗子に結合される、例えば、取り付けられるように構成されることができる。
【１６４４】
針受器内の針配列は、平面である必要がなくてもよく、例えば、並列に谷間に積み重ねられることができる。
【１６４５】
本明細書に説明されるような鉗子搭載型針受器は、使用済み針の編成された留置またはアレイを助長し、計数および針計数の照合を促進することができる。
【１６４６】
針計数照合：器械出し助手および手術室看護婦は、多くの場合、針（使用中の針、術野内の針、メイヨースタンド上の針、バックテーブル上の針）の継続した計数を維持する。針受器は、具体的には、外科医およびスタッフによる容易な計数のために５本の針を保持するように設計されることができる。これは、照合およびチーム間の連絡を促進することができる。閉じ込めまたは収納用含有デバイスは、５本の針のために具体的に設計され、それに応じて定寸および成形されることができる。本明細書に説明されるような針受器は、針毎に１つずつの５つのゾーンを備えてもよい。例えば、本明細書に説明されるような５つの触覚突出部は、５つの個々のゾーンのそれぞれの中への局在化を促進するために使用されることができる。
【１６４７】
針受器、障壁、または縫合パッケージのうちの１つまたはそれを上回るものは、光源を備え、針ステータスを示してもよい。例えば、トラップの中への針進入口毎に１つの５つの光源が、提供されることができる。５つの光源のオンは、針受器内に５本の針を意味し得る。本構成は、ある距離からより容易に見え得る。これらの源は、トラップ（針受器）内にあり得る、またはトラップと障壁上に光源を伴う障壁との間に連通手段が存在し得る。照明は、障壁上の任意の場所にあるが、例えば、トラップが掌側表面上にあって、おそらく、助手に見えにくくなるとき、器械出し看護士等の助手による可視化の容易性のために、照明が背側にある場合、好ましくあり得。例えば、掌側照明および背側照明の両方が、提供されることもできる。例えば、トラップ上の光源を伴って、トラップの中への針あたり１つの光がオンとなる５つのゾーンに特定の光源が存在することもできる。トラップ上の５つの光源は、障壁と連通することができ、障壁上の５つの光は、トラップ内の針の数に従って点灯する。
【１６４８】
摺動に伴って針を受容する、本縦方向針受器は、５つの停止部を有することができ、各停止部は、スロットに追加される付加的針を表す。縦方向摺動式カバーは、ばね荷重されることができる。持針器がカバーの前縁に対して当接される度に、ユニットの平行移動をトリガする。本移動は、スロットが完全に被覆されるまで、各針の進入に伴って繰り返されることができる。各平行移動式ユニットの移動は、１から５まで付番されることができる。
【１６４９】
針受器（例えば、針および持針器を受容するためのスロットを有する）は、歯止め計数機構を伴って構成されることができる。分配された針の能動計数も同様に、存在することができる。ユーザは、分配器内に５本の針およびトラップ内にゼロ本の状態（０：５）から開始することができる。ユーザは、針が照合されると、（５：０）の状態で終了するであろう。本装置は、分配器上の５つの光源を用いて、ゼロまで計数するように構成されることができる。照明による本照合は、有用であり得る。
【１６５０】
いくつかの実施形態では、針受器は、手技中および手技後に針を照合させるための手段を備える。
【１６５１】
いくつかの実施形態では、第１の縫合パックからの第１の針のセットは、第２の縫合パックが近傍手術野に進入する前に照合される。
【１６５２】
いくつかの実施形態では、５本またはそれを上回る分配された手術用針を備える、分配された針の針受器は、外科医から受容され、分配された手術用針は、針受器内で安定させられて非侵害性であって、針受器は、安定させられた非侵害性の分配された針を計数するための開口部、窓、もしくは透明材料のうちの１つまたはそれを上回るものを備え、針は、針受器内で計数するために配列される。
【１６５３】
いくつかの実施形態では、５本またはそれを上回る分配された手術用針を備える、分配された針の針受器は、手術用針を照合される人物から受容され、分配された手術用針は、針受器内で安定させられて非侵害性であって、針受器は、安定させられた非侵害性の分配された針を計数するための開口部、窓、もしくは透明材料のうちの１つまたはそれを上回るものを備え、針は、針受器内で計数するために配列される。
【１６５４】
図３７９Ａ−３７９Ｃに示されるキットは、例としてのみ提供され、多くの異なるキットが、具体的使用または手技、例えば、動脈ラインまたは中枢ライン留置に適応するように組み立てられてもよい。
【１６５５】
本明細書に開示される針受器のいくつかの実施形態では、針受器の筐体は、それを通した非均一光伝送のための光散乱材料または光散乱表面を含んでもよい。いくつかの実施形態では、上もしくは下構造または上もしくは下構造の表面は、光散乱表面または材料であってもよい。光散乱表面または材料は、粗面化された表面またはサンドブラストされた表面であってもよい。
【１６５６】
図１７１および針受器の他の実施形態に関して、上構造の内面は、触覚バンプとも称される、突出部または小隆起３６１を有してもよい。上構造は、２〜２０の触覚バンプ、５〜８の触覚バンプ、または３〜１０の触覚バンプを含んでもよい。
【１６５７】
図３３４Ａ−３３４Ｃおよび本明細書の他の実施形態を参照すると、針受器または縫合パックは、縫合パックまたは針受器からまたはそこへの針の分配または収納が、外科医の肩における外科医の冠状平面と垂直な平面を越えて、腕または肩の外旋３３４５ａを要求しないように留置され、したがって、ユーザが、粗大運動制御ではなく、微細運動制御のみに従事し、針の分配および収納に関連する移動を行うことを可能にしてもよい。
【１６５８】
いくつかの実施形態では、針受器または縫合パックは、縫合パックまたは針受器からまたはそこへの針の分配または収納が、外科医の肩における冠状平面を二分する矢状平面に対して腕または肩の外旋３３４５ａを要求しないように留置され、したがって、ユーザが、粗大運動制御ではなく、微細運動制御のみに従事し、針の分配および収納に関連する移動を行うことを可能にしてもよい。
【１６５９】
いくつかの実施形態では、針受器または縫合パックは、針受器または縫合パックは、縫合パックまたは針受器からまたはそこへの針の分配または収納が、外科医の中央矢状平面に対して腕または肩の外旋３３４５ａを要求しないように留置され、したがって、ユーザが、粗大運動制御ではなく、微細運動制御のみに従事し、針の分配および収納に関連する移動を行うことを可能にしてもよい。
【１６６０】
いくつかの実施形態では、針受器は、針受器の中への針の収納が外科医の粗大運動移動のみを使用するように留置または別様に構成されてもよい。
【１６６１】
いくつかの実施形態では、針受器は、外科医の肩または肘関節の関節運動または回転のみを使用して針受器の中への針挿入を促進するように留置または別様に構成されてもよい。
【１６６２】
いくつかの実施形態では、持針器スロットに沿った持針器の抵抗は、針が持針器とともにスロットに沿って前進されるときの針スロットに沿った針の抵抗未満である。
【１６６３】
本明細書に説明されるようなシステムおよび方法は、対象に手術をする個人が依然として血液由来病原体に暴露され得る、死体の剖検の実施中等の非生体対象を伴う手技中に縫合糸を安全に取り扱うために使用されてもよい。代替として、または加えて、本明細書に説明されるシステムおよび方法は、（例えば、獣医学診療または動物実験における）動物の手術の実施中等の非ヒト対象を伴う手技中に縫合糸を安全に取り扱うために使用されてもよい。
【１６６４】
本発明の好ましい実施形態が、本明細書に示され、説明されているが、そのような実施形態は、一例のみとして提供されることが当業者に明白となるであろう。ここで、多数の変形例、変更、および置換が、本発明から逸脱することなく、当業者に明白となるであろう。本明細書に説明される本発明の実施形態の種々の代替案が、本発明を実践する際に採用され得ることを理解されたい。以下の請求項が本発明の範囲を定義し、それによって、これらの請求項およびそれらの均等物の範囲内の方法ならびに構造が網羅されることが意図される。
【図１Ａ】
2019503210.tif 000004
【図１Ｂ】
2019503210.tif 000005
【図１Ｃ−１Ｆ】
2019503210.tif 000006
【図２Ａ】
2019503210.tif 000007
【図２Ｂ】
2019503210.tif 000008
【図３】
2019503210.tif 000009
【図４】
2019503210.tif 000010
【図５】
2019503210.tif 000011
【図６】
2019503210.tif 000012
【図７】
2019503210.tif 000013
【図８】
2019503210.tif 000014
【図９】
2019503210.tif 000015
【図１０】
2019503210.tif 000016
【図１１】
2019503210.tif 000017
【図１２】
2019503210.tif 000018
【図１３】
2019503210.tif 000019
【図１４】
2019503210.tif 000020
【図１５】
2019503210.tif 000021
【図１６】
2019503210.tif 000022
【図１７】
2019503210.tif 000023
【図１８】
2019503210.tif 000024
【図１９】
2019503210.tif 000025
【図２０】
2019503210.tif 000026
【図２１】
2019503210.tif 000027
【図２２】
2019503210.tif 000028
【図２３】
2019503210.tif 000029
【図２４】
2019503210.tif 000030
【図２５】
2019503210.tif 000031
【図２６】
2019503210.tif 000032
【図２７】
2019503210.tif 000033
【図２８】
2019503210.tif 000034
【図２９】
2019503210.tif 000035
【図３０】
2019503210.tif 000036
【図３１】
2019503210.tif 000037
【図３２】
2019503210.tif 000038
【図３３】
2019503210.tif 000039
【図３４】
2019503210.tif 000040
【図３５】
2019503210.tif 000041
【図３６】
2019503210.tif 000042
【図３７】
2019503210.tif 000043
【図３８】
2019503210.tif 000044
【図３９】
2019503210.tif 000045
【図４０】
2019503210.tif 000046
【図４１】
2019503210.tif 000047
【図４２】
2019503210.tif 000048
【図４３】
2019503210.tif 000049
【図４４】
2019503210.tif 000050
【図４５】
2019503210.tif 000051
【図４６】
2019503210.tif 000052
【図４７】
2019503210.tif 000053
【図４８】
2019503210.tif 000054
【図４９】
2019503210.tif 000055
【図５０】
2019503210.tif 000056
【図５１】
2019503210.tif 000057
【図５２】
2019503210.tif 000058
【図５３】
2019503210.tif 000059
【図５４】
2019503210.tif 000060
【図５５】
2019503210.tif 000061
【図５６】
2019503210.tif 000062
【図５７】
2019503210.tif 000063
【図５８】
2019503210.tif 000064
【図５９】
2019503210.tif 000065
【図６０】
2019503210.tif 000066
【図６１】
2019503210.tif 000067
【図６２】
2019503210.tif 000068
【図６３】
2019503210.tif 000069
【図６４】
2019503210.tif 000070
【図６５】
2019503210.tif 000071
【図６６】
2019503210.tif 000072
【図６７】
2019503210.tif 000073
【図６８】
2019503210.tif 000074
【図６９】
2019503210.tif 000075
【図７０】
2019503210.tif 000076
【図７１】
2019503210.tif 000077
【図７２】
2019503210.tif 000078
【図７３】
2019503210.tif 000079
【図７４】
2019503210.tif 000080
【図７５】
2019503210.tif 000081
【図７６】
2019503210.tif 000082
【図７７】
2019503210.tif 000083
【図７８】
2019503210.tif 000084
【図７９】
2019503210.tif 000085
【図８０】
2019503210.tif 000086
【図８１】
2019503210.tif 000087
【図８２】
2019503210.tif 000088
【図８３】
2019503210.tif 000089
【図８４】
2019503210.tif 000090
【図８５】
2019503210.tif 000091
【図８６】
2019503210.tif 000092
【図８７】
2019503210.tif 000093
【図８８】
2019503210.tif 000094
【図８９】
2019503210.tif 000095
【図９０】
2019503210.tif 000096
【図９１】
2019503210.tif 000097
【図９２】
2019503210.tif 000098
【図９３】
2019503210.tif 000099
【図９４】
2019503210.tif 000100
【図９５】
2019503210.tif 000101
【図９６】
2019503210.tif 000102
【図９７】
2019503210.tif 000103
【図９８】
2019503210.tif 000104
【図９９】
2019503210.tif 000105
【図１００】
2019503210.tif 000106
【図１０１】
2019503210.tif 000107
【図１０２】
2019503210.tif 000108
【図１０３】
2019503210.tif 000109
【図１０４】
2019503210.tif 000110
【図１０５】
2019503210.tif 000111
【図１０６】
2019503210.tif 000112
【図１０７】
2019503210.tif 000113
【図１０８】
2019503210.tif 000114
【図１０９】
2019503210.tif 000115
【図１１０】
2019503210.tif 000116
【図１１１】
2019503210.tif 000117
【図１１２】
2019503210.tif 000118
【図１１３】
2019503210.tif 000119
【図１１４】
2019503210.tif 000120
【図１１５】
2019503210.tif 000121
【図１１６】
2019503210.tif 000122
【図１１７】
2019503210.tif 000123
【図１１８】
2019503210.tif 000124
【図１１９】
2019503210.tif 000125
【図１２０】
2019503210.tif 000126
【図１２１】
2019503210.tif 000127
【図１２２】
2019503210.tif 000128
【図１２３】
2019503210.tif 000129
【図１２４】
2019503210.tif 000130
【図１２５】
2019503210.tif 000131
【図１２６】
2019503210.tif 000132
【図１２７】
2019503210.tif 000133
【図１２８】
2019503210.tif 000134
【図１２９】
2019503210.tif 000135
【図１３０】
2019503210.tif 000136
【図１３１】
2019503210.tif 000137
【図１３２】
2019503210.tif 000138
【図１３３】
2019503210.tif 000139
【図１３４】
2019503210.tif 000140
【図１３５】
2019503210.tif 000141
【図１３６】
2019503210.tif 000142
【図１３７】
2019503210.tif 000143
【図１３８】
2019503210.tif 000144
【図１３９】
2019503210.tif 000145
【図１４０】
2019503210.tif 000146
【図１４１】
2019503210.tif 000147
【図１４２】
2019503210.tif 000148
【図１４３】
2019503210.tif 000149
【図１４４】
2019503210.tif 000150
【図１４５】
2019503210.tif 000151
【図１４６】
2019503210.tif 000152
【図１４７Ａ】
2019503210.tif 000153
【図１４７Ｂ】
2019503210.tif 000154
【図１４８】
2019503210.tif 000155
【図１４９】
2019503210.tif 000156
【図１５０】
2019503210.tif 000157
【図１５１】
2019503210.tif 000158
【図１５２】
2019503210.tif 000159
【図１５３】
2019503210.tif 000160
【図１５４】
2019503210.tif 000161
【図１５５】
2019503210.tif 000162
【図１５６】
2019503210.tif 000163
【図１５７】
2019503210.tif 000164
【図１５８】
2019503210.tif 000165
【図１５９】
2019503210.tif 000166
【図１６０】
2019503210.tif 000167
【図１６１】
2019503210.tif 000168
【図１６２】
2019503210.tif 000169
【図１６３】
2019503210.tif 000170
【図１６４】
2019503210.tif 000171
【図１６５】
2019503210.tif 000172
【図１６６】
2019503210.tif 000173
【図１６７】
2019503210.tif 000174
【図１６８】
2019503210.tif 000175
【図１６９】
2019503210.tif 000176
【図１７０】
2019503210.tif 000177
【図１７１】
2019503210.tif 000178
【図１７２Ａ】
2019503210.tif 000179
【図１７２Ｂ】
2019503210.tif 000180
【図１７２Ｃ】
2019503210.tif 000181
【図１７２Ｄ】
2019503210.tif 000182
【図１７３】
2019503210.tif 000183
【図１７４】
2019503210.tif 000184
【図１７５】
2019503210.tif 000185
【図１７６】
2019503210.tif 000186
【図１７７】
2019503210.tif 000187
【図１７８】
2019503210.tif 000188
【図１７９】
2019503210.tif 000189
【図１８０】
2019503210.tif 000190
【図１８１】
2019503210.tif 000191
【図１８２】
2019503210.tif 000192
【図１８３】
2019503210.tif 000193
【図１８４】
2019503210.tif 000194
【図１８５】
2019503210.tif 000195
【図１８６】
2019503210.tif 000196
【図１８７】
2019503210.tif 000197
【図１８８】
2019503210.tif 000198
【図１８９】
2019503210.tif 000199
【図１９０】
2019503210.tif 000200
【図１９１】
2019503210.tif 000201
【図１９２】
2019503210.tif 000202
【図１９３】
2019503210.tif 000203
【図１９４】
2019503210.tif 000204
【図１９５】
2019503210.tif 000205
【図１９６】
2019503210.tif 000206
【図１９７】
2019503210.tif 000207
【図１９８】
2019503210.tif 000208
【図１９９】
2019503210.tif 000209
【図２００】
2019503210.tif 000210
【図２０１】
2019503210.tif 000211
【図２０２】
2019503210.tif 000212
【図２０３】
2019503210.tif 000213
【図２０４】
2019503210.tif 000214
【図２０５】
2019503210.tif 000215
【図２０６】
2019503210.tif 000216
【図２０７】
2019503210.tif 000217
【図２０８】
2019503210.tif 000218
【図２０９】
2019503210.tif 000219
【図２１０】
2019503210.tif 000220
【図２１１】
2019503210.tif 000221
【図２１２】
2019503210.tif 000222
【図２１３】
2019503210.tif 000223
【図２１４】
2019503210.tif 000224
【図２１５】
2019503210.tif 000225
【図２１６】
2019503210.tif 000226
【図２１７】
2019503210.tif 000227
【図２１８】
2019503210.tif 000228
【図２１９】
2019503210.tif 000229
【図２２０】
2019503210.tif 000230
【図２２１】
2019503210.tif 000231
【図２２２】
2019503210.tif 000232
【図２２３−２２５】
2019503210.tif 000233
【図２２６−２２８】
2019503210.tif 000234
【図２２９】
2019503210.tif 000235
【図２３０】
2019503210.tif 000236
【図２３１】
2019503210.tif 000237
【図２３２】
2019503210.tif 000238
【図２３３】
2019503210.tif 000239
【図２３４】
2019503210.tif 000240
【図２３５】
2019503210.tif 000241
【図２３６】
2019503210.tif 000242
【図２３７】
2019503210.tif 000243
【図２３８】
2019503210.tif 000244
【図２３９】
2019503210.tif 000245
【図２４０】
2019503210.tif 000246
【図２４１】
2019503210.tif 000247
【図２４２】
2019503210.tif 000248
【図２４３】
2019503210.tif 000249
【図２４４】
2019503210.tif 000250
【図２４５】
2019503210.tif 000251
【図２４６】
2019503210.tif 000252
【図２４７】
2019503210.tif 000253
【図２４８】
2019503210.tif 000254
【図２４９】
2019503210.tif 000255
【図２５０】
2019503210.tif 000256
【図２５１】
2019503210.tif 000257
【図２５２】
2019503210.tif 000258
【図２５３】
2019503210.tif 000259
【図２５４】
2019503210.tif 000260
【図２５５】
2019503210.tif 000261
【図２５６】
2019503210.tif 000262
【図２５７】
2019503210.tif 000263
【図２５８】
2019503210.tif 000264
【図２５９】
2019503210.tif 000265
【図２６０】
2019503210.tif 000266
【図２６１】
2019503210.tif 000267
【図２６２】
2019503210.tif 000268
【図２６３】
2019503210.tif 000269
【図２６４】
2019503210.tif 000270
【図２６５】
2019503210.tif 000271
【図２６６】
2019503210.tif 000272
【図２６７】
2019503210.tif 000273
【図２６８】
2019503210.tif 000274
【図２６９】
2019503210.tif 000275
【図２７０】
2019503210.tif 000276
【図２７１】
2019503210.tif 000277
【図２７２】
2019503210.tif 000278
【図２７３】
2019503210.tif 000279
【図２７４】
2019503210.tif 000280
【図２７５】
2019503210.tif 000281
【図２７６】
2019503210.tif 000282
【図２７７】
2019503210.tif 000283
【図２７８】
2019503210.tif 000284
【図２７９】
2019503210.tif 000285
【図２８０】
2019503210.tif 000286
【図２８１】
2019503210.tif 000287
【図２８２】
2019503210.tif 000288
【図２８３】
2019503210.tif 000289
【図２８４】
2019503210.tif 000290
【図２８５】
2019503210.tif 000291
【図２８６】
2019503210.tif 000292
【図２８７】
2019503210.tif 000293
【図２８８】
2019503210.tif 000294
【図２８９】
2019503210.tif 000295
【図２９０】
2019503210.tif 000296
【図２９１】
2019503210.tif 000297
【図２９２】
2019503210.tif 000298
【図２９３】
2019503210.tif 000299
【図２９４】
2019503210.tif 000300
【図２９５】
2019503210.tif 000301
【図２９６】
2019503210.tif 000302
【図２９７】
2019503210.tif 000303
【図２９８】
2019503210.tif 000304
【図２９９】
2019503210.tif 000305
【図３００】
2019503210.tif 000306
【図３０１】
2019503210.tif 000307
【図３０２】
2019503210.tif 000308
【図３０３】
2019503210.tif 000309
【図３０４】
2019503210.tif 000310
【図３０５】
2019503210.tif 000311
【図３０６】
2019503210.tif 000312
【図３０７】
2019503210.tif 000313
【図３０８】
2019503210.tif 000314
【図３０９】
2019503210.tif 000315
【図３１０】
2019503210.tif 000316
【図３１１】
2019503210.tif 000317
【図３１２】
2019503210.tif 000318
【図３１３】
2019503210.tif 000319
【図３１４】
2019503210.tif 000320
【図３１５】
2019503210.tif 000321
【図３１６】
2019503210.tif 000322
【図３１７】
2019503210.tif 000323
【図３１８】
2019503210.tif 000324
【図３１９】
2019503210.tif 000325
【図３２０】
2019503210.tif 000326
【図３２１】
2019503210.tif 000327
【図３２２Ａ】
2019503210.tif 000328
【図３２２Ｂ】
2019503210.tif 000329
【図３２３】
2019503210.tif 000330
【図３２４Ａ】
2019503210.tif 000331
【図３２４Ｂ】
2019503210.tif 000332
【図３２５Ａ】
2019503210.tif 000333
【図３２５Ｂ】
2019503210.tif 000334
【図３２５Ｃ】
2019503210.tif 000335
【図３２６Ａ】
2019503210.tif 000336
【図３２６Ｂ】
2019503210.tif 000337
【図３２６Ｃ】
2019503210.tif 000338
【図３２６Ｄ】
2019503210.tif 000339
【図３２７Ａ】
2019503210.tif 000340
【図３２７Ｂ】
2019503210.tif 000341
【図３２８】
2019503210.tif 000342
【図３２９】
2019503210.tif 000343
【図３３０】
2019503210.tif 000344
【図３３１】
2019503210.tif 000345
【図３３２】
2019503210.tif 000346
【図３３３】
2019503210.tif 000347
【図３３４Ａ】
2019503210.tif 000348
【図３３４Ｂ】
2019503210.tif 000349
【図３３４Ｃ】
2019503210.tif 000350
【図３３５】
2019503210.tif 000351
【図３３６】
2019503210.tif 000352
【図３３７Ａ】
2019503210.tif 000353
【図３３７Ｂ】
2019503210.tif 000354
【図３３７Ｃ】
2019503210.tif 000355
【図３３７Ｄ】
2019503210.tif 000356
【図３３８】
2019503210.tif 000357
【図３３９】
2019503210.tif 000358
【図３４０Ａ】
2019503210.tif 000359
【図３４０Ｂ】
2019503210.tif 000360
【図３４０Ｃ】
2019503210.tif 000361
【図３４１Ａ】
2019503210.tif 000362
【図３４１Ｂ】
2019503210.tif 000363
【図３４１Ｃ】
2019503210.tif 000364
【図３４２Ａ】
2019503210.tif 000365
【図３４２Ｂ】
2019503210.tif 000366
【図３４２Ｃ】
2019503210.tif 000367
【図３４２Ｄ】
2019503210.tif 000368
【図３４２Ｅ】
2019503210.tif 000369
【図３４２Ｆ】
2019503210.tif 000370
【図３４３Ａ】
2019503210.tif 000371
【図３４３Ｂ】
2019503210.tif 000372
【図３４３Ｃ】
2019503210.tif 000373
【図３４３Ｄ】
2019503210.tif 000374
【図３４３Ｅ】
2019503210.tif 000375
【図３４３Ｆ】
2019503210.tif 000376
【図３４３Ｇ】
2019503210.tif 000377
【図３４４Ａ】
2019503210.tif 000378
【図３４４Ｂ】
2019503210.tif 000379
【図３４４Ｃ】
2019503210.tif 000380
【図３４５Ａ】
2019503210.tif 000381
【図３４５Ｂ】
2019503210.tif 000382
【図３４５Ｃ】
2019503210.tif 000383
【図３４５Ｄ】
2019503210.tif 000384
【図３４６】
2019503210.tif 000385
【図３４７Ａ】
2019503210.tif 000386
【図３４７Ｂ】
2019503210.tif 000387
【図３４７Ｃ】
2019503210.tif 000388
【図３４７Ｄ】
2019503210.tif 000389
【図３４８Ａ】
2019503210.tif 000390
【図３４８Ｂ】
2019503210.tif 000391
【図３４９Ａ】
2019503210.tif 000392
【図３４９Ｂ】
2019503210.tif 000393
【図３５０Ａ】
2019503210.tif 000394
【図３５０Ｂ】
2019503210.tif 000395
【図３５１Ａ】
2019503210.tif 000396
【図３５１Ｂ】
2019503210.tif 000397
【図３５１Ｃ】
2019503210.tif 000398
【図３５２Ａ】
2019503210.tif 000399
【図３５２Ｂ】
2019503210.tif 000400
【図３５２Ｃ】
2019503210.tif 000401
【図３５３】
2019503210.tif 000402
【図３５４Ａ】
2019503210.tif 000403
【図３５４Ｂ】
2019503210.tif 000404
【図３５４Ｃ】
2019503210.tif 000405
【図３５４Ｄ】
2019503210.tif 000406
【図３５４Ｅ】
2019503210.tif 000407
【図３５４Ｆ】
2019503210.tif 000408
【図３５４Ｇ】
2019503210.tif 000409
【図３５５Ａ】
2019503210.tif 000410
【図３５５Ｂ】
2019503210.tif 000411
【図３５６】
2019503210.tif 000412
【図３５７Ａ】
2019503210.tif 000413
【図３５７Ｂ】
2019503210.tif 000414
【図３５７Ｃ】
2019503210.tif 000415
【図３５８】
2019503210.tif 000416
【図３５９】
2019503210.tif 000417
【図３６０Ａ】
2019503210.tif 000418
【図３６０Ｂ】
2019503210.tif 000419
【図３６０Ｃ】
2019503210.tif 000420
【図３６１Ａ】
2019503210.tif 000421
【図３６１Ｂ】
2019503210.tif 000422
【図３６２Ａ】
2019503210.tif 000423
【図３６２Ｂ】
2019503210.tif 000424
【図３６２Ｃ】
2019503210.tif 000425
【図３６２Ｄ】
2019503210.tif 000426
【図３６３】
2019503210.tif 000427
【図３６４】
2019503210.tif 000428
【図３６５Ａ】
2019503210.tif 000429
【図３６５Ｂ】
2019503210.tif 000430
【図３６５Ｃ】
2019503210.tif 000431
【図３６５Ｄ】
2019503210.tif 000432
【図３６６Ａ】
2019503210.tif 000433
【図３６６Ｂ】
2019503210.tif 000434
【図３６６Ｃ】
2019503210.tif 000435
【図３６７】
2019503210.tif 000436
【図３６８Ａ】
2019503210.tif 000437
【図３６８Ｂ】
2019503210.tif 000438
【図３６９Ａ】
2019503210.tif 000439
【図３６９Ｂ−３６９Ｃ】
2019503210.tif 000440
【図３７０Ａ】
2019503210.tif 000441
【図３７０Ｂ】
2019503210.tif 000442
【図３７１Ａ】
2019503210.tif 000443
【図３７１Ｂ】
2019503210.tif 000444
【図３７２】
2019503210.tif 000445
【図３７３Ａ−３７３Ｂ】
2019503210.tif 000446
【図３７４Ａ−３７４Ｂ】
2019503210.tif 000447
【図３７５】
2019503210.tif 000448
【図３７６Ａ】
2019503210.tif 000449
【図３７６Ｂ】
2019503210.tif 000450
【図３７６Ｃ】
2019503210.tif 000451
【図３７６Ｄ】
2019503210.tif 000452
【図３７７Ａ】
2019503210.tif 000453
【図３７７Ｂ】
2019503210.tif 000454
【図３７８Ａ】
2019503210.tif 000455
【図３７８Ｂ】
2019503210.tif 000456
【図３７９Ａ】
2019503210.tif 000457
【図３７９Ｂ】
2019503210.tif 000458
【図３７９Ｃ】
2019503210.tif 000459
【図３８０Ａ】
2019503210.tif 000460
【図３８０Ｂ】
2019503210.tif 000461
【図３８１Ａ】
2019503210.tif 000462
【図３８１Ｂ】
2019503210.tif 000463
【図３８２Ａ】
2019503210.tif 000464
【図３８２Ｂ】
2019503210.tif 000465
【図３８２Ｃ】
2019503210.tif 000466
【図３８２Ｄ】
2019503210.tif 000467
【図３８３Ａ】
2019503210.tif 000468
【図３８３Ｂ】
2019503210.tif 000469
【図３８３Ｃ】
2019503210.tif 000470
【図３８４Ａ】
2019503210.tif 000471
【図３８４Ｂ】
2019503210.tif 000472
【図３８５Ａ】
2019503210.tif 000473
【図３８５Ｂ】
2019503210.tif 000474
【図３８６Ａ】
2019503210.tif 000475
【図３８６Ｂ】
2019503210.tif 000476
【図３８７Ａ】
2019503210.tif 000477
【図３８７Ｂ】
2019503210.tif 000478
【図３８７Ｃ】
2019503210.tif 000479
【図３８７Ｄ】
2019503210.tif 000480
【図３８８】
2019503210.tif 000481
【図３８９Ａ】
2019503210.tif 000482
【図３８９Ｂ】
2019503210.tif 000483
【図３９０Ａ】
2019503210.tif 000484
【図３９０Ｂ】
2019503210.tif 000485
【図３９０Ｃ】
2019503210.tif 000486
【図３９０Ｄ】 †††††㰠䥄㹖愼栠敲㵦㈢㄰㔹㌰ㄲ⸰楴≦㈾㄰㔹㌰ㄲ⸰楴쉦゠〰㠴㰷愯㰾䐯噉ਾ††††䐼噉邀鯥鎼볯邼볯醀⼼䥄㹖 †††††㰠䥄㹖愼栠敲㵦㈢㄰㔹㌰ㄲ⸰楴≦㈾㄰㔹㌰ㄲ⸰楴쉦゠〰㠴㰸愯㰾䐯噉ਾ††††䐼噉邀鯥鎼볯醼볯醀⼼䥄㹖 †††††㰠䥄㹖愼栠敲㵦㈢㄰㔹㌰ㄲ⸰楴≦㈾㄰㔹㌰ㄲ⸰楴쉦゠〰㠴㰹愯㰾䐯噉ਾ††††䐼噉邀鯥鎼볯醼볯醀⼼䥄㹖 †††††㰠䥄㹖愼栠敲㵦㈢㄰㔹㌰ㄲ⸰楴≦㈾㄰㔹㌰ㄲ⸰楴쉦゠〰㤴㰰愯㰾䐯噉ਾ††††䐼噉邀鯥鎼볯銼볯醀⼼䥄㹖 †††††㰠䥄㹖愼栠敲㵦㈢㄰㔹㌰ㄲ⸰楴≦㈾㄰㔹㌰ㄲ⸰楴쉦゠〰㤴㰱愯㰾䐯噉ਾ††††䐼噉邀鯥鎼볯銼볯醼胣㲑䐯噉ਾ††††††䐼噉㰾⁡牨晥∽〲㤱〵㈳〱琮晩㸢〲㤱〵㈳〱琮晩ꃂ〰㐰㈹⼼㹡⼼䥄㹖 †††㰠䥄㹖胣뎛볯馼볯ꆼ볯醀⼼䥄㹖 †††††㰠䥄㹖愼栠敲㵦㈢㄰㔹㌰ㄲ⸰楴≦㈾㄰㔹㌰ㄲ⸰楴쉦゠〰㤴㰳愯㰾䐯噉ਾ††††䐼噉邀鯥鎼볯銼볯鎼胣㲑䐯噉ਾ††††††䐼噉㰾⁡牨晥∽〲㤱〵㈳〱琮晩㸢〲㤱〵㈳〱琮晩ꃂ〰㐰㐹⼼㹡⼼䥄㹖 †††㰠䥄㹖胣뎛볯馼볯ꆼ볯醀⼼䥄㹖 †††††㰠䥄㹖愼栠敲㵦㈢㄰㔹㌰ㄲ⸰楴≦㈾㄰㔹㌰ㄲ⸰楴쉦゠〰㤴㰵愯㰾䐯噉ਾ††††䐼噉邀鯥鎼볯銼볯閼胣㲑䐯噉ਾ††††††䐼噉㰾⁡牨晥∽〲㤱〵㈳〱琮晩㸢〲㤱〵㈳〱琮晩ꃂ〰㐰㘹⼼㹡⼼䥄㹖 †††㰠䥄㹖胣뎛볯馼볯ꆼ볯醀⼼䥄㹖 †††††㰠䥄㹖愼栠敲㵦㈢㄰㔹㌰ㄲ⸰楴≦㈾㄰㔹㌰ㄲ⸰楴쉦゠〰㤴㰷愯㰾䐯噉ਾ††††䐼噉邀鯥鎼볯銼볯鞼胣㲑䐯噉ਾ††††††䐼噉㰾⁡牨晥∽〲㤱〵㈳〱琮晩㸢〲㤱〵㈳〱琮晩ꃂ〰㐰㠹⼼㹡⼼䥄㹖 †††㰠䥄㹖胣뎛볯馼볯ꆼ볯醀⼼䥄㹖 †††††㰠䥄㹖愼栠敲㵦㈢㄰㔹㌰ㄲ⸰楴≦㈾㄰㔹㌰ㄲ⸰楴쉦゠〰㤴㰹愯㰾䐯噉ਾ††††䐼噉邀鯥鎼볯銼볯馼胣㲑䐯噉ਾ††††††䐼噉㰾⁡牨晥∽〲㤱〵㈳〱琮晩㸢〲㤱〵㈳〱琮晩ꃂ〰㔰〰⼼㹡⼼䥄㹖 †††㰠䥄㹖胣뎛볯馼볯ꆼ볯邼胣㲑䐯噉ਾ††††††䐼噉㰾⁡牨晥∽〲㤱〵㈳〱琮晩㸢〲㤱〵㈳〱琮晩ꃂ〰㔰㄰⼼㹡⼼䥄㹖 †††㰠䥄㹖胣뎛볯馼볯ꆼ볯醼胣㲑䐯噉ਾ††††††䐼噉㰾⁡牨晥∽〲㤱〵㈳〱琮晩㸢〲㤱〵㈳〱琮晩ꃂ〰㔰㈰⼼㹡⼼䥄㹖 †††㰠䥄㹖胣뎛볯馼볯ꆼ볯銼胣㲑䐯噉ਾ††††††䐼噉㰾⁡牨晥∽〲㤱〵㈳〱琮晩㸢〲㤱〵㈳〱琮晩ꃂ〰㔰㌰⼼㹡⼼䥄㹖 †††㰠䥄㹖胣뎛볯馼볯ꊼ胣㲑䐯噉ਾ††††††䐼噉㰾⁡牨晥∽〲㤱〵㈳〱琮晩㸢〲㤱〵㈳〱琮晩ꃂ〰㔰㐰⼼㹡⼼䥄㹖 †††㰠䥄㹖胣뎛볯馼볯ꊼ볯醀⼼䥄㹖 †††††㰠䥄㹖愼栠敲㵦㈢㄰㔹㌰ㄲ⸰楴≦㈾㄰㔹㌰ㄲ⸰楴쉦゠〰〵㰵愯㰾䐯噉ਾ††††䐼噉邀鯥鎼볯銼볯銼胣㲑䐯噉ਾ††††††䐼噉㰾⁡牨晥∽〲㤱〵㈳〱琮晩㸢〲㤱〵㈳〱琮晩ꃂ〰㔰㘰⼼㹡⼼䥄㹖 †††㰠䥄㹖胣뎛볯馼볯ꊼ볯醀⼼䥄㹖 †††††㰠䥄㹖愼栠敲㵦㈢㄰㔹㌰ㄲ⸰楴≦㈾㄰㔹㌰ㄲ⸰楴쉦゠〰〵㰷愯㰾䐯噉ਾ††††䐼噉邀鯥鎼볯銼볯钼胣㲑䐯噉ਾ††††††䐼噉㰾⁡牨晥∽〲㤱〵㈳〱琮晩㸢〲㤱〵㈳〱琮晩ꃂ〰㔰㠰⼼㹡⼼䥄㹖 †††㰠䥄㹖胣뎛볯馼볯ꊼ볯醀⼼䥄㹖 †††††㰠䥄㹖愼栠敲㵦㈢㄰㔹㌰ㄲ⸰楴≦㈾㄰㔹㌰ㄲ⸰楴쉦゠〰〵㰹愯㰾䐯噉ਾ††††䐼噉邀鯥鎼볯銼볯醀⼼䥄㹖 †††††㰠䥄㹖愼栠敲㵦㈢㄰㔹㌰ㄲ⸰楴≦㈾㄰㔹㌰ㄲ⸰楴쉦゠〰ㄵ㰰愯㰾䐯噉ਾ††††䐼噉邀鯥鎼볯銼볯醀⼼䥄㹖 †††††㰠䥄㹖愼栠敲㵦㈢㄰㔹㌰ㄲ⸰楴≦㈾㄰㔹㌰ㄲ⸰楴쉦゠〰ㄵ㰱愯㰾䐯噉ਾ††††䐼噉邀鯥鎼볯銼볯醀⼼䥄㹖 †††††㰠䥄㹖愼栠敲㵦㈢㄰㔹㌰ㄲ⸰楴≦㈾㄰㔹㌰ㄲ⸰楴쉦゠〰ㄵ㰲愯㰾䐯噉ਾ††††䐼噉邀鯥鎼볯銼볯醀⼼䥄㹖 †††††㰠䥄㹖愼栠敲㵦㈢㄰㔹㌰ㄲ⸰楴≦㈾㄰㔹㌰ㄲ⸰楴쉦゠〰ㄵ㰳愯㰾䐯噉ਾ††††䐼噉邀鯥鎼볯鎼볯醀⼼䥄㹖 †††††㰠䥄㹖愼栠敲㵦㈢㄰㔹㌰ㄲ⸰楴≦㈾㄰㔹㌰ㄲ⸰楴쉦゠〰ㄵ㰴愯㰾䐯噉ਾ††††䐼噉邀鯥鎼볯鎼볯醀⼼䥄㹖 †††††㰠䥄㹖愼栠敲㵦㈢㄰㔹㌰ㄲ⸰楴≦㈾㄰㔹㌰ㄲ⸰楴쉦゠〰ㄵ㰵愯㰾䐯噉ਾ††††䐼噉邀鯥鎼볯钼胣㲑䐯噉ਾ††††††䐼噉㰾⁡牨晥∽〲㤱〵㈳〱琮晩㸢〲㤱〵㈳〱琮晩ꃂ〰㔰㘱⼼㹡⼼䥄㹖 †††㰠䥄㹖胣뎛볯馼볯醀⼼䥄㹖 †††††㰠䥄㹖愼栠敲㵦㈢㄰㔹㌰ㄲ⸰楴≦㈾㄰㔹㌰ㄲ⸰楴쉦゠〰ㄵ㰷愯㰾䐯噉ਾ††††䐼噉邀鯥鎼볯隼胣㲑䐯噉ਾ††††††䐼噉㰾⁡牨晥∽〲㤱〵㈳〱琮晩㸢〲㤱〵㈳〱琮晩ꃂ〰㔰㠱⼼㹡⼼䥄㹖 †††㰠䥄㹖胣뎛볯馼볯ꆼ胣㲑䐯噉ਾ††††††䐼噉㰾⁡牨晥∽〲㤱〵㈳〱琮晩㸢〲㤱〵㈳〱琮晩ꃂ〰㔰㤱⼼㹡⼼䥄㹖 †††㰠䥄㹖胣뎛볯馼볯ꊼ胣㲑䐯噉ਾ††††††䐼噉㰾⁡牨晥∽〲㤱〵㈳〱琮晩㸢〲㤱〵㈳〱琮晩ꃂ〰㔰〲⼼㹡⼼䥄㹖 †††㰠䥄㹖胣뎛볯馼볯ꆼ胣㲑䐯噉ਾ††††††䐼噉㰾⁡牨晥∽〲㤱〵㈳〱琮晩㸢〲㤱〵㈳〱琮晩ꃂ〰㔰ㄲ⼼㹡⼼䥄㹖 †††㰠䥄㹖胣뎛볯馼볯ꊼ胣㲑䐯噉ਾ††††††䐼噉㰾⁡牨晥∽〲㤱〵㈳〱琮晩㸢〲㤱〵㈳〱琮晩ꃂ〰㔰㈲⼼㹡⼼䥄㹖 †††㰠䥄㹖胣뎛볯馼볯ꎼ胣㲑䐯噉ਾ††††††䐼噉㰾⁡牨晥∽〲㤱〵㈳〱琮晩㸢〲㤱〵㈳〱琮晩ꃂ〰㔰㌲⼼㹡⼼䥄㹖 †††㰠䥄㹖胣뎛볯馼볯꒼胣㲑䐯噉ਾ††††††䐼噉㰾⁡牨晥∽〲㤱〵㈳〱琮晩㸢〲㤱〵㈳〱琮晩ꃂ〰㔰㐲⼼㹡⼼䥄㹖 †††㰠䥄㹖胣뎛볯馼볯ꆼ胣㲑䐯噉ਾ††††††䐼噉㰾⁡牨晥∽〲㤱〵㈳〱琮晩㸢〲㤱〵㈳〱琮晩ꃂ〰㔰㔲⼼㹡⼼䥄㹖 †††㰠䥄㹖胣뎛볯馼볯ꊼ胣㲑䐯噉ਾ††††††䐼噉㰾⁡牨晥∽〲㤱〵㈳〱琮晩㸢〲㤱〵㈳〱琮晩ꃂ〰㔰㘲⼼㹡⼼䥄㹖 †††㰠䥄㹖胣뎛볯馼볯ꎼ胣㲑䐯噉ਾ††††††䐼噉㰾⁡牨晥∽〲㤱〵㈳〱琮晩㸢〲㤱〵㈳〱琮晩ꃂ〰㔰㜲⼼㹡⼼䥄㹖 †††㰠䥄㹖胣뎛볯馼볯꒼胣㲑䐯噉ਾ††††††䐼噉㰾⁡牨晥∽〲㤱〵㈳〱琮晩㸢〲㤱〵㈳〱琮晩ꃂ〰㔰㠲⼼㹡⼼䥄㹖 †††㰠䥄㹖胣뎛볯邼볯ꆼ胣㲑䐯噉ਾ††††††䐼噉㰾⁡牨晥∽〲㤱〵㈳〱琮晩㸢〲㤱〵㈳〱琮晩ꃂ〰㔰㤲⼼㹡⼼䥄㹖 †††㰠䥄㹖胣뎛볯邼볯ꊼ胣㲑䐯噉ਾ††††††䐼噉㰾⁡牨晥∽〲㤱〵㈳〱琮晩㸢〲㤱〵㈳〱琮晩ꃂ〰㔰〳⼼㹡⼼䥄㹖 †††㰠䥄㹖胣뎛볯邼볯ꎼ胣㲑䐯噉ਾ††††††䐼噉㰾⁡牨晥∽〲㤱〵㈳〱琮晩㸢〲㤱〵㈳〱琮晩ꃂ〰㔰ㄳ⼼㹡⼼䥄㹖 †††㰠䥄㹖胣뎛볯邼볯꒼胣㲑䐯噉ਾ††††††䐼噉㰾⁡牨晥∽〲㤱〵㈳〱琮晩㸢〲㤱〵㈳〱琮晩ꃂ〰㔰㈳⼼㹡⼼䥄㹖 †††㰠䥄㹖胣뎛볯邼볯ꆼ胣㲑䐯噉ਾ††††††䐼噉㰾⁡牨晥∽〲㤱〵㈳〱琮晩㸢〲㤱〵㈳〱琮晩ꃂ〰㔰㌳⼼㹡⼼䥄㹖 †††㰠䥄㹖胣뎛볯邼볯ꊼ胣㲑䐯噉ਾ††††††䐼噉㰾⁡牨晥∽〲㤱〵㈳〱琮晩㸢〲㤱〵㈳〱琮晩ꃂ〰㔰㐳⼼㹡⼼䥄㹖 †††㰠䥄㹖胣뎛볯邼볯ꎼ胣㲑䐯噉ਾ††††††䐼噉㰾⁡牨晥∽〲㤱〵㈳〱琮晩㸢〲㤱〵㈳〱琮晩ꃂ〰㔰㔳⼼㹡⼼䥄㹖 †††㰠䥄㹖胣뎛볯邼볯ꆼ胣㲑䐯噉ਾ††††††䐼噉㰾⁡牨晥∽〲㤱〵㈳〱琮晩㸢〲㤱〵㈳〱琮晩ꃂ〰㔰㘳⼼㹡⼼䥄㹖 †††㰠䥄㹖胣뎛볯邼볯ꊼ胣㲑䐯噉ਾ††††††䐼噉㰾⁡牨晥∽〲㤱〵㈳〱琮晩㸢〲㤱〵㈳〱琮晩ꃂ〰㔰㜳⼼㹡⼼䥄㹖 †††㰠䥄㹖胣뎛볯邼볯ꎼ胣㲑䐯噉ਾ††††††䐼噉㰾⁡牨晥∽〲㤱〵㈳〱琮晩㸢〲㤱〵㈳〱琮晩ꃂ〰㔰㠳⼼㹡⼼䥄㹖 †††㰠䥄㹖胣뎛볯邼볯ꆼ胣㲑䐯噉ਾ††††††䐼噉㰾⁡牨晥∽〲㤱〵㈳〱琮晩㸢〲㤱〵㈳〱琮晩ꃂ〰㔰㤳⼼㹡⼼䥄㹖 †††㰠䥄㹖胣뎛볯邼볯ꊼ胣㲑䐯噉ਾ††††††䐼噉㰾⁡牨晥∽〲㤱〵㈳〱琮晩㸢〲㤱〵㈳〱琮晩ꃂ〰㔰〴⼼㹡⼼䥄㹖 †††㰠䥄㹖胣뎛볯邼볯ꎼ胣㲑䐯噉ਾ††††††䐼噉㰾⁡牨晥∽〲㤱〵㈳〱琮晩㸢〲㤱〵㈳〱琮晩ꃂ〰㔰ㄴ⼼㹡⼼䥄㹖 †††㰠䥄㹖胣뎛볯邼볯ꆼ胣㲑䐯噉ਾ††††††䐼噉㰾⁡牨晥∽〲㤱〵㈳〱琮晩㸢〲㤱〵㈳〱琮晩ꃂ〰㔰㈴⼼㹡⼼䥄㹖 †††㰠䥄㹖胣뎛볯邼볯ꊼ胣㲑䐯噉ਾ††††††䐼噉㰾⁡牨晥∽〲㤱〵㈳〱琮晩㸢〲㤱〵㈳〱琮晩ꃂ〰㔰㌴⼼㹡⼼䥄㹖 †††㰠䥄㹖胣뎛볯邼볯ꎼ胣㲑䐯噉ਾ††††††䐼噉㰾⁡牨晥∽〲㤱〵㈳〱琮晩㸢〲㤱〵㈳〱琮晩ꃂ〰㔰㐴⼼㹡⼼䥄㹖 †††㰠䥄㹖胣뎛볯邼볯ꆼ胣㲑䐯噉ਾ††††††䐼噉㰾⁡牨晥∽〲㤱〵㈳〱琮晩㸢〲㤱〵㈳〱琮晩ꃂ〰㔰㔴⼼㹡⼼䥄㹖 †††㰠䥄㹖胣뎛볯邼볯ꊼ胣㲑䐯噉ਾ††††††䐼噉㰾⁡牨晥∽〲㤱〵㈳〱琮晩㸢〲㤱〵㈳〱琮晩ꃂ〰㔰㘴⼼㹡⼼䥄㹖 †††㰠䥄㹖胣뎛볯邼볯ꆼ胣㲑䐯噉ਾ††††††䐼噉㰾⁡牨晥∽〲㤱〵㈳〱琮晩㸢〲㤱〵㈳〱琮晩ꃂ〰㔰㜴⼼㹡⼼䥄㹖 †††㰠䥄㹖胣뎛볯邼볯ꊼ胣㲑䐯噉ਾ††††††䐼噉㰾⁡牨晥∽〲㤱〵㈳〱琮晩㸢〲㤱〵㈳〱琮晩ꃂ〰㔰㠴⼼㹡⼼䥄㹖 †††㰠䥄㹖胣뎛볯邼볯ꎼ胣㲑䐯噉ਾ††††††䐼噉㰾⁡牨晥∽〲㤱〵㈳〱琮晩㸢〲㤱〵㈳〱琮晩ꃂ〰㔰㤴⼼㹡⼼䥄㹖 †††㰠䥄㹖胣뎛볯邼볯醀⼼䥄㹖 †††††㰠䥄㹖愼栠敲㵦㈢㄰㔹㌰ㄲ⸰楴≦㈾㄰㔹㌰ㄲ⸰楴쉦゠〰㔵㰰愯㰾䐯噉ਾ††††䐼噉邀鯥钼볯颼胣㲑䐯噉ਾ††††††䐼噉㰾⁡牨晥∽〲㤱〵㈳〱琮晩㸢〲㤱〵㈳〱琮晩ꃂ〰㔰ㄵ⼼㹡⼼䥄㹖 †††㰠䥄㹖胣뎛볯邼볯醀⼼䥄㹖 †††††㰠䥄㹖愼栠敲㵦㈢㄰㔹㌰ㄲ⸰楴≦㈾㄰㔹㌰ㄲ⸰楴쉦゠〰㔵㰲愯㰾䐯噉ਾ††††䐼噉邀鯥钼볯邼胣㲑䐯噉ਾ††††††䐼噉㰾⁡牨晥∽〲㤱〵㈳〱琮晩㸢〲㤱〵㈳〱琮晩ꃂ〰㔰㌵⼼㹡⼼䥄㹖 †††㰠䥄㹖胣뎛볯醼볯醀⼼䥄㹖 †††††㰠䥄㹖愼栠敲㵦㈢㄰㔹㌰ㄲ⸰楴≦㈾㄰㔹㌰ㄲ⸰楴쉦゠〰㔵㰴愯㰾䐯噉ਾ††††䐼噉邀鯥钼볯銼胣㲑䐯噉ਾ††††††䐼噉㰾⁡牨晥∽〲㤱〵㈳〱琮晩㸢〲㤱〵㈳〱琮晩ꃂ〰㔰㔵⼼㹡⼼䥄㹖 †††㰠䥄㹖胣뎛볯醼볯醀⼼䥄㹖 †††††㰠䥄㹖愼栠敲㵦㈢㄰㔹㌰ㄲ⸰楴≦㈾㄰㔹㌰ㄲ⸰楴쉦゠〰㔵㰶愯㰾䐯噉ਾ††††䐼噉邀鯥钼볯钼胣㲑䐯噉ਾ††††††䐼噉㰾⁡牨晥∽〲㤱〵㈳〱琮晩㸢〲㤱〵㈳〱琮晩ꃂ〰㔰㜵⼼㹡⼼䥄㹖 †††㰠䥄㹖胣뎛볯醼볯醀⼼䥄㹖 †††††㰠䥄㹖愼栠敲㵦㈢㄰㔹㌰ㄲ⸰楴≦㈾㄰㔹㌰ㄲ⸰楴쉦゠〰㔵㰸愯㰾䐯噉ਾ††††䐼噉邀鯥钼볯隼胣㲑䐯噉ਾ††††††䐼噉㰾⁡牨晥∽〲㤱〵㈳〱琮晩㸢〲㤱〵㈳〱琮晩ꃂ〰㔰㤵⼼㹡⼼䥄㹖 †††㰠䥄㹖胣뎛볯醼볯醀⼼䥄㹖 †††††㰠䥄㹖愼栠敲㵦㈢㄰㔹㌰ㄲ⸰楴≦㈾㄰㔹㌰ㄲ⸰楴쉦゠〰㘵㰰愯㰾䐯噉ਾ††††䐼噉邀鯥钼볯颼胣㲑䐯噉ਾ††††††䐼噉㰾⁡牨晥∽〲㤱〵㈳〱琮晩㸢〲㤱〵㈳〱琮晩ꃂ〰㔰ㄶ⼼㹡⼼䥄㹖 †††㰠䐯噉ਾ䐼噉邀鯥鮚ꫨ뮟ꃥ誑胣㲑䐯噉ਾ䐼噉㰾⁡牨晥∽〲㤱〵㈳〱琮晩㸢〲㤱〵㈳〱琮晩ꃂ〰㔰㈶⼼㹡⼼䥄㹖㰊䥄㹖愼栠敲㵦㈢㄰㔹㌰ㄲ⸰楴≦㈾㄰㔹㌰ㄲ⸰楴쉦゠〰㘵㰳愯㰾䐯噉ਾ⼼潢祤ਾ⼼瑨汭ਾ